(57)【要約】【課題】部品点数を少なくすることができる遊技機を提供すること。【解決手段】正面ベース５４１０に対して変位可能な状態で配設される装飾部材５４５０と、装飾部材５４５０を変位させる変位部材５４３０と、装飾部材５４５０に対して回転可能な状態で装飾部材５４５０に配設される回転ユニット５５００とを備え、変位部材５４３０が回転されて装飾部材５４５０が変位されると、変位部材５４３０の一側端部が、回転ユニット５５００に凹設される凹部５５１４の内側に挿入される。これにより、回転ユニット５５００の回転が規制される。【選択図】図６０
2019130406.tif 000002
【特許請求の範囲】
【請求項１】
ベース部材と、そのベース部材に対して変位可能な第１変位部材と、その第１変位部材を駆動する第１駆動手段と、前記第１変位部材に対して変位可能な第２変位部材と、を備える遊技機において、
前記ベース部材と前記第１変位部材との間に介設される介設部材を備え、
前記第１駆動手段により前記第１変位部材が変位されて、前記第１変位部材が所定の位置に配置されると、前記介設部材の一部が前記第２変位部材の変位を規制する位置に配置されることを特徴とする遊技機。
【請求項２】
前記第２変位部材は、前記第１変位部材に軸支され、その軸支部分を軸に回転可能とされ、前記第２変位部材または介設部材のどちらか一方は、側面に凹設される凹部を備え、前記第２変位部材または介設部材のどちらか他方が、前記凹部の内側に挿入されることで、前記第２変位部材の変位が規制されることを特徴とする請求項１記載の遊技機。
【請求項３】
前記介設部材は、前記ベース部材に対して回転可能に配設され、前記第２変位部材に前記凹部が凹設され、前記介設部材が前記凹部の内側に挿入された状態において、前記凹部は、内縁が前記介設部材の回転軸と同軸の円弧形状に形成され、前記介設部材は、前記凹部と対向する対向面が前記凹部の円弧形状よりも小さい湾曲形状に形成されることを特徴とする請求項２記載の遊技機。
【発明の詳細な説明】
【技術分野】
【０００１】
本発明は、パチンコ機などの遊技機に関するものである。
【背景技術】
【０００２】
パチンコ機等の遊技機において、ベース部材と、そのベース部材に対して変位可能な第１変位部材と、その第１変位部材を駆動する第１駆動手段と、第１変位部材に対して変位可能な第２変位部材と、を備える遊技機が知られている（特許文献１）。
【先行技術文献】
【特許文献】
【０００３】
【特許文献１】特開２０１４−２３８７４号公報
【発明の概要】
【発明が解決しようとする課題】
【０００４】
しかしながら、上述した遊技機では、部品点数が増加するという問題点があった。
【０００５】
本発明は、上記例示した問題点を解決するためになされたものであり、部品点数を少なくすることができる遊技機を提供することを目的とする。
【課題を解決するための手段】
【０００６】
この目的を達成するために請求項１記載の遊技機は、ベース部材と、そのベース部材に対して変位可能な第１変位部材と、その第１変位部材を駆動する第１駆動手段と、前記第１変位部材に対して変位可能な第２変位部材と、を備えるものであり、前記ベース部材と前記第１変位部材との間に介設される介設部材を備え、前記第１駆動手段により前記第１変位部材が変位されて、前記第１変位部材が所定の位置に配置されると、前記介設部材の一部が前記第２変位部材の変位を規制する位置に配置される。
【０００７】
請求項２記載の遊技機は、請求項１記載の遊技機において、前記第２変位部材は、前記第１変位部材に軸支され、その軸支部分を軸に回転可能とされ、前記第２変位部材または介設部材のどちらか一方は、側面に凹設される凹部を備え、前記第２変位部材または介設部材のどちらか他方が、前記凹部の内側に挿入されることで、前記第２変位部材の変位が規制される。
【０００８】
請求項３記載の遊技機は、請求項２記載の遊技機において、前記介設部材は、前記ベース部材に対して回転可能に配設され、前記第２変位部材に前記凹部が凹設され、前記介設部材が前記凹部の内側に挿入された状態において、前記凹部は、内縁が前記介設部材の回転軸と同軸の円弧形状に形成され、前記介設部材は、前記凹部と対向する対向面が前記凹部の円弧形状よりも小さい湾曲形状に形成される。
【発明の効果】
【０００９】
請求項１記載の遊技機によれば、部品点数を少なくすることができる。
【００１０】
請求項２記載の遊技機によれば、請求項１記載の遊技機の奏する効果に加え、規制部分を少なくすることができる。
【００１１】
請求項３記載の遊技機によれば、請求項２記載の遊技機の奏する効果に加え、規制を解除しやすくできる。
【図面の簡単な説明】
【００１２】
【図１】第１実施形態におけるパチンコ機の正面図である。
【図２】パチンコ機の遊技盤の正面図である。
【図３】パチンコ機の背面図である。
【図４】パチンコ機の電気的構成を示すブロック図である。
【図５】動作ユニットの正面斜視図である。
【図６】動作ユニットの分解正面斜視図である。
【図７】動作ユニットの正面図である。
【図８】動作ユニットの正面図である。
【図９】上下変位ユニットの正面図である。
【図１０】上下変位ユニットの背面図である。
【図１１】上下変位ユニットの正面斜視図である。
【図１２】上下変位ユニットの背面斜視図である。
【図１３】上下変位ユニットの正面斜視図である。
【図１４】上下変位ユニットの背面斜視図である。
【図１５】（ａ）は、上下変位ユニットの正面図であり、（ｂ）は、上下変位ユニットの背面図である。
【図１６】（ａ）は、上下変位ユニットの正面図であり、（ｂ）は、上下変位ユニットの背面図である。
【図１７】（ａ）は、上下変位ユニットの正面図であり、（ｂ）は、上下変位ユニットの背面図である。
【図１８】規制ユニットの分解正面斜視図である。
【図１９】ローラ部材の分解正面斜視図である。
【図２０】（ａ）は、規制ユニットの側面図であり、（ｂ）は、規制ユニットの背面図であり、（ｃ）は、図２０（ｂ）のＸＸｃ−ＸＸｃ線における規制ユニットの断面図である。
【図２１】第１位置における上下変位ユニットの正面図である。
【図２２】（ａ）は、図２１のＸＸＩＩ部における上下変位ユニットの拡大図であり、（ｂ）は、図２２（ａ）のＸＸＩＩｂ−ＸＸＩＩｂ線における上下変位ユニットの断面図である。
【図２３】（ａ）から（ｃ）は、上下変位ユニットの部分拡大正面図である。
【図２４】（ａ）は、図２３（ａ）のＸＸＩＶａ−ＸＸＩＶａ線における上下変位ユニットの断面図であり、（ｂ）は、図２３（ｂ）のＸＸＩＶｂ−ＸＸＩＶｂ線における上下変位ユニットの断面図であり、（ｃ）は、図２３（ｃ）のＸＸＩＶｃ−ＸＸＩＶｃ線における上下変位ユニットの断面図である。
【図２５】装飾部材の分解正面斜視図である。
【図２６】装飾部材の分解背面斜視図である。
【図２７】回転ユニットの分解正面斜視図である。
【図２８】回転ユニットの分解背面斜視図である。
【図２９】（ａ）は、回転ユニットの上面図であり、（ｂ）は、図２９（ａ）のＸＸＩＸｂ方向視における回転ユニットの正面図であり、（ｃ）は、図２９（ａ）のＸＸＩＸｃ−ＸＸＩＸｃ線における回転ユニットの断面図である。
【図３０】（ａ）は、中間部材の上面図であり、（ｂ）は、図３０（ａ）のＸＸＸｂ−ＸＸＸｂ線における中間部材の断面図である。
【図３１】（ａ）は、正面カバーの正面図であり、（ｂ）は、図３１（ａ）のＸＸＸＩｂ−ＸＸＸＩｂ線における正面カバーの部分拡大断面図である。
【図３２】（ａ）は、反射板の上面図であり、（ｂ）は、図３２（ａ）のＸＸＸＩＩｂ−ＸＸＸＩＩｂ線における反射板の部分拡大断面図である。
【図３３】（ａ）は、回転ユニットの上面図であり、図３３（ｂ）は、（ａ）のＸＸＸＩＩＩｂ−ＸＸＸＩＩＩｂ線における回転ユニットの断面図である。
【図３４】（ａ）及び（ｂ）は、図３３（ｂ）のＸＸＸＩＶ部における回転ユニットの部分拡大断面図である。
【図３５】（ａ）及び（ｂ）は、回転ユニットの正面図である。
【図３６】（ａ）及び（ｂ）は、回転ユニットの上面図である。
【図３７】センターフレームの分解正面斜視図である。
【図３８】センターフレームの分解背面斜視図である。
【図３９】（ａ）は、センターフレームの正面図であり、（ｂ）は、図３９（ａ）のＸＸＸＩＸｂ−ＸＸＸＩＸｂ線におけるセンターフレームの断面図である。
【図４０】（ａ）は、図３９（ａ）のＸＬａ−ＸＬａ線におけるセンターフレームの断面図であり、（ｂ）は、図３９（ａ）のＸＬｂ−ＸＬｂ線におけるセンターフレームの断面図である。
【図４１】（ａ）及び（ｂ）は、回転ユニットおよびセンターフレームの断面図である。
【図４２】振分け装置の分解正面斜視図である。
【図４３】振分け装置の部分拡大正面図である。
【図４４】図４３のＸＬＩＶ−ＸＬＩＶ線における振分け装置の断面図である。
【図４５】（ａ）は図４３のＸＬＶａ−ＸＬＶａ線における振分け装置の断面図であり、（ｂ）は、図４５（ａ）のＸＬＶｂ−ＸＬＶｂ線における振分け装置の断面図であり、（ｃ）は、図４３のＸＬＶｃ−ＸＬＶｃ線における振分け装置の断面図であり、（ｄ）は、図４５のＸＬＶｄ−ＸＬＶｄ線における振分け装置の断面図である。
【図４６】（ａ）は、振分け装置の断面図であり、（ｂ）は、振分け装置の断面図である。
【図４７】発光装飾ユニットの分解正面斜視図である。
【図４８】第２実施形態における規制ユニットの分解正面斜視図である。
【図４９】（ａ）は、規制ユニットの側面図であり、（ｂ）は、規制ユニットの背面図であり、（ｃ）は、図４９（ｂ）のＸＬＩＸｃ−ＸＬＩＸｃ線における規制ユニットの断面図である。
【図５０】（ａ）から（ｃ）は、上下変位ユニットの断面図である。
【図５１】第３実施形態における振分け装置の分解正面斜視図である。
【図５２】振分け装置の部分拡大正面図である。
【図５３】（ａ）は、図５２のＬＩＩＩａ−ＬＩＩＩａ線における振分け装置の断面図であり、（ｂ）は、図５２（ｂ）のＬＩＩＩｂ−ＬＩＩＩｂ線における振分け装置の断面図である。
【図５４】（ａ）及び（ｂ）は、振分け装置の断面図である。
【図５５】（ａ）は、第４実施形態における振分け装置の正面図であり、（ｂ）は、図５５（ａ）のＬＶｂ−ＬＶｂ線における振分け装置の断面図であり、（ｃ）は、図５５（ｂ）のＬＶｃ−ＬＶｃ線における振分け装置の断面図である。
【図５６】変形例としてのセンターフレーム６００の断面図である。
【図５７】（ａ）及び（ｂ）は、第５実施形態における上下変位ユニットの正面図である。
【図５８】上下変位ユニットの分解斜視正面図である。
【図５９】（ａ）は、装飾部材が第３位置に配置された状態における上下変位ユニットの正面図であり、（ｂ）は、装飾部材が第２位置に配置された状態における上下変位ユニットの正面図であり、（ｃ）は、装飾部材が第１位置に配置された状態における上下変位ユニットの正面図である。
【図６０】装飾部材が第２位置に配置された状態における上下変位ユニットの正面図である。
【図６１】上下変位ユニットの正面図である。
【図６２】（ａ）及び（ｂ）は、上下変位ユニットの正面図である。
【図６３】（ａ）は、第６実施形態における上下変位ユニットの正面図であり、（ｂ）は、上下変位ユニットの背面図である。
【図６４】（ａ）は、装飾部材が第２位置に配置された状態における上下変位ユニットの背面図であり、（ｂ）は、ギヤの背面図である。
【図６５】（ａ）及び（ｂ）は、第７実施形態における上下変位ユニットの斜視正面図である。
【図６６】（ａ）及び（ｂ）は、上下変位ユニットの上面図である。
【図６７】（ａ）は、装飾部材が第２位置に配置された状態における上下変位ユニットの正面図であり、（ｂ）は、図６７（ａ）の矢印ＬＸＶＩＩｂ方向視における上下変位ユニットの上面図である。
【図６８】（ａ）は、変位ユニットの変位が規制された状態における上下変位ユニットの上面図であり、（ｂ）は、図６８（ａ）のＬＸＶＩＩＩｂ−ＬＸＶＩＩＩｂ線における上下変位ユニットの断面図である。
【図６９】（ａ）は、第８実施形態における上下変位ユニットの正面図であり、（ｂ）は、上下変位ユニットの斜視正面図である。
【図７０】（ａ）は、ベースユニットの正面図であり、（ｂ）は、図７０（ａ）のＬＸＸｂ−ＬＸＸｂ線におけるベースユニットの断面図である。
【図７１】ベースユニットの分解斜視正面図である。
【図７２】（ａ）は、上下変位ユニットの正面図であり、（ｂ）は、図７２（ａ）のＬＸＸＩＩｂ−ＬＸＸＩＩｂ線における上下変位ユニットの断面図である。
【図７３】（ａ）及び（ｂ）は、上下変位ユニットの断面図である。
【図７４】（ａ）は、上下変位ユニットの正面図であり、（ｂ）は、図７４（ａ）のＬＸＸＩＶｂ−ＬＸＸＩＶｂ線における上下変位ユニットの断面図である。
【図７５】（ａ）及び（ｂ）は、上下変位ユニットの断面図である。
【図７６】（ａ）は、第９実施形態における上下変位ユニットの正面図であり、（ｂ）は、上下変位ユニットの斜視正面図である。
【図７７】上下変位ユニットの分解斜視正面図である。
【図７８】スライドユニットの分解斜視正面図である。
【図７９】上下変位ユニットの側面図である。
【図８０】上下変位ユニットの側面図である。
【図８１】上下変位ユニットの側面図である。
【図８２】（ａ）は、第１０実施形態における上下変位ユニットの正面図であり、（ｂ）は、上下変位ユニットの背面図である。
【図８３】（ａ）、（ｃ）、（ｅ）は、上下変位ユニットの背面図であり、（ｂ）、（ｄ）、（ｆ）は、上下変位ユニットの正面図である。
【図８４】第１１実施形態における上下変位ユニットの背面図である。
【図８５】（ａ）から（ｃ）は、上下変位ユニットの背面図である。
【図８６】（ａ）から（ｃ）は、上下変位ユニットの背面図である。
【図８７】第１２実施形態における上下変位ユニットの正面図である。
【図８８】（ａ）及び（ｂ）は、第１３実施形態における上下変位ユニットの正面図である。
【図８９】（ａ）は、図８８（ｂ）のＬＸＸＸＩＸａ−ＬＸＸＸＩＸａ線における上下変位ユニットの断面図であり、（ｂ）は、図８９（ａ）のＬＸＸＸＩＸｂ−ＬＸＸＸＩＸｂ線における上下変位ユニットの断面図である。
【図９０】（ａ）及び（ｂ）は、上下変位ユニットの断面図である。
【図９１】（ａ）は、変形例としての、上下変位ユニットの正面図であり、（ｂ）は、図８０（ａ）のＸＣＩｂ−ＸＣＩｂ線における上下変位ユニットの断面図である。
【図９２】（ａ）及び（ｂ）は、変形例としての、上下変位ユニットの正面図である。
【発明を実施するための形態】
【００１３】
以下、本発明の実施形態について、添付図面を参照して説明する。まず、図１から図４７を参照し、第１実施形態として、本発明をパチンコ遊技機（以下、単に「パチンコ機」という）１に適用した場合の一実施形態について説明する。図１は、第１実施形態におけるパチンコ機１の正面図であり、図２はパチンコ機１の遊技盤１３の正面図であり、図３はパチンコ機１の背面図である。
【００１４】
図１に示すように、パチンコ機１は、略矩形状に組み合わせた木枠により外殻が形成される外枠２と、その外枠２と略同一の外形形状に形成され外枠２に対して開閉可能に支持された内枠４とを備えている。外枠２には、内枠４を支持するために正面視（図１参照）左側の上下２カ所に金属製のヒンジ１８が取り付けられ、そのヒンジ１８が設けられた側を開閉の軸として内枠４が正面手前側へ開閉可能に支持されている。
【００１５】
内枠４には、多数の釘や入賞口６３，６４等を有する遊技盤１３（図２参照）が裏面側から着脱可能に装着される。この遊技盤１３の前面を球（遊技球）が流下することにより弾球遊技が行われる。なお、内枠４には、球を遊技盤１３の前面領域に発射する球発射ユニット１１２ａ（図４参照）やその球発射ユニット１１２ａから発射された球を遊技盤１３の前面領域まで誘導する発射レール（図示せず）等が取り付けられている。
【００１６】
内枠４の前面側には、その前面上側を覆う前扉５と、その下側を覆う下皿ユニット１５とが設けられている。前扉５および下皿ユニット１５を支持するために正面視（図１参照）左側の上下２カ所に金属製のヒンジ１９が取り付けられ、そのヒンジ１９が設けられた側を開閉の軸として前扉５および下皿ユニット１５が正面手前側へ開閉可能に支持されている。なお、内枠４の施錠と前扉５の施錠とは、シリンダ錠２０の鍵穴２１に専用の鍵を差し込んで所定の操作を行うことでそれぞれ解除される。
【００１７】
前扉５は、装飾用の樹脂部品や電気部品等を組み付けたものであり、その略中央部には略楕円形状に開口形成された窓部５ｃが設けられている。前扉５の裏面側には２枚の板ガラス８を有するガラスユニット１６が配設され、そのガラスユニット１６を介して遊技盤１３の前面がパチンコ機１の正面側に視認可能となっている。
【００１８】
前扉５には、球を貯留する上皿１７が前方へ張り出して上面を開放した略箱状に形成されており、この上皿１７に賞球や貸出球などが排出される。上皿１７の底面は正面視（図１参照）右側に下降傾斜して形成され、その傾斜により上皿１７に投入された球が球発射ユニット１１２ａ（図４参照）へと案内される。また、上皿１７の上面には、枠ボタン２２が設けられている。この枠ボタン２２は、例えば、第３図柄表示装置８１（図２参照）で表示される演出のステージを変更したり、スーパーリーチの演出内容を変更したりする場合などに、遊技者により操作される。
【００１９】
前扉５には、その周囲（例えばコーナー部分）に各種ランプ等の発光手段が設けられている。これら発光手段は、大当たり時や所定のリーチ時等における遊技状態の変化に応じて、点灯又は点滅することにより発光態様が変更制御され、遊技中の演出効果を高める役割を果たす。窓部５ｃの周縁には、ＬＥＤ等の発光手段を内蔵した電飾部２９〜３３が設けられている。パチンコ機１においては、これら電飾部２９〜３３が大当たりランプ等の演出ランプとして機能し、大当たり時やリーチ演出時等には内蔵するＬＥＤの点灯や点滅によって各電飾部２９〜３３が点灯または点滅して、大当たり中である旨、或いは大当たり一歩手前のリーチ中である旨が報知される。また、前扉５の正面視（図１参照）左上部には、ＬＥＤ等の発光手段が内蔵され賞球の払い出し中とエラー発生時とを表示可能な表示ランプ３４が設けられている。
【００２０】
また、右側の電飾部３２下側には、前扉５の裏面側を視認できるように裏面側より透明樹脂を取り付けて小窓３５が形成され、遊技盤１３前面の貼着スペースＫ１（図２参照）に貼付される証紙等がパチンコ機１の前面から視認可能とされている。また、パチンコ機１においては、より煌びやかさを醸し出すために、電飾部２９〜３３の周りの領域にクロムメッキを施したＡＢＳ樹脂製のメッキ部材３６が取り付けられている。
【００２１】
窓部５ｃの下方には、貸球操作部４０が配設されている。貸球操作部４０には、度数表示部４１と、球貸しボタン４２と、返却ボタン４３とが設けられている。パチンコ機１の側方に配置されるカードユニット（球貸しユニット）（図示せず）に紙幣やカード等を投入した状態で貸球操作部４０が操作されると、その操作に応じて球の貸出が行われる。具体的には、度数表示部４１はカード等の残額情報が表示される領域であり、内蔵されたＬＥＤが点灯して残額情報として残額が数字で表示される。球貸しボタン４２は、カード等（記録媒体）に記録された情報に基づいて貸出球を得るために操作されるものであり、カード等に残額が存在する限りにおいて貸出球が上皿１７に供給される。返却ボタン４３は、カードユニットに挿入されたカード等の返却を求める際に操作される。なお、カードユニットを介さずに球貸し装置等から上皿１７に球が直接貸し出されるパチンコ機、いわゆる現金機では貸球操作部４０が不要となるが、この場合には、貸球操作部４０の設置部分に飾りシール等を付加して部品構成は共通のものとしても良い。カードユニットを用いたパチンコ機と現金機との共通化を図ることができる。
【００２２】
上皿１７の下側に位置する下皿ユニット１５には、その中央部に上皿１７に貯留しきれなかった球を貯留するための下皿５０が上面を開放した略箱状に形成されている。下皿５０の右側には、球を遊技盤１３の前面へ打ち込むために遊技者によって操作される操作ハンドル５１が配設される。
【００２３】
操作ハンドル５１の内部には、球発射ユニット１１２ａの駆動を許可するためのタッチセンサ５１ａと、押下操作している期間中には球の発射を停止する発射停止スイッチ５１ｂと、操作ハンドル５１の回動操作量（回動位置）を電気抵抗の変化により検出する可変抵抗器（図示せず）などが内蔵されている。操作ハンドル５１が遊技者によって右回りに回動操作されると、タッチセンサ５１ａがオンされると共に可変抵抗器の抵抗値が回動操作量に対応して変化し、その可変抵抗器の抵抗値に対応した強さ（発射強度）で球が発射され、これにより遊技者の操作に対応した飛び量で遊技盤１３の前面へ球が打ち込まれる。また、操作ハンドル５１が遊技者により操作されていない状態においては、タッチセンサ５１ａおよび発射停止スイッチ５１ｂがオフとなっている。
【００２４】
下皿５０の正面下方部には、下皿５０に貯留された球を下方へ排出する際に操作するための球抜きレバー５２が設けられている。この球抜きレバー５２は、常時、右方向に付勢されており、その付勢に抗して左方向へスライドさせることにより、下皿５０の底面に形成された底面口が開口して、その底面口から球が自然落下して排出される。この球抜きレバー５２の操作は、通常、下皿５０の下方に下皿５０から排出された球を受け取る箱（一般に「千両箱」と称される）を置いた状態で行われる。下皿５０の右方には、上述したように操作ハンドル５１が配設され、下皿５０の左方には灰皿５３が取り付けられている。
【００２５】
図２に示すように、遊技盤１３は、正面視略正方形状に切削加工したベース板６０に、球案内用の多数の釘（図示せず）や風車の他、レール７６，７７、一般入賞口６３、第１入賞口６４、第２入賞口６４０、可変入賞装置６５、第１スルーゲート６６，６７、可変表示装置ユニット８０等を組み付けて構成され、その周縁部が内枠４（図１参照）の裏面側に取り付けられる。ベース板６０は薄い板材を張り合わせた木材からなり、その正面側からベース板６０の背面側に配設された各種構造体を遊技者に目視できないように形成される。一般入賞口６３、第１入賞口６４、第２入賞口６４０、可変入賞装置６５、可変表示装置ユニット８０は、ルータ加工によってベース板６０に形成された貫通穴に配設され、遊技盤１３の前面側からタッピングネジ等により固定されている。
【００２６】
遊技盤１３の前面中央部分は、前扉５の窓部５ｃ（図１参照）を通じて内枠４の前面側から視認することができる。以下に、主に図２を参照して、遊技盤１３の構成について説明する。
【００２７】
遊技盤１３の前面には、帯状の金属板を略円弧状に屈曲加工して形成した外レール７７が植立され、その外レール７７の内側位置には外レール７７と同様に帯状の金属板で形成した円弧状の内レール７６が植立される。この内レール７６と外レール７７とにより遊技盤１３の前面外周が囲まれ、遊技盤１３とガラスユニット１６（図１参照）とにより前後が囲まれることにより、遊技盤１３の前面には、球の挙動により遊技が行われる遊技領域が形成される。遊技領域は、遊技盤１３の前面であって２本のレール７６，７７とレール間を繋ぐ樹脂製の外縁部材７３とにより区画して形成される領域（入賞口等が配設され、発射された球が流下する領域）である。
【００２８】
２本のレール７６，７７は、球発射ユニット１１２ａ（図４参照）から発射された球を遊技盤１３上部へ案内するために設けられたものである。内レール７６の先端部分（図２の左上部）には戻り球防止部材６８が取り付けられ、一旦、遊技盤１３の上部へ案内された球が再度球案内通路内に戻ってしまうといった事態が防止される。外レール７７の先端部（図２の右上部）には、球の最大飛翔部分に対応する位置に返しゴム６９が取り付けられ、所定以上の勢いで発射された球は、返しゴム６９に当たって、勢いが減衰されつつ中央部側へ跳ね返される。
【００２９】
遊技領域の正面視左側下部（図２の左側下部）には、発光手段である複数のＬＥＤおよび７セグメント表示器を備える第１図柄表示装置３７Ａ，３７Ｂが配設されている。第１図柄表示装置３７Ａ，３７Ｂは、主制御装置１１０（図４参照）で行われる各制御に応じた表示がなされるものであり、主にパチンコ機１の遊技状態の表示が行われる。本実施形態では、第１図柄表示装置３７Ａ，３７Ｂは、球が、第１入賞口６４へ入賞したか、第２入賞口６４０へ入賞したかに応じて使い分けられるように構成されている。具体的には、球が、第１入賞口６４へ入賞した場合には、第１図柄表示装置３７Ａが作動し、一方で、球が、第２入賞口６４０へ入賞した場合には、第１図柄表示装置３７Ｂが作動するように構成されている。
【００３０】
また、第１図柄表示装置３７Ａ，３７Ｂは、ＬＥＤにより、パチンコ機１が確変中か時短中か通常中であるかを点灯状態により示したり、変動中であるか否かを点灯状態により示したり、停止図柄が確変大当たりに対応した図柄か普通大当たりに対応した図柄か外れ図柄であるかを点灯状態により示したり、保留球数を点灯状態により示すと共に、７セグメント表示装置により、大当たり中のラウンド数やエラー表示を行う。なお、複数のＬＥＤは、それぞれのＬＥＤの発光色（例えば、赤、緑、青）が異なるよう構成され、その発光色の組み合わせにより、少ないＬＥＤでパチンコ機１の各種遊技状態を示唆することができる。
【００３１】
なお、本パチンコ機１では、第１入賞口６４，第２入賞口６４０のいずれかに入賞があったことを契機として抽選が行われる。パチンコ機１は、その抽選において、大当たりか否かの当否判定（大当たり抽選）を行うと共に、大当たりと判定した場合はその大当たり種別の判定も行う。ここで判定される大当たり種別としては、１５Ｒ確変大当たり、４Ｒ確変大当たり、１５Ｒ通常大当たりが用意されている。第１図柄表示装置３７Ａ，３７Ｂには、変動終了後の停止図柄として抽選の結果が大当たりであるか否かが示されるだけでなく、大当たりである場合はその大当たり種別に応じた図柄が示される。
【００３２】
ここで、「１５Ｒ確変大当たり」とは、最大ラウンド数が１５ラウンドの大当たりの後に高確率状態へ移行する確変大当たりのことであり、「４Ｒ確変大当たり」とは、最大ラウンド数が４ラウンドの大当たりの後に高確率状態へ移行する確変大当たりのことである。また、「１５Ｒ通常大当たり」は、最大ラウンド数が１５ラウンドの大当たりの後に、低確率状態へ移行すると共に、所定の変動回数の間（例えば、１００変動回数）は時短状態となる大当たりのことである。
【００３３】
また、「高確率状態」とは、大当たり終了後に付加価値としてその後の大当たり確率がアップした状態、いわゆる確率変動中（確変中）の時をいい、換言すれば、特別遊技状態へ移行し易い遊技の状態のことである。本実施形態における高確率状態（確変中）は、後述する第２図柄の当たり確率がアップして第２入賞口６４０へ球が入賞し易い遊技の状態を含む。「低確率状態」とは、確変中でない時をいい、大当たり確率が通常の状態、即ち、確変の時より大当たり確率が低い状態をいう。また、「低確率状態」のうちの時短状態（時短中）とは、大当たり確率が通常の状態であると共に、大当たり確率がそのままで第２図柄の当たり確率のみがアップして第２入賞口６４０へ球が入賞し易い遊技の状態のことをいう。一方、パチンコ機１が通常中とは、確変中でも時短中でもない遊技の状態（大当たり確率も第２図柄の当たり確率もアップしていない状態）である。
【００３４】
確変中や時短中は、第２図柄の当たり確率がアップするだけではなく、第２入賞口６４０に付随する第１電動役物６４０ａが開放される時間も変更され、通常中と比して長い時間が設定される。第１電動役物６４０ａが開放された状態（開放状態）にある場合は、その第１電動役物６４０ａが閉鎖された状態（閉鎖状態）にある場合と比して、第２入賞口６４０へ球が入賞しやすい状態となる。よって、確変中や時短中は、第２入賞口６４０へ球が入賞し易い状態となり、大当たり抽選が行われる回数を増やすことができる。
【００３５】
なお、確変中や時短中において、第２入賞口６４０に付随する第１電動役物６４０ａの開放時間を変更するのではなく、または、その開放時間を変更することに加えて、１回の当たりで第１電動役物６４０ａが開放する回数を通常中よりも増やす変更を行うものとしてもよい。また、確変中や時短中において、第２図柄の当たり確率は変更せず、第２入賞口６４０に付随する第１電動役物６４０ａが開放される時間および１回の当たりで第１電動役物６４０ａが開放する回数の少なくとも一方を変更するものとしてもよい。また、確変中や時短中において、第２入賞口６４０に付随する第１電動役物６４０ａが開放される時間や、１回の当たりで第１電動役物６４０ａおよび第２電動役物８２を開放する回数はせず、第２図柄の当たり確率だけを、通常中と比してアップするよう変更するものであってもよい。
【００３６】
遊技領域には、球が入賞することにより５個から１５個の球が賞球として払い出される複数の一般入賞口６３が配設されている。また、遊技領域の中央部分には、可変表示装置ユニット８０が配設されている。可変表示装置ユニット８０には、第１入賞口６４、第２入賞口６４０のいずれかの入賞（始動入賞）をトリガとして、第１図柄表示装置３７Ａ，３７Ｂにおける変動表示と同期させながら、第３図柄の変動表示を行う液晶ディスプレイ（以下単に「表示装置」と略す）で構成された第３図柄表示装置８１と、第１スルーゲート６６，６７の球の通過をトリガとして第２図柄を変動表示するＬＥＤで構成される第２図柄表示装置（図示せず）とが設けられている。
【００３７】
また、可変表示装置ユニット８０には、第３図柄表示装置８１の外周を囲むようにして、センターフレーム６００が配設されている。このセンターフレーム６００の中央に開口される開口部から第３図柄表示装置８１が視認可能とされる。
【００３８】
第３図柄表示装置８１は９インチサイズの大型の液晶ディスプレイで構成されるものであり、表示制御装置１１４（図４参照）によって表示内容が制御されることにより、例えば上、中および下の３つの図柄列が表示される。各図柄列は複数の図柄（第３図柄）によって構成され、これらの第３図柄が図柄列毎に横スクロールして第３図柄表示装置８１の表示画面上にて第３図柄が可変表示されるようになっている。本実施形態の第３図柄表示装置８１は、主制御装置１１０（図４参照）の制御に伴った遊技状態の表示が第１図柄表示装置３７Ａ，３７Ｂで行われるのに対して、その第１図柄表示装置３７Ａ，３７Ｂの表示に応じた装飾的な表示を行うものである。なお、表示装置に代えて、例えばリール等を用いて第３図柄表示装置８１を構成するようにしても良い。
【００３９】
第２図柄表示装置は、球が第１スルーゲート６６，６７を通過する毎に表示図柄（第２図柄（図示せず））としての「○」の図柄と「×」の図柄とを所定時間交互に点灯させる変動表示を行うものである。パチンコ機１では、球が第１スルーゲート６６，６７を通過したことが検出されると、当たり抽選が行われる。その当たり抽選の結果、当たりであれば、第２図柄表示装置において、第２図柄の変動表示後に「○」の図柄が停止表示される。また、当たり抽選の結果、外れであれば、第２図柄表示装置において、第３図柄の変動表示後に「×」の図柄が停止表示される。
【００４０】
パチンコ機１は、第２図柄表示装置における変動表示が所定図柄（本実施形態においては「○」の図柄）で停止した場合に、第２入賞口６４０に付随された第１電動役物６４０ａが所定時間だけ作動状態となる（開放される）よう構成されている。
【００４１】
第２図柄の変動表示にかかる時間は、遊技状態が通常中の場合よりも、確変中または時短中の方が短くなるように設定される。これにより、確変中および時短中は、第２図柄の変動表示が短い時間で行われるので、当たり抽選を通常中よりも多く行うことができる。よって、当たり抽選において当たりとなる機会が増えるので、第２入賞口６４０の第１電動役物６４０ａが開放状態となる機会を遊技者に多く与えることができる。よって、確変中および時短中は、第２入賞口６４０へ球が入賞しやすい状態とすることができる。
【００４２】
なお、確変中または時短中において、当たり確率を高める、１回に当たりに対する第１電動役物６４０ａの開放時間や開放回数を増やすなど、その他の方法によっても、確変中または時短中に第２入賞口６４０および第３入賞口へ球が入賞しやすい状態としている場合は、第２図柄の変動表示にかかる時間を遊技状態にかかわらず一定としてもよい。一方、第２図柄の変動表示にかかる時間を、確変中または時短中において通常中よりも短く設定する場合は、当たり確率を遊技状態にかかわらず一定にしてもよいし、また、１回の当たりに対する第１電動役物６４０ａの開放時間や開放回数を遊技状態にかかわらず一定にしてもよい。
【００４３】
第１スルーゲート６６、６７は、可変表示装置ユニット８０の両側の領域において遊技盤に組み付けられる。第１スルーゲート６６，６７は、遊技盤に発射された球のうち、遊技盤を流下する球の一部が通過可能に構成されている。第１スルーゲート６６，６７を球が通過すると、第２図柄の当たり抽選が行われる。当たり抽選の後、第２図柄表示装置にて変動表示を行い、当たり抽選の結果が当たりであれば、変動表示の停止図柄として「○」の図柄を表示し、当たり抽選の結果が外れであれば、変動表示の停止図柄として「×」の図柄を表示する。
【００４４】
球の第１スルーゲート６６，６７の通過回数は、合計で最大４回まで保留され、その保留球数が上述した第１図柄表示装置３７Ａ，３７Ｂにより表示されると共に第２図柄保留ランプ（図示せず）においても点灯表示される。第２図柄保留ランプは、最大保留数分の４つ設けられ、第３図柄表示装置８１の下方に左右対称に配設されている。
【００４５】
なお、第２図柄の変動表示は、本実施形態のように、第２図柄表示装置において複数のランプの点灯と非点灯を切り換えることにより行うものの他、第１図柄表示装置３７Ａ，３７Ｂおよび第３図柄表示装置８１の一部を使用して行うようにしても良い。同様に、第２図柄保留ランプの点灯を第３図柄表示装置８１の一部で行うようにしても良い。また、第１スルーゲート６６，６７の球の通過に対する最大保留球数は４回に限定されるものでなく、３回以下、又は、５回以上の回数（例えば、８回）に設定しても良い。また、スルーゲートの組み付け数は２つに限定されるものではなく、３つ以上の複数であっても良い。また、スルーゲートの組み付け位置は可変表示装置ユニット８０の左右両側に限定されるものではなく、例えば、可変表示装置ユニット８０の下方でも良い。また、第１図柄表示装置３７Ａ，３７Ｂにより保留球数が示されるので、第２図柄保留ランプにより点灯表示を行わないものとしてもよい。
【００４６】
可変表示装置ユニット８０の下方には、球が入賞し得る第１入賞口６４が配設されている。この第１入賞口６４へ球が入賞すると遊技盤１３の裏面側に設けられる第１入賞口スイッチ（図示せず）がオンとなり、その第１入賞口スイッチのオンに起因して主制御装置１１０（図４参照）で大当たりの抽選がなされ、その抽選結果に応じた表示が第１図柄表示装置３７Ａで示される。
【００４７】
一方、第１入賞口６４の正面視下方には、球が入賞し得る第２入賞口６４０が配設されている。第２入賞口６４０へ球が入賞すると遊技盤１３の裏面側に設けられる第２入賞口スイッチ（図示せず）がオンとなり、その第２入賞口スイッチのオンに起因して主制御装置１１０（図４参照）で大当たりの抽選がなされ、その抽選結果に応じた表示が第１図柄表示装置３７Ｂで示される。
【００４８】
また、第１入賞口６４，第２入賞口６４０は、それぞれ、球が入賞すると５個の球が賞球として払い出される入賞口の１つにもなっている。なお、本実施形態においては、第１入賞口６４へ球が入賞した場合に払い出される賞球数と第２入賞口６４０へ球が入賞した場合に払い出される賞球数とを同じに構成したが、第１入賞口６４へ球が入賞した場合に払い出される賞球数と第２入賞口６４０へ球が入賞した場合に払い出される賞球数とを異なる数、例えば、第１入賞口６４へ球が入賞した場合に払い出される賞球数を３個とし、第２入賞口６４０へ球が入賞した場合に払い出される賞球数を５個として構成してもよい。
【００４９】
第２入賞口６４０には第１電動役物６４０ａが付随されている。この第１電動役物６４０ａは開閉可能に構成されており、通常は第１電動役物６４０ａが閉鎖状態（縮小状態）となって、球が第２入賞口６４０へ入賞しにくい状態となっている。一方、第１スルーゲート６６，６７への球の通過を契機として行われる第２図柄の変動表示の結果、「○」の図柄が第２図柄表示装置に表示された場合、第１電動役物６４０ａが開放状態（拡大状態）となり、球が第２入賞口６４０へ入賞しやすい状態となる。
【００５０】
上述した通り、確変中および時短中は、通常中と比して第２図柄の当たり確率が高く、また、第２図柄の変動表示にかかる時間も短いので、第２図柄の変動表示において「○」の図柄が表示され易くなって、第１電動役物６４０ａが開放状態（拡大状態）となる回数が増える。更に、確変中または時短中は、第１電動役物６４０ａが開放される時間も、通常中より長くなる。よって、確変中または時短中は、通常時と比して、第２入賞口６４０へ球が入賞しやすい状態を作ることができる。
【００５１】
ここで、第１入賞口６４に球が入賞した場合と第２入賞口６４０へ球が入賞した場合とで、大当たりとなる確率は、低確率状態であっても高確率状態でも同一である。しかしながら、大当たりとなった場合に選定される大当たりの種別として１５Ｒ確変大当たりとなる確率は、第２入賞口６４０へ球が入賞した場合のほうが第１入賞口６４へ球が入賞した場合よりも高く設定されている。一方、第１入賞口６４は、第２入賞口６４０にあるような第１電動役物６４０ａは有しておらず、球が常時入賞可能な状態となっている。
【００５２】
よって、通常中においては、第２入賞口６４０に付随する電動役物が閉鎖状態にある場合が多く、第２入賞口６４０に入賞しづらいので、電動役物のない第１入賞口６４へ向けて、可変表示装置ユニット８０の左方を球が通過するように球を発射し、第１入賞口６４への入賞によって大当たり抽選の機会を多く得て、大当たりとなることを狙った方が、遊技者にとって有利となる。
【００５３】
一方、確変中や時短中は、第１スルーゲート６６，６７に球を通過させることで、第２入賞口６４０に付随する第１電動役物６４０ａが開放状態となりやすく、第２入賞口６４０に入賞しやすい状態であるので、第２入賞口６４０へ向けて、可変表示装置ユニット８０の右方を球が通過するように球を発射し、第１スルーゲート６６，６７を通過させて第１電動役物６４０ａを開放状態にすると共に、第２入賞口６４０への入賞によって１５Ｒ確変大当たりとなることを狙った方が、遊技者にとって有利となる。
【００５４】
このように、本実施形態のパチンコ機１は、パチンコ機１の遊技状態（確変中であるか、時短中であるか、通常中であるか）に応じて、遊技者に対し、球の発射の仕方を変えさせることができる。よって、遊技者に対して、球の打ち方に変化をもたらすことができるので、遊技を楽しませることができる。
【００５５】
第１入賞口６４の下側には可変入賞装置６５が配設されており、その略中央部分に横長矩形状の特定入賞口（大開放口）６５ａが設けられている。パチンコ機１においては、第１入賞口６４，第２入賞口６４０のいずれかの入賞に起因して行われた大当たり抽選が大当たりとなると、所定時間（変動時間）が経過した後に、大当たりの停止図柄となるよう第１図柄表示装置３７Ａ又は第１図柄表示装置３７Ｂを点灯させると共に、その大当たりに対応した停止図柄を第３図柄表示装置８１に表示させて、大当たりの発生が示される。その後、球が入賞し易い特別遊技状態（大当たり）に遊技状態が遷移する。この特別遊技状態として、通常時には閉鎖されている特定入賞口６５ａが、所定時間（例えば、３０秒経過するまで、或いは、球が１０個入賞するまで）開放される。
【００５６】
この特定入賞口６５ａは、所定時間が経過すると閉鎖され、その閉鎖後、再度、その特定入賞口６５ａが所定時間開放される。この特定入賞口６５ａの開閉動作は、最高で例えば１５回（１５ラウンド）繰り返し可能にされている。この開閉動作が行われている状態が、遊技者にとって有利な特別遊技状態の一形態であり、遊技者には、遊技上の価値（遊技価値）の付与として通常時より多量の賞球の払い出しが行われる。
【００５７】
可変入賞装置６５は、具体的には、特定入賞口６５ａを覆う横長矩形状の開閉板と、その開閉板の下辺を軸として前方側に開閉駆動するための大開放口ソレノイド（図示せず）とを備えている。特定入賞口６５ａは、通常時は、球が入賞できないか又は入賞し難い閉状態になっている。大当たりの際には大開放口ソレノイドを駆動して開閉板を前面下側に傾倒し、球が特定入賞口６５ａに入賞しやすい開状態を一時的に形成し、その開状態と通常時の閉状態との状態を交互に繰り返すように作動する。
【００５８】
なお、上記した形態に特別遊技状態は限定されるものではない。特定入賞口６５ａとは別に開閉される大開放口を遊技領域に設け、第１図柄表示装置３７Ａ，３７Ｂにおいて大当たりに対応したＬＥＤが点灯した場合に、特定入賞口６５ａが所定時間開放され、その特定入賞口６５ａの開放中に、球が特定入賞口６５ａ内へ入賞することを契機として特定入賞口６５ａとは別に設けられた大開放口が所定時間、所定回数開放される遊技状態を特別遊技状態として形成するようにしても良い。また、特定入賞口６５ａは１つに限るものではなく、１つ若しくは２以上の複数（例えば３つ）配置しても良く、また配置位置も第１入賞口６４の右側に限らず、例えば、可変表示装置ユニット８０の左方でも良い。
【００５９】
遊技盤１３の下側における右隅部には、証紙や識別ラベル等を貼着するための貼着スペースＫ１が設けられ、貼着スペースＫ１に貼られた証紙等は、前扉５の小窓３５（図１参照）を通じて視認することができる。
【００６０】
遊技盤１３には、第１アウト口７１が設けられている。遊技領域を流下する球であって、いずれの入賞口６３，６４，６５ａ，６４０，８２，にも入賞しなかった球は、第１アウト口７１を通って図示しない球排出路へと案内される。第１アウト口７１は、第１入賞口６４の下方に配設される。
【００６１】
遊技盤１３には、球の落下方向を適宜分散、調整等するために多数の釘が植設されているとともに、風車等の各種部材（役物）とが配設されている。
【００６２】
図３に示すように、パチンコ機１の背面側には、制御基板ユニット９０，９１と、裏パックユニット９４とが主に備えられている。制御基板ユニット９０は、主基板（主制御装置１１０）と音声ランプ制御基板（音声ランプ制御装置１１３）と表示制御基板（表示制御装置１１４）とが搭載されてユニット化されている。制御基板ユニット９１は、払出制御基板（払出制御装置１１１）と発射制御基板（発射制御装置１１２）と電源基板（電源装置１１５）とカードユニット接続基板１１６とが搭載されてユニット化されている。
【００６３】
裏パックユニット９４は、保護カバー部を形成する裏パック９２と払出ユニット９３とがユニット化されている。また、各制御基板には、各制御を司る１チップマイコンとしてのＭＰＵ、各種機器との連絡をとるポート、各種抽選の際に用いられる乱数発生器、時間計数や同期を図る場合などに使用されるクロックパルス発生回路等が、必要に応じて搭載されている。
【００６４】
なお、主制御装置１１０、音声ランプ制御装置１１３および表示制御装置１１４、払出制御装置１１１および発射制御装置１１２、電源装置１１５、カードユニット接続基板１１６は、それぞれ基板ボックス１００〜１０４に収納されている。基板ボックス１００〜１０４は、ボックスベースと該ボックスベースの開口部を覆うボックスカバーとを備えており、そのボックスベースとボックスカバーとが互いに連結されて、各制御装置や各基板が収納される。
【００６５】
また、基板ボックス１００（主制御装置１１０）および基板ボックス１０２（払出制御装置１１１および発射制御装置１１２）は、ボックスベースとボックスカバーとを封印ユニット（図示せず）によって開封不能に連結（かしめ構造による連結）している。また、ボックスベースとボックスカバーとの連結部には、ボックスベースとボックスカバーとに亘って封印シール（図示せず）が貼着されている。この封印シールは、脆性な素材で構成されており、基板ボックス１００，１０２を開封するために封印シールを剥がそうとしたり、基板ボックス１００，１０２を無理に開封しようとすると、ボックスベース側とボックスカバー側とに切断される。よって、封印ユニット又は封印シールを確認することで、基板ボックス１００，１０２が開封されたかどうかを知ることができる。
【００６６】
払出ユニット９３は、裏パックユニット９４の最上部に位置して上方に開口したタンク１３０と、タンク１３０の下方に連結され下流側に向けて緩やかに傾斜するタンクレール１３１と、タンクレール１３１の下流側に縦向きに連結されるケースレール１３２と、ケースレール１３２の最下流部に設けられ、払出モータ２１６（図４参照）の所定の電気的構成により球の払出を行う払出装置１３３とを備えている。タンク１３０には、遊技ホールの島設備から供給される球が逐次補給され、払出装置１３３により必要個数の球の払い出しが適宜行われる。タンクレール１３１には、当該タンクレール１３１に振動を付加するためのバイブレータ１３４が取り付けられている。
【００６７】
また、払出制御装置１１１には状態復帰スイッチ１２０が設けられ、発射制御装置１１２には可変抵抗器の操作つまみ１２１が設けられ、電源装置１１５にはＲＡＭ消去スイッチ１２２が設けられている。状態復帰スイッチ１２０は、例えば、払出モータ２１６（図４参照）部の球詰まり等、払出エラーの発生時に球詰まりを解消（正常状態への復帰）するために操作される。操作つまみ１２１は、発射ソレノイドの発射力を調整するために操作される。ＲＡＭ消去スイッチ１２２は、パチンコ機１を初期状態に戻したい場合に電源投入時に操作される。
【００６８】
次に、図４を参照して、本パチンコ機１の電気的構成について説明する。図４は、パチンコ機１の電気的構成を示すブロック図である。
【００６９】
主制御装置１１０には、演算装置である１チップマイコンとしてのＭＰＵ２０１が搭載されている。ＭＰＵ２０１には、該ＭＰＵ２０１により実行される各種の制御プログラムや固定値データを記憶したＲＯＭ２０２と、そのＲＯＭ２０２内に記憶される制御プログラムの実行に際して各種のデータ等を一時的に記憶するためのメモリであるＲＡＭ２０３と、そのほか、割込回路やタイマ回路、データ送受信回路などの各種回路が内蔵されている。主制御装置１１０では、ＭＰＵ２０１によって、大当たり抽選や第１図柄表示装置３７Ａ，３７Ｂおよび第３図柄表示装置８１における表示の設定、第２図柄表示装置における表示結果の抽選といったパチンコ機１の主要な処理を実行する。
【００７０】
なお、払出制御装置１１１や音声ランプ制御装置１１３などのサブ制御装置に対して動作を指示するために、主制御装置１１０から該サブ制御装置へ各種のコマンドがデータ送受信回路によって送信されるが、かかるコマンドは、主制御装置１１０からサブ制御装置へ一方向にのみ送信される。
【００７１】
ＲＡＭ２０３は、各種エリア、カウンタ、フラグのほか、ＭＰＵ２０１の内部レジスタの内容やＭＰＵ２０１により実行される制御プログラムの戻り先番地などが記憶されるスタックエリアと、各種のフラグおよびカウンタ、Ｉ／Ｏ等の値が記憶される作業エリア（作業領域）とを有している。なお、ＲＡＭ２０３は、パチンコ機１の電源の遮断後においても電源装置１１５からバックアップ電圧が供給されてデータを保持（バックアップ）できる構成となっており、ＲＡＭ２０３に記憶されるデータは、すべてバックアップされる。
【００７２】
停電などの発生により電源が遮断されると、その電源遮断時（停電発生時を含む。以下同様）のスタックポインタや、各レジスタの値がＲＡＭ２０３に記憶される。一方、電源投入時（停電解消による電源投入を含む。以下同様）には、ＲＡＭ２０３に記憶される情報に基づいて、パチンコ機１の状態が電源遮断前の状態に復帰される。ＲＡＭ２０３への書き込みはメイン処理（図示せず）によって電源遮断時に実行され、ＲＡＭ２０３に書き込まれた各値の復帰は電源投入時の立ち上げ処理（図示せず）において実行される。なお、ＭＰＵ２０１のＮＭＩ端子（ノンマスカブル割込端子）には、停電等の発生による電源遮断時に、停電監視回路２５２からの停電信号ＳＧ１が入力されるように構成されており、その停電信号ＳＧ１がＭＰＵ２０１へ入力されると、停電時処理としてのＮＭＩ割込処理（図示せず）が即座に実行される。
【００７３】
主制御装置１１０のＭＰＵ２０１には、アドレスバスおよびデータバスで構成されるバスライン２０４を介して入出力ポート２０５が接続されている。入出力ポート２０５には、払出制御装置１１１、音声ランプ制御装置１１３、第１図柄表示装置３７Ａ，３７Ｂ、第２図柄表示装置、第２図柄保留ランプ、特定入賞口６５ａの開閉板の下辺を軸として前方側に開閉駆動するための大開放口ソレノイドや電動役物を駆動するためのソレノイドなどからなるソレノイド２０９が接続され、ＭＰＵ２０１は、入出力ポート２０５を介してこれらに対し各種コマンドや制御信号を送信する。
【００７４】
また、入出力ポート２０５には、図示しないスイッチ群およびスライド位置検出センサＳや回転位置検出センサＲを含むセンサ群などからなる各種スイッチ２０８、電源装置１１５に設けられた後述のＲＡＭ消去スイッチ回路２５３が接続され、ＭＰＵ２０１は各種スイッチ２０８から出力される信号や、ＲＡＭ消去スイッチ回路２５３より出力されるＲＡＭ消去信号ＳＧ２に基づいて各種処理を実行する。
【００７５】
払出制御装置１１１は、払出モータ２１６を駆動させて賞球や貸出球の払出制御を行うものである。演算装置であるＭＰＵ２１１は、そのＭＰＵ２１１により実行される制御プログラムや固定値データ等を記憶したＲＯＭ２１２と、ワークメモリ等として使用されるＲＡＭ２１３とを有している。
【００７６】
払出制御装置１１１のＲＡＭ２１３は、主制御装置１１０のＲＡＭ２０３と同様に、ＭＰＵ２１１の内部レジスタの内容やＭＰＵ２１１により実行される制御プログラムの戻り先番地などが記憶されるスタックエリアと、各種のフラグおよびカウンタ、Ｉ／Ｏ等の値が記憶される作業エリア（作業領域）とを有している。ＲＡＭ２１３は、パチンコ機１の電源の遮断後においても電源装置１１５からバックアップ電圧が供給されてデータを保持（バックアップ）できる構成となっており、ＲＡＭ２１３に記憶されるデータは、すべてバックアップされる。なお、主制御装置１１０のＭＰＵ２０１と同様、ＭＰＵ２１１のＮＭＩ端子にも、停電等の発生による電源遮断時に停電監視回路２５２から停電信号ＳＧ１が入力されるように構成されており、その停電信号ＳＧ１がＭＰＵ２１１へ入力されると、停電時処理としてのＮＭＩ割込処理（図示せず）が即座に実行される。
【００７７】
払出制御装置１１１のＭＰＵ２１１には、アドレスバスおよびデータバスで構成されるバスライン２１４を介して入出力ポート２１５が接続されている。入出力ポート２１５には、主制御装置１１０や払出モータ２１６、発射制御装置１１２などがそれぞれ接続されている。また、図示はしないが、払出制御装置１１１には、払い出された賞球を検出するための賞球検出スイッチが接続されている。なお、該賞球検出スイッチは、払出制御装置１１１に接続されるが、主制御装置１１０には接続されていない。
【００７８】
発射制御装置１１２は、主制御装置１１０により球の発射の指示がなされた場合に、操作ハンドル５１の回動操作量に応じた球の打ち出し強さとなるよう球発射ユニット１１２ａを制御するものである。球発射ユニット１１２ａは、図示しない発射ソレノイドおよび電磁石を備えており、その発射ソレノイドおよび電磁石は、所定条件が整っている場合に駆動が許可される。具体的には、遊技者が操作ハンドル５１に触れていることをタッチセンサ５１ａにより検出し、球の発射を停止させるための発射停止スイッチ５１ｂがオフ（操作されていないこと）を条件に、操作ハンドル５１の回動操作量（回動位置）に対応して発射ソレノイドが励磁され、操作ハンドル５１の操作量に応じた強さで球が発射される。
【００７９】
音声ランプ制御装置１１３は、音声出力装置（図示しないスピーカなど）２２６における音声の出力、ランプ表示装置（電飾部２９〜３３、表示ランプ３４など）２２７における点灯および消灯の出力、変動演出（変動表示）や予告演出といった表示制御装置１１４で行われる第３図柄表示装置８１の表示態様の設定などを制御するものである。演算装置であるＭＰＵ２２１は、そのＭＰＵ２２１により実行される制御プログラムや固定値データ等を記憶したＲＯＭ２２２と、ワークメモリ等として使用されるＲＡＭ２２３とを有している。
【００８０】
音声ランプ制御装置１１３のＭＰＵ２２１には、アドレスバスおよびデータバスで構成されるバスライン２２４を介して入出力ポート２２５が接続されている。入出力ポート２２５には、主制御装置１１０、表示制御装置１１４、音声出力装置２２６、ランプ表示装置２２７、その他装置２２８、枠ボタン２２などがそれぞれ接続されている。その他装置２２８には、駆動モータ４４１，４５７が含まれる。
【００８１】
音声ランプ制御装置１１３は、主制御装置１１０から受信した各種のコマンド（変動パターンコマンド、停止種別コマンド等）に基づいて、第３図柄表示装置８１の表示態様を決定し、決定した表示態様をコマンド（表示用変動パターンコマンド、表示用停止種別コマンド等）によって表示制御装置１１４へ通知する。また、音声ランプ制御装置１１３は、枠ボタン２２からの入力を監視し、遊技者によって枠ボタン２２が操作された場合は、第３図柄表示装置８１で表示されるステージを変更したり、スーパーリーチ時の演出内容を変更したりするように、表示制御装置１１４へ指示する。ステージが変更される場合は、変更後のステージに応じた背面画像を第３図柄表示装置８１に表示させるべく、変更後のステージに関する情報を含めた背面画像変更コマンドを表示制御装置１１４へ送信する。ここで、背面画像とは、第３図柄表示装置８１に表示させる主要な画像である第３図柄の背面側に表示される画像のことである。表示制御装置１１４は、この音声ランプ制御装置１１３から送信されるコマンドに従って、第３図柄表示装置８１に各種の画像を表示する。
【００８２】
また、音声ランプ制御装置１１３は、表示制御装置１１４から第３図柄表示装置８１の表示内容を表すコマンド（表示コマンド）を受信する。音声ランプ制御装置１１３では、表示制御装置１１４から受信した表示コマンドに基づき、第３図柄表示装置８１の表示内容に合わせて、その表示内容に対応する音声を音声出力装置２２６から出力し、また、その表示内容に対応させてランプ表示装置２２７の点灯および消灯を制御する。
【００８３】
表示制御装置１１４は、音声ランプ制御装置１１３および第３図柄表示装置８１が接続され、音声ランプ制御装置１１３より受信したコマンドに基づいて、第３図柄表示装置８１における第３図柄の変動演出などの表示を制御するものである。また、表示制御装置１１４は、第３図柄表示装置８１の表示内容を通知する表示コマンドを適宜音声ランプ制御装置１１３へ送信する。音声ランプ制御装置１１３は、この表示コマンドによって示される表示内容にあわせて音声出力装置２２６から音声を出力することで、第３図柄表示装置８１の表示と音声出力装置２２６からの音声出力とをあわせることができる。
【００８４】
電源装置１１５は、パチンコ機１の各部に電源を供給するための電源部２５１と、停電等による電源遮断を監視する停電監視回路２５２と、ＲＡＭ消去スイッチ１２２（図３参照）が設けられたＲＡＭ消去スイッチ回路２５３とを有している。電源部２５１は、図示しない電源経路を通じて、各制御装置１１０〜１１４等に対して各々に必要な動作電圧を供給する装置である。その概要としては、電源部２５１は、外部より供給される交流２４ボルトの電圧を取り込み、各種スイッチ２０８などの各種スイッチや、ソレノイド２０９などのソレノイド、モータ等を駆動するための１２ボルトの電圧、ロジック用の５ボルトの電圧、ＲＡＭバックアップ用のバックアップ電圧などを生成し、これら１２ボルトの電圧、５ボルトの電圧およびバックアップ電圧を各制御装置１１０〜１１４等に対して必要な電圧を供給する。
【００８５】
停電監視回路２５２は、停電等の発生による電源遮断時に、主制御装置１１０のＭＰＵ２０１および払出制御装置１１１のＭＰＵ２１１の各ＮＭＩ端子へ停電信号ＳＧ１を出力するための回路である。停電監視回路２５２は、電源部２５１から出力される最大電圧である直流安定２４ボルトの電圧を監視し、この電圧が２２ボルト未満になった場合に停電（電源断、電源遮断）の発生と判断して、停電信号ＳＧ１を主制御装置１１０および払出制御装置１１１へ出力する。停電信号ＳＧ１の出力によって、主制御装置１１０および払出制御装置１１１は、停電の発生を認識し、ＮＭＩ割込処理を実行する。なお、電源部２５１は、直流安定２４ボルトの電圧が２２ボルト未満になった後においても、ＮＭＩ割込処理の実行に充分な時間の間、制御系の駆動電圧である５ボルトの電圧の出力を正常値に維持するように構成されている。よって、主制御装置１１０および払出制御装置１１１は、ＮＭＩ割込処理（図示せず）を正常に実行し完了することができる。
【００８６】
ＲＡＭ消去スイッチ回路２５３は、ＲＡＭ消去スイッチ１２２（図３参照）が押下された場合に、主制御装置１１０へ、バックアップデータをクリアさせるためのＲＡＭ消去信号ＳＧ２を出力するための回路である。主制御装置１１０は、パチンコ機１の電源投入時に、ＲＡＭ消去信号ＳＧ２を入力した場合に、バックアップデータをクリアすると共に、払出制御装置１１１においてバックアップデータをクリアさせるための払出初期化コマンドを払出制御装置１１１に対して送信する。
【００８７】
次いで、図５から図８を参照して、動作ユニット２００の概略構成について説明する。図５は、動作ユニット２００の正面斜視図であり、図６は、動作ユニット２００の分解正面斜視図である。また、図７及び図８は、動作ユニット２００の正面図である。
【００８８】
なお、図７では、上下変位ユニット４００の左右両端に配設された変位部材４３０が、それぞれ退避位置に変位された状態が、図８では、上下変位ユニット４００の左右両端に配設された変位部材４３０がそれぞれ張出位置に変位された状態が、それぞれ図示される。
【００８９】
図５から図８に示すように、動作ユニット２００は、箱状に形成される背面ケース３００を備え、その背面ケース３００の内部空間には、その上方に上下変位ユニット４００が、下方に発光装飾ユニット８００が、それぞれ配設される。
【００９０】
背面ケース３００は、正面視略矩形の底壁部３０１と、その底壁部３０１の４辺の外縁から正面へ向けて立設される外壁部３０２とを備え、それら各壁部３０１，３０２により一面側（正面側）が開放された箱状に形成される。底壁部３０１には、その中央に正面視矩形の開口３０１ａが開口形成され、その開口３０１ａを通じて、底壁部３０１の背面に配設される第３図柄表示装置８１（図２参照）が視認可能とされる。
【００９１】
上下変位ユニット４００は、背面ケース３００の底壁部３０１に配設される正面視略矩形に形成される背面ベース４２０と、その背面ベース４２０に変位可能に配設される変位部材４３０及び装飾部材４５０とを備え、これら変位部材４３０及び装飾部材４５０を、背面ケース３００の上方に退避する退避位置と、背面ケースの開口３０１ａ（即ち、第３図柄表示装置８１）の正面側に張り出す張出位置との間で変位させることができる（図７及び図８参照）。
【００９２】
この場合、装飾部材４５０には、回転ユニット５００が配設されており、回転ユニット５００を回転させると共に、回転ユニット５００に配設する照射ユニット５３０のＬＥＤを発光させることで、光の残像により模様や図柄を表示させることができる。かかる構造の詳細については後述する。
【００９３】
発光装飾ユニット８００は、ベース体８１０と、そのベース体８１０の正面側に配設される発光装置８２０とを主に備え、発光装置８２０の内部に配設された複数のＬＥＤ８２１から発光する光の様態（例えば、照射するＬＥＤ８２１の数）を変更することで、発光による演出を行う。なお、詳細については後述する。
【００９４】
次いで、図９から図４７を参照して、上下変位ユニット４００、回転ユニット５００、センターフレーム６００、振分け装置７００及び発光装飾ユニット８００の詳細構成を説明する。まず、図９から図２４を参照して、上下変位ユニット４００について説明する。
【００９５】
初めに、図９から図１４を参照して、上下変位ユニット４００の全体構成について説明する。図９は、上下変位ユニット４００の正面図であり、図１０は、上下変位ユニット４００の背面図である。図１１及び図１３は、上下変位ユニット４００の正面斜視図であり、図１２及び図１４は、上下変位ユニット４００の背面斜視図である。
【００９６】
図９から図１４に示すように、上下変位ユニット４００は、正面視略Ｌ字形状の正面ベース４１０とその正面ベース４１０の背面側に重ね合される背面ベース４２０と、正面ベース４１０の正面側に配置される駆動モータ４４１と、その駆動モータ４４１の駆動力により回転される変位部材４３０と、その変位部材４３０の一端側に連結されて変位部材４３０の変位に伴って上下方向（図９上下方向）に変位される装飾部材４５０と、正面ベース４１０の一端側の前方に配設される正面カバー４６０と、その正面カバー４６０と正面ベース４１０との対向間の隙間に配設されて装飾部材の摺動を案内する案内棒Ｐ１と、装飾部材４５０の左右方向端部に配設されて装飾部材４５０の変位を規制する側壁部材４７０と、正面ベース４１０の正面側に配設される回転規制部材４８０と、を主に備えて形成される。
【００９７】
なお、上下変位ユニット４００は、装飾部材４５０を除いたすべての部材が左右対称に一対配設され、その一対の対向間に装飾部材４５０が介設される。また、一対に配設される部材の詳細な説明は、正面視左側（図９左側）に配設される部材のみを説明し、正面視右側（図９右側）に配設される部材には、正面視左側の部材と同一の符号を付して、その説明は省略することとする。
【００９８】
正面ベース４１０は、正面視略Ｌ字形状の板状体から形成されると共に、略Ｌ字形状の長辺側を形成する第１片４１０Ｘと、略Ｌ字形状の短辺側を形成する第２片４１０Ｙとを主に備えて形成される。
【００９９】
第１片４１０Ｘは、その延設方向が上下方向（図９上下方向）と平行に配設される。また、第１片４１０Ｘは、左右方向外側端部（左側端部）の正面側に立設する立設部４１２と、上部に断面円弧状に凹設された上側凹溝４１３と、下部に断面円弧状に形成された下側凹溝４１４と、を主に備えて形成される。
【０１００】
立設部４１２は、後述する装飾部材４５０の摺動部４５１と当接して装飾部材４５０の後方への変位を規制する壁であり、第１片４１０Ｘの左側縁部の上部から下部に亘って形成される。
【０１０１】
上側凹溝４１３及び下側凹溝４１４は、その内側に後述する案内棒Ｐ１を内嵌する溝であり、案内棒Ｐ１の外径よりも大きな内径の半円弧状に凹設される。また、上側凹溝４１３及び下側凹溝４１４は、断面半円弧状に形成される軸が同一の直線上に位置して形成されると共に、上側凹溝４１３の上端部から下側凹溝４１４の下端部までの対向間の距離が、案内棒Ｐ１の軸方向寸法よりも大きく設定される。これにより、案内棒Ｐ１の両端部を上側凹溝４１３及び下側凹溝４１４に内嵌することができる。
【０１０２】
第２片４１０Ｙは、正面視縦長矩形に形成され、その中央部に前後方向に貫通する開口４１１と、背面側に突出する係合部４１５と、背面側に円柱形状に突出する軸支部４１６を主に備えて形成される。
【０１０３】
開口４１１は、正面ベース４１０の正面側に取着される駆動モータ４４１の軸部を正面ベース４１０の背面側に挿通するための開口であり、駆動モータ４４１の軸部に嵌合される伝達ギヤ４４２の外形よりも内径が大きく形成される。これにより、駆動モータ４４１が劣化等により故障した際には、駆動モータ４４１を正面ベース４１０から取り外して、開口４１１から伝達ギヤ４４２を上下変位ユニット４００から取り外すことができる。その結果、新しい駆動モータ４４１の軸部に伝達ギヤ４４２を取着した後に、伝達ギヤ４４２を開口４１１を挿通させて配置できるので、駆動モータ４４１の軸部を、正面ベース４１０と背面ベース４２０との対向間に配置された状態の伝達ギヤ４４３の軸孔に挿通させながら、駆動モータ４４１を正面ベース４１０に配置する場合に比べて、簡易に行うことができ、部品交換時の工数を削減することができる。また、この場合、駆動モータ４４１の軸部に伝達ギヤ４４３の軸孔を確実に嵌合させることができるので、部品交換した際の信頼性を向上することができる。
【０１０４】
係合部４１５は、後述するねじりバネＳＰ１の一端を係止するための突起であり、第２片４１０Ｙの背面側から突出すると共に、その突出先端が上下変位ユニット４００の左右方向中央側に屈曲した断面略Ｌ字形状に形成される。これにより、背面側への突出部分でねじりバネＳＰ１の軸周りの回転を規制すると共に、先端の屈曲部分でねじりバネＳＰ１の背面側への変位を規制することができる。
【０１０５】
軸支部４１６は、金属材料からなる円柱形状の棒部材であり、正面ベース４１０の背面側に一端側が嵌合される。
【０１０６】
駆動モータ４４１は、上下変位ユニット４００に駆動力を付与するモータであり、上述したように正面ベース４１０に配設されて、正面ベース４１０と背面ベース４２０との間に配設される伝達ギヤ４４２，４４３に駆動力を伝達することができる。
【０１０７】
伝達ギヤ４４２は、上述したように、軸孔が駆動モータ４４１の軸部に外嵌されて駆動モータ４４１に連結されるギヤであり、伝達ギヤ４４３と歯合して配設される。
【０１０８】
伝達ギヤ４４３は、その軸孔が正面ベース４１０の突起４１７を内嵌した状態で正面ベース４１０と背面ベース４２０との間に回転可能な状態で配設されるギヤであり、上述したように伝達ギヤ４４２と歯合した状態で配設される。よって、駆動モータ４４１の駆動力を伝達ギヤ４４２を介して、伝達ギヤ４４３に伝達できる。
【０１０９】
また、伝達ギヤ４４３は、背面側の側面にから突出する突起４４３ａを備える。突起４４３ａは、金属材料からなり、円柱形状に形成される棒部材であり、伝達ギヤ４４３の外周縁部に配設される。よって、上述したように駆動モータ４４１に駆動力が付与されて伝達ギヤ４４３が回転されると、突起４４３ａは、伝達ギヤ４４３の軸を中心とした円弧状に変位される。
【０１１０】
背面ベース４２０は、正面ベース４１０の第２片４１０Ｙの正面視形状と略同一の外形形状に形成される板部材であり、外縁部に正面側に立設する立設部４２１を備える。
【０１１１】
立設部４２１は、正面ベース４１０と背面ベース４２０との対向間に隙間を形成するための壁であり、立設距離が、変位部材４３０と伝達ギヤ４４３とを合わせた前後方向の寸法よりも大きい寸法に設定され、前方側の端面が正面ベース４１０の背面側に当接した状態で配設される。その結果、正面ベース４１０及び背面ベース４２０の対向間に伝達ギヤ４４２，４４３及び後述する変位部材４３０を配置する隙間を形成することができる。
【０１１２】
変位部材４３０は、正面視略Ｌ字形状に形成されると共に、その外縁部分が背面側に突出する略箱形状に形成される。また、変位部材４３０は、その屈曲部分に前後方向に円形に貫通形成される貫通孔４３３と、長辺側の一側に前後方向に貫通形成される装飾側摺動孔４３２と、短辺側の他側に前後方向に貫通形成される駆動側摺動孔４３１と、長辺側の一側に外縁部分の突出部から突出する変位側係合部４３４と、を主に備える。
【０１１３】
貫通孔４３３は、正面ベース４１０の軸支部４１６が挿入される孔であり、軸支部４１６の外径よりも大きい内径に形成される。よって、正面ベース４１０の軸支部４１６に貫通孔４３３を挿通した後に、正面ベース４１０と背面ベース４２０とが組み合されることで、正面ベース４１０に対して変位部材４３０を変位可能な状態で正面ベース４１０に配設することができる。
【０１１４】
駆動側摺動孔４３１は、伝達ギヤ４４３の突起４４３ａが挿通される長孔であり、短手方向の幅寸法が突起４４３ａの外径よりも大きく設定される。また、駆動側摺動孔４３１は、長手方向が変位部材４３０の短辺側の延設方向（長手方向）と同一方向に形成され、上述したように、伝達ギヤ４４３が駆動モータ４４１の駆動力により回転されると、伝達ギヤ４４３の突起４４３ａがその変位に伴って、駆動側摺動孔４３１の内側を摺動することで、変位部材４３０を貫通孔４３３を中心に回転させる。即ち、駆動モータ４４１を駆動させることで、変位部材４３０に貫通孔４３３を中心とした変位運動をさせることができる。
【０１１５】
装飾側摺動孔４３２は、後述する装飾部材４５０に配設されると共に円柱状に形成される支持部４５２ａが挿通される長孔であり、短手方向の幅寸法が支持部４５２ａの外径よりも大きく形成される。また、装飾側摺動孔４３２は、長手方向が変位部材４３０の長辺側の延設方向（長手方向）と同一方向に形成される。装飾側摺動孔４３２は、上述したように、変位部材４３０が貫通孔４３３を軸に回転されると、貫通孔４３３を中心とした円弧状の変位軌跡とされる。
【０１１６】
変位側係合部４３４は、後述するねじりバネＳＰ１の他端側を係合する突起であり、変位部材４３０の背面側に突設される外縁部分の内周面から突出して形成される。また、変位側係合部４３４は、正面視略Ｌ字に屈曲した変位部材４３０の屈曲内側の側面に形成される。これにより、変位側係合部４３４とが変位部材４３０の背面側との内側に、ねじりバネＳＰ１の他端側を係合させることができる。
【０１１７】
ねじりバネＳＰ１は、そのねじり部分が変位部材４３０の貫通孔４３３（正面ベース４１０の軸支部４１６）の周囲に配設されると共に、変位部材４３０の回転軸周りに正面視左回転（上下変位ユニット４００の正面視右側を構成する変位部材４３０には、その回転軸周りに正面視右回転）の付勢力を与えた状態で、一端側が正面ベース４１０の係合部４１５に、他端側が変位部材４３０の変位側係合部４３４に、それぞれ係合される。これにより、変位部材４３０は、正面ベース４１０に対して貫通孔４３３（正面ベース４１０の軸支部４１６）の軸周りに左回転（上下変位ユニット４００の正面視右側を構成する変位部材４３０は右回転）する方向に常に付勢される。
【０１１８】
装飾部材４５０は、上述したように、左右一対に構成される上下変位ユニット４００の一対の対向間に介設される部材であり、左右方向の大きさが、左右対称に配設される正面ベース４１０の左右方向の外側端部間の距離寸法と同一に設定される。
【０１１９】
装飾部材４５０は、下側が開放した正面視コ字状に形成され、その中央部分を構成する正面ベース４５２と、その正面ベース４５２の左右方向両端部に連結される摺動部４５１と、正面ベース４５２の背面を覆設する背面ベース４５３と、正面ベース４５２の正面側に回転可能に配置される回転ユニット５００と、を主に備えて形成される。
【０１２０】
正面ベース４５２は、正面視横長矩形状の板状体から形成されると共に、上下の端面が背面側に屈曲する断面コ字状に形成される。正面ベース４５２は、背面側から突出する支持部４５２ａと、左右方向両端部から正面側に突出する係合部４５２ｂと、左右方向両端の正面側に平滑に形成される当接面４５２ｈと、その当接面４５２ｈの下端に形成される傾斜面４５２ｇと、を主に備えて形成される。
【０１２１】
支持部４５２ａは、上述したように、変位部材４３０の装飾側摺動孔４３２に挿入される棒部材であり、円柱形状の棒状体に形成される。これにより、変位部材４３０がモータ４４１の駆動力により変位されて、変位部材４３０の装飾側摺動孔４３２が貫通孔４３３を軸に回転変位すると、装飾側摺動孔４３２の内部に挿入された支持部４５２ａが装飾側摺動孔４３２の変位に伴って変位される。その結果、支持部４５２ａが変位されることで、装飾部材４５０を変位させることができる。
【０１２２】
係合部４５２ｂは、後述する付勢ばねＳＰ２の他端が係合される突起であり、正面ベース４５２の両端部の正面側から鉤形状に突設される。
【０１２３】
当接面４５２ｈは、後述する規制ユニット４９０のローラ４９２ａと当接する平滑面であり、ローラ４９２ａが転動できる平滑な面に形成される。傾斜面４５２ｇは、当接面４５２ｈの下端部分に下方に向かって正面側から背面側に傾斜する面である。これにより、後述する規制ユニット４９０と装飾部材４５０とを当接させやすくできる。なお、規制ユニット４９０と装飾部材４５０との当接についての詳しい説明は後述する。
【０１２４】
摺動部４５１は、上下方向に延設された断面矩形状の棒状体であり、正面ベース４５２の左右両端部に連結して配設される。また、摺動部４５１は、上下方向に開口した貫通孔４５１ａを備える。貫通孔４５１ａは、内部に案内棒Ｐ１を挿通する開口であり、案内棒Ｐ１の外径よりも大きい内径の円形に形成される。
【０１２５】
これにより、駆動モータ４４１の駆動力により変位部材４３０が変位され、上述したように装飾部材４５０が変位されると、正面ベース４５２の両端に配設された摺動部４５１によりその変位の方向が規制される。その結果、装飾部材４５０は、案内棒Ｐ１の軸方向（上下方向）に沿って変位される。即ち、装飾部材４５０は、駆動モータ４４１から駆動力が付与されることで、上下方向にスライド変位することができる。
【０１２６】
背面ベース４５３は、左右方向略中央位置の正面ベース４５２の背面側に覆設される板部材であり、正面ベース４５２の中央部分と正面視における外形の大きさが略同一に形成される。これにより、正面ベース４５２と背面ベース４５３との内部空間にギヤ４５４〜４５６を回転可能に配設できる。また、背面ベース４５３の背面には、回転ユニット５００に回転の駆動力及び制御信号を出力する駆動モータ４５７が取着される。なお、ギヤ４５４〜４５６、駆動モータ４５７の詳しい説明は後述する。
【０１２７】
正面カバー４６０は、正面ベース４１０の第１片４１０Ｘの前方側に対向して配設され、第１片４１０Ｘの前方を覆設する部材であり、正面視において第１片４１０Ｘの外形形状と略同一の形状に形成される。正面カバー４６０は、その外側縁部から背面側に立設する立設壁４６１を備え、背面側が開放する箱状体に形成される。
【０１２８】
立設壁４６１は、上側を形成する側面から上方に突設される上側溝形成部材４６２と、下側を形成する側面から下方に突設される下側溝形成部材４６３と、を備える。
【０１２９】
上側溝形成部材４６２は、正面ベース４１０の上側凹溝４１３と対向する位置に形成されると共に、背面側に半円弧状に凹設される凹溝４６２ａが形成される。一方、下側溝形成部材４６３は、正面ベース４１０の下側凹溝４１４と対向する位置に形成されると共に、背面側に半円弧状に凹設される凹溝４６３ａが形成される。
【０１３０】
凹溝４６２ａ，４６３ａは、その内側に、案内棒Ｐ１を内嵌する溝であり、案内棒Ｐ１の外径よりも大きな内径の半円弧状に凹設される。また、凹溝４６２ａ，４６３ａは、半円弧状に凹設される軸が同一の直線上に形成されると共に、凹溝４６２ａの上端部から凹溝４６３ａの下端部までの対向間の距離が、案内棒Ｐ１の軸方向寸法よりも大きく設定される。これにより、案内棒Ｐ１の両端部を凹溝４６２ａ，４６３ａに内嵌することができる。
【０１３１】
従って、正面カバー４６０を、正面ベース４１０の前方に配設した際に、上側凹溝４１３及び凹溝４６２ａと下側凹溝４１４及び凹溝４６３ａとの対向間に案内棒Ｐを挟持することができ、正面ベース４１０に案内棒Ｐ１を脱落不能な状態で配設することができる。その結果、案内棒Ｐ１が挿通される装飾部材４５０の摺動部４５１を正面ベース４１０に対して脱落不可能に保持することができる。
【０１３２】
また、上下変位ユニット４００の左右方向外側に形成される正面カバー４６０の立設壁４６１と、正面ベース４１０の第１片４１０Ｘに形成される立設部４１２との前後方向の対向間の距離寸法は、装飾部材４５０の摺動部４５１の前後方向の厚み寸法と略同一、若しくは、少し大きく設定され、その対向間に摺動部４５１の左右方向外側の端部が配置される。これにより、上述したように、装飾部材４５０が上下方向に変位される際に、装飾部材４５０が前後方向にがたつくことを抑制することができる。
【０１３３】
側壁部材４７０は、上下変位ユニット４００の左右方向中央側の両端に配設される部材であり、側面視において背面側に屈曲した略Ｌ字形状の板状体から形成される。また、側壁部材４７０の正面側の端面には、左右方向外側に屈曲する壁面が形成され、その壁面に、後述する規制ユニット４９０が取着される。
【０１３４】
さらに、側壁部材４７０には、上下変位ユニット４００に対して左右方向（図９左右方向）中央側の側面に凹凸や色彩などにより模様が付されて、遊技者が遊技盤１３のセンターフレーム８６（図２参照）の中央の開口部を介してその側壁部材４７０の模様を視認可能に配設される。これにより、側壁部材４７０よりも左右方向外側に配設される上下変位ユニット４００（例えば、正面カバー４６０など）を遊技者から視認不能にできる。
【０１３５】
回転規制部材４８０は、正面視横長矩形の板状体から形成され、背面側に前後方向に軸を備える円環形状のローラ４８１が回転可能に取着される。また、回転規制部材４８０は、正面視においてその外形が正面ベース４１０の第２片４１０Ｙ外形に比べて略半分に形成され、正面ベース４１０の前方に所定の間隙を備えて配設される。
【０１３６】
回転規制部材４８０は、後述する回転ユニット５００を初期位置に復帰させる部材であり、ローラ４８１と上面ベース５１０とが当接することにより、回転ユニット５００の初期位置を規定することができる。
【０１３７】
付勢ばねＳＰ２は、正面ベース４１０と装飾部材４５０とを連結して、装飾部材４５０を上方に付勢するコイルスプリングであり、一端が正面ベース４１０の係合部４１８に係合されて、他端が装飾部材４５０の係合部４１２ｂに係合される。これにより、装飾部材４５０は、正面ベース４１０に対して常に上方に向かって付勢される。従って、後述する変位によって、装飾部材４５０が第２位置から第１位置に変位された際には、装飾部材４５０を第２位置へ変位させやすくすることができる。また、付勢ばねＳＰ２は、中央部でローラ４１９の外周面に沿って屈曲される。これにより、付勢ばねＳＰ２の長さを確保でき付勢力が増加しすぎることを抑制できる。
【０１３８】
次いで、以上のように構成された上下変位ユニット４００の動作について、図１５から図１７を参照して説明する。
【０１３９】
図１５から図１７の（ａ）は、上下変位ユニット４００の正面図であり、図１５（ａ）は上昇位置に配置された状態に、図１６（ａ）は上昇位置と下降位置との間に配置された状態に、図１７（ａ）は、下降位置に配置された状態に、それぞれ対応する。
【０１４０】
図１５（ｂ）は図１５（ａ）における、図１６（ｂ）は図１６（ａ）における、図１７（ｂ）は図１７（ａ）における、上下変位ユニット４００の背面図にそれぞれ対応する。なお、図１５（ｂ）、図１６（ｂ）及び図１７（ｂ）では、理解を容易とするために、背面ベース４２０を取り外した状態が図示される。
【０１４１】
図１５（ａ）及び図１５（ｂ）に示すように、上下変位ユニット４００が上昇位置に配置された状態（以下、この状態を「第２位置」と称す）では、変位部材４３０がその一側（装飾側摺動孔４３２が形成される長辺側）を上方に振り上げた状態とされ、装飾部材４５０が最上方に位置される。装飾部材４５０の支持部４５２ａは、変位部材４３０の装飾側摺動孔４３２の内側であって、貫通孔４３３の軸から径方向外側端部に近接して位置される。
【０１４２】
また、この状態では、変位部材４３０の一側（駆動側摺動孔４３１が形成される短辺側）の回転方向が、伝達ギヤ４４３の回転軸と突起４４３ａとを結んだ直線の方向と略一致する。即ち、変位部材４３０の駆動側摺動孔４３１の延設方向と、伝達ギヤ４４３の回転軸および突起４４３ａを結んだ直線の方向とが直交する状態（変位部材４３０と伝達ギヤ４４３とが死点を形成する状態）となる。従って、変位部材４３０は、貫通孔４３３を軸とする回転運動ができなくなり、変位部材４３０に連結される装飾部材４５０の重みで変位部材４３０が回転変位することを抑制することができる。
【０１４３】
図１５（ａ）及び図１５（ｂ）に示す状態から、一対の駆動モータ４４１がそれぞれ回転駆動され、各伝達ギヤ４４３が回転されると、その伝達ギヤ４４３の突起４４３ａが、変位部材４３０の駆動側摺動孔４３１を摺動して、左右の変位部材４３０をそれぞれ下方へ押し下げる。
【０１４４】
これにより、左右の変位部材４３０が、貫通孔４３３の軸を回転中心として回転され、図１６（ａ）及び図１６（ｂ）に示すように、装飾部材４５０が下方へ変位される。この状態から、一対の駆動モータ４４１の回転駆動により、各伝達ギヤ４４３が更に回転されると、左右の変位部材４３０が更に下方へ押し下げられて、図１７（ａ）及び図１７（ｂ）に示すように、装飾部材４５０が下降位置（以下、この状態を「第１位置」と称す）に配置される。
【０１４５】
図１７（ａ）及び図１７（ｂ）に示すように、上下変位ユニット４００が第１位置に配置された状態では、左右の変位部材４３０がその一側（駆動側摺動孔４３１が形成される短辺側）を下方に振り下げた姿勢とされることで、装飾部材４５０が最下方に位置し第３図柄表示装置８１（図２参照）の前面側に張りだされた状態とされる。
【０１４６】
また、この場合（上下変位ユニット４００が下降位置に配置された場合）、変位部材４３０の装飾側摺動孔４３２は、上下変位ユニット４００の左右方向中央部に向かって下方傾斜となり、貫通孔４３３から径方向外側の端部側に装飾部材４５０の支持部４５２ａの側面が当接される。これにより、支持部４５２ａには、装飾部材４５０の重みが、重力方向に変位する力と、上下変位ユニット４００の左右方向から中央部に向かう方向の力とを作用させることができる。その結果、後述する装飾部材４５０の回転ユニット５００の変位動作により、装飾部材４５０が上下左右方向にがたつくことを抑制することができる。
【０１４７】
さらに、変位部材４３０の他側（駆動側摺動孔４３１が形成される短辺側）の回転方向が、伝達ギヤ４４３の回転軸と突起４４３ａとを結んだ直線の方向と略一致する。即ち、変位部材４３０の駆動側摺動孔４３１の延設方向と、伝達ギヤ４４３の回転軸および突起４４３ａを結んだ直線の方向とが直交する状態（変位部材４３０と伝達ギヤ４４３とが死点を形成する状態）となる。従って、変位部材４３０は、貫通孔４３３を軸とする回転運動ができなくなり、装飾部材４５０が、後述する回転ユニット５００の変位動作により上下方向にがたついた際に、そのがたつきにより変位部材４３０が変位されることを抑制できる。その結果、装飾部材４５０ががたつくｌｐｔｐを抑制することができる。
【０１４８】
また、装飾部材４５０の両端部の前方に、規制ユニット４９０が配置される。これにより、装飾部材４５０の前後方向の変位を規制することができる。なお、規制ユニット４９０の詳しい説明は後述する。
【０１４９】
次いで、図１８から図２４を参照して規制ユニット４９０について説明する。
【０１５０】
初めに、図１８から図２０を参照して、規制ユニット４９０の全体構成を説明する。図１８は、規制ユニット４９０の分解正面斜視図であり、図１９は、ローラ部材４９２の分解正面斜視図である。図２０（ａ）は、規制ユニット４９０の側面図であり、図２０（ｂ）は、規制ユニット４９０の背面図であり、図２０（ｃ）は、図２０（ｂ）のＸＸｃ−ＸＸｃ線における規制ユニット４９０の断面図である。
【０１５１】
図１８から図２０に示すように、規制ユニット４９０は、背面側が開口する箱状に形成されるケース部材４９１と、そのケース部材４９１の内部に配設されるローラ部材４９２と、ケース部材４９１の開放した（開口側の）外縁に配設される外縁部材４９３と、を主に備えて形成される。
【０１５２】
ケース部材４９１は、正面側の側面から突設する突設部４９１ａと、左右方向両側の側面に半円形状に切り欠かれる切欠き部４９１ｂと、開口と対向する内側側面から背面側に膨出する膨出部４９１ｃと、を主に備えて形成される。
【０１５３】
突設部４９１ａは、上述した側壁部材４７０にケース部材４９１を締結するための突起であり、正面側に締結孔が穿設され、その締結孔に正面側から側壁部材４７０を介してねじを締結することで、側壁部材４７０に規制ユニット４９０を配設することができる。
【０１５４】
切欠き部４９１ｂは、ケース部材４９１の左右方向両側の側面に上下方向に２つ並んで半円形状に切り欠かれて形成される。切欠き部４９１ｂは、内部にローラ部材４９２のカラー４９２ｃを挿入するための切り欠きであり、その内径がローラ部材４９２のカラー４９２ｃの外径よりも大きく設定される。
【０１５５】
膨出部４９１ｃは、ケース部材４９１の開放側と対向する側面（正面壁の背面）の上下方向（図２０（ｃ）上下方向）中央よりも下方側から膨出して形成される。また、膨出部４９１ｃは、ローラ部材４９２のローラ４９２ａとの間に所定の隙間を備える。
【０１５６】
ローラ部材４９２は、弾性部材から軸直断面視円環形状に形成されるローラ４９２ａと、そのローラ４９２ａの内部に挿入される軸部４９２ｂと、軸部４９２ｂに軸支されると共にローラ４９２ａの両側に配設される一対のカラー４９２ｃと、そのカラー４９２ｃよりも外側の軸部４９２ｂに外嵌される一対の止め輪Ｅ１と、を備えて構成される。
【０１５７】
軸部４９２ｂは、ローラ４９２ａの内周に挿通される部材であり、ローラ４９２ａの内周の内径と略同一の円柱形状に形成されると共に、軸方向寸法がケース部材４９１の左右方向の側面間の幅寸法よりも大きく設定される。また、軸部４９２ｂの軸方向両端部には、軸方向に凹設される凹部４９２ｂ１が形成される。凹部４９２ｂ１は、軸部４９２ｂの全周に亘って形成され、軸方向の外径が、後述する止め輪Ｅ１の内径よりも小さく形成される。
【０１５８】
カラー４９２ｃは、正面視円環形状に形成されると共に、断面略階段形状に形成され、小径筒部４９２ｃ１とその小径筒部４９２ｃ１よりも外径の大きい大径筒部４９２ｃ２とから形成される。また、カラー４９２ｃの内径（小径筒部４９２ｃ１及び大径筒部４９２ｃ２の内径）は、軸部４９２ｂの外径よりも小さく形成され、内部に軸部４９２ｂを挿通することができる。
【０１５９】
小径筒部４９２ｃ１は、ケース部材４９１の切欠き部４９１ｂに内嵌される部分であり、上述したように、小径筒部４９２ｃ１の外径がケース部材４９１の切欠き部４９１ｂの内径よりも大きく形成される。
【０１６０】
大径筒部４９２ｃ２は、ローラ部材４９２がケース部材４９１に配設された際に、左右方向の変位を規制するための部材であり、大径筒部４９２ｃ２の外径がケース部材４９１の切欠き部４９１ｂの内径よりも大きく設定される。また、ローラ４９２ａの軸方向両端に配設される一対の大径筒部４９２ｃ２の軸方向外側の側面間の距離寸法は、ケース部材４９１の開口する内側における左右の側面の対向間の距離寸法よりも小さく形成される。
【０１６１】
止め輪Ｅ１は、Ｅリング（Ｅ型止め輪）であり、軸部４９２ｂの凹部４９２ｂ１に、開口部分を広げて凹部４９２ｂ１の周囲にはめ込まれる。即ち、止め輪Ｅ１の内周の内径は、凹部４９２ｂ１の外径と略同一に設定される。
【０１６２】
以上のように構成されるローラ部材４９２は、次のようにして組み立てられる。まず、軸部４９２ｂの一方の端部側の凹部４９２ｂ１に止め輪Ｅ１を外嵌した後に、他方の端部から１のカラー４９２ｃに小径筒部４９２ｃ１を一方側（止め輪Ｅ１を外嵌した側）に向けた状態で軸部４９２ｂを挿通させる。次に、軸部４９２ｂに他方の端部からローラ４９２ａを挿通させた後に、１のカラー４９２ｃを大径筒部４９２ｃ２を一方側に向けた（止め輪Ｅ１を外嵌した側）状態で軸部４９２ｂに挿通させる。その後、軸部４９２ｂの他方側の凹部４９２ｂ１に１の止め輪Ｅ１を外嵌する。
【０１６３】
これにより、一対の止め輪Ｅ１の対向間の軸部４９２ｂに軸支されるローラ４９２ａ及び一対のカラー４９２ｃは、止め輪Ｅ１により左右方向の変位が規制される。その結果、ローラ４９２ａ及び一対のカラー４９２ｃを軸部４９２ｂから外れないようにできる。
【０１６４】
外縁部材４９３は、正面視縦長矩形状の枠状体に形成され、ケース部材４９１の背面側（開放側）に配設される部材である。外縁部材４９３は、正面視における内周の形状がケース部材４９１の背面視における開口の内周の形状と略同一の形状に形成される。また、外縁部材４９３の正面側（ケース部材４９１側）の側面には、内縁部の周囲に正面側に立設する立設部４９３ａが形成される。
【０１６５】
立設部４９３ａには、背面側に凹設される凹設部４９３ａ１が形成される。凹設部４９３ａ１は、ケース部材４９１の切欠き部４９１ｂと対向する位置に形成される。よって、ローラ部材４９２のカラー４９２ｃをケース部材４９１の切欠き部４９１ｂと凹設部４９３ａ１との対向間に挟み込むことで、ローラ部材４９２をケース部材４９１に配設することができる。
【０１６６】
以上のように構成されるローラ部材４９２は、次のようにして組み立てられる。初めに、ケース部材４９１の切欠き部４９１ｂに、ローラ部材４９２の軸方向両端部に配設されたカラー４９２ｃを軸支する様態で上下に２つ配設する。次に、ケース部材４９１の背面側から外縁部材４９３を立設部４９３ａ側を正面側にした（ケース部材４９１側に向けた）状態で、ケース部材４９１に締結固定する。これにより、ローラ部材４９２がケース部材４９１に対して回転可能に配設されると共に、ケース部材４９１から落下することを抑制することができる。
【０１６７】
次に、図２１から図２４を参照して、規制ユニット４９０の動作について説明する。
【０１６８】
図２１は、第１位置における上下変位ユニット４００の正面図である。図２２（ａ）は、図２１のＸＸＩＩ部における上下変位ユニット４００の拡大図であり、図２２（ｂ）は、図２２（ａ）のＸＸＩＩｂ−ＸＸＩＩｂ線における上下変位ユニット４００の断面図である。なお、図２２（ａ）では、ローラ４９２ａ及び装飾部材４５０の外形が破線で図示される。
【０１６９】
図２３（ａ）から図２３（ｃ）は、上下変位ユニット４００の部分拡大正面図であり、図２４（ａ）は、図２３（ａ）のＸＸＩＶａ−ＸＸＩＶａ線における上下変位ユニット４００の断面図であり、図２４（ｂ）は、図２３（ｂ）のＸＸＩＶｂ−ＸＸＩＶｂ線における上下変位ユニット４００の断面図であり、図２４（ｃ）は、図２３（ｃ）のＸＸＩＶｃ−ＸＸＩＶｃ線における上下変位ユニット４００の断面図である。なお、図２３（ａ）から図２３（ｃ）は、上下変位ユニット４００の遷移状態が図示され、ローラ４９２ａ及び装飾部材４５０の外形が破線で図示される。
【０１７０】
図２１及び図２２に示すように、上下変位ユニット４００が第１位置に位置する際には、装飾部材４５０が下方に位置される。この場合、上述したように、装飾部材４５０の両端部は、規制ユニット４９０の背面側に位置される。
【０１７１】
この場合、装飾部材４５０が第１位置に配置され、後述する回転ユニット５００が回転されると、その回転変位に伴って、装飾部材４５０が正面ベース４１０に対してがたつくことがある。そこで、装飾部材４５０と正面ベース４１０とを係合させる係合手段を設け、がたつきを抑制するものがある。係合手段は、装飾部材４５０又は正面ベース４１０の一方に配設され付勢手段により付勢される係合部材と、その係合部材に係合可能に形成されると共に装飾部材４５０又は正面ベース４１０の他方に配設される被係合部材とを備え、正面ベース４１０に対する装飾部材４５０の変位（第１位置へ向かう変位）を利用して、係合部材を付勢手段の付勢力に抗しつつ後退させ、装飾部材４５０が第１位置に配置されると、係合部材を付勢手段の付勢力で前進させて被係合部材に係合させる。これにより、正面ベース４１０に対する本体部材の相対的な変位が係合手段の係合により規制され、変位部材の変位に伴う本体部材のベース部材に対するがたつきが抑制される。
【０１７２】
しかしながら、このような従来の係合手段では、係合手段を係合状態とする（本体部材を第１位置に配置する）ためには、付勢手段の付勢力に抗して係合部材を後退させる必要があるだけでなく、係合手段の係合状態を解除する（装飾部材４５０を第１位置から第２位置へ向けて変位させる）際にも、付勢手段の付勢力に抗して係合部材を後退させる必要があり、装飾部材４５０を正面ベース４１０に対して変位させる際に必要な駆動力が嵩むという問題点があった。
【０１７３】
これに対し、本実施形態では、装飾部材４５０の正面ベース４５２の当接面４５２ｈが、規制ユニット４９０のローラ４９２ａと当接した様態とされるので、正面ベース４１０の相対的な変位を規制して、回転ユニット５００の回転変位に伴う装飾部材４５０の正面ベース４１０に対するがたつきを抑制できる。
【０１７４】
この場合、装飾部材４５０が第１位置へ配置されるされる際の変位方向と規制ユニット４９０のローラ部材４９２の回転方向とが略平行に設定されるので、装飾部材４５０を第１位置へ変位させる際には、その変位に伴って規制ユニット４９０のローラ部材４９２を回転されることができるので、装飾部材４５０を正面ベース４１０に対して変位させるされ位に必要な駆動力を抑制できる。
【０１７５】
また、ローラ４９２ａは、上述したように弾性変形可能な弾性体から形成されるので、正面ベース４５２の当接面４５２ｈに規制ユニット４９０のローラ４９２ａが当接される際には、ローラ４９２ａの外周面側を弾性変形させて、正面ベース４５２にローラ４９２ａを保持させやすくできる。これにより、ローラ４９２ａを回転し難くして装飾部材４５０の正面ベース４１０に対するがたつきを抑制できる。
【０１７６】
なお、弾性体としては、ゴムやウレタンなどに例示される粘弾性体であることが好ましい。この場合には、その制振効果によって、回転ユニット５００の変位に伴い装飾部材４５０から正面ベース４１０へ入力される振動を減衰・絶縁させる振動減衰機能または振動絶縁機能を果たすことができ、正面ベース４１０側に配設される各種機器の摩耗や故障、締結部の緩みなどを抑制できるからである。特に、回転ユニット５００が周期的に変位される場合（例えば、バーサライタとして機能するために、比較的高速で回転される場合など）には、比較的小振幅かつ高周波数の振動が装飾部材４５０から正面ベース４１０へ入力されるため、粘弾性体を採用することが特に有効となる。
【０１７７】
また、装飾部材４５０と規制ユニット４９０（ローラ４９２ａ）とが当接した際に、ローラ４９２ａが弾性変形される分、上下変位ユニット４００の製品精度および組み付け誤差を吸収することができる。よって、部品を成形する際の精度を高くする必要がなくなり、部品の製造コストを安価にすることができる。その結果、製品の製造コストを削減することができる。
【０１７８】
さらに、装飾部材４５０と規制ユニット４９０（ローラ４９２ａ）とが当接する際の衝突音をローラ４９２ａの弾性変形により吸収できるので、遊技者に、装飾部材４５０が変位する際の音が聞こえることを抑制することができ、遊技者の興趣を損なうことを抑制することができる。また、ローラ４９２ａの回転軸方向は、装飾部材４５０の変位方向と直交する向きであるので、装飾部材４５０の変位に伴ってローラ４９２ａを回転させることができ、装飾部材４５０とローラ４９２ａとが当接して変位する際に、互いの部材がこすれる音を抑制できる。即ち、変位部材に突起を当接させて変位部材の停止の補助やがたつきを抑制するものであると、変位部材が突起とが当接状態で変位する際に互いの部材が擦れ合って音が発生する。
【０１７９】
これに対し、本実施形態では、ローラ４９２ａと装飾部材４５０とを当接させた後で、ローラ４９２ａを装飾部材４５０の変位方向に沿って回転させることができるので、ローラ４９２ａと装飾部材４５０とが擦れることを抑制でき、装飾部材４５０とローラ４９２ａとが擦れる音を発生することを抑制できる。
【０１８０】
また、正面ベース４１０に対する装飾部材４５０の規制が、正面ベース４１０に締結固定される側壁部材４７０の規制ユニット４９０により可能であるので、装飾部材４５０に比較的重量が嵩む規制ユニット４９０を配設する必要がない分、装飾部材４５０を軽量化して装飾部材４５０の変位に必要な駆動力を抑制できる、また、回転ユニット５００の変位に伴う装飾部材４５０の正面ベース４１０に対するがたつきを抑制する際には、振動源となる装飾部材４５０を軽量化できるので、がたつきを抑制しやすくできる。
【０１８１】
次に、図２３及び図２４を参照して、装飾部材４５０が第２位置から第１位置に変位する際の、装飾部材４５０と規制ユニット４９０との当接様態を説明する。
【０１８２】
図２３（ａ）及び図２４（ａ）に示すように、装飾部材４５０が、規制ユニット４９０よりも上方に位置する際には、ローラ４９２ａの外周面は、装飾部材４５０やケース部材４９１と当接することなく配置される。
【０１８３】
図２３（ａ）及び図２４（ａ）に示す状態から、装飾部材４５０が下方に変位されて、図２３（ｂ）及び図２４（ｂ）に示すように、装飾部材４５０の下端面がケース部材４９１の上下方向略中間位置と略同一の上下方向の位置に変位された際には、規制ユニット４９０の上方に配設されるローラ４９２ａの外周面と、装飾部材４５０の前面とが当接した状態とされる。これにより、装飾部材４５０が、前後左右にがたつくことを抑制することができる。
【０１８４】
即ち、上側に配設されるローラ４９２ａが、装飾部材４５０に押し出されて径方向に変位されつつ回転して、装飾部材４５０と前後方向（図２４（ｂ）左右方向）に当接した様態とされるので、装飾部材４５０が前後方向にがたつくことを抑制される。また、ローラ４９２ａは、軸部４９２ｂの軸周りの一方向に回転可能であり、装飾部材４５０が左右に動く方向には回転することができないので、装飾部材４５０が左右方向にがたつくことを抑制することができる。
【０１８５】
一方、ローラ４９２ａは、軸部４９２ｂの軸周りに回転可能であるので、ローラ４９２ａと回転ユニット５００とが当接された状態であっても、第１位置では、装飾部材４５０を上下方向に変位させることができる。
【０１８６】
また、上述したように、正面ベース４５２の当接面４５２ｈの下端には、傾斜面４５２ｇが形成されるので、装飾部材４５０が第１位置へ配置される際には、傾斜面４５２ｇを利用してローラ４９２ａを当接面４５２ｈの正面側に案内することができる。これにより、装飾部材４５０を第１位置へ配置する際に必要な駆動力を抑制できる。
【０１８７】
図２３（ｂ）及び図２４（ｂ）に示す状態から、装飾部材４５０がさらに下方に変位されて第１位置に位置されると、規制ユニット４９０に配設される２つのローラ４９２ａの外周面と装飾部材４５０の前面とを当接させた状態とすることができる。
【０１８８】
ここで、上下に変位される装飾部材４５０のがたつきを、その装飾部材４５０の変位方向に沿って回転する回転体（ローラ４９２ａ）で抑制するものであると、回転体（ローラ４９２ａ）が装飾部材４５０の変位方向に沿ってすることを規制して、上下方向のがたつきに対して装飾部材４５０が変位しないように規制することが難しい。
【０１８９】
これに対し、本実施形態では、上述したように、変位部材４３０の他側（駆動側摺動孔４３１が形成される短辺側）の回転方向が、伝達ギヤ４４３の回転軸と突起４４３ａとを結んだ直線の方向と略一致するので、装飾部材４５０を第１位置で上下方向にがたつくことを抑制することができる。即ち、本実施形態では、規制ユニット４９０により装飾部材４５０の変位を第１位置へ変位する上下方向の変位のみを許容することができると共に、第２位置では、伝達ギヤ４４３と変位部材４３０とが死点を形成することで、装飾部材４５０が上下方向にがたつくことを抑制することができる。その結果、正面ベース４１０に対する装飾部材４５０の相対的な変位を規制できるので、回転ユニット５００の変位に伴う装飾部材４５０の正面ベース４１０に対するがたつきを抑制できる。
【０１９０】
また、上下方向に並んで配設されるローラ４９２ａの下方に配置されるローラ４９２ａは、装飾部材４５０だけでなく、ケース部材４９１の膨出部４９１ｃと当接した様態とされる。
【０１９１】
即ち、下側に配設されるローラ４９２ａは、装飾部材４５０と当接された際に、そのローラ４９２ａのゴム成分が正面側（図２４（ｃ）右側）に押し出される（弾性変形される）ことで、正面側の外周面をケース部材４９１の膨出部４９１ｃの側面に当接させて、装飾部材４５０の当接面４５２ｈとケース部材４９１の膨出部４９１ｃとの間にローラ４９２ａを挟み込むことができる。これにより、ローラ４９２ａが、軸部４９２ｂ周りに回転する際の抵抗を増加させて、ローラ４９２ａを回転し難くできる。従って、装飾部材４５０が上下方向に変位する際の抵抗を増加できる。その結果、正面ベース４１０に対する装飾部材４５０の相対的な変位を規制できるので、回転ユニット５００の変位に伴う装飾部材４５０の正面ベース４１０に対するがたつきを抑制できる。
【０１９２】
ここで、装飾部材４５０の当接面４５２ｈとケース部材４９１の膨出部４９１ｃとの間にローラ４９２ａを挟み込む様態としては、ローラ４９２ａの軸部４９２ｂを前後方向（図２４（ｃ）左右方向）に変位させて、ローラ４９２ａを装飾部材の当接面４５２ｈとケース部材４９１の膨出部４９１ｃとの間に挟む様態を形成することも考えられるが、この場合、ローラ４９２ａの軸部４９２ｂを径方向に変位可能にさせる構造が必要となる。
【０１９３】
これに対し、本実施形態では、ローラ４９２ａを弾性体から形成して、その弾性変形を利用して、ローラ４９２ａを装飾部材４５０の当接面４５２ｈとケース部材４９１の膨出部４９１ｃとの間に挟むことができるので、ローラ４９２ａの軸部４９２ｂを径方向に変位可能に形成する必要がなく、軸部４９２ｂを正面ベース４１０に固定される軸として形成できる。これにより、構造を簡素化して、耐久性の向上と製品コストの削減とを図ることができる。
【０１９４】
また、ローラ４９２ａが弾性変位して、装飾部材４５０の当接面４５２ｈとケース部材４９１の膨出部４９１ｃとの間に挟まれるので、回転ユニット５００の変位に伴う装飾部材４５０の正面ベース４１０に対するがたつきにより、装飾部材４５０及びケース部材４９１の膨出部４９１ｃとの間にローラ４９２ａが挟み込まれた場合には、ローラ４９２ａの弾性回復力を利用して、装飾部材４５０及びケース部材４９１の膨出部４９１ｃにローラ４９２ａをより強固に保持させやすくできる。これにより、ローラ４９２ａを回転し難くして、正面ベース４１０に対する装飾部材４５０の相対的ながたつきを抑制できるので、回転ユニット５００の回転変位に伴う装飾部材４５０の正面ベース４１０に対するがたつきを抑制できる。
【０１９５】
さらに、装飾部材４５０が上方から下端の位置に変位するに従って、変位抵抗を増加させることができるので、第１位置で装飾部材４５０を停止させる際に、その停止動作により、他の部品が破損することを抑制することができる。
【０１９６】
即ち、本実施形態では、装飾部材４５０の中央部に回転ユニットを備えるので、重力方向に変位されて停止する際に、各部品に装飾部材４５０の重みに加えて、変位した際の運動エネルギーが作用するので、部品が破損しやすい。
【０１９７】
一方で、本実施形態では、第１位置に変位される際に、その停止の動作を補助をすることができるので、より破損し易い方向の停止の動作の補助ができる。その結果、部品が破損することを効果的に抑制することができ、製品の信頼性を向上することができる。
【０１９８】
さらに、ローラ４９２ａは、装飾部材４５０の変位方向に沿って上下に２つ並設されるので、装飾部材４５０の当接面４５２ｈが、所定の間隔を隔てて２箇所で当接される。よって、装飾部材４５０が傾倒することを抑制でき、回転ユニット５００の上面ベース５１０に対するがたつきを抑制できる。その結果、回転ユニット５００の回転変位に伴う装飾部材４５０の正面ベース４１０に対するがたつきを効果的に抑制できる。
【０１９９】
また、後述する回転ユニット５００の回転平面は正面ベース４５２の当接面４５２ｈ（即ち、ローラ４９２ａが当接される面）と略同一に設定される。即ち、回転ユニット５００の回転平面は、正面ベース４５２の当接面４５２ｈとローラ４９２ａの回転軸とのそれぞれに平行に配置される。これにより、装飾部材４５０を第１位置へ配置する際および第１位置から第２位置へ変位させる際に必要な駆動力を抑制しつつ、回転ユニット５００の回転変位に伴う装飾部材４５０の正面ベース４１０に対するがたつきを効果的に抑制できる。
【０２００】
詳しく説明すると、回転ユニット５００の変位形態が回転であるので、装飾部材４５０は、回転ユニット５００の歳差運動（回転ユニット５００の回転軸が円をえがくように振れる運動）に起因して、回転ユニット５００の回転平面を傾倒させる態様（モード）で振動される。よって、回転ユニット５００の回転平面が、正面ベース４５２の当接面４５２ｈと回転ユニット５００の回転軸とにそれぞれ略平行とされることで、正面ベース４５２の当接面４５２ｈ（即ち、ローラ４９２ａが当接される面）を、ローラ４９２ａの回転軸に直交する方向からローラ４９２ａの外周面に押し付けることができる。その結果、装飾部材４５０を第１位置へ配置する際および第１位置から第２位置へ変位させる際には、ローラ４９２ａが回転されることで、装飾部材４５０の変位に必要な駆動力を抑制しつつ、ローラ４９２ａの外周面への正面ベース４５２の当接面４５２ｈの当接により、回転ユニット５００の変位（回転）に伴う装飾部材４５０の正面ベース４１０に対するがたつきを効果的に抑制できる。
【０２０１】
次に図２５から図３６を参照して、装飾部材４５０に配設される回転ユニット５００について説明する。
【０２０２】
初めに、図２５及び図２６を参照して、装飾部材４５０の全体構成について詳細な説明をする。図２５は、装飾部材４５０の分解正面斜視図であり、図２６は、装飾部材４５０の分解背面斜視図である。
【０２０３】
図２５及び図２６に示すように、装飾部材４５０は、正面ベース４５２と背面ベース４５３との対向間に配設されるギヤ４５４〜４５６と、背面ベース４５３の背面側に取着される駆動モータ４５７と、正面ベース４５２の背面側に取着される信号伝達機構４５８と、を主に備えて形成される。
【０２０４】
正面ベース４５２は、その中央部に背面側に凹設される凹部４５２ｃが形成される。凹部４５２ｃは、正面視円環状に凹設され、その軸部分に前後方向に貫通形成される挿通孔４５２ｆと、左右方向の両端部の側面に左右方向に開口された開口４５２ｄ，４５２ｅが形成される。
【０２０５】
背面ベース４５３は、正面ベース４５２の正面視形状よりも小さい正面視横長矩形状の板状体から形成され、中央部に前後方向に開口する開口４５３ｂと、正面視右側に円形状に前後方向に開口する挿通孔４５３ａと、正面側に円柱形状に突出する軸支部４５３ｃ，４５３ｄと、を主に備えて形成される。
【０２０６】
挿通孔４５３ａは、後述する駆動モータ４５７の軸部が挿通される開口であり、駆動モータ４５７の軸部と対向する位置に開口されると共に、駆動モータ４５７の軸部の外径よりも大きい内径の円形に開口される。開口４５３ｂは、後述する信号伝達機構４５８を挿通させる開口であり、信号伝達機構４５８の正面視形状よりも大きい内形の孔形状に形成される。
【０２０７】
軸支部４５３ｃ，４５３ｄは、後述するギヤ４５５，４５６の軸部分に挿通される軸部であり、各ギヤ４５５，４５６の内径よりも小さい外径の円柱形状に設定される。
【０２０８】
駆動モータ４５７は、内部に位置検出用のエンコーダが組み込まれたモータであり、モータの回転角度および回転速度を検出できる。駆動モータ４５７は、上述したように背面ベース４５３の背面に取着され、駆動モータ４５７の軸部が背面ベース４５３の挿通孔４５３ａに挿通されると共に、背面ベース４５３の正面側からネジやボルト等で締結固定される。
【０２０９】
ギヤ４５４は、ギヤ４５５に歯合されると共に、背面ベース４５３の挿通孔４５３ａを挿通された駆動モータ４５７の軸部に固着されて配設される。また、ギヤ４５４は、背面ベース４５３と正面ベース４５２との対向間よりも前後方向の厚みが小さく形成され、背面ベース４５３が正面ベース４５２に配設された際に、正面ベース４５２及び背面ベース４５３の側面に当接することなく回転することができる。駆動モータ４５７から回転の駆動力が付与されると、ギヤ４５４が回転されると共に、そのギヤ４５４に歯合されるギヤ４５５に回転の駆動力を伝達できる。
【０２１０】
ギヤ４５５は、後述する回転ユニット５００の背面ベース５７１（図２６参照）に歯合されると共に、軸孔が背面ベース４５３の前方に突出する軸支部４５３ｃを挿通して軸支部４５３ｃを軸に回転可能に配設される。また、ギヤ４５５は、背面ベース４５３と正面ベース４５２との対向間よりも前後方向の厚みが小さく形成され、背面ベース４５３が正面ベース４５２に配設された際に、正面ベース４５２及び背面ベース４５３の側面に当接することなく回転することができる。駆動モータ４５７から回転の駆動力が付与されると、ギヤ４５４からギヤ４５５に回転の駆動力が伝達されて、背面ベース５７１が回転される。その結果、回転ユニット５００が回転される。
【０２１１】
なお、ギヤ４５５は、その一部が正面ベース４５２の第１開口４５２ｄに挿通されて配設され、正面ベース４５２の前方に配設される回転ユニット５００の背面ベース５７１に歯合される。
【０２１２】
回転ユニット５００の背面ベース５７１には、ギヤ４５６が歯合される。ギヤ４５６は、初期位置（基準位置）を検出するための突起がその側面（軸方向端面）に突設される部材であり、その軸孔が背面ベース４５３の軸支部４５３ｄに外嵌されて背面ベース４５３に配設される。また、ギヤ４５６は、その一部が第２開口４５２ｅに挿通され背面ベース５７１に歯合される。さらに、ギヤ４５６は、背面ベース４５３と正面ベース４５２との対向間よりも前後方向の厚みが小さく形成され、背面ベース４５３が正面ベース４５２に配設された際に、正面ベース４５２及び背面ベース４５３の側面に当接することなく回転することができる。駆動モータ４５７から回転の駆動力が付与され、ギヤ４５４、ギヤ４５５及び回転ユニット５００（背面ベース５７１）が回転されると、背面ベース５７１から回転の駆動力が伝達されてギヤ４５６が回転される。その結果、回転ユニット５００の初期位置を検出することができる。
【０２１３】
この場合、ギヤ４５６の外周面に刻設されるギヤ歯の歯数と、回転ユニット５００の背面ベース５７１の外周面に刻設されるギヤ５７１ａ１のギヤ歯の歯数とは同一に設定されており、回転ユニット５００の１回転毎にギヤ４５６を１回転させることができる。これにより、初期の位置検出（基準位置）を簡易に行うことができる。
【０２１４】
信号伝達機構４５８は、回転する回転ユニット５００の照射ユニット５３０に電力や信号を伝達するスリップリングであり、前方から突出される軸部４５８ａが回転できるように構成される。また、軸部４５８ａは、断面略Ｄ字状に形成されると共に、その内部に通路が開口されてその通路に電気配線が挿通される。
【０２１５】
背面ベース４５３の開口４５３ｂを挿通させて、正面ベース４５２の背面側に信号伝達機構４５８が取着されると、信号伝達機構４５８の軸部４５８ａがその軸部４５８ａの内部に挿通された電気配線と共に正面ベース４５２の前方から突出された様態とされる。
【０２１６】
次に、図２７から図２９を参照して、回転ユニット５００の全体構成を説明する。図２７は、回転ユニット５００の分解正面斜視図であり、図２８は、回転ユニット５００の分解背面斜視図である。図２９（ａ）は、回転ユニット５００の上面図であり、図２９（ｂ）は、図２９（ａ）のＸＸＩＸｂ方向視における回転ユニット５００の正面図であり、図２９（ｃ）は、図２９（ａ）のＸＸＩＸｃ−ＸＸＩＸｃ線における回転ユニット５００の断面図である。なお、回転ユニット５００の説明は、初期位置（基準位置）における状態での説明をするものとする。
【０２１７】
図２７から図２９に示すように、回転ユニット５００は、上の側面を形成する上面ベース５１０と、下の側面を形成する下面ベース５２０と、上面ベース５１０の下方に配設される照射ユニット５３０と、その照射ユニット５３０の下方に配設される中間部材５４０と、その中間部材５４０の下方に配設される反射板５６０と、反射板５６０の前方に配設される正面カバー５５０と、上面ベース５１０と下面ベース５２０との背面側に配設される回転伝達ユニット５７０と、を主に備えて形成される。
【０２１８】
回転伝達ユニット５７０は、駆動モータ４５７の回転を上面ベース５１０及び下面ベース５２０へ伝達するためのユニットであり、背面側に配設される背面ベース５７１と、正面側に配設される正面ベース５７２と、正面ベース５７２及び背面ベース５７１の対向間に挟持されるベアリングＢＲと、そのベアリングＢＲの内側に配設される締結部材５７３と、を主に備えて形成される。
【０２１９】
背面ベース５７１は、正面視円環形状に形成され、その内周縁部から背面側に背面視円環形状に膨出する膨出部５７１ａが形成される。膨出部５７１ａには、その外側側面にギヤ５７１ａ１が刻設される。ギヤ５７１ａ１は、上述したように、ギヤ４５５に歯合される。これにより、駆動モータ４５７に駆動力を付与することで、回転の駆動力が各ギヤ４５４，４５５を介して背面ベース５７１（ギヤ５７１ａ１）伝達され、回転ユニット５００が回転される。
【０２２０】
正面ベース５７２は、正面視円環形状に形成されると共に、外周縁部から立設される外側立設部５７２ａと、内周円部から正面視Ｕ字形状に立設する内側立設部５７２ｂと、を備える。
【０２２１】
外側立設部５７２ａは、背面ベース５７１の前面と正面ベース５７２の背面との間に隙間を形成して、その対向間にベアリングＢＲと締結部材５７３とを挟持するための壁部であり、ベアリングＢＲの軸方向の幅寸法と略同一の立設高さに設定されると共に、ベアリングＢＲの外径と略同一の内形に設定される。
【０２２２】
また、外側立設部５７２ａの立設先端側の側面は、背面ベース５７１の前面と当接されると共に、背面ベース５７１の背面側から挿通されたネジが締結固定される。これにより、背面ベース５７１と正面ベース５７２とが締結固定される。
【０２２３】
内側立設部５７２ｂは、上述した信号伝達機構４５８の軸部４５８ａが回転される際に、回転ユニット５００の内部と信号伝達機構４５８の軸部４５８ａとを連結する配線がねじれることを抑制する部材であり、背面視略Ｕ字形状に立設され、その内形が信号伝達機構４５８の軸部４５８ａの正面視形状の外形と略同一または少し大きく形成される。
【０２２４】
よって、回転ユニット５００を正面ベース４５２に配設する際に、内側立設部５７２ｂを信号伝達機構４５８の軸部４５８ａに外嵌することができる。従って、回転ユニット５００が回転されると、内側立設部５７２ｂと信号伝達機構４５８の軸部４５８ａとの互いの平面部分がかみ合い、信号伝達機構４５８の軸部４５８ａを回転させることができる。その結果、回転ユニット５００と信号伝達機構４５８とを連結する配線がねじれることを抑制することができる。
【０２２５】
ベアリングＢＲは、回転ユニット５００を正面ベース４５２に対して回転させた際に、その回転が正面ベース４５２に伝達されることを抑制する部材であり、内径および外径の異なる円環形状の金属部材を２つ組み合わせると共に、その両部材の間に球状もしくは円柱形状の金属体を嵌め込んで形成される。
【０２２６】
ベアリングＢＲの外径は、正面ベース５７２の外側立設部５７２ａの内径と略同一に設定される。これにより、ベアリングＢＲを正面ベース５７２の外側立設部５７２ａに固定させて配設することができる。この場合、背面ベース５７１の内径は、ベアリングＢＲの外径よりも小さく設定される。よって、正面ベース５７２と背面ベース５７１との対向間にベアリングＢＲを挟持した際に、ベアリングＢＲが回転伝達ユニット５７０から外れることが抑制される。
【０２２７】
締結部材５７３は、回転ユニット５００を正面ベース４５２に締結する部材である。締結部材５７３は、正面視円環形状に形成されると共に、正面側の外周面から突出される突壁部５７３ａを備える。
【０２２８】
締結部材５７３の外径は、ベアリングＢＲの内径と略同一に形成される。一方、締結部材５７３の内径は、正面ベース５７２の内側立設部５７２ｂの外形よりも大きく形成される。これにより、締結部材５７３は、その外縁部がベアリングＢＲの内縁部に内嵌されると共に、内縁部に正面ベースの内側立設部５７２ｂを挿通させた様態で回転伝達ユニット５７０に配設される。
【０２２９】
突壁部５７３ａは、組み上げられた回転伝達ユニット５７０から締結部材５７３が取り外されることを抑制するための突出部であり、締結部材５７３の外周面から一定の突出寸法で全周に亘って突出形成され、その外径寸法がベアリングＢＲの内径よりも大きく設定される。よって、締結部材５７３をベアリングＢＲの正面側からベアリングＢＲに内嵌させることで、組み上げられた回転伝達ユニット５７０から締結部材５７３が取り外されることを抑制できる。
【０２３０】
詳しく説明すると、締結部材５７３をベアリングＢＲの前方からベアリングＢＲに内嵌させることで締結部材５７３をベアリングＢＲに対して後方に移動させることを規制することができる。一方、締結部材５７３の正面側への移動は、ベアリングＢＲが正面ベース５７２と背面ベース５７１との対向間に配設されることで、締結部材５７３の正面側の側面と正面ベース５７２の背面側の側面とが当接されて規制される。その結果、組み上げられた回転伝達ユニット５７０から締結部材５７３が外れることを抑制できる。
【０２３１】
また、ベアリングＢＲを外嵌した締結部材５７３が正面ベース４５２に締結されるので、回転ユニット５００が回転された際の回転運動を正面ベース４５２に伝達することを抑制できる。
【０２３２】
即ち、回転ユニット５００が回転された際には、ベアリングＢＲの外側に配設される円環形状の金属体のみを回転させて、内側に配設される円環形状の金属体にその回転を非伝達とすることで、締結部材５７３が回転されることを抑制できる。その結果、装飾部材４５０に対して回転ユニット５００を回転させることができる。
【０２３３】
上面ベース５１０は、上面視した際に背面側（図２９（ａ）上側）に湾曲する円弧形状に形成されると共に、その前縁部が下方（図２９（ａ）紙面奥側）に湾曲する湾曲形状に形成される。また、上面ベース５１０は、左右方向（図２９（ｂ）左右方向）中央部に正面視半円状に膨出する装飾部５１１と、上下方向（板圧方向）に貫通される送風孔５１２と、下側に円柱形状に突出する押圧部５１３とを主に備えて形成される。
【０２３４】
装飾部５１１は、上述した回転伝達ユニット５７０の正面ベース５７２の上部側と締結される部分であり、背面側に正面ベース５７２と締結される締結孔が穿設されると共に、正面視した際の半円形状の半径が、正面ベース５７２の外径の半径よりも大きく形成される。これにより、回転伝達ユニット５７０の正面ベース５７２と締結されて、正面視した際に正面ベース５７２の上部側を視認不能とすることができる。
【０２３５】
送風孔５１２は、上下方向（図２９（ｃ）上下方向）に貫通する貫通孔であり、前後方向（図２９（ａ）上下方向）に長く開口される長孔形状に形成される。また、送風孔５１２は、上面ベース５１０の円弧形状に沿って左右方向に複数個が形成される。
【０２３６】
押圧部５１３は、上面ベース５１０を下面ベース５２０と組み合わせた際に、その対向間に挟持する照射ユニット５３０と上面ベース５１０との間に隙間を形成すると共に、照射ユニット５３０が動くことを規制するための突起であり、その突出高さが、照射ユニット５３０の上面側の側面までの高さに設定される（図２９（ｃ）参照）。また、押圧部５１３は、上面ベース５１０の背面側の縁部に複数個突出形成される。
【０２３７】
下面ベース５２０は、上面ベース５１０と略同一の形状に形成されると共に、回転伝達ユニット５７０の軸を中心に上面ベース５１０と対称に配置される。なお、下面ベースに形成される装飾部５２１及び送風孔５２２は、上面ベース５１０に形成される装飾部５１１及び送風孔５１２と同一形状であるのでその詳しい説明は省略する。
【０２３８】
なお、下面ベース５２０の装飾部５２１は、回転伝達ユニット５７０の正面ベース５７２の下部側と締結される部分であり、回転伝達ユニット５７０の正面ベース５７２と締結されて、正面視した際に正面ベース５７２の下部側を視認不能とすることができる。よって、上面ベース５１０と下面ベース５２０とを合わせることで、回転ユニット５００を回転させる際の機構を遊技者が目視することで、遊技者の興趣が損なうことを抑制できる。
【０２３９】
照射ユニット５３０は、基盤部材５３１と、その基盤部材５３１の下面側に配設されるＬＥＤ５３２とを主に備えて形成される。
【０２４０】
基盤部材５３１は、上面視の外形形状が、上面ベース５１０の上面視形状よりも少し小さい外形形状の板状体から形成される。これにより、上面ベース５１０と下面ベース５２０とを上下方向に組み合わせて配設した際に、基盤部材５３１を上下方向から視認不能とすることができる。
【０２４１】
また、基盤部材５３１は、正面側の縁部に上下方向に貫通する貫通孔５３１ａが形成される。貫通孔５３１ａは、基盤部材５３１の配置がずれることを抑制する部材であり、その詳しい説明は後述する。基盤部材５３１には、上述した信号伝達機構４５８の軸部４５８ｂの配線が連結される。これにより、基盤部材５３１に組み込まれたＩＣやコンデンサを介して後述するＬＥＤ５３２から光を照射することができる。
【０２４２】
ＬＥＤ５３２は、表面実装型ＬＥＤとして形成され、正面視における外形（樹脂セラミックから成型されたキャビティの外形）が矩形に形成されると共に、光を照射する照射面（キャビティ内に封入されたエポキシやシリコンなどの封入樹脂の表面）が正面視円形状に形成される。また、ＬＥＤ５３２は、基盤部材５３１の下面側に配設されると共に、基盤部材５３１の上面視円弧形状に沿って左右方向に複数個が並んで配設される。これにより、ＬＥＤ５３２は、後述する反射板５６０に光を照射することができる。
【０２４３】
中間部材５４０は、上面視の外形が上面ベース５１０の上面視形状と略同一の板状体から形成される。これにより、上面ベース５１０と下面ベース５２０とを上下方向に組み合わせて配設した際に、その対向間に中間部材５４０を配設することができる。
【０２４４】
正面カバー５５０は、透明な光透過性材料から形成されると共に、上面視円弧形状に形成される。また、正面カバー５５０は、中間部材５４０側に配置される。
【０２４５】
反射板５６０は、外面に銀色の装飾（メッキ）が施されると共に、上面視の外形が上面ベース５１０の上面視形状と略同一の板状体から形成される。また、反射板５６０は、正面側の側面が後方に切り欠かれた凹欠部５６４を備える。
【０２４６】
凹欠部５６４は、上述した正面カバー５５０がその切り欠き部分に挿入されることで、正面カバー５５０の前面を上面ベース５１０、下面ベース５２０及び中間部材５４０の前面と略同一の位置にして配設できる。即ち、正面カバー５５０の前後方向の幅寸法は、反射板５６０の凹欠部５６４の前面から上面ベース５１０、下面ベース５２０及び中間部材５４０の前面までの距離寸法に設定されて形成される。これにより、正面カバー５５０を回転ユニット５００から突出して配設されることを抑制することができる。その結果、回転ユニット５００を凹凸の少ない一体のユニットとして組み上げることができ、回転ユニット５００を視認した際に、部品毎の外形形状を分かり難くして、遊技者の興趣が損なわれることを抑制できる。
【０２４７】
次に、図３０を参照して、中間部材５４０の詳細な説明をする。図３０（ａ）は、中間部材５４０の上面図であり、図３０（ｂ）は、図３０（ａ）のＸＸＸｂ−ＸＸＸｂ線における中間部材５４０の部分拡大断面図である。
【０２４８】
図３０（ａ）及び図３０（ｂ）に示すように、中間部材５４０は、上面視した際に外縁部から上方向（上面ベース５１０が配設される方向）に立設する第１外縁部５４１及び第２外縁部５４２と、上下方向に貫通形成される照射孔５４３と、その照射孔５４３の周囲から突設される照射規制部５４４と、正面側の縁部に突設される突設部５４５と、照射規制部５４４の外周縁部に凹設される溝部５４６、を主に備えて形成される。
【０２４９】
第１外縁部５４１は、中間部材５４０の正面側の外縁部に形成される。第１外縁部５４１の正面側（図３０（ａ）下側）の上面視における湾曲形状の内径寸法は、照射ユニット５３０の基盤部材５３１の上面視における正面側の湾曲形状の外径寸法と略同一に設定される。また、第１外縁部５４１の立設寸法は、基盤部材５３１の厚み寸法（上下方向寸法）よりも大きく設定される。よって、回転ユニット５００が組み上げられた際には、照射ユニット５３０を第１外縁部５４１により遮蔽して、正面側から視認不能とすることができる。
【０２５０】
第２外縁部５４２は、中間部材５４０の背面側の外縁部に形成される。第２外縁部５４２の背面側（図３０（ａ）上側）の上面視における形状は、照射ユニット５３０の基盤部材５３１の上面視における背面側の形状と略同一に形成される。また、第２外縁部５４２の立設寸法は、第１外縁部５４１よりも低く設定される。よって、回転ユニット５００が組み上げられた際には、照射ユニット５３０の下側側面が第２外縁部５４２の立設先端面に当接した様態で配設される。よって、導入した外気を背面へスムーズに排出できくる。
【０２５１】
照射孔５４３は、照射ユニット５３０に配設される複数のＬＥＤ５３２から照射される光をそれぞれ個別に分割するための孔であり、照射ユニット５３０に配設されるＬＥＤ５３２と対向する位置に開口される。これにより、隣合うＬＥＤ５３２の光が、他の範囲を照射することを抑制できる。また、照射ユニット５３０側の照射孔５４３の内径は、ＬＥＤ５３２の照射面の外径と略同一に設定され、それらの互いの軸が同軸上に配置される。これにより、ＬＥＤ５３２から発光された光を照射孔５４３を介して、後述する反射板５６０の反射部５６３へ効率的に入射させることができる。
【０２５２】
また、照射孔５４３は、上面側（ＬＥＤ５３２側）から下面側に向かって内径が大きく形成される。これにより、ＬＥＤ５３２から発光された光を照射孔５４３を介して、反射板５６０の反射部５６３へ効率的に入射させることができる。
【０２５３】
照射規制部５４４は、上述した照射孔５４３の周囲に突設される。これにより、ＬＥＤ５３２と中間部材５４０の上面との対向間の隙間を小さくすることができるので、ＬＥＤ５３２の光を照射孔５４３へ入射しやすくでき、照射孔５４３の外へ漏れることを抑制できる。その結果、残像効果による残像表示の光の強さを高めることができる。
【０２５４】
また、照射規制部５４４の突出寸法は、第２外縁部５４２の立設寸法と略同一に設定され、回転ユニット５００が組み上げられた際に、照射規制部５４４の突出先端面と照射ユニット５３０のＬＥＤ５３２とが当接される。これにより、隣接するＬＥＤの光が照射孔５４３へ入射されることを抑制できるので、残像効果による残像表示の外径を明確とできる。また、照射ユニット５３０側の照射孔５４３の内径は、ＬＥＤ５３２の照射面の外径と略同一に設定されるので、ＬＥＤ５３２に当接する照射規制部５４４の面積を確保できるので、各ＬＥＤ５３２の光が照射孔５４３の外へ漏れ出ることを抑制できる。その結果、残像効果による残像表示の光の強さを高めることができる。
【０２５５】
さらに、照射規制部５４４は、隣接する照射規制部５４４と互いの外周面どうしが連結されるので、中間部材５４０の剛性を高めることができる。この場合、照射規制部５４４は外周面が円形に形成され、隣接する照射規制部５４４と互いの外周面どうしが連結される。即ち、複数の照射規制部５４４どうしが連結された群は、外形が凸凹（外方に凸の円弧が複数連なる形状）に形成されるので、空間（表面積）を確保して、放熱効果を高めつつ、外形の凸凹を利用して、中間部材５４０の剛性を高めることができる。
【０２５６】
突設部５４５は、照射ユニット５３０が前後左右に動くことを規制する突起であり、回転ユニット５００が組み上げられた際に、基盤部材５３１の貫通孔５３１ａに挿通される位置に形成される。また、突設部５４５は、外径形状の異なる円柱を上下に組み合わせた形状に形成され、基部側の大径部５４５ａとその大径部５４５ａよりも小径とされる先端側の小径部５４５ｂとから形成される。
【０２５７】
大径部５４５ａは、中間部材５４０に照射ユニット５３０を配設した際に、中間部材５４０と基盤部材５３１との対向間に所定の隙間を形成するための突部であり、基盤部材５３１の貫通孔５３１ａの内径よりも大きい外形に設定されると共に、その突出寸法が、第２外縁部５４２の立設寸法と略同一に設定される。
【０２５８】
これにより、中間部材５４０に照射ユニット５３０を配設した際に、正面側の中間部材５４０と照射ユニット５３０の基盤部材５３１との対向間隔が規定される。一方、背面側の中間部材５４０と照射ユニット５３０の基盤部材５３１との対向間隔は、第２外縁部５４２により規定される。また、大径部５４５ａの突出距離と第２外縁部５４２の立設距離とが略同一に設定されるので、照射ユニット５３０の基盤部材５３１上下方向の側面を中間部材５４０の上下方向の側面に対して平行に配設することができる。
【０２５９】
小径部５４５ｂは、中間部材５４０に照射ユニット５３０を配設した際に、中間部材５４０に対して、照射ユニット５３０を位置決めするための突部であり、基盤部材５３１の貫通孔５３１ａの内径と略同一もしくは少し小さい外径に設定される。よって、中間部材５４０に照射ユニット５３０を配設する際に、中間部材５４０の小径部５４５ｂに基盤部材５３１の貫通孔５３１ａを外嵌させることで、中間部材５４０に対する照射ユニット５３０を前後左右方向への移動を規定できる。
【０２６０】
溝部５４６は、照射規制部５４４の基部に沿って延設されると共に、断面コ字状に凹設される溝である。溝部５４６の凹設の分、中間部材５４０の側面と外気とが接触する面積が増えるので、中間部材５４０の放熱性が向上される。また、中間部材５４０の剛性を確保しつつ、放熱効果を高めることができる。即ち、照射規制部５４４の基部に沿って延設される溝状の溝部５４６を形成することで、中間部材５４０に凹設される領域を最小として、その中間部材５４０の剛性を確保しつつ、ＬＥＤ５３２の動作により、発生する熱が特に集中する部分に対して空間を拡大して、放熱効果を高めることができる。
【０２６１】
なお、溝部５４６の溝幅は、照射規制部５４４の外周縁部から照射孔５４３までの距離寸法よりも小さく設定され、溝部５４６の凹設深さは、中間部材５４０の板厚の半分よりも小さく設定される。
【０２６２】
次に、図３１を参照して、正面カバー５５０の詳細な説明をする。図３１（ａ）は、正面カバー５５０の正面図であり、図３１（ｂ）は、図３１（ａ）のＸＸＸＩｂ−ＸＸＸＩｂ線における正面カバー５５０の部分拡大断面図である。なお、図３１（ｂ）では、拡散部５５１が模式的に図示される。
【０２６３】
図３１（ａ）及び図３１（ｂ）に示すように、正面カバー５５０は、下側（図３１（ｂ）左側）の内縁側（図３１（ｂ）上側）の側面に、拡散部５５１を備えて形成される。
【０２６４】
拡散部５５１は、粗面加工された部分であり、拡散部５５１に照射される光を、その粗面により乱反射させて拡散させることができる。なお、粗面加工とは、表面に凹凸を形成する加工様態のことである。
【０２６５】
次に、図３２を参照して、反射板５６０の詳細な説明をする。図３２（ａ）は、反射板５６０の上面図であり、図３２（ｂ）は、図３２（ａ）のＸＸＸＩＩｂ−ＸＸＸＩＩｂ線における反射板５６０の部分拡大断面図である。なお、図３２（ｂ）では、反射部５６３が模式的に図示される。
【０２６６】
図３２（ａ）及び図３２（ｂ）に示すように、反射板５６０は、上面側（図３２（ａ）紙面手前側）に立設する仕切壁５６１と、その仕切壁５６１に囲まれた領域の上面に形成される反射部５６３と、背面側の縁部に沿って立設する立設壁５６２と、を主に備えて形成される。
【０２６７】
仕切壁５６１は、上面視において、正面側（図３２（ａ）下側）が開放するＵ字状に立設されると共に、反射板５６０の正面側の縁部に沿ってに左右方向に複数個が並んで形成される。また、隣合う互いの立設壁５６２は、正面方向に延設される壁部が組み合わされて（兼用されて）１の壁部とされる。これにより、仕切壁５６１を並設するスペースを小さくすることができる。その結果、仕切壁５６１を形成する個数を最大とすることができる。
【０２６８】
反射部５６３は、上面視において、反射板５６０の正面側の縁部と仕切壁５６１との間に囲まれる領域の上面がレーザー加工等により粗面加工されて形成される。また、反射部５６３は、反射板５６０の上面および下面と平行な側面から形成される水平部５６３ａと、水平部５６３ａと連結して水平部５６３ａから離間するに従って反射板５６０の板厚が拡大する方向に傾斜する傾斜面５６３ｂと、を主に備えて形成される。
【０２６９】
水平部５６３ａは、反射板５６０の上面および下面と平行な側面のうち、正面側の縁部以外の側面に形成される。即ち、正面側の縁部には、水平部５６３ａ（反射部５６３）が形成されず、粗面加工されない。これにより、反射板５６０の正面側の縁部を保持して反射部５６３を形成することができる。その結果、粗面加工する際の保持部分を反射板５６０に別途形成する必要がなく、製造コストを低くすることができる。
【０２７０】
傾斜面５６３ｂは、主に、上面側に配設される照射ユニット５３０のＬＥＤ５３２から照射される光を正面側に反射させる部分であり、ＬＥＤ５３２の照射面に対して正面側に４５度傾けた傾斜面に形成される。
【０２７１】
また、水平部５６３ａと傾斜面５６３ｂとの連結位置は、その連結する直線が、ＬＥＤ５３２の照射面の軸を通過する位置に設定される。これにより、ＬＥＤ５３２から照射される光のうちの背面側に向かって照射される光は、傾斜面５６３ｂによって効果的に正面側に反射させることができる。一方、ＬＥＤ５３２から照射される光のうちの正面側に照射される光は、水平部５６３ａによって、正面側に反射させることができる。
【０２７２】
立設壁５６２は、上述したように、反射板５６０の背面側の縁部に沿って立設され、その立設高さが、仕切壁５６１の立設高さと同一の高さに設定される。これにより、回転ユニット５００を組み上げた（反射板５６０の上部に中間部材５４０を配置した）際に、立設壁５６２と仕切壁５６１との間に空間を形成することができる。即ち、反射板５６０と中間部材５４０との間に空気層を形成することができる。その結果、反射板５６０及び中間部材５４０の内部に熱が蓄えられることを抑制することができ、回転ユニット５００が熱を蓄えて、回転ユニット５００に配設される照射ユニット５３０の基盤部材５３１が破損することを抑制することができる。
【０２７３】
以上のように、構成される回転ユニット５００は次のようにして組み上げられる。初めに、ベアリングＢＲの内円部分に締結部材５７３を正面側から内嵌すると共に、締結部材５７３の内円部分を正面ベース５７２の内側立設部５７２ｂに外嵌する。正面ベース５７２、ベアリングＢＲ及び締結部材５７３を一体にした後に、その背面側に背面ベース５７１を配設して正面ベース５７２と背面ベース５７１とを締結して回転伝達ユニット５７０をユニットとして組み上げる。
【０２７４】
回転ユニット５００の前方部分（回転伝達ユニット５７０を除いた部分）は、反射板５６０の下側に下面ベース５２０が配置されて、下面ベース５２０と反射板５６０とが締結される。下面ベース５２０と反射板５６０とが締結固定された後に、反射板５６０の上面側に中間部材５４０が正面側に正面カバー５５０を挟んだ状態で重ね合される。その中間部材５４０の上面に照射ユニット５３０が、その貫通孔５３１ａを中間部材５４０の突設部５４５の小径部５４５ｂに外嵌した状態で、配設される。この状態で、上面ベース５１０を上方から配置すると共に、中間部材５４０と締結することで、回転ユニット５００の前方部分（回転伝達ユニット５７０を除いた部分）がユニットとして組み上げられる。
【０２７５】
次に、回転ユニット５００の前方部分の後方に回転伝達ユニット５７０を配置すると共に、回転ユニット５００と回転伝達ユニット５７０とを締結することで回転ユニット５００が１のユニットとして組み上げられる。
【０２７６】
次に、図３３及び図３４を参照して、照射ユニット５３０のＬＥＤ５３２から照射される光について説明する。図３３（ａ）は、回転ユニット５００の上面図であり、図３３（ｂ）は、図３３（ａ）のＸＸＸＩＩＩｂ−ＸＸＸＩＩＩｂ線における回転ユニット５００の断面図である。図３４の（ａ）及び（ｂ）は、図３３（ｂ）のＸＸＸＩＶ部における回転ユニット５００の部分拡大断面図である。
【０２７７】
なお、図３３（ａ）では、回転ユニット５００から上面ベース５１０及び照射ユニット５３０が取り外された状態が図示される。また、図３４（ａ）及び図３４（ｂ）では、ＬＥＤ５３２から照射される光が２点鎖線で図示される。
【０２７８】
図３３（ａ）及び図３３（ｂ）に示すように、中間部材５４０の照射孔５４３の下方には、仕切壁５６１に囲まれることで１の領域として区画された反射部５６３が配置される。上述したように、各照射孔５４３の上側には、各ＬＥＤ５３２が配置されるので、それぞれのＬＥＤ５３２から照射される光をそれぞれ異なる位置の反射部５６３に照射させることができる。即ち、各ＬＥＤ５３２から発光された光を、各反射部５６３で区画された状態で出射させることができるので、各ＬＥＤ５３２の光の区切りを明確とできる。その結果、各ＬＥＤ５３２から発光された光を対応する反射部５６３のみから出射させることができるのでき、残像効果による残像表示の外形を明確とできる。
【０２７９】
また、ＬＥＤ５３２の光を、中間部材５４０の照射孔５４３を介して、対応する反射板５６０の反射部５６３へ入射させる構造体を反射板５６０及び中間部材５４０の２部材から形成するので、かかる構造体を一部材から構成する場合と比較して、構造を簡素化することができる。よって、製品コストの削減を図ることができる。
【０２８０】
図３４（ａ）に示すように、照射ユニット５３０のＬＥＤ５３２から反射板５６０の傾斜面５６３ｂに照射される光は、傾斜面５６３ｂの粗面により乱反射されて、正面側（図３４（ａ）下側）に反射され、正面カバー５５０を透過して、遊技機正面側に出射される。即ち、ＬＥＤ５３２から照射される光を、回転ユニット５００の前方（正面側）に出射させることができる。従って、基盤部材５３１の姿勢を、ＬＥＤ５３２が搭載される面を回転ユニット５００の回転軸に略平行とする場合でも、ＬＥＤ５３２の光（点滅）を遊技者に視認させ、残像効果による残像表示を行うことができる。
【０２８１】
また、反射板５６０の傾斜面５６３ｂにより、ＬＥＤ５３２から照射される光を効率的に遊技者側に出射させることができる。よって、より強い光を回転ユニット５００の正面側へ出射させることができる。従って、残像効果による残像表示の光の強さを高めることができる。
【０２８２】
なお、ＬＥＤ５３２から反射部５６３の傾斜面５６３ｂに照射される光の中には、傾斜面５６３ｂの粗面により乱反射されて、中間部材５４０及び反射板５６０の対向する面に反射される光がある。中間部材５４０及び反射板５６０の対向する面に反射される光は、その面（中間部材５４０及び反射板５６０の対向する面）により再び反射されることで正面カバー５５０に照射される。
【０２８３】
この場合、上述したように中間部材５４０は、光の吸収率が黒色よりも低い白色で形成されるので、中間部材５４０に反射される光を、再び反射させやすくできる。一方、反射板５６０は、上述したように、外面に銀色の装飾が施されており、反射板５６０に反射される光を、再び反射させやすくできる。
【０２８４】
よって、ＬＥＤ５３２から反射部５６３に照射される光を、粗面により乱反射させて、均等に分散させた状態で、回転ユニット５００の正面側（遊技者側へ）出射させることができる。即ち、反射部５６３の開口から出射される光が、その開口の一部に偏った状態で視認されることを抑制できる。
【０２８５】
図３４（ｂ）に示すように、照射ユニット５３０のＬＥＤ５３２から反射板５６０の水平部５６３ａに照射される光は、水平部５６３ａの粗面により乱反射されて、正面側（図３４（ｂ）下側）に反射される。よって、ＬＥＤ５３２から照射される光を、正面カバー５５０を通過させて、正面側に出射させることができる。
【０２８６】
なお、反射板５６０の正面側端部には、水平部５６３ａの粗面が非形成とされるので、回転ユニット５００の正面側（遊技者側）へ向けて光を出射させやすくすることができ、残像効果による残像表示の光の強さを高めることができる。即ち、反射板５６０の内面のうちの回転ユニット５００の正面側の端部に粗面加工が施されると、その粗面で光が乱反射して、回転ユニット５００の正面側（打遊技者側）へ向けて出射する光を減少させてしまうところ、反射板５６０の正面側端部が非形成とされ、少なくとも反射部５６３に加工される粗面よりも平坦な平滑面とされるので、乱反射を抑制して、回転ユニット５００の正面側（遊技者側）へ向かう光を増加させることができる。
【０２８７】
また、仕切壁５６１は、水平部５６３ａよりも正面側の端部（反射部５６３の粗面加工が非形成（平滑面）とされる部分）において、正面側（凹欠部５６４が形成される側）の端部に向かうに従って先細りの形状とされるので、水平部５６３ａの粗面加工の非形成とされる部分は、回転ユニット５００の正面側の端部へ向かうに従ってその内面の断面積が大きくされる（拡径される）。よって、回転ユニット５００の正面側へ向けて出射される光に広がりを持たすことができる。即ち、発光領域として視認される面積をＬＥＤ５３２の発光面の面積よりも拡大できる。よって、ＬＥＤ５３２を小型化できる。
【０２８８】
さらに、反射板５６０（回転ユニット５００）の正面側は、左右方向中央部（回転軸）を中心として端部に向かうほど背面側に湾曲して形成されるので、反射板５６０の正面側（凹欠部５６４が形成される側）の端部は、回転ユニット５００の回転軸から径方向に離間するほど、仕切壁５６１で仕切られたそれぞれの領域における正面側（凹欠部５６４が形成される側）の端部の長さ寸法が大きくされる。これにより、複数の反射部５６３のそれぞれの視認される明度（光の明るさ）を均一にすることができる。
【０２８９】
即ち、回転ユニット５００では、回転軸（回転中心）から径方向外方へ向かうほど変位速度（周速）が速くなるため、列状に配設したＬＥＤ５３２を同じ明るさで発光させると、回転軸に近いＬＥＤ５３２の光ほど、回転軸から遠い（径方向外方の）ＬＥＤ５３２の光よりも、明度が高く（明るく）見える。
【０２９０】
これに対し、本実施形態では、反射板５６０の正面側の端部が、回転ユニット５００の回転軸から径方向に離間するほど、仕切壁５６１で仕切られたそれぞれの領域における正面側（凹欠部５６４が形成される側）の端部の長さ寸法が大きくされるので、回転ユニット５００の回転軸から径方向外方に離間する反射部５６３（ＬＥＤ５３２）ほど、粗面による乱反射を強くして（即ち、ＬＥＤ５３２から直接遊技者に視認される光の割合を小さくして）、高い明度の光として視認させることができる。その結果、径方向の配設位置における目で見た明るさの差を抑制して、明度（光の明るさ）を均一化できる。
【０２９１】
また、回転ユニット５００の軸方向と平行な方向の反射板５６０の水平部５６３ａの長さ寸法は、回転ユニット５００の回転軸から径方向に離間するに従って大きくされるので、数の反射部５６３のそれぞれの視認される明度（光の明るさ）を均一にすることができる。
【０２９２】
正面カバー５５０に照射される光は、正面カバー５５０の内周面に形成される拡散部５５１により光の進行方向を拡散させることができる。即ち、正面カバー５５０の拡散部５５１の粗面により、拡散部５５１に照射される光の進行方向を複数の異なる方向に曲げることができる。その結果、回転ユニット５００の正面側へ向けて出射される光に広がりを持たすことができる。即ち、発光領域として視認される面積をＬＥＤ５３２の発光面の面積よりも拡大できる。よって、ＬＥＤ５３２を小型化できる。
【０２９３】
また、ここで、ＬＥＤ５３２の光を直接（光透過性材料の部材を透過させないで）遊技者に視認させるものであると、ＬＥＤ５３２の光は、前方への指向性が高いため、遊技者が眩しく感じる恐れがあった。
【０２９４】
これに対し、本実施形態では、ＬＥＤ５３２から照射される光を乱反射させる面を、反射板５６０と正面カバー５５０との２箇所に形成するので、ＬＥＤ５３２から照射される光の指向性を弱くできる。これにより、遊技者が照射された光を視認して眩しく感じることを抑制できる。
【０２９５】
ここで、複数の発光手段（ＬＥＤ５３２）を有し回転位置に応じて発光手段を点滅させることで、残像効果による表示を行うものが知られている。しかしながら、従来の発光手段では、基盤（基盤部材５３１）の姿勢が、発光手段が搭載される面を回転軸に直交させる姿勢（即ち、発光手段の照射方向を正面側（遊技者側）へ向けた回転平面と平行な姿勢）とされるため、正面視（回転軸方向視）における外形が大型化する。そのため、回転表示装置（回転ユニット５００）の回転が停止された状態において、その回転ユニット５００の背面側の視認性が阻害されるという問題点があった。
【０２９６】
これに対し、本実施形態では、回転ユニット５００は、複数のＬＥＤ５３２が列設される基盤部材５３１が、ＬＥＤ５３２が搭載される面を回転ユニット５００の回転軸と略平行とする姿勢で、上面ベース５１０と下面ベース５２０との間に配設されるので、正面視（回転軸方向視）における上面ベース５１０及び下面ベース５２０の外形を抑制することができる。その結果、回転ユニット５００の回転が停止された状態において、上面ベース５１０及び下面ベース５２０の背面側の視認性を向上させることができる。
【０２９７】
次に、図３５及び図３６を参照して、回転ユニット５００の回転について説明する。
【０２９８】
図３５（ａ）及び図３５（ｂ）は、回転ユニット５００の正面図である。図３６（ａ）及び図３６（ｂ）は、回転ユニット５００の上面図である。
【０２９９】
なお、図３５（ａ）から図３６（ｂ）では、回転ユニット５００により生じる空気の流れが２点鎖線で図示され気流Ｋの符号が付与される。また、上面ベース５１０及び下面ベース５２０の送風孔５１２，５２２が破線で図示される。
【０３００】
さらに、本実施形態では、回転ユニット５００が正面視左回転される際の説明のみとし、正面視右回転される際は、回転ユニット５００の回転軸を中心に気流Ｋの流れが反転するのみであるので、その説明は省略する。
【０３０１】
図３５（ａ）及び図３５（ｂ）に示すように、回転ユニット５００が上述した駆動モータ４５７の駆動力により回転されると、その回転により外部の空気が送風孔５１２，５２２から侵入して回転ユニット５００の内部に気流Ｋが発生する。
【０３０２】
この場合、送風孔５１２，５２２が、回転ユニット５００の回転方向に対して、接線方向に開口されるので、回転ユニット５００の回転する際に、送風孔５１２，５２２を介して、回転ユニット５００の外部の空気を回転ユニット５００の内部に侵入させやすくできる。
【０３０３】
詳しく説明すると、回転ユニット５００が正面視左方向に回転されると、初期位置において、正面視右側に形成される上面ベース５１０の送風孔５１２及び正面視左側に形成される下面ベース５２０の送風孔５２２が、その送風孔５１２，５２２に空気を取り込む（挿通させる）方向に変位される。その結果、回転ユニット５００の回転する際に、回転ユニット５００の外部の空気を回転ユニット５００の内部に侵入させやすくできる。従って、ＬＥＤ５３２が動作する際の発熱を冷却することができる。
【０３０４】
なお、上面ベース５１０の送風孔５１２及び下面ベース５２０の送風孔５２２が回転軸に対して点対象に形成されるので、回転ユニット５００が正面視右方向に回転する際には、初期位置における回転ユニット５００の正面視左側に形成される上面ベース５１０の送風孔５１２及び正面視右側に形成される下面ベース５２０の送風孔５２２により、外部の空気を回転ユニット５００の内部に取り込みやすくできる。即ち、回転ユニット５００が右方向に回転した場合でも、上述した場合（回転ユニット５００が正面視左側に回転した場合）と同様の作用効果を奏する。
【０３０５】
ここで、回転体（回転ユニット５００）の内部にＬＥＤ（ＬＥＤ５３２）が搭載される基盤（基盤部材５３１）を配設して、回転体を回転駆動させながらＬＥＤを発光するものであると、ＬＥＤやＩＣ・コンデンサが動作する際の発熱を十分に冷却できない場合には、基盤にはんだ付けされたＬＥＤや、それを制御するＩＣ・コンデンサ等のはんだが溶けて、接触不良を招く恐れがある。
【０３０６】
これに対し、本実施形態では、送風孔５１２，５２２が、回転ユニット５００の回転方向に対して、接線方向に開口されるので、回転ユニット５００の回転により、回転ユニット５００の内部に外気を取り込むことができる。よって、ＬＥＤが動作する際の、発熱を冷却することができる。
【０３０７】
送風孔５１２，５２２から回転ユニット５００の内部に取り込まれた空気は、主に、照射ユニット５３０又は反射板５６０と衝突して分散される。回転ユニット５００の背面側（図３５（ａ）紙面奥側）に分散される気流Ｋは、上面ベース５１０と下面ベース５２０との背面側の開口（対向間の隙間）から回転ユニット５００の外側に送風されて大気中に放出される。
【０３０８】
一方、図３６（ａ）示すように、回転ユニット５００の正面側（図３５（ａ）紙面手前側）に分散される気流Ｋは、回転ユニット５００の回転の遠心力により、回転軸から径方向外側へと送風されて、回転ユニット５００の外側に送風されて大気中に放出される（図３５（ａ）参照）。
【０３０９】
即ち、回転ユニット５００は、上面ベース５１０と下面ベース５２０とを組み合わせた形状が、背面側が開放された容器状の形状に形成されるので、送風孔５１２，５２２から取り込んだ外気を背面側から効率的に排気することができる、よって、ＬＥＤ５３２が動作する際に発熱を冷却することができる。また、このように、上面ベース５１０及び下面ベース５２０の背面側から排気することで、かかる排気が、遊技領域を流下する（又は、ステージを転動する）球に影響を与えることを抑制できる。
【０３１０】
また、本実施形態では、上面ベース５１０及び下面ベース５２０が、上面ベース５１０及び下面ベース５２０の回転平面における直径方向に沿って長尺形状となる正面視（即ち、回転軸方向視）矩形状に形成されるので、上面ベース５１０及び下面ベース５２０の回転に伴う遠心力を利用して、上面ベース５１０及び下面ベース５２０の内部の空気を長手方向端部側（回転時の径方向外方）へ流動させ、背面側から排気することができる。よって、かかる空気の流動に伴って、回転伝達ユニット５７０近傍において、背面側から外気を上面ベース５１０及び下面ベース５２０へ取り込むことができる。
【０３１１】
即ち、回転伝達ユニット５７０近傍では、回転速度が低いため、側壁の送風孔５１２，５２２からの外気の取り込み効率が悪い（又は取り込めない）ところ、遠心力を利用した空気の循環（回転伝達ユニット５７０近傍における背面側から外気を取り込み、その取り込んだ外気を遠心力で長手方向端部側（回転時の径方向外方）へ流動させ、径方向外方側における背面側から排気する空気の流動）を形成することができる。その結果、ＬＥＤ５３２が動作する際の発熱を冷却することができる。特に、回転伝達ユニット５７０近傍に配設されるＬＥＤ５３２の冷却を達成することができる。
【０３１２】
また、図３６（ｂ）に示すように、回転ユニット５００の内部の空気が回転ユニット５００の回転により径方向外側に押し出されると、回転ユニット５００の中央側の内圧が低下するために、回転ユニット５００の回転伝達ユニット５７０と上面ベース５１０及び下面ベース５２０との背面側の隙間から外部の空気が取り込まれる。その結果、回転伝達ユニット５７０の近傍に配設されるＬＥＤ５３２の冷却をより確実に達成することができる。
【０３１３】
この場合、上面ベース５１０及び下面ベース５２０の正面側を形成する正面壁（上面ベース５１０の前縁部が下方（図２９（ａ）紙面奥側）（下面ベース５２０は前縁部が上方）に湾曲した部分）が、上面ベース５１０及び下面ベース５２０の回転平面に平行な形状であると（即ち、上面ベース５１０及び下面ベース５２０の回転軸に直交する方向視における形状が直方体形状であると）、遠心力で長手方向端部（回転時の径方向外方）へ流動された空気が背面側へ向けて方向転換する部分の角度が略直角となるため、かかる部分で渦が形成されやすくなる。そのため、空気の流れが阻害され、背面側からのスムーズな排気が困難となる。
【０３１４】
これに対し、本実施形態では、上面ベース５１０及び下面ベース５２０の正面側（上面ベース５１０の前縁部が下方（図２９（ａ）紙面奥側）（下面ベース５２０は前縁部が上方）に湾曲した部分）の形状が左右方向中央部から外側に向かって湾曲した形状に形成されるので、遠心力により長手方向端部側（回転時の径方向外方）へ流動される空気を徐々に背面側へ流動させることができると共に、長手方向端部（径方向外方）へ流動された空気が背面側へ向けて方向転換する部分の角度を略直角よりも大きくできるため、かかる部分での渦の形成を抑制して、空気の流れを円滑とできる。よって、背面側からの排気をよりスムーズに行える。その結果、回転伝達ユニット５７０近傍に配設されるＬＥＤ５３２の冷却をより確実に達成することができる。
【０３１５】
さらに、上面ベース５１０及び下面ベース５２０の背面側の対向間の距離寸法（図３５（ａ）上下方向の寸法）は、回転伝達ユニット５７０近傍における背面側の距離寸法が、長手方向端部側における背面側の距離寸法よりも大きくされるので、回転に伴う遠心力を利用して、上面ベース５１０及び下面ベース５２０の内部の空気を長手方向端部側（回転時の径方向外方）へ流動させ、径方向外方側における背面側から排気することで、回転伝達ユニット５７０近傍における背面側から外気を取り込む際に、その取込を効率的に行うことができる。
【０３１６】
また、回転伝達ユニット５７０近傍における背面側の開放部分（上面ベース５１０の装飾部５１１及び下面ベース５２０の装飾部５２１の内周）が、回転軸と同心の円形に形成されるので、上面ベース５１０及び下面ベース５２０の回転に伴って、回転伝達ユニット５７０近傍の背面側の外気が乱れる（回転方向の流動が形成される）ことを抑制できる。その結果、回転伝達ユニット５７０近傍における背面側から外気を効率的に取り込むことができる。
【０３１７】
さらに、正面ベース５７２の外側立設部５７２ａの外周面が背面側から正面側に向かって窄まる形状に形成されるので、回転ユニット５００が上面ベース５１０の装飾部５１１及び下面ベース５２０の装飾部５２１と回転伝達ユニット５７０との隙間から空気を取り込む際の気流Ｋに渦が発生することを抑制することができる。従って、回転ユニット５００の左右方向中央部を流れる気流Ｋの流れをスムーズにすることができ、回転伝達ユニット５７０近傍における背面側から外気を取り込む際に、その取込を効率的に行うことができる。
【０３１８】
次いで、図３７から図４１を参照して、センターフレーム６００について説明する。
【０３１９】
初めに、図３７及び図３８を参照して、センターフレーム６００の全体構成について説明する。図３７は、センターフレーム６００の分解正面斜視図であり、図３８は、センターフレーム６００の分解背面斜視図である。
【０３２０】
図３７及び図３８に示すように、センターフレーム６００は、正面視円環形状に形成される枠体６１０と、その枠体６１０の内周部分を覆う様態に配設されるセンターカバー６２０と、枠体６１０に取着されるセンサ６３０と、を主に備えて形成される。
【０３２１】
枠体６１０は、正面視における内周の縁部の下方部分からセンターカバー６２０側（背面側）に突出するステージ６１１と、外周の側面から径方向外側に突出される壁部６１２と、背面側の縁部に正面側に向かって円形状に凹設される締結孔６１３と、背面側に配設されるセンサ６３０の照射面６３１の前方が開口する開口６１４と、を主に備えて形成される。
【０３２２】
また、枠体６１０は、第３図柄表示装置８１（図２参照）を取り囲む様態で遊技盤１３の中央部に配設され、ガラス８を介して遊技者から視認可能とされる部材であり、正面側の側面に模様や絵が描かれる。
【０３２３】
ステージ６１１は、枠体６１０の下方側の内縁部から背面側に屈曲して形成され、その上面に、正面側の端部に第１凹設部６１１ａが、背面側の端部に第２凹設部６１１ｂが、それぞれ凹設される。
【０３２４】
ステージ６１１は、その上面で球を転動させると共に、第１凹設部６１１ａもしくは第２凹設部６１２ｂのどちらか一方の傾斜を利用してステージ６１１の上面から球を落下させて、第１入賞口６４に球が入賞し易い状態を形成することができる。よって、遊技領域を流下する球の流下経路を複数個形成することができるので、遊技者に興趣を与えることができる。
【０３２５】
なお、第１凹設部６１１ａは、ステージ６１１の上部を転動する球を、遊技盤１３の正面側（ベース板６０の正面側）に落下させる溝であり、正面側に向かって凹設深さが深く形成される。第２凹設部６１１ｂは、ステージ６１１の左右方向中央の背面部に形成される開口に球を送球するための溝であり、背面側に向かって凹設深さが深く形成される。
【０３２６】
壁部６１２は、組み上げられたセンターフレーム６００をベース板６０（図２参照）に配設する際にベース板６０に対して前後方向の位置決めとなる部分であり、ベース板６０の中央部分に前後方向に貫通形成される開口の内形形状よりも大きい外形に形成される。これにより、ベース板６０の開口内部にセンターフレーム６００を正面側から挿入した際に、ベース板６０の正面側の側面に壁部６１２の背面側の側面が当接して、ベース板６０に対してセンターフレーム６００を位置決めすることができる。
【０３２７】
締結孔６１３は、枠体６１０の背面側に複数個凹設される孔であり、後述するセンターカバー６２０の貫通孔６２３ａと対向する位置に形成される。開口６１４は、後述するセンサ６３０から照射されるセンサ光を正面側に照射するための開口であり、センサ６３０のセンサ光が照射される照射面６３１と対向する位置に形成される。
【０３２８】
センターカバー６２０は、光透過性材料の樹脂材料から形成され、正面視略円形状に形成され枠体６１０の内周側に配設されるカバー部材６２１と、そのカバー部材６２１の左右の縁部から正面側に立設される側壁部６２２と、その側壁部６２２の立設先端面およびカバー部材６２１の下側縁部から外側に突設される取付部６２３と、を主に備えて形成される。
【０３２９】
カバー部材６２１は、正面視において左右方向中央上部から外側に向かうにつれて背面側に湾曲する（正面側が凸の湾曲面となる）厚みが一定の板状体に形成される。左右方向中央部の上方側の周縁（以下、「第１部分６２１ａと称す）が、左右両端および下端の周縁（以下、「第２部分」と称す）よりも前方に位置して形成される。
【０３３０】
カバー部材６２１は、厚みが一定の板状体から形成されるので、凸レンズとして作用することを抑制して、背面側に配置される第３図柄表示装置８１の視認性を確保することができる。
【０３３１】
また、カバー部材６２１は、厚みが一定の板状体から形成されるので、正面視において左右方向中央部が正面側に向かって湾曲する分、カバー部材６２１と第３図柄表示装置８１との対向間に空間を形成することができる。これにより、上述した上下変位ユニット４００の装飾部材４５０が変位して演出する空間を確保できる。
【０３３２】
側壁部６２２は、枠体６１０にセンターカバー６２０を取り付け可能にするため壁部であり、上述したようにカバー部材６２１が背面側に湾曲されるので、その分、枠体６１０の背面とセンターカバー６２０の正面との対向間の距離が大きくなるところ、側壁部６２２により、枠体６１０の背面とセンターカバー６２０の正面の対向間の距離を小さくする（無くす）ことができる。
【０３３３】
即ち、側壁部６２２の正面側への立設寸法は、枠体６１０にセンターカバー６２０を配設した際の、枠体６１０の背面とセンターカバー６２０の正面との対向間の距離寸法に設定されており、これにより、枠体６１０とセンターカバー６２０とを組み合せた際に、カバー部材６２１の第１部分６２１ａが枠体６１０の正面側に突出され過ぎることを抑制できる。
【０３３４】
取付部６２３は、枠体６１０にセンターカバー６２０を取り付けるための突出部であり、前後方向に貫通形成された貫通孔６２３ａが複数個形成される。上述したように、貫通孔６２３ａと対向する位置の枠体６１０の背面には、締結孔６１３が穿設されており、図示しないねじ等を貫通孔６２３ａを挿通させると共に、締結孔６１３に締結することで、枠体６１０とセンターカバー６２０とが締結固定される。
【０３３５】
センサ６３０は、遊技者の動作を検知するためのモーションセンサ、であり赤外線等の光を照射する発光部と、その発光部から照射された光が物体によって反射される反射光を受光する受光部と、を有する照射面６３１を備える。
【０３３６】
センサ６３０は、枠体６１０を上下方向に３等分した際の下から２／３のほどの高さに配設されると共に、枠体６１０の右側に配設される。また、センサ６３０は、その照射面６３１をセンターフレーム６００の中央正面側に傾けた状態で配設される。これにより、センサ６３０の照射面６３１から照射される光は、遊技盤１３の正面側中央部からガラス８を介して遊技者側に出射される。
【０３３７】
次に、図３９及び図４０を参照してセンサ６３０から照射されるセンサ光について説明する。
【０３３８】
図３９（ａ）は、センターフレーム６００の正面図であり、図３９（ｂ）は、図３９（ａ）のＸＸＸＩＸｂ−ＸＸＸＩＸｂ線におけるセンターフレーム６００の断面図である。図４０（ａ）は、図３９（ａ）のＸＬａ−ＸＬａ線におけるセンターフレーム６００の断面図であり、図４０（ｂ）は、図３９（ａ）のＸＬｂ−ＸＬｂ線におけるセンターフレーム６００の断面図である。
【０３３９】
なお、図３９（ａ）及び図４０（ｂ）では、センターフレーム６００の前方に照射されるセンサ６３０の光の照射領域が２点鎖線で図示され、照射領域Ｒ１，Ｒ２のとして図示される。また、図３９（ｂ）では、センサ６３０が破線で図示される。さらに、図４０（ｂ）及び図４０（ｂ）では、センサ６３０及びセンサ６３０から照射される光が２点鎖線で図示されると共に、センターフレーム６００の前方（遊技盤１３の前方）に配設されるガラス８が２点鎖線で図示される。
【０３４０】
図３９及び図４０に示すように、センサ６３０は、カバー部材６２１の第２部分６２１ｂよりも前方に配設される。これにより、センサ６３０から照射される光が、カバー部材６２１を介して（透過して）、遊技機正面側に出射されることがなくなり、センサ６３０から照射される光がカバー部材６２１に遮られることを抑制できる。また、センサ６３０は、正面側に枠体６１０の装飾部分が配置される。これにより、センサ６３０を遊技者側（正面側）から視認し難くすることができる。
【０３４１】
センサ６３０から照射される光は、センサ６３０の照射面６３１から直接ガラス８に照射されてガラス８の正面側から出射する照射領域Ｒ１の領域と、センターカバー６２０のカバー部材６２１の正面に照射された光が反射されてガラス８の正面側から出射する照射領域Ｒ２の領域とに出射される。
【０３４２】
ここで、モーションセンサ（センサ６３０）を遊技機に配設して、液晶装置（第３図柄表示装置８１）の前面側の遊技者の動作を検出する遊技機では、モーションセンサが露出されていると、興趣を損ねるという問題点があった。
【０３４３】
そのために、センサ６３０は、装飾部材（枠体６１０）の背面側に配置される。この場合、センサ６３０を装飾部材の内縁側（枠体６１０の開口６１４）から奥側（外側）へ退避させれば、より視認され難くできるが、発光部および受光部（照射面６３１）を正面へ向けにくくなり、検出範囲が狭くなる。一方、センサ６３０を装飾部材の内縁側（枠体６１０の開口）に近づけて位置させれば、発光部および受光部を正面へ向けやすいため、検出範囲を前後方向に広くできるが、遊技者から視認されやすくなる。即ち、センサ６３０を、遊技者から視認され難くしつつ、物体を検出可能な範囲を確保することが困難であるという問題点があった。
【０３４４】
これに対し、本実施形態では、センサ６３０の照射面６３１から照射される光の一部が、センターカバー６２０のカバー部材６２１に照射されることで、カバー部材６２１の湾曲形状により、正面側（遊技者側）に反射される。これにより、センサ６３０を枠体６１０の開口６１４の奥へ退避させて、遊技者から視認され難くしつつ、物体を検出可能な範囲を確保することができる。なお、カバー部材６２１は、光透過性材料からなるので、液晶表示装置に表示される図柄の視認性を確保できる。
【０３４５】
また、カバー部材６２１正面側が凸の湾曲面とされるので、センサ６３０から発光された光をカバー部材６２１の正面で反射させる場合には、センサ６３０から近い位置では、反射の角度（反射角）をより鋭角とできる一方、セン６３０から遠い位置では、反射の角度（反射角）をより鈍角とすることができ、その分、物体を検出可能な範囲を拡大しやすくできる。
【０３４６】
さらに、照射領域Ｒ２に照射される光（カバー部材６２１で反射される光）は、物体に照射されて反射すると、カバー部材６２１側に反射される。この場合、反射光は、反射する物体の表面形状によりその進行方向が異なるが、複数の方向に反射される光をカバー部材６２１の正面で反射させることで、異なる方向に反射される光の進行方向をセンサ６３０側に向かう進行方向とすることができる。即ち、センサ６３０側に反射される光の量を多くすることで、センサ６３０の受光の検知動作を確実に行うことができる。
【０３４７】
カバー部材６２１の第１部分６２１ａは、枠体６１０の壁部６１２よりも正面側に位置され、第２部分６２１ｂは、枠体６１０の壁部６１２よりも背面側に位置される（図３９（ｂ）参照）。即ち、第１部分６２１ａは、ベース板６０の背面と略同一またはベース板６０（図２参照）の背面よりも正面側となる位置に配設され、第２部分６２１ｂは、ベース板６０の背面よりも背面側となる位置に配設される。
【０３４８】
これにより、センターフレーム６００の上部におけるセンターカバー６２０のカバー部材６２１と第３図柄表示装置８１との対向間の距離寸法を確保することができる。その結果、上述した上下変位ユニット４００の装飾部材４５０が上下方向に変位する際の前後方向の寸法を確保でき、装飾部材４５０を変位させることができる。また、装飾部材４５０が変位する後方のスペースとガラス８が配設される前方のスペースとの限られたスペース内において、カバー部材６２１の曲率を大きくすることができる。
【０３４９】
また、第１部分６２１ａが、ベース板６０の背面と略同一またはベース板６０（図２参照）の背面よりも正面側となる位置に配設されるので、上下変位ユニット４００の装飾部材４５０（回転ユニット５００）が第１部分６２１ａに干渉することをより確実に抑制でき、その分、変位部材の大型化を図ることができる。
【０３５０】
さらに、第２部分６２１ｂが、ベース板６０の背面よりも背面側となる位置に配設されるので、カバー部材６２１の曲率を大きくでき、カバー部材６２１の正面側を光の反射面として利用しやすくできる。即ち、センサ６３０を奥側に配置して遊技者から視認され難くしつつ、物体を検出可能な範囲を確保することができる。
【０３５１】
また、第１部分６２１ａが、カバー部材６２１の上方に位置されるので、遊技機１０が設置される店舗において、店舗の蛍光灯の照明がカバー部材６２１で反射されて正面側（遊技者側）に照射されることを抑制できる。
【０３５２】
即ち、カバー部材６２１の上方部分が背面側に湾曲するものであると、斜め上方から照射される店舗の蛍光灯の光が正面側に反射しやすい形状となるところ、カバー部材６２１の正面は、その法線方向が少なくとも水平方向よりも下方を指向する湾曲面として形成されるので、カバー部材６２１の正面へ入射された光を下方へ向けて反射させることができる。即ち、店舗内の天井に設置された蛍光灯や他の遊技機からの光がカバー部材６２１の正面へ入射された場合に、かかる光が遊技者に向けて反射されることを抑制でき、その結果、遊技者がまぶしく感じることや、第３図柄表示装置８１の視認性が悪化することを抑制できる。
【０３５３】
次に、図４１を参照して、センターフレーム６００と上下変位ユニット４００の回転ユニット５００との関係を説明する。
【０３５４】
図４１の（ａ）及び図４１（ｂ）は、回転ユニット５００及びセンターフレーム６００の断面図である。なお、図４１（ａ）では、回転ユニット５００が初期位置（基準位置）（延設方向を水平に向けた位置）が図示され、図４１（ｂ）は、回転ユニット５００がその回転軸を中心に９０度回転された様態が図示される。
【０３５５】
図４１（ａ）及び図４１（ｂ）に示すように、上下変位ユニット４００の装飾部材４５０が変位されて、第３図柄表示装置８１（図２参照）の正面側およびセンターフレーム６００の背面側に位置する際には、装飾部材４５０の回転ユニット５００とセンターフレーム６００のカバー部材６２１との対向間に所定の隙間が形成される。これにより、回転ユニット５００は、カバー部材６２１と衝突することなく回転することができる。
【０３５６】
この場合、第３図柄表示装置８１の前方で回転部材（回転ユニット５００）が回転する役物であると、その回転部材の回転により風の流れが発生し、その風の影響で流下する球が動いてしまうという問題点があった。
【０３５７】
特に、本実施形態では、球が転動するステージ６１１の上方に回転ユニット５００が位置するために、ステージ６１１の上部を転動する球が回転ユニット５００の回転による風の影響を受けやすい。
【０３５８】
これに対し、本実施形態では、カバー部材６２１の第２部分６２１ｂから連結される取付部６２３が、枠体６１０のステージ６１１の下側に凹設される締結孔６１３に締結される（即ち、センターカバー６２０の下端部分が枠体６１０の下端に連結される）ので、球の流下領域と回転ユニット５００の変位領域とを区画することができる。よって、回転ユニット５００の回転によって発生する風をカバー部材６２１（第２部分６２１ｂ）により遮ることができる。その結果、風の作用により球の流下が影響を受けることを抑制できる。また、回転ユニット５００の回転により風が発生し、その風により埃や粉じんが吹き飛ばされた場合でも、第２部分６２１ｂ（カバー部材６２１）により遮ることができるので、吹き飛ばされた埃や粉じんがセンサの発光・受光の航路上に舞い上がり、検出の精度が低下することを抑制できる。
【０３５９】
ここで、センターフレーム６００のステージ６１１には、そのステージ６１１を転動する球が、背面側に落下しないように背面壁が立設されるものが従来から知られている。しかし、かかる従来品では、回転ユニット５００の回転により発生した風が、ステージ６１１から立設される背面側の立設先端から正面側に回り込んで、或いは、遊技盤１３の正面側のガラス８で折り返されて、ステージ６１１上を転動する球に影響を与える。一方、ステージ６１１上を転動する球に風の影響を与えなくするために、背面壁を正面側まで湾曲させて、ステージの球の周囲を覆う形状とする（即ち、閉じた通路を形成する）と、ステージ６１１の上部を転動する球を遊技者が視認し難くなるため、遊技者の興趣が損なわれる。
【０３６０】
これに対し、カバー部材６２１の第２部分６２１ｂは、枠体６１０のステージ６１１を含む範囲に連結されるので回転ユニット５００が回転されることで発生する風を第２部分６２１ｂ（カバー部材６２１）により遮ることができる。その結果、ステージ６１１の周囲を覆う必要がないので、ステージ６１１の上部を転動する球を遊技者に視認されやすくしつつ、風の作用により、球の流下が影響を受けることを抑制できる。
【０３６１】
ここで、変位部材（上下変位ユニット４００）が変位する変位領域と球が流下する流下領域とを仕切板（センターカバー６２０）で区画してしまうと、遊技盤１３の背面側に配置される背面ケース３００には、第３図柄表示装置８１および上下変位ユニット４００を駆動させる駆動モータ４４１などの熱を発生する部材が多く配置されるために、熱が変位領域の内部（遊技盤１３の背面側）にこもり、遊技機１を制御する基板および第３図柄表示装置８１が破損するという問題点がある。
【０３６２】
これに対し、本実施形態では、カバー部材６２１の第１部分６２１ａは、枠体６１０に連結されず、枠体６１０の内周縁との間に所定の間隔を隔てて配設されるので、かかる所定の間隔を介して、遊技盤１３及びカバー部材６２１の背面側と正面側とを連通させることができる。従って、上下変位ユニット４００から発生する熱が、遊技盤１３及びカバー部材６２１の背面側にこもることを抑制できる。その結果、遊技盤１３の前方側の（後方側よりも）冷たい空気を遊技盤１３の背面側に送ることができるので、遊技機１を制御する基盤及び第３図柄表示装置８１が破損することを抑制できる。
【０３６３】
また、第１部分６２１ａと枠体６１０の内周縁との間の所定の間隔は、センターフレーム６００の上部に形成されるので、温められた空気を所定の間隔を介して遊技盤１３の正面側に流しやすくできる。即ち、遊技盤１３の背面側の温められた空気は、その熱により上昇されるので、上方に形成される第１部分６２１ａと枠体６１０の内周縁との間の所定の間隔から正面側に流しやすくできる。この結果、遊技盤１３及びカバー部材６２１の背面側に熱がこもることを抑制できる。
【０３６４】
なお、この場合、回転ユニット５００が回転されて風が発生されると、その風が第１部分６２１ａと枠体６１０の内周縁との間の所定の間隔から出て遊技盤１３の前方を流下する球に影響を与える恐れがある。
【０３６５】
これに対し、回転ユニット５００が回転されることで発生する風を、遊技領域のうちの上側の領域（遊技盤１３の開口の上側の領域）へ向けて流すことができ、風の作用により球の流下が影響を受けることを抑制できる。即ち、遊技領域のうちの上側の領域を流下する球は、球発射ユニット１１２ａから発射され遊技領域へ流入された初期の球であり、その速度が比較的速いため、例えば、センターフレーム６００のステージ６１１の上を転動する球と比較して、風の影響を受け難い。言い換えれば、風の影響を球が受け難い領域へ向けて風を流すことができる。よって、その分、回転部材の回転速度を増加させることができ、演出効果の向上を図ることができる。
【０３６６】
次いで、図４２から図４６を参照して、振分け装置７００について説明する。
【０３６７】
初めに、図４２から図４５を参照して、振分け装置７００の全体構成について説明をする。図４２は、振分け装置７００の分解正面斜視図であり、図４３は、振分け装置７００の部分拡大正面図である。図４４は、図４３のＸＬＩＶ−ＸＬＩＶ線における振分け装置７００の断面図である。図４５（ａ）は、図４３のＸＬＶａ−ＸＬＶａ線における振分け装置７００の断面図であり、図４５（ｂ）は、図４５（ａ）のＸＬＶｂ−ＸＬＶｂ線における振分け装置７００の断面図であり、図４５（ｃ）は、図４３のＸＬＶｃ−ＸＬＶｃ線における振分け装置７００の断面図であり、図４５（ｄ）は、図４５のＸＬＶｄ−ＸＬＶｄ線における振分け装置７００の断面図である。
【０３６８】
なお、図４３では、振分け部材７６０の内周面、シーソー部材７６２、連通孔７５１及び回収孔７５２の外形が破線で図示される。なお、図４５（ｄ）では、開口７４４から払い出される球の経路が２点鎖線で図示される。
【０３６９】
図４２から図４５に示すように、振分け装置７００は、遊技盤１３のセンターフレーム６００の下側に配設され、ベース板６０に対して正面側（図４３紙面手前側）に配置される正面側形成部７１０と、ベース板６０に対して背面側（図４３紙面奥側）に配置される背面側形成部７２０と、を主に備えて形成される。
【０３７０】
正面側形成部７１０は、ベース板６０の正面側に取着される入賞部材７３０と、その入賞部材７３０の正面側に配設される屈曲部材７４０と、を主に備えて形成される。
【０３７１】
背面側形成部７２０は、ベース板６０の背面側に取着される介設部材７５０と、その介設部材７５０の背面側に配設される振分け部材７６０と、を主に備えて形成される。
【０３７２】
入賞部材７３０は、正面視横長矩形に形成されると共に、左右方向中央上部に位置する上述した第１入賞口６４と、その第１入賞口６４の下側に位置する第１電動役物６４０ａと、その第１電動役物６４０ａの左右方向両側に位置し前後方向に貫通形成される貫通孔７３１と、その貫通孔７３１の下側に位置し前後方向に貫通形成される下側挿通孔７３２と、を主に備えて形成される。
【０３７３】
貫通孔７３１は、その内部に後述する屈曲部材７４０の上側突出部７４１が挿通される部材であり、上側突出部７４１の背面視における外形よりも少し大きく開口する正面視略矩形状に形成される。また、貫通孔７３１の下面には、背面から正面に亘って上方に突設される突設壁７３１ａが形成される。
【０３７４】
突設壁７３１ａは、正面視における貫通孔７３１の左右方向中心線を対称に２つ並設されており、背面側から正面側に向かうにつれてその突設距離が小さく設定される。よって、後述する介設部材７５０及び振分け部材７６０により貫通孔７３１の内部を通過（転動）される球は、２つの突設壁７３１ａの左右方向中央位置に案内されると共に、背面側から正面側に向かって転動される。
【０３７５】
下側挿通孔７３２は、背面側に配設される介設部材７５０の回収孔７５２と連通される孔であり、介設部材７５０の回収孔７５２と対向する位置に形成される。また、下側挿通孔７３２は、下面側が湾曲される正面視略Ｄ字形状に開口され、正面視における左右方向中央位置に上面から下方に突出する第１突出部７３２ａと、下面から上方に突出する第２突出部７３２ｂと、を備える。
【０３７６】
第１突出部７３２ａは、正面側（図４５（ａ）右側）から背面側（図４５（ａ）左側）に向かうに従って突出距離が大きく形成される。第２突出部７３２ｂは、正面側から背面側にむかうに従って突出距離が小さく形成される。また、第１突出部７３２ａと第２突出部７３２ｂとの対向間の距離寸法は、球の直径寸法よりも少し大きく形成される。よって、下側挿通孔７３２の内部を球が通過する際には、第２突出部７３２ｂの正面側から背面側への傾斜により、球を背面側に転動させることができる。一方で、下側挿通孔７３２を挿通される際に球が上下方向に弾む際には、第１突出部７３２ａにより、上方への変位を抑制できる。
【０３７７】
下側挿通孔７３２の背面には、球の通過を検知するセンサＳＥは配設される。センサＳＥは、正面視略矩形状に形成されると共に、その側面に球の直径よりも少し大きい直径の貫通孔が形成される部材であり、その貫通孔の内部を球が通過することで球の通過を検出することができる。センサＳＥは、貫通孔の軸が下側挿通孔７３２の下面側の円弧軸と同軸上に位置して配設される。これにより、貫通孔の開口方向を背面側に向かうに従って少し下方に傾斜する様態とすることができるので、センサＳＥの貫通孔内部を通過する球が貫通孔の内側に留まることを抑制できる。
【０３７８】
屈曲部材７４０は、上述した入賞部材７３０の貫通孔７３１と下側挿通孔７３２との正面側に配設される部材であり、正面視におけるベース板６０（図２参照）の左右方向略中央位置を対称に２つ配設され、その外形形状は左右対称に形成される。
【０３７９】
また、屈曲部材７４０は、正面視において、遊技領域を形成する内レール６１（図２参照）との間に、球が通過可能な大きさの隙間が形成される位置に配置される。これにより、屈曲部材７４０の下側の遊技領域を流下する球が、屈曲部材７４０と内レール６１との間に挟まれて遊技領域に留まることが抑制される。
【０３８０】
屈曲部材７４０は、正面視略矩形の板状体から形成され、その背面から突出する上側突出部７４１と、その上側突出部７４１よりも下方から突出する下側突出部７４３と、上側突出部７４１及び下側突出部７４３の対向間に形成される開口７４４と、を備えて形成される。
【０３８１】
上側突出部７４１は、背面視において下側が開放する略Ｕ字形状に形成され、その外形が、入賞部材７３０の貫通孔７３１の内形よりも少し小さく設定される。これにより、屈曲部材７４０を入賞部材７３０に配置する際には、上側突出部７４１を貫通孔７３１の内部に挿入して配設できる。よって、屈曲部材７４０を入賞部材７３０へ配置する際には、上側突出部７４１を挿入して位置決めすることができるので、その組み付け工程を簡易にできる。
【０３８２】
また、上側突出部７４１は、背面視において下側が開放する略Ｕ字状に形成されるので、入賞部材７３０の貫通孔７３１に球を通過させて屈曲部材７４０側に転動させる際に、球が転動する転動面（下面）に入賞部材７３０と屈曲部材７４０との連結部分が形成されない。よって、球の転動を一定とすることができるので、球が貫通孔７３１の内部で停止することを抑制できる。即ち、球の転動面に入賞部材７３０と屈曲部材７４０との連結部分が形成されると、その連結部分を球が転動する際に抵抗が増えると共に、段さで球が跳ねるが、球の転動面に連結部をなくすことで、球の転動を安定的にして球が詰まることを抑制できる。
【０３８３】
また、この場合、上側突出部７４１を背面視円環形状に形成して、その円環の内側を球を通過させても同様に、球が転動する転動面に入賞部材７３０と屈曲部材７４０との連結部分が形成されないが、上側突出部７４１を円環形状に形成する分、屈曲部材７４０の部品形状が複雑となるために、製造コストが増加する。これに対し、本実施形態では上側突出部７４１が背面視略Ｕ字形状であるので、部品の形状を簡易にでき、製造コストが増加することを抑制できる。
【０３８４】
下側突出部７４３は、上側突出部７４１の下側に形成されると共に、上側が開放される背面視略Ｕ字形状に形成される。即ち、背面視すると、上側突出部７４１と下側突出部７４３との互いの開放部分が上下方向に対向する様態に形成される。
【０３８５】
下側突出部７４３は、入賞部材７３０の貫通孔７３１から屈曲部材７４０側に送球される球を入賞部材７３０の下側挿通孔７３２に送球するための経路（以下、「第２送球経路ＫＲ２」と称す）を形成するための部材であり、下側挿通孔７３２と前後方向に対向する位置に形成される。
【０３８６】
下側突出部７４３の背面側への突出距離は、球の直径よりも大きい寸法に設定される。また、下側突出部７４３の突出先端面が入賞部材７３０と当接した状態で屈曲部材７４０が入賞部材７３０に配置される。よって、屈曲部材７４０と入賞部材７３０との対向間の距離寸法が球の直径よりも大きくされ、屈曲部材７４０と入賞部材７３０との対向間に球が鉛直方向に送球される送球路（以下、「第１送球経路ＫＲ１」と称す）が形成される。
【０３８７】
屈曲部材７４０には、上側突出部７４１の上部内面から下側突出部７４３の下部内面に亘って突出する案内部７４２が形成される。案内部７４２は、側面視において背面側が開放される略Ｕ字形状に突出される。
【０３８８】
案内部７４２は、入賞部材７３０の貫通孔７３１から屈曲部材７４０（第１送球経路ＫＲ１）に送球される球を鉛直方向に送球した後に、入賞部材７３０の下側挿通孔７３２に送球する突壁であり、下側の内縁部の上下方向高さは、背面に配置される下側挿通孔７３２の下側の内縁部の高さよりも少し小さく形成される。
【０３８９】
案内部７４２は、背面側に配置される貫通孔７３１の正面視における左右方向中央線を対称に２つ形成される。これにより、２つの案内部７４２と当接して案内（背面側に折り返し）されるので、球が左右方向に位置ずれすることを抑制できる。
【０３９０】
なお、並設される案内部７４２の互いの突出先端面は、互いの対向する面に近づくほど、基部側に向かって傾斜して形成される（図４５（ｂ）参照）。これにより、２つの案内部７４２と当接して案内（背面側に折り返し）される球が、左右方向に位置ずれすることを効果的に抑制できる。
【０３９１】
上側突出部７４１には、背面視における左右の側面の内側に突出する側壁７４１ａが形成される。側壁７４１ａは、上下方向に所定の間隔を隔てて複数個（本実施形態では３つ）並設される。これにより、通常状態において上側突出部７４１の内側を送球される球が左右方向に転動した際には、側壁７４１ａの先端面と当接させてその送球を安定させることができる。一方、上側突出部７４１の内側を球が２つ連続して流れ、後ろを流れる球が先を流れる球に衝突する際には、先の球が、各側壁７４１ａの間に入ることで、左右方向に逃げる距離を確保して、上側突出部７４１の内側で球が詰まることを抑制できる。即ち、側壁７４１ａにより、上側突出部７４１の内側を送球される球を安定させることができる。
【０３９２】
開口７４４は、上側突出部７４１と下側突出部７４３との対向間に形成される所定の隙間であり、背面視における左右方向両側に形成される。また、開口７４４は、側面視において、背面側が開放する略Ｕ字形状に形成される。
【０３９３】
開口７４４は、上端が入賞部材７３０の貫通孔７３１の下面と略同一の上下方向高さに設定されると共に、下端の高さが、入賞部材７３０の下側挿通孔７３２の上下方向略中間位置の高さに設定される。これにより、屈曲部材７４０の内部に球が連続して送球される際に、先の球を開口７４４に逃がして屈曲部材７４０の内部に球が詰まることを抑制することができる。即ち、開口７４４は、第１送球経路ＫＲ１と第２送球経路ＫＲ２との連結部分の左右方向の側面に開口して形成される。
【０３９４】
振分け部材７６０は、正面視横長矩形に形成されると共に、正面側が開放された箱状体に形成される。また、振分け部材７６０は、正面視において左右方向略中央位置で屈曲されており、左右方向略中央位置から左右方向外側に向かうに従って下側に傾斜して形成される。また、振分け部材７６０の左右方向の両端部は、上述した入賞部材７３０の貫通孔７３１と対向する位置に設定される。
【０３９５】
振分け部材７６０は、正面視における左右方向中央位置から左右両側へ向けて下方傾斜する一対の傾斜面７６１と、その互いの傾斜面７６１の中央に配置されるシーソー部材７６２と、シーソー部材７６２の上方に形成される送球口７６３と、を主に備えて形成される。
【０３９６】
送球口７６３は、振分け部材７６０の正面側に開口を形成するための部材であり、入賞部材７３０の第１入賞口６４と対向する位置に形成される。これにより、振分け部材７６０が後述する介設部材７５０に配設されると、送球口７６３と介設部材７５０との対向間に空間Ａを形成することができる。
【０３９７】
空間Ａは、球の外径よりも大きい空間（即ち、球が通過可能な屈間）に形成されると共に、ベース板６０に穿設された貫通孔を介して入賞部材７３０の第１入賞口６４の内部空間と連結される（図４４参照）。これにより、第１入賞口６４に入賞される球を空間Ａの内部に送球して、その空間Ａの内部を送球させることができる。
【０３９８】
シーソー部材７６２は、円環形状に形成されると共に、その外縁部から軸周りに９０度の間隔を隔てて外側に突設される３つの突起７６２ａと、円環形状の内側に挿通される軸部７６２ｂと、を備えて形成される。
【０３９９】
軸部７６２ｂは、シーソー部材７６２を軸周りに回転させるための軸支部であり、円柱形状に形成されると共に、シーソー部材７６２の円環内側に挿通される。この状態で、軸部７６２ｂが、介設部材７５０と振分け部材７６０との間に挟持されることで、シーソー部材７６２は軸部７６２ｂを軸に回転可能に配置される。
【０４００】
突起７６２ａは、上述した空間Ａから球が送球される際に、球を左右の傾斜面７６１に交互に一球ずつ振り分けるための突起であり、中央部の突起７６２ａの先端が位置する方向と左右方向反対側に球が送球される。即ち、中央部の突起７６２ａにより空間Ａから送球される球を左右方向に送球することができる。両端に突設される突起７６２ａは、シーソー部材７６２の変位を規制すると共に、球の通過した際にかかかる重みにより、中央部の突起７６２ａの先端が位置する方向を変位させる（シーソー部材７６２を回転させる）部材であり、突起７６２ａの先端面と傾斜面７６１とが当接することでシーソー部材７６２の回転が規制される。一方、傾斜面７６１と当接していない突起７６２ａは、球が中央部の突起７６２ａに案内されると、案内された球がその突起７６２ａと衝突して下方に押し下げられる。これにより反対側の突起７６２ａが上方に変位されると共に、下方に変位された突起７６２ａの先端が傾斜面７６１と当接してその変位が規制される。
【０４０１】
傾斜面７６１は、上述したシーソー部材７６２によって左右に振り分けられた球が転動して送球される経路（以下、「第３送球経路ＫＲ３」と称す）の転動面であり、振分け部材７６０の左右方向中央位置から外側に向かって下降傾斜して形成される。これにより、振分け部材７６０のシーソー部材７６２によって左右に振り分けられた球は、傾斜面７６１上を転動されて、傾斜面７６１の下降側の端部に送球（転動）される。
【０４０２】
傾斜面７６１の下降側の端部には、その端部に向かうに従って、背面側の側面が前方に厚みを増すように介設部材７５０へ近接する方向へ傾斜して形成される。これにより、傾斜面７６１を転動してその端部まで送球された球を、振分け部材７６０の前方に配設される介設部材７５０の連通孔７５１に送球することができる。
【０４０３】
介設部材７５０は、正面視横長矩形状に形成されると共に、正面視における左右方向の中央下部に上述した可変入賞装置６５と、左右両側に前後方向に貫通される連通孔７５１と、その連通孔７５１の下側に開口される回収孔７５２と、を主に備えて形成される。
【０４０４】
連通孔７５１は、振分け部材７６０の左右両端部の正面側に形成されると共に、入賞部材７３０の貫通孔７３１の背面側に形成される。よって、振分け部材７６０の左右両端部の空間と、入賞部材７３０の貫通孔７３１の内部空間とが連通孔７５１を介して連結される。従って、上述した振分け部材７６０の傾斜面７６１の上部を転動する球を、連通孔７５１を通過させて、入賞部材７３０の貫通孔７３１に送球する経路（以下、「第４送球経路ＫＲ４」と称す）を形成することができる。
【０４０５】
回収孔７５２は、上述したように、入賞部材７３０の下側挿通孔７３２の背面側に開口形成される開口である。即ち、回収孔７５２は、センサＳＥの背面側に連結されており、センサＳＥを通過する球が、その回収孔７５２の開口に送球される。回収孔７５２は、店舗に設置される球を循環する装置に連結されており、回収孔７５２に回収される球は、循環装置により循環されて遊技球として再び球発射ユニット１１２ａから打出しされる。
【０４０６】
以上のように構成される振分け装置７００は、次のように送球される。第１入賞口６４から入る球は、振分け部材７６０に送球されて振分け部材７６０のシーソー部材７６２により左右方向どちらか一方の第３送球経路ＫＲ３に送球される。第３送球経路ＫＲ３を送球される球は、その第３送球経路ＫＲ３の端部まで送球されると、正面側に配置される介設部材７５０の連通孔７５１の内部の第４送球経路ＫＲ４に送球される。第４送球経路ＫＲ４を送球される球は、屈曲部材７４０の背面側の第１送球経路ＫＲ１に送球される。第１送球経路ＫＲ１を送球される球は、屈曲部材７４０の下側突出部７４３に案内されて第２送球経路ＫＲ２に送球される。第２送球経路ＫＲ２を送球される球は、入賞部材７３０の下側挿通孔７３２を通過してセンサＳＥの内部を通過した後に、介設部材３７５０の回収孔７５２に送球される。
【０４０７】
ここで、上述したように、入賞部材７３０の貫通孔７３１及び下側挿通孔７３２は、第１電動役物６４０ａの左右両側に形成されて、屈曲部材７４０が左右一対に配置されるので、一対の屈曲部材７４０における下側突出部７４３の間に第１電動役物６４０ａが位置される。
【０４０８】
この場合、第３送球経路ＫＲ３の下降傾斜の角度が小さく（傾斜面が緩やかに）されると、球の流下速度が低くなり、下側突出部７４３において球詰まりを発生させやすくなる。一方で、第３送球経路ＫＲ３の下降傾斜の角度が大きく（下降傾斜が急と）されると、球の流下速度を速くして、下側挿通孔７３２における球詰まりを発生し難くできるが、第３送球経路ＫＲ３（振分け部材７６０）の配設に必要な高さ方向（上下方向）のスペースが嵩み、第１電動役物６４０ａの配設が困難となる。
【０４０９】
これに対し、本実施形態では、下側突出部７４３の側壁に開口７４４が形成されることで、かかる下側突出部７４３における球詰まりの発生し難くできるので、その分、第３送球経路ＫＲ３の下降傾斜の角度を小さく（下降傾斜を緩やかと）することができる。その結果、第３送球経路ＫＲ３（振分け部材７６０）の配設に必要な高さ方向のスペースが抑制でき、第１電動役物６４０ａの配設を可能とすることができる。即ち、屈曲部材７４０および第１電動役物６４０ａの配置は、従来品では不可能な配置であり、上述のように、下側突出部７４３の側壁に開口７４４を形成することで初めて可能となったものである。
【０４１０】
ここで、本実施形態では、遊技盤１３の中央には開口が形成（センターフレーム６００が配置）され、その開口を介して第３図柄表示装置８１を遊技者に視認させる。近年、第３図柄表示装置８１の大型化の要請に伴い、遊技盤１３の中央の開口（センターフレーム６００の枠体６１０の内周縁）も大きくなることで、遊技盤１３の中央の開口の下方縁部と遊技領域の下方縁部（内レール６１の下方内縁部）との間のスペースが狭くされる。そのため、従来品では、第３送球経路ＫＲ３および第１電動役物６４０ａに相当する部材を、遊技盤１３の中央の開口の下方縁部と遊技領域の下方縁部との間のスペースに配置することが困難であった。
【０４１１】
即ち、上述したように、第３送球経路ＫＲ３の下降傾斜の角度が小さく（下降傾斜が緩やかに）されると、球の流下速度が低くなり、下側突出部７４３において球詰まりを発生させやすくなる。一方で、第３送球経路ＫＲ３の下降傾斜の角度が大きく（下降傾斜が急と）されると、球の流下速度を速くして、下側突出部７４３における球詰まりを発生し難くできるが、第３送球経路ＫＲ３の配設に必要な高さ方向のスペースが嵩み、第１電動役物６４０ａの配設が困難となる。また、下側突出部７４３（屈曲部材７４０）の上下方向における配設位置が下がる（低くなる）ため、かかる下側突出部７４３（屈曲部材７４０）と遊技領域の下方縁部（内レール６１）との間に球が通過可能な隙間を確保することが困難となり、下側突出部７４３（屈曲部材７４０）の両側にそれぞれ第１アウト口７１を設けることが必要となる。
【０４１２】
これに対し、本実施形態では、上述したように、下側突出部７４３の側壁に開口が形成されることで、かかる下側突出部７４３における球詰まりの発生し難くできるので、その分、第３送球経路ＫＲ３の下降傾斜の角度を小さく（下降傾斜を緩やかと）することができる。その結果、下側突出部７４３（屈曲部材７４０）の高さ方向（上下方向）における配設位置を上げる（高くする）ことができるので、かかる下側突出部７４３（屈曲部材７４０）と遊技領域の下方縁部（内レール６１の下方内縁部）との間に球が通過可能な隙間を確保することができる。よって、下側突出部７４３（屈曲部材７４０）の両側にそれぞれ第１アウト口７１を設けることを不要とできる。
【０４１３】
即ち、屈曲部材７４０および第１電動役物６４０ａの配置において、下側突出部７４３（屈曲部材７４０）と遊技領域の下方縁部との間に球が通過可能な隙間が形成された配置は、従来品では不可能な配置であり、上述のように、下側突出部７４３の側壁に開口を形成することで初めて可能となったものである。
【０４１４】
次に、図４６を参照して、屈曲部材７４０の案内部７４２の送球について説明する。図４６（ａ）は、遊技盤１３の断面図であり、図４６（ｂ）は、遊技盤１３の断面図である。なお、図４６（ａ）は図４５（ａ）に、図４６（ｂ）は図４５（ｂ）に、それぞれ対応する。
【０４１５】
図４６に示すように、入賞部材７３０の貫通孔７３１から屈曲部材７４０に２球の球がほぼ隙間の無い様態で（即ち、２球が連なって）送球されると、先の（先行する）球の一部が開口７４４の内に入りつつ背面側に送球されて、入賞部材７３０の下側挿通孔７３２に案内される。
【０４１６】
ここで、球の外径よりも少し大きな断面積の通路を形成して、その通路が屈曲するものであると、かかる通路に２球の球がほぼ隙間の無い状態で（２球が連なって）送球されると、先行する球に後行する球がおいつき、先行する球を後行する球が側壁に押しつけることで、両者が転動できなくなり、球詰まりが発生するという問題点があった。
【０４１７】
これに対し、本願では、第１送球経路ＫＲ１と第２送球経路ＫＲ２との連結部分に開口７４４が形成されるので、複数の球が連なった状態で下側突出部７４３を通過する場合に、先行する球に後行する球が追いついても、先行する球を側壁に押し付け難くでき、両者の転動を継続させやすくできる。その結果、球詰まりの発生を抑制できる。
【０４１８】
また、開口７４４は、第１送球経路ＫＲ１と第２送球経路ＫＲ２とが公差する位置に形成されるので、球が詰まり易い屈曲部分で球を詰まり難くすることができる。即ち、第１送球経路ＫＲ１と第２送球経路ＫＲ２とが交差する領域は、第１送球経路ＫＲ１を流下（落下）した球が方向転換して第２送球経路ＫＲ２の延設方向へ向けて転動を開始する位置であり、先行する球に後行する球が追いつきやすい。そのため、先行する球を後行する球が側壁に押し付けることで、両者が転動できなくなり、球詰まりが発生しやすい。
【０４１９】
これに対し、本実施形態では、開口７４４が、第１送球経路ＫＲ１と第２送球経路ＫＲ２とが交差する位置に形成されるので、先行する球に後行する球が追いついても、先行する球を開口７４４の対向間に逃がして（先行する球の一部を開口７４４内へ収容させて）側壁に押し付け難くでき、両者の転動を継続させやすくできる。その結果、球詰まりの発生を抑制できる。
【０４２０】
さらに、上述したように、開口７４４の下端の高さは、入賞部材７３０の下側挿通孔７３２の上下方向略中間位置の高さに設定されるので、第１送球経路ＫＲ１を落下（流下）する球が、第２送球経路ＫＲ２（下側突出部７４３）の底壁に到達した際に、かかる球を開口に受け入れやすくできる。よって、先行する球に後行する球が追い付いた場合でも、先行する球を開口７４４の対向間に逃がして側壁に押し付け難くでき、両者の転動を継続させやすくできる。その結果、球詰まりの発生を抑制できる。
【０４２１】
また、下側突出部７４３は、側面視において略Ｕ字形状に形成され、開口７４４の下端の高さを下側突出部７４３の底壁から所定距離だけ離間された位置に設置されるので、開口７４４の下端と第２送球経路ＫＲ２（下側突出部７４３）との間に側壁を残す（形成する）ことができる。よって、球が通過可能な大きさに開口が形成される場合であっても、かかる開口を介して、屈曲部材７４０から外部（遊技盤１３の正面側の遊技領域）へ不必要に球が流出することを抑制できる。
【０４２２】
なお、この場合、開口７４４の大きさが球が通過不能な大きさとされる場合には、通常は、開口７４４を利用して、先行する球を側壁に押し付け難くできるが、例外的に、後行する球が先行する球を開口７４４の中心へ押し付ける形態が形成され、先行する球が開口７４４に内嵌される（嵌り込む）場合がある。この場合には、後行する球の転動が、開口７４４に嵌り込んだ球に阻害され、球詰まりが発生する。
【０４２３】
これに対し、開口７４４は、球の外形よりも大きく開口される（球が通過可能な大きさに形成される）ので、後行する球が先行する球を開口７４４の中心へ押し付ける形態が形成された場合でも、先行する球を開口７４４から屈曲部材７４０の外部（遊技盤１３の正面側の遊技領域）へ排出することができ、先行する球が開口７４４に内嵌される（嵌り込む）ことを回避できる。これにより、後行の球の転動を継続させることができるので、球詰まりの発生を抑制できる。
【０４２４】
また、このように、球が通過可能な大きさで開口７４４が形成されると共に、その開口７４４が遊技盤１３の正面側（即ち、遊技領域）に配設されることで、遊技領域を流下する球を開口７４４から屈曲部材７４０へ流入させることができる。よって、遊技の興趣の向上を図ることができる。例えば、下側突出部７４３よりも下流に入賞球を検出するセンサが配設される場合には、下側突出部７４３よりも上流から屈曲部材７４０へ流入した球に加え、開口７４４から屈曲部材７４０へ流入した球も入賞球として検出させることができる。特に、この場合には、開口７４４（第１送球経路ＫＲ１と第２送球経路ＫＲ２とが交差する領域）は、遊技盤１３の正面側に配設されるので、開口７４４から屈曲部材７４０へ流入する球を遊技者に視認させることができる。よって、この点からも、遊技の興趣を高めることができる。
【０４２５】
第１送球経路ＫＲ１と第２送球経路ＫＲ２とが公差する領域には、案内部７４２の下方部分（即ち、回収孔７５２へ向けてっ湾曲しつつ下降傾斜される部分）が配設される。これにより、第１送球経路ＫＲ１を流下（落下）する球が方向転換して第２送球経路ＫＲ２の延設方向へ向けて転動を開始する際には、かかる球を案内部７４２の下降傾斜を利用して速やかに転動させることができる。これにより、後行する球が追いつくよりも前に、先行する球を転動させやすくでき、先行する球が後行する球によって背面側（第２送球経路ＫＲ２の延設方向に沿って球が転動する際の背面側）の側壁に押し付けられることを抑制できるので、両者の転動を継続させやすくできる。その結果、球詰まりの発生を抑制できる。
【０４２６】
また、開口７４４は、ベース板６０（図２参照）の正面側（遊技領域側）の位置に形成されるので、第１送球経路ＫＲ１と第２送球経路ＫＲ２との屈曲部分に球詰まりが発生した際には、店舗の運営者はガラス８を開放することで、正面側から開口７４４にアクセスすることができる。よって、球詰まりを解消する作業の作業性の向上を図ることができる。
【０４２７】
さらに、第１送球経路ＫＲ１と第２送球経路ＫＲ２との屈曲部分に埃やゴミ等が溜まった際には、店舗の運営者はガラス８を開放することで、正面側から開口７４４にアクセスして、開口７４４を介して屈曲部分の清掃をすることができる。よって、第１送球経路ＫＲ１と第２送球経路ＫＲ２を清掃する際の清掃性を向上することができる。
【０４２８】
次いで、図４７を参照して、発光装飾ユニット８００について説明する。図４７は、発光装飾ユニット８００の分解正面斜視図である。
【０４２９】
図４７に示すように、発光装飾ユニット８００は、背面ケース３００の底壁部３０１（図６参照）に配設される正面視横長矩形状のベース体８１０と、そのベース体８１０の正面側に配設される発光装置８２０と、その発光装置８２０の前面に覆設されると共に、光透過性材料からなるカバー部材８３０と、を主に備える。
【０４３０】
発光装置８２０の正面側には、複数の発光体（ＬＥＤ８２１）が全面にわたって分散して配設される。よって、ＬＥＤ８２１から発光された光は、カバー部材８３０の全面から遊技機正面側に出射される。
【０４３１】
次いで、図４８から図５０を参照して、第２実施形態における規制ユニット２４９０について説明する。なお、上記第１実施形態と同一の部分には同一の符号を付してその説明は省略する。
【０４３２】
初めに、図４８及び図４９を参照して、規制ユニット２４９０の全体構成について説明する。図４８は、第２実施形態における規制ユニット２４９０の分解正面斜視図である。図４９（ａ）は、規制ユニット２４９０の側面図であり、図４９（ｂ）は、規制ユニット２４９０の背面図であり、図４９（ｃ）は、図４９（ｂ）のＸＬＩＸｃ−ＸＬＩＸｃ線における規制ユニット２４９０の断面図である。
【０４３３】
図４８及び図４９に示すように、第２実施形態における規制ユニット２４９０では、ローラ部材４９２が回転部材２４９４に軸支されて、回転部材２４９４の回転によりローラ部材４９２の位置を調整可能に構成される。
【０４３４】
規制ユニット２４９０は、箱状体に形成されるケース部材２４９１と、そのケース部材２４９１の開放する側の外縁部に配設される外縁部材２４９３と、ケース部材２４９１と外縁部材２４９３との対向間に挟持されて回転可能に軸支される回転部材２４９４と、その回転部材２４９４に軸支されるローラ部材４９２と、を主に備えて形成される。
【０４３５】
ケース部材２４９１は、背面側が開口する箱形状に形成されると共に、第１実施形態におけるケース部材４９１よりも左右方向（図４９（ｂ）左右方向）の幅寸法が大きく形成される。また、ケース部材２４９１は、正面側の側面から突設する突設部４９１ａと、左右方向両側の側面に半円形状に切り欠かれる切欠き部２４９１ｂと、を主に備えて形成される。
【０４３６】
切欠き部２４９１ｂは、ケース部材２４９１の左右方向（図４９（ｂ）左右方向）両側の側面の上下方向（図４９（ｂ）上下方向）略中央位置に半円形状に切り欠かれて形成される。切欠き部２４９１ｂは、内部に後述する回転部材２４９４の軸部２４９４ｂを回転可能に軸支するための切り欠きであり、その内径が回転部材２４９４の外径よりも大きく設定される。
【０４３７】
外縁部材２４９３は、正面視縦長矩形状の枠状体に形成され、ケース部材２４９１の背面側（開放側）に配設される部材である。外縁部材２４９３は、その内形がケース部材２４９１の開口と略同一の形状に形成される。また、外縁部材２４９３の正面側（ケース部材４９１側）の側面には、内縁部の周囲に正面側に立設する立設部２４９３ａが形成される。
【０４３８】
立設部２４９３ａには、背面側に凹設される凹設部２４９３ａ１が形成される。凹設部２４９３ａ１は、ケース部材２４９２の切欠き部２４９１ｂと対向する位置に形成される。よって、後述する回転部材２４９４をケース部材２４９１の切欠き部２４９１ｂと凹設部２４９３ａ１との対向間に挟み込むことで、回転部材２４９４をケース部材２４９１に回転可能な状態で配設することができる。
【０４３９】
回転部材２４９４は、側面視長円形状の板状体から形成され、長手方向寸法がケース部材２４９１の内側部分の上下方向寸法より小さく設定される。回転部材２４９４は、長手方向中央部にケース部材２４９１に対して左右方向外側に円柱形状に突出する軸部２４９４ｂと、その軸部２４９４ｂを挟んだ両側に貫通形成される軸支孔２４９４ａと、軸部２４９４ｂの突出先端部から径方向外側に膨出する規制部２４９４ｃと、を備えて形成される。
【０４４０】
軸部２４９４ｂは、箱状体に形成されるケース部材２４９１の板厚よりも長く突設されており、その突設先端部に径方向に膨出する規制部２４９４ｃが形成される。これにより、軸部２４９４ｂをケース部材２４９１の切欠き部２４９１ｂに内嵌すると共に背面側から外縁部材２４９３の凹設部２４９３ａ１を配設することで、回転部材２４９４をケース部材２４９１に対して回転可能に軸支できると共に、規制部２４９４ｃによりケース部材２４９１に対して回転部材２４９４が左右方向へ変位すること規制できる。
【０４４１】
軸支孔２４９４ａは、内部にローラ部材４９２の軸部４９２ｂが挿通される開口であり、円形状に開口されると共に、その内径寸法が軸部４９２ｂの外径よりも大きく形成される。これにより、止め輪Ｅ１を外した状態のローラ部材４９２の軸部４９２ｂを軸支孔２４９４ａに挿通させたあと止め輪Ｅ１を軸部４９２ｂに外嵌することで、ローラ部材４９２を回転可能な状態で回転部材２４９４に配設できる。
【０４４２】
以上のように構成される規制ユニット２４９０は、次のようにして組み立てられる。
【０４４３】
まず、一対に配設される回転部材２４９４の軸支孔２４９４ａに、ローラ部材４９２の軸部４９２ｂが挿入されてローラ部材４９２が回転部材２４９４に軸支される。これにより、一対に配設される回転部材２４９４の対向間に、ローラ部材４９２を上下に２つ並設した状態で配置することができる。
【０４４４】
次に、回転部材２４９４の軸部２４９４ｂにねじりバネ（図示しない）を配設すると共にケース部材２４９１の切欠き部２４９１ｂに内嵌した後に、背面側から外縁部材２４９３を配設することで、回転部材２４９４をケース部材２４９１に対して軸部２４９４ｂを軸に回転可能に配設することができる。これにより、回転部材２４９４を回転変位させることで、回転部材２４９４に配設されるローラ部材４９２の位置を変位することができる。また、軸部２４９４ｂに配設したねじりバネにより、上下に並んで配設されるローラ部材４９２の上側に配設されるローラ部材４９２を正面側（図４９（ｃ）左側）に付勢した状態とすることができる。
【０４４５】
次に、図５０を参照して、装飾部材４５０が第２位置から第１位置に変位する際の、装飾部材４５０と規制ユニット２４９０との当接様態について説明する。図５０の（ａ）から（ｃ）は、上下変位ユニット４００の断面図である。なお、図５０（ａ）は図２４（ａ）に、図５０は図２４（ｂ）に、図２１（ｃ）は、図１８（ｃ）にそれぞれ対応する。
【０４４６】
図５０（ａ）に示すように、装飾部材４５０が、規制ユニット２４９０よりも上方に位置する際には、回転部材２４９４の軸部２４９４ｂに配設されるねじりバネ（図示しない）により回転部材２４９４が回転されて、下方側に配設されるローラ部材４９２よりも上方側に配設されるローラ部材４９２が正面側に位置される。
【０４４７】
これにより、図２１（ａ）に示す状態から、装飾部材４５０が下方に変位されて、図５０（ｂ）に示す、装飾部材４５０の下端面がケース部材２４９１の上下方向略中間位置と略同一の上下方向の位置に変位された際に、上方側に配設されるローラ部材４９２のローラ４９２ａが装飾部材４５０と当接して装飾部材４５０を抑え込む圧力を第１実施形態の規制ユニット２４９０よりも小さくできる。なお、この場合、回転部材２４９４は、ケース部材２４９１の内側に形成される図示しない突起と当接されており、上方側に配設されるローラ部材４９２が正面側に変位しない（回転部材２４９４の上方側が正面側に回転変位しない）様態とされる。
【０４４８】
従って、図２１（ｂ）に示す状態から、装飾部材４５０が、さらに下方に変位されて、図５０（ｃ）に示す、第１位置に変位される際に、装飾部材４５０に駆動力を付与する駆動モータ４４１の消費エネルギーが増加することを抑制できる。
【０４４９】
また、図５０（ｃ）に示す、装飾部材４５０が第１位置に変位された際には、下方側に配設されるローラ４９２ａが装飾部材４５０と当接される。これにより、下方側のローラ部材４９２が、背面側に押圧されて背面側に変位すると共に、上方側のローラ４９２ａが正面側に変位される。これにより、上方側に配設されるローラ４９２ａの装飾部材４５０に対する押圧力を高めることができる。その結果、装飾部材４５０が第１位置に配置される際には、上下に配設されるローラ部材４９２の押圧力により、装飾部材４５０を強固に保持することができる。一方、装飾部材４５０が変位途中に位置する際には、装飾部材４５０に作用する押圧力を小さくして、変位しやすい様態とすることができる。即ち、装飾部材４５０の変位に伴って、規制ユニット２４９０のから装飾部材４５０に作用される押圧力を変化させることができる。
【０４５０】
次いで、図５１から図５３を参照して、第３実施形態における振分け装置７００について説明する。なお、上記各実施形態と同一の部分には、同一の符号を付してその説明は省略する。
【０４５１】
初めに、図５１から図５３を参照して、振分け装置３７００の全体構成について説明する。図５１は、第３実施形態における振分け装置３７００の分解正面斜視図である。図５２は、振分け装置３７００の部分拡大正面図である。図５３（ａ）は、図５２のＬＩＩＩａ−ＬＩＩＩａ線における振分け装置３７００の断面図であり、図５３（ｂ）は、図５２（ｂ）のＬＩＩＩｂ−ＬＩＩＩｂ線における振分け装置３７００の断面図である。
【０４５２】
図５１から図５３に示すように、第３実施形態における振分け装置３７００では、第２入賞口６４０の開口が、振分け装置３７００に連結される。
【０４５３】
振分け装置３７００は、遊技盤１３のセンターフレーム６００の下方に配設され、ベース板６０に対して正面側に配設される正面側形成部３７１０と、ベース板６０に対して背面側に配設される正面側形成部３７１０と、を主に備えて形成される。
【０４５４】
正面側形成部３７１０は、ベース板６０に取着される入賞部材３７３０と、その入賞部材３７３０の正面側に配設される屈曲部材３７４０と、を主に備えて形成される。
【０４５５】
背面側形成部３７２０は、ベース板６０に取着される介設部材３７５０と、その介設部材３７５０の背面側に配設される振分け部材７６０と、振分け部材７６０の下方に位置し介設部材３７５０の背面側に配設される第２送球路３７７０と、を主に備えて形成される。
【０４５６】
入賞部材３７３０は、正面視横長矩形に形成されると共に、左右方向中央上部に上述した第１入賞口６４と、その第１入賞口６４の下側に第１電動役物６４０ａと、第１電動役物６４０ａの左右方向両側に前後方向に貫通形成される貫通孔７３１と、その貫通孔７３１の下方に前後方向に貫通形成される第２貫通孔３７３３と、その第２貫通孔３７３３の下方に前後方向に貫通形成される下側挿通孔７３２と、を主に備えて形成される。
【０４５７】
第２貫通孔３７３３は、その内部に球を通過させる開口であり、球の外径よりも少し大きく開口する正面視略矩形状に形成される。また、第２貫通孔３７３３は、第２入賞口６４０よりも下方に位置して形成されると共に、下面に背面側から正面側に分かって上方に突出する第２突設壁３７３３ａが形成される。
【０４５８】
第２突設壁３７３３ａは、正面視における第２貫通孔３７３３の左右方向中心線を対称に２つ並設されており、背面側から正面側に向かうにつれてその突出距離が小さく設定される。よって、後述する介設部材３７５０及び第２送球路により第２貫通孔３７３３の内部を球が通過する際には、その球を２つの第２突設壁３７３３ａの左右方向中央位置に案内できると共に、背面側から正面側に転動させることができる。
【０４５９】
屈曲部材３７４０は、上述した入賞部材３７３０の貫通孔７３１と第２貫通孔３７３３と下側挿通孔７３２との正面側に配設される部材であり、上述した第２入賞口６４０の左右両側に配設され、その一対の外形形状が左右対称に形成される。
【０４６０】
屈曲部材３７４０は、正面視略矩形の板状体から形成され、その背面側から突出する上側突出部７４１と、その上側突出部７４１よりも下方から突出する中間突出部３７４５と、その中間突出部３７４５よりも下方から突出する下側突出部７４３と、を備えて形成される。
【０４６１】
中間突出部３７４５は、背面視において上下方向（図５３（ｂ）上下方向）に長く形成される壁部であり、第２貫通孔３７３３の左右両側の位置に形成され、その上側側面が、第２貫通孔３７３３の上下方向略中間位置と同一の高さに形成される。一方、中間突出部３７４５の下側側面は第２貫通孔３７３３の底面よりも下方に位置して形成される。
【０４６２】
また、中間突出部３７４５と上側突出部７４１との対向間には、所定の隙間を有する第２開口３７４６が形成される。一方、中間突出部３７４５と下側突出部７４３との対向間には、所定の隙間を有する開口７４４が形成される。
【０４６３】
第２開口３７４６は、側面視背面側が開口する略Ｕ字形状に開口すると共に、その内形が球の外形よりも大きく形成される。即ち、第２開口３７４６は、球が通過可能な大きさに設定される。なお、第２開口３７４６の詳しい説明は後述する。
【０４６４】
第２送球路３７７０は、正面視横長矩形状に形成されると共に正面側が開放され一定の厚みの略箱形状に形成される。第２送球路３７７０は、第２入賞口６４０の内部に入る球を入賞部材３７３０の第２貫通孔３７３３に送球するための送球路であり、介設部材３７５０の背面側に配設されると、第２送球路３７７０の内側と介設部材３７５０との間に球を送球する送球路を形成できる。
【０４６５】
また、第２送球路３７７０は、正面視において左側端部が入賞部材３７３０の第２入賞口６４０の背面側に位置して配設されると共に、右側端部が入賞部材３７３０の第２貫通孔３７３３の背面側に位置して配設される。即ち、第２送球路３７７０は、正面視における左側端部が右側端部よりも上方に位置し、右側端部に向かって下方に傾倒する様態で介設部材３７５０に配設される。
【０４６６】
さらに、第２送球路３７７０は、正面視における左側端部が第２入賞口６４０に連結されると共に、右側端部が介設部材３７５０の第２連結孔３７５３に連結される。これにより、第２入賞口６４０の内部に入った球は、第２送球路３７７０の内部に送球された後に、第２送球路３７７０の内部を左側端部から右側端部に転動して介設部材３７５０の第２連結孔３７５３に送球される。
【０４６７】
介設部材３７５０は、正面視横長矩形に形成されると共に、左右方向中央下部に上述した可変入賞装置６５と、その可変入賞装置６５の左右両側に位置し前後方向に貫通形成される連通孔７５１と、その連通孔７５１の下方に位置し前後方向に貫通形成される回収孔７５２と、右側の連通孔７５１及び回収孔７５２との間に位置し前後方向に貫通形成される第２連結孔３７５３と、を備えて形成される。
【０４６８】
第２連結孔３７５３は、正面視略矩形状に貫通形成され、その内形が球の外形よりも大きく設定されると共に、入賞部材７３０の第２貫通孔３７３３の背面側の位置に形成される。これにより、上述した第２送球路３７７０の内側を転動される球は、第２連結孔３７５３の内部を通過されて、介設部材７５０の第２貫通孔３７３３に送球される。
【０４６９】
以上のように構成される振分け装置３７００は、次のように送球される。第１入賞口６４から入る球は、振分け部材７６０に送球されて振分け部材７６０のシーソー部材７６２により左右方向どちらか一方の傾斜面７６１に交互に送球される。傾斜面７６１を転動する球は、その傾斜面７６１の端部まで送球されると、正面側に配置される介設部材３７５０の連通孔７５１の内部を通過されて屈曲部材７４０の背面側に送球される。屈曲部材７４０，３７４０の背面側に送球される球は、屈曲部材７４０，３７４０の案内部７４２の突出先端面に沿って案内されて下方に落下すると共に、入賞部材３７３０の下側挿通孔７３２の内部を通過されてセンサＳＥの内部を通過した後に、介設部材３７５０の回収孔７５２に送球される。
【０４７０】
第２入賞口６４０から入る球は、第２送球路３７７０に送球されて、第２送球路３７７０の内部を左側端部から右側端部まで送球される。第２送球路３７７０の右側端部まで送球される球は、正面側に配置される介設部材３７５０の第２連結孔３７５３の内部を通過され、入賞部材３７３０の第２貫通孔３７３３を通過した後に、屈曲部材３７４０の案内部７４２の突出先端面に沿って案内されて下方に落下すると共に、入賞部材３７３０の下側挿通孔７３２の内部を通過されてセンサＳＥの内部を通過した後に、介設部材３７５０の回収孔７５２に送球される。
【０４７１】
よって、振分け装置３７００では、第２入賞口６４０から入る球を、入賞部材３７３０の正面視右側に配設したセンサＳＥで検出することができるので、第２入賞口６４０からの送球通路に新たにセンサＳＥを配設する必要がない。即ち、第１入賞口６４から入る球を検出するセンサＳＥが、第２入賞口６４０に入る球を検出するセンサＳＥの役割を兼用することができるので、その分、製品のコストを抑えることができる。
【０４７２】
次いで、図５４を参照して、屈曲部材３７４０の第２開口３７４６について説明する。図５４の（ａ）及び（ｂ）は、振分け装置３７００の断面図である。なお、図５４（ａ）は、図５３（ａ）に、図５４（ｂ）は、図５３（ｂ）にそれぞれ対応する。
【０４７３】
図５４に示すように、第１入賞口６４から球が入り送球されて、屈曲部材３７４０の背面側に送球される球と、第２入賞口６４０から球が入り送球されて、屈曲部材３７４０の背面側に送球される球とが、略同一のタイミングで屈曲部材３７４０の背面側に送球されると屈曲部材７４０の背面側互いの球が当接して球が詰まってしまう恐れがある。
【０４７４】
即ち、第２入賞口６４０から送球されて、入賞部材３７３０の第２貫通孔３７３３から屈曲部材３７４０に送球される球（以下、「下側の球」と称す）が、第１入賞口６４から送球されて、入賞部材３７３０の貫通孔７３１から屈曲部材３７４０の背面側に送球されて、屈曲部材３７４０の上方から下側に落下する球（以下、「上側の球」と称す）と衝突すると共に、第２貫通孔３７３３の正面側端部に引っ掛ることで、動けなくなり球が詰まる恐れある。
【０４７５】
これに対し、第３実施形態では、屈曲部材３７４０に第２開口３７４６が形成されるので、上側の球を第２開口３７４６から排出または第２開口３７４６の対向間に逃がすことで下側の球と上側の球との釣り合い状態を解消して屈曲部材３７４０の送球路内に球が詰まることを抑制することができる。
【０４７６】
即ち、下側の球に上側の球が乗り上げてつり合い状態が形成される際に、上側の球が位置する左右方向の側面に第２開口３７４６が形成されており、上側の球は、互いの球面形状により左右のどちらか寄りかかるので、上側の球が左右どちらかの第２開口３７４４の内部に送られる。これにより、下側の球と上側の球との釣り合い状体を解消することができる。よって、屈曲部材３７４０の送球路内に球が詰まることを抑制することができる。
【０４７７】
次いで、図５５を参照して、第４実施形態における振分け装置４７００について説明する。なお、上記各実施形態と同一の部分には、同一の符号を付してその説明は省略する。
【０４７８】
図５５（ａ）は、第４実施形態における振分け装置４７００の正面図であり、図５５（ｂ）は、図５５（ａ）のＬＶｂ−ＬＶｂ線における振分け装置４７００の断面図であり、図５５（ｃ）は、図５５（ｂ）のＬＶｃ−ＬＶｃ線における振分け装置４７００の断面図である。なお、図５５（ａ）から図５５（ｃ）では、球の通過する通過経路が破線で模式的に図示される。
【０４７９】
図５５（ａ）から図５５（ｃ）に示すように、第４実施形態における振分け装置４７００には、屈曲部材７４０の開口７４４の左右方向（図５５（ａ）左右方向）外側下方に入賞口４０６３が配設される。
【０４８０】
入賞口４０６３は、遊技領域を流下する球が内部に球通過可能な開口であり、遊技盤１３の正面側に配設される。入賞口４０６３は、背面側が後述する介設部材４７５０の第３連結孔４７５２ａに連結されており、入賞口４０６３の内部に入った球は、第３連通孔５４７５２ａに案内される。
【０４８１】
介設部材４７５０の回収孔７５２は、第２送球経路ＫＲ２の先端で下方に屈曲して形成され、その内部を球が通過して下方に送球される経路（第６送球経路ＫＲ６）が形成される。即ち、第６送球経路ＫＲ６と第２送球経路ＫＲ２とが連結される。
【０４８２】
第６送球経路ＫＲ６には、左右両側に突出する第３連結孔４７５２ａが形成され、その第３連結孔４７５２ａの下方部分に球の通過を検知するセンサＳＥが配設される。
【０４８３】
第３連結孔４７５２ａは、入賞口４０６３の背面側の開放部分に連結される。これにより、入賞口４０６３に入った球は、第３連結孔４７５２ａの内部に送球され、第６送球経路に送球される。
【０４８４】
また第３連結孔４７５２ａの通路上には、第６送球経路ＫＲ６に配設されるセンサＳＥと異なるセンサＳＥ２が配設される。これにより、第３連結孔４７５２ａの内部に入った球を検出することができる。
【０４８５】
これにより、屈曲部材７４０の開口７４４から排出される球は、入賞口４０６３に入賞させることができる。即ち、屈曲部材７４０に案内される球が、センサＳＥを通過する形態だけでなく、開口７４４から遊技領域へ流出する形態、更には、その流出した球が、入賞口４０６３内に入りセンサＳＥ２を通過する形態を形成でき、遊技に興趣を付与することができる。
【０４８６】
なお、入賞口４０６３は、開口７４４から遊技領域へ流出した球の全てを受け入れ可能な位置に配置されていても良く、或いは、開口７４４から遊技領域へ流出した球の状態に応じて、一部の球は受け入れると共に一部の球は受け入れられない位置に配設されていても良い。
【０４８７】
また、開口７４４は、第１送球通路ＫＲ１と第２送球通路ＫＲ２との連結部分に形成されるので、球詰まりが発生しそうな球を開口から遊技領域に払い出すことで、第１送球経路ＫＲ１と第２送球経路ＫＲ２との連結部分に球が詰まることを抑制できる。
【０４８８】
さらに、入賞口４０６３及び開口７４４が形成される屈曲部材７４０は、遊技盤１３の正面側に配置されるので、開口７４４から払い出され球が入賞口４０６３に入る態様を遊技者に視認可能にでき、遊技者に興趣と付与しやすくできる。
【０４８９】
第３連結孔４７５２ａは、第６送球経路ＫＲ６に配置されるセンサＳＥの上方に連結されるので、入賞口４０６３から入る球は、第３連結孔４７５２ａに配置されるセンサＳＥ２を通過するだけでなく、第６送球経路ＫＲ６に配置されるセンサＳＥを通過する。よって、入賞口４０６３から入る球により、２のセンサを通過させることができるので、遊技者に興趣を付与することができる。
【０４９０】
また、屈曲部材７４０に送球される球は、振分け部材７６０のシーソ―部材７６２により一球毎に左右に振り分けられるので、第１送球経路ＫＲ１と第２送球経路ＫＲ２との連結部分に球が連続して送球されることを抑制できる。よって、第１送球経路ＫＲ１と第２送球経路ＫＲ２との連結部分に球が詰まることを抑制できる。
【０４９１】
次いで、図５７から図６０を参照して、第５実施形態の上下変位ユニット５４００について説明する。上記第１実施形態では、回転ユニット５５００の回転の規制が回転規制部材４８０のローラ４８１で行われる場合を説明したが、第５実施形態では、回転ユニット５５００の回転の規制が変位部材５４３０により行われる。なお、上記各実施形態と同一の部分には同一の符号を付してその詳しい説明を省略する。
【０４９２】
また、上記第１実施形態は、上下変位ユニット４００の装飾部材４５０が上昇位置に配置された状態を第２位置として、上下変位ユニット４００の装飾部材４５０が下降位置に配置された状態を第１位置として説明したが、第５実施形態では、更に装飾部材５４５０が第２位置から上昇位置に配置された状態を第３位置として説明する。
【０４９３】
なお、第５実施形態では、装飾部材５４５０が第１位置に配置された状態では、第１実施形態と同様に正面視においてセンターフレーム６００の中央開口部分に装飾部材５４５０が配置されて、回転ユニット５５００を回転させる演出が行われる。また、装飾部材５４５０が第２位置に配置された状態では、装飾部材５４５０が、センタフレーム６００の中央開口よりも上方（矢印Ｕ方向）であって遊技盤１３（図２参照）の背面側に配置される。この場合、後述する変位部材５４３０により回転ユニット５５００の回転が規制される。即ち、第２位置では、第１実施形態と同様に装飾部材５４５０の退避位置とされる。
【０４９４】
さらに、装飾部材５４５０が第３位置に配置された状態では、遊技盤１３のセンタフレーム６００よりも上方に貫通する開口部分（図示しない）から装飾部材５４５０に配設される回転ユニット５５００を正面視において視認可能に構成される。これにより、第３位置で回転ユニット５５００を回転させて遊技者に演出を視認させることができる。
【０４９５】
初めに、図５７及び図５８を参照して、第５実施形態における上下変位ユニット５４００の全体構成について説明する。図５７（ａ）及び図５７（ｂ）は、第５実施形態における上下変位ユニット５４００の正面図である。図５８は、上下変位ユニット５４００の分解斜視正面図である。なお、図５７（ｂ）は、正面カバー５４６０が透明視された状態が図示される。
【０４９６】
なお、以下の説明では、図１に示す状態のパチンコ機１０に対して、紙面手前側を前方（正面）側として、紙面奥側を後方（背面）側として説明する。また、図１に示す状態のパチンコ機１０に対して、上側を上方（上）側として、下側を下方（下）側として、右側を右方（右）側として、左側を左方（左）側としてそれぞれ説明する。さらに、図中の矢印Ｕ−Ｄ，Ｌ−Ｒ，Ｆ−Ｂは、パチンコ機１０の上下方向，左右方向，前後方向をそれぞれ示している。また、以下の図面では、上下変位ユニットの構成が模式的に図示される。
【０４９７】
さらに、以下の説明では、特段の指定がない限り、上下変位ユニット５４００の装飾部材５４５０が第３位置に配置された状態を、回転ユニット５５００の長手方向が水平方向（矢印Ｌ−Ｒ方向）に平行に配置された状態（以下の説明では、回転ユニット５５００の初期位置と称す）を説明する。
【０４９８】
図５７及び図５８に示すように、第５実施形態における上下変位ユニット５４００は、箱状に形成される正面ベース５４１０と、その正面ベース５４１０の正面側（矢印Ｆ方向側）に重ね合される正面カバー５４６０と、正面ベース５４１０の背面側に配設される駆動モータ４４１と、正面ベース５４１０及び正面カバー５４６０の対向間に軸支されて配設されると共に駆動モータ４４１の駆動力により回転される変位部材５４３０と、その変位部材５４３０の一側に連結されて変位部材５４３０の回転に伴って上下方向（矢印Ｕ−Ｄ方向）に変位される装飾部材５４５０と、その装飾部材５４５０に挿通されると共に、正面ベース５４１０及び正面カバー５４６０の対向間に配設される案内棒Ｐ１と、を主に備える。
【０４９９】
なお、第５実施形態における上下変位ユニット５４００は、第１実施形態と同様に装飾部材５４５０を除いたすべての部材が左右対称に一対配設され、その一対の対向間に装飾部材５４５０が介設される。また、一対に配設される部材の詳細な説明は、正面視左側（矢印Ｌ方向側）に配設される部材のみを説明し、正面視右側（矢印Ｒ方向側）に配設される部材については、正面視左側の部材と同一の符号を付してその説明は省略する。
【０５００】
正面ベース５４１０は、上下方向（矢印Ｕ−Ｄ方向）に延設される第１片５４１０Ｘと、その第１片５４１０Ｘの上下方向略中間位置から左右方向において一対に配設される第１片５４１０Ｘの対向方向外側に向かって膨出する第２片５４１０Ｙと、を備える。
【０５０１】
第１片５４１０Ｘは、上端側に断面円弧状に凹設される上側凹溝４１３と、下端側に断面円弧状に凹設される下側凹溝４１４と、回転ユニット５５００から遠方側（矢印Ｌ方向）の縁部に沿って正面カバー５４６０側（矢印Ｆ方向側）に立設される立設部５４１２と、を主に備える。
【０５０２】
上側凹溝４１３及び下側凹溝４１４は、その内縁に案内棒Ｐ１を配置する溝であり、案内棒Ｐ１の外径よりも大きい内径の半円形状に凹設される。また、上側凹溝４１３及び下側凹溝４１４は、断面半円弧状に凹設された部分の軸が同軸上に形成されると共に、上側凹溝４１３の上端部から下側凹溝４１４の下端部までの対向間の距離が案内棒Ｐ１の軸方向寸法よりも小さく設定される。これにより、案内棒Ｐ１の両端部を上側凹溝４１３及び下側凹溝４１４の内縁に配置することができる。
【０５０３】
立設部５４１２は、正面側に配置される正面カバー５４６０に当接した状態で配設される。これにより、正面ベース５４１０及び正面カバー５４６０の対向間に空間を形成することができると共に、その空間を回転ユニット５５００側の側面から外部空間に連通させることができる。その結果、正面ベース５４１０及び正面カバー５４６０の対向間に装飾部材５４５０を配設することができると共に、装飾部材５４５０を上下方向にスライド変位させることができる。
【０５０４】
また、立設部５４１２は、上下方向（矢印Ｕ−Ｄ方向）に延設される第１片５４１０Ｘの上下方向略中間位置に部分的に凹設される切欠部５４１２ａを備え、その切欠部５４１２ａの切欠底面に沿って第２片５４１０Ｙが形成される。
【０５０５】
第２片５４１０Ｙは、上述したように第１片５４１０Ｘの切欠部５４１２ａと連結して形成され、回転ユニット５５００から離間する方向（矢印Ｌ方向）に正面視半円形状に膨出して形成される。また、第２片５４１０Ｙは、前後方向（矢印Ｆ−Ｂ方向）に開口する開口５４１１と、正面側に円柱状に突出する軸支部５４１６と、を主に備える。なお、第１片５４１０Ｘの立設部５４１２は、第２片５４１０Ｙの正面側の縁部に沿って立設される。
【０５０６】
開口５４１１は、正面ベース５４１０の背面側（矢印Ｂ方向側）に取着される駆動モータ４４１の回転軸およびその回転軸に嵌合される伝達ギヤ４４２を正面ベース５４１０の正面側（矢印Ｆ方向側）に挿通するための開口であり、駆動モータ４４１の回転軸に嵌合される伝達ギヤ４４２の外径よりも内径が大きく設定される。これにより、駆動モータ４４１が経年劣化等により故障した際には、駆動モータ４４１を伝達ギヤ４４２が取着された状態で開口５４１１から取り外すことができる。従って、交換した新しい駆動モータ４４１の回転軸に伝達ギヤ４４２を嵌合させた後に、伝達ギヤ４４２を開口５４１１を挿通させて駆動モータ４４１を正面ベース５４１０に配設することができる。その結果、駆動モータ４４１を交換する際に駆動モータ４４１のみを取り外す場合に比べて、簡易に駆動モータ４４１を正面ベース５４１０に配設することができる。また、この場合、駆動モータ４４１の回転軸に伝達ギヤ４４２の軸孔を確実に嵌合させることができるので、部品交換した際の製品の信頼性を向上することができる。
【０５０７】
軸支部５４１６は、金属材料からなる円柱形状の棒部材であり、その軸方向を前後方向（矢印Ｆ−Ｂ方向）に向けた状態で正面ベース５４１０の正面側に端部が嵌合される。また、軸支部５４１６の正面側の端部には、ネジを螺合可能な穴が形成される。これにより、伝達ギヤ４４３の軸孔に軸支部５１４６を挿入した後に、頭部が伝達ギヤ４４３の軸孔の内径よりも大きいネジを軸支部５４１６に螺合させることで、伝達ギヤ４４３を正面ベース５４１０に脱落不能な状態で配設できる。
【０５０８】
正面カバー５４６０は、正面視における外形が背面側に配設される正面ベース５４１０と略同一に形成される。正面カバー５４６０は、正面ベース５４１０との対向面から正面ベース５４１０側に向かって突出する軸支部５４６４と、正面ベース５４１０の上側凹溝４１３及び下側凹溝４１４の対向部分から正面ベース５４１０側に突設される上側溝形成部材４６２及び下側溝形成部材４６３と、を備える。
【０５０９】
軸支部５４６４は、金属材料からなる円柱状の棒部材であり、その軸方向を前後方向（矢印Ｆ−Ｂ方向）に向けた状態で正面カバー５４６０の背面側に端部が嵌合される。また、軸支部５４６４の背面側の端部には、ネジを螺合可能な穴が形成される。これにより、後述する変位部材５４３０の貫通孔４３３に軸支部５４６４を挿入した後に、頭部が変位部材５４３０の貫通孔４３３の内径よりも大きいネジを軸支部５４６４に螺合させることで、変位部材５４３０を正面カバー５４６０に脱落不能な状態で配設できる。
【０５１０】
変位部材５４３０は、正面視において一方が長い矩形状に形成され、長手方向の他側に変位部材５４３０の長手方向に長い長穴に形成される駆動側摺動溝４３１と、長手方向の一側に装飾部材５４５０側に突出する連結軸５４３５と、その連結軸５４３５と駆動側摺動溝４３１との間に位置し前後方向に貫通する貫通孔４３３と、を主に備える。
【０５１１】
貫通孔４３３は、上述したように正面カバー５４６０の軸支部５４６４に軸支される穴であり、変位部材５４３０の正面ベース５４１０と正面カバー５４６０との対向間に配設される部分に形成される。また、貫通孔４３３の中心から長手方向他側（駆動側摺動溝４３１側）の端部までの距離寸法は、正面カバー５４６０の軸支部５４６４から正面ベース５４１０の第２片５４１０Ｙに形成される立設部５４１２の軸支部５４６４側の側面までの距離寸法よりも小さい値に設定される。これにより、変位部材５４３０を軸支部５４６４を中心として回転させた場合に、変位部材５４３０の端部が立設部５４１２と当接することを抑制できる。
【０５１２】
連結軸５４３５は、後述する装飾部材５４５０の摺動溝５４５２ｊに挿入される。これにより、変位部材５４３０の回転変位に合わせて装飾部材５４５０を案内棒Ｐ１の軸方向（矢印Ｕ−Ｄ方向）に沿って駆動させることができる。
【０５１３】
装飾部材５４５０は、正面視横長矩形状に形成され、長手方向中央部分を構成する正面ベース５４５２と、その正面ベース５４５２の左右方向両端部に連結される摺動部４５１と、正面ベース５４５２の背面を覆設する背面ベース４５３（図示しない）と、正面ベース５４５２の正面側に回転可能な状態で配設される回転ユニット５５００と、を主に備える。
【０５１４】
正面ベース５４５２は、第１実施形態における正面ベース４５２と同様に正面視横長矩形状の板状体から形成されると共に、上下の両端部が背面側に屈曲する断面コ字状に形成される。正面ベース５４５２は、装飾部材５４５０の長手方向に長い長穴に形成される摺動溝５４５２ｊを備え、装飾部材５４５０の長手方向略中間位置に回転可能な状態で回転ユニット５５００が配設される。
【０５１５】
摺動溝５４５２ｊは、上述したように変位部材５４３０の連結軸５４３５が挿入される部分であり、変位部材５４３０が貫通孔４３３を中心に回転変位されると、連結軸５４３５が摺動溝５４５２ｊの内部を摺動して装飾部材５４５０を変位させる。
【０５１６】
回転ユニット５５００は、その回転ユニット５５００の上方側の側面を形成する上面ベース５５１０と、上面ベース５５１０の下方に配設される照射ユニット５３０（図２８参照）と、その照射ユニット５３０の下方に配設される中間部材５５４０と、その中間部材５４０の下方に配設される反射板５６０（図２８参照）と、反射板５６０の前方に配設される正面カバー５５０（図２８参照）と、上面ベース５１０と下面ベース５５２０との背面側に配設される回転伝達ユニット５７０（図２８参照）と、回転ユニット５５００の下方側の側面を形成する下面ベース５５２０と、を主に備えて形成される。
【０５１７】
また、回転ユニット５５００は、正面視において一方が長い矩形状に構成されており、外面を構成する上面ベース５５１０、中間部材５５４０及び下面ベース５５２０の回転ユニット５５００の長手方向両端部に凹部５５１４が回転ユニット５５００の長手方向の内側に向かって凹設される。
【０５１８】
なお、回転ユニット５５００は、上記第１実施形態と同様に、照射ユニット５３０から照射される光の残像により演出を行うバーサライタとして構成されており、上記第１実施形態と同様に、回転伝達ユニット５７０の背面ベース５７１のギヤ５７１ａ１の中心を軸として回転変位される。また、図５７から図６２では、回転ユニット５５００の回転軸に回転軸Ｏの符号を付して図示される。
【０５１９】
また、回転ユニット５５００の重心は、回転軸Ｏ上に設定されており、回転ユニット５５００の長手方向が水平とされた姿勢（図５７（ａ）及び図５７（ｂ）に示す姿勢）とされる場合に、回転ユニット５５００が自重によって回転軸Ｏを中心に回転することが抑制される。
【０５２０】
凹部５５１４は、装飾部材５４５０が第２位置に配置される場合に、内側に変位部材５４３０の一側の端部を収容できる。これにより、回転ユニット５５００の回転が規制される。なお、回転ユニット５５００の回転の規制についての詳しい説明は後述する。
【０５２１】
次いで、図５９を参照して、装飾部材５４５０の変位態様について説明する。図５９（ａ）は、装飾部材５４５０が第３位置に配置された状態における上下変位ユニット５４００の正面図であり、図５９（ｂ）は、装飾部材５４５０が第２位置に配置された状態における上下変位ユニット５４００の正面図であり、図５９（ｃ）は、装飾部材５４５０が第１位置に配置された状態における上下変位ユニット５４００の正面図である。また、図５９（ａ）か図５９（ｃ）では、正面カバー５４６０が透明視された状態で図示される。
【０５２２】
図５９（ａ）に示すように、装飾部材５４５０が第３位置に配置された状態では、変位部材５４３０の他側（駆動側摺動孔４３１側）の端部が、貫通孔４３３よりも下方（矢印Ｄ方向）に配置され、変位部材５４３０の一側（連結軸５４３５側）の端部が、貫通孔４３３よりも上方（矢印Ｕ方向）に配置され、変位部材５４３０の長手方向が水平方向（矢印Ｌ−Ｒ方向）に対して傾斜した状態とされる。
【０５２３】
この場合、伝達ギヤ４４３の回転軸（軸支部５４１６の中心）と伝達ギヤ４４３の突起４４３ａの軸とを結ぶ仮想線ＫＳ１（図５９（ａ）参照）が、変位部材５４３０の貫通孔４３３の軸と伝達ギヤ４４３の突起４４３ａの軸とを結ぶ仮想線ＫＳ２（図５９（ａ）参照）と略直交する状態とされる。これにより、変位部材５４３０が装飾部材５４５０の荷重で回転することを抑制できる。
【０５２４】
即ち、装飾部材５４５０は、変位部材５４３０の連結軸５４３５に支持された状態とされるので、変位部材５４３０の回転軸に装飾部材５４５０の荷重が作用して、変位部材５４３０が装飾部材５４５０の荷重で変位しやすくなるところ、仮想線ＫＳ１と仮想線ＫＳ２とを略直交する状態で配置して死点の関係とすることで、伝達ギヤ４４３が変位部材５４３０から作用する力で回転しないようにすることができる。その結果、変位部材５４３０が、装飾部材５４５０の荷重で回転することを抑制できる。
【０５２５】
次に、図５９（ａ）に示す第３位置から図５９（ｂ）に示す第２位置に装飾部材５４５０が変位する場合について説明する。第３位置から第２位置への装飾部材５４５０の変位は、上述した駆動モータ４４１（図５８参照）を駆動させることで行われる。なお、装飾部材５４５０が各位置（第１位置から第３位置）に変位される際には、回転ユニット５５００が、初期位置で停止された状態とされる。
【０５２６】
駆動モータ４４１は、上述したように回転軸に伝達ギヤ４４２に嵌合される。また、伝達ギヤ４４２は、伝達ギヤ４４３に歯合される。従って、駆動モータ４４１に電力が付与さて回転軸が回転されると、その回転駆動が伝達ギヤ４４２を介して伝達ギヤ４４３に伝達される。伝達ギヤ４４３が回転されることで、伝達ギヤ４４３の突起４４３ａが変位部材５４３０の駆動側摺動溝４３１の内部を摺動して変位部材５４３０を回転させる。この場合、変位部材５４３０は、長手方向一側（連結軸５４３５側）の端部が重力方向下側（矢印Ｄ方向側）に変位される。
【０５２７】
なお、本実施形態では、駆動モータ４４１の回転軸に連結される伝達ギヤ４４２が正面視において左方向（右側の正面ベース５４１０に配設される駆動モータ４４１は反対）に回転されることで、変位部材５４３０の長手方向他側（連結軸５４３５側）の端部が重力方向下側（矢印Ｄ方向側）に変位される。
【０５２８】
図５９（ｂ）に示すように、変位部材５４３０が第２位置に配置される場合には、変位部材５４３０の長手方向が、装飾部材５４５０の長手方向と略平行とされる。また、この場合、変位部材５４３０の長手方向一側（連結軸５４３５側）の端部が、回転ユニット５５００の凹部５５１４の内側に配置されると共に回転ユニット５５００の回転領域ＲＹ２（図６０参照）の内側に配置される。これにより、変位部材５４３０が第２位置に配置される場合に、回転ユニット５５００が回転することを規制できる。
【０５２９】
ここで、従来より、ベース部材と、そのベース部材に対して変位可能な第１変位部材と、ベース部材および第１変位部材の間に介設される介設部材と、第１変位部材を駆動する第１駆動手段と、第１変位部材に対して変位可能な第２変位部材と、を備える遊技機が知られている。この従来の遊技機によれば、センタフレームの開口上部（遊技機の上部）に配置された第１変位部材を、第１駆動手段によりセンタフレームの開口中央部（遊技機の中央）に移動させて、第２変位部材を変位させることができる。
【０５３０】
しかしながら、上述した従来の遊技機では、第１変位部材をセンターフレームの開口上部に配置した際に、第２変位部材の変位を規制する部材を第２変位部材の変位領域に配置する必要がある。よって、その分、部品点数が増加するという問題点があった。
【０５３１】
これに対し、第５実施形態では、装飾部材５４５０が第２位置に配置される場合に、回転ユニット５５００の回転を装飾部材５４５０を変位させる変位部材５４３０により規制することができる。即ち、変位部材５４３０に、装飾部材５４５０を上下方向に変位させる役割と、回転ユニット５５００の回転を規制する役割とで兼用させることができる。その結果、回転ユニット５５００の回転を規制する部材を新たに備える必要がなくなるので、その分、部品点数を削減することができる。
【０５３２】
また、回転する回転ユニット５５００の回転を規制するために、変位部材５４３０を回転ユニット５５００の回転領域に配置するのみでは、１の変位部材５４３０で回転ユニット５５００の１方向の回転（変位部材５４３０が配置された方向への回転）を規制することができるが、他方向の回転を規制することができないという問題点があった。
【０５３３】
これに対し、第５実施形態では、回転ユニット５５００の凹部５５１４の内側に変位部材５４３０の一側端部が挿入されるので、回転ユニット５５００が回転する場合に、回転ユニット５５００の両方向の回転を変位部材５４３０により規制することができる。
【０５３４】
この場合、回転ユニット５５００の回転が規制されるので、回転ユニット５５００を駆動する駆動モータ４５７（図２６参照）の電力をオフとした場合に、回転ユニット５５００がパチンコ機１０の外部から入力される振動等で回転することを抑制できる。その結果、変位部材５４３０により回転ユニット５５００の回転が規制された状態では、回転ユニット５５００を駆動する駆動モータ４５７への電力の供給を遮断することができるので、その分、消費エネルギーを少なくすることができる。
【０５３５】
さらに、装飾部材５４５０が第２位置に配置される場合には、変位部材５４３０の駆動側摺動溝４３１の内部を摺動する突起４４３ａと変位部材５４３０の回転軸の離間距離Ｌ２（図５９（ｂ）参照）が、装飾部材５４５０が第３位置に配置される場合の突起４４３ａと変位部材５４３０の回転軸との離間距離Ｌ１（図５９（ａ）参照）よりも大きく設定される。これにより、変位部材５４３０の一側端部に外部からの力が作用した場合に、伝達ギヤ４４３が回転することを抑制できる。
【０５３６】
なお、離間距離Ｌ２は、大きく設定されるほど変位部材５４３０の一側端部に外部からの力が作用した場合に、伝達ギヤ４４３が回転することを抑制しやすくでき、変位部材５４３０の回転軸と連結軸５４３５との離間距離Ｌ３（図５９（ｂ）参照）よりも大きく設定されることが好ましい。
【０５３７】
次に、図５９（ｂ）に示す第２位置から図５９（ｃ）に示す第１位置に装飾部材５４５０が変位する場合ついて説明する。第２位置から第１位置への装飾部材５４５０の変位は、上述した第３位置から第２位置への装飾部材５４５０の変位と同様に、駆動モータ４４１の回転軸を回転することで行われる。駆動モータ４４１が回転されると、伝達ギヤ４４３の突起４４３ａが変位部材５４３０の摺動溝５４５２ｊの内部を摺動して変位部材５４３０を回転させる。
【０５３８】
図５９（ｃ）に示すように、装飾部材５４５０が第１位置に配置された状態では、変位部材５４３０の他側（駆動側摺動孔４３１側）の端部が、貫通孔４３３よりも上方（矢印Ｕ方向）に配置され、変位部材５４３０の一側（連結軸５４３５側）の端部が、貫通孔４３３よりも下方（矢印Ｄ方向）に配置される。装飾部材５４５０が第３位置に配置された状態における変位部材５４３０に対して変位部材５４３０が略９０度回転された状態とされると共に、水平方向（矢印Ｌ−Ｒ方向）に対して、傾斜した状態とされる。
【０５３９】
この場合、装飾部材５４５０が第３位置に配置された場合と同様に、上述した仮想線ＫＳ１と仮想線ＫＳ２とが、略直交する状態とされる。これにより、変位部材５４３０が装飾部材５４５０に作用する外力で回転することを抑制できる。
【０５４０】
即ち、第１位置では、装飾部材５４５０に配設される回転ユニット５５００が回転変位される位置であるため、回転ユニット５５００の回転駆動による慣性力が変位部材５４３０の回転軸に作用して、変位部材５４３０が回転ユニット５５００の回転駆動による慣性力で変位しやすくなるところ、仮想線ＫＳ１と仮想線ＫＳ２とを略直交する状態で配置して死点の関係とすることで、伝達ギヤ４４３が変位部材５４３０から作用する力で回転しないようにすることができる。その結果、変位部材５４３０が、装飾部材５４５０に作用する外力で回転することを抑制できる。
【０５４１】
また、第１位置および第３位置では、変位部材５４３０の連結軸５４３５が、回転ユニット５５００から遠方側の摺動溝５４５２ｊの端部（上下変位ユニット５４００の正面視左側（矢印Ｌ方向側）に配設される連結軸５４３５は、摺動溝５４５２ｊの左側端部）に当接される。上述したように、連結軸５４３５は、上下変位ユニット５４００の左右両端に一対配設されるので、装飾部材５４５０に回転ユニット５５００を間に挟んだ２箇所に形成される一対の摺動溝５４５２ｊに対して、それぞれ回転ユニット５５００から遠方側の端部に連結軸５４３５を当接させることができる。その結果、装飾部材５４５０が、左右方向（摺動溝５４５２ｊの長手方向（矢印Ｌ−Ｒ方向）に揺れ動くことを抑制できる。
【０５４２】
ここで、上述したように、第１位置または第３位置では、回転ユニット５５００を回転させる演出が行われる。従って、回転ユニット５５００の回転駆動による慣性力が装飾部材５４５０に伝達されて、装飾部材５４５０が左右方向に揺れ動くことで、回転ユニット５５００の演出が遊技者から視認しにくくなる恐れがある。
【０５４３】
これに対し、第１位置または第３位置では、装飾部材５４５０の一対の摺動溝５４５２ｊの内側に配設される一対の変位部材５４３０の連結軸５４３５により、装飾部材５４５０の左右方向の変位が規制されるので、回転ユニット５５００の回転駆動により、装飾部材５４５０が左右方向に揺れ動くことを抑制できる。その結果、回転ユニット５５００の回転駆動による演出（本実施形態では、バーサライタによる光の残像表示）を遊技者に視認させやすくできる。
【０５４４】
なお、装飾部材５４５０を第１位置から第３位置または第３位置から第１位置に第２位置を介して変位される場合には、図５９に示すように必ずしも回転ユニット５５００を初期位置に配置する必要はなく。回転ユニット５５００の回転を規制する場合にのみ、回転ユニット５５００を初期位置に配置すればよい。例えば、第１位置で回転ユニット５５００を回転させて演出した後に、第３位置で回転ユニット５５００を回転演出する場合には、第１位置で回転ユニット５５００を初期位置から略９０度回転させた後に、装飾部材５４５０を第３位置に変位させることで、回転ユニット５５００が変位部材５４３０に当接することを抑制できる。その結果、装飾部材５４５０の変位の速度を速くした場合における回転ユニット５５００の位置ずれを考慮する必要がなくなるので、装飾部材５４５０の変位速度を速くすることができ、回転ユニット５５００による回転演出位置をスムーズに変更させることができる。
【０５４５】
この場合、回転ユニット５５００の回転領域ＲＹ２の内側に変位部材５４３０の一側が変位する手前の位置まで、回転ユニット５５００に回転の演出をさせつつ、回転ユニット５５００の回転領域ＲＹ２の内側に変位部材５４３０の一側が配置される場合には、回転ユニット５５００の回転を停止または回転を遅くて装飾部材５４５０を変位させて回転ユニット５５００が変位部材５４３０に衝突することを抑制する。さらに、変位部材５４３０の一側が回転領域ＲＹ２の外側に変位した後に、回転ユニット５５００の回転を再始動または通常の回転をさせて、回転ユニット５５００による回転の演出をすることで、回転ユニット５５００の回転演出が継続された状態で装飾部材５４５０が変位する態様を遊技者に視認させることができる。その結果、回転ユニット５５００の回転による演出領域を拡大することができる。
【０５４６】
次いで、図６０を参照して、装飾部材５４５０が第２位置に配置されて、回転ユニット５５００が回転することを規制された状態について詳しく説明する。図６０は、装飾部材５４５０が第２位置に配置された状態における上下変位ユニット５４００の正面図である。なお、図６０では、回転ユニット５５００が回転した場合の長手方向端部の軌跡が回転領域ＲＹ２の符号を付して２点鎖線で図示される。また、図６０では、回転ユニット５５００の回転軸Ｏと直交する水平方向の直線が仮想線ＫＳ５の符号を付して２点鎖線で図示される。さらに、図６０では、摺動溝５４５２ｊ及び連結軸５４３５が鎖線で図示される。
【０５４７】
図６０に示すように、回転ユニット５５００の正面視における短手方向の幅寸法Ｌ４は、変位部材５４３０の短手方向の幅寸法Ｌ５よりも大きく設定される。また、変位部材５４３０の一側端部は、円柱状に形成される連結軸５４３５の中心を軸とする円弧状に形成される。これにより、装飾部材５４５０が第２位置に変位する場合に、変位部材５４３０の一側を凹部５５１４の内側に配置しやすくできる。なお、変位部材５４３０の一側を凹部５５１４の内側への配置についての詳しい説明は後述する。
【０５４８】
装飾部材５４５０が第２位置に配置される場合には、初期位置に配置される回転ユニット５５００の凹部５５１４の内側に変位部材５４３０の一側（連結軸５４３５側）の端部が配置される。この場合、凹部５５１４の凹設底面に変位部材５４３０の一側の端部が当接される。即ち、回転ユニット５５００の長手方向両端に形成される凹設底面の間の距離寸法Ｌ６は、一対の変位部材５４３０の一側端部同士の対向間と略同一に設定される。これにより、回転ユニット５５００の停止位置が初期位置からずれた位置とされる場合に、凹部５５１４の内面に変位部材５４３０の一側端部を当接させて、回転ユニット５５００を初期位置に変位させることができる。
【０５４９】
また、凹部５５１４は、装飾部材５４５０が第２位置に配置され、回転ユニット５５００が初期位置に配置された状態において、正面視における円弧の軸が変位部材５４３０の回転軸と同軸に設定される。これにより、変位部材５４３０が回転して装飾部材５４５０を第１位置または第３位置から第２位置に変位させる場合に変位部材５４３０の一側（連結軸５４３５側）の端部を凹部５５１４の内側に配置しやすくできると共に、変位部材５４３０を第２位置から第１位置または第３位置に変位させる場合に、変位部材５４３０の一側を回転ユニット５５００の凹部５５１４から抜き出しやすくできる。また、回転ユニット５５００が回転した場合に、その変位を変位部材５４３０により規制しやすくできる。
【０５５０】
詳しく説明すると、回転ユニット５５００が初期位置に配置される場合には、変位部材５４３０の一側（連結軸５４３５側）の端部の変位軌跡を、回転ユニット５５００の外形と当接しない位置に形成することができる。これにより、変位部材５４３０を回転した場合に、変位部材５４３０の一側が回転ユニット５５００に当接することを抑制できる。また、凹部５５１４の変位領域に配設される変位部材５４３０の面積を大きくすることができる。よって、凹部５５１４の内側に変位部材５４３０の一側が挿入された状態で、回転部材５００が回転した場合に、変位部材５４３０に回転部材５００を当接しやすくでき、回転ユニット５５００の回転変位を規制しやすくできる。
【０５５１】
なお、この場合、変位部材５４３０の一側の端部（凹部５５１４への挿入部分）は、図６０に示すように、凹部５５１４の円弧形状よりも小さい湾曲形状に形成される。これにより、変位部材５４３０を凹部５５１４の内側部分に挿入しやすくできる。
【０５５２】
また、変位部材５４３０は、回転ユニット５５００の左右方向（矢印Ｌ−Ｒ方向）の両側に配設されており、装飾部材５４５０が第２位置に配置される場合には、回転ユニット５５００の左右両側の凹部５５１４の内側に変位部材５４３０の一側が配置される。よって、回転が規制された状態の回転ユニット５５００にパチンコ機１０の制御不良等で回転の駆動力が付与された場合に、左右の変位部材５４３０は回転ユニット５５００の回転に伴って両者が反対方向に回転される。上述したように、変位部材５４３０は、一側の連結軸５４３５が正面ベース５４５２の摺動溝５４５２ｊに連結されるので、一対の変位部材５４３０が互いに反対方向に回転変位された場合に、変位部材５４３０が回転すること抑制できる。
【０５５３】
次いで、図６１を参照して、変位部材５４３０の一側が、回転ユニット５５００の凹部５５１４の内側から抜き出された場合について説明する。図６１は、上下変位ユニット５４００の正面図である。なお、図６１では、装飾部材５４５０が第２位置から第３位置へ若干変位して変位部材５４３０の一側端部が回転ユニット５５００の内側から抜き出された状態が図示される。
【０５５４】
図６１に示すように、装飾部材５４５０が、第２位置から第３位置へ若干変位されて、変位部材５４３０の一側が回転ユニット５５００の回転領域ＲＹ２の外側に配置されると、回転ユニット５５００が回転する場合に変位部材５４３０と当接しない状態とすることができる。即ち、回転ユニット５５００の回転が許容される。
【０５５５】
ここで、従来より、ベース部材と、そのベース部材に対して退避位置および第１位置の間で変位する第１変位部材と、その第１変位部材に対して変位する第２変位部材とを備える遊技機が知られている。この遊技機によれば、退避位置に配置された第１変位部材を、第１位置に変位させて第２変位部材を変位させることができる。
【０５５６】
しかしながら、上述した従来の遊技機では、退避位置で第２変位部材の変位を停止させる場合に、遊技機の外部から入力される振動等により第２変位部材が変位する可能性があり、第２変位部材が変位することで他の演出を遊技者に視認させにくくなる。そのため、退避位置ではセンタフレームの背面側に第２変位部材を配置して、退避位置での第２変位部材の変位を遊技者に視認させにくくすることが考えられるが、この場合には、センタフレームが大きくされる分、第２変位部材の変位による演出領域が小さくされるという問題点があった。
【０５５７】
また、第２変位部材が退避位置に配置される場合に、第２変位部材にセンタフレームの一部を当接させて、第２変位部材の変位を規制することも考えられるが、この場合には、第２変位部材の変位を許容する際に、第２変位部材をセンタフレームから十分に離間させる必要があり、その分、第２変位部材の変位による演出領域が小さくされるという問題点があった。
【０５５８】
これに対して、本実施形態では、変位部材５４３０の一側端部を凹部５５１４の凹設底面から回転領域ＲＹ２の間の距離Ｌ７（図６１参照）分、離間させることで、変位部材５４３０の回転を許容することができるので、回転ユニット５５００の回転による演出領域を拡大することができる。
【０５５９】
次いで、図６２を参照して、回転ユニット５５００の回転の停止位置が初期位置からずれた場合の説明をする。図６２（ａ）及び図６２（ｂ）は、上下変位ユニット５４００の正面図である。
【０５６０】
図６２に示すように、回転ユニット５５００が、初期位置からずれた位置に停止される場合には、変位部材５４３０の一側端部で凹部５５１４の内側を押圧することで回転ユニット５５００を初期位置に配置することができる。なお、図６２（ａ）から図６２（ｃ）では、回転ユニット５５００に変位部材５４３０の一側が当接した状態から順に変位部材５４３０に回転ユニット５５００が押圧されて変位する状態が図示される。
【０５６１】
上述したように、回転部材の一側端部は、連結軸５４３５の中心を軸とする円弧状に形成されるので、装飾部材５４５０が変位されて連結軸５４３５が摺動溝５４５２ｊを摺動する場合に、仮想線ＫＳ５上の端部を回転ユニット５５００側に位置させることができる。これにより、回転ユニット５５００の長手方向両端部（凹部５５１４）が仮想線ＫＳ５を超えない位置に配置される場合には、回転ユニット５５００の長手方向両端部を回転ユニット５５００の位置ずれの回転方向と反対側に位置する変位部材５４３０の外面に当接させることができる。よって、回転ユニット５５００の長手方向両端部に変位部材５４３０の一側が当接する場合に、回転ユニット５５００を位置ずれの回転方向と反対側に押し出すことができる。その結果、回転ユニット５５００が初期位置からずれた位置に配置される場合に、変位部材５４３０により回転ユニット５５００の初期位置に押し戻すことができる。
【０５６２】
なお、変位部材５４３０の一側端部は、回転ユニット５５００の長手方向両端部に形成される凹部５５１４に当接するので、凹部５５１４の湾曲を利用して回転ユニット５５００を位置ずれの回転方向と反対の方向に回転させやすくできる。即ち、回転ユニット５５００を変位部材５４３０と当接させて初期位置に変位させやすくできる。
【０５６３】
また、回転ユニット５５００が、初期位置からずれた位置に停止する要因としては、回転ユニット５５００が初期位置で停止する場合に、上記第１実施形態で説明したギヤ４５６（図２６参照）に形成される突起が検出センサの間に配置された後に停止動作をするため、若干回転する方向に位置ずれして停止することが要因であり、回転ユニット５５００の長手方向両端部が仮想線ＫＳ５を超えない位置とされる場合に、ギヤ４５６の突起が検出センサの間に配置される大きさに設定される。これにより、回転ユニット５５００の左右方向（矢印Ｌ−Ｒ方向）両側に配置される変位部材５４３０が回転ユニット５５００を介してかみ合って変位部材５４３０の変位が規制されることを抑制できる。
【０５６４】
また、回転ユニット５５００の停止位置が、その回転ユニット５５００の両端部が仮想線ＫＳ５を超える位置にずれて配置される場合には、ギヤ４５６の突起が検出センサの間から抜け出ることで、パチンコ機１０に回転ユニット５５００の停止位置がずれている（位置ずれしすぎている）ことを認識させることができる。この場合、パチンコ機１０から回転ユニット５５００を再度回転させる信号を出力して再度回転ユニット５５００をに停止動作をさせることで、回転ユニット５５００の停止位置を回転ユニット５５００の両端部が仮想線ＫＳ５を超えない位置に配置することができる。
【０５６５】
次いで、図６３及び図６４を参照して、第６実施形態における上下変位ユニット６４００について説明する。上記第５実施形態では、変位部材５４３０の一側（連結軸５４３５側）の端部を回転ユニット５５００の凹部５５１４の内側に配置することで、回転ユニット５５００の回転を規制する場合を説明したが、第６実施形態では、変位部材６４３０により回転ユニット５００を回転変位させるギヤの回転を規制する。なお、上記各実施形態と同一の部分には同一の符号を付してその詳しい説明を省略する。
【０５６６】
初めに、図６３を参照して、第６実施形態における上下変位ユニット６４００の構成について説明する。図６３（ａ）は、第６実施形態における上下変位ユニット６４００の正面図であり、図６３（ｂ）は、上下変位ユニット６４００の背面図である。なお、図６３（ａ）では、正面カバー５４６０が透明視された状態の上下変位ユニット６４００が図示される。また、図６３（ｂ）では、回転ユニット５００及び装飾部材５４５０を変位させる機構の一部が１点鎖線で図示される。
【０５６７】
図６３に示すように、第６実施形態における上下変位ユニット６４００は、変位部材６４３０が第５実施形態の変位部材５４３０よりも一側（連結軸５４３５側）に長く形成される。また、変位部材６４３０は、装飾部材５４５０及び案内棒Ｐ１の背面側（矢印Ｂ方向側）に配設される。
【０５６８】
変位部材６４３０は、長手方向の他側に変位部材６４３０の長手方向に長い長穴に形成される駆動側摺動溝４３１と、長手方向の一側に装飾部材６４５０側に突出する連結軸５４３５と、その連結軸５４３５と駆動側摺動溝４３１との間に位置し前後方向（矢印Ｆ−Ｂ方向）に貫通する貫通孔４３３と、連結軸４３５よりも長手方向の一側に位置し、正面側に突出する規制用突起６４３６と、を備える。
【０５６９】
規制用突起６４３６は、正面視において円柱状に形成される。また、規制用突起６４３６の突出先端は、後述する装飾部材６４５０に配設される回転ユニット５００の回転に伴って回転されるピニオンギヤ４５６に形成される凹溝６４５６ａの内側に受入可能な長さに設定される。よって、凹溝６４５６ａの内側に規制用突起６４３６が受け入れられることで、ピニオンギヤ４５６の回転が規制されて、回転ユニット５００の回転が規制される。
【０５７０】
装飾部材６４５０は、正面視横長矩形に形成され、長手方向中央部分を構成する正面ベース５４５２と、その正面ベース５４５２の左右方向両端部に連結される摺動部４５１と、正面ベース５４５２の背面を覆設する背面ベース６４５３と、正面ベース５４５２の正面側に回転可能な状態で配設される回転ユニット５００と、を主に備える。
【０５７１】
背面ベース６４５３は、正面ベース５４５２と正面視における外形が略同一に形成される板部材である。また、正面ベース５４５２と背面ベース６４５３との内部空間には、ギヤ４５４，４５５，６４５６（ギヤ４５４，４５５は図示しない）が回転可能な状態で配設される。
【０５７２】
さらに、第６実施形態では、第５実施形態において正面ベース５４５２に形成された摺動溝５４５２ｊが、背面ベース６４５３に形成される。また、背面ベース６４５３は、変位部材６４３０が回転する場合の背面視における規制用突起６４３６の変位軌跡に沿った湾曲状の凹欠部６４５３ｅが形成される。凹欠部６４５３ｅは、径方向の幅寸法が規制用突起６４３６の直径よりも大きく形成される。これにより、変位部材６４３０を回転させた場合に、規制用突起６４３６を凹欠部６４５３ｅの内側を移動させることができ、規制用突起６４３６が背面ベース６４５３に衝突することを抑制できる。
【０５７３】
ギヤ４５６は、上述したように、回転ユニット５００に駆動を伝達するギヤ５７１ａ１と同一の直径に形成されると共に、ギヤ５７１ａ１に歯合される。よって、ギヤ４５６は、回転ユニット５００が一回転される毎に同一の回転位置に配置される。また、ギヤ６４５６は、回転ユニット５００の初期位置（基準位置）を検出するための突起がその側面（軸方向端面）に突設され、その突起が一回転することで、回転ユニット５００が初期位置に配置されたことをパチンコ機１０に検知させることができる。さらに、ギヤ４５６は、背面側から正面側に向かって湾曲形状に凹設される凹溝６４５６ａを備える。
【０５７４】
凹溝６４５６ａは、装飾部材６４５０が第２位置に配置され、さらに回転ユニット５００が初期位置に配置される場合に、凹溝６４５６ａの湾曲の軸が、変位部材６４３０の回転軸（軸支部５４６４の中心）と同軸上に設定される。また、凹溝６４５６ａの径方向における幅寸法は、上述した規制用突起６４３６の直径よりも大きく設定される。これにより、回転ユニット５００が初期位置に配置される場合に、変位部材６４３０を回転変位させることで、変位部材６４３０の規制用突起６４３６を凹溝６４５６ａの内側に配置することができる。その結果、回転ユニット５００の回転を規制できる。
【０５７５】
次いで、図６４を参照して、回転ユニット５００の回転が変位部材６４３０の規制用突起６４３６により規制された状態について説明する。図６４（ａ）は、装飾部材６４５０が第２位置に配置された状態における上下変位ユニット６４００の背面図であり、図６４（ｂ）は、ギヤ４５６の背面図である。なお、図６４（ａ）では、回転ユニット５００及び装飾部材５４５０を変位させる機構の一部が一点鎖線で図示される。また、図６４（ｂ）では、ギヤ４５６の正面側に刻設されるギヤの歯面が１点鎖線で図示される。
【０５７６】
図６４に示すように、凹溝６４５６ａは、ギヤ４５６の回転軸を避けた位置に形成される。従って、規制用突起６４３６が凹溝６４５６ａの内側に配置されると、ギヤ４５６が回転する際に、凹溝６４５６ａの内面を規制用突起６４３６に当接させることができる。よって、ギヤ４５６の回転が規制されるので、ギヤ４５６に歯合されるギヤ５７１ａ１の回転が規制される。上述したように、回転ユニット５００は、ギヤ５７１ａ１から駆動が伝達されることで回転するので、ギヤ５７１ａ１の回転が規制されることで、回転ユニット５００の回転が規制される。
【０５７７】
この場合、回転ユニット５００の回転を規制するために、変位部材６４３０を回転ユニット５００の外面に当接させなくてよいので、回転ユニット５００と変位部材６４３０とが当接する状態を遊技者に視認されにくくすることができる。即ち、回転ユニット５００の回転の規制をギヤ４５６により行うことができるので、ギヤ４５６を正面ベース６４５２の背面側に配置して正面側（遊技者側）から視認されにくい位置に配置することで、回転ユニット５００の規制部分を遊技者に視認されにくくすることができる。その結果、回転ユニット５００の回転を規制する構造を遊技者が視認することで、遊技者の興趣が損なわれることを抑制できる。
【０５７８】
また、回転ユニット５００の回転が規制用突起６４３６により規制される場合（装飾部材６４５０が第２位置に配設される場合）に、凹溝６４５６ａは、変位部材６４３０の回転軸（軸支部５４６４の中心）およびギヤ４５６の中心を結ぶ直線と略直交し、ギヤ４５６の回転軸を通過する直線の仮想線ＫＳ３（図６４（ｂ）参照）により、２分割されるギヤ４５６の軸方向端面のうち、変位部材６４３０の回転軸に近い領域ＲＹ１（図６４（ｂ）参照）に形成される。
【０５７９】
ここで、凹溝６４５６ａがギヤ４５６の領域Ｒ１以外の箇所に形成される場合では、凹溝６４５６ａの湾曲方向と、ギヤ４５６の回転方向とが近似する。そのため、ギヤ４５６を回転させた際に、規制用突起６４３６が凹溝６４５６ａの内側を摺動しやすくなり、回転ユニット５００の回転を規制するまでに、回転ユニット５００が回転可能な範囲が大きくなるという問題点がある。
【０５８０】
これに対し、第６実施形態では、凹溝６４５６ａがギヤ４５６の領域Ｒ１に形成されるので、回転ユニット５００が回転された場合に、規制用突起６４３６に凹溝６４５６ａの内面が当接するまでの、回転ユニット５００の回転距離を短くすることができる。その結果、回転ユニット５００の回転を規制するまでに、回転ユニット５００が回転可能な範囲が大きくなることを抑制できる。
【０５８１】
また、凹溝６４５６ａは、ギヤ４５６の周囲から内側部分に向かって溝幅が小さくされる。これにより、回転ユニット５００が初期位置から若干ずれた位置に配置される場合に、装飾部材６４５０を第１位置または第３位置から第２位置に変位させて、規制用突起６４３６を凹溝６４５６ａの内側に配置することができると共に、凹溝６４５６ａの内面に当接させてギヤ４５６を回転させて、回転ユニット５００を初期位置に回転させることができる。
【０５８２】
次いで、図６５から図６８を参照して、第７実施形態における上下変位ユニット７４００について説明する。上記第５実施形態では、装飾部材５４５０に回転可能な状態で配設される回転ユニット５５００の回転を規制する場合を説明したが、第７実施形態では、前後方向（矢印Ｆ−Ｂ方向）に変位可能な状態で配設される変位ユニット７９００の変位を規制する場合について説明する。なお、上記各実施形態と同一の部分には同一の符号を付して、その詳しい説明を省略する。
【０５８３】
初めに、図６５及び図６６を参照して、第７実施形態における上下変位ユニット７４００の全体構成について説明する。図６５（ａ）及び図６５（ｂ）は、第７実施形態における上下変位ユニット７４００の斜視正面図であり、図６６（ａ）及び図６６（ｂ）は、上下変位ユニット７４００の上面図である。
【０５８４】
図６５及び図６６に示すように、第７実施形態における上下変位ユニット７４００の装飾部材７４５０は、第５実施形態と同様に左右両端に配設される変位部材５４３０により支持されており、その変位部材５４３０を回転変位させることで、装飾部材７４５０が第１〜第３位置に変位される。なお、変位部材５４３０を変位させる構成としては、第５実施形態と同様であるため、その説明は省略する。
【０５８５】
装飾部材７４５０は、正面視横長矩形に形成され、長手方向中央部分を構成する正面ベース７４５２と、その正面ベース７４５２の左右方向両端部に連結される摺動部４５１（図示しない）と、正面ベース７４５２の背面を覆設する背面ベース７４５３と、正面ベース７４５２の正面側（矢印Ｆ方向側）に前後方向に変位可能な状態で配設される変位ユニット７９００と、を主に備える。
【０５８６】
正面ベース７４５２は、正面視横長矩形状の板状体から形成されると共に、上下の両端部が背面側に屈曲する断面コ字状に形成される。正面ベース７４５２は、装飾部材５４５０の長手方向略中間位置に前後方向に開口する開口部７４５２ｋと、装飾部材７４５０の長手方向に長い長穴に形成される摺動溝５４５２ｊと、を備える。
【０５８７】
開口部７４５２ｋは、後述する変位ユニット７９００に駆動を伝達するソレノイド７９１０の軸部７９１２が挿通される。これにより、開口部７４５２ｋを介してソレノイド７９１０の駆動が変位ユニット７９００に伝達され、変位ユニット７９００が前後方向に変位される。なお、ソレノイド７９１０の駆動についての詳しい説明は後述する。
【０５８８】
背面ベース７４５３は、正面ベース７４５２と正面視における外形が略同一に形成される板部材である。また、背面ベース７４５３は、正面ベース７４５２に形成される開口部７４５２ｋと対向する位置に開口する開口部（図示しない）を備えており、その開口部に軸部７９１２を挿通した状態でソレノイド７９１０の本体部７９１１が背面ベース７４５３の背面側に配設される。
【０５８９】
ソレノイド７９１０は、電力が付与されることで磁力を発生する本体部７９１１と、その本体部７９１１の内部に出没可能な状態で配設される軸部７９１２と、その軸部７９１２を本体部７９１１から突出する方向に付勢するコイルばね（図示しない）と、を備え、本体部７９１１に電力を付与しない場合には、コイルばねの付勢力により軸部７９１２が本体部７９１１から突出され、本体部７９１１に電力が付与される場合には、本体部７９１１の磁力により軸部７９１２が本体部７９１１の内部に没入するように構成される。
【０５９０】
ソレノイド７９１０の軸部７９１２の先端には、変位ユニット７９００が配設される。従って、変位ユニット７９００は、軸部７９１２の変位に従って、前後方向（矢印Ｆ−Ｂ方向）に変位される。
【０５９１】
なお、ソレノイド７９１０の軸部７９１２が本体部７９１１の内部に没入する場合には、変位ユニット７９００の前面側端部が、一対の変位部材５４３０の背面側に位置される（図６６（ａ）参照）。一方、ソレノイド７９１０の軸部７９１２が本体部７９１１の内部から突出される場合には、変位ユニット７９００の背面側端部が、一対の変位部材５４３０の正面側に位置される（図６６（ｂ）参照）。
【０５９２】
即ち、変位ユニット７９００は、前後方向（矢印Ｆ−Ｂ方向）において、変位終端位置が、変位部材５４３０を間に挟んだ両側に設定される。これにより、変位ユニット７９００を正面側または背面側のどちらかに配置した状態で変位部材５４３０を回転変位した場合に、変位部材５４３０が変位ユニット７９００に衝突することを抑制できる。
【０５９３】
次いで、図６７及び図６８を参照して、変位ユニット７９００の変位を規制する場合について説明する。図６７（ａ）は、装飾部材７４５０が第２位置に配置された状態における上下変位ユニット７４００の正面図であり、図６７（ｂ）は、図６７（ａ）の矢印ＬＸＶＩＩｂ方向視における上下変位ユニット７４００の上面図である。図６８（ａ）は、変位ユニット７９００の変位が規制された状態における上下変位ユニット７４００の上面図であり、図６８（ｂ）は、図６８（ａ）のＬＸＶＩＩＩｂ−ＬＸＶＩＩＩｂ線における上下変位ユニット７４００の断面図である。なお、図６７（ａ）及び図６８（ａ）では、変位部材５４３０と重なる変位ユニット７９００の一部が一点鎖線で図示される。さらに、図６８（ｂ）では、変位ユニット７９００と重なる変位部材５４３０の一部が、一点鎖線で図示される。
【０５９４】
図６７に示すように、変位ユニット７９００が背面側に退避した（ソレノイド７９１０の本体部７９１１の内側に軸部７９１２が没入された）状態で、装飾部材７４５０が第２位置に配置されると、変位部材５４３０の一側（連結軸５４３５側）の端部が変位ユニット７９００の前方に配置される。
【０５９５】
上述したように、変位ユニット７９００は、前後方向（矢印Ｆ−Ｂ方向）において、変位部材５４３０を間に挟む両側に変位可能とされる。従って、図６８に示すように、変位部材５４３０が、変位ユニット７９００の正面側に配置された状態で、変位ユニット７９００を正面側に張り出した状態に変位すると、変位ユニット７９００の正面側の端部が変位部材５４３０に当接して、変位ユニット７９００の変位が規制される。
【０５９６】
この場合、変位ユニット７９００は、変位部材５４３０の回転軸方向に変位して、変位部材５４３０に当接するので、変位ユニット７９００が変位して変位部材５４３０に当接した際に、変位部材５４３０が回転することを抑制できる。
【０５９７】
また、変位ユニット７９００を駆動するソレノイド７９１０は、軸部７９１２が本体部７９１１からコイルばねの付勢力により突出される。従って、変位ユニット７９００にコイルばねの付勢力を作用させ続けることができる。これにより、変位ユニット７９００及び変位部材５４３０の当接面の摩擦抵抗を大きくすることができるので、変位ユニット７９００及び変位部材５４３０が当接した状態で変位部材５４３０が回転変位することを抑制できる。よって、変位部材５４３０を駆動する駆動モータ４４１の電力をオフとした場合に、変位部材５４３０がパチンコ機１０の外部から入力される振動等で回転することを抑制できる。その結果、変位ユニット７９００が変位部材５４３０と当接して変位ユニット７９００の変位が規制された状態では、変位部材５４３０を駆動する駆動モータ４４１への電力の供給を遮断することができるので、その分、消費エネルギーを少なくすることができる。
【０５９８】
また、第７実施形態では、変位部材５４３０が、変位ユニット７９００と当接する部分に、凹設される凹設部７４３７が形成される。凹設部７４３７は、装飾部材７４５０が第２位置に配置される場合に、対向する変位ユニット７９００の外形に沿った形状に凹設される。これにより、変位部材５４３０が変位ユニット７９００の正面側に配置された状態で、変位ユニット７９００を正面側に張り出した状態に変位すると、変位ユニット７９００の変位部材５４３０と対向する部分が、凹設部７４３７に受け入れられる。その結果、変位ユニット７９００及び変位部材５４３０が当接して、変位ユニット７９００の変位が規制された状態とされる場合に、変位部材５４３０が回転することを凹設部７４３７の内面により規制することができる。
【０５９９】
よって、変位部材５４３０を駆動する駆動モータ４４１の電力をオフとした場合に、変位部材５４３０がパチンコ機１０の外部から入力される振動等で回転することを抑制できる。その結果、変位ユニット７９００が変位部材５４３０と当接して変位ユニット７９００の変位が規制された状態では、変位部材５４３０を駆動する駆動モータ４４１への電力の供給を遮断することができるので、その分、消費エネルギーを少なくすることができる。
【０６００】
次いで、図６９から図７５を参照して第８実施形態における上下変位ユニット８４００について説明する。上記第５実施形態では、変位部材５４３０により回転ユニット５５００が回転しないように規制する場合を説明したが、第８実施形態では、変位部材５４３０により、変位ユニット８９００が変位する距離が規制される。なお、上記各実施形態と同一の部分には同一の符号を付してその詳しい説明を省略する。
【０６０１】
初めに、図６９から図７１を参照して、第８実施形態における上下変位ユニット８４００の全体構成について説明する。図６９（ａ）は、第８実施形態における上下変位ユニット８４００の正面図であり、図６９（ｂ）は、上下変位ユニット８４００の斜視正面図である。図７０（ａ）は、ベースユニット８９５０の正面図であり、図７０（ｂ）は、図７０（ａ）のＬＸＸｂ−ＬＸＸｂ線におけるベースユニット８９５０の断面図である。図７１は、ベースユニット８９５０の分解斜視正面図である。
【０６０２】
図６９から図７１に示すように、第８実施形態における上下変位ユニット８４００の装飾部材８４５０は、第５実施形態と同様に左右両端に配設される変位部材５４３０により支持されており、その変位部材５４３０を回転変位させることで、装飾部材８４５０が第１〜第３位置に変位される。なお、変位部材５４３０を変位させる構成としては、第５実施形態と同一であるため、その説明は省略する。また、第８実施形態の変位部材５４３０は、第５実施形態の変位部材５４３０よりも一側（連結軸５４３５側）に長く形成されており、これにより、後述する変位ユニット８９００の変位を規制できる。
【０６０３】
装飾部材８４５０は、後述する変位ユニット８９００が配設されるベースユニット８９５０と、そのベースユニット８９５０の両端に連結される一対の正面ベース８４５２と、その正面ベース８４５２の左右方向外側端部に連結される摺動部４５１（図示しない）と、を主に備える。
【０６０４】
正面ベース８４５２は、正面視矩形に形成されると共に、左右方向（矢印Ｌ−Ｒ方向）略中間位置で分割され装飾部材の左右に一対に配設される。また、正面ベース８４５２は、左右方向（矢印Ｌ−Ｒ方向）に長い長穴に形成される摺動溝５４５２ｊと、左右方向中央側の背面に後述するベースユニット８９５０を締結固定するための凹設部（図示しない）が凹設される。
【０６０５】
ベースユニット８９５０は、内部に配設される変位ユニット８９００を摺動するための空間を形成するための部材であり、上方（矢印Ｕ方向）に配設され下方（矢印Ｄ方向）が開放する箱状に形成される上方ベース部材８９６０と、その上方ベース部材８９６０の下方に配設され上方が開放する箱状に形成される下方ベース部材８９７０とを上下方向に組み合わせて形成される。
【０６０６】
上方ベース部材８９６０は、上面視横長矩形に形成され、その長手方向の寸法が一対の正面ベース８４５２の対向間の距離寸法と略同一に設定される。また、上方ベース部材８９６０は、長手方向両端の背面側（矢印Ｂ方向側）端部から長手方向に突出する壁部８９６１と、正面側（矢印Ｆ方向側）の下方ベース部材８９７０との対向部分に凹欠された凹欠部８９６２と、上方ベース部材８９６０の背面側に配設される駆動モータ８９６３と、を主に備える。
【０６０７】
壁部８９６１は、前後方向に開口するネジ穴８９６１ａを備える。壁部８９６１は、ネジ穴８９６１ａを介してネジを正面ベース８４５２に螺合させることで、上方ベース部材８９６０を正面ベース８４５２に締結固定できる。
【０６０８】
凹欠部８９６２は、ベースユニット８９５０の内部に挿入される変位ユニット８９００の一部をベースユニット８９５０の正面側（矢印Ｆ側）に突出させる開口を形成するための切欠きである。また、凹欠部８９６２は、変位ユニット８９００が連通される部分よりも左右方向に大きく凹欠される。これにより、ベースユニット８９５０の内側に配置されて左右方向に変位される変位ユニット８９００が凹欠部８９６２の内縁に当接することを抑制できる。
【０６０９】
駆動モータ８９６３は、上方ベース部材８９６０の背面側に配設されると共に、その回転軸が上方ベース部材８９６０の背面側に形成される開口を介して上方ベース部材８９６０の内側に挿入される。また、駆動モータ８９６３の回転軸には、後述する変位ユニット８９００のスライドユニット８９３０に駆動を伝達する伝達ギヤ８９６４が配設される。
【０６１０】
下方ベース部材８９７０は、上面視における形状が上述した上方ベース部材８９６０と略同一の外形に形成される。下方ベース部材８９７０は、その下方ベース部材８９７０の長手方向両端の背面側端部から下方ベース部材８９７０の長手方向に突出する壁部８９６１と、上方ベース部材８９６０に形成される凹欠部８９６２と対向する位置に凹欠される凹欠部８９６２と、箱状に形成される内側底面に下方ベース部材８９７０の長手方向に沿って凹設される凹溝８９７３と、を主に備える。
【０６１１】
凹溝８９７３は、後述する変位ユニット８９００のスライドユニット８９３０のスライド変位を案内する部分あり、この凹溝８９７３に後述する変位ユニット８９００のローラ部材８９３３が挿入されることで、変位ユニット８９００のスライド変位方向が規定される。
【０６１２】
従って、後述する変位ユニット８９００は、上方ベース部材８９６０及び下方ベース部材８９７０のそれぞれに形成される凹欠部８９６２で形成される空間を介して、変位ユニット８９００の一部がベースユニット８９５０の外方に配設された状態とされる。
【０６１３】
変位ユニット８９００は、ベースユニット８９５０の内側に配置され、左右方向にスライド変位するスライドユニット８９３０と、そのスライドユニット８９３０に配設されると共にスライドユニット８９３０に対して回転可能とされる回転ユニット８９４０と、を主に備える。
【０６１４】
スライドユニット８９３０は、上下に２分割して形成される一対の本体部材８９３１と、その本体部材８９３１に配設されると共にベースユニット８９５０に配設される駆動モータ８９６３の回転軸に配設される伝達ギヤ８９６４と歯合するラック８９３２と、本体部材８９３１に回転可能に配設されると共に、その一部の外周面を本体部の外方に突出した状態で配設されるローラ部材８９３３と、そのローラ部材８９３３を間に挟んで本体部材８９３１の反対側に配設される保持部材８９３４と、を主に備える。
【０６１５】
一対の本体部材８９３１は、上下対称に配設されており、正面側の対向面から凹設される凹部８９３１ａと、その凹部８９３１ａに穿設される軸孔８９３１ｂと、対向方向外側の背面にスライドユニット８９３０のスライド方向に沿って凹設される被配設部８９３１ｃと、を主に備える。
【０６１６】
凹部８９３１ａは、一対の本体部材８９３１を組み合わせた際に、後述する回転ユニット８９４０を配設するための空間を形成するための凹みであり、回転ユニット８９４０の最大回転範囲に沿った内縁形状とされる。
【０６１７】
軸孔８９３１ｂは、回転ユニット８９４０を軸支する軸部８９４５が挿入される円形の穴であり、上下方向（矢印Ｕ−Ｄ方向）に穿設される。これにより、軸部８９４５を回転ユニット８９４０に挿通した状態で、その軸部８９４５の両端部を一対の本体部材８９３１のそれぞれの軸孔８９３１ｂに挿入することで、本体部材８９３１に回転ユニット８９４０を回転可能な状態で配設できる。
【０６１８】
被配設部８９３１ｃは、ラック８９３２又は保持部材８９３４を配設する部分であり、一対に形成される本体部材８９３１のうち上方側の本体部材８９３１にはラック８９３２が配設され、一対に形成される本体部材８９３１のうち下方側の本体部材８９３１には、保持部材８９３４が配設される。
【０６１９】
ラック８９３２は、上述したように駆動モータ８９６３から伝達される駆動により変位される部分であり、上面側にギアの歯面を備えると共にその歯が、伝達ギヤ８９６４に歯合される。これにより、駆動モータ８９６３から伝達される駆動によりラック８９３２が変位できる。また、ラック８９３２は、本体部材８９３１に締結されており、ラック８９３２を変位させることで、スライドユニット全体をスライド変位することができる。
【０６２０】
保持部材８９３４は、その保持部材８９３４及び本体部材８９３１の対向間に円環形状のローラ部材８９３３を軸支した状態で本体部材８９３１に配設される。また、ローラ部材８９３３は、その外周面の一部が正面視における本体部材８９３１の下方側（矢印Ｄ方向側）から突出した状態で配設される。ローラ部材８９３３の径方向への本体部材８９３１からの最大の突出距離は、下方ベース部材８９７０の凹溝８９７３の下方への凹設寸法よりも大きく設定される。これにより、凹溝８９７３にローラ部材８９３３を挿入した際に、ローラ部材８９３３の外周面に凹溝８９７３の凹設底面を当接させることができる。その結果、スライドユニット８９３０がスライド変位される際にローラ部材８９３３を回転させることで、スライドユニット８９３０をスライド変位する際の抵抗を小さくすることができる。
【０６２１】
回転ユニット８９４０は、正面視矩形に形成される表示部８９４１と、その表示面の背面側から突出すると被軸支部８９４２と、その被軸支部８９４２に挿通される円柱状の軸部材８９４３と、を主に備える。
【０６２２】
表示部８９４１は、正面側（矢印Ｆ方向側）の一面に模様やキャラクターの絵が描かれ、その模様やキャラクターを遊技者に視認させることができる。
【０６２３】
被軸支部８９４２は、上述したスライドユニット８９３０に支持される部分であり、スライドユニット８９３０の一対の凹部８９３１ａにより形成される空間に突出先端が配設される。また、被軸支部８９４２は、突出先端部に上下方向（矢印Ｕ−Ｄ方向）に貫通する貫通孔８９４２ａを備える。その貫通孔８９４２ａに軸部材８９４３が挿入されると共に、貫通孔８９４２ａから突出する軸部材８９４３が凹部８９３１ａに形成される軸孔８９３１ｂに挿入される。これにより、回転ユニット８９４０は、スライドユニット８９３０に対して回転可能な状態とされる。
【０６２４】
また、被軸支部８９４２と凹部８９３１ａとの連結部分には、図示しないねじりばねが装着される。そのねじりばねの付勢力により回転ユニット８９４０は、外部からの力が作用されていない状態では、表示部８９４１に描かれる模様やキャラクターを正面側に向けた姿勢を維持した状態とされる。
【０６２５】
次いで、図７２から図７５を参照して、スライドユニット８９３０及び回転ユニット８９４０の変位について説明する。図７２（ａ）は、上下変位ユニット８４００の正面図であり、図７２（ｂ）は、図７２（ａ）のＬＸＸＩＩｂ−ＬＸＸＩＩｂ線における上下変位ユニット８４００の断面図である。図７３（ａ）及び図７３（ｂ）は、上下変位ユニット８４００の断面図である。図７４（ａ）は、上下変位ユニット８４００の正面図であり、図７４（ｂ）は、図７４（ａ）のＬＸＸＩＶｂ−ＬＸＸＩＶｂ線における上下変位ユニット８４００の断面図である。図７５（ａ）及び図７５（ｂ）は、上下変位ユニット８４００の断面図である。
【０６２６】
なお、図７２及び図７３では、装飾部材８４５０が第１位置に配置された状態が図示され、図７４及び図７５では、装飾部材８４５０が第２位置に配置された状態が図示される。また、図７３（ａ）では、図７２（ｂ）に示すスライドユニット８９３０を左側にスライド移動した状態が図示され、図７３（ｂ）では、図７２（ｂ）に示すスライドユニット８９３０を右側にスライド移動した状態が図示される。さらに、図７５（ａ）では、図７４（ｂ）に示すスライドユニット８９３０を左側にスライド移動した状態が図示され、図７５（ｂ）では、図７４（ｂ）に示すスライドユニット８９３０を右側にスライド移動した状態が図示される。
【０６２７】
初めに、図７２及び図７３を参照して、装飾部材８４５０が第１位置に配置された状態で、スライドユニット８９３０を変位させる場合について説明する。なお、装飾部材８４５０が、第３位置に配置される場合は、第１位置に配置された状態と同一であるためその詳しい説明は省略する。
【０６２８】
図７２及び図７３に示すように、装飾部材８４５０が第１位置に配置された状態とされる場合には、変位部材５４３０の一側の端部が、回転ユニット８９４０よりも上方に配置される。また、図７２（ｂ）に示すように、スライドユニット８９３０がベースユニット８９５０の内部空間の左右方向（矢印Ｌ−Ｒ方向）の略中間位置に配置される場合には、スライドユニット８９３０の左右両方向に空間が形成され、その空間の分、スライドユニット８９３０を左右方向に変位させることができる。
【０６２９】
なお、ベースユニット８９５０の一対の凹欠部８９６２により形成される開口の左右方向の幅寸法Ｌ２（図７４（ｂ）参照）は、スライドユニット８９３０の左右方向へのスライド可能な最大距離寸法Ｌ３（図７４（ｂ）参照）の略２倍に設定される。これにより、スライドユニット８９３０を左右方向に変位させた場合に、凹欠部８９６２の内縁に回転ユニット８９４０の被軸支部８９４２を当接させることができる。その結果、スライドユニット８９３０のスライド変位が停止された後に、その停止による完成力で回転ユニット８９４０の表示部８９４１がスライドユニット８９３０のスライド方向に回転されることを抑制でき、表示部８９４１の表示面を遊技者側に向けた姿勢とすることができる。
【０６３０】
次いで、図７４及び図７５を参照して、装飾部材８４５０が第２位置に配置された状態で、スライドユニット８９３０を変位させる場合について説明する。
【０６３１】
図７４及び図７５に示すように、装飾部材８４５０が、第２位置に配置された状態とされる場合には、変位部材５４３０の一側の端部が回転ユニット８９４０の被軸支部８９４２の上下方向高さと略同一の位置に配置される。また、一対の変位部材５４３０の一側の端部の間の距離寸法Ｌ１（図７４（ｂ）参照）は、ベースユニット８９５０の一対の凹欠部８９６２により形成される開口の左右方向の幅寸法Ｌ２（図７４（ｂ）参照）よりも小さくされる。さらに、一対の変位部材５４３０の一側の端部は、一対の凹欠部８９６２により形成される開口の左右の両端部の内側に配置される。
【０６３２】
また、スライドユニット８９３０の左右方向へのスライド可能な最大距離寸法Ｌ３（図７４（ｂ）参照）は、一対の変位部材５４３０及び回転ユニット８９４０の左右方向における対向間寸法Ｌ４よりも大きく設定される。これにより、スライドユニット８９３０が左右方向に変位された場合に、変位部材５４３０の一側の端部に回転ユニット８９４０を当接させることができる。
【０６３３】
図７５（ａ）及び図７５（ｂ）に示すように、スライドユニット８９３０を左右両方向に変位させた場合には、回転ユニット８９４０の被軸支部８９４２が、変位部材５４３０の一側の端部に当接して、回転ユニット８９４０が貫通孔８９４２ａを中心に回転変位される。この場合、回転ユニット８９４０は、スライドユニット８９３０のスライド方向と反対の方向に表示部８９４１が回転変位される。
【０６３４】
この場合、変位部材５４３０の一側端部の間の距離寸法Ｌ１は、装飾部材８４５０が第２位置に変位されることに伴って小さくされる。従って、スライドユニット８９３０のスライド変位による回転ユニット８９４０の回転角度を、装飾部材８４５０の配置により変化させることができる。
【０６３５】
よって、パチンコ機１０が配置される店舗において、パチンコ機１０の隣に配置されるパチンコ機を遊技する遊技者がパチンコ機１０の斜め前方からパチンコ機１０を視認した場合に、その遊技者に表示部８９４１に表示される模様やキャラクターを視認させにくくできる。その結果、パチンコ機１０を遊技する遊技者の興趣が阻害されることを抑制できる。なお、この場合、表示部８９４１には、表示される模様やキャラクターを変更できる液晶装置が配設されることが好ましい。これによれば、スライドユニット８９３０をスライド変位させた際の表示と、スライドユニット８９３０の変位を戻した際の表示とを切り替えることで、隣りのパチンコ機を遊技する遊技者に表示部８９４１に表示される模様やキャラクターがスライドユニット８９３０の変位を戻した際に視認されることを抑制できる。その結果、パチンコ機１０を遊技する遊技者の興趣が阻害されることを抑制できる。
【０６３６】
また、回転ユニット８９４０の回転角度の変更を装飾部材８４５０を変位させる変位部材５４３０で行うことができる。従って、変位部材５４３０に、装飾部材８４５０を変位させる役割と、回転ユニット８９４０の回転を規制する役割とを兼用させることができるので、部品点数を削減することができる。
【０６３７】
なお、表示部８９４１には、液晶装置でなく、視認角度を変更することで、表示態様を変化させることができるレンチキュラー等を配設してもよい。この場合、パチンコ機１０をスライド変位させた際に、遊技者に視認させる表示と、パチンコ機１０の隣のパチンコ機を遊技する遊技者が表示部８９４１を視認するの表示とを異なる態様とすることができる。よって、パチンコ機１０の正常な表示をパチンコ機１０を遊技する遊技者以外に視認させにくくできる。その結果、パチンコ機１０を遊技する遊技者の興趣が阻害されることを抑制できる。また、レンチキュラーだけでなく、レンチキュラーのように視認角度を変更することで、表示態様を変更できる液晶装置を表示部８９４１に配置してもよい。この場合、表示部８９４１に表示される映像を変更することができるので、隣りのパチンコ機を遊技する遊技者に表示部８９４１に表示される模様やキャラクターを視認させにくくできる。
【０６３８】
さらに、装飾部材８４５０が第２位置に配置されると、変位部材５４３０の一側の端部および変位部材５４３０の回転軸を結ぶ方向が、スライドユニット８９３０のスライド方向（矢印Ｌ−Ｒ）方向と平行とされる。これにより、スライドユニット８９３０がスライド変位して、本体部材８９３１が変位部材５４３０の一側端部に当接した場合に、変位部材５４３０が回転変位することを抑制できる。
【０６３９】
ここで、回転ユニット８９４０は、背面側へ変位する表示部８９４１の端部が変位部材５４３０の前後方向（矢印Ｆ−Ｂ方向）と同一の位置（左右方向（矢印Ｌ−Ｒ方向に重なる位置））に回転角度が設定される。よって、スライドユニット８９３０のスライド変位により回転ユニット８９４０が変位部材５４３０と当接して回転される場合に、スライドユニット８９３０が反対の方向にスライド変位されると、表示部８９４１の背面側に変位された左右方向における端部が左右方向反対側に配設される変位部材５４３０の一側端部に当接して、変位部材５４３０と表示部８９４１とがかみ合ってしまい、スライドユニット８９３０の変位が規制される恐れがある。
【０６４０】
これに対し、第８実施形態では、回転ユニット８９４０は、背面側へ変位する表示部８９４１の端部が変位部材５４３０の前方（矢印Ｆ方向）の端部を含む前後方向位置に回転角度が設定される。これにより、スライドユニット８９３０の変位が繰り返されて、表示部８９４１の左右方向の端部が変位部材５４３０の一側の端部と当接した場合に、表示部８９４１の表示面を正面側に向ける方向に衝突された際の力を作用させることができる。その結果、変位部材５４３０と表示部８９４１とがかみ合うことを抑制でき、スライドユニット８９３０の変位が規制されることを抑制できる。
【０６４１】
次いで、図７６から図８１を参照して、第９実施形態における上下変位ユニット９４００について説明する。なお、上記第５実施形態では、回転ユニット５５００の回転の規制を回転変位する変位部材５４３０で行う場合を説明したが、第９実施形態では、回転ユニット９８４０の変位の規制を直線変位するラックで行う場合について説明する。
【０６４２】
初めに、図７６から図７９を参照して、上下変位ユニット９４００の全体構成について説明する。図７６（ａ）は、第９実施形態における上下変位ユニット９４００の正面図であり、図７６（ｂ）は、上下変位ユニット９４００の斜視正面図である。図７７は、上下変位ユニット９４００の分解斜視正面図である。図７８は、スライドユニット９９３０の分解斜視正面図である。図７９は、上下変位ユニット９４００の側面図である。
【０６４３】
なお、第９実施形態では、スライドユニット９９３０が最下方（矢印Ｄ方向）に配置された状態を第１位置として、スライドユニット９９３０が最上方（矢印Ｕ方向）に配置された状態を第２位置として説明する。また、図７９では、正面視において右側（矢印Ｒ方向側）に配設されるベースユニット９９５０及び正面視において右側に配設される本体部９９３１が透明視されて図示される。
【０６４４】
図７６から図７９に示すように、第９実施形態における上下変位ユニット９４００は、左右方向（矢印Ｌ−Ｒ方向）の両端に一対配設されるベースユニット９９５０と、その一対のベースユニット９９５０の対向間に配設される変位部材９４３０及びスライドユニット９９３０と、そのスライドユニット９９３０に連結される回転ユニット９９４０と、を主に備える。
【０６４５】
一対のベースユニット９９５０は、一面が開放される箱形状に形成され、その開放面を対向させた状態で配設され、その内部空間に、後述する変位部材９４３０、スライドユニット９９３０及び回転ユニット９９４０が配設される。また、ベースユニット９９５０は、その内側の対向面に対向方向に突出する２本の第１突起９９５１と、その第１突起９９５１よりも突出距離が短い２本の第２突起９９５２と、第１突起９９５１の前後方向（矢印Ｆ−Ｂ方向）の両隣に立設される立設部９９５３と、駆動モータ９９５４の回転軸に連結される伝達ギヤ９９５５を挿通する挿通孔９９５６と、を主に備える。
【０６４６】
第１突起９９５１は、後述する変位部材９４３０の摺動溝９４３０ａに挿入されており、変位部材９４３０が変位される際に変位部材９４３０を案内することができる。また、第１突起９９５１が挿入される変位部材９４３０は、左右方向（矢印Ｌ−Ｒ方向）の両端が一対のベースユニット９９５０の立設部９９５３の対向間に配設されており、左右方向への変位が規制された状態で一対のベースユニット９９５０の対向間に配設される。
【０６４７】
なお、立設部９９５３は、第１突起９９５１の前後方向両側に配設されるので、前後方向において、変位部材９４３０が左右方向に傾斜することを抑制できる。また、立設部９９５３は、変位部材９４３０のスライド方向（上下方向）に延設されており、変位部材９４３０がスライド変位した際にも、変位部材９４３０の左右方向への変位を規制できる。
【０６４８】
第２突起９９５２は、後述するスライドユニット９９３０の摺動溝９９３１ｃに挿入されており、スライドユニット９９３０がスライド変位される際にスライドユニット９９３０を案内することができる。
【０６４９】
変位部材９４３０は、側面視縦長矩形の板状に形成され、正面側の一面にギヤの歯面の第２歯面９４３０ｂと、背面側の一面にギヤの歯面の第１歯面９４３０ｃと、左右方向に貫通されると共に上下方向に長い長穴の摺動溝９４３０ａと、上側の一面から上方に突出する突出部９４３０ｄと、を主に備える。
【０６５０】
摺動溝９４３０ａは、上下方向に所定の距離離間する位置に２箇所に形成されており、それぞれの摺動溝９４３０ａに上述した第１突起９９５１が挿入された状態で配設される。また、摺動溝９４３０ａの上下方向の開口寸法は、変位部材９４３０の変位距離と略同一または若干大きく形成される。
【０６５１】
第１歯面９４３０ｃは、上下方向（矢印Ｕ−Ｄ方向）に延設される。また、第１歯面９４３０ｃは、駆動モータ９９５４の回転軸に連結される伝達ギヤ９９５５に歯合する歯面であり、駆動モータ９９５４の駆動を伝達ギヤ９９５５を介して第１歯面９４３０ｃに伝達することができる。これにより、駆動モータ９９５４の回転で、変位部材９４３０が上下方向に変位される。
【０６５２】
第２歯面９４３０ｂは、スライド側伝達ギヤ９９８０及びスライドユニット９９３０の回転側伝達ギヤ９９３５に歯合されており、駆動モータ９９５４により変位部材９４３０が変位されることで、スライド側伝達ギヤ９９８０及び回転側伝達ギヤ９９３５の両者が回転される。これにより、変位部材９４３０をスライド変位させることで、スライドユニット９９３０を上下方向にスライド変位させることができると共に、回転ユニット９９４０を回転変位させることができる。なお、スライドユニット９９３０及び回転ユニット９９４０の変位についての詳しい説明は後述する。
【０６５３】
突出部９４３０ｄは、回転ユニット９９４０に凹設される被挿入部９９４１ａに挿入される突起であり、スライドユニット９９３０が第１位置に配置される場合に被挿入部９９４１ａに挿入された状態で配設される。
【０６５４】
スライドユニット９９３０は、一対の本体部９９３１と、その本体部の対向間に配設される回転側伝達ギヤ９９３５と、その回転側伝達ギヤ９９３５に歯合する介設ギヤ９９３６と、その介設ギヤ９９３６に歯合する摺動ギヤ９９３７と、スライド側伝達ギヤ９９８０に歯合するラック９９３８と、を主に備える。
【０６５５】
本体部９９３１は、左右方向（矢印Ｌ−Ｒ方向）に一対配置されると共に、対向間に所定の空間を備えた状態で一対が連結される。また、一対の本体部９９３１の対向方向内側には、複数の突起が形成されており、その複数の突起に回転側伝達ギヤ９９３５介設ギヤ９９３６と、その介設ギヤ９９３及び摺動ギヤ９９３７が軸支される。さらに、本体部９９３１は、左右方向に開口すると共に上下方向に長い長穴の摺動溝９９３１ｃを備える。摺動溝９９３１ｃは、上述したようにベースユニット９９５０の第２突起９９５２が挿入されることで、スライドユニット９９３０が案内される。
【０６５６】
ギヤ列９９３５〜９９３７は、上述した変位部材９４３０が変位した際に、回転ユニット９９４０に駆動を伝達するギヤ列であり、回転側伝達ギヤ９９３５が変位部材９４３０の第２歯面９４３０ｂに歯合されると共に、摺動ギヤ９９３７が回転ユニット９９４０に歯合される。
【０６５７】
また、摺動ギヤ９９３７は、一部に小径に形成される歯面の小径歯部９９３７ａと、その小径歯部９９３７ａの周方向隣に一部歯面の形成をなくした摺動面９９３７ｂとを備える。なお、小径歯部９９３７ａ及び摺動ギヤ９９３７についての詳しい説明は後述する。
【０６５８】
ラック９９３８は、背面側の一面にスライド側伝達ギヤ９９８０に歯合する歯面９９３８ａを備え、本体部９９３１に締結固定される。また、歯面９９３８ａは、本体部９９３１の対向間から突出した位置に配置される。これにより、変位部材９４３０が変位した場合に、本体部９９３１が変位部材９４３０に当接することを抑制できる。
【０６５９】
回転ユニット９９４０は、側面視湾曲形状に形成され内周面をベースユニット９９５０に向けて配設される表示部９９４１と、その表示部９９４１の内周面からベースユニット９９５０側に突出する被軸支部９９４２と、を主に備える。
【０６６０】
表示部９９４１は、外周側に模様やキャラクターが描かれ、内周側に変位部材９４３０の突出部９４３０ｄが挿入される被挿入部９９４１ａが凹設される。上述したように、スライドユニット９９３０が第１位置に配置される場合に、突出部９４３０ｄが被挿入部９９４１ａに挿入されることで、回転ユニット９９４０の回転が規制される。
【０６６１】
被軸支部９９４２は、突出先端側に左右方向に貫通する貫通孔９９４２ａと、突出先端部に貫通孔９９４２ａの中心を軸とする湾曲状のギヤの歯面の湾曲歯面９９４２ｂと、を備える。
【０６６２】
貫通孔９９４２ａは、一対の本体部９９３１の対向方向に突出する突起が挿入された状態でスライドユニット９９３０に配設される。貫通孔９９４２ａが本体部９９３１の突起に軸支されることで、回転ユニット９９４０はスライドユニット９９３０に対して回転可能な状態でスライドユニット９９３０に連結される。
【０６６３】
湾曲歯面９９４２ｂは、摺動ギヤ９９３７に歯合される部分であり、摺動ギヤ９９３７が回転されることで回転ユニット９９４０がスライドユニット９９３０に対して回転される。また、湾曲歯面９９４２ｂは、一部に大径に形成される歯面の大径歯部９９４２ｂ１を備える。
【０６６４】
大径歯部９９４２ｂ１は、スライドユニット９９３０が第１位置に配置される状態では、先端が摺動面９９３７ｂの小径歯部９９３７ａと連結側と周方向反対側の端部に位置される。これにより、摺動ギヤ９９３７の回転初期には、湾曲歯面９９４２ｂと摺動ギヤ９９３７とが歯合されない状態とすることができ、スライドユニット９９３０の始動タイミングと、回転ユニット９９４０の始動タイミングとをずらすことができる。
【０６６５】
次いで、図７９から図８１を参照して、上下変位ユニット９４００の変位について説明する。図８０及び図８１は、上下変位ユニット９４００の側面図である。なお、図７９から図８１は、第１位置から第２位置にスライドユニット９９３０が変位する遷移状態が順に図示される。図７９では、スライドユニット９９３０が第１位置に配置された状態が、図８１では、スライドユニット９９３０が第２位置に配置された状態が、図８０では、第１位置に配置されたスライドユニット９９３０が少し変位された状態が、それぞれ図示される。また、図８０及び図８１では、正面視において右側（矢印Ｒ方向側）に配設されるベースユニット９９５０及び正面視において右側に配設される本体部９９３１が透明視されて図示される。
【０６６６】
図７９に示すように、スライドユニット９９３０が第１位置に配置されると、変位部材９４３０の突出部９４３０ｄが、被挿入部９９４１ａに挿入された状態とされ、変位部材９４３０が、下方（矢印Ｄ方向）に変位することで、変位部材９４３０と回転ユニット９９４０との規制が解除される。
【０６６７】
ここで、上述したように、第９実施形態では、駆動モータ９９５４の駆動が、変位部材９４３０を介して、その駆動がスライドユニット９９３０をスライド変位させるスライド側伝達ギヤ９９８０及び回転ユニット９９４０を回転変位させる摺動ギヤ９９３７に伝達される。従って、変位部材９４３０のスライド変位と回転ユニット９９４０の回転変位とを同じタイミングで行っては、被挿入部９９４１ａから突出部９４３０ｄが抜け出る前に、回転ユニット９９４０が回転して、被挿入部９９４１ａから突出部９４３０ｄが抜け出なくなるという問題点があった。
【０６６８】
これに対して、本実施形態では、湾曲歯面９９４２ｂは、一部に大径に形成される歯面の大径歯部９９４２ｂ１を備え、第１位置に配置される状態では、先端が摺動面９９３７ｂの小径歯部９９３７ａと連結側と周方向反対側の端部に位置されるので、図８０に示すように、変位部材９４３０の変位初期では、摺動ギヤ９９３７の摺動面に回転ユニット９９４０の大径歯部９９４２ｂ１を摺動させることで、回転ユニット９９４０及び摺動ギヤ９９３７との歯合を解除できる。よって、変位部材９４３０が変位する場合には、回転ユニット９９４０よりも先に変位部材９４３０を変位させることができる。その結果、被挿入部９９４１ａから突出部９４３０ｄが抜け出なくなることを抑制できる。
【０６６９】
また、摺動ギヤ９９３７には小径歯部９９３７ａが形成され、湾曲歯面９９４２ｂには、大径歯部９９４２ｂ１が形成されるので、摺動面９９３７ｂを摺動させた後に、摺動ギヤ９９３７と湾曲歯面９９４２ｂとがかみ合って動かなくなるまたは歯合の位置がずれることを抑制できる。
【０６７０】
図８１に示すように、スライドユニット９９３０が第２位置に配置される場合には、スライドユニット９９３０を第２位置に変位させる変位部材９４３０の変位に伴って、回転ユニット９９４０の表示部９９４１が正面側に回転させることができる。
【０６７１】
なお、第９実施形態では、上下変位ユニット９４００は、遊技盤１３の背面側であって、センタフレーム６００の開口の下側に配置され、スライドユニット９９３０が第１位置に配置される場合に、遊技者はセンタフレーム６００の前方斜め上から表示部９９４１を視認することで、表示部９９４１の全域を視認することができる。一方、スライドユニット９９３０が第２位置に変位する場合には、表示部９９４１がセンタフレーム６００の内側に変位されると共に、表示部９９４１の表示面が倒立される。これにより、センタフレーム６００の内側に配置される表示部９９４１を遊技者に視認させやすくできる。即ち、第９実施形態では、スライドユニット９９３０と回転ユニット９９４０とを同期させることで、表示部９９４１を、遊技者から視認しやすい位置に配置することができる。
【０６７２】
次いで、図８２から図８３を参照して第１０実施形態における上下変位ユニット１０４００について説明する。上記第５実施形態では、回転ユニット５５００に凹設される凹部５５１４の内側に変位部材５４３０の一側端部を挿入する場合について説明したが、第１０実施形態では、装飾部材１０４５０の変位に伴って回転する突起１０４５９ａが回転ユニット１０５００の側壁１０５１５に当接して配置される。なお、上記各実施形態と同一の部分には同一の符号を付してその詳しい説明を省略する。
【０６７３】
初めに、図８２を参照して第１０実施形態における上下変位ユニット１０４００の全体構成について説明する。図８２（ａ）は、第１０実施形態における上下変位ユニット１０４００の正面図であり、図８２（ｂ）は、上下変位ユニット１０４００の背面図である。なお、図８２（ａ）では、正面カバー５４６０が透明視されて図示され、図８２（ｂ）では、装飾部材１０４５０の背面ベース５４５３の図示が省略される。
【０６７４】
図８２に示すように、第１０実施形態における上下変位ユニット１０４００は、箱状に形成される正面ベース１０４１０と、その正面ベース５４１０の正面側（矢印Ｆ方向側）に重ね合される正面カバー５４６０と、正面ベース１０４１０の背面側に配設される駆動モータ４４１と、正面ベース１０４１０および正面カバー５４６０の対向間に軸支されて配設されると共に駆動モータ４４１の駆動力により回転される変位部材１０４３０と、その変位部材１０４３０の一側に連結されて変位部材１０４３０の回転に伴って上下方向（矢印Ｕ−Ｄ方向）に変位される装飾部材１０４５０と、その装飾部材１０４５０に挿入されると共に、正面ベース１０４１０及び正面カバー５４６０の対向間に配設される案内棒Ｐ１とを主に備える。
【０６７５】
正面ベース１０４１０は、上下方向（矢印Ｕ−Ｄ方向）に延設される第１片１０４１０Ｘと、その第１片１０４１０Ｘの上下方向略中間位置から左右方向において一対に配設される第１片１０４１０Ｘの対向方向外側に向かって膨出する第２片５４１０Ｙと、を備える。
【０６７６】
第１片１０４１０Ｘは、上端側に断面円弧上に凹設される上側凹溝４１３と、下端がわに断面円弧上に凹設される下側凹溝４１４と、回転ユニット１０５００から遠方側（矢印Ｌ方向）の縁部に沿って正面カバー５４６０側（矢印Ｆ方向側）に立設される立設部５４１２と、一対の第１片１０４１０Ｘが対向する対向面側に配設されるラック部材１０４４４と、を備える。
【０６７７】
ラック部材１０４４４は、正面視において、第１片１０４１０Ｘの延設方向に長い矩形状に形成され、一対の第１片１０４１０Ｘが対向する側の対向面にギヤの歯面１０４４ａが刻設される。歯面１０４４４ａは、一対の第１片１０４１０Ｘの対向する側の側面から突出した状態で第１片１０４１０Ｘ（正面ベース１０４１０）に配設される。
【０６７８】
装飾部材１０４５０は、正面視横長矩形状に形成され、長手方向中央部分を構成する正面ベース１０４５２と、その正面ベース１０４５２の左右方向両端部に連結される摺動部４５１と、正面ベース１０４５２の背面を覆設する背面ベース４５３（図示しない）と、正面ベース１０４５２の正面側に回転可能な状態で配設される回転ユニット１０５００と、長手方向の両端に複数（本実施形態では３個）のギヤ１０４５４〜１０４５６と、を備える。
【０６７９】
回転ユニット１０５００は、その回転ユニット１０５００の上方側の側面を形成する上面ベース１０５１０と、上面ベース１０５１０の下方に配設される照射ユニット５３０（図２８参照）と、その照射ユニット５３０の下方に配設される中間部材１０５４０と、その中間部材５４０の下方に配設される反射板５６０（図２８参照）と、反射板５６０の前方に配設される正面カバー５５０（図２８参照）と、上面ベース５１０と下面ベース５５２０との背面側に配設される回転伝達ユニット５７０（図２８参照）と、回転ユニット１０５００の下方側の側面を形成する下面ベース１０５２０と、を主に備えて形成される。
【０６８０】
また、回転ユニット１０５００は、正面視において一方が長い矩形状に構成されており、外面を構成する上面ベース１０５１０、中間部材１０５４０及び下面ベース１０５２０の回転ユニット１０５００の長手方向両端部に回転ユニット１０５００の長手方向に対して垂直な面の側壁１０５１５が形成される。
【０６８１】
なお、回転ユニット１０５００は、上記第１実施形態と同様に、照射ユニット５３０から照射される光の残像により演出を行うバーサライタとして構成されており、上記第１実施形態と同様に、回転伝達ユニット５７０の背面ベース５７１のギヤ５７１ａ１の中心を軸として回転変位される。
【０６８２】
また、回転ユニット１０５００の重心は、回転軸Ｏ上に設定されており、回転ユニット１０５００の長手方向が水平とされた姿勢とされる場合に、回転ユニット１０５００が自重によって回転軸Ｏを中心に回転することが抑制される。
【０６８３】
正面ベース１０４５２は、第１実施形態における正面ベース４５２と同様に正面視横矩形状の板状体から形成されると共に、上下の両端部が背面側に屈曲する断面コ字状に形成される。正面ベース１０５４２は、装飾部材５４５０の長手方向に長い長穴に形成される摺動溝５４５２ｊと、前後方向（矢印Ｆ−Ｂ方向）に伸びる直線を中心として円弧状に開口される第２摺動溝１０４５２ｍと、を主に備える。
【０６８４】
第２摺動溝１０４５２ｍは、内側に後述するギヤ１０４５６に配設される規制部材１０４５９の突起１０４５９ａが挿通される。また、第２摺動溝１０４５２ｍは、正面視における円弧の軸が、後述するギヤ１０４５６の回転軸と同軸上に設定される。これにより、ギヤ１０４５６が回転された場合に、突起１０４５９ａが第２摺動溝１０４５２ｍの内部を摺動する。さらに、第２摺動溝１０４５２ｍは、正面視において径方向外側の内縁の一部が、初期位置に配置される回転ユニット１０５００の側壁１０５１５と接する位置に形成される。これにより、第２摺動溝１０４５２ｍの内部を摺動する突起１０４５９ａを側壁１０５１５に接した状態で配置できる。なお、第２摺動溝１０４５２ｍは、その上下方向の幅寸法が側壁１０５１５の上下方向の幅寸法よりも大きく設定されており、突起１０４５９ａを側壁１０５１５に接して配置した状態と、側壁１０５１５の上下方向外側に移動させて状態とで切り替え可能とされる。その結果、装飾部材１０４５０を上下方向に変位させた場合に、突起１０４５９ａを、側壁１０５１５に接した状態と、側壁１０５１５の上下方向外側に位置した状態とで切り替えることができ、回転ユニット１０５００の回転を規制する状態と非規制の状態とで切り替えることができる。
【０６８５】
次いで、図８３を参照して、装飾部材１０４５０が第１から第３位置に配置された状態での、突起１０４５９ａについて説明する。図８３（ａ）は、装飾部材１０４５０が第３位置に配置された状態における上下変位ユニット１０４００の背面図であり、図８３（ｂ）は、装飾部材１０４５０が第３位置に配置された状態における上下変位ユニット１０４００の正面図である。図８３（ｃ）は、装飾部材１０４５０が第２位置に配置された状態における上下変位ユニット１０４００の背面図であり、図８３（ｄ）は、装飾部材１０４５０が第２位置に配置された状態における上下変位ユニット１０４００の正面図である。図８３（ｅ）は、装飾部材１０４５０が第１位置に配置された状態における上下変位ユニット１０４００の背面図であり、図８３（ｆ）は、装飾部材１０４５０が第１位置に配置された状態における上下変位ユニット１０４００の正面図である。
【０６８６】
図８３（ａ）及び図８３（ｂ）に示すように、装飾部材１０４５０が第３位置に配置された状態では、規制部材１０４５９の突起１０４５９ａが、初期位置に配置される回転ユニット１０５００よりも上方（矢印Ｕ方向）に配置される。この場合、突起１０４５９ａは、回転ユニット１０５００の回転領域ＲＹ２（図８３（ｂ）参照）よりも外側に配置される。これにより、回転ユニット１０５００は、装飾部材１０４５０が第３位置に配置された状態において、その回転が許容される。従って、装飾部材１０４５０が第３位置に配置された場合では、回転ユニット１０５００の回転により演出を遊技者に視認させることができる。
【０６８７】
次に、図８３（ｃ）及び図８３（ｄ）に示すように、装飾部材１０４５０が第２位置に配置された状態では、規制部材１０４５９の突起１０４５９ａが初期位置に配置される回転ユニット１０５００の側壁１０５１５に接して配置される。この場合、突起１０４５９ａは、回転ユニット１０５００の回転領域ＲＹ２の内側に配置される。これにより、回転ユニット１０５００は、装飾部材１０４５０が第２位置に配置された状態において、その回転が規制される。
【０６８８】
なお、この場合、突起１０４５９ａが回転変位されるのに対して、側壁１０５１５は平面に形成されるので、突起１０４５９ａが回転されるほど側壁１０５１５との間に隙間が形成される。これにより、回転ユニット１０５００が初期位置から若干ずれた位置で停止された場合に、側壁１０５１５が突起１０４５９ａの変位軌跡上に配置されることを抑制できる。その結果、突起１０４５９ａが変位する途中で、回転ユニット１０５００に衝突して、突起１０４５９ａの変位が規制されることを抑制できる。
【０６８９】
次に、図８３（ｅ）及び図８３（ｆ）に示すように、装飾部材１０４５０が第１位置に配置された状態では、規制部材１０４５９の突起１０４５９ａが、初期位置に配置される回転ユニット１０５００よりも下方（矢印Ｄ方向）に配置される。この場合、突起１０４５９ａは、回転ユニット１０５００の回転領域ＲＹ２（図８３（ｂ）参照）よりも外側に配置される。これにより、回転ユニット１０５００は、装飾部材１０４５０が第１位置に配置された状態において、その回転が許容される。従って、装飾部材１０４５０が第１位置に配置された場合では、回転ユニット１０５００の回転により演出を遊技者に視認させることができる。
【０６９０】
次いで、図８４から図８６を参照して第１１実施形態における上下変位ユニット１１４００について説明する。上記第１０実施形態では、突起１０４５９ａが、装飾部材１０４５０の変位に連動する場合について説明したが、第１０実施形態では、突起１０４５９ａの変位に対して、連動しない場合が形成される。なお、上記各実施形態と同一の部分には同一の符号を付してその詳しい説明は省略する。
【０６９１】
初めに、図８４を参照して、第１１実施形態における上下変位ユニット１１４００の構成について説明する。図８４は、第１１実施形態における上下変位ユニット１１４００の背面図である。なお、図８４では、背面ベース４５３の図示が省略される。背面ベース４５３が透明視されて図示される。
【０６９２】
図８４に示すように、第１１実施形態における上下変位ユニット１１４００は、箱状に形成される正面ベース１０４１０と、その正面ベース５４１０の正面側（矢印Ｆ方向側）に重ね合される正面カバー５４６０と、正面ベース１０４１０の背面側に配設される駆動モータ４４１と、正面ベース１０４１０及び正面カバー５４６０の対向間に軸支されて配設されると共に駆動モータ４４１の駆動力により回転される変位部材１０４３０と、その変位部材１０４３０の一側に連結されて変位部材１０４３０の回転に伴って上下方向（矢印Ｕ−Ｄ方向）に変位される装飾部材１１４５０と、その装飾部材１１４５０に挿入されると共に、正面ベース１０４１０及び正面カバー５４６０の対向間に配設される案内棒Ｐ１と、を主に備える。
【０６９３】
装飾部材１１４５０は、正面視横長矩形に形成され、長手方向中央部分を構成する正面ベース１１４５２と、その正面ベース１１４５２の左右方向両端部に連結される摺動部４５１と、正面ベース１１４５２の背面を覆設する背面ベース４５３（図示しない）と、正面ベース１１４５２の正面側に回転可能な状態で配設される回転ユニット１０５００と、長手方向の両端に複数（本実施形態では背面視左側に３個、背面視右側に４個）のギヤ１０４５４，１０４５５，１１４５５，１１４５６と、を備える。
【０６９４】
正面ベース１１４５２は、第１実施形態における正面ベース４５２と同様に正面視横矩形状の板状体から形成されると共に、上下の両端部が背面側に屈曲する断面コ字状に形成される。また、正面ベース１１５４２は、装飾部材１１４５０の長手方向に長い長穴に形成される摺動溝５４５２ｊと、前後方向（矢印Ｆ−Ｂ方向）に伸びる直線を中心として円弧状に開口される第２摺動溝１０４５２ｍと、その第２摺動溝１０４５２ｍと繋がる円弧状に凹設される凹設部１１４５２ｎと、を主に備える。
【０６９５】
凹設部１１４５２ｎは、背面視において第２摺動溝１０４５２ｍと同軸の円弧形状に形成されると共に、周方向の両端が第２摺動溝１０４５２ｍと連結される。また、凹設部１１４５２ｎの正面側への凹設距離は、第２摺動溝１０４５２ｍに挿通される突起１０４５９ａの突出長さよりも大きく設定される。これにより、突起１０４５９ａを第２摺動溝１０４５２ｍの周方向端部を超える位置に回転させることができる。
【０６９６】
ギヤ１１４５５は、背面視右側に配置されるギヤ列にのみ配置されており、ギヤ１０４５５及びギヤ１１４５６に歯合した状態とされる。これにより、後述する背面視右側のギヤ１１４５６の回転方向を背面視において時計周りとすることができる。
【０６９７】
ギヤ１１４５６は、一方向の回転の動力のみを伝達するワンウェイクラッチ１１４５６ａ（市販のワンウェイクラッチ）が組み込まれており、そのワンウェイクラッチ１１４５６ａの内側に配置される内輪１１４５６ｂと、ワンウェイクラッチ１１４５６ａの外側に配置されると共に外周面にギヤの歯面が刻設される外輪１１４５６ｃと、を備える。これにより、ギヤ１１４５６は、ギヤ１０４５５が一方向に回転された場合に、内輪１１４５６ｂに動力を伝達することができると共に、ギヤ１１４５５が他方向に回転された場合に、内輪１１４５６ｂに動力が非伝達とされる。なお、ギヤ１１４５７の回転についての詳しい説明は後述する。
【０６９８】
内輪１１４５６ｂには、規制部材１０４５９が配設される。これにより、規制部材１１４５９の突起１０４５９ａは、ワンウェイクラッチ１１４５６ａにより内輪１１４５６ｂに動力が伝達される場合にのみ変位される。即ち、突起１０４５９ａは、一方向にのみ回転される。これにより、装飾部材１１４５０を上下方向（矢印Ｌ−Ｒ方向）に繰り返し変位させることで、突起１０４５９ａを任意の位置に停止させることができる。
【０６９９】
なお、本実施形態では、装飾部材１１４５０の左右の２箇所に配設されるギヤ１１４５６に組み込まれるワンウェイクラッチ１１４５６ａは、装飾部材１１４５０が一方向に変位された場合に２箇所のギヤ１１４５６の一方のみが内輪１１４５６ｂへ動力を伝達可能とされ（例えば装飾部材１１４５０が第３位置から第１位置に変位された場合に、背面視右側（矢印Ｌ方向側）のギヤ１１４５６の内輪が回転され）、装飾部材１１４５０が他方向に変位された場合に２箇所のギヤ１１４５６の他方のみが内輪１１４５６ｂへ動力を伝達可能とされる（例えば装飾部材１１４５０が第１位置から第３位置に変位された場合に、背面視左側（矢印Ｒ方向側）のギヤ１１４５６の内輪が回転される）。
【０７００】
また、本実施形態では、背面視左側（矢印Ｒ方向側）に配設されるギヤ１１４５６の内輪１１４５６ｂ（突起１０４５９ａ）の回転方向が背面視において反時計周りに設定され、背面視右側（矢印Ｌ方向側）に配設されるギヤ１１４５６の内輪１１４５６ｂ（突起１０４５９ａ）の回転方向が背面視において時計周りに設定される。これにより、ギヤ１１４５６が回転されて突起１０４５９ａが、第２摺動溝１０４５２ｍの内側に配置される場合に、規制部材１０４５９の荷重をワンウェイクラッチ１１４５６ａの動力を伝達する方向に作用させることができる。これにより、突起１０４５９ａが第２摺動溝１１４５２ｍの内側に配置される場合に、ワンウェイクラッチ１１４５６ａが空転して突起１０４５９ａの位置がずれることを抑制できる。
【０７０１】
なお、第２摺動溝１０４５２ｍと湾曲の軸を挟んで反対側に位置する凹設部１１４５２ｎの内側を突起１０４５９ａが摺動する場合には、規制部材１０４５９の荷重がワンウェイクラッチ１１４５６ａを空転させる方向に作用するが、突起１０４５９ａが凹設部１１４５２ｎを摺動する場合には、第２摺動溝１０４５２ｍを突起１０４５９ａが摺動する場合に比べて、他の部材（例えば、回転ユニット１０５００）が衝突する可能性が低くされるので、ワンウェイクラッチが空転して突起１０４５９ａの位置がずれることを抑制できる。
【０７０２】
さらに、本実施形態では、装飾部材１１４５０が、第３位置から第１位置または第１位置から第３位置に変位された場合に、ギヤ１１４５６の外輪１１４５６ｃが略１８０度回転するようにギヤ１０４５４，１０４５５，１０４５６，１１４５６のギヤ比が設定される。これにより、２箇所に配設されるギヤ１１４５６のそれぞれの回転角度を調整しやすくできる。
【０７０３】
次いで、図８５及び図８６を参照して、装飾部材１１４５０が第３位置から第１位置に配置され、第１位置に配置された装飾部材１１４５０が第１位置から第３位置に変位される場合の突起１０４５９ａについて説明する。なお、以下の説明では、装飾部材１１４５０が第３位置に配置されて、変位前の初期位置とされる際に、突起１１４５９ａが、第２摺動溝１１４５２ｍの下方側（矢印Ｄ方向側）の端部に配置された状態から説明する。
【０７０４】
図８５（ａ）は、装飾部材１１４５０が第３位置に配置される状態における上下変位ユニット１１４００の背面図であり、図８５（ｂ）は、装飾部材１１４５０が第２位置に配置される状態における上下変位ユニット１１４００の背面図であり、図８５（ｃ）は、装飾部材１１４５０が第１位置に配置される状態における上下変位ユニット１１４００の背面図である。図８６（ａ）は、装飾部材１１４５０が第１位置に配置される状態における上下変位ユニット１１４００の背面図であり、図８６（ｂ）は、装飾部材１１４５０が第２位置に配置される状態における上下変位ユニット１１４００の背面図であり、図８６（ｃ）は、装飾部材１１４５０が第３位置に配置される状態における上下変位ユニット１１４００の背面図である。
【０７０５】
図８５（ａ）及び図８５（ｂ）に示すように、装飾部材１１４５０が第３位置から第２位置に変位される場合には、背面視右側に配設されるギヤ１１４５６の内輪１１４５６ｂにのみ動力が伝達されて、規制部材１０４５９（突起１０４５９ａ）が矢印Ｘ１（図８５（ｂ）参照）の方向に回転される。
【０７０６】
この場合、突起１０４５９ａが、回転ユニット１０５００の側壁１０５１５に接して配置される。これにより、回転ユニット１０５００の回転領域Ｒ１に突起１０４５９ａが配設されるので、回転ユニット１０５００の回転が規制される。
【０７０７】
次いで、図８５（ｂ）及び図８５（ｃ）に示すように、装飾部材１１４５０が第２位置から第１位置に変位される場合には、第３位置から第２位置の変位と同様に背面視右側に配設されるギヤ１１４５６の内輪１１４５６ｂにのみ動力が伝達されて、規制部材１０４５９（突起１０４５９ａ）が矢印Ｘ２（図８５（ｃ）参照）の方向に回転される。これにより、突起１０４５９ａが、回転ユニット１０５００の側壁１０５１５の上下方向外側に配置されると共に、回転ユニット１０５００の回転領域Ｒ１の外側に配置される。その結果、回転ユニット１０５００の回転が許容される。
【０７０８】
次いで、図８６（ａ）及び図８６（ｂ）に示すように、装飾部材１１４５０が第１位置から第２位置に変位される場合には、背面視左側に配設されるギヤ１１４５６の内輪１１４５６ｂにのみ動力が伝達されて、規制部材１０４５９（突起１０４５９ａ）が矢印Ｙ１（図８６（ｂ）参照）の方向に回転される。
【０７０９】
この場合、突起１０４５９ａが、回転ユニット１０５００の側壁１０５１５に接して配置される。これにより、回転ユニット１０５００の回転領域Ｒ１に突起１０４５９ａが配設されるので、回転ユニット１０５００の回転が規制される。
【０７１０】
次いで、図８６（ｂ）及び図８６（ｃ）に示すように、装飾部材１１４５０が第２位置から第３位置に変位される場合には、第１位置から第２位置の変位と同様に背面視左側に配設されるギヤ１１４５６の内輪１１４５６ｂにのみ動力が伝達されて、規制部材１０４５９（突起１０４５９ａ）が矢印Ｙ２（図８６（ｃ）参照）の方向に回転される。これにより、突起１０４５９ａが、回転ユニット１０５００の側壁１０５１５の上下方向外側に配置されると共に、回転ユニット１０５００の回転領域Ｒ１の外側に配置される。その結果、回転ユニット１０５００の回転が許容される。
【０７１１】
なお、第１１実施形態では、装飾部材１１４５０の変位は、上述した順だけでなく例えば、図８５（ａ）に示す第３位置に装飾部材１１４５０を配置した状態から第２位置、第３位置、第２位置の順に装飾部材１１４５０を変位させることで、背面視左側に配設されるギヤ１１４５６の突起１０４５９ａが初期位置に配置される回転ユニット１０５００の側壁１０５１５に接して配置される。また、この状態からさらに、装飾部材１１４５０を第３位置、第２位置の順に変位させると、第２位置で回転ユニット１０５００の回転が許容される状態とすることができる。その結果、回転ユニット１０５００を回転させて演出する領域を大きくすることができる。
【０７１２】
次いで、図８７を参照して、第１２実施形態における上下変位ユニット１２４００について説明する。上記第１０実施形態では、左右の２箇所に配設される規制部材１０４５９の突起１０４５９ａの変位する軌跡が左右で対称とされる場合について説明したが、第１２実施形態では、左右の２箇所に配設される規制部材１０４５９の突起１０４５９ａの変位する規制が左右で異なる位置とされる。なお、上記各実施形態と同一の部分には同一の符号を付してその詳しい説明を省略する。
【０７１３】
図８７は、第１２実施形態における上下変位ユニット１２４００の正面図である。なお、図８７では、規制部材１０４５９が配設されるギヤ１０４５６が鎖線で図示される。また、ギヤ１０４５６の回転中心を通過する垂直方向の直線が仮想線ＫＳ４の符号を付して２点鎖線で図示される。また、図８７では、装飾部材１２４５０が第３位置に配置された状態が図示される。
【０７１４】
図８７に示すように第１２実施形態における上下変位ユニット１２４００の正面ベース１２４５２に開口される第２摺動溝１２４５２ｍは、左右で異なる高さに形成される。詳しく説明すると、正面視左側の第２摺動溝１２４５２ｍは、上方側端部およびギヤ１０４５６の回転中心を結ぶ直線と仮想線ＫＳ４との交差する角度θ１（図８７参照）が、正面視右側の第２摺動溝１２４５２ｍの上方側端部およびギヤ１０４５６の回転中心を結ぶ直線と仮想線ＫＳ４との交差する角度θ２よりも小さく設定される。
【０７１５】
また、装飾部材１２４５０が第３位置に配置された状態において、規制部材１０４５９の突起１０４５９ａは、それぞれ第２摺動溝１２４５２ｍの上方側端部の内側に配置される。従って、装飾部材１２４５０が第３位置から第２位置に変位されて、ギヤ１０４５６が回転されると、正面視右側の規制部材１０４５９の突起１０４５９ａが、左側の突起１０４５９ａよりも先に初期位置に配置される回転ユニット１０５００の側壁１０５１５にの内側に配置される。
【０７１６】
ここで、回転ユニット１０５００は、回転した後に初期位置で停止する場合に、上述したギヤ４５６（図２６参照）に形成される突起が検出センサの間に配置された後に停止動作をするため、若干回転する方向に位置ずれして停止する傾向があった。そのため、回転ユニット１０５００を回転させた後に、回転ユニット１０５００が正面視において第２摺動溝１２４５２ｍと重なる位置まで位置ずれして停止されると、第１０実施形態で説明したように突起１０４５９ａを左右で同時に変位させると、一方の突起１０４５９ａが回転ユニット１０５００の外面と衝突して、突起１０４５９ａの動作が規制される恐れがある。
【０７１７】
これに対して、第１２実施形態では、一方の突起１０４５９ａが先行するので、第１位置および第３位置での回転ユニット１０５００の回転方向を第２位置に変位させる場合に、突起１０４５９ａが先行する側のと反対方向の回転方向（本実施形態では、第３位置において正面視反時計周りの回転、第１位置において正面視時計周りの回転）とすることで、回転ユニット１０５００の停止位置がずれる場合に、先行する側の突起１０４５９ａを回転ユニット１０５００の側壁１０５１５に当接させて、回転ユニット１０５００の位置を初期位置に戻すことができる。その結果、後行する側の突起１０４５９ａが回転ユニット１０５００の外面に衝突することを抑制できる。
【０７１８】
次いで、図８８から図９０を参照して第１３実施形態における上下変位ユニット１３４００について説明する。上記第５実施形態では、回転ユニット５５００の回転が変位部材５４３０により規制される場合を説明したが、第１３実施形態では、回転ユニット１３５００の回転が正面ベース１３４５２から突出する突設部材１３４９５により規制される。なお、上記各実施形態と同一の部分には同一の符号を付してその詳しい説明を省略する。
【０７１９】
初めに、図８８及び図８９を参照して、第１３実施形態における上下変位ユニット１３４００の構成について説明する。図８８（ａ）及び図８８（ｂ）は、第１３実施形態における上下変位ユニット１３４００の正面図である。図８９（ａ）は、図８８（ｂ）のＬＸＸＸＩＸａ−ＬＸＸＸＩＸａ線における上下変位ユニット１３４００の断面図であり、Ｈ０２（ｂ）は、図８９（ａ）のＬＸＸＸＩＸｂ−ＬＸＸＸＩＸｂ線における上下変位ユニット１３４００の断面図である。
【０７２０】
図８８及び図８９に示すように、第１３実施形態における上下変位ユニット１３４００は、箱状に形成される正面ベース５４１０と、その正面ベース５４１０の正面側（矢印Ｆ方向側）に重ね合わされる正面カバー５４６０と、正面ベース５４１０の背面側に配設される駆動モータ４４１と、正面ベース５４１０及び正面カバー５４６０の対向間に軸支されて配設されると共に駆動モータ４４１の駆動力により回転される変位部材１３４３０と、その変位部材１３４３０の一側に連結されて、変位部材１３４３０の回転に伴って上下方向（矢印Ｕ−Ｄ方向）に変位される装飾部材１３４５０と、その装飾部材１３４５０に挿通されると共に、正面ベース５４１０及び正面カバー５４６０の対向間に配設される案内棒Ｐ１とを主に備える。
【０７２１】
装飾部材１３４５０は、正面視横長矩形状に形成され、長手方向中央部分を構成する正面ベース１３４５２と、その正面ベース１３４５２の左右方向両端部に連結される摺動部４５１と、正面ベース１３４５２の背面を覆設する背面ベース１３４５３と、正面ベース１３４５２及び背面ベース１３４５３の間に配設される突設部材１３４９５と、その突設部材１３４９５を軸支する円柱状の軸部材１３４９６と、正面ベース１３４５２の正面側に回転可能な状態で配設される回転ユニット１３５００と、を主に備える。
【０７２２】
正面ベース１３４５２は、第１実施形態における正面ベース４５２と同様に正面視横長矩形状の板状体から形成されると共に、上下の両端部が背面側に屈曲する断面コ字状に形成される。正面ベース１３４５２は、正面視横長矩形状に開口する第２開口１３４５２ｐを備え、装飾部材１３４５０の長手方向略中間位置に回転可能な状態で回転ユニット１３５００が配設される。
【０７２３】
第２開口１３４５２ｐは、後述する突設部材１３４９５が挿通される開口であり、突設部材１３４９５の正面視形状よりも、突設部材１３４９５の軸支方向（矢印Ｌ−Ｒ方向）に略２倍の大きさに形成される。また、第２開口１３４５２ｐは、左右方向の端部に背面ベース１３４５３側に突設される壁部１３４５２ｐ１が形成され、上下方向の両端に磁性を有する第１磁石１３４５２ｐ２が配設される。
【０７２４】
壁部１３４５２ｐ１は、後述する突設部材１３４９５を軸支する軸部材１３４９６が挿通される。これにより、突設部材１３４９５は、第２開口１３４５２ｐに挿通されると共に、正面ベース１３４５２に対して上下方向に回転可能とされる。
【０７２５】
突設部材１３４９５は、後述する回転ユニット１３５００の背面側に凹設される凹部１３５１４に一側の端部を挿入することで、回転ユニット１３５００の回転を規制する部材であり、一側の端部が第２開口１３４５２ｐから正面側（回転ユニット１３５００側）に突出される。また、突設部材１３４９５は、装飾部材１３４５０の長手方向に開口する軸孔１３４９５ａと、他側の端部に上下方向の両側に膨出する膨出部１３４９５ｂと、その膨出部１３４９５ｂの内側に配置される第２磁石１３４９５ｃと、を主に備える。
【０７２６】
軸孔１３４９５ａは、突設部材１３４９５を軸支する軸部材１３４９６が挿通される穴であり、軸部材１３４９６よりも大きい内径に形成され、軸部材１３４９６が挿通される。軸部材１３４９６は、軸孔１３４９５ａに挿通されると共に、左右方向中央側の外周面にコイルばねＳＰ１が配設される。コイルばねＳＰ１は、壁部１３４５２ｐ１と突設部材１３４９５との間に若干圧縮された状態で配設される。これにより、突設部材１３４９５は、第２開口１３４５２ｐに対して左右方向外側に配置される。また、コイルばねＳＰ１は、突設部材１３４９５の長手方向が、前後方向と平行となる姿勢に突設部材１３４９５を付勢する。これにより、突設部材１３４９５は、正面ベース１３４５２の正面側の側面に対して長手方向が直交する状態とされる。
【０７２７】
第２磁石１３４９５ｃは、上述した第１磁石１３４５２ｐ２に吸着する磁性を有する部材であり、突設部材１３４９５が後述する回転ユニット１３５００の回転により変位される場合に、第２磁石１３４９５ｃを第１磁石１３４５２ｐ２に吸着させることで突設部材を変位した状態に維持することができる。なお、第１磁石１３４５２ｐ２は、第２開口１３４５２ｐの左右方向外側部分にのみ配置される。これにより、第２磁石１３４９５ｃが第１磁石１３４５２ｐ２に吸着した状態の突設部材１３４９５が、第２開口１３４５２ｐの左右方向内側部分に変位されることで、第２磁石１３４９５ｃの第１磁石１３４５２ｐ２との吸着が解除される。
【０７２８】
変位部材１３４３０は、長手方向の他側に変位部材１３４３０の長手方向に長い長穴に形成される駆動側摺動溝４３１と、長手方向の一側に装飾部材１３４５０側に突出する連結軸５４３５と、連結軸５４３５の突出先端に一方向に回転可能な状態で軸支される解除用突起１３４３９と、を備える。連結軸５４３５は、背面ベース１３４５３に開口する摺動溝５４５２ｊに配設されており、変位部材１３４３０が変位されると、連結軸５４３５が摺動溝５４５２ｊの内側を摺動する。
【０７２９】
解除用突起１３４３９は、円柱状に形成され、連結軸５４３５の先端に軸支されると共に連結軸５４３５と解除用突起１３４３９との間に配設されるねじりばね（図示しない）により軸方向が前後方向に向く姿勢で配置される。また、解除用突起１３４３９は、装飾部材１３４５０が第２位置に配置される状態において、連結軸５４３５に対して解除用突起１３４３９の先端（矢印Ｆ方向側）が装飾部材１３４５０の長手方向内側に回転可能とされる。さらに、解除用突起１３４３９の先端は、突設部材１３４９５の一側が回転ユニット１３５００の凹部１３５１４の内側に配置された状態では、突設部材１３４９５と前後方向に重ならない長さに設定されると共に、突設部材１３４９５の一側が回転ユニット１３５００の凹部１３５１４の外側に配置され、第２磁石１３４９５ｃが第１磁石１３４５２ｐ２と吸着された状態では、突設部材１３４９５と前後方向に重なる長さに設定される。
【０７３０】
これにより、突設部材１３４９５の一側が回転ユニット１３５００の凹部１３５１４の内側に配置された状態では、変位部材１３４３０の連結軸５４３５が摺動溝５４５２ｊの内側を摺動する際に、解除用突起１３４３９を突設部材１３４９５に衝突せずに変位させることができる。また、突設部材１３４９５の一側が回転ユニット１３５００の凹部１３５１４の外側に配置され、第２磁石１３４９５ｃが第１磁石１３４５２ｐ２と吸着された状態では、変位部材１３４３０の連結軸５４３５が摺動溝５４５２ｊの内側を摺動する際に、解除用突起１３４３９を突設部材１３４９５に衝突させることができる。その結果、突設部材１３４９５の第２磁石１３４９５ｃの第１磁石１３４５２ｐ２との吸着を解除することができる。
【０７３１】
回転ユニット１３５００は、その回転ユニット１３５００の上方側の側面を形成する上面ベース１３５１０と、上面ベース５５１０の下方に配設される照射ユニット５３０（図２８参照）と、その照射ユニット５３０の下方に配設される中間部材１３５４０と、その中間部材５４０の下方に配設される反射板５６０（図２８参照）と、反射板５６０の前方に配設される正面カバー５５０（図２８参照）と、上面ベース５１０と下面ベース５５２０との背面側に配設される回転伝達ユニット５７０（図２８参照）と、回転ユニット５５００の下方側の側面を形成する下面ベース１３５２０と、を主に備えて形成される。
【０７３２】
また、回転ユニット１３５００は、正面視において一方が長い矩形状に構成されており、外面を構成する上面ベース１３５１０、中間部材１３５４０及び下面ベース１３５２０の回転ユニット１３５００の長手方向両側の背面側に正面側に向かって凹部１３５１４が凹設される。
【０７３３】
なお、回転ユニット１３５００は、上記第１実施形態と同様に、照射ユニット５３０から照射される光の残像により演出を行うバーサライタとして構成されており、上記第１実施形態と同様に、回転伝達ユニット５７０の背面ベース５７１のギヤ５７１ａ１の中心を軸として回転変位される。
【０７３４】
また、回転ユニット１３５００の重心は、回転軸Ｏ上に設定されており、回転ユニット１３５００の長手方向が水平とされた姿勢（図５７（ａ）及び図５７（ｂ）に示す姿勢）とされる場合に、回転ユニット１３５００が自重によって回転軸Ｏを中心に回転することが抑制される。
【０７３５】
次いで、図９０を参照して、突設部材１３４９５の変位態様について説明する。図９０（ａ）及び図９０（ｂ）は、上下変位ユニット１３４００の断面図である。なお、図９０（ａ）は、図８９（ａ）における上下変位ユニット１３４００の断面図に対応し、図９０（ｂ）は、図８９（ｂ）における上下変位ユニット１３４００の断面図に対応する。なお、図９０（ａ）では、回転ユニット１３５００が初期位置から回転された状態が図示され、図９０（ｂ）では、装飾部材１３４５０が第２位置に配置された状態が図示される。
【０７３６】
図９０（ａ）に示すように、突設部材１３４９５の一側端部が回転ユニット１３５００の凹部１３５１４の内側に配置された状態から回転ユニット１３５００が回転変位されると、回転ユニット１３５００の外面に突設部材１３４９５の一側端部が上下方向に押圧される。これにより、突設部材１３４９５が軸部材１３４９６を軸にして回転変位される。この場合、突設部材１３４９５の他側に形成される膨出部１３４９５ｂが、正面ベース１３４５２の第１磁石１３４５２ｐ２に近接される。これにより、膨出部１３４９５ｂの内側に配置される第２磁石１３４９５ｃが、第１磁石１３４５２ｐ２に吸着される。その結果、突設部材１３４９５が軸部材１３４９６を軸に回転された方向に傾倒した状態に維持される。
【０７３７】
なお、この場合、突設部材１３４９５は、回転ユニット１３５００により押し出されて回転される回転量が膨出部１３４９５ｂが、第１磁石１３４５２ｐ２と若干の隙間を形成する量とされ、第１磁石１３４５２ｐ２と第２磁石１３４９５ｃとの吸着により膨出部１３４９５ｂと第１磁石１３４５２ｐ２との隙間分が回転される。これにより、突設部材１３４９５が傾倒した状態に維持される場合に、突設部材１３４９５の一側端部と回転ユニット１３５００の背面側との間に所定の隙間を形成することができる。その結果、回転ユニット１３５００の回転が継続される場合に、突設部材１３４９５の一側端部が回転ユニット１３５００と接触することを抑制できる。
【０７３８】
次いで、図９０（ｂ）に示すように、第１磁石１３４５２ｐ２と第２磁石１３４９５ｃとの吸着を解除する場合には、装飾部材１３４５０を第２位置に変位させることで行われる。装飾部材１３４５０が第２位置に変位されると、変位部材１３４３０に配設される解除用突起１３４３９の先端が、突設部材１３４９５の他側の端部（膨出部１３４９５ｂ）に当接される。これにより、解除用突起１３４３９の変位に伴って、突設部材１３４９５が第２開口１３４５２ｐの左右方向内側に変位される。これにより、第１磁石１３４５２ｐ２と第２磁石１３４９５ｃとが左右方向に位置ずれするので、第１磁石１３４５２ｐ２と第２磁石１３４９５ｃとの吸着が解除される。その結果、突設部材１３４９５の長手方向が、前後方向と平行となる姿勢に変位される。
【０７３９】
なお、突設部材１３４９５の長手方向が、前後方向と平行となる姿勢に変位されると、上述したように、突設部材１３４９５は、解除用突起１３４３９の先端に当接しない状態とされる。これにより、突設部材１３４９５は、コイルばねＳＰ１の付勢力により装飾部材１３４５０の長手方向外側に押し出されて、図８９（ｂ）に示す位置に変位される。
【０７４０】
また、この場合、突設部材１３４９５は、解除用突起１３４３９よりも装飾部材１３４５０の左右方向外側に配置される。従って、装飾部材１３４５０が第２位置に配置される場合に、回転ユニット１３５００が回転されて、突設部材１３４９５が傾倒され第１磁石１３４５２ｐ２と第２磁石１３４９５ｃとが吸着された状態とされる際には、装飾部材１３４５０を第１位置または第３位置に変位させることで、連結軸５４３５に対して解除用突起１３４３９を回転させて、解除用突起１３４３９を突設部材１３４９５よりも装飾部材１３４５０の左右方向外側に配置させることができる。
【０７４１】
従って、第１３実施形態では、装飾部材１３４５０の位置に関わらず、回転ユニット１３５００を回転させることで、突設部材１３４９５による回転ユニット１３５００の回転の規制を解除することができるので、回転ユニット１３５００の回転による演出領域を拡大することができる。
【０７４２】
以上、上記実施形態に基づき本発明を説明したが、本発明は上記形態に何ら限定されるものではなく、本発明の趣旨を逸脱しない範囲内で種々の変形改良が可能であることは容易に推察できるものである。
【０７４３】
上記各実施形態において、１の実施形態の一部または全部を他の１又は複数の実施形態の一部または全部と入れ替えて又は組み合わせて、遊技機を構成しても良い。
【０７４４】
上記第１実施形態では、センターフレーム６００に１のセンサ６３０が配設される場合を説明したが、必ずしもこれに限られるものではない。例えば、センターフレーム６００の左右方向中心線を対称に２のセンサ６３０を配置しても良く。３以上のセンサ６３０を配設しても良い。
【０７４５】
上記第１実施形態では、センサ６３０がセンターフレーム６００の枠体６１０に配設される場合を説明したが、必ずしもこれに限られるものではない。例えば、センサ６３０を上下変位ユニット４００の正面カバー４６０に配置しても良い。この場合、センサ６３０の照射範囲を広域にすることができるので、そのセンサ６３０の検出領域を拡大することができる。
【０７４６】
上記第１実施形態では、センターカバー６２０のカバー部材６２１を、正面側が凸の湾曲面として形成される場合を説明したが、必ずしもこれに限られるものではない。例えば、正面側中央部で断面略Ｖ字状に屈曲するものであっても良い。また、背面側に凸の湾曲面として形成しても良い。他には、一部に湾曲面が形成されるものであっても良い。少なくとも、センサ６３０から出射される光がカバー部材６３０に反射されて、遊技盤１３の前方の物体を検知できれば良い。
【０７４７】
上記第１実施形態では、センターカバー６２０のカバー部材６２１を、背面側に配設される第３図柄表示装置８１を遊技者に視認させる役割と、センサ６３０から出射される光を兼用する場合を説明したが、必ずしもこれに限られるものではなく、カバー部材６２１の領域を、第３図柄表示装置８１を遊技者に視認させ領域と、センサ６３０から出射される光を反射する領域と、の領域に領域を区切っても良い。この変形例について、図５６を参照して説明する。図５６は、変形例としてのセンターフレーム６００の断面図である。なお、上記各実施形態と同一の部分には同一の符号を付してその説明を省略する。また、図５６は、図４０（ｂ）の断面図と対応し、センターカバー６２０の断面のみが模式的に図示される。さらに、図５６は、センターフレーム６００の背面側に配置される第３図柄表示装置８１の外形が２点鎖線で図示される。
【０７４８】
図５６に示すように、センターフレーム６００のカバー部材６２１は、左右方向（図５６左右方向）の両端部に第２領域Ｒ２と、その両端の第２領域Ｒ２の中央側（第３図柄表示装置８１の正面側）に第１領域Ｒ１と、を備えて形成される。
【０７４９】
第１領域Ｒ１は、カバー部材６２１の背面側に配置される第３図柄表示装置８１を遊技者から視認可能にする領域であり、比較的透明度の高い光透過性の材量から形成される。第２領域Ｒ２は、センサ６３０から出射される光を遊技機１３の正面側（遊技者側）に反射させる領域である。なお、第１領域Ｒ１と第２領域Ｒ２との境界位置は、遊技機１３の正面側に位置する遊技者から視認可能であれば良いので、正面視における第３図柄表示装置８１の外形と略同一の位置が好ましい。また、この変形例では、理解を容易とするためにセンサ６３０を左右両端に配設した様態で説明する。
【０７５０】
この場合、例えば、第２領域Ｒ２の背面側または正面側に銀伯などの反射率の高い部材をコーティングしても良い。または、第２領域Ｒ２の背面側または正面側に銀色のシールを添付してよい。この場合、センサ６３０から照射される光を反射させやすくすることができるので、遊技盤１３の正面側の物体の検出をより確実に行うことができる。
【０７５１】
他には、第２領域Ｒ２の部分を背面側に凸となる湾曲形状にしても良いし、第２領域Ｒ２の部分を平面にしても良い。この場合、センサ６３０から出射される光が第２領域Ｒ２で反射されて正面側に出射される範囲を広くすることができるので、センサ６３０の検出範囲を拡大することができる。
【０７５２】
上記各実施形態では、センサ６３０は、カバー部材６２１よりも前方に配設される場合を説明したが、必ずしもこれに限られるものではなく、例えば、センサ６３０を、カバー部材６２１よりも後方に配設してもよい。この場合、センサ６３０から出射された光はカバー部材６２１を透過されることで、遊技盤１３の正面側の物体を検知することができる。さらに、この場合、カバー部材６２０が正面側に凸の湾曲形状とされることで、センサ６３０から出射される光をカバー部材６３０に入射された際に、その照射角度を変化させることができる。即ち、正面側に凸の湾曲形状のカバー部材６３０を透過させることで、遊技盤１３の正面側に出射されるセンサ６３０の照射範囲を広くすることができる。
【０７５３】
上記各実施携帯では、振分け部材７６０の２の傾斜面７６１（第３送球経路ＫＲ３）が同じ長さで形成される場合を説明したが、必ずしもこれに限られるものではななく、２の傾斜面７６１（第３送球経路ＫＲ３）の長さをそれぞれ異なる長さにしてもよい。この場合、振分け部材７２０のシーソー部材７６２で左右に振分けられるそれぞれの球がセンサＳＥに検知されるまでの時間を左右の経路で異ならせることができるので、遊技者に興趣を与えることができる。
【０７５４】
上記第１及び第２実施形態では、ローラ４９２ａが、弾性体で形成される場合を説明したが、必ずしもこれに限られるものではない。例えば、ローラ４９２ａをゴムやウレタンよりも弾性率の低い素材で形成して、そのローラ４９２ａの外周面にゴムやウレタン等の弾性体の部材を外嵌するものであってもよい。この場合、弾性体の体積を小さくできるので、ローラ部材４９２の製造コストを抑えることができる。
【０７５５】
上記第１実施形態では、センターフレーム６００のカバー部材６２１の厚みを一定に形成する場合を説明したが、必ずしもこれに限られるものではなく、カバー部材６２１の厚みを変えてもよい。例えば、カバー部材６２１の断面形状を略Ｄ字形状に形成してもよい。この場合、カバー部材６２１は、凸レンズとなるので、カバー部材６２１の背面側に配置される第３図柄表示装置８１、装飾部材４５０を大きく表示することができる。
【０７５６】
上記第１実施形態では、ローラ４９２ａの弾性変形を利用して、ローラ４９２ａを、正面ベース４５２の当接面４５２ｈとケース部材４９１の膨出部４９１ｃとの間に挟み込む場合を説明したが、必ずしもこれに限られるものではなく、ローラ４９２ａの変位を利用するものであってもよい。例えば、ローラ４９２ａの軸部４９２ｂを変位可能に形成して、ローラ４９２ａを変位させて、正面ベース４５２の当接面４５２ｈとケース部材４９１の膨出部４９１ｃとの間に挟み込むものであってもよい。
【０７５７】
この場合、ローラ４９２ａの弾性変形を利用することなくローラ４９２ａを、正面ベース４５２の当接面４５２ｈとケース部材４９１の膨出部４９１ｃとの間に挟み込むことができるので、ローラ４９２ａをゴムやウレタンの弾性率の高い素材で形成する必要がなく、例えば、ゴムやウレタンよりも弾性率の低い樹脂で形成することができるので、その分、製造コストを抑えることができる。
【０７５８】
上記第３実施形態では、上部に配置されるローラ４９２ａが下部に配置されるローラ４９２ａよりも先に装飾部材４５０と当接する場合を説明したが、必ずしもこれに限られるものではなく、上部に配置されるローラ４９２ａが下部に配置されるローラ４９２ａよりよりも後に装飾部材４５０に当接するものであってもよい。
【０７５９】
例えば、初期位置（正面ベース４５２の当接面４５２ｈとローラ４９２ａとが離間した位置）における規制ユニット４９０の上部に配置されるローラ４９２ａは、正面ベース４５２の当接面４５２ｈと前後方向（図５０（ａ）左右方向）に所定の隙間を備えるように構成してもよい。この場合、装飾部材４５０が第１位置に変位する際に、第１及び第３実施形態よりも、ローラ４９２ａと当接するまでの時間が遅くされるので、装飾部材４５０を駆動する駆動モータ４４１の負荷（抵抗）が大きくなる時間を短くすることができる。
【０７６０】
上記第１実施形態では、照射規制部５４４とＬＥＤ５３２とが当接する状態で配置される場合を説明したが、必ずしもこれに限られるものではなく、照射規制部５４４とＬＥＤとの対向間に所定の隙間が形成されてもよい。この場合、照射孔５４３の両端を開放状態とすることができるので、照射孔５４３の内部に空気が留まる（滞留する）ことを抑制できる。即ち、照射孔５４３の内部に空気の流れを作ることができるので、ＬＥＤ５３２の動作で発生する熱を効率的に冷却することができる。
【０７６１】
上記第１実施形態では、粗面加工が凹凸の形状に形成される場合を説明したが、必ずしもこれに限られるものではなく、粗面加工が凸（突起）のみからなる面であっても良く、凹（窪み）のみからなる面であってもよい。また、粗面加工は、条または溝として延設されるものであってもよい。さらに、凹および凸の断面形状は、円形、打鍵、多角径、これらを組み合わせた形状のいずれであっても良い。即ち、基準位置よりも高い部分と低い部分とが形成され、光が、反射可能な複数の部分（面）が形成され、乱反射可能とされていれば、凹凸の形状は任意である。
【０７６２】
上記各実施形態において、煙を発生させる煙発生装置（煙発生手段）を遊技盤１３（ベース板６０）の背面側に設け、その煙発生装置から発生される煙を、回転ユニット５００の変位領域（回転領域）に導入するようにしても良い。即ち、第３図柄表示装置８１とセンターフレーム６００（センターカバー６２０）との間の空間に煙が充満された雰囲気を形成しても良い。これにより、ＬＥＤ５３２から発光された光を煙を通過させつつ遊技者に視認させることができ、かかるＬＥＤ５３２の点滅を際立たせることができる。また、煙により回転ユニット５００またはその背面側の部材を隠しつつ（遊技者から視認され難くしつつ）、ＬＥＤ５３２の点滅のみを視認させることができる。よって、ＬＥＤ５３２（光）による演出効果を高めることができる。
【０７６３】
なお、従来品では、回転ユニットの回転に伴って、煙が外周側に押し出されて、上述した空間に煙を充満させておくことが困難であった。よって、煙の効果を得ることが困難であった。これに対し、上述した各実施形態における回転ユニット５００によれば、上面ベース５１０及び下面ベース５２０に送風孔５１２，５２２が開口されると共に、上面ベース５１０及び下面ベース５２０を組み立てた構造体の背面側が開放されるので、送風孔５１２，５２２から取り込んだ外気を背面側から排気して、循環させることができる。よって、上述した空間に煙を充満させておく（回転ユニット５００の周囲に留まらせておく）ことができる。その結果、煙が充満した雰囲気中でＬＥＤ５３２を点滅させることができ、上述した効果を奏することができる。
【０７６４】
上記各実施形態では、上下変位ユニット４００，５４００，６４００，７４００，８４００，９４００の装飾部材４５０，５４５０，７４５０，８４５０，９４５０が上下方向（矢印Ｕ−Ｄ方向）に変位する場合を説明したが、必ずしもこれに限られるものではない。例えば、上下変位ユニット４００，５４００，６４００，７４００，８４００，９４００を正面視において略９０度回転させた状態で配設して、装飾部材４５０，５４５０，７４５０，８４５０，９４５０が左右方向（矢印Ｌ−Ｒ方向）に変位する状態としてもよい。
【０７６５】
上記第５実施形態では、凹部５５１４の内面または変位部材５４３０の一側端部が同一の部材から形成される場合について説明したが、必ずしもこれに限られるものではない。例えば、凹部５５１４の内面または変位部材５４３０の一側の端面のどちらか一方を金属材料や硬質な樹脂材料よりも弾性変形しやすいゴム状の部材で形成されても良い。
【０７６６】
これにより、凹部５５１４の内面および変位部材５４３０の一側の端面とが当接しつつ変位された場合に、その当接面に傷が形成されることを抑制できる。また、この場合、ゴム状の部材を弾性変位させた状態で当接させることで、凹部５５１４の内面および変位部材５４３０の一側の端面が当接された状態とされる場合の摩擦抵抗を大きくすることができ、パチンコ機１０に入力される振動等で変位部材５４３０又は回転ユニット５００が揺れ動くことを抑制できる。
【０７６７】
上記第５実施形態では、回転ユニット５００に凹設された凹部５５１４の内側に、変位部材５４３０の一側端部を挿入する場合を説明したが、必ずしもこれに限られるものではなく、回転ユニット５００に突設された突部を、変位部材５４３０の一側端部に凹設された凹部に挿入することで、回転ユニット５００の回転を規制してもよい。
【０７６８】
この場合、変位部材５４３０の回転軸および突部を結ぶ直線上に、回転ユニット５００の回転軸が配置されることが好ましい。これによれば、変位部材５４３０を回転変位させた場合に、変位部材５４３０の一側端部が、凹部への変位部材５４３０の挿入方向と直交する方向に変位しにくくできる。その結果、変位部材５４３０を凹部に挿入しやすくできる。
【０７６９】
上記第５実施形態では、変位部材５４３０に連結軸５４３５が配設され、正面ベース５４５２に摺動溝５４５２ｊが形成される場合について説明したが、必ずしもこれに限られるものではない。例えば、連結軸５４３５を正面ベース５４５２に配設して、変位部材５４３０に摺動溝５４５２ｊを形成して両者を連結しても良い。
【０７７０】
上記第５実施形態では、装飾部材５４５０を駆動する駆動モータ４４１の駆動が、変位部材５４３０を介して装飾部材５４５０に伝達される場合を説明したが、必ずしもこれに限られるものではない。例えば、装飾部材５４５０を駆動する駆動モータ４４１の駆動がラックピニオンにより装飾部材５４５０に伝達されるようにしても良い。この場合、変位部材５４３０の他側に形成される駆動側摺動溝４３１の形成が不要とされる。
【０７７１】
上記第６実施形態では、回転の位置を検出するためのギヤ４５６に凹溝６４５６ａが形成される場合を説明したが、必ずしもこれに限られるものではない。例えば、回転ユニット５００に形成されるギヤ５７１ａ１に凹溝６４５６ａを形成してもよいし、回転ユニット５００を回転させるための駆動を伝達するための他のギヤに凹溝６４５６ａを形成してもよい。また、回転して駆動を伝達するギヤでなく、ラック等の直線運動するギヤに凹溝６４５６ａを形成してもよい。
【０７７２】
上記第６実施形態では、回転ユニット５００に配設されるギヤ５７１ａ１と同一のギヤ比（外径）のギヤ４５６に凹溝６４５６ａを形成する場合を説明したが、必ずしもこれに限られるものではない。例えば、ギヤ４５６のギヤ比をギヤ５７１ａ１に対して、倍の値（外周を２倍）に設定してもよい。この場合、回転ユニット５００の停止位置が正常な位置からずれて停止された場合に、ギヤ４５６の停止位置の位置ずれの量を大きくすることができる。よって、ギヤ４５６の凹溝６４５６ａの内面に規制用突起６４３６を当接させてギヤ４５６を回転させやすくすることができ、回転ユニット５００を正常な位置に配置しやすくできる。
【０７７３】
上記第６実施形態では、凹溝６４５６ａが、ギヤ４５６の領域Ｒ１のみに形成される場合を説明したが、必ずしもこれに限られるものではない。例えば、領域Ｒ１の反対側の領域に仮想線ＫＳ３を対象にして２つ目の凹溝６４５６ａが形成されていてもよい。
【０７７４】
この場合、２つ目の凹溝６４５６ａに規制用突起６４３６を挿入することで、初期位置と１８０度位相の異なる位置で回転ユニット５００の回転を規制することができる。即ち、回転を規制する位置を複数形成することができる。
【０７７５】
上記第６実施形態では、装飾部材６４５０の背面側に配設される変位部材６４３０の規制用突起６４３６をギヤ４５６の凹溝６４５６ａの内側に配置することで、回転ユニット５００の回転を規制する場合について説明したが、必ずしもこれに限られるものではない。例えば、変位部材６４３０の規制用突起６４３６を正面ベース６４５３の前方に突出させて第５実施形態における回転ユニット５５００の凹部５５１４の内側に規制用突起６４３６を配置することで、回転ユニット５５００の回転を規制してもよい。なお、この場合、回転ユニット５５００の規制は、規制用突起６４３６で行わなくても良く、例えば、連結軸５４３５で行ってもよい。
【０７７６】
この場合、第５実施形態では、装飾部材５４５０を上下方向（矢印Ｕ−Ｄ方向）に変位させるための変位部材５４３０が遊技者側に配設されて、遊技者から視認されやすくされたが、変位部材６４３０を装飾部材６４５０の背面側に配置することができるので、遊技者から変位部材６４３０を視認し難くできる。その結果、遊技者の興趣が低下することを抑制できる。
【０７７７】
上記第７実施形態では、変位ユニット７９００が正面側に張り出される場合に、変位ユニット７９００を変位部材５４３０に当接させて、変位ユニット７９００の変位を規制する場合について説明したが、必ずしもこれに限られるものではなく、変位ユニット７９００が背面側に退避する場合に、変位ユニット７９００の背面側を変位部材５４３０に当接させて、変位ユニット７９００の変位を規制してもよい。
【０７７８】
上記第８実施形態では、回転ユニット８９４０の被軸支部８９４２が、スライドユニット８９３０側に一定の大きさの断面矩形状で突設される場合を説明したが、必ずしもこれに限られるものではなく、例えば、貫通孔８９４２側に向かって突設される断面が小さく形成されていてもよい。この変形例について、図９１を参照して説明する。
【０７７９】
図９１（ａ）は、変形例としての、上下変位ユニット８４００の正面図であり、図９１（ｂ）は、図９１（ａ）のＸＣＩｂ−ＸＣＩｂ線における上下変位ユニット８４００の断面図である。なお、図９１（ａ）では、被軸支部８９４２の外形が鎖線で図示される。
【０７８０】
図９１に示すように、被軸支部８９４２は、上述したスライドユニット８９３０に支持される部分であり、スライドユニット８９３０の一対の凹部８９３１ａにより形成される空間に突出先端が配設される。また、被軸支部８９４２は、突出先端部に上下方向（矢印Ｕ−Ｄ方向）に貫通する貫通孔８９４２ａと、左右方向（矢印Ｌ−Ｒ方向）両側に膨出する挿入部８９４２ｃとを、主に備える。
【０７８１】
挿入部８９４２ｃは、断面略三角形状に形成されて変位部材５４３０の一側に向かって膨出される。また、挿入部８９４２ｃは、膨出先端部が、被軸支部８９４２の突設方向に向かって左右方向（矢印Ｌ−Ｒ方向）への膨出距離が小さくされており、膨出先端部が、貫通孔８９４２の中心から径方向外側に向かう方向に沿って形成される。これにより、スライドユニット８９３０がスライドされて、変位部材５４３０の一側端部に当接された場合に、変位部材５４３０の一側端部との当接による規制に伴って、変位部材５４３０の一側端部との当接面積を大きくすることができる。従って、スライドユニット８９３０が最大限スライド変位される際に、被軸支部８９４２と変位部材５４３０との当接面積を最大とすることができるので、当接面作用する力を分散することができ、変位部材５４３０及び回転ユニット８９４２が破損することを抑制できる。
【０７８２】
また、変位部材５４３０の一側端部に断面略三角形状に凹設される受入部５４３８が形成される。受入部５４３８の内縁は、上述した挿入部８９４２ｃの外縁と対応する形状に形成される。また、受入部５４３８は、装飾部材８９５０が第２位置に配置された状態において挿入部８９４２ｃと同一の高さに設定される。これにより、スライドユニット８９３０が左右方向に変位された場合に、挿入部８９４２ｃを受入部５４３８の内側に挿入して当接させることができる。この場合、挿入部８９４２ｃ及び受入部５４３８は、断面形状が略同一の三角形状に形成されるので、変位部材５４３０の停止位置が正常な位置から若干ずれた位置に停止している場合に、挿入部８９４２ｃおよび受入部５４３８の互いの傾斜を利用して、変位部材５４３０を正常な位置に回転させることができる。
【０７８３】
上記第９実施形態では、変位部材９４３０の突出部９４３０ｄが、回転ユニット９９４０の凹設部分（被挿入部９９４１ａ）に挿入される場合を説明したが、必ずしもこれに限られるものではなく、例えば、突出部９４３０ｄを回転ユニット９９４０の変位方向の端部に衝突する位置に配置してもよい。
【０７８４】
上記第９実施形態では、変位部材９４３０が変位されると、スライドユニット９９３０及び回転ユニット９９４０の両方が変位する場合を説明したが、必ずしもこれに限られるものではなく、それぞれ異なる駆動源に接続してそれぞれ独立して変位できるようにしてもよい。
【０７８５】
上記第１０から第１２実施形態では、回転ユニット１０５００の側壁１０５１５が平面として形成される場合を説明したが、必ずしもこれに限られるものではない。例えば、第５実施形態と同様に回転軸側に凹設される凹部として形成してもよい。
【０７８６】
上記第５実施形態では、変位部材５４３０の一側端部が回転ユニット５００の凹部５５１４の内側に配置されることで、回転ユニット５００の回転が規制される場合を説明したが、必ずしもこれに限られるものではない。例えば、変位部材５４３０の一側端部を、回転ユニット５００の回転領域における回転ユニット５００の上部に配置して回転ユニット５００の回転を規制してもよい。この変形例について、図９２（ａ）を参照して説明する。図９２（ａ）は、変形例としての、上下変位ユニット５４００の正面図である。なお、図９２では、摺動溝１４４５２ｊ及び連結軸５４３５が鎖線で図示される。なお、上記各実施形態と同一の部分には同一の符号を付してその詳しい説明は省略する。
【０７８７】
図９２（ａ）に示すように、変形例としての上下変位ユニット５４００の装飾部材５４５０には、正面ベース５４５２に形成される摺動溝１４４５２ｊが、回転ユニット５００の回転軸Ｏよりも上方に形成される。また、摺動溝１４４５２ｊは、一方が長い長穴に形成されると共に、その長手方向が回転軸Ｏに向かって形成される。
【０７８８】
これにより、装飾部材５４５０が、第１位置または第３位置から第２位置に変位される場合には、変位部材５４３０の一側端部を回転ユニット５００の長手方向外側の上方から摺動溝１４４５２ｊの長手方向に沿って変位させて回転ユニット５００の上方に配置することができる。また、装飾部材５４５０が第２位置から第１位置または第３位置に変位される場合には、変位部材５４３０の一側端部を回転ユニット５００の上面と隙間を形成しやすくできる。その結果、装飾部材５４５０が第２位置から第１位置または第３位置に変位される場合（特に第３位置に変位される場合）に回転変位される変位部材５４３０が回転ユニット５００の外面に当接することを抑制できる。
【０７８９】
上記第５実施形態では、装飾部材５４５０が第１位置または第３位置に配置される場合に、仮想線ＫＳ１と仮想線ＫＳ２とを略直交する状態で配置して死点の関係とする場合を説明したが、必ずしもこれに限られるものではなく、例えば、第２位置で仮想線ＫＳ１と仮想線ＫＳ２とを略直交する状態で配置してもよい。
【０７９０】
この変形例について、図９２（ｂ）を参照して説明する。図９２（ｂ）は、変形例として、上下変位ユニット５４００の正面図である。なお、図９２（ｂ）は、図５９（ｂ）の正面図と対応する。なお、上記各実施形態と同一の部分には同一の符号を付してその詳しい説明は省略する。
【０７９１】
図９２（ｂ）に示すように、変形例としての上下変位ユニット５４００は、伝達ギヤ４４３と伝達ギヤ４４２との間に伝達ギヤ４４３及び伝達ギ４４２に歯合される伝達ギヤ１５４４２が配置される。これにより、伝達ギヤ４４３の回転軸を回転ユニット５５００を規制状態の変位部材５４３０の下側に配置することができる。
【０７９２】
また、変形例としての上下変位ユニット５４００は、回転ユニット５５００の凹部５５１４の内側に変位部材５４３０の一側が配置される場合に、伝達ギヤ４４３の回転軸と伝達ギヤ４４３の突起４４３ａの軸とを結ぶ仮想線ＫＳ１が、変位部材５４３０の貫通孔４３３の軸と伝達ギヤ４４３の突起４４３ａとを結ぶ仮想線ＫＳ２と略直交する状態とされる。
【０７９３】
これにより、変位部材５４３０により回転が規制された状態の回転ユニット５５００にパチンコ機１０の制御不良等で回転の駆動力が付与された場合に、変位部材５４３０が回転することを抑制できる。即ち、変位部材５４３０により回転ユニット５５００の回転を規制した状態とする場合に、変位部材５４３０と伝達ギヤ４４３とを死点の関係とすることで変位部材５４３０の一側に入力される外力で伝達ギヤ４４３が回転されることを抑制できる。その結果、回転ユニット５５００が制御不良等により回転の駆動力が付与された場合にも、回転ユニット５５００の回転を規制することができる。
【０７９４】
本発明を上記各実施形態とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される）として実施してもよい。また、大当たり図柄が表示された後に、所定の領域に球を入賞させることを必要条件として遊技者に所定の遊技価値を付与する特別遊技を発生させるパチンコ機として実施してもよい。また、Ｖゾーン等の特別領域を有する入賞装置を有し、その特別領域に球を入賞させることを必要条件として特別遊技状態となるパチンコ機に実施してもよい。更に、パチンコ機以外にも、アレパチ、雀球、スロットマシン、いわゆるパチンコ機とスロットマシンとが融合した遊技機などの各種遊技機として実施するようにしても良い。
【０７９５】
なお、スロットマシンは、例えばコインを投入して図柄有効ラインを決定させた状態で操作レバーを操作することにより図柄が変動され、ストップボタンを操作することにより図柄が停止されて確定される周知のものである。従って、スロットマシンの基本概念としては、「複数の識別情報からなる識別情報列を変動表示した後に識別情報を確定表示する表示装置を備え、始動用操作手段（例えば操作レバー）の操作に起因して識別情報の変動表示が開始され、停止用操作手段（例えばストップボタン）の操作に起因して、或いは、所定時間経過することにより、識別情報の変動表示が停止して確定表示され、その停止時の識別情報の組合せが特定のものであることを必要条件として、遊技者に所定の遊技価値を付与する特別遊技を発生させるスロットマシン」となり、この場合、遊技媒体はコイン、メダル等が代表例として挙げられる。
【０７９６】
また、パチンコ機とスロットマシンとが融合した遊技機の具体例としては、複数の図柄からなる図柄列を変動表示した後に図柄を確定表示する表示装置を備えており、球打出用のハンドルを備えていないものが挙げられる。この場合、所定の操作（ボタン操作）に基づく所定量の球の投入の後、例えば操作レバーの操作に起因して図柄の変動が開始され、例えばストップボタンの操作に起因して、或いは、所定時間経過することにより、図柄の変動が停止され、その停止時の確定図柄がいわゆる大当たり図柄であることを必要条件として遊技者に所定の遊技価値を付与する特別遊技が発生させられ、遊技者には、下部の受皿に多量の球が払い出されるものである。かかる遊技機をスロットマシンに代えて使用すれば、遊技ホールでは球のみを遊技価値として取り扱うことができるため、パチンコ機とスロットマシンとが混在している現在の遊技ホールにおいてみられる、遊技価値たるメダルと球との別個の取扱による設備上の負担や遊技機設置個所の制約といった問題を解消し得る。
【０７９７】
以下に、本発明の遊技機に加えて上述した実施形態に含まれる各種発明の概念を示す。
【０７９８】
＜センターカバー６２０を一例とする発明の概念について＞
中央に開口を有する遊技盤と、その遊技盤の開口を介して視認可能に配設される液晶表示装置と、光を発光すると共に前記光の物体による反射光を受光することで前記液晶表示装置の正面側における前記物体の存在を検出するセンサ装置と、を備えた遊技機において、前記液晶表示装置の正面側に配設され、少なくとも正面が凸の湾曲面として形成されると共に光透過性材料からなる正面部材を備えることを特徴とする遊技機Ａ１。
【０７９９】
ここで、中央に開口を有する遊技盤と、その遊技盤の開口を介して視認可能に配設される液晶表示装置と、光を発光すると共にその光の物体（例えば、遊技者の手）による反射光を受光することで液晶表示装置の正面側における物体の存在を検出するセンサ装置（モーションセンサ）とを備えた遊技機が知られている（例えば、特開２０１４−２０８１３９号公報）。この場合、センサ装置が遊技者から視認可能に露出されると、遊技者の興趣が損なわれる。そのため、センサ装置は、装飾部材の背面側に配置され、遊技者から視認され難くされる。センサ装置は、装飾部材の側方の開放部分を介して、光を発光すると共にその光の物体による反射光を受光して物体の存在を検出するところ、センサ装置が装飾部材の側方の開放部分から離間して（奥側に後退して）配設されるほど、遊技者からは視認され難くできるが、物体を検出可能な範囲が狭くなり、センサ装置が装飾部材の側方の開放部分に近接して配設されるほど、物体を検出可能な範囲を広くできるが、遊技者から視認されやすくなる。即ち、センサ装置を遊技者から視認され難くしつつ、物体を検出可能な範囲を確保することが困難であるという問題点があった。
【０８００】
これに対し、遊技機Ａ１によれば、液晶表示装置の正面側に配設され、少なくとも正面が凸の湾曲面として形成されると共に光透過性材料からなる正面部材を備えるので、センサ装置から発光された光を正面部材で反射させて物体に到達させることができると共に、物体による反射光を正面部材で反射させてセンサ装置に到達させることができる。よって、その分、センサ装置を装飾部材の側方の開放部分から離間させて（奥側に後退させて）配設することができるので、センサ装置を遊技者から視認され難くしつつ、物体を検出可能な範囲を確保することができる。なお、正面部材は光透過性材料からなるので、液晶表示装置に表示される図柄の視認性を確保できる。
【０８０１】
また、正面が凸の湾曲面とされるので、センサ装置から発光された光を正面部材の正面で反射させる場合には、センサ装置から近い位置では、反射の角度（反射角）をより鋭角とできる一方、センサ装置から遠い位置では、反射の角度（反射各）をより鈍角とすることができ、その分、物体を検出可能な範囲を拡大しやすくできる。なお、物体による反射光を正面部材の正面で反射させる場合も同様である。
【０８０２】
遊技機Ａ１において、前記正面部材は、少なくとも前記湾曲面として形成される部分の厚み寸法が略一定の値に設定されることを特徴とする遊技機Ａ２。
【０８０３】
遊技機Ａ２によれば、遊技機Ａ１の奏する効果に加え、正面部材は、少なくとも湾曲面として形成される部分の厚み寸法が略一定の値に設定されるので、正面部材が凸レンズとして作用することを抑制して、液晶表示装置に表示される図柄の視認性を確保できる。また、正面部材の背面側に空間を形成できるので、その分、他の部材（変位可能に形成される変位部材）が変位するためのスペースを確保できる。
【０８０４】
遊技機Ａ２において、前記液晶表示装置および正面部材の間を変位可能に形成される変位部材を備え、前記正面部材は、その正面部材の周縁のうちの第１部分が第２部分よりも正面側となる位置に配設されることを特徴とする遊技機Ａ３。
【０８０５】
遊技機Ａ３によれば、遊技機Ａ２の奏する効果に加え、正面部材は、その正面部材の周縁のうちの第１部分が第２部分よりも正面側となる位置に配設されるので、遊技盤の背面側と正面部材の背面側との間で変位部材が変位する際の通路として第１部分を利用することができる。一方で、正面部材の周縁のうちの第２部分が第１部分よりも背面側に位置するので、その分、限られたスペース内において、正面部材の曲率を大きくすることができる。
【０８０６】
前記正面部材の第１部分は、前記遊技盤の背面と略同一または遊技盤の背面よりも正面側となる位置に配設され、前記正面部材の第２部分は、前記遊技盤の背面よりも背面側となる位置に配設されることを特徴とする遊技機Ａ４。
【０８０７】
遊技機Ａ４によれば、遊技機Ａ３の奏する効果に加え、正面部材の第１部分は、遊技盤の背面と略同一または遊技盤の背面よりも正面側となる位置に配設されるので、変位部材が第１部分に干渉することをより確実に抑制でき、その分、変位部材の大型化を図ることができる。また、正面部材の第２部分は、遊技盤の背面よりも背面側となる位置に配設されるので、正面部材の曲率をより大きくすることができ、その分、正面部材の正面を光の反射面として利用しやすくできる。即ち、センサ装置を遊技者から視認され難くしつつ、物体を検出可能な範囲を確保することができる。
【０８０８】
遊技機Ａ３又はＡ４において、前記遊技盤の開口の内縁に配設されるセンターフレームを備え、前記変位部材は、前記遊技盤の背面側と前記正面部材の背面側との間で変位可能に形成される本体部材と、その本体部材に回転可能に配設される回転部材とを備え、前記正面部材の第２部分が前記センターフレームに連結されることを特徴とする遊技機Ａ５。
【０８０９】
遊技機Ａ５によれば、遊技機Ａ３又はＡ４の奏する効果に加え、第２部分がセンターフレームに連結されるので、変位部材（本体部材）が正面部材の背面側に変位され回転部材が回転されることで発生する風を第２部分（正面部材）により遮ることができる。その結果、風の作用により球の流下が影響を受けることを抑制できる。また、回転部材の回転により風が発生し、その風により埃や粉塵が吹き飛ばされた場合でも、第２部分（正面部材）により遮ることができるので、吹き飛ばされた埃や粉塵がセンサ装置の発光・受光の光路上に舞い上がり、検出の精度が低下することを抑制できる。
【０８１０】
遊技機Ａ５において、前記センターフレームは、球が転動可能に形成されるステージを備え、前記正面部材の第２部分は、前記センターフレームのうちの少なくともステージを含む範囲に連結されることを特徴とする遊技機Ａ６。
【０８１１】
ここで、センターフレームのステージには、そのステージを転動する球が背面側へ落下しないように、背面壁が立設されるものが従来から知られている。しかし、かかる従来品では、回転部材の回転により発生した風が、ステージから立設される背面壁の立設先端から正面側へ回り込んで、或いは、遊技盤の正面側のガラス板で折り返されて、ステージを転動する球に影響を与える。一方、ステージを転動する球に風の影響を与えなくするために、背面壁を正面側まで湾曲させて、ステージの球の周囲を覆う形状とする（即ち、閉じた通路を形成する）と、ステージを転動する球を遊技者が視認し難くなるため、遊技の興趣が損なわれる。
【０８１２】
これに対し、遊技機Ａ６によれば、遊技機Ａ５の奏する効果に加え、正面部材の第２部分は、センターフレームのうちの少なくともステージを含む範囲に連結されるので、回転部材が回転されることで発生する風を第２部分（正面部材）により遮ることができる。その結果、ステージの周囲を覆う必要がないので、ステージを転動する球を遊技者に視認させやすくしつつ、風の作用により球の流下が影響を受けることを抑制できる。
【０８１３】
遊技機Ａ５又はＡ６において、前記正面部材の第１部分は、前記遊技盤の開口における内縁またはセンターフレームとの間に所定の間隔を隔てて配設されることを特徴とする遊技機Ａ７。
【０８１４】
遊技機Ａ７によれば、遊技機Ａ５又はＡ６のいずれかにおいて、正面部材の第１部分は、前記遊技盤の開口における内縁またはセンターフレームとの間に所定の間隔を隔てて配設されるので、かかる所定の間隔を介して、遊技盤および正面部材の背面側と正面側とを連通させることができる。その結果、変位部材（本体部材または回転部材）から発生する熱が、遊技盤および正面部材の背面側にこもることを抑制できる。
【０８１５】
遊技機Ａ７において、前記正面部材の第１部分は、前記正面部材の周縁のうちの鉛直方向上側の領域に形成されることを特徴とする遊技機Ａ８。
【０８１６】
遊技機Ａ８によれば、遊技機Ａ７の奏する効果に加え、正面部材の第１部分は、その正面部材の周縁のうちの鉛直方向上側の領域に形成されるので、回転部材が回転されることで発生する風を、遊技領域のうちの上側の領域（遊技盤の開口の上側の領域）へ向けて流すことができ、風の作用により球の流下が影響を受けることを抑制できる。即ち、遊技領域のうちの上側の領域を流下する球は、発射装置から発射され遊技領域へ流入された初期の球であり、その速度が比較的速いため、例えば、センターフレームのステージ上を転動する球と比較して、風の影響を受け難い。言い換えれば、風の影響を球が受け難い領域へ向けて風を流すことができる。よって、その分、回転部材の回転速度を増加させることができ、演出効果の向上を図ることができる。
【０８１７】
ここで、変位部材（本体部材または回転部材）から熱が発生すると、その熱により温められた空気は上昇されるところ、正面部材の第１部分は、正面部材の周縁のうちの鉛直方向上側の領域に形成される、即ち、遊技盤および正面部材の背面側と正面側とを連通させる隙間（所定の間隔）をより上側に形成することができる。その結果、変位部材（本体部材または回転部材）から発生する熱を、隙間を介して遊技盤および正面部材の正面側へ流しやすくして、遊技盤および正面部材の背面側に熱がこもることを抑制できる。
【０８１８】
遊技機Ａ１からＡ８のいずれかにおいて、前記正面部材の正面は、その法線方向が少なくとも水平方向よりも下方を指向する湾曲面として形成されることを特徴とする遊技機Ａ９。
【０８１９】
ここで、正面部材は、液晶表示装置の正面側に配設されるため、遊技者の顔にほぼ対面される（真正面に向かい合う）。そのため、正面部材の正面が凸の湾曲面として形成されると、店内の天井に設置された蛍光灯や他の遊技機からの光が遊技者へ向けて反射され、遊技者が眩しく感じると共に、液晶表示装置の視認性が悪化する（正面部材に蛍光灯や他の遊技機の光が映りこむことで、液晶表示装置が見え難くなる）恐れがある。
【０８２０】
これに対し、遊技機Ａ９によれば、遊技機Ａ１からＡ８の奏する効果に加え、正面部材の正面は、その法線方向が少なくとも水平方向よりも下方を指向する湾曲面として形成されるので、正面部材の正面へ入射された光を下方へ向けて反射させることができる。即ち、店内の天井に設置された蛍光灯や他の遊技機からの光が正面部材の正面へ入射された場合に、かかる光が遊技者へ向けて反射されることを抑制でき、その結果、遊技者が眩しく感じることや、液晶表示装置の視認性が悪化することを抑制できる。
【０８２１】
遊技機Ａ９において、前記正面部材の第１部分は、前記正面部材の周縁のうちの鉛直方向上側の領域に形成され、前記正面部材は、少なくとも前記湾曲面として形成される部分の厚み寸法が略一定の値に設定されると共に、鉛直方向上方に位置する前記正面ほど水平方向成分が大きくなることを特徴とする遊技機Ａ１０。
【０８２２】
遊技機Ａ１０によれば、遊技機Ａ９の奏する効果に加え、正面部材の第１部分は、正面部材の周縁のうちの鉛直方向上側の領域に形成され、正面部材は、少なくとも湾曲面として形成される部分の厚み寸法が略一定の値に設定されると共に、鉛直方向上方に位置する正面ほど水平方向成分が大きくなるので、変位部材（本体部材または回転部材）から発生した熱により温められた空気を、正面部材の背面に沿って上昇させることができると共に、その上昇した空気（熱）を、正面部材の第１部分（遊技盤および正面部材の背面側と正面側とを連通させる隙間（所定の間隔））から遊技盤および正面部材の正面側へ流しやすくできる。その結果、遊技盤および正面部材の背面側に熱がこもることを抑制できる。
【０８２３】
＜振分け装置７００を一例とする発明の概念について＞
球が通過可能な通路を形成する通路部材を備え、前記通路部材の一部に屈曲部が形成された遊技機において、前記通路部材は、前記屈曲部の側壁に開口形成される開口を備えることを特徴とする遊技機Ｂ１。
【０８２４】
ここで、球が通過可能な通路を形成する通路部材を備えた遊技機が知られている（例えば、特開２０１５−９７７６４号公報）。この場合、通路部材の一部に屈曲部を形成することも行われる。屈曲部を形成することで、球の送球方向（通路から遊技領域へ球を流出させる位置）を変更できるので、レイアウトの自由度を高めることができる。しかしながら、上述した従来の遊技機のように、通路部材の一部に屈曲部が形成されると、屈曲部における球の流れが滞りやすい。そのため、複数の球が連なった状態で屈曲部を通過する場合に、先行する球に後行する球が追いつき、先行する球を後行する球が側壁に押し付けることで、両者が転動できなくなり、球詰まりが発生することがあるという問題点があった。
【０８２５】
これに対し、遊技機Ｂ１によれば、通路部材は、屈曲部の側壁に開口形成される開口を備えるので、複数の球が連なった状態で屈曲部を通過する場合に、先行する球に後行する球が追いついても、先行する球を側壁に押し付け難くでき、両者の転動を継続させやすくできる。その結果、球詰まりの発生を抑制できる。
【０８２６】
なお、屈曲部とは、通路部材の第１の部分とその第１の部分の下流側に連結されると共に第１の部分と球の通過方向が異なる方向とされる第２の部分とが形成される範囲を意味する。この場合、第１の部分と第２の部分とは、それぞれ直線状に延設される通路であっても良く、曲線状に湾曲して延設される通路であっても良く、又は、これらが組み合わされた形状の通路であっても良い。
【０８２７】
遊技機Ｂ１において、前記通路部材の屈曲部は、略鉛直方向に延設される鉛直通路と、その鉛直通路から下降傾斜しつつ延設される延設通路とを備え、前記開口は、前記鉛直通路と前記延設通路とが交差する領域に形成されることを特徴とする遊技機Ｂ２。
【０８２８】
遊技機Ｂ２によれば、遊技機Ｂ１の奏する効果に加え、通路部材の屈曲部は、略鉛直方向に延設される鉛直通路と、その鉛直通路から下降傾斜しつつ延設される延設通路とを備え、開口は、鉛直通路と延設通路とが交差する領域に形成されるので、球詰まりの発生を抑制できる。
【０８２９】
即ち、鉛直通路と延設通路とが交差する領域は、鉛直通路を流下（落下）した球が方向転換して延設通路の延設方向へ向けて転動を開始する位置であり、先行する球に後行する球が追いつきやすい。そのため、先行する球を後行する球が側壁に押し付けることで、両者が転動できなくなり、球詰まりが発生しやすい。これに対し、遊技機Ｂ２によれば、かかる鉛直通路と延設通路とが交差する領域に開口が形成されるので、先行する球に後行する球が追いついても、先行する球を側壁に押し付け難くでき、両者の転動を継続させやすくできる。その結果、球詰まりの発生を抑制できる。
【０８３０】
遊技機Ｂ２において、前記開口は、前記鉛直通路と前記延設通路とが交差する領域であって、前記延設通路の延設方向に沿って球が転動する際の左右の側壁に形成されることを特徴とする遊技機Ｂ３。
【０８３１】
遊技機Ｂ３によれば、遊技機Ｂ２の奏する効果に加え、開口は、鉛直通路と延設通路とが交差する領域であって、延設通路の延設方向に沿って球が転動する際の左右の側壁に形成されるので、先行する球に後行する球が追いついた場合でも、先行する球を左右の側壁に押し付け難くでき、両者の転動を継続させやすくできる。その結果、球詰まりの発生を抑制できる。
【０８３２】
遊技機Ｂ３において、前記鉛直通路と前記延設通路とが交差する領域であって、転動面となる底壁および前記延設通路の延設方向に沿って球が転動する際の背面側の側壁には、前記延設通路の下降傾斜よりも大きな角度で下降傾斜される傾斜面が形成されることを特徴とする遊技機Ｂ４。
【０８３３】
遊技機Ｂ４によれば、遊技機Ｂ３の奏する効果に加え、鉛直通路と延設通路とが交差する領域であって、転動面となる底壁および前記延設通路の延設方向に沿って球が転動する際の背面側の側壁には、延設通路の下降傾斜よりも大きな角度で下降傾斜される傾斜面が形成されるので、鉛直通路を流下（落下）する球が方向転換して延設通路の延設方向へ向けて転動を開始する際には、かかる球を傾斜面の下降傾斜を利用して速やかに転動させることができる。これにより、後行する球が追いつくよりも前に、先行する球を転動させやすくでき、先行する球が後行する球によって背面側（延設通路の延設方向に沿って球が転動する際の背面側）の側壁に押し付けられることを抑制できるので、両者の転動を継続させやすくできる。その結果、球詰まりの発生を抑制できる。
【０８３４】
なお、傾斜面の傾斜は、直線状の傾斜、曲線状の傾斜、又は、これらを組み合わせた傾斜のいずれであっても良い。また、傾斜面の下降傾斜の角度は、その傾斜面の全域で、延設通路の下降傾斜の角度よりも大きな角度である必要はなく、少なくとも傾斜面の一部における下降傾斜の角度が延設通路の下降傾斜の角度よりも大きな角度であれば足りる趣旨である。
【０８３５】
遊技機Ｂ２からＢ４のいずれかにおいて、正面側に遊技領域が形成される遊技盤を備え、前記通路部材の屈曲部のうちの少なくとも前記鉛直通路と前記延設通路とが交差する領域が前記遊技盤の正面側に配設されることを特徴とする遊技機Ｂ５。
【０８３６】
遊技機Ｂ５によれば、遊技機Ｂ２からＢ４のいずれかの奏する効果に加え、通路部材の屈曲部のうちの少なくとも鉛直通路と延設通路とが交差する領域（即ち、開口が形成される部分）が遊技盤の正面側に配設されるので、通路部材の屈曲部において球詰まりが発生した場合には、ガラス板を開放することで、遊技盤の正面側において、屈曲部に詰まった球に対して開口からアクセスすることができる。よって、球詰まりを解消する作業の作業性の向上を図ることができる。
【０８３７】
遊技機Ｂ２からＢ５のいずれかにおいて、前記開口は、前記鉛直通路と前記延設通路とが交差する領域における側壁であって、転動面となる底壁から球の半径に相当する高さ位置を含む範囲に形成されることを特徴とする遊技機Ｂ６。
【０８３８】
遊技機Ｂ６によれば、遊技機Ｂ２からＢ５のいずれかにおいて、開口は、鉛直通路と延設通路とが交差する領域における側壁であって、転動面となる底壁から球の半径に相当する高さ位置を含む範囲に形成されるので、鉛直通路を流下（落下）する球が延設通路の底壁に到達した際に、かかる球を開口に受け入れやすくできる。よって、先行する球に後行する球が追いついた場合でも、先行する球を側壁に押し付け難くでき、両者の転動を継続させやすくできる。その結果、球詰まりの発生を抑制できる。
【０８３９】
遊技機Ｂ２からＢ６のいずれかにおいて、正面側に遊技領域が形成される遊技盤を備え、前記通路部材の屈曲部のうちの少なくとも前記鉛直通路と前記延設通路とが交差する領域が前記遊技盤の正面側に配設され、前記開口は、球が通過可能な大きさに形成されることを特徴とする遊技機Ｂ７。
【０８４０】
遊技機Ｂ７によれば、遊技機Ｂ２からＢ６のいずれかにおいて、通路部材の屈曲部のうちの少なくとも鉛直通路と前記延設通路とが交差する領域（即ち、開口が形成される部分）が遊技盤の正面側に配設され、開口は、球が通過可能な大きさで形成されるので、球詰まりの発生を抑制しやすくできる。
【０８４１】
即ち、開口の大きさが、球が通過不能な大きさとされる場合には、通常は、開口を利用して、先行する球を側壁に押し付け難くできるが、例外的に、後行する球が先行する球を開口の中心へ押し付ける形態が形成され、先行する球が開口に内嵌される（嵌り込む）場合がある。この場合には、後行する球の転動が、開口に嵌り込んだ球に阻害され、球詰まりが発生する。
【０８４２】
これに対し、遊技機Ｂ７によれば、後行する球が先行する球を開口の中心へ押し付ける形態が形成された場合でも、先行する球を開口から通路部材の外部（遊技盤の正面側の遊技領域）へ排出することができ、先行する球が開口に内嵌される（嵌り込む）ことを回避できる。これにより、後行の球の転動を継続させることができるので、球詰まりの発生を抑制できる。
【０８４３】
また、このように、球が通過可能な大きさで開口が形成されると共に、その開口が遊技盤の正面側（即ち、遊技領域）に配設されることで、遊技領域を流下する球を開口から通路部材へ流入させることができる。よって、遊技の興趣の向上を図ることができる。例えば、屈曲部よりも下流に入賞球を検出するセンサが配設される場合には、屈曲部よりも上流から通路部材へ流入した球に加え、開口から通路部材へ流入した球も入賞口として検出させることができる。特に、この場合には、開口（鉛直通路と前記延設通路とが交差する領域）は、遊技盤の正面側に配設されるので、開口から通路部材へ流入する球を遊技者に視認させることができる。
【０８４４】
遊技機７において、前記開口の内縁下端は、前記延設通路の底壁から所定距離だけ離間された位置に設定されることを特徴とする遊技機Ｂ８。
【０８４５】
遊技機Ｂ８によれば、遊技機Ｂ７の奏する効果に加え、開口の内縁下端は、延設通路の底壁から所定距離だけ離間された位置に設定されるので、開口の内縁下端と延設通路の底壁との間に側壁を残す（形成する）ことができる。よって、球が通過可能な大きさに開口が形成される場合であっても、かかる開口を介して、通路部材から外部（遊技領域）へ不必要に球が流出することを抑制できる。
【０８４６】
遊技機Ｂ１からＢ８において、前記通路部材は、前記屈曲部へ向けて下降傾斜して形成され前記屈曲部の上流側に連結される共に遊技領域の幅方向に沿って略直線状に延設される傾斜通路を備え、前記傾斜通路の上流側を遊技領域の幅方向中央に位置させると共に前記屈曲部を遊技領域の幅方向外側に位置させる姿勢で前記通路部材が一対配置されると共に、それら一対の通路部材における屈曲部の間に入賞装置が位置されることを特徴とする遊技機Ｂ９。
【０８４７】
遊技機Ｂ９によれば、通路部材は、屈曲部へ向けて下降傾斜して形成され屈曲部の上流側に連結される共に遊技領域の幅方向に沿って略直線状に延設される傾斜通路を備え、傾斜通路の上流側を遊技領域の幅方向中央に位置させると共に屈曲部を遊技領域の幅方向外側に位置させる姿勢で通路部材が一対配置されると共に、それら一対の通路部材における屈曲部の間に入賞装置が位置される。
【０８４８】
この場合、傾斜通路の下降傾斜の角度が小さく（下降傾斜が緩やかに）されると、球の流下速度が低くなり、屈曲部において球詰まりを発生させやすくなる。一方で、傾斜通路の下降傾斜の角度が大きく（下降傾斜が急と）されると、球の流下速度を速くして、屈曲部における球詰まりを発生し難くできるが、傾斜通路の配設に必要な高さ方向のスペースが嵩み、入賞装置の配設が困難となる。
【０８４９】
これに対し、遊技機Ｂ９によれば、屈曲部の側壁に開口が形成されることで、かかる屈曲部における球詰まりの発生し難くできるので、その分、傾斜通路の下降傾斜の角度を小さく（下降傾斜を緩やかと）することができる。その結果、傾斜通路の配設に必要な高さ方向のスペースが抑制でき、入賞装置の配設を可能とすることができる。即ち、遊技機Ｂ９記載の通路部材および入賞装置の配置は、従来品では不可能な配置であり、上述のように、屈曲部の側壁に開口を形成することで初めて可能となったものである。
【０８５０】
遊技機Ｂ９において、正面側に遊技領域が形成される遊技盤を備え、前記通路部材の屈曲部のうちの少なくとも前記鉛直通路と前記延設通路とが交差する領域が前記遊技盤の正面側に配設され、前記通路部材の屈曲部のうちの前記遊技盤の正面側に配設された部分と前記遊技領域の下方縁部との間には少なくとも球が通過可能な隙間が形成されることを特徴とする遊技機Ｂ１０。
【０８５１】
ここで、遊技盤の中央には開口が形成され、その開口を介して液晶表示装置を遊技者に視認させる。近年、液晶表示装置の大型化の要請に伴い、遊技盤中央の開口も大きくなることで、遊技盤中央の開口の下方縁部と遊技領域の下方縁部との間のスペースが狭くされる。そのため、従来品では、遊技機９記載の通路部材および入賞装置に相当する部材を、遊技盤中央の開口の下方縁部と遊技領域の下方縁部との間のスペースに配置することが困難であった。即ち、上述したように、傾斜通路の下降傾斜の角度が小さく（下降傾斜が緩やかに）されると、球の流下速度が低くなり、屈曲部において球詰まりを発生させやすくなる。一方で、傾斜通路の下降傾斜の角度が大きく（下降傾斜が急と）されると、球の流下速度を速くして、屈曲部における球詰まりを発生し難くできるが、傾斜通路の配設に必要な高さ方向のスペースが嵩み、入賞装置の配設が困難となる。また、屈曲部の上下方向における配設位置が下がる（低くなる）ため、かかる屈曲部と遊技領域の下方縁部との間に球が通過可能な隙間を確保することが困難となり、屈曲部の両側にそれぞれアウト口を設けることが必要となる。
【０８５２】
これに対し、遊技機Ｂ１０によれば、遊技機Ｂ９の奏する効果に加え、屈曲部の側壁に開口が形成されることで、かかる屈曲部における球詰まりの発生し難くできるので、その分、傾斜通路の下降傾斜の角度を小さく（下降傾斜を緩やかと）することができる。その結果、屈曲部の上下方向における配設位置を上げる（高くする）ことができるので、かかる屈曲部と遊技領域の下方縁部との間に球が通過可能な隙間を確保することができる。よって、屈曲部の両側にそれぞれアウト口を設けることを不要とできる。即ち、遊技機Ｂ９記載の通路部材および入賞装置の配置において、更に、遊技機Ｂ１０記載の配置（屈曲部と遊技領域の下方縁部との間に球が通過可能な隙間が形成された配置）は、従来品では不可能な配置であり、上述のように、屈曲部の側壁に開口を形成することで初めて可能となったものである。
【０８５３】
＜回転ユニット５００を一例とする発明の概念について＞
複数の発光手段を有し、回転位置に応じて前記発光手段を点滅させることで、残像効果による残像表示を行う回転表示装置を備えた遊技機において、前記回転表示装置は、前記複数の発光手段が列設される基板と、その基板を収容する本体部材と、その本体部材を回転可能に軸支するベース部材とを備え、前記本体部材は、前記発光手段の光を透過させる透過部と、回転方向に面する側壁に貫通形成される複数の貫通孔を備えることを特徴とする遊技機Ｃ１。
【０８５４】
ここで、複数の発光手段（ＬＥＤ）を有し、回転位置に応じて発光手段を点滅させることで、残像効果による残像表示を行う回転表示装置を備えた遊技機が知られている（例えば、特開２０１５−１００３８５号公報や特開２０１５−０５３９６８号公報など）。
【０８５５】
この場合、特開２０１５−１００３８５号公報の技術では、発光手段が露出されているため、外観が損なわれる。一方、特開２０１５−０５３９６８号公報の技術では、透光性を有する部材（押しボタン）を通して、発光手段の光を視認させる。よって、発光手段は露出されない。しかしながら、この場合、発光手段が配設された部材（リール）を回転させても、その回転は視認されないため、残像効果による残像表示を行う意味がない。即ち、複数の発光手段をマトリックス状に縦横に配列し、それら各発光手段の点滅を制御することによっても、同様の表示を行うことができる。
【０８５６】
そこで、本願出願人は、複数の発光手段が列設される基板を本体部材に収容し、その本体部材をベース部材に回転可能に軸支させた回転表示装置を考案した（本願出願時において未公知）。これによれば、発光手段が本体部材に収容されているので、発光手段が視認され難く、外観が損なわれない。また、本体部材の回転が視認可能な状態で、発光手段の点滅による残像表示を視認させるので、興趣を高められる。しかしながら、この場合、発光手段が本体部材に収容されるので、発光手段の冷却が困難であるという問題点を新たに見出した。発光手段（ＬＥＤ）やそれを制御するＩＣ・コンデンサ等は、基盤にはんだ付けされるところ、これら発光手段やＩＣ・コンデンサが動作する際の発熱を十分に冷却できない場合には、はんだが溶けて、接触不良を招く恐れがある。
【０８５７】
これに対し、遊技機Ｃ１によれば、本体部材は、回転方向に面する側壁に貫通形成される複数の貫通孔を備えるので、本体部材が回転される際に、複数の貫通孔から本体部材の内部へ外気を取り込むことができる。よって、発光手段が動作する際の発熱を冷却することができる。
【０８５８】
遊技機Ｃ１において、前記本体部材は、背面側が開放された容器状の形状に形成されることを特徴とする遊技機Ｃ２。
【０８５９】
遊技機Ｃ２によれば、遊技機Ｃ１の奏する効果に加え、本体部材は、背面側が開放された容器状の形状に形成されるので、側壁の貫通孔から取り込んだ外気を背面側から効率的に排気することができる。よって、発光手段が動作する際の発熱を冷却することができる。また、このように、本体部材の背面側から排気することで、かかる排気が、遊技領域を流下（又は、ステージを転動する）球に影響を与えることを抑制できる。
【０８６０】
遊技機Ｃ２において、前記本体部材は、本体部材の回転平面における直径方向に沿う長尺形状となる正面視矩形状に形成されると共に、正面側を形成する正面壁が長手方向端部側ほど背面側に後退する湾曲形状に形成されることを特徴とする遊技機Ｃ３。
【０８６１】
遊技機Ｃ３によれば、遊技機Ｃ２の奏する効果に加え、本体部材は、本体部材の回転平面における直径方向に沿う長尺形状となる正面視（即ち、回転軸方向視）矩形状に形成されるので、本体部材の回転に伴う遠心力を利用して、本体部材の内部の空気を長手方向端部側（回転時の径方向外方）へ流動させ、背面側から排気することができる。よって、かかる空気の流動に伴って、回転軸およびその近傍において、背面側から外気を本体部材へ取り込むことができる。即ち、回転軸およびその近傍では、回転速度が低いため、側壁の貫通孔からの外気の取り込み効率が悪い（又は取り込めない）ところ、遠心力を利用した空気の循環（回転軸およびその近傍における背面側から外気を取り込み、その取り込んだ外気を遠心力で長手方向端部側（回転時の径方向外方）へ流動させ、径方向外方側における背面側から排気する空気の流動）を形成することができる。その結果、発光手段が動作する際の発熱を冷却することができる。特に、回転軸およびその近傍に配設される発光手段の冷却を達成することができる。
【０８６２】
この場合、本体部材の正面側を形成する正面壁が、本体部材の回転平面に平行な形状であると（即ち、本体部材が直方体形状であると）、遠心力で長手方向端部（回転時の径方向外方）へ流動された空気が背面側へ向けて方向転換する部分の角度が略直角となるため、かかる部分で渦が形成されやすくなる。そのため、空気の流れが阻害され、背面側からのスムーズな排気が困難となる。
【０８６３】
これに対し、遊技機Ｃ３によれば、正面側を形成する正面壁が長手方向端部側ほど背面側に後退する湾曲形状に形成されるので、遠心力により長手方向端部側（回転時の径方向外方）へ流動される空気を徐々に背面側へ流動させることができると共に、長手方向端部（径方向外方）へ流動された空気が背面側へ向けて方向転換する部分の角度を略直角よりも大きくできるため、かかる部分での渦の形成を抑制して、空気の流れを円滑とできる。よって、背面側からの排気をよりスムーズに行える。その結果、回転軸およびその近傍に配設される発光手段の冷却をより確実に達成することができる。
【０８６４】
遊技機Ｃ２又はＣ３において、前記本体部材は、回転軸およびその回転軸の近傍における背面側の開放面積が、長手方向端部側における背面側の開放面積よりも大きくされることを特徴とする遊技機Ｃ４。
【０８６５】
遊技機Ｃ４によれば、遊技機Ｃ２又はＣ３の奏する効果に加え、本体部材は、回転軸およびその回転軸の近傍における背面側の開放面積が、長手方向端部側における背面側の開放面積よりも大きくされるので、回転に伴う遠心力を利用して、本体部材の内部の空気を長手方向端部側（回転時の径方向外方）へ流動させ、径方向外方側における背面側から排気することで、回転軸およびその近傍における背面側から外気を取り込む際に、その取込を効率的に行うことができる。
【０８６６】
遊技機Ｃ４において、前記本体部材は、回転軸およびその回転軸の近傍における背面側の開放部分が、回転軸と同心の円形に形成されることを特徴とする遊技機Ｃ５。
【０８６７】
遊技機Ｃ５によれば、遊技機Ｃ４の奏する効果に加え、本体部材は、回転軸およびその回転軸の近傍における背面側の開放部分が、回転軸と同心の円形に形成されるので、本体部材の回転に伴って、回転軸およびその近傍の背面側の外気が乱れる（回転方向の流動が形成される）ことを抑制できる。その結果、回転軸およびその近傍における背面側から外気を効率的に取り込むことができる。
【０８６８】
遊技機Ｃ２からＣ５のいずれかにおいて、前記ベース部材に本体部材を回転可能に軸支する軸部材を備え、その軸部材は、前記本体部材の背面側から背面側へ向かうに従って縮径されることを特徴とする遊技機Ｃ６。
【０８６９】
遊技機Ｃ６によれば、遊技機Ｃ２からＣ５のいずれかの奏する効果に加え、ベース部材に本体部材を回転可能に軸支する軸部材は、本体部材の背面側から背面側へ向かうに従って縮径されるので、本体部材の回転に伴って、回転軸およびその近傍における背面側から外気を取り込む際には、軸部材の外周面に沿う外気の流れを円滑とでき、流動抵抗を低減できる。その結果、回転軸およびその近傍における背面側から外気の取りこみを効率化できるので、回転軸およびその近傍に配設される発光手段の冷却をより確実に達成することができる。
【０８７０】
遊技機Ｃ１からＣ６のいずれかにおいて、前記基板は、前記発光手段が搭載される面またはその面と反対側の面を前記本体部材の側壁に対面させる姿勢で前記本体部材に収納されることを特徴とする遊技機Ｃ７。
【０８７１】
遊技機Ｃ７によれば、遊技機Ｃ１からＣ６のいずれかの奏する効果に加え、基板は、発光手段が搭載される面またはその面と反対側の面を本体部材の側壁に対面させる姿勢で本体部材に収納されるので、側壁に貫通形成された貫通孔から導入される外気を、発光手段又はＩＣ・コンデンサへ効率的に噴き付けて、放熱効果を高めることができる。その結果、発光手段又はＩＣ・コンデンサが動作する際の発熱を効果的に冷却することができる。また、基板が本体部材に収容される姿勢が、基板の表面または裏面を本体部材の側壁に対面させる姿勢とされることで、本体部材の正面視の幅寸法（長手方向に直交する方向の寸法）を小さくできる。その結果、本体部材（回転表示装置）が停止された状態において、その背面側に配設される部材や装置の視認性を確保できる。
【０８７２】
遊技機Ｃ１からＣ７のいずれかにおいて、前記回転表示装置の本体部材の変位領域に煙を発生させる煙発生手段を備えることを特徴とする遊技機Ｃ８。
【０８７３】
遊技機Ｃ８によれば、遊技機Ｃ１からＣ７のいずれかの奏する効果に加え、回転表示装置の本体部材の変位領域に煙を発生させる煙発生手段を備えるので、発光手段の点滅を際立たせることができる。また、煙により回転表示装置を隠しつつ、発光手段の点滅のみを視認させることができ、光による演出効果を高めることができる。
【０８７４】
なお、従来の回転表示装置では、本体部材の回転に伴って、煙が外周側に押し出されて、煙の効果を得ることが困難であったが、本発明によれば、本体部材に貫通孔が形成され、外気を循環させることができるので、煙を本体部材の周囲に留まらせることができる。その結果、煙が充満した雰囲気中で発光手段を点滅させることができ、上述した効果を奏することができる。
【０８７５】
煙発生装置としては、例えば、水性又は油性のオイル（リキッド）を加熱・気化させて煙（スモーク）を発生させるタイプ、リキッド（水性・油性）をコンプレッサーにて加圧・拡散させ、空気中に細かい粒子として滞留させるタイプ、炭酸ガスを噴出させるタイプなどが例示される。
【０８７６】
遊技機Ｃ８において、中央に開口を有する遊技盤と、その遊技盤の開口を介して視認可能に配設される液晶表示装置と、前記液晶表示装置の正面側に配設され、正面側に凸に湾曲して形成されると共に光透過性材料からなる正面部材とを備え、前記回転表示部材の少なくとも本体部材が前記液晶表示装置と前記正面部材との間に位置されることを特徴とする遊技機Ｃ９。
【０８７７】
遊技機Ｃ９によれば、遊技機Ｃ８の奏する効果に加え、中央に開口を有する遊技盤と、その遊技盤の開口を介して視認可能に配設される液晶表示装置と、液晶表示装置の正面側に配設され、正面側に凸に湾曲して形成されると共に光透過性材料からなる正面部材とを備え、回転表示部材の少なくとも本体部材が液晶表示装置と正面部材との間に位置されるので、煙発生装置から発生した煙を本体部材の変位領域に留まらせやすく（閉じ込めやすく）できる。よって、煙が充満する雰囲気中で発光手段を点滅させて、その点滅を際立たせることや、煙により回転表示装置を隠しつつ、発光手段の点滅のみを視認させることが行いやすくできる。その結果、光による演出効果を高めることができる。特に、正面部材が正面へ向けて凸に湾曲されるので、その正面部材の背面側の空間に煙を留めやすくできる。その結果、上述した煙を利用した光の演出効果を高めやすくできる。
【０８７８】
＜回転ユニット５００を一例とする発明の概念について＞
ベース部材と、そのベース部材に対して第１位置および第２位置の間で変位される本体部材と、その本体部材に変位可能に配設される変位部材とを備え、前記本体部材が少なくとも前記第１位置に配置された状態で前記変位部材が変位される遊技機において、前記ベース部材または本体部材の一方に回転可能に軸支される回転部材と、前記本体部材が前記第１位置に配置された状態で前記回転部材の外周面に当接可能に対面されると共に前記ベース部材または本体部材の他方に配設される当接部材とを備え、前記本体部材が第１位置へ配置される際の変位方向と前記回転部材の回転方向とが略平行に設定されることを特徴とする遊技機Ｄ１。
【０８７９】
ここで、ベース部材と、そのベース部材に対して第１位置および第２位置の間で変位される本体部材と、その本体部材に変位可能に配設される変位部材とを備え、本体部材が第１位置に配置された状態で変位部材が変位可能に形成された遊技機が知られている（例えば、特開２０１３−１６２９９０号公報）。
【０８８０】
この場合、本体部材が第１位置に配置され、変位部材が変位されると、その変位部材の変位に伴って、本体部材がベース部材に対してがたつくことがある。そこで、本体部材とベース部材とを係合させる係合手段を設け、がたつきを抑制するものがある。係合手段は、本体部材またはベース部材の一方に配設され付勢手段により付勢される係合部材と、その係合部材に係合可能に形成されると共に本体部材またはベース部材の他方に配設される被係合部材とを備え、ベース部材に対する本体部材の変位（第１位置へ向かう変位）を利用して、係合部材を付勢手段の付勢力に抗しつつ後退させ、本体部材が第１位置に配置されると、係合部材を付勢手段の付勢力で前進させて被係合部材に係合させる。これにより、ベース部材に対する本体部材の相対的な変位が係合手段の係合により規制され、変位部材の変位に伴う本体部材のベース部材に対するがたつきが抑制される。
【０８８１】
しかしながら、このような従来の係合手段では、係合手段を係合状態とする（本体部材を第１位置に配置する）ためには、付勢手段の付勢力に抗して係合部材を後退させる必要があるだけでなく、係合手段の係合状態を解除する（本体部材を第１位置から第２位置へ向けて変位させる）際にも、付勢手段の付勢力に抗して係合部材を後退させる必要があり、本体部材をベース部材に対して変位させる際に必要な駆動力が嵩むという問題点があった。
【０８８２】
これに対し、遊技機Ｄ１によれば、ベース部材または本体部材の一方に回転可能に軸支される回転部材と、本体部材が第１位置に配置された状態で回転部材の外周面に当接可能に対面されると共にベース部材または本体部材の他方に配設される当接部材とを備えるので、回転部材の外周面に当接部材が当接されることで、ベース部材に対する本体部材の相対的な変位を規制して、変位部材の変位に伴う本体部材のベース部材に対するがたつきを抑制できる。この場合、本体部材が第１位置へ配置される際の変位方向と回転部材の回転方向とが略平行に設定されるので、本体部材を第１位置へ配置する際および第１位置から第２位置へ変位させる際には、その変位に伴って回転部材を回転させることができるので、本体部材をベース部材に対して変位させる際に必要な駆動力を抑制できる。
【０８８３】
遊技機Ｄ１において、前記回転部材は、少なくとも外周面側が弾性変形可能な弾性体から形成されることを特徴とする遊技機Ｄ２。
【０８８４】
遊技機Ｄ２によれば、遊技機Ｄ１の奏する効果に加え、回転部材は、少なくとも外周面側が弾性変形可能な弾性体から形成されるので、回転部材の外周面に当接部材が当接される際には、回転部材の外周面側を弾性変形させて、当接部材に回転部材を保持させやすくできる。これにより、回転部材を回転し難くして、ベース部材に対する本体部材の相対的な変位を規制できるので、変位部材の変位に伴う本体部材のベース部材に対するがたつきを抑制できる。
【０８８５】
なお、弾性体としては、ゴムやウレタンなどに例示される粘弾性体であることが好ましい。この場合には、その制振効果によって、変位部材の変位に伴い本体部材からベース部材へ入力される振動を減衰・絶縁させる振動減衰機能または振動絶縁機能を果たすことができ、ベース部材側に配設される各種機器の摩耗や故障、締結部の緩みなどを抑制できるからである。特に、変位部材が周期的に変位される場合（例えば、バーサライタとして機能するために、比較的高速で回転される場合など）には、比較的小振幅かつ高周波数の振動が本体部材からベース部材へ入力されるため、粘弾性体を採用することが特に有効となる。
【０８８６】
遊技機Ｄ１又はＤ２において、前記回転部材は、径方向に変位可能に形成され、前記ベース部材または本体部材の一方は、前記本体部材が前記第１位置に配置された状態で、前記回転部材を挟んで前記当接部材と対向配置されると共に、回転部材の外周面に当接可能に対面される対向部材を備えることを特徴とする遊技機Ｄ３。
【０８８７】
遊技機Ｄ３によれば、遊技機Ｄ１又はＤ２の奏する効果に加え、回転部材は、径方向に変位可能に形成され、ベース部材または本体部材の一方は、本体部材が第１位置に配置された状態で、回転部材を挟んで当接部材と対向配置されると共に、回転部材の外周面に当接可能に対面される対向部材を備えるので、変位部材の変位に伴う本体部材のベース部材に対するがたつきにより、回転部材の外周面に当接部材が当接された際には、回転部材の反対側の外周面を対向部材に当接させることができる。即ち、当接部材と対向部材との間に回転部材を挟み込むことができる。これにより、回転部材を回転し難くして、ベース部材に対する本体部材の相対的な変位を規制できるので、変位部材の変位に伴う本体部材のベース部材に対するがたつきを抑制できる。
【０８８８】
なお、回転部材を径方向へ変位可能とする形態としては、例えば、回転部材を回転可能に軸支する軸が径方向に変位可能に形成される形態、回転部材を回転可能に軸支する軸の外径がその軸を受け入れる回転部材の挿通孔の内径よりも小さくされる形態、回転部材に固定される軸の外径がその軸を受け入れる本体部材またはベース部材の一方の挿通孔よりも小さくされる形態などが例示される。
【０８８９】
遊技機Ｄ３において、前記ベース部材または本体部材の一方に固定される軸を備え、前記回転部材は、前記軸が挿通される軸支孔を内周側に備える断面円環形状に弾性体から形成され、前記回転部材の径方向への変位は、前記弾性体が弾性変形されることで形成されることを特徴とする遊技機Ｄ４。
【０８９０】
遊技機Ｄ４によれば、遊技機Ｄ３の奏する効果に加え、回転部材の径方向への変位は、弾性体が弾性変形されることで形成されるので、変位部材の変位に伴う本体部材のベース部材に対するがたつきにより、当接部材と対向部材との間に回転部材が挟み込まれた場合には、回転部材（弾性体）の弾性回復力を利用して、当接部材および対向部材に回転部材をより強固に保持させやすくできる。これにより、回転部材を回転し難くして、ベース部材に対する本体部材の相対的な変位を規制できるので、変位部材の変位に伴う本体部材のベース部材に対するがたつきを抑制できる。
【０８９１】
また、このように、回転部材の径方向への変位を、弾性体の弾性変形を利用して行う構成とすることで、回転部材の軸支孔に挿通される軸を、径方向に可動な軸として形成する必要がなく、ベース部材または本体部材の一方に固定される軸として形成できる。これにより、構造を簡素化して、耐久性の向上と製品コストの削減とを図ることができる。
【０８９２】
遊技機Ｄ１からＤ４のいずれかにおいて、前記ベース部材または本体部材の一方には、前記回転部材が一対配設され、それら一対の回転部材は、前記本体部材が第１位置へ配置される際の変位方向に所定間隔を隔てつつ並設されることを特徴とする遊技機Ｄ５。
【０８９３】
遊技機Ｄ５によれば、遊技機Ｄ１からＤ４のいずれかの奏する効果に加え、ベース部材または本体部材の一方には、回転部材が一対配設され、それら一対の回転部材は、本体部材が第１位置へ配置される際の変位方向に所定間隔を隔てつつ並設されるので、本体部材をベース部材に対して変位させる際に必要な駆動力を抑制しつつ、変位部材の変位に伴う本体部材のベース部材に対するがたつきを効果的に抑制できる。
【０８９４】
即ち、回転部材の外周面に当接部材が当接されることで、ベース部材に対する本体部材の相対的な変位を規制するところ、当接部材に当接される対象が１の回転部材のみであると、回転部材が回転されて当接部材が傾倒するおそれがあり、かかる回転部材の回転に伴う当接部材の傾倒は、変位部材の変位に伴う本体部材のベース部材に対するがたつきの要因となる。
【０８９５】
これに対し、遊技機Ｄ５によれば、一対の回転部材が所定間隔を隔てつつ並設されるので、これら一対の回転部材に対して、当接部材が所定間隔を隔てて２カ所で当接されるので、回転部材を回転させずに当接することができ、当接部材が傾倒することを抑制できる。その結果、変位部材の変位に伴う本体部材のベース部材に対するがたつきを効果的に抑制できる。
【０８９６】
遊技機Ｄ１からＤ５のいずれかにおいて、前記当接部材は、前記回転部材が当接される当接面のうちの前記本体部材が第１位置へ配置される際に前記回転部材を受け入れる側の端部に前記当接面から離間するに従って下降傾斜される傾斜面が形成されることを特徴とする遊技機Ｄ６。
【０８９７】
遊技機Ｄ６によれば、遊技機Ｄ１からＤ５のいずれかの奏する効果に加え、当接部材は、回転部材が当接される当接面のうちの本体部材が第１位置へ配置される際に回転部材を受け入れる側の端部に当接面から離間するに従って下降傾斜される傾斜面が形成されるので、本体部材が第１位置へ配置される際には、傾斜面を利用して、回転部材を当接部材の当接面へ案内することができる。これにより、本体部材を第１位置へ配置する際に必要な駆動力を抑制できる。
【０８９８】
遊技機Ｄ１からＤ６のいずれかにおいて、前記回転部材が前記ベース部材に配設されると共に、前記当接部材が前記本体部材に配設されることを特徴とする遊技機Ｄ７。
【０８９９】
遊技機Ｄ７によれば、遊技機Ｄ１からＤ６のいずれかの奏する効果に加え、回転部材がベース部材に配設されると共に、当接部材が本体部材に配設されるので、比較的重量が嵩む回転部材を配設する必要ない分、本体部材を軽量化して、本体部材の変位に必要な駆動力を抑制できる。また、変位部材の変位に伴う本体部材のベース部材に対するがたつきを抑制する際には、振動源側となる本体部材を軽量化できることで、がたつきを抑制しやすくできる。
【０９００】
遊技機Ｄ１からＤ７のいずれかにおいて、前記変位部材は、前記本体部材に回転可能に配設され、その変位部材の回転平面が、前記当接部材の前記回転部材に当接される当接面と前記回転部材の回転軸とにそれぞれ略平行とされることを特徴とする遊技機Ｄ８。
【０９０１】
遊技機Ｄ８によれば、遊技機Ｄ１からＤ７のいずれかの奏する効果に加え、変位部材は、本体部材に回転可能に配設され、その変位部材の回転平面が、当接部材の回転部材に当接される当接面と回転部材の回転軸とにそれぞれ略平行とされるので、本体部材を第１位置へ配置する際および第１位置から第２位置へ変位させる際に必要な駆動力を抑制しつつ、変位部材の変位（回転）に伴う本体部材のベース部材に対するがたつきを効果的に抑制できる。
【０９０２】
即ち、変位部材の変位形態が回転であるので、本体部材は、変位部材の歳差運動（変位部材の回転軸が円をえがくように振れる運動）に起因して、変位部材の回転平面を傾倒させる態様（モード）で振動される。よって、変位部材の回転平面が、当接部材の当接面と回転部材の回転軸とにそれぞれ略平行とされることで、当接部材の当接面を、回転部材の回転軸に直交する方向から回転部材の外周面に押し付けることができる。その結果、本体部材を第１位置へ配置する際および第１位置から第２位置へ変位させる際には、回転部材が回転されることで、本体部材の変位に必要な駆動力を抑制しつつ、回転部材の外周面への当接部材の当接により、変位部材の変位（回転）に伴う本体部材のベース部材に対するがたつきを効果的に抑制できる。
【０９０３】
遊技機Ｄ１からＤ８のいずれかにおいて、駆動力を発生する駆動手段と、その駆動力を前記本体部材へ伝達して前記第１位置および第２位置の間で変位させる伝達手段とを備え、前記伝達手段は、前記駆動手段の駆動力により第１軸を回転中心として回転される回転体およびその回転体の第１軸から偏心して前記回転体から突設されるピン部を有するクランク部材と、そのクランク部材のピン部が摺動する案内溝を有し前記ピン部が前記案内溝に沿って摺動することで第２軸を回転中心として回転されると共にその回転に伴って前記本体部材を変位させるアーム部材とを備え、前記本体部材が前記第１位置に配置された状態では、前記クランク部材の第１軸とピン部の軸心とを結ぶ直線が、前記アーム部材の第２軸と前記クランク部材のピン部の軸心とを結ぶ直線に対して略直交されることを特徴とする遊技機Ｄ９。
【０９０４】
遊技機Ｄ９によれば、遊技機Ｄ１からＤ８のいずれかの奏する効果に加え、本体部材のがたつきを効果的に抑制できる。
【０９０５】
ここで、本発明では、本体部材が第１位置へ配置される際の変位方向と回転部材の回転方向とが略平行に設定される。そのため、第１位置における本体部材のがたつき方向が、第１位置から第２位置へ又はその逆へ向かう方向であると、かかる方向に対しては、回転部材が回転しやすくなるため、その回転部材によるがたつき抑制の効果が発揮され難くなる。
【０９０６】
これに対し、遊技機Ｄ９によれば、本体部材が第１位置に配置された状態では、クランク部材の第１軸とピン部の軸心とを結ぶ直線が、アーム部材の第２軸とクランク部材のピン部の軸心とを結ぶ直線に対して略直交されるので、本体部材が、その変位によりアーム部材を回転させようとしても、クランク部材を回転させる方向の力成分が形成されない状態（即ち、死点）を形成できる。即ち、第１位置から第２位置へ又はその逆へ向かう方向の本体部材のがたつきを抑制できる。これにより、本体部材のがたつきの方向が、第１位置から第２位置へ又はその逆へ向かう方向（即ち、回転部材が回転しやすい方向）であっても、クランク部材およびアーム部材が死点を形成することで、本体部材のがたつきを効果的に抑制できる。
【０９０７】
＜規制ユニット４９０を一例とする発明の概念について＞
複数の発光手段を有し、回転位置に応じて前記発光手段を点滅させることで、残像効果による残像表示を行う回転表示装置を備えた遊技機において、前記回転表示装置は、前記複数の発光手段が列設される基板と、その基板を収容する本体部材と、その本体部材を回転可能に軸支するベース部材とを備え、前記基板は、前記発光手段が搭載される面を前記本体部材の回転軸と略平行とする姿勢で前記本体部材に収容されることを特徴とする遊技機Ｅ１。
【０９０８】
ここで、複数の発光手段（ＬＥＤ）を有し、回転位置に応じて発光手段を点滅させることで、残像効果による残像表示を行う回転表示装置を備えた遊技機が知られている（例えば、特開２０１５−１００３８５号公報や特開２０１５−０５３９６８号公報など）。しかしながら、上述した従来の技術では、基板の姿勢が、発光手段が搭載される面を回転軸に直交させる姿勢（即ち、発光手段の照射方向を正面側（遊技者側）へ向けた回転平面と平行な姿勢）とされるため、正面視（回転軸方向視）における外形が大型化する。そのため、回転表示装置の回転が停止された状態において、その回転表示装置の背面側の視認性が阻害されるという問題点があった。
【０９０９】
これに対し、遊技機Ｅ１によれば、回転表示装置は、複数の発光手段が列設される基板と、その基板を収容する本体部材と、その本体部材を回転可能に軸支するベース部材とを備え、基板は、発光手段が搭載される面を本体部材の回転軸と略平行とする姿勢で本体部材に収容されるので、正面視（回転軸方向視）における本体部材の外形を抑制することができる。その結果、回転表示装置（本体部材）の回転が停止された状態において、その本体部材の背面側の視認性を向上させることができる。
【０９１０】
遊技機Ｅ１において、前記回転表示装置は、前記基板の前記発光手段が搭載される面に対向配置される対向部材を備えることを特徴とする遊技機Ｅ２。
【０９１１】
遊技機Ｅ２によれば、遊技機Ｅ１の奏する効果に加え、回転表示装置は、基板の発光手段が搭載される面に対向配置される対向部材を備えるので、発光手段から発光された光を対向部材で反射させて、回転表示装置の正面側（遊技者側）へ出射させることができる。よって、基板の姿勢を、発光手段が搭載される面を回転軸に略平行とする姿勢とした場合でも、発光手段の光（点滅）を遊技者に視認させ、残像効果による残像表示を行うことができる。
【０９１２】
遊技機Ｅ２において、前記対向部材は、前記基板に対向する面に凹設されると共に前記本体部材の回転軸に略平行な溝状に延設される複数の凹部を備え、それら複数の凹部に前記複数の発光手段がそれぞれ対面されることを特徴とする遊技機Ｅ３。
【０９１３】
遊技機Ｅ３によれば、遊技機Ｅ２の奏する効果に加え、対向部材は、基板に対向する面に凹設されると共に本体部材の回転軸に略平行な溝状に延設される複数の凹部を備え、それら複数の凹部に複数の発光手段がそれぞれ対面されるので、複数の発光手段からそれぞれ発光された光を、対向部材の複数の凹部をそれぞれ通じて、回転表示装置の正面側（遊技者側）へ出射させることができる。即ち、各発光手段から発光された光を各凹部で区画された状態で出射させることができるので、各発光手段の光の区切りを明確とできる。その結果、残像効果による残像表示の外形を明確とできる。
【０９１４】
遊技機Ｅ３において、前記対向部材の凹部は、前記回転表示装置の正面側と反対側の端部を区画する端部区画壁を備えることを特徴とする遊技機Ｅ４。
【０９１５】
遊技機Ｅ４によれば、遊技機Ｅ３の奏する効果に加え、対向部材の凹部は、回転表示装置の正面側と反対側の端部を区画する端部区画壁を備えるので、発光手段から発光され対向部材の凹部に照射された光を、端部区画壁により反射させて、回転表示装置の正面側（遊技者側）へ出射させることができる。よって、残像効果による残像表示の光の強さを高めることができる。
【０９１６】
遊技機Ｅ４において、前記凹部の端部区画壁は、前記回転表示装置の正面側ほど前記発光手段から離間する方向へ傾斜され、前記発光手段は、前記凹部の端部区画壁に対面する位置に配設されることを特徴とする遊技機Ｅ５。
【０９１７】
遊技機Ｅ５によれば、遊技機Ｅ４の奏する効果に加え、凹部の端部区画壁は、回転表示装置の正面側ほど発光手段から離間する方向へ傾斜され、発光手段は、凹部の端部区画壁に対面する位置に配設されるので、発光手段から発光された光を、端部区画壁に照射できるので、より強い光を回転表示装置の正面側（遊技者側）へ出射させることができる。よって、残像効果による残像表示の光の強さを高めることができる。
【０９１８】
遊技機Ｅ３からＥ５のいずれかにおいて、前記対向部材の凹部は、その内面の一部が凹凸面として形成されることを特徴とする遊技機Ｅ６。
【０９１９】
遊技機Ｅ６によれば、遊技機Ｅ３からＥ５のいずれかの奏する効果に加え、対向部材の凹部は、その内面の一部が凹凸面として形成されるので、発光手段から発光された光を、凹凸面により乱反射させて、均等に分散させた状態で、回転表示装置の正面側（遊技者側）へ出射させることができる。即ち、凹部の開口から出射される光が、その開口の一部に偏った状態で視認されることを抑制できる。
【０９２０】
なお、凹凸面の凹凸は、凸（突起）のみからなる面であっても良く、凹（窪み）のみからなる面であっても良い。凸または凹は、条または溝として延設されるものであっても良い。また、凸および凹の断面形状は、円形、楕円、多角形、これらを組み合わせた形状のいずれであっても良い。即ち、基準位置よりも高い部分と低い部分とが形成され、光が反射可能な複数の部分（面）が形成され、乱反射可能とされていれば、凹凸の形状は任意である。
【０９２１】
遊技機Ｅ６において、前記凹凸面は、前記対向部材の凹部の内面のうちの前記回転表示装置の正面側の端部から所定の範囲には、非形成とされ、前記所定の範囲の内面は、前記凹凸面よりも平滑な面として形成されることを特徴とする遊技機Ｅ７。
【０９２２】
遊技機Ｅ７によれば、遊技機Ｅ６の奏する効果に加え、凹凸面は、対向部材の凹部の内面のうちの回転表示装置の正面側の端部から所定の範囲には、非形成とされ、所定の範囲の内面は、凹凸面よりも平滑な面として形成されるので、回転表示装置の正面側（遊技者側）へ向けて光を出射させやすくすることができ、残像効果による残像表示の光の強さを高めることができる。即ち、対向部材の凹部の内面のうちの回転表示装置の正面側の端部から所定の範囲に凹凸面が形成されると、その凹凸面で光が乱反射して、回転表示装置の正面側（遊技者側）へ向けて出射する光を減少させてしまうところ、かかる所定の範囲の内面が、凹凸面よりも平滑な面とされることで、乱反射を抑制して、回転表示装置の正面側（遊技者側）へ向かう光を増加させることができる。
【０９２３】
遊技機Ｅ７において、前記凹凸面が非形成とされる前記所定の範囲は、前記回転表示装置の正面側の端部へ向かうに従って、その内面の断面積が大きくされることを特徴とする遊技機Ｅ８。
【０９２４】
遊技機Ｅ８によれば、遊技機Ｅ７の奏する効果に加え、凹凸面が非形成とされる所定の範囲は、回転表示装置の正面側の端部へ向かうに従って、その内面の断面積が大きくされる（即ち、拡径される）ので、回転表示装置の正面側（遊技者側）へ向けて出射される光に広がりを持たせることができる。即ち、発光領域として視認される面積を、発光手段の発光面（照射面）の面積よりも拡大できる。よって、発光手段を小型化できる。
【０９２５】
遊技機Ｅ６からＥ８のいずれかにおいて、前記対向部材の凹部は、列状に配設されると共に、前記本体部材の回転軸から径方向外方に離間して配設される前記凹凸面ほど、前記本体部材の回転軸に沿う方向の長さ寸法が大きくされることを特徴とする遊技機Ｅ９。
【０９２６】
遊技機Ｅ９によれば、遊技機Ｅ６からＥ８のいずれかの奏する効果に加え、対向部材の凹部は、本体部材の回転軸から径方向外方に離間して配設される凹凸面ほど、本体部材の回転軸に沿う方向の長さ寸法が大きくされるので、複数の凹部のそれぞれ視認される明度（光の明るさ）を均一化することができる。
【０９２７】
即ち、回転表示装置では、回転軸（回転中心）から径方向外方へ向かうほど変位速度（周速）が速くなるため、列状に配設した発光手段を同じ明るさで発光させると、回転軸に近い発光手段の光ほど、回転軸から遠い（径方向外方の）発光手段の光よりも、明度が高く（明るく）見える。
【０９２８】
これに対し、遊技機Ｅ９によれば、本体部材の回転軸から径方向外方に離間して配設される凹凸面ほど、本体部材の回転軸に沿う方向の長さ寸法が大きくされるので、本体部材の回転軸から径方向外方に離間する凹部（発光手段）ほど、凹凸面による乱反射を強くして（即ち、発光手段から直接遊技者に視認される光の割合を小さくして）、高い明度の光として視認させることができる。その結果、径方向の配設位置における目で見た明るさの差を抑制して、明度（光の明るさ）を均一化できる。
【０９２９】
遊技機Ｅ３からＥ９のいずれかにおいて、前記対向部材の凹部における前記回転表示装置の正面側の端部に覆設されると共に光透過性材料から形成されるカバー部材を備え、そのカバー部材には、少なくとも前記凹部の端部に対面する領域に凹凸面が形成されることを特徴とする遊技機Ｅ１０。
【０９３０】
遊技機Ｅ１０によれば、遊技機Ｅ３からＥ９のいずれかの奏する効果に加え、対向部材の凹部における回転表示装置の正面側の端部に覆設されると共に光透過性材料から形成されるカバー部材を備え、そのカバー部材には、少なくとも凹部の端部に対面する領域に凹凸面が形成されるので、かかる凹凸面により光を乱反射させた上で、回転表示装置の正面側（遊技者側）へ向けて出射させることができる。即ち、出射される光に広がりを持たせることができるので、発光領域として視認される面積を、発光手段の発光面（照射面）の面積よりも拡大できる。よって、発光手段を小型化できる。
【０９３１】
遊技機Ｅ３からＥ１０のいずれかにおいて、前記基板と前記対向部材との間に介設される板状の介設部材を備え、その介設部材は、前記複数の発光手段と前記複数の凹部とを通じさせる位置に貫通形成される貫通孔を備えることを特徴とする遊技機Ｅ１１。
【０９３２】
遊技機Ｅ１１によれば、遊技機Ｅ３からＥ１０のいずれかの奏する効果に加え、基板と対向部材との間に介設される板状の介設部材を備え、その介設部材は、複数の発光手段と複数の凹部とを通じさせる位置に貫通形成される貫通孔を備えるので、各発光手段の光を、対応する凹部へ確実に入射させ、隣接する凹部へ入射される（漏れる）ことを抑制できる。その結果、各発光手段から発光された光を対応する凹部のみから出射させることができ、残像効果による残像表示の外形を明確とできる。
【０９３３】
また、遊技機Ｅ１１によれば、発光手段の光を、貫通孔を介して、対応する凹部へ入射させる構造体を、対向部材および介設部材の二部材から形成するので、かかる構造体を一部材から構成する場合と比較して、構造を簡素化することができる。よって、製品コストの削減を図ることができる。
【０９３４】
遊技機Ｅ１１において、前記介設部材は、前記発光手段に当接する座部を備え、その座部に前記貫通孔が形成されることを特徴とする遊技機Ｅ１２。
【０９３５】
遊技機Ｅ１２によれば、遊技機Ｅ１１の奏する効果に加え、介設部材は、前記発光手段に当接する座部を備え、その座部に前記貫通孔が形成されるので、各発光手段の光を貫通孔へ入射させやすくでき、貫通孔の外へ漏れることを抑制できる。その結果、残像効果による残像表示の光の強さを高めることができる。また、座部が発光手段に当接されることで、隣接する発光手段の光が貫通孔へ入射されることを抑制できるので、残像効果による残像表示の外形を明確とできる。
【０９３６】
遊技機Ｅ１２において、前記発光手段の照射面が正面視円形に形成されると共に、その照射面の外径と略同一の内径の断面円形に前記貫通孔が形成され、それら照射面と貫通孔とが同心に配置されることを特徴とする遊技機Ｅ１３。
【０９３７】
遊技機Ｅ１３によれば、遊技機Ｅ１２の奏する効果に加え、発光手段の照射面が正面視円形に形成されると共に、その照射面の外径と略同一の内径の断面円形に前記貫通孔が形成され、それら照射面と貫通孔とが同心に配置されるので、発光手段から発光された光を、貫通孔を介して凹部へ効率的に入射させることができる。
【０９３８】
遊技機Ｅ１３において、前記貫通孔は、前記基板側から前記対向部材へ向けて内径が拡径されることを特徴とする遊技機Ｅ１４。
【０９３９】
遊技機Ｅ１４によれば、遊技機Ｅ１３の奏する効果に加え、貫通孔は、前記基板側から前記対向部材へ向けて内径が拡径されるので、発光手段から発光された光を、貫通孔を介して凹部へ効率的に入射させることができる。また、発光手段に当接する面積を確保できるので、各発光手段の光が貫通孔の外へ漏れることを抑制できる。その結果、残像効果による残像表示の光の強さを高めることができる。
【０９４０】
遊技機Ｅ１２からＥ１４のいずれかにおいて、前記座部は、前記介設部材の前記基板と対向する面から突出して形成されることを特徴とする遊技機Ｅ１５。
【０９４１】
遊技機Ｅ１５によれば、遊技機Ｅ１２からＥ１４のいずれかの奏する効果に加え、座部は、介設部材の基板と対向する面から突出して形成されるので、その突出の分、基板と対向部材との間に空間を形成することができ、発光手段の動作により発生する熱の放熱を行うことができる。
【０９４２】
遊技機Ｅ１５において、前記介設部材は、前記基板に対向する面に凹設されると共に前記座部の基部に沿って延設される溝状の溝部を備えることを特徴とする遊技機Ｅ１６。
【０９４３】
遊技機Ｅ１６によれば、遊技機Ｅ１５の奏する効果に加え、対向部材は、基板に対向する面に凹設されると共に座部の基部に沿って延設される溝状の溝部を備えるので、介設部材の剛性を確保しつつ、放熱効果を高めることができる。即ち、座部の基部に沿って延設される溝状の溝部を形成することで、介設部材に凹設される領域を最小として、その介設部材の剛性を確保しつつ、発光手段の動作により発生する熱が特に集中する部分に対して空間を拡大して、放熱効果を高めることができる。
【０９４４】
遊技機Ｅ１５又はＥ１６において、前記座部は、隣接する座部と互いの外周面どうしが連結されることを特徴とする遊技機Ｅ１７。
【０９４５】
遊技機Ｅ１７によれば、遊技機Ｅ１５又はＥ１６の奏する効果に加え、座部は、隣接する座部と互いの外周面どうしが連結されるので、介設部材の剛性を高めることができる。
【０９４６】
なお、この場合、座部の外周面を円形として、隣接する座部と互いの外周面どうしが連結するように構成しても良い。これにより、複数の座部どうしが連結された群は、外形が凸凹に形成されるので、空間を確保して、放熱効果を高めつつ、外形の凸凹を利用して、介設部材の剛性を高まることができる。
【０９４７】
＜振り分け装置４７００を一例とする発明の概念について＞
球が通過可能な通路を形成する通路部材と、その通路部材の下流側に配置されると共に球の通過に伴って所定の特典を付与する第１特典付与手段と、を備えた遊技機において、前記第１特典付与手段よりも上流側において前記通路部材の側壁に球が通過可能な大きさに開口形成される開口と、その開口から遊技領域に流出した球が通過可能に形成されると共に球の通過に伴って所定の特典を付与する第２特典付与手段とを備えることを特徴とする遊技機Ｆ１。
【０９４８】
ここで、球が通過可能な通路を形成する通路部材を備えた遊技機が知られている（例えば、特開２０１５−９７７６４号公報）。このような通路部材の下流側には、通路部材の球の通過を検出するセンサ装置が配設され、そのセンサ装置により球の通過が検出されると、所定の特典が付与される。しかしながら、上述した従来の遊技機では、通路部材は、その下流側（センサ装置）へ向けて球を案内する機能を有するのみであり、配設に要するスペースが嵩む一方で、遊技に興趣を付与することが困難であるという問題点があった。
【０９４９】
これに対し、遊技機Ｆ１によれば、通路部材に案内された球が、第１特典付与手段を通過されると、第１特典付与手段により所定の特典が付与される。この場合、第１特典付与手段よりも上流側において通路部材の側壁に球が通過可能な大きさに開口形成される開口と、その開口から遊技領域に流出した球が通過可能に形成されると共に球の通過に伴って所定の特典を付与する第２特典付与手段とを備えるので、通路部材を案内される途中で、球が開口から遊技領域へ流出する形態を形成できると共に、かかる流出した球が第２特典付与手段を通過した場合には、第２特典付与手段により所定の特典を付与することができる。これにより、通路部材に案内される球が、第１特典付与手段を通過する形態だけでなく、開口から遊技領域へ流出する形態、更には、その流出した球が第２特典付与手段を通過する形態を形成でき、遊技に興趣を付与することができる。
【０９５０】
なお、第２特典付与手段は、開口から遊技領域へ流出した球の全てを受け入れ可能な位置に配設されていても良く、或いは、開口から遊技領域へ流出した球の状態に応じて、一部の球は受け入れると共に一部の球は受け入れない位置に配設されていても良い。
【０９５１】
また、第１特典付与手段により付与される特典と、第２特典付与手段により付与される特典とは、同じ特典であっても良く、異なる特典であっても良い。
【０９５２】
遊技機Ｆ１において、前記通路部材は、そのの一部に形成される屈曲部を備え、前記開口は、前記屈曲部の側壁に開口形成されることを特徴とする遊技機Ｆ２。
【０９５３】
ここで、通路部材の一部に屈曲部を形成することで、球の送球方向を変更できるので、レイアウトの自由度を高めることができる。しかしながら、通路部材の一部に屈曲部が形成されると、屈曲部における球の流れが滞りやすい。そのため、複数の球が連なった状態で屈曲部を通過する場合に、先行する球に後行する球が追いつき、先行する球を後行する球が側壁に押し付けることで、両者が転動できなくなり、球詰まりが発生するという問題点があった。
【０９５４】
これに対し、遊技機Ｆ２によれば、通路部材は、屈曲部の側壁に開口形成される開口を備えるので、複数の球が連なった状態で屈曲部を通過する場合に、先行する球に後行する球が追いついても、先行する球を側壁に押し付け難くでき、両者の転動を継続させやすくできる。その結果、球詰まりの発生を抑制できる。
【０９５５】
なお、屈曲部とは、通路部材の第１の部分とその第１の部分の下流側に連結されると共に第１の部分と球の通過方向が異なる方向とされる第２の部分とが形成される範囲を意味する。この場合、第１の部分と第２の部分とは、それぞれ直線状に延設される通路であっても良く、曲線状に湾曲して延設される通路であっても良く、又は、これらが組み合わされた形状の通路であっても良い。
【０９５６】
遊技機Ｆ２において、正面側に遊技領域が形成される遊技盤を備え、前記通路部材の屈曲部のうちの少なくとも前記開口が形成される部分が前記遊技盤の正面側に配設されることを特徴とする遊技機Ｆ３。
【０９５７】
遊技機Ｆ３によれば、遊技機Ｆ２の奏する効果に加え、通路部材の屈曲部のうちの少なくとも開口が形成される部分が遊技盤の正面側に配設されるので、通路部材の屈曲部において球詰まりが発生した場合には、ガラス板を開放することで、遊技盤の正面側において、屈曲部に詰まった球に対して開口からアクセスすることができる。よって、球詰まりを解消する作業の作業性の向上を図ることができる。また、通路部材の開口から遊技球が遊技領域へ流出する際には、その流出する態様を遊技者に視認させることができるので、遊技の興趣を高めることができる。
【０９５８】
遊技機Ｆ３において、前記第２特典付与手段は少なくともその入球口が、前記遊技盤の正面側に配設されることを特徴とする遊技機Ｆ４。
【０９５９】
遊技機Ｆ４によれば、遊技機Ｆ３の奏する効果に加え、第２特典手段の少なくとも入球口が遊技盤の正面側に配設されるので、通路部材の開口から遊技球が遊技領域へ流出する際には、その流出した球が第２特典付与手段の入球口へ入球する態様を遊技者に視認させることができるので、遊技の興趣を高めることができる。
【０９６０】
遊技機Ｆ１からＦ４のいずれかにおいて、前記第２特典付与手段を前記通路部材へ接続し、前記第２特典付与手段を通過した球を前記通路部材へ案内する接続通路を備え、その接続通路は、前記第１特典付与手段よりも上流側において前記通路部材に接続されることを特徴とする遊技機Ｆ５。
【０９６１】
遊技機Ｆ５によれば、遊技機Ｆ１からＦ４の奏する効果に加え、第２特典付与手段を通路部材へ接続し、第２特典付与手段を通過した球を通路部材へ案内するする接続通路を備え、その接続通路は、第１特典付与手段よりも上流側において通路部材に接続されるので、通路部材を案内される途中で、球が開口から遊技領域へ流出すると共に、かかる流出した球が第２特典付与手段を通過した場合には、その球を接続通路で通路部材へ案内して、第１特典付与手段を通過させることができる。よって、第２特典付与手段による特典の付与に加え、第１特典付与手段による特典の付与も行うことができ、遊技の興趣を高めることができる。
【０９６２】
遊技機Ｆ１からＦ５のいずれかにおいて、入球した球を一方および他方へ交互に振り分ける振分手段を備え、前記通路部材は、一対配設され、前記一対の通路部材のうちの一方が前記振分手段の一方に接続されると共に他方が前記振分手段の他方に接続されることを特徴とする遊技機Ｆ６。
【０９６３】
遊技機Ｆ６によれば、遊技機Ｆ１からＦ５のいずれかの奏する効果に加え、入球した球を一方および他方へ交互に振り分ける振分手段を備え、通路部材は、一対配設され、一対の通路部材のうちの一方が振分手段の一方に接続されると共に他方が振分手段の他方に接続されるので、通路部材へ球を１球ずつ入球させることができる。即ち、複数の球が連なって通路部材へ入球されることを抑制できるので、通路部材での球の詰まりを抑制できる。
【０９６４】
＜振り分け装置７００を一例とする発明の概念について＞
球が通過可能な通路部材を備えた遊技機において、正面側に遊技領域が形成される遊技盤を備え、前記通路部材は、入球口が前記遊技盤の正面側に配設されると共に、前記入球口よりも下流側の少なくとも一部が遊技盤の背面側に配設されることを特徴とする遊技機Ｇ１。
【０９６５】
ここで、球が通過可能な通路を形成する通路部材を備えた遊技機が知られている（例えば、特開２０１５−９７７６４号公報）。通路（通路部材）を利用することで、通路に入球した球を所定位置まで確実に送球することができる。しかしながら、通路が遊技盤の正面側に配設されると、その分、遊技盤の正面側におけるスペースが減少するという問題点があった。即ち、遊技領域における球の流下領域が制限（減少）される。
【０９６６】
これに対し、遊技機Ｇ１によれば、通路部材は、入球口が遊技盤の正面側に配設されると共に、入球口よりも下流側の少なくとも一部が遊技盤の背面側に配設されるので、その分、遊技盤の正面側におけるスペースを確保することができる。即ち、遊技領域における球の流下領域を確保できる。
【０９６７】
遊技機Ｇ１において、前記通路部材は、前記入球口の下流側から分岐され前記遊技盤の幅方向一側および幅方向他側へ向けてそれぞれ下降傾斜されると共に前記遊技盤の背面側に配設される一対の傾斜通路と、それら一対の傾斜通路の下流側にそれぞれ接続され少なくとも一部が前記遊技盤の正面側に配設される一対の第２通路とを備え、前記入球口よりも下方であって前記一対の第２通路の間に入賞装置が配設されることを特徴とする遊技機Ｇ２。
【０９６８】
遊技機Ｇ２によれば、遊技機Ｇ１の奏する効果に加え、通路部材は、入球口の下流側から分岐され遊技盤の幅方向一側および幅方向他側へ向けてそれぞれ下降傾斜されると共に遊技盤の背面側に配設される一対の傾斜通路と、それら一対の傾斜通路の下流側にそれぞれ接続され少なくとも一部が遊技盤の正面側に配設される一対の第２通路とを備えるので、傾斜通路の分、遊技盤の正面側におけるスペース（遊技領域における球の流下領域）を確保できる。よって、入球口よりも下方であって一対の第２通路の間に入賞装置を配設できる。即ち、遊技機Ｇ２記載の通路部材および入賞装置の配置は、通路部材を遊技盤の正面側に配設する従来品では不可能な配置であり、遊技機Ｇ２のように、傾斜通路を遊技盤の背面側に配設することで初めて可能となったものである。
【０９６９】
遊技機Ｇ２において、前記第２通路は、その一部に屈曲部が形成された屈曲通路として形成され、前記屈曲部の側壁に開口が開口形成されることを特徴とする遊技機Ｇ３。
【０９７０】
ここで、通路部材の一部に屈曲部を形成することで、球の送球方向（通路から遊技領域へ球を流出させる位置）を変更できるので、レイアウトの自由度を高めることができる。しかしながら、通路部材の一部に屈曲部が形成されると、屈曲部における球の流れが滞りやすい。そのため、複数の球が連なった状態で屈曲部を通過する場合に、先行する球に後行する球が追いつき、先行する球を後行する球が側壁に押し付けることで、両者が転動できなくなり、球詰まりが発生することがあるという問題点があった。
【０９７１】
これに対し、遊技機Ｇ３によれば、遊技機Ｇ２の奏する効果に加え、通路部材は、屈曲部の側壁に開口形成される開口を備えるので、複数の球が連なった状態で屈曲部を通過する場合に、先行する球に後行する球が追いついても、先行する球を側壁に押し付け難くでき、両者の転動を継続させやすくできる。その結果、球詰まりの発生を抑制できる。
【０９７２】
なお、屈曲部とは、通路部材の第１の部分とその第１の部分の下流側に連結されると共に第１の部分と球の通過方向が異なる方向とされる第２の部分とが形成される範囲を意味する。この場合、第１の部分と第２の部分とは、それぞれ直線状に延設される通路であっても良く、曲線状に湾曲して延設される通路であっても良く、又は、これらが組み合わされた形状の通路であっても良い。
【０９７３】
遊技機Ｇ３において、前記開口が前記遊技盤の正面側に配設されることを特徴とする遊技機Ｇ４。
【０９７４】
遊技機Ｇ４によれば、遊技機Ｇ３の奏する効果に加え、開口が遊技盤の正面側に配設されるので、第２通路の屈曲部において球詰まりが発生した場合には、ガラス板を開放することで、遊技盤の正面側において、屈曲部に詰まった球に対して開口からアクセスすることができる。よって、球詰まりを解消する作業の作業性の向上を図ることができる。
【０９７５】
遊技機Ｇ３又はＧ４において、前記第２通路のうちの前記遊技盤の正面側に配設された部分と前記遊技領域の下方縁部との間には少なくとも球が通過可能な隙間が形成されることを特徴とする遊技機Ｇ５。
【０９７６】
遊技機Ｇ５によれば、遊技機Ｇ３又はＧ４の奏する効果に加え、第２通路のうちの遊技盤の正面側に配設された部分と遊技領域の下方縁部との間には少なくとも球が通過可能な隙間が形成されるので、第２通路の両側にそれぞれアウト口を設けることを不要とできる。よって、その分、遊技盤の正面側におけるスペース（遊技領域における球の流下領域）を確保できると共に、部品点数を削減して、製品コストを削減できる。
【０９７７】
遊技機Ｇ２からＧ５のいずれかにおいて、一側が開放された断面形状に形成されると共に前記開放された側が前記遊技盤の背面を向く姿勢で取着される取着部材を備え、前記遊技盤の背面と前記取着部材の内面との対向間に前記傾斜通路が形成されることを特徴とする遊技機Ｇ６。
【０９７８】
遊技機Ｇ６によれば、遊技機Ｇ２からＧ５のいずれかの奏する効果に加え、一側が開放された断面形状に形成されると共に開放された側が遊技盤の背面を向く姿勢で取着される取着部材を備え、遊技盤の背面と取着部材の内面との対向間に傾斜通路が形成されるので、遊技盤の背面を傾斜通路の一部として兼用することができ、傾斜通路を形成するための部材を削減できる。よって、その分、製品コストの低減を図ることができる。
【０９７９】
＜上下変位ユニット５４００を一例とする発明の概念について＞
ベース部材と、そのベース部材に対して変位可能な第１変位部材と、その第１変位部材を駆動する第１駆動手段と、前記第１変位部材に対して変位可能な第２変位部材と、を備える遊技機において、
前記ベース部材と前記第１変位部材との間に介設される介設部材を備え、
前記第１駆動手段により前記第１変位部材が変位されて、前記第１変位部材が所定の位置に配置されると、前記介設部材の一部が前記第２変位部材の変位を規制する位置に配置されることを特徴とする遊技機Ｈ１。
【０９８０】
ここで、従来より、ベース部材と、そのベース部材に対して変位可能な第１変位部材と、第１変位部材を駆動する第１駆動手段と、第１変位部材に対して変位可能な第２変位部材とを備える遊技機が知られている（例えば、特開２０１４−２３８７４号公報）。この遊技機によれば、センタフレームの開口上部（遊技機の上部）に配置された第１変位部材を、第１駆動手段によりセンタフレームの開口中央部（遊技機の中央）に移動させて、第２変位部材を変位させることができる。
【０９８１】
しかしながら、上述した従来の遊技機では、センタフレームの開口上部で第２変位部材の変位を停止させる場合に、遊技機の外部から入力される振動等により第２変位部材が変位する可能性があり、第２変位部材が変位させることで、他の演出を遊技者に視認させにくくなる。そこで、第２変位部材がセンタフレームの開口上部に配置される場合に、第２変位部材の変位を規制する部材をソレノイド等の駆動手段により変位させて当接することで、第２変位部材の変位を規制することが考えらえるが、この場合には、変位を規制する部材や駆動手段を新たに配設する必要があり、その分、部品点数が増加するという問題点があった。
【０９８２】
これに対し、遊技機Ｈ１では、ベース部材と第１変位部材との間に介設される介設部材を備え、第１駆動手段により第１変位部材が変位されて、第１変位部材が所定の位置に配置されると、介設部材の一部が第２変位部材の変位を規制する位置に配置される。よって、第１駆動手段により第１変位部材が変位されて、第１変位部材が所定の位置に配置されると、介設部材の一部が第２変位部材の変位を規制するので、介設部材に本来の役割と第２変位部材の変位を規制する役割とを兼用させることができる。従って、第２変位部材の変位を規制する部分を他に備える必要がなくなり、部品点数を少なくすることができる。
【０９８３】
なお、介設部材の本体の役割とは、第１駆動手段の駆動を第１変位部材に伝達する役割や、ベース部材と第１変位部材とを連結する役割である。
【０９８４】
遊技機Ｈ１において、前記第２変位部材は、前記第１変位部材に軸支され、その軸支部分を軸に回転可能とされ、前記第２変位部材または介設部材のどちらか一方は、側面に凹設される凹部を備え、前記第２変位部材または介設部材のどちらか他方が、前記凹部の内側に挿入されることで、前記第２変位部材の変位が規制されることを特徴とする遊技機Ｈ２。
【０９８５】
ここで、第２変位部材が回転変位するものであると、介設部材を第２変位部材の回転領域に配置することのみでは、第２変位部材の一方向の回転を規制することはできるが、第２変位部材の他方向（回転が規制される方向と反対方向）の回転を規制することができないという問題点があった。
【０９８６】
これに対し、遊技機Ｈ２によれば、遊技機Ｈ１の奏する効果に加え、第２変位部材は、第１変位部材に軸支され、その軸支部分を軸に回転可能とされ、第２変位部材または介設部材のどちらか一方は、側面に凹設される凹部を備え、第２変位部材または介設部材のどちらか他方が、凹部の内側に挿入されることで、第２変位部材の変位が規制されるので、第２変位部材が回転変位する場合に、第２変位部材の両方向の回転駆動を介設部材により規制することができる。その結果、介設部材による第２変位部材の規制部分を少なくすることができる。
【０９８７】
遊技機Ｈ２において、前記介設部材は、前記ベース部材に対して回転可能に配設され、前記第２変位部材に前記凹部が凹設され、前記介設部材が前記凹部の内側に挿入された状態において、前記凹部は、内縁が前記介設部材の回転軸と同軸の円弧形状に形成され、前記介設部材は、前記凹部と対向する対向面が前記凹部の円弧形状よりも小さい湾曲形状に形成されることを特徴とする遊技機Ｈ３。
【０９８８】
遊技機Ｈ３によれば、遊技機Ｈ２の奏する効果に加え、介設部材は、ベース部材に対して回転可能に配設され、第２変位部材に凹部が凹設され、介設部材が凹部の内側に挿入された状態において、凹部は、内縁が介設部材の回転軸と同軸の円弧形状に形成され、介設部材は、凹部と対向する対向面が凹部の円弧形状よりも小さい湾曲形状に形成されるので、凹部の内側に介設部材を挿入した状態（即ち、介設部材により第２変位部材の変位を規制した状態）から、介設部材を凹部から抜け出させる場合に、介設部材を回転変位させるのみで、第２変位部材と当接することなく介設部材を第２変位部材の凹部から引き抜く（介設部材による第２変位部材の規制を解除する）ことができる。その結果、介設部材による第２変位部材の変位の規制を解除しやすくできる。
【０９８９】
なお、介設部材の凹部と対向する対向面は、外縁全域が湾曲形状に形成される必要はなく、部分的に凹部側に突出されていても良く、その場合、突出部分を結ぶ軌跡の湾曲形状が、凹部の円弧形状よりも小さく形成されていればよい。
【０９９０】
遊技機Ｈ１において、前記第２変位部材は、前記第１変位部材に対してスライド変位可能に配設され、前記第２変位部材または介設部材のどちらか一方は、側面に凹設される凹部を備え、前記第２変位部材または介設部材のどちらか他方が、前記凹部の内側に挿入されて、前記第２変位部材の変位を規制する場合に、前記凹部は、前記第２変位部材のスライド方向と直交する方向の端面に凹設されることを特徴とする遊技機Ｈ４。
【０９９１】
ここで、第２変位部材が第１変位部材に対してスライド変位する場合に、第１変位部材のスライド方向の外面に介設部材を当接させて第２変位部材の変位を規制するものでは、第２変位部材が介設部材に近づく方向に変位する場合に第２変位部材の変位を規制することができるが、第２変位部材が介設部材から離間する方向に変位する場合に第２変位部材の変位を規制することができないという問題点があった。
【０９９２】
これに対し、遊技機Ｈ４によれば、遊技機Ｈ１の奏する効果に加え、第２変位部材は、第１変位部材に対してスライド変位可能に配設され、第２変位部材または介設部材のどちらか一方は、側面に凹設される凹部を備え、第２変位部材または介設部材のどちらか他方が、凹部の内側に挿入されることで、第２変位部材の変位を規制する場合に、凹部は、２変位部材のスライド方向と直交する方向の端面に凹設されるので、第２変位部材がスライド変位する場合に、第２変位部材の両方向のスライド変位を規制することができる。その結果、介設部材による第２変位部材の規制部分を少なくすることができる。
【０９９３】
遊技機Ｈ１において、前記第２変位部材に駆動を伝達する伝達手段を備え、前記介設部材または伝達手段のどちらか一方は、前記伝達手段による駆動の伝達を遮断する遮断部を備え、介設部材が変位されて、前記遮断部が前記介設部材または伝達手段のどちらか他方に当接することで、前記伝達手段から前記第２変位部材への駆動の伝達が遮断され、前記第２変位部材の変位が規制されることを特徴とする遊技機Ｈ５。
【０９９４】
遊技機Ｈ５によれば、遊技機Ｈ１の奏する効果に加え、第２変位部材に駆動を伝達する伝達手段を備え、介設部材または伝達手段のどちらか一方は、伝達手段による駆動の伝達を遮断する遮断部を備え、介設部材が変位されて、遮断部が介設部材または伝達手段のどちらか他方に当接することで、伝達手段から第２変位部材への駆動の伝達が遮断され、第２変位部材の変位が規制されるので、介設部材を伝達手段に当接させることなく伝達手段の変位を規制することができる。その結果、介設部材および第２変位部材が当接することで遊技者の興趣が損なわれることを抑制できる。
【０９９５】
遊技機Ｈ１において、前記介設部材は、前記ベース部材に対して回転可能に配設され、前記第２変位部材は、前記第１変位部材に対して前記介設部材の回転軸方向に変位可能に配設され、前記介設部材の回転軸方向の端面に前記第２変位部材が当接することで、前記第２変位部材の変位が規制されることを特徴とする遊技機Ｈ６。
【０９９６】
遊技機Ｈ６によれば、遊技機Ｈ１の奏する効果に加え、介設部材は、ベース部材に対して回転可能に配設され、第２変位部材は、第１変位部材に対して介設部材の回転軸方向に変位可能に配設され、介設部材の回転軸方向の端面に第２変位部材が当接することで、第２変位部材の変位が規制されるので、介設部材と第２変位部材とが当接した場合に、第２変位部材を介設部材に対して介設部材の回転軸方向に押圧できる。従って、介設部材と第２変位部材とが当接する状態（第２変位部材の変位が介設部材により規制された状態）では、介設部材が回転する際の抵抗を大きくできる。その結果、介設部材と第２変位部材とが当接した状態で、介設部材が回転することを抑制できる。
【０９９７】
遊技機Ｈ６において、前記第２変位部材を駆動する第２駆動手段を備え、前記第２駆動手段は、電力が付与されることで磁力を発生させる本体部と、その本体部の内部に収容され本体部に磁力が発生することで本体部の内側または外側のどちらか一方に変位する軸部と、その軸部を本体部の内側または外側のどちらか他方に付勢する付勢手段と、を備え、前記軸部が前記付勢手段により前記軸部が変位されると、前記第２変位部材が前記介設部材と当接することを特徴とする遊技機Ｈ７。
【０９９８】
遊技機Ｈ７によれば、遊技機Ｈ６の奏する効果に加え、第２変位部材に駆動を伝達する第２駆動手段を備え、第２駆動手段は、電力が付与されることで磁力を発生させる本体部と、その本体部の内部に収容され本体部に磁力が発生することで本体部の内側または外側のどちらか一方に変位する軸部と、その軸部を本体部の内側または外側のどちらか他方に付勢する付勢手段と、を備え、軸部が付勢手段により軸部が変位されると、第２変位部材が介設部材と当接するので、付勢手段の付勢力により、第２変位部材と介設部材とが当接した状態を維持できる。その結果、介設部材の変位を規制するための駆動力を第２駆動手段に加え続ける必要がなくなるので、消費エネルギーを低下できる。
【０９９９】
遊技機Ｈ１において、前記第２変位部材は、前記介設部材と当接することで、前記第２変位部材の変位の形態が変更されることを特徴とする遊技機Ｈ８。
【１０００】
遊技機Ｈ８によれば、遊技機Ｈ１の奏する効果に加え、第２変位部材は、介設部材と当接することで、第２変位部材の変位の形態が変更されるので、第２変位部材の変位の形態を変更する変更手段を他に備える必要がない。その結果、変位の形態を複数備える場合の第２変位部材の構造を簡易にできる。
【１００１】
遊技機Ｈ８において、前記介設部材は、前記ベース部材に対して回転可能に配設され、前記第２変位部材は、前記第１変位部材に対してスライド変位可能に配設され、前記介設部材および第２変位部材が当接して、前記第２変位部材のスライド変位が前記介設部材により規制される場合に、前記介設部材および第２変位部材の当接部と前記介設部材の回転軸とを結ぶ方向が、前記第２変位部材のスライド変位方向と同一に設定されることを特徴とする遊技機Ｈ９。
【１００２】
遊技機Ｈ９によれば、遊技機Ｈ８の奏する効果に加え、介設部材は、ベース部材に対して回転可能に配設され、第２変位部材は、第１変位部材に対してスライド変位可能に配設され、介設部材および第２変位部材が当接して、第２変位部材のスライド変位が介設部材により規制される場合に、介設部材および第２変位部材の当接部と介設部材の回転軸とを結ぶ方向が、第２変位部材のスライド変位方向と同一に設定されるので、第２変位部材が介設部材に当接した場合に介設部材が介設部材の回転軸を軸に回転することを抑制できる。その結果、介設部材による第２変位部材のスライド変位の規制を維持できる。
【１００３】
遊技機Ｈ９において、前記第２変位部材および介設部材の当接部には、前記第２変位部材または介設部材のどちらか一方に突設部が突設され、前記第２変位部材または介設部材のどちらか他方に前記突設部を受け入れる受入部が凹設され、前記突設部または受入部は同一の断面三角形状に形成されることを特徴とする遊技機Ｈ１０。
【１００４】
遊技機Ｈ１０によれば、遊技機Ｈ９の奏する効果に加え、第２変位部材および介設部材の当接部には、第２変位部材または介設部材のどちらか一方に突設部が突設され、第２変位部材または介設部材のどちらか他方に突設部を受け入れる受入部が凹設され、突設部または受入部は同一の断面三角形状に形成されるので、第２変位部材の変位を介設部材により規制する場合に、介設部材または第２変位部材の配置がずれた場合に、受入部に挿入部を受け入れさせることで、挿入部および受入部の互いの傾斜により、介設部材または第２変位部材を適正な位置に移動させることができる。その結果、介設部材または第２変位部材の配置がずれた状態で、第２変位部材を介設部材に当接させた場合に、介設部材が回転することを抑制できる。
【１００５】
遊技機Ｈ１０において、前記第２変位部材は、前記第２変位部材のスライド変位方向と略直交する方向に延びる直線を回転軸として回転可能に配設され、前記第２変位部材が、スライド変位して前記介設部材と当接することで、前記第２変位部材が回転軸を中心に回転変位し、前記第２変位部材に形成される前記突設部または受入部は、その断面形状が前記第２変位部材の回転軸から径方向に離間するに従って大きく形成されることを特徴とする遊技機Ｈ１１。
【１００６】
遊技機Ｈ１１によれば、遊技機Ｈ１０の奏する効果に加え、第２変位部材は、第２変位部材のスライド変位方向と略直交する方向に延びる直線を回転軸として回転可能に配設され、第２変位部材が、スライド変位して介設部材と当接することで、第２変位部材が回転軸を中心に回転変位し、第２変位部材に形成される突設部または受入部は、その断面形状が第２変位部材の回転軸から径方向に離間するに従って大きく形成されるので、第２変位部材が、介設部材と当接して回転する際に、第２変位部材の回転量に伴って、突設部と受入部との当接面積を大きくすることができる。よって、第２変位部材の最大の回転位置で受入部と挿入部との当接面積を最大とすることができる。その結果、受入部と挿入部とに係る力を分散させることができ、第２変位部材および介設部材が破損することを抑制できる。
【１００７】
遊技機Ｈ１において、前記介設部材は、ギヤが刻設されるラックであって、前記第２変位部材は、前記ラックの移動方向に対して直交する方向に変位可能に配設されることを特徴とする遊技機Ｈ１２。
【１００８】
遊技機Ｈ１２によれば、遊技機Ｈ１の奏する効果に加え、介設部材は、ギヤが刻設されるラックであって、第２変位部材は、ラックの移動方向に対して直交する方向に変位可能に配設されるので、第２変位部材の変位をラック（介設部材）により規制した場合に、その衝撃でラックが変位することを抑制できる。
【１００９】
遊技機Ｈ１２において、前記第２変位部材に駆動を伝達する伝達手段を備え、前記伝達手段は、前記ラックに連結され、前記ラックの変位により前記第２変位部材が変位されることを特徴とする遊技機Ｈ１３。
【１０１０】
遊技機Ｈ１３によれば、遊技機Ｈ１２の奏する効果に加え、第２変位部材に駆動を伝達する伝達手段を備え、伝達手段は、ラックに連結され、ラックの変位により第２変位部材が変位されるので、第２変位部材の駆動源を他に配置する必要がなくなり、部品点数を少なくすることができる。
【１０１１】
また、第２変位部材の変位がラックにより規制された状態で、第２変位部材が動くことを抑制できる。その結果、誤作動等で、第２変位部材の変位が規制された状態で、第２変位部材が変位して、ラック及び第２変位部材が破損することを抑制できる。
【１０１２】
＜上下変位ユニット５４００を一例とする発明の概念について＞
ベース部材と、そのベース部材に対して退避位置および第１位置の間で変位する第１変位部材と、その第１変位部材に対して変位する第２変位部材と、を備える遊技機において、
前記第１変位部材が退避位置に配置された状態における前記第２変位部材の変位領域に配設される規制部材を備え、
前記規制部材は、前記第１変位部材が退避位置から第１位置に変位される場合に、前記第２変位部材の変位領域から離間する方向に変位されることを特徴とする遊技機Ｉ１。
【１０１３】
ここで、従来より、ベース部材と、そのベース部材に対して退避位置および第１位置の間で変位する第１変位部材と、その第１変位部材に対して変位する第２変位部材とを備える遊技機が知られている（例えば、特開２０１４−２３８７４号公報）。この遊技機によれば、退避位置に配置された第１変位部材を、第１位置に変位させて第２変位部材を変位させることができる。
【１０１４】
しかしながら、上述した従来の遊技機では、退避位置で第２変位部材の変位を停止させる場合に、遊技機の外部から入力される振動等により第２変位部材が変位する可能性があり、第２変位部材が変位することで他の演出を遊技者に視認させにくくなる。そのため、退避位置ではセンタフレームの背面側に第２変位部材を配置して、退避位置での第２変位部材の変位を遊技者に視認させにくくすることが考えられるが、この場合には、センタフレームが大きくされる分、第２変位部材の変位による演出領域が小さくされるという問題点があった。
【１０１５】
また、第２変位部材が退避位置に配置される場合に、第２変位部材にセンタフレームの一部を当接させて、第２変位部材の変位を規制することも考えられるが、この場合には、第２変位部材の変位を許容する際に、第２変位部材をセンタフレームから十分に離間させる必要があり、その分、第２変位部材の変位による演出領域が小さくされるという問題点があった。
【１０１６】
これに対して、遊技機Ｉ１によれば、第１変位部材が退避位置に配置された状態における第２変位部材の変位領域に配設される規制部材を備え、規制部材は、第１変位部材が退避位置から第１位置に変位される場合に、第２変位部材の変位領域から離間する方向に変位されるので、規制部材が第２変位部材の変位領域から離間する分、第２変位部材の変位領域外に規制部材を短時間で移動させることができる。その結果、第２変位部材の変位による演出領域を拡大することができる。
【１０１７】
遊技機Ｉ１において、前記第１変位部材は、退避位置から第１位置と反対方向の第２位置に変位可能とされることを特徴とする遊技機Ｉ２。
【１０１８】
遊技機Ｉ２によれば、遊技機Ｉ１の奏する効果に加え、第１変位部材は、退避位置から第１位置と反対方向の第２位置に変位可能とされるので、第２変位部材の変位による演出領域を退避位置の両側に形成することができる。その結果、第２変位部材の変位による演出領域を拡大することができる。
【１０１９】
遊技機Ｉ２において、前記第２変位部材は、前記規制部材による規制位置から変位され、前記第１変位部材が第１位置または第２位置のどちらか一方側から退避位置を介して第２位置または第１位置側に変位される際に、前記第２変位部材の移動軌跡の外側に前記規制部材が配置されることを特徴とする遊技機Ｉ３。
【１０２０】
遊技機Ｉ３によれば、遊技機Ｉ２の奏する効果に加え、第２変位部材は、規制部材による規制位置から変位され、第１変位部材が第１位置または第２位置のどちらか一方側から退避位置を介して第２位置または第１位置側に変位される際に、第２変位部材の移動軌跡の外側に規制部材が配置されるので、第１変位部材が、第１位置側から第２位置側または第２位置側から第１位置側に退避位置を介して変位される際に、第２変位部材が規制部材と干渉することを抑制できる。
【１０２１】
即ち、第１変位部材が、第１位置側から第２位置側または第２位置側から第１位置側に退避位置を介して変位される場合に、第２変位部材が規制位置に配置される状態では、第１変位部材が退避位置を通過する際に、第２変位部材と規制部材とが近接する。従って、第２変位部材が規制位置から若干ずれた位置に配置される場合や第１変位部材の変位の振動により変位した場合に、第２変位部材が規制部材に干渉する恐れがあるところ、かかる第２変位部材は、規制位置から変位されて第２変位部材の変位軌跡の外側に規制部材が配置された状態とされるので、第２変位部材と規制部材とが干渉することを抑制できる。その結果、第１位置から第２位置または第２位置から第１位置への第１変位部材の変位をスムーズに行うことができる。
【１０２２】
遊技機Ｉ２において、前記規制部材は、前記第１変位部材が退避位置から第１位置または第２位置に変位する方向に変位されると共に、前記第１変位部材の変位方向に対して直交する方向に変位されることを特徴とする遊技機Ｉ４。
【１０２３】
遊技機Ｉ４によれば、遊技機Ｉ２又はＩ３の奏する効果に加え、規制部材は、第１変位部材が退避位置から第１位置または第２位置に変位する方向に変位されると共に、第１変位部材の変位方向に対して直交する方向に変位されるので、第２変位部材を第１変位部材に対して規制位置に停止させた状態で、第１変位部材を退避位置から第１位置または第２位置に変位させることができる。即ち、規制部材を第１変位部材の変位により第２変位部材が移動する方向に変位させつつ、第２変位部材の変位領域から離間させることができる。その結果、第２変位部材の変位を規制部材により規制した状態から、第１変位部材を第１位置および第２位置の両方向に変位させることができる。
【１０２４】
遊技機Ｉ４において、前記規制部材は、第１変位部材の変位方向と直交する方向に延びる直線を中心に回転可能とされ、前記第２変位部材は、外面に凹設される凹部を備え、前記規制部材の回転軸に対して前記規制部材の径方向外側の端部が前記凹部の内側に配置されることで、前記第２変位部材の変位が規制されることを特徴とする遊技機Ｉ５。
【１０２５】
遊技機Ｉ５によれば、遊技機Ｉ４の奏する効果に加え、規制部材は、第１変位部材の変位方向と直交する方向に延びる直線を中心に回転可能とされ、第２変位部材は、外面に凹設される凹部を備え、規制部材の回転軸に対して規制部材の径方向外側の端部が凹部の内側に配置されることで、第２変位部材の変位が規制されるので、規制部材を回転させる動作のみで規制部材を第１変位部材の変位により第２変位部材が移動する方向に変位させつつ、第２変位部材の変位領域から離間させることができる。その結果、第２変位部材の変位を規制部材により規制した状態から、第１変位部材を第１位置および第２位置の両方向に変位さやすくできる。
【１０２６】
遊技機Ｉ４において、前記第２変位部材を駆動する第２駆動手段を備え、前記規制部材は、前記第２変位部材の外面に当接して配設され、前記第２変位部材が前記第２駆動手段により変位される場合に第２変位部材の外面に押圧されることで前記第２変位部材の変位領域から離間する方向に変位されることを特徴とする遊技機Ｉ６。
【１０２７】
遊技機Ｉ６によれば、遊技機Ｉ４の奏する効果に加え、第２変位部材を駆動する第２駆動手段を備え、規制部材は、第２変位部材の外面に当接して配設され、第２変位部材が第２駆動手段により変位される場合に第２変位部材の外面に押圧されることで第２変位部材の変位領域から離間する方向に変位されるので、規制部材による第２変位部材の変位の規制を第２駆動手段による第２変位部材の変位により解除することができる。よって、第２駆動手段による第２変位部材の変位に伴って規制部材の規制を解除することができるので、規制部材を、第１変位部材の変位により行う場合に比べて、規制部材の規制の解除を短時間で行うことができる。その結果、第２変位部材の変位による演出領域を大きくすることができる。
【１０２８】
遊技機Ｉ５において、前記規制部材は、その規制部材に一方向の回転の駆動が伝達される伝達部材を備え、その伝達部材は、前記第１変位部材に連結され、前記第１変位部材が一方向に変位されると前記規制部材が変位され、前記第１変位部材が他方向に変位されると前記規制部材が非変位とされることを特徴とする遊技機Ｉ７。
【１０２９】
遊技機Ｉ７によれば、遊技機Ｉ５の奏する効果に加え、規制部材は、その規制部材に一方向の回転の駆動が伝達される伝達部材を備え、その伝達部材は、第１変位部材に連結され、第１変位部材が一方向に変位されると規制部材が変位され、第１変位部材が他方向に変位されると規制部材が非変位とされるので、規制部材による第２変位部材の規制位置の自由度を向上できる。その結果、第２変位部材の変位による演習領域を拡大することができる。
【１０３０】
遊技機Ａ１からＡ１０，Ｂ１からＢ１０，Ｃ１からＣ９、Ｄ１からＤ９、Ｅ１からＥ１７、Ｆ１からＦ６、Ｇ１からＧ６、Ｈ１からＨ１３及びＩ１からＩ７のいずれかにおいて、前記遊技機はスロットマシンであることを特徴とする遊技機Ｋ１。中でも、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（ストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【１０３１】
遊技機Ａ１からＡ１０，Ｂ１からＢ１０，Ｃ１からＣ９、Ｄ１からＤ９、Ｅ１からＥ１７、Ｆ１からＦ６、Ｇ１からＧ６、Ｈ１からＨ１３及びＩ１からＩ７のいずれかにおいて、前記遊技機はパチンコ遊技機であることを特徴とする遊技機Ｋ２。中でも、パチンコ遊技機の基本構成としては操作ハンドルを備え、その操作ハンドルの操作に応じて球を所定の遊技領域へ発射し、球が遊技領域内の所定の位置に配設された作動口に入賞（又は作動口を通過）することを必要条件として、表示手段において動的表示されている識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードへ書き込まれるデータ等も含む）が付与されるものが挙げられる。
【１０３２】
遊技機Ａ１からＡ１０，Ｂ１からＢ１０，Ｃ１からＣ９、Ｄ１からＤ９、Ｅ１からＥ１７、Ｆ１からＦ６、Ｇ１からＧ６、Ｈ１からＨ１３及びＩ１からＩ７のいずれかにおいて、前記遊技機はパチンコ遊技機とスロットマシンとを融合させたものであることを特徴とする遊技機Ｋ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
【符号の説明】
【１０３３】
１０                          パチンコ機（遊技機）
１３                          遊技盤
６４                          第１入賞口（入球口）
８１                          第３図柄表示装置（液晶表示装置）
４１０                        正面ベース（ベース部材）
４１６                        軸支部（第２軸）
４１７                        突起（第１軸）
４３０                        変位部材（アーム部材）
４３１                        駆動側摺動孔（摺動溝）
４４１，９９５４              駆動モータ（駆動手段、第１駆動手段）
４４３                        伝達ギヤ（クランク部材）
４４３ａ                      突起（ピン部）
４５０                        装飾部材（変位部材）
４５２                        正面ベース（本体部材）
４５２ｈ                      当接面（当接部材）
４５６                        ギヤ（伝達手段）
４５７，８９６３              駆動モータ（第２駆動手段）
４９１ｃ                      膨出部（対向部材）
４９２                        ローラ部材（回転部材）
４９２ｂ                      軸部（軸）
５００，５５００，１０５００，１３５００  回転ユニット（回転表示装置、第２変位部材）
５１０                        上面ベース（本体部材の一部）
５１２，５２２                送風孔（貫通孔）
５２０                        下面ベース（本体部材の一部）
５３１                        基盤部材（基盤）
５３２                        ＬＥＤ（発光手段）
５４０                        中間板（介設部材）
５４３                        照射孔（貫通孔）
５４４                        照射規制部（座部）
５４６                        溝部
５５０                        正面カバー（透過部、カバー部材）
５６０                        反射板（対向部材）
５６３ａ                      傾斜面（対向部材）
５７０                        回転伝達ユニット（ベース部材、軸部材）
６１０                        枠体（センターフレーム）
６２１                        カバー部材（正面部材）
６２１ａ                      第１部分
６２１ｂ                      第２部分
６３０                        センサ（センサ装置）
６４０ａ                      第２入賞装置（入賞装置）
７３０                        入賞部材（通路部材）
７４０                        通路部材（屈曲部材）
７４２                        案内部（傾斜面）
７４３                        下側突出部（屈曲部）
７４４                        開口
７５０                        介設部材（通路部材）
７６０                        振分け部材（通路部材、取着部材）
５４３０，９４３０            変位部材（介設部材、規制部材）
５４３８                      受入部
５４５０，６４５０，７４５０，１０４５０，１１４５０，１２４５０，１３４５０  装飾部材（第１変位部材）
５５１４，１３５１４          凹部
６４３６                      遮断部
７９１０，８９６３            ソレノイド（第２駆動手段）
７９１１                      本体部
７９１２                      軸部
８９３０，９９３０            スライドユニット（第１変位部材）
８９４０，９９４０，          回転ユニット（第２変位部材）
８９４２ｃ                    挿入部（突設部）
９９３６，９９３７，９９３８  伝達ギヤ（伝達手段）
９４３０                      変位部材（ラック）
９９５０                      ベースユニット（ベース部材）
１３４９５                    突設部材（規制部材）
ＫＲ１                        第１送球経路（鉛直通路、第２通路）
ＫＲ２                        第２送球経路（延設通路、第２通路）
ＫＲ３                        第３送球経路（傾斜通路の一部）
ＫＲ４                        第４送球経路（傾斜通路の一部）
【図１】
2019130406.tif 000003
【図２】
2019130406.tif 000004
【図３】
2019130406.tif 000005
【図４】
2019130406.tif 000006
【図５】
2019130406.tif 000007
【図６】
2019130406.tif 000008
【図７】
2019130406.tif 000009
【図８】
2019130406.tif 000010
【図９】
2019130406.tif 000011
【図１０】
2019130406.tif 000012
【図１１】
2019130406.tif 000013
【図１２】
2019130406.tif 000014
【図１３】
2019130406.tif 000015
【図１４】
2019130406.tif 000016
【図１５】
2019130406.tif 000017
【図１６】
2019130406.tif 000018
【図１７】
2019130406.tif 000019
【図１８】
2019130406.tif 000020
【図１９】
2019130406.tif 000021
【図２０】
2019130406.tif 000022
【図２１】
2019130406.tif 000023
【図２２】
2019130406.tif 000024
【図２３】
2019130406.tif 000025
【図２４】
2019130406.tif 000026
【図２５】
2019130406.tif 000027
【図２６】
2019130406.tif 000028
【図２７】
2019130406.tif 000029
【図２８】
2019130406.tif 000030
【図２９】
2019130406.tif 000031
【図３０】
2019130406.tif 000032
【図３１】
2019130406.tif 000033
【図３２】
2019130406.tif 000034
【図３３】
2019130406.tif 000035
【図３４】
2019130406.tif 000036
【図３５】
2019130406.tif 000037
【図３６】
2019130406.tif 000038
【図３７】
2019130406.tif 000039
【図３８】
2019130406.tif 000040
【図３９】
2019130406.tif 000041
【図４０】
2019130406.tif 000042
【図４１】
2019130406.tif 000043
【図４２】
2019130406.tif 000044
【図４３】
2019130406.tif 000045
【図４４】
2019130406.tif 000046
【図４５】
2019130406.tif 000047
【図４６】
2019130406.tif 000048
【図４７】
2019130406.tif 000049
【図４８】
2019130406.tif 000050
【図４９】
2019130406.tif 000051
【図５０】
2019130406.tif 000052
【図５１】
2019130406.tif 000053
【図５２】
2019130406.tif 000054
【図５３】
2019130406.tif 000055
【図５４】
2019130406.tif 000056
【図５５】
2019130406.tif 000057
【図５６】
2019130406.tif 000058
【図５７】
2019130406.tif 000059
【図５８】
2019130406.tif 000060
【図５９】
2019130406.tif 000061
【図６０】
2019130406.tif 000062
【図６１】
2019130406.tif 000063
【図６２】
2019130406.tif 000064
【図６３】
2019130406.tif 000065
【図６４】
2019130406.tif 000066
【図６５】
2019130406.tif 000067
【図６６】
2019130406.tif 000068
【図６７】
2019130406.tif 000069
【図６８】
2019130406.tif 000070
【図６９】
2019130406.tif 000071
【図７０】
2019130406.tif 000072
【図７１】
2019130406.tif 000073
【図７２】
2019130406.tif 000074
【図７３】
2019130406.tif 000075
【図７４】
2019130406.tif 000076
【図７５】
2019130406.tif 000077
【図７６】
2019130406.tif 000078
【図７７】
2019130406.tif 000079
【図７８】
2019130406.tif 000080
【図７９】
2019130406.tif 000081
【図８０】
2019130406.tif 000082
【図８１】
2019130406.tif 000083
【図８２】
2019130406.tif 000084
【図８３】
2019130406.tif 000085
【図８４】
2019130406.tif 000086
【図８５】
2019130406.tif 000087
【図８６】
2019130406.tif 000088
【図８７】
2019130406.tif 000089
【図８８】
2019130406.tif 000090
【図８９】
2019130406.tif 000091
【図９０】
2019130406.tif 000092
【図９１】
2019130406.tif 000093
【図９２】
2019130406.tif 000094
【手続補正書】
【提出日】令和1年5月17日(2019.5.17)
【手続補正１】
【補正対象書類名】特許請求の範囲
【補正対象項目名】全文
【補正方法】変更
【補正の内容】
【特許請求の範囲】
【請求項１】
ベース部材と、そのベース部材に対して変位可能な第１変位部材と、その第１変位部材を駆動する第１駆動手段と、前記第１変位部材に対して変位可能な第２変位部材と、を備える遊技機において、
前記ベース部材と前記第１変位部材とを連結する連結部材を備え、
前記第２変位部材は、前記第１変位部材に回転可能に軸支され、前記第２変位部材または連結部材のどちらか一方には、凹部が凹設され、
前記第１駆動手段により前記第１変位部材が変位されて、前記第１変位部材が所定の位置に配置され、前記第２変位部材または連結部材のどちらか他方が、前記凹部の内側に配置されることで、前記第２変位部材の変位が規制可能に形成されることを特徴とする遊技機。
【手続補正２】
【補正対象書類名】明細書
【補正対象項目名】全文
【補正方法】変更
【補正の内容】
【発明の詳細な説明】
【技術分野】
【０００１】
本発明は、パチンコ機などの遊技機に関するものである。
【背景技術】
【０００２】
パチンコ機等の遊技機において、ベース部材と、そのベース部材に対して変位可能な第１変位部材と、その第１変位部材を駆動する第１駆動手段と、第１変位部材に対して変位可能な第２変位部材と、を備える遊技機が知られている（特許文献１）。
【先行技術文献】
【特許文献】
【０００３】
【特許文献１】特開２０１４−２３８７４号公報
【発明の概要】
【発明が解決しようとする課題】
【０００４】
しかしながら、上述した遊技機では、部品点数が増加するという問題点があった。
【０００５】
本発明は、上記例示した問題点を解決するためになされたものであり、部品点数を少なくすることができる遊技機を提供することを目的とする。
【課題を解決するための手段】
【０００６】
この目的を達成するために請求項１記載の遊技機は、ベース部材と、そのベース部材に対して変位可能な第１変位部材と、その第１変位部材を駆動する第１駆動手段と、前記第１変位部材に対して変位可能な第２変位部材と、を備えるものであり、前記ベース部材と前記第１変位部材とを連結する連結部材を備え、前記第２変位部材は、前記第１変位部材に回転可能に軸支され、前記第２変位部材または連結部材のどちらか一方には、凹部が凹設され、前記第１駆動手段により前記第１変位部材が変位されて、前記第１変位部材が所定の位置に配置され、前記第２変位部材または連結部材のどちらか他方が、前記凹部の内側に配置されることで、前記第２変位部材の変位が規制可能に形成される。
【０００７】
【０００８】
【発明の効果】
【０００９】
請求項１記載の遊技機によれば、部品点数を少なくすることができる。
【００１０】
【００１１】
【図面の簡単な説明】
【００１２】
【図１】第１実施形態におけるパチンコ機の正面図である。
【図２】パチンコ機の遊技盤の正面図である。
【図３】パチンコ機の背面図である。
【図４】パチンコ機の電気的構成を示すブロック図である。
【図５】動作ユニットの正面斜視図である。
【図６】動作ユニットの分解正面斜視図である。
【図７】動作ユニットの正面図である。
【図８】動作ユニットの正面図である。
【図９】上下変位ユニットの正面図である。
【図１０】上下変位ユニットの背面図である。
【図１１】上下変位ユニットの正面斜視図である。
【図１２】上下変位ユニットの背面斜視図である。
【図１３】上下変位ユニットの正面斜視図である。
【図１４】上下変位ユニットの背面斜視図である。
【図１５】（ａ）は、上下変位ユニットの正面図であり、（ｂ）は、上下変位ユニットの背面図である。
【図１６】（ａ）は、上下変位ユニットの正面図であり、（ｂ）は、上下変位ユニットの背面図である。
【図１７】（ａ）は、上下変位ユニットの正面図であり、（ｂ）は、上下変位ユニットの背面図である。
【図１８】規制ユニットの分解正面斜視図である。
【図１９】ローラ部材の分解正面斜視図である。
【図２０】（ａ）は、規制ユニットの側面図であり、（ｂ）は、規制ユニットの背面図であり、（ｃ）は、図２０（ｂ）のＸＸｃ−ＸＸｃ線における規制ユニットの断面図である。
【図２１】第１位置における上下変位ユニットの正面図である。
【図２２】（ａ）は、図２１のＸＸＩＩ部における上下変位ユニットの拡大図であり、（ｂ）は、図２２（ａ）のＸＸＩＩｂ−ＸＸＩＩｂ線における上下変位ユニットの断面図である。
【図２３】（ａ）から（ｃ）は、上下変位ユニットの部分拡大正面図である。
【図２４】（ａ）は、図２３（ａ）のＸＸＩＶａ−ＸＸＩＶａ線における上下変位ユニットの断面図であり、（ｂ）は、図２３（ｂ）のＸＸＩＶｂ−ＸＸＩＶｂ線における上下変位ユニットの断面図であり、（ｃ）は、図２３（ｃ）のＸＸＩＶｃ−ＸＸＩＶｃ線における上下変位ユニットの断面図である。
【図２５】装飾部材の分解正面斜視図である。
【図２６】装飾部材の分解背面斜視図である。
【図２７】回転ユニットの分解正面斜視図である。
【図２８】回転ユニットの分解背面斜視図である。
【図２９】（ａ）は、回転ユニットの上面図であり、（ｂ）は、図２９（ａ）のＸＸＩＸｂ方向視における回転ユニットの正面図であり、（ｃ）は、図２９（ａ）のＸＸＩＸｃ−ＸＸＩＸｃ線における回転ユニットの断面図である。
【図３０】（ａ）は、中間部材の上面図であり、（ｂ）は、図３０（ａ）のＸＸＸｂ−ＸＸＸｂ線における中間部材の断面図である。
【図３１】（ａ）は、正面カバーの正面図であり、（ｂ）は、図３１（ａ）のＸＸＸＩｂ−ＸＸＸＩｂ線における正面カバーの部分拡大断面図である。
【図３２】（ａ）は、反射板の上面図であり、（ｂ）は、図３２（ａ）のＸＸＸＩＩｂ−ＸＸＸＩＩｂ線における反射板の部分拡大断面図である。
【図３３】（ａ）は、回転ユニットの上面図であり、図３３（ｂ）は、（ａ）のＸＸＸＩＩＩｂ−ＸＸＸＩＩＩｂ線における回転ユニットの断面図である。
【図３４】（ａ）及び（ｂ）は、図３３（ｂ）のＸＸＸＩＶ部における回転ユニットの部分拡大断面図である。
【図３５】（ａ）及び（ｂ）は、回転ユニットの正面図である。
【図３６】（ａ）及び（ｂ）は、回転ユニットの上面図である。
【図３７】センターフレームの分解正面斜視図である。
【図３８】センターフレームの分解背面斜視図である。
【図３９】（ａ）は、センターフレームの正面図であり、（ｂ）は、図３９（ａ）のＸＸＸＩＸｂ−ＸＸＸＩＸｂ線におけるセンターフレームの断面図である。
【図４０】（ａ）は、図３９（ａ）のＸＬａ−ＸＬａ線におけるセンターフレームの断面図であり、（ｂ）は、図３９（ａ）のＸＬｂ−ＸＬｂ線におけるセンターフレームの断面図である。
【図４１】（ａ）及び（ｂ）は、回転ユニットおよびセンターフレームの断面図である。
【図４２】振分け装置の分解正面斜視図である。
【図４３】振分け装置の部分拡大正面図である。
【図４４】図４３のＸＬＩＶ−ＸＬＩＶ線における振分け装置の断面図である。
【図４５】（ａ）は図４３のＸＬＶａ−ＸＬＶａ線における振分け装置の断面図であり、（ｂ）は、図４５（ａ）のＸＬＶｂ−ＸＬＶｂ線における振分け装置の断面図であり、（ｃ）は、図４３のＸＬＶｃ−ＸＬＶｃ線における振分け装置の断面図であり、（ｄ）は、図４５のＸＬＶｄ−ＸＬＶｄ線における振分け装置の断面図である。
【図４６】（ａ）は、振分け装置の断面図であり、（ｂ）は、振分け装置の断面図である。
【図４７】発光装飾ユニットの分解正面斜視図である。
【図４８】第２実施形態における規制ユニットの分解正面斜視図である。
【図４９】（ａ）は、規制ユニットの側面図であり、（ｂ）は、規制ユニットの背面図であり、（ｃ）は、図４９（ｂ）のＸＬＩＸｃ−ＸＬＩＸｃ線における規制ユニットの断面図である。
【図５０】（ａ）から（ｃ）は、上下変位ユニットの断面図である。
【図５１】第３実施形態における振分け装置の分解正面斜視図である。
【図５２】振分け装置の部分拡大正面図である。
【図５３】（ａ）は、図５２のＬＩＩＩａ−ＬＩＩＩａ線における振分け装置の断面図であり、（ｂ）は、図５２（ｂ）のＬＩＩＩｂ−ＬＩＩＩｂ線における振分け装置の断面図である。
【図５４】（ａ）及び（ｂ）は、振分け装置の断面図である。
【図５５】（ａ）は、第４実施形態における振分け装置の正面図であり、（ｂ）は、図５５（ａ）のＬＶｂ−ＬＶｂ線における振分け装置の断面図であり、（ｃ）は、図５５（ｂ）のＬＶｃ−ＬＶｃ線における振分け装置の断面図である。
【図５６】変形例としてのセンターフレーム６００の断面図である。
【図５７】（ａ）及び（ｂ）は、第５実施形態における上下変位ユニットの正面図である。
【図５８】上下変位ユニットの分解斜視正面図である。
【図５９】（ａ）は、装飾部材が第３位置に配置された状態における上下変位ユニットの正面図であり、（ｂ）は、装飾部材が第２位置に配置された状態における上下変位ユニットの正面図であり、（ｃ）は、装飾部材が第１位置に配置された状態における上下変位ユニットの正面図である。
【図６０】装飾部材が第２位置に配置された状態における上下変位ユニットの正面図である。
【図６１】上下変位ユニットの正面図である。
【図６２】（ａ）及び（ｂ）は、上下変位ユニットの正面図である。
【図６３】（ａ）は、第６実施形態における上下変位ユニットの正面図であり、（ｂ）は、上下変位ユニットの背面図である。
【図６４】（ａ）は、装飾部材が第２位置に配置された状態における上下変位ユニットの背面図であり、（ｂ）は、ギヤの背面図である。
【図６５】（ａ）及び（ｂ）は、第７実施形態における上下変位ユニットの斜視正面図である。
【図６６】（ａ）及び（ｂ）は、上下変位ユニットの上面図である。
【図６７】（ａ）は、装飾部材が第２位置に配置された状態における上下変位ユニットの正面図であり、（ｂ）は、図６７（ａ）の矢印ＬＸＶＩＩｂ方向視における上下変位ユニットの上面図である。
【図６８】（ａ）は、変位ユニットの変位が規制された状態における上下変位ユニットの上面図であり、（ｂ）は、図６８（ａ）のＬＸＶＩＩＩｂ−ＬＸＶＩＩＩｂ線における上下変位ユニットの断面図である。
【図６９】（ａ）は、第８実施形態における上下変位ユニットの正面図であり、（ｂ）は、上下変位ユニットの斜視正面図である。
【図７０】（ａ）は、ベースユニットの正面図であり、（ｂ）は、図７０（ａ）のＬＸＸｂ−ＬＸＸｂ線におけるベースユニットの断面図である。
【図７１】ベースユニットの分解斜視正面図である。
【図７２】（ａ）は、上下変位ユニットの正面図であり、（ｂ）は、図７２（ａ）のＬＸＸＩＩｂ−ＬＸＸＩＩｂ線における上下変位ユニットの断面図である。
【図７３】（ａ）及び（ｂ）は、上下変位ユニットの断面図である。
【図７４】（ａ）は、上下変位ユニットの正面図であり、（ｂ）は、図７４（ａ）のＬＸＸＩＶｂ−ＬＸＸＩＶｂ線における上下変位ユニットの断面図である。
【図７５】（ａ）及び（ｂ）は、上下変位ユニットの断面図である。
【図７６】（ａ）は、第９実施形態における上下変位ユニットの正面図であり、（ｂ）は、上下変位ユニットの斜視正面図である。
【図７７】上下変位ユニットの分解斜視正面図である。
【図７８】スライドユニットの分解斜視正面図である。
【図７９】上下変位ユニットの側面図である。
【図８０】上下変位ユニットの側面図である。
【図８１】上下変位ユニットの側面図である。
【図８２】（ａ）は、第１０実施形態における上下変位ユニットの正面図であり、（ｂ）は、上下変位ユニットの背面図である。
【図８３】（ａ）、（ｃ）、（ｅ）は、上下変位ユニットの背面図であり、（ｂ）、（ｄ）、（ｆ）は、上下変位ユニットの正面図である。
【図８４】第１１実施形態における上下変位ユニットの背面図である。
【図８５】（ａ）から（ｃ）は、上下変位ユニットの背面図である。
【図８６】（ａ）から（ｃ）は、上下変位ユニットの背面図である。
【図８７】第１２実施形態における上下変位ユニットの正面図である。
【図８８】（ａ）及び（ｂ）は、第１３実施形態における上下変位ユニットの正面図である。
【図８９】（ａ）は、図８８（ｂ）のＬＸＸＸＩＸａ−ＬＸＸＸＩＸａ線における上下変位ユニットの断面図であり、（ｂ）は、図８９（ａ）のＬＸＸＸＩＸｂ−ＬＸＸＸＩＸｂ線における上下変位ユニットの断面図である。
【図９０】（ａ）及び（ｂ）は、上下変位ユニットの断面図である。
【図９１】（ａ）は、変形例としての、上下変位ユニットの正面図であり、（ｂ）は、図８０（ａ）のＸＣＩｂ−ＸＣＩｂ線における上下変位ユニットの断面図である。
【図９２】（ａ）及び（ｂ）は、変形例としての、上下変位ユニットの正面図である。
【発明を実施するための形態】
【００１３】
以下、本発明の実施形態について、添付図面を参照して説明する。まず、図１から図４７を参照し、第１実施形態として、本発明をパチンコ遊技機（以下、単に「パチンコ機」という）１に適用した場合の一実施形態について説明する。図１は、第１実施形態におけるパチンコ機１の正面図であり、図２はパチンコ機１の遊技盤１３の正面図であり、図３はパチンコ機１の背面図である。
【００１４】
図１に示すように、パチンコ機１は、略矩形状に組み合わせた木枠により外殻が形成される外枠２と、その外枠２と略同一の外形形状に形成され外枠２に対して開閉可能に支持された内枠４とを備えている。外枠２には、内枠４を支持するために正面視（図１参照）左側の上下２カ所に金属製のヒンジ１８が取り付けられ、そのヒンジ１８が設けられた側を開閉の軸として内枠４が正面手前側へ開閉可能に支持されている。
【００１５】
内枠４には、多数の釘や入賞口６３，６４等を有する遊技盤１３（図２参照）が裏面側から着脱可能に装着される。この遊技盤１３の前面を球（遊技球）が流下することにより弾球遊技が行われる。なお、内枠４には、球を遊技盤１３の前面領域に発射する球発射ユニット１１２ａ（図４参照）やその球発射ユニット１１２ａから発射された球を遊技盤１３の前面領域まで誘導する発射レール（図示せず）等が取り付けられている。
【００１６】
内枠４の前面側には、その前面上側を覆う前扉５と、その下側を覆う下皿ユニット１５とが設けられている。前扉５および下皿ユニット１５を支持するために正面視（図１参照）左側の上下２カ所に金属製のヒンジ１９が取り付けられ、そのヒンジ１９が設けられた側を開閉の軸として前扉５および下皿ユニット１５が正面手前側へ開閉可能に支持されている。なお、内枠４の施錠と前扉５の施錠とは、シリンダ錠２０の鍵穴２１に専用の鍵を差し込んで所定の操作を行うことでそれぞれ解除される。
【００１７】
前扉５は、装飾用の樹脂部品や電気部品等を組み付けたものであり、その略中央部には略楕円形状に開口形成された窓部５ｃが設けられている。前扉５の裏面側には２枚の板ガラス８を有するガラスユニット１６が配設され、そのガラスユニット１６を介して遊技盤１３の前面がパチンコ機１の正面側に視認可能となっている。
【００１８】
前扉５には、球を貯留する上皿１７が前方へ張り出して上面を開放した略箱状に形成されており、この上皿１７に賞球や貸出球などが排出される。上皿１７の底面は正面視（図１参照）右側に下降傾斜して形成され、その傾斜により上皿１７に投入された球が球発射ユニット１１２ａ（図４参照）へと案内される。また、上皿１７の上面には、枠ボタン２２が設けられている。この枠ボタン２２は、例えば、第３図柄表示装置８１（図２参照）で表示される演出のステージを変更したり、スーパーリーチの演出内容を変更したりする場合などに、遊技者により操作される。
【００１９】
前扉５には、その周囲（例えばコーナー部分）に各種ランプ等の発光手段が設けられている。これら発光手段は、大当たり時や所定のリーチ時等における遊技状態の変化に応じて、点灯又は点滅することにより発光態様が変更制御され、遊技中の演出効果を高める役割を果たす。窓部５ｃの周縁には、ＬＥＤ等の発光手段を内蔵した電飾部２９〜３３が設けられている。パチンコ機１においては、これら電飾部２９〜３３が大当たりランプ等の演出ランプとして機能し、大当たり時やリーチ演出時等には内蔵するＬＥＤの点灯や点滅によって各電飾部２９〜３３が点灯または点滅して、大当たり中である旨、或いは大当たり一歩手前のリーチ中である旨が報知される。また、前扉５の正面視（図１参照）左上部には、ＬＥＤ等の発光手段が内蔵され賞球の払い出し中とエラー発生時とを表示可能な表示ランプ３４が設けられている。
【００２０】
また、右側の電飾部３２下側には、前扉５の裏面側を視認できるように裏面側より透明樹脂を取り付けて小窓３５が形成され、遊技盤１３前面の貼着スペースＫ１（図２参照）に貼付される証紙等がパチンコ機１の前面から視認可能とされている。また、パチンコ機１においては、より煌びやかさを醸し出すために、電飾部２９〜３３の周りの領域にクロムメッキを施したＡＢＳ樹脂製のメッキ部材３６が取り付けられている。
【００２１】
窓部５ｃの下方には、貸球操作部４０が配設されている。貸球操作部４０には、度数表示部４１と、球貸しボタン４２と、返却ボタン４３とが設けられている。パチンコ機１の側方に配置されるカードユニット（球貸しユニット）（図示せず）に紙幣やカード等を投入した状態で貸球操作部４０が操作されると、その操作に応じて球の貸出が行われる。具体的には、度数表示部４１はカード等の残額情報が表示される領域であり、内蔵されたＬＥＤが点灯して残額情報として残額が数字で表示される。球貸しボタン４２は、カード等（記録媒体）に記録された情報に基づいて貸出球を得るために操作されるものであり、カード等に残額が存在する限りにおいて貸出球が上皿１７に供給される。返却ボタン４３は、カードユニットに挿入されたカード等の返却を求める際に操作される。なお、カードユニットを介さずに球貸し装置等から上皿１７に球が直接貸し出されるパチンコ機、いわゆる現金機では貸球操作部４０が不要となるが、この場合には、貸球操作部４０の設置部分に飾りシール等を付加して部品構成は共通のものとしても良い。カードユニットを用いたパチンコ機と現金機との共通化を図ることができる。
【００２２】
上皿１７の下側に位置する下皿ユニット１５には、その中央部に上皿１７に貯留しきれなかった球を貯留するための下皿５０が上面を開放した略箱状に形成されている。下皿５０の右側には、球を遊技盤１３の前面へ打ち込むために遊技者によって操作される操作ハンドル５１が配設される。
【００２３】
操作ハンドル５１の内部には、球発射ユニット１１２ａの駆動を許可するためのタッチセンサ５１ａと、押下操作している期間中には球の発射を停止する発射停止スイッチ５１ｂと、操作ハンドル５１の回動操作量（回動位置）を電気抵抗の変化により検出する可変抵抗器（図示せず）などが内蔵されている。操作ハンドル５１が遊技者によって右回りに回動操作されると、タッチセンサ５１ａがオンされると共に可変抵抗器の抵抗値が回動操作量に対応して変化し、その可変抵抗器の抵抗値に対応した強さ（発射強度）で球が発射され、これにより遊技者の操作に対応した飛び量で遊技盤１３の前面へ球が打ち込まれる。また、操作ハンドル５１が遊技者により操作されていない状態においては、タッチセンサ５１ａおよび発射停止スイッチ５１ｂがオフとなっている。
【００２４】
下皿５０の正面下方部には、下皿５０に貯留された球を下方へ排出する際に操作するための球抜きレバー５２が設けられている。この球抜きレバー５２は、常時、右方向に付勢されており、その付勢に抗して左方向へスライドさせることにより、下皿５０の底面に形成された底面口が開口して、その底面口から球が自然落下して排出される。この球抜きレバー５２の操作は、通常、下皿５０の下方に下皿５０から排出された球を受け取る箱（一般に「千両箱」と称される）を置いた状態で行われる。下皿５０の右方には、上述したように操作ハンドル５１が配設され、下皿５０の左方には灰皿５３が取り付けられている。
【００２５】
図２に示すように、遊技盤１３は、正面視略正方形状に切削加工したベース板６０に、球案内用の多数の釘（図示せず）や風車の他、レール７６，７７、一般入賞口６３、第１入賞口６４、第２入賞口６４０、可変入賞装置６５、第１スルーゲート６６，６７、可変表示装置ユニット８０等を組み付けて構成され、その周縁部が内枠４（図１参照）の裏面側に取り付けられる。ベース板６０は薄い板材を張り合わせた木材からなり、その正面側からベース板６０の背面側に配設された各種構造体を遊技者に目視できないように形成される。一般入賞口６３、第１入賞口６４、第２入賞口６４０、可変入賞装置６５、可変表示装置ユニット８０は、ルータ加工によってベース板６０に形成された貫通穴に配設され、遊技盤１３の前面側からタッピングネジ等により固定されている。
【００２６】
遊技盤１３の前面中央部分は、前扉５の窓部５ｃ（図１参照）を通じて内枠４の前面側から視認することができる。以下に、主に図２を参照して、遊技盤１３の構成について説明する。
【００２７】
遊技盤１３の前面には、帯状の金属板を略円弧状に屈曲加工して形成した外レール７７が植立され、その外レール７７の内側位置には外レール７７と同様に帯状の金属板で形成した円弧状の内レール７６が植立される。この内レール７６と外レール７７とにより遊技盤１３の前面外周が囲まれ、遊技盤１３とガラスユニット１６（図１参照）とにより前後が囲まれることにより、遊技盤１３の前面には、球の挙動により遊技が行われる遊技領域が形成される。遊技領域は、遊技盤１３の前面であって２本のレール７６，７７とレール間を繋ぐ樹脂製の外縁部材７３とにより区画して形成される領域（入賞口等が配設され、発射された球が流下する領域）である。
【００２８】
２本のレール７６，７７は、球発射ユニット１１２ａ（図４参照）から発射された球を遊技盤１３上部へ案内するために設けられたものである。内レール７６の先端部分（図２の左上部）には戻り球防止部材６８が取り付けられ、一旦、遊技盤１３の上部へ案内された球が再度球案内通路内に戻ってしまうといった事態が防止される。外レール７７の先端部（図２の右上部）には、球の最大飛翔部分に対応する位置に返しゴム６９が取り付けられ、所定以上の勢いで発射された球は、返しゴム６９に当たって、勢いが減衰されつつ中央部側へ跳ね返される。
【００２９】
遊技領域の正面視左側下部（図２の左側下部）には、発光手段である複数のＬＥＤおよび７セグメント表示器を備える第１図柄表示装置３７Ａ，３７Ｂが配設されている。第１図柄表示装置３７Ａ，３７Ｂは、主制御装置１１０（図４参照）で行われる各制御に応じた表示がなされるものであり、主にパチンコ機１の遊技状態の表示が行われる。本実施形態では、第１図柄表示装置３７Ａ，３７Ｂは、球が、第１入賞口６４へ入賞したか、第２入賞口６４０へ入賞したかに応じて使い分けられるように構成されている。具体的には、球が、第１入賞口６４へ入賞した場合には、第１図柄表示装置３７Ａが作動し、一方で、球が、第２入賞口６４０へ入賞した場合には、第１図柄表示装置３７Ｂが作動するように構成されている。
【００３０】
また、第１図柄表示装置３７Ａ，３７Ｂは、ＬＥＤにより、パチンコ機１が確変中か時短中か通常中であるかを点灯状態により示したり、変動中であるか否かを点灯状態により示したり、停止図柄が確変大当たりに対応した図柄か普通大当たりに対応した図柄か外れ図柄であるかを点灯状態により示したり、保留球数を点灯状態により示すと共に、７セグメント表示装置により、大当たり中のラウンド数やエラー表示を行う。なお、複数のＬＥＤは、それぞれのＬＥＤの発光色（例えば、赤、緑、青）が異なるよう構成され、その発光色の組み合わせにより、少ないＬＥＤでパチンコ機１の各種遊技状態を示唆することができる。
【００３１】
なお、本パチンコ機１では、第１入賞口６４，第２入賞口６４０のいずれかに入賞があったことを契機として抽選が行われる。パチンコ機１は、その抽選において、大当たりか否かの当否判定（大当たり抽選）を行うと共に、大当たりと判定した場合はその大当たり種別の判定も行う。ここで判定される大当たり種別としては、１５Ｒ確変大当たり、４Ｒ確変大当たり、１５Ｒ通常大当たりが用意されている。第１図柄表示装置３７Ａ，３７Ｂには、変動終了後の停止図柄として抽選の結果が大当たりであるか否かが示されるだけでなく、大当たりである場合はその大当たり種別に応じた図柄が示される。
【００３２】
ここで、「１５Ｒ確変大当たり」とは、最大ラウンド数が１５ラウンドの大当たりの後に高確率状態へ移行する確変大当たりのことであり、「４Ｒ確変大当たり」とは、最大ラウンド数が４ラウンドの大当たりの後に高確率状態へ移行する確変大当たりのことである。また、「１５Ｒ通常大当たり」は、最大ラウンド数が１５ラウンドの大当たりの後に、低確率状態へ移行すると共に、所定の変動回数の間（例えば、１００変動回数）は時短状態となる大当たりのことである。
【００３３】
また、「高確率状態」とは、大当たり終了後に付加価値としてその後の大当たり確率がアップした状態、いわゆる確率変動中（確変中）の時をいい、換言すれば、特別遊技状態へ移行し易い遊技の状態のことである。本実施形態における高確率状態（確変中）は、後述する第２図柄の当たり確率がアップして第２入賞口６４０へ球が入賞し易い遊技の状態を含む。「低確率状態」とは、確変中でない時をいい、大当たり確率が通常の状態、即ち、確変の時より大当たり確率が低い状態をいう。また、「低確率状態」のうちの時短状態（時短中）とは、大当たり確率が通常の状態であると共に、大当たり確率がそのままで第２図柄の当たり確率のみがアップして第２入賞口６４０へ球が入賞し易い遊技の状態のことをいう。一方、パチンコ機１が通常中とは、確変中でも時短中でもない遊技の状態（大当たり確率も第２図柄の当たり確率もアップしていない状態）である。
【００３４】
確変中や時短中は、第２図柄の当たり確率がアップするだけではなく、第２入賞口６４０に付随する第１電動役物６４０ａが開放される時間も変更され、通常中と比して長い時間が設定される。第１電動役物６４０ａが開放された状態（開放状態）にある場合は、その第１電動役物６４０ａが閉鎖された状態（閉鎖状態）にある場合と比して、第２入賞口６４０へ球が入賞しやすい状態となる。よって、確変中や時短中は、第２入賞口６４０へ球が入賞し易い状態となり、大当たり抽選が行われる回数を増やすことができる。
【００３５】
なお、確変中や時短中において、第２入賞口６４０に付随する第１電動役物６４０ａの開放時間を変更するのではなく、または、その開放時間を変更することに加えて、１回の当たりで第１電動役物６４０ａが開放する回数を通常中よりも増やす変更を行うものとしてもよい。また、確変中や時短中において、第２図柄の当たり確率は変更せず、第２入賞口６４０に付随する第１電動役物６４０ａが開放される時間および１回の当たりで第１電動役物６４０ａが開放する回数の少なくとも一方を変更するものとしてもよい。また、確変中や時短中において、第２入賞口６４０に付随する第１電動役物６４０ａが開放される時間や、１回の当たりで第１電動役物６４０ａおよび第２電動役物８２を開放する回数はせず、第２図柄の当たり確率だけを、通常中と比してアップするよう変更するものであってもよい。
【００３６】
遊技領域には、球が入賞することにより５個から１５個の球が賞球として払い出される複数の一般入賞口６３が配設されている。また、遊技領域の中央部分には、可変表示装置ユニット８０が配設されている。可変表示装置ユニット８０には、第１入賞口６４、第２入賞口６４０のいずれかの入賞（始動入賞）をトリガとして、第１図柄表示装置３７Ａ，３７Ｂにおける変動表示と同期させながら、第３図柄の変動表示を行う液晶ディスプレイ（以下単に「表示装置」と略す）で構成された第３図柄表示装置８１と、第１スルーゲート６６，６７の球の通過をトリガとして第２図柄を変動表示するＬＥＤで構成される第２図柄表示装置（図示せず）とが設けられている。
【００３７】
また、可変表示装置ユニット８０には、第３図柄表示装置８１の外周を囲むようにして、センターフレーム６００が配設されている。このセンターフレーム６００の中央に開口される開口部から第３図柄表示装置８１が視認可能とされる。
【００３８】
第３図柄表示装置８１は９インチサイズの大型の液晶ディスプレイで構成されるものであり、表示制御装置１１４（図４参照）によって表示内容が制御されることにより、例えば上、中および下の３つの図柄列が表示される。各図柄列は複数の図柄（第３図柄）によって構成され、これらの第３図柄が図柄列毎に横スクロールして第３図柄表示装置８１の表示画面上にて第３図柄が可変表示されるようになっている。本実施形態の第３図柄表示装置８１は、主制御装置１１０（図４参照）の制御に伴った遊技状態の表示が第１図柄表示装置３７Ａ，３７Ｂで行われるのに対して、その第１図柄表示装置３７Ａ，３７Ｂの表示に応じた装飾的な表示を行うものである。なお、表示装置に代えて、例えばリール等を用いて第３図柄表示装置８１を構成するようにしても良い。
【００３９】
第２図柄表示装置は、球が第１スルーゲート６６，６７を通過する毎に表示図柄（第２図柄（図示せず））としての「○」の図柄と「×」の図柄とを所定時間交互に点灯させる変動表示を行うものである。パチンコ機１では、球が第１スルーゲート６６，６７を通過したことが検出されると、当たり抽選が行われる。その当たり抽選の結果、当たりであれば、第２図柄表示装置において、第２図柄の変動表示後に「○」の図柄が停止表示される。また、当たり抽選の結果、外れであれば、第２図柄表示装置において、第３図柄の変動表示後に「×」の図柄が停止表示される。
【００４０】
パチンコ機１は、第２図柄表示装置における変動表示が所定図柄（本実施形態においては「○」の図柄）で停止した場合に、第２入賞口６４０に付随された第１電動役物６４０ａが所定時間だけ作動状態となる（開放される）よう構成されている。
【００４１】
第２図柄の変動表示にかかる時間は、遊技状態が通常中の場合よりも、確変中または時短中の方が短くなるように設定される。これにより、確変中および時短中は、第２図柄の変動表示が短い時間で行われるので、当たり抽選を通常中よりも多く行うことができる。よって、当たり抽選において当たりとなる機会が増えるので、第２入賞口６４０の第１電動役物６４０ａが開放状態となる機会を遊技者に多く与えることができる。よって、確変中および時短中は、第２入賞口６４０へ球が入賞しやすい状態とすることができる。
【００４２】
なお、確変中または時短中において、当たり確率を高める、１回に当たりに対する第１電動役物６４０ａの開放時間や開放回数を増やすなど、その他の方法によっても、確変中または時短中に第２入賞口６４０および第３入賞口へ球が入賞しやすい状態としている場合は、第２図柄の変動表示にかかる時間を遊技状態にかかわらず一定としてもよい。一方、第２図柄の変動表示にかかる時間を、確変中または時短中において通常中よりも短く設定する場合は、当たり確率を遊技状態にかかわらず一定にしてもよいし、また、１回の当たりに対する第１電動役物６４０ａの開放時間や開放回数を遊技状態にかかわらず一定にしてもよい。
【００４３】
第１スルーゲート６６、６７は、可変表示装置ユニット８０の両側の領域において遊技盤に組み付けられる。第１スルーゲート６６，６７は、遊技盤に発射された球のうち、遊技盤を流下する球の一部が通過可能に構成されている。第１スルーゲート６６，６７を球が通過すると、第２図柄の当たり抽選が行われる。当たり抽選の後、第２図柄表示装置にて変動表示を行い、当たり抽選の結果が当たりであれば、変動表示の停止図柄として「○」の図柄を表示し、当たり抽選の結果が外れであれば、変動表示の停止図柄として「×」の図柄を表示する。
【００４４】
球の第１スルーゲート６６，６７の通過回数は、合計で最大４回まで保留され、その保留球数が上述した第１図柄表示装置３７Ａ，３７Ｂにより表示されると共に第２図柄保留ランプ（図示せず）においても点灯表示される。第２図柄保留ランプは、最大保留数分の４つ設けられ、第３図柄表示装置８１の下方に左右対称に配設されている。
【００４５】
なお、第２図柄の変動表示は、本実施形態のように、第２図柄表示装置において複数のランプの点灯と非点灯を切り換えることにより行うものの他、第１図柄表示装置３７Ａ，３７Ｂおよび第３図柄表示装置８１の一部を使用して行うようにしても良い。同様に、第２図柄保留ランプの点灯を第３図柄表示装置８１の一部で行うようにしても良い。また、第１スルーゲート６６，６７の球の通過に対する最大保留球数は４回に限定されるものでなく、３回以下、又は、５回以上の回数（例えば、８回）に設定しても良い。また、スルーゲートの組み付け数は２つに限定されるものではなく、３つ以上の複数であっても良い。また、スルーゲートの組み付け位置は可変表示装置ユニット８０の左右両側に限定されるものではなく、例えば、可変表示装置ユニット８０の下方でも良い。また、第１図柄表示装置３７Ａ，３７Ｂにより保留球数が示されるので、第２図柄保留ランプにより点灯表示を行わないものとしてもよい。
【００４６】
可変表示装置ユニット８０の下方には、球が入賞し得る第１入賞口６４が配設されている。この第１入賞口６４へ球が入賞すると遊技盤１３の裏面側に設けられる第１入賞口スイッチ（図示せず）がオンとなり、その第１入賞口スイッチのオンに起因して主制御装置１１０（図４参照）で大当たりの抽選がなされ、その抽選結果に応じた表示が第１図柄表示装置３７Ａで示される。
【００４７】
一方、第１入賞口６４の正面視下方には、球が入賞し得る第２入賞口６４０が配設されている。第２入賞口６４０へ球が入賞すると遊技盤１３の裏面側に設けられる第２入賞口スイッチ（図示せず）がオンとなり、その第２入賞口スイッチのオンに起因して主制御装置１１０（図４参照）で大当たりの抽選がなされ、その抽選結果に応じた表示が第１図柄表示装置３７Ｂで示される。
【００４８】
また、第１入賞口６４，第２入賞口６４０は、それぞれ、球が入賞すると５個の球が賞球として払い出される入賞口の１つにもなっている。なお、本実施形態においては、第１入賞口６４へ球が入賞した場合に払い出される賞球数と第２入賞口６４０へ球が入賞した場合に払い出される賞球数とを同じに構成したが、第１入賞口６４へ球が入賞した場合に払い出される賞球数と第２入賞口６４０へ球が入賞した場合に払い出される賞球数とを異なる数、例えば、第１入賞口６４へ球が入賞した場合に払い出される賞球数を３個とし、第２入賞口６４０へ球が入賞した場合に払い出される賞球数を５個として構成してもよい。
【００４９】
第２入賞口６４０には第１電動役物６４０ａが付随されている。この第１電動役物６４０ａは開閉可能に構成されており、通常は第１電動役物６４０ａが閉鎖状態（縮小状態）となって、球が第２入賞口６４０へ入賞しにくい状態となっている。一方、第１スルーゲート６６，６７への球の通過を契機として行われる第２図柄の変動表示の結果、「○」の図柄が第２図柄表示装置に表示された場合、第１電動役物６４０ａが開放状態（拡大状態）となり、球が第２入賞口６４０へ入賞しやすい状態となる。
【００５０】
上述した通り、確変中および時短中は、通常中と比して第２図柄の当たり確率が高く、また、第２図柄の変動表示にかかる時間も短いので、第２図柄の変動表示において「○」の図柄が表示され易くなって、第１電動役物６４０ａが開放状態（拡大状態）となる回数が増える。更に、確変中または時短中は、第１電動役物６４０ａが開放される時間も、通常中より長くなる。よって、確変中または時短中は、通常時と比して、第２入賞口６４０へ球が入賞しやすい状態を作ることができる。
【００５１】
ここで、第１入賞口６４に球が入賞した場合と第２入賞口６４０へ球が入賞した場合とで、大当たりとなる確率は、低確率状態であっても高確率状態でも同一である。しかしながら、大当たりとなった場合に選定される大当たりの種別として１５Ｒ確変大当たりとなる確率は、第２入賞口６４０へ球が入賞した場合のほうが第１入賞口６４へ球が入賞した場合よりも高く設定されている。一方、第１入賞口６４は、第２入賞口６４０にあるような第１電動役物６４０ａは有しておらず、球が常時入賞可能な状態となっている。
【００５２】
よって、通常中においては、第２入賞口６４０に付随する電動役物が閉鎖状態にある場合が多く、第２入賞口６４０に入賞しづらいので、電動役物のない第１入賞口６４へ向けて、可変表示装置ユニット８０の左方を球が通過するように球を発射し、第１入賞口６４への入賞によって大当たり抽選の機会を多く得て、大当たりとなることを狙った方が、遊技者にとって有利となる。
【００５３】
一方、確変中や時短中は、第１スルーゲート６６，６７に球を通過させることで、第２入賞口６４０に付随する第１電動役物６４０ａが開放状態となりやすく、第２入賞口６４０に入賞しやすい状態であるので、第２入賞口６４０へ向けて、可変表示装置ユニット８０の右方を球が通過するように球を発射し、第１スルーゲート６６，６７を通過させて第１電動役物６４０ａを開放状態にすると共に、第２入賞口６４０への入賞によって１５Ｒ確変大当たりとなることを狙った方が、遊技者にとって有利となる。
【００５４】
このように、本実施形態のパチンコ機１は、パチンコ機１の遊技状態（確変中であるか、時短中であるか、通常中であるか）に応じて、遊技者に対し、球の発射の仕方を変えさせることができる。よって、遊技者に対して、球の打ち方に変化をもたらすことができるので、遊技を楽しませることができる。
【００５５】
第１入賞口６４の下側には可変入賞装置６５が配設されており、その略中央部分に横長矩形状の特定入賞口（大開放口）６５ａが設けられている。パチンコ機１においては、第１入賞口６４，第２入賞口６４０のいずれかの入賞に起因して行われた大当たり抽選が大当たりとなると、所定時間（変動時間）が経過した後に、大当たりの停止図柄となるよう第１図柄表示装置３７Ａ又は第１図柄表示装置３７Ｂを点灯させると共に、その大当たりに対応した停止図柄を第３図柄表示装置８１に表示させて、大当たりの発生が示される。その後、球が入賞し易い特別遊技状態（大当たり）に遊技状態が遷移する。この特別遊技状態として、通常時には閉鎖されている特定入賞口６５ａが、所定時間（例えば、３０秒経過するまで、或いは、球が１０個入賞するまで）開放される。
【００５６】
この特定入賞口６５ａは、所定時間が経過すると閉鎖され、その閉鎖後、再度、その特定入賞口６５ａが所定時間開放される。この特定入賞口６５ａの開閉動作は、最高で例えば１５回（１５ラウンド）繰り返し可能にされている。この開閉動作が行われている状態が、遊技者にとって有利な特別遊技状態の一形態であり、遊技者には、遊技上の価値（遊技価値）の付与として通常時より多量の賞球の払い出しが行われる。
【００５７】
可変入賞装置６５は、具体的には、特定入賞口６５ａを覆う横長矩形状の開閉板と、その開閉板の下辺を軸として前方側に開閉駆動するための大開放口ソレノイド（図示せず）とを備えている。特定入賞口６５ａは、通常時は、球が入賞できないか又は入賞し難い閉状態になっている。大当たりの際には大開放口ソレノイドを駆動して開閉板を前面下側に傾倒し、球が特定入賞口６５ａに入賞しやすい開状態を一時的に形成し、その開状態と通常時の閉状態との状態を交互に繰り返すように作動する。
【００５８】
なお、上記した形態に特別遊技状態は限定されるものではない。特定入賞口６５ａとは別に開閉される大開放口を遊技領域に設け、第１図柄表示装置３７Ａ，３７Ｂにおいて大当たりに対応したＬＥＤが点灯した場合に、特定入賞口６５ａが所定時間開放され、その特定入賞口６５ａの開放中に、球が特定入賞口６５ａ内へ入賞することを契機として特定入賞口６５ａとは別に設けられた大開放口が所定時間、所定回数開放される遊技状態を特別遊技状態として形成するようにしても良い。また、特定入賞口６５ａは１つに限るものではなく、１つ若しくは２以上の複数（例えば３つ）配置しても良く、また配置位置も第１入賞口６４の右側に限らず、例えば、可変表示装置ユニット８０の左方でも良い。
【００５９】
遊技盤１３の下側における右隅部には、証紙や識別ラベル等を貼着するための貼着スペースＫ１が設けられ、貼着スペースＫ１に貼られた証紙等は、前扉５の小窓３５（図１参照）を通じて視認することができる。
【００６０】
遊技盤１３には、第１アウト口７１が設けられている。遊技領域を流下する球であって、いずれの入賞口６３，６４，６５ａ，６４０，８２，にも入賞しなかった球は、第１アウト口７１を通って図示しない球排出路へと案内される。第１アウト口７１は、第１入賞口６４の下方に配設される。
【００６１】
遊技盤１３には、球の落下方向を適宜分散、調整等するために多数の釘が植設されているとともに、風車等の各種部材（役物）とが配設されている。
【００６２】
図３に示すように、パチンコ機１の背面側には、制御基板ユニット９０，９１と、裏パックユニット９４とが主に備えられている。制御基板ユニット９０は、主基板（主制御装置１１０）と音声ランプ制御基板（音声ランプ制御装置１１３）と表示制御基板（表示制御装置１１４）とが搭載されてユニット化されている。制御基板ユニット９１は、払出制御基板（払出制御装置１１１）と発射制御基板（発射制御装置１１２）と電源基板（電源装置１１５）とカードユニット接続基板１１６とが搭載されてユニット化されている。
【００６３】
裏パックユニット９４は、保護カバー部を形成する裏パック９２と払出ユニット９３とがユニット化されている。また、各制御基板には、各制御を司る１チップマイコンとしてのＭＰＵ、各種機器との連絡をとるポート、各種抽選の際に用いられる乱数発生器、時間計数や同期を図る場合などに使用されるクロックパルス発生回路等が、必要に応じて搭載されている。
【００６４】
なお、主制御装置１１０、音声ランプ制御装置１１３および表示制御装置１１４、払出制御装置１１１および発射制御装置１１２、電源装置１１５、カードユニット接続基板１１６は、それぞれ基板ボックス１００〜１０４に収納されている。基板ボックス１００〜１０４は、ボックスベースと該ボックスベースの開口部を覆うボックスカバーとを備えており、そのボックスベースとボックスカバーとが互いに連結されて、各制御装置や各基板が収納される。
【００６５】
また、基板ボックス１００（主制御装置１１０）および基板ボックス１０２（払出制御装置１１１および発射制御装置１１２）は、ボックスベースとボックスカバーとを封印ユニット（図示せず）によって開封不能に連結（かしめ構造による連結）している。また、ボックスベースとボックスカバーとの連結部には、ボックスベースとボックスカバーとに亘って封印シール（図示せず）が貼着されている。この封印シールは、脆性な素材で構成されており、基板ボックス１００，１０２を開封するために封印シールを剥がそうとしたり、基板ボックス１００，１０２を無理に開封しようとすると、ボックスベース側とボックスカバー側とに切断される。よって、封印ユニット又は封印シールを確認することで、基板ボックス１００，１０２が開封されたかどうかを知ることができる。
【００６６】
払出ユニット９３は、裏パックユニット９４の最上部に位置して上方に開口したタンク１３０と、タンク１３０の下方に連結され下流側に向けて緩やかに傾斜するタンクレール１３１と、タンクレール１３１の下流側に縦向きに連結されるケースレール１３２と、ケースレール１３２の最下流部に設けられ、払出モータ２１６（図４参照）の所定の電気的構成により球の払出を行う払出装置１３３とを備えている。タンク１３０には、遊技ホールの島設備から供給される球が逐次補給され、払出装置１３３により必要個数の球の払い出しが適宜行われる。タンクレール１３１には、当該タンクレール１３１に振動を付加するためのバイブレータ１３４が取り付けられている。
【００６７】
また、払出制御装置１１１には状態復帰スイッチ１２０が設けられ、発射制御装置１１２には可変抵抗器の操作つまみ１２１が設けられ、電源装置１１５にはＲＡＭ消去スイッチ１２２が設けられている。状態復帰スイッチ１２０は、例えば、払出モータ２１６（図４参照）部の球詰まり等、払出エラーの発生時に球詰まりを解消（正常状態への復帰）するために操作される。操作つまみ１２１は、発射ソレノイドの発射力を調整するために操作される。ＲＡＭ消去スイッチ１２２は、パチンコ機１を初期状態に戻したい場合に電源投入時に操作される。
【００６８】
次に、図４を参照して、本パチンコ機１の電気的構成について説明する。図４は、パチンコ機１の電気的構成を示すブロック図である。
【００６９】
主制御装置１１０には、演算装置である１チップマイコンとしてのＭＰＵ２０１が搭載されている。ＭＰＵ２０１には、該ＭＰＵ２０１により実行される各種の制御プログラムや固定値データを記憶したＲＯＭ２０２と、そのＲＯＭ２０２内に記憶される制御プログラムの実行に際して各種のデータ等を一時的に記憶するためのメモリであるＲＡＭ２０３と、そのほか、割込回路やタイマ回路、データ送受信回路などの各種回路が内蔵されている。主制御装置１１０では、ＭＰＵ２０１によって、大当たり抽選や第１図柄表示装置３７Ａ，３７Ｂおよび第３図柄表示装置８１における表示の設定、第２図柄表示装置における表示結果の抽選といったパチンコ機１の主要な処理を実行する。
【００７０】
なお、払出制御装置１１１や音声ランプ制御装置１１３などのサブ制御装置に対して動作を指示するために、主制御装置１１０から該サブ制御装置へ各種のコマンドがデータ送受信回路によって送信されるが、かかるコマンドは、主制御装置１１０からサブ制御装置へ一方向にのみ送信される。
【００７１】
ＲＡＭ２０３は、各種エリア、カウンタ、フラグのほか、ＭＰＵ２０１の内部レジスタの内容やＭＰＵ２０１により実行される制御プログラムの戻り先番地などが記憶されるスタックエリアと、各種のフラグおよびカウンタ、Ｉ／Ｏ等の値が記憶される作業エリア（作業領域）とを有している。なお、ＲＡＭ２０３は、パチンコ機１の電源の遮断後においても電源装置１１５からバックアップ電圧が供給されてデータを保持（バックアップ）できる構成となっており、ＲＡＭ２０３に記憶されるデータは、すべてバックアップされる。
【００７２】
停電などの発生により電源が遮断されると、その電源遮断時（停電発生時を含む。以下同様）のスタックポインタや、各レジスタの値がＲＡＭ２０３に記憶される。一方、電源投入時（停電解消による電源投入を含む。以下同様）には、ＲＡＭ２０３に記憶される情報に基づいて、パチンコ機１の状態が電源遮断前の状態に復帰される。ＲＡＭ２０３への書き込みはメイン処理（図示せず）によって電源遮断時に実行され、ＲＡＭ２０３に書き込まれた各値の復帰は電源投入時の立ち上げ処理（図示せず）において実行される。なお、ＭＰＵ２０１のＮＭＩ端子（ノンマスカブル割込端子）には、停電等の発生による電源遮断時に、停電監視回路２５２からの停電信号ＳＧ１が入力されるように構成されており、その停電信号ＳＧ１がＭＰＵ２０１へ入力されると、停電時処理としてのＮＭＩ割込処理（図示せず）が即座に実行される。
【００７３】
主制御装置１１０のＭＰＵ２０１には、アドレスバスおよびデータバスで構成されるバスライン２０４を介して入出力ポート２０５が接続されている。入出力ポート２０５には、払出制御装置１１１、音声ランプ制御装置１１３、第１図柄表示装置３７Ａ，３７Ｂ、第２図柄表示装置、第２図柄保留ランプ、特定入賞口６５ａの開閉板の下辺を軸として前方側に開閉駆動するための大開放口ソレノイドや電動役物を駆動するためのソレノイドなどからなるソレノイド２０９が接続され、ＭＰＵ２０１は、入出力ポート２０５を介してこれらに対し各種コマンドや制御信号を送信する。
【００７４】
また、入出力ポート２０５には、図示しないスイッチ群およびスライド位置検出センサＳや回転位置検出センサＲを含むセンサ群などからなる各種スイッチ２０８、電源装置１１５に設けられた後述のＲＡＭ消去スイッチ回路２５３が接続され、ＭＰＵ２０１は各種スイッチ２０８から出力される信号や、ＲＡＭ消去スイッチ回路２５３より出力されるＲＡＭ消去信号ＳＧ２に基づいて各種処理を実行する。
【００７５】
払出制御装置１１１は、払出モータ２１６を駆動させて賞球や貸出球の払出制御を行うものである。演算装置であるＭＰＵ２１１は、そのＭＰＵ２１１により実行される制御プログラムや固定値データ等を記憶したＲＯＭ２１２と、ワークメモリ等として使用されるＲＡＭ２１３とを有している。
【００７６】
払出制御装置１１１のＲＡＭ２１３は、主制御装置１１０のＲＡＭ２０３と同様に、ＭＰＵ２１１の内部レジスタの内容やＭＰＵ２１１により実行される制御プログラムの戻り先番地などが記憶されるスタックエリアと、各種のフラグおよびカウンタ、Ｉ／Ｏ等の値が記憶される作業エリア（作業領域）とを有している。ＲＡＭ２１３は、パチンコ機１の電源の遮断後においても電源装置１１５からバックアップ電圧が供給されてデータを保持（バックアップ）できる構成となっており、ＲＡＭ２１３に記憶されるデータは、すべてバックアップされる。なお、主制御装置１１０のＭＰＵ２０１と同様、ＭＰＵ２１１のＮＭＩ端子にも、停電等の発生による電源遮断時に停電監視回路２５２から停電信号ＳＧ１が入力されるように構成されており、その停電信号ＳＧ１がＭＰＵ２１１へ入力されると、停電時処理としてのＮＭＩ割込処理（図示せず）が即座に実行される。
【００７７】
払出制御装置１１１のＭＰＵ２１１には、アドレスバスおよびデータバスで構成されるバスライン２１４を介して入出力ポート２１５が接続されている。入出力ポート２１５には、主制御装置１１０や払出モータ２１６、発射制御装置１１２などがそれぞれ接続されている。また、図示はしないが、払出制御装置１１１には、払い出された賞球を検出するための賞球検出スイッチが接続されている。なお、該賞球検出スイッチは、払出制御装置１１１に接続されるが、主制御装置１１０には接続されていない。
【００７８】
発射制御装置１１２は、主制御装置１１０により球の発射の指示がなされた場合に、操作ハンドル５１の回動操作量に応じた球の打ち出し強さとなるよう球発射ユニット１１２ａを制御するものである。球発射ユニット１１２ａは、図示しない発射ソレノイドおよび電磁石を備えており、その発射ソレノイドおよび電磁石は、所定条件が整っている場合に駆動が許可される。具体的には、遊技者が操作ハンドル５１に触れていることをタッチセンサ５１ａにより検出し、球の発射を停止させるための発射停止スイッチ５１ｂがオフ（操作されていないこと）を条件に、操作ハンドル５１の回動操作量（回動位置）に対応して発射ソレノイドが励磁され、操作ハンドル５１の操作量に応じた強さで球が発射される。
【００７９】
音声ランプ制御装置１１３は、音声出力装置（図示しないスピーカなど）２２６における音声の出力、ランプ表示装置（電飾部２９〜３３、表示ランプ３４など）２２７における点灯および消灯の出力、変動演出（変動表示）や予告演出といった表示制御装置１１４で行われる第３図柄表示装置８１の表示態様の設定などを制御するものである。演算装置であるＭＰＵ２２１は、そのＭＰＵ２２１により実行される制御プログラムや固定値データ等を記憶したＲＯＭ２２２と、ワークメモリ等として使用されるＲＡＭ２２３とを有している。
【００８０】
音声ランプ制御装置１１３のＭＰＵ２２１には、アドレスバスおよびデータバスで構成されるバスライン２２４を介して入出力ポート２２５が接続されている。入出力ポート２２５には、主制御装置１１０、表示制御装置１１４、音声出力装置２２６、ランプ表示装置２２７、その他装置２２８、枠ボタン２２などがそれぞれ接続されている。その他装置２２８には、駆動モータ４４１，４５７が含まれる。
【００８１】
音声ランプ制御装置１１３は、主制御装置１１０から受信した各種のコマンド（変動パターンコマンド、停止種別コマンド等）に基づいて、第３図柄表示装置８１の表示態様を決定し、決定した表示態様をコマンド（表示用変動パターンコマンド、表示用停止種別コマンド等）によって表示制御装置１１４へ通知する。また、音声ランプ制御装置１１３は、枠ボタン２２からの入力を監視し、遊技者によって枠ボタン２２が操作された場合は、第３図柄表示装置８１で表示されるステージを変更したり、スーパーリーチ時の演出内容を変更したりするように、表示制御装置１１４へ指示する。ステージが変更される場合は、変更後のステージに応じた背面画像を第３図柄表示装置８１に表示させるべく、変更後のステージに関する情報を含めた背面画像変更コマンドを表示制御装置１１４へ送信する。ここで、背面画像とは、第３図柄表示装置８１に表示させる主要な画像である第３図柄の背面側に表示される画像のことである。表示制御装置１１４は、この音声ランプ制御装置１１３から送信されるコマンドに従って、第３図柄表示装置８１に各種の画像を表示する。
【００８２】
また、音声ランプ制御装置１１３は、表示制御装置１１４から第３図柄表示装置８１の表示内容を表すコマンド（表示コマンド）を受信する。音声ランプ制御装置１１３では、表示制御装置１１４から受信した表示コマンドに基づき、第３図柄表示装置８１の表示内容に合わせて、その表示内容に対応する音声を音声出力装置２２６から出力し、また、その表示内容に対応させてランプ表示装置２２７の点灯および消灯を制御する。
【００８３】
表示制御装置１１４は、音声ランプ制御装置１１３および第３図柄表示装置８１が接続され、音声ランプ制御装置１１３より受信したコマンドに基づいて、第３図柄表示装置８１における第３図柄の変動演出などの表示を制御するものである。また、表示制御装置１１４は、第３図柄表示装置８１の表示内容を通知する表示コマンドを適宜音声ランプ制御装置１１３へ送信する。音声ランプ制御装置１１３は、この表示コマンドによって示される表示内容にあわせて音声出力装置２２６から音声を出力することで、第３図柄表示装置８１の表示と音声出力装置２２６からの音声出力とをあわせることができる。
【００８４】
電源装置１１５は、パチンコ機１の各部に電源を供給するための電源部２５１と、停電等による電源遮断を監視する停電監視回路２５２と、ＲＡＭ消去スイッチ１２２（図３参照）が設けられたＲＡＭ消去スイッチ回路２５３とを有している。電源部２５１は、図示しない電源経路を通じて、各制御装置１１０〜１１４等に対して各々に必要な動作電圧を供給する装置である。その概要としては、電源部２５１は、外部より供給される交流２４ボルトの電圧を取り込み、各種スイッチ２０８などの各種スイッチや、ソレノイド２０９などのソレノイド、モータ等を駆動するための１２ボルトの電圧、ロジック用の５ボルトの電圧、ＲＡＭバックアップ用のバックアップ電圧などを生成し、これら１２ボルトの電圧、５ボルトの電圧およびバックアップ電圧を各制御装置１１０〜１１４等に対して必要な電圧を供給する。
【００８５】
停電監視回路２５２は、停電等の発生による電源遮断時に、主制御装置１１０のＭＰＵ２０１および払出制御装置１１１のＭＰＵ２１１の各ＮＭＩ端子へ停電信号ＳＧ１を出力するための回路である。停電監視回路２５２は、電源部２５１から出力される最大電圧である直流安定２４ボルトの電圧を監視し、この電圧が２２ボルト未満になった場合に停電（電源断、電源遮断）の発生と判断して、停電信号ＳＧ１を主制御装置１１０および払出制御装置１１１へ出力する。停電信号ＳＧ１の出力によって、主制御装置１１０および払出制御装置１１１は、停電の発生を認識し、ＮＭＩ割込処理を実行する。なお、電源部２５１は、直流安定２４ボルトの電圧が２２ボルト未満になった後においても、ＮＭＩ割込処理の実行に充分な時間の間、制御系の駆動電圧である５ボルトの電圧の出力を正常値に維持するように構成されている。よって、主制御装置１１０および払出制御装置１１１は、ＮＭＩ割込処理（図示せず）を正常に実行し完了することができる。
【００８６】
ＲＡＭ消去スイッチ回路２５３は、ＲＡＭ消去スイッチ１２２（図３参照）が押下された場合に、主制御装置１１０へ、バックアップデータをクリアさせるためのＲＡＭ消去信号ＳＧ２を出力するための回路である。主制御装置１１０は、パチンコ機１の電源投入時に、ＲＡＭ消去信号ＳＧ２を入力した場合に、バックアップデータをクリアすると共に、払出制御装置１１１においてバックアップデータをクリアさせるための払出初期化コマンドを払出制御装置１１１に対して送信する。
【００８７】
次いで、図５から図８を参照して、動作ユニット２００の概略構成について説明する。図５は、動作ユニット２００の正面斜視図であり、図６は、動作ユニット２００の分解正面斜視図である。また、図７及び図８は、動作ユニット２００の正面図である。
【００８８】
なお、図７では、上下変位ユニット４００の左右両端に配設された変位部材４３０が、それぞれ退避位置に変位された状態が、図８では、上下変位ユニット４００の左右両端に配設された変位部材４３０がそれぞれ張出位置に変位された状態が、それぞれ図示される。
【００８９】
図５から図８に示すように、動作ユニット２００は、箱状に形成される背面ケース３００を備え、その背面ケース３００の内部空間には、その上方に上下変位ユニット４００が、下方に発光装飾ユニット８００が、それぞれ配設される。
【００９０】
背面ケース３００は、正面視略矩形の底壁部３０１と、その底壁部３０１の４辺の外縁から正面へ向けて立設される外壁部３０２とを備え、それら各壁部３０１，３０２により一面側（正面側）が開放された箱状に形成される。底壁部３０１には、その中央に正面視矩形の開口３０１ａが開口形成され、その開口３０１ａを通じて、底壁部３０１の背面に配設される第３図柄表示装置８１（図２参照）が視認可能とされる。
【００９１】
上下変位ユニット４００は、背面ケース３００の底壁部３０１に配設される正面視略矩形に形成される背面ベース４２０と、その背面ベース４２０に変位可能に配設される変位部材４３０及び装飾部材４５０とを備え、これら変位部材４３０及び装飾部材４５０を、背面ケース３００の上方に退避する退避位置と、背面ケースの開口３０１ａ（即ち、第３図柄表示装置８１）の正面側に張り出す張出位置との間で変位させることができる（図７及び図８参照）。
【００９２】
この場合、装飾部材４５０には、回転ユニット５００が配設されており、回転ユニット５００を回転させると共に、回転ユニット５００に配設する照射ユニット５３０のＬＥＤを発光させることで、光の残像により模様や図柄を表示させることができる。かかる構造の詳細については後述する。
【００９３】
発光装飾ユニット８００は、ベース体８１０と、そのベース体８１０の正面側に配設される発光装置８２０とを主に備え、発光装置８２０の内部に配設された複数のＬＥＤ８２１から発光する光の様態（例えば、照射するＬＥＤ８２１の数）を変更することで、発光による演出を行う。なお、詳細については後述する。
【００９４】
次いで、図９から図４７を参照して、上下変位ユニット４００、回転ユニット５００、センターフレーム６００、振分け装置７００及び発光装飾ユニット８００の詳細構成を説明する。まず、図９から図２４を参照して、上下変位ユニット４００について説明する。
【００９５】
初めに、図９から図１４を参照して、上下変位ユニット４００の全体構成について説明する。図９は、上下変位ユニット４００の正面図であり、図１０は、上下変位ユニット４００の背面図である。図１１及び図１３は、上下変位ユニット４００の正面斜視図であり、図１２及び図１４は、上下変位ユニット４００の背面斜視図である。
【００９６】
図９から図１４に示すように、上下変位ユニット４００は、正面視略Ｌ字形状の正面ベース４１０とその正面ベース４１０の背面側に重ね合される背面ベース４２０と、正面ベース４１０の正面側に配置される駆動モータ４４１と、その駆動モータ４４１の駆動力により回転される変位部材４３０と、その変位部材４３０の一端側に連結されて変位部材４３０の変位に伴って上下方向（図９上下方向）に変位される装飾部材４５０と、正面ベース４１０の一端側の前方に配設される正面カバー４６０と、その正面カバー４６０と正面ベース４１０との対向間の隙間に配設されて装飾部材の摺動を案内する案内棒Ｐ１と、装飾部材４５０の左右方向端部に配設されて装飾部材４５０の変位を規制する側壁部材４７０と、正面ベース４１０の正面側に配設される回転規制部材４８０と、を主に備えて形成される。
【００９７】
なお、上下変位ユニット４００は、装飾部材４５０を除いたすべての部材が左右対称に一対配設され、その一対の対向間に装飾部材４５０が介設される。また、一対に配設される部材の詳細な説明は、正面視左側（図９左側）に配設される部材のみを説明し、正面視右側（図９右側）に配設される部材には、正面視左側の部材と同一の符号を付して、その説明は省略することとする。
【００９８】
正面ベース４１０は、正面視略Ｌ字形状の板状体から形成されると共に、略Ｌ字形状の長辺側を形成する第１片４１０Ｘと、略Ｌ字形状の短辺側を形成する第２片４１０Ｙとを主に備えて形成される。
【００９９】
第１片４１０Ｘは、その延設方向が上下方向（図９上下方向）と平行に配設される。また、第１片４１０Ｘは、左右方向外側端部（左側端部）の正面側に立設する立設部４１２と、上部に断面円弧状に凹設された上側凹溝４１３と、下部に断面円弧状に形成された下側凹溝４１４と、を主に備えて形成される。
【０１００】
立設部４１２は、後述する装飾部材４５０の摺動部４５１と当接して装飾部材４５０の後方への変位を規制する壁であり、第１片４１０Ｘの左側縁部の上部から下部に亘って形成される。
【０１０１】
上側凹溝４１３及び下側凹溝４１４は、その内側に後述する案内棒Ｐ１を内嵌する溝であり、案内棒Ｐ１の外径よりも大きな内径の半円弧状に凹設される。また、上側凹溝４１３及び下側凹溝４１４は、断面半円弧状に形成される軸が同一の直線上に位置して形成されると共に、上側凹溝４１３の上端部から下側凹溝４１４の下端部までの対向間の距離が、案内棒Ｐ１の軸方向寸法よりも大きく設定される。これにより、案内棒Ｐ１の両端部を上側凹溝４１３及び下側凹溝４１４に内嵌することができる。
【０１０２】
第２片４１０Ｙは、正面視縦長矩形に形成され、その中央部に前後方向に貫通する開口４１１と、背面側に突出する係合部４１５と、背面側に円柱形状に突出する軸支部４１６を主に備えて形成される。
【０１０３】
開口４１１は、正面ベース４１０の正面側に取着される駆動モータ４４１の軸部を正面ベース４１０の背面側に挿通するための開口であり、駆動モータ４４１の軸部に嵌合される伝達ギヤ４４２の外形よりも内径が大きく形成される。これにより、駆動モータ４４１が劣化等により故障した際には、駆動モータ４４１を正面ベース４１０から取り外して、開口４１１から伝達ギヤ４４２を上下変位ユニット４００から取り外すことができる。その結果、新しい駆動モータ４４１の軸部に伝達ギヤ４４２を取着した後に、伝達ギヤ４４２を開口４１１を挿通させて配置できるので、駆動モータ４４１の軸部を、正面ベース４１０と背面ベース４２０との対向間に配置された状態の伝達ギヤ４４３の軸孔に挿通させながら、駆動モータ４４１を正面ベース４１０に配置する場合に比べて、簡易に行うことができ、部品交換時の工数を削減することができる。また、この場合、駆動モータ４４１の軸部に伝達ギヤ４４３の軸孔を確実に嵌合させることができるので、部品交換した際の信頼性を向上することができる。
【０１０４】
係合部４１５は、後述するねじりバネＳＰ１の一端を係止するための突起であり、第２片４１０Ｙの背面側から突出すると共に、その突出先端が上下変位ユニット４００の左右方向中央側に屈曲した断面略Ｌ字形状に形成される。これにより、背面側への突出部分でねじりバネＳＰ１の軸周りの回転を規制すると共に、先端の屈曲部分でねじりバネＳＰ１の背面側への変位を規制することができる。
【０１０５】
軸支部４１６は、金属材料からなる円柱形状の棒部材であり、正面ベース４１０の背面側に一端側が嵌合される。
【０１０６】
駆動モータ４４１は、上下変位ユニット４００に駆動力を付与するモータであり、上述したように正面ベース４１０に配設されて、正面ベース４１０と背面ベース４２０との間に配設される伝達ギヤ４４２，４４３に駆動力を伝達することができる。
【０１０７】
伝達ギヤ４４２は、上述したように、軸孔が駆動モータ４４１の軸部に外嵌されて駆動モータ４４１に連結されるギヤであり、伝達ギヤ４４３と歯合して配設される。
【０１０８】
伝達ギヤ４４３は、その軸孔が正面ベース４１０の突起４１７を内嵌した状態で正面ベース４１０と背面ベース４２０との間に回転可能な状態で配設されるギヤであり、上述したように伝達ギヤ４４２と歯合した状態で配設される。よって、駆動モータ４４１の駆動力を伝達ギヤ４４２を介して、伝達ギヤ４４３に伝達できる。
【０１０９】
また、伝達ギヤ４４３は、背面側の側面にから突出する突起４４３ａを備える。突起４４３ａは、金属材料からなり、円柱形状に形成される棒部材であり、伝達ギヤ４４３の外周縁部に配設される。よって、上述したように駆動モータ４４１に駆動力が付与されて伝達ギヤ４４３が回転されると、突起４４３ａは、伝達ギヤ４４３の軸を中心とした円弧状に変位される。
【０１１０】
背面ベース４２０は、正面ベース４１０の第２片４１０Ｙの正面視形状と略同一の外形形状に形成される板部材であり、外縁部に正面側に立設する立設部４２１を備える。
【０１１１】
立設部４２１は、正面ベース４１０と背面ベース４２０との対向間に隙間を形成するための壁であり、立設距離が、変位部材４３０と伝達ギヤ４４３とを合わせた前後方向の寸法よりも大きい寸法に設定され、前方側の端面が正面ベース４１０の背面側に当接した状態で配設される。その結果、正面ベース４１０及び背面ベース４２０の対向間に伝達ギヤ４４２，４４３及び後述する変位部材４３０を配置する隙間を形成することができる。
【０１１２】
変位部材４３０は、正面視略Ｌ字形状に形成されると共に、その外縁部分が背面側に突出する略箱形状に形成される。また、変位部材４３０は、その屈曲部分に前後方向に円形に貫通形成される貫通孔４３３と、長辺側の一側に前後方向に貫通形成される装飾側摺動孔４３２と、短辺側の他側に前後方向に貫通形成される駆動側摺動孔４３１と、長辺側の一側に外縁部分の突出部から突出する変位側係合部４３４と、を主に備える。
【０１１３】
貫通孔４３３は、正面ベース４１０の軸支部４１６が挿入される孔であり、軸支部４１６の外径よりも大きい内径に形成される。よって、正面ベース４１０の軸支部４１６に貫通孔４３３を挿通した後に、正面ベース４１０と背面ベース４２０とが組み合されることで、正面ベース４１０に対して変位部材４３０を変位可能な状態で正面ベース４１０に配設することができる。
【０１１４】
駆動側摺動孔４３１は、伝達ギヤ４４３の突起４４３ａが挿通される長孔であり、短手方向の幅寸法が突起４４３ａの外径よりも大きく設定される。また、駆動側摺動孔４３１は、長手方向が変位部材４３０の短辺側の延設方向（長手方向）と同一方向に形成され、上述したように、伝達ギヤ４４３が駆動モータ４４１の駆動力により回転されると、伝達ギヤ４４３の突起４４３ａがその変位に伴って、駆動側摺動孔４３１の内側を摺動することで、変位部材４３０を貫通孔４３３を中心に回転させる。即ち、駆動モータ４４１を駆動させることで、変位部材４３０に貫通孔４３３を中心とした変位運動をさせることができる。
【０１１５】
装飾側摺動孔４３２は、後述する装飾部材４５０に配設されると共に円柱状に形成される支持部４５２ａが挿通される長孔であり、短手方向の幅寸法が支持部４５２ａの外径よりも大きく形成される。また、装飾側摺動孔４３２は、長手方向が変位部材４３０の長辺側の延設方向（長手方向）と同一方向に形成される。装飾側摺動孔４３２は、上述したように、変位部材４３０が貫通孔４３３を軸に回転されると、貫通孔４３３を中心とした円弧状の変位軌跡とされる。
【０１１６】
変位側係合部４３４は、後述するねじりバネＳＰ１の他端側を係合する突起であり、変位部材４３０の背面側に突設される外縁部分の内周面から突出して形成される。また、変位側係合部４３４は、正面視略Ｌ字に屈曲した変位部材４３０の屈曲内側の側面に形成される。これにより、変位側係合部４３４とが変位部材４３０の背面側との内側に、ねじりバネＳＰ１の他端側を係合させることができる。
【０１１７】
ねじりバネＳＰ１は、そのねじり部分が変位部材４３０の貫通孔４３３（正面ベース４１０の軸支部４１６）の周囲に配設されると共に、変位部材４３０の回転軸周りに正面視左回転（上下変位ユニット４００の正面視右側を構成する変位部材４３０には、その回転軸周りに正面視右回転）の付勢力を与えた状態で、一端側が正面ベース４１０の係合部４１５に、他端側が変位部材４３０の変位側係合部４３４に、それぞれ係合される。これにより、変位部材４３０は、正面ベース４１０に対して貫通孔４３３（正面ベース４１０の軸支部４１６）の軸周りに左回転（上下変位ユニット４００の正面視右側を構成する変位部材４３０は右回転）する方向に常に付勢される。
【０１１８】
装飾部材４５０は、上述したように、左右一対に構成される上下変位ユニット４００の一対の対向間に介設される部材であり、左右方向の大きさが、左右対称に配設される正面ベース４１０の左右方向の外側端部間の距離寸法と同一に設定される。
【０１１９】
装飾部材４５０は、下側が開放した正面視コ字状に形成され、その中央部分を構成する正面ベース４５２と、その正面ベース４５２の左右方向両端部に連結される摺動部４５１と、正面ベース４５２の背面を覆設する背面ベース４５３と、正面ベース４５２の正面側に回転可能に配置される回転ユニット５００と、を主に備えて形成される。
【０１２０】
正面ベース４５２は、正面視横長矩形状の板状体から形成されると共に、上下の端面が背面側に屈曲する断面コ字状に形成される。正面ベース４５２は、背面側から突出する支持部４５２ａと、左右方向両端部から正面側に突出する係合部４５２ｂと、左右方向両端の正面側に平滑に形成される当接面４５２ｈと、その当接面４５２ｈの下端に形成される傾斜面４５２ｇと、を主に備えて形成される。
【０１２１】
支持部４５２ａは、上述したように、変位部材４３０の装飾側摺動孔４３２に挿入される棒部材であり、円柱形状の棒状体に形成される。これにより、変位部材４３０がモータ４４１の駆動力により変位されて、変位部材４３０の装飾側摺動孔４３２が貫通孔４３３を軸に回転変位すると、装飾側摺動孔４３２の内部に挿入された支持部４５２ａが装飾側摺動孔４３２の変位に伴って変位される。その結果、支持部４５２ａが変位されることで、装飾部材４５０を変位させることができる。
【０１２２】
係合部４５２ｂは、後述する付勢ばねＳＰ２の他端が係合される突起であり、正面ベース４５２の両端部の正面側から鉤形状に突設される。
【０１２３】
当接面４５２ｈは、後述する規制ユニット４９０のローラ４９２ａと当接する平滑面であり、ローラ４９２ａが転動できる平滑な面に形成される。傾斜面４５２ｇは、当接面４５２ｈの下端部分に下方に向かって正面側から背面側に傾斜する面である。これにより、後述する規制ユニット４９０と装飾部材４５０とを当接させやすくできる。なお、規制ユニット４９０と装飾部材４５０との当接についての詳しい説明は後述する。
【０１２４】
摺動部４５１は、上下方向に延設された断面矩形状の棒状体であり、正面ベース４５２の左右両端部に連結して配設される。また、摺動部４５１は、上下方向に開口した貫通孔４５１ａを備える。貫通孔４５１ａは、内部に案内棒Ｐ１を挿通する開口であり、案内棒Ｐ１の外径よりも大きい内径の円形に形成される。
【０１２５】
これにより、駆動モータ４４１の駆動力により変位部材４３０が変位され、上述したように装飾部材４５０が変位されると、正面ベース４５２の両端に配設された摺動部４５１によりその変位の方向が規制される。その結果、装飾部材４５０は、案内棒Ｐ１の軸方向（上下方向）に沿って変位される。即ち、装飾部材４５０は、駆動モータ４４１から駆動力が付与されることで、上下方向にスライド変位することができる。
【０１２６】
背面ベース４５３は、左右方向略中央位置の正面ベース４５２の背面側に覆設される板部材であり、正面ベース４５２の中央部分と正面視における外形の大きさが略同一に形成される。これにより、正面ベース４５２と背面ベース４５３との内部空間にギヤ４５４〜４５６を回転可能に配設できる。また、背面ベース４５３の背面には、回転ユニット５００に回転の駆動力及び制御信号を出力する駆動モータ４５７が取着される。なお、ギヤ４５４〜４５６、駆動モータ４５７の詳しい説明は後述する。
【０１２７】
正面カバー４６０は、正面ベース４１０の第１片４１０Ｘの前方側に対向して配設され、第１片４１０Ｘの前方を覆設する部材であり、正面視において第１片４１０Ｘの外形形状と略同一の形状に形成される。正面カバー４６０は、その外側縁部から背面側に立設する立設壁４６１を備え、背面側が開放する箱状体に形成される。
【０１２８】
立設壁４６１は、上側を形成する側面から上方に突設される上側溝形成部材４６２と、下側を形成する側面から下方に突設される下側溝形成部材４６３と、を備える。
【０１２９】
上側溝形成部材４６２は、正面ベース４１０の上側凹溝４１３と対向する位置に形成されると共に、背面側に半円弧状に凹設される凹溝４６２ａが形成される。一方、下側溝形成部材４６３は、正面ベース４１０の下側凹溝４１４と対向する位置に形成されると共に、背面側に半円弧状に凹設される凹溝４６３ａが形成される。
【０１３０】
凹溝４６２ａ，４６３ａは、その内側に、案内棒Ｐ１を内嵌する溝であり、案内棒Ｐ１の外径よりも大きな内径の半円弧状に凹設される。また、凹溝４６２ａ，４６３ａは、半円弧状に凹設される軸が同一の直線上に形成されると共に、凹溝４６２ａの上端部から凹溝４６３ａの下端部までの対向間の距離が、案内棒Ｐ１の軸方向寸法よりも大きく設定される。これにより、案内棒Ｐ１の両端部を凹溝４６２ａ，４６３ａに内嵌することができる。
【０１３１】
従って、正面カバー４６０を、正面ベース４１０の前方に配設した際に、上側凹溝４１３及び凹溝４６２ａと下側凹溝４１４及び凹溝４６３ａとの対向間に案内棒Ｐを挟持することができ、正面ベース４１０に案内棒Ｐ１を脱落不能な状態で配設することができる。その結果、案内棒Ｐ１が挿通される装飾部材４５０の摺動部４５１を正面ベース４１０に対して脱落不可能に保持することができる。
【０１３２】
また、上下変位ユニット４００の左右方向外側に形成される正面カバー４６０の立設壁４６１と、正面ベース４１０の第１片４１０Ｘに形成される立設部４１２との前後方向の対向間の距離寸法は、装飾部材４５０の摺動部４５１の前後方向の厚み寸法と略同一、若しくは、少し大きく設定され、その対向間に摺動部４５１の左右方向外側の端部が配置される。これにより、上述したように、装飾部材４５０が上下方向に変位される際に、装飾部材４５０が前後方向にがたつくことを抑制することができる。
【０１３３】
側壁部材４７０は、上下変位ユニット４００の左右方向中央側の両端に配設される部材であり、側面視において背面側に屈曲した略Ｌ字形状の板状体から形成される。また、側壁部材４７０の正面側の端面には、左右方向外側に屈曲する壁面が形成され、その壁面に、後述する規制ユニット４９０が取着される。
【０１３４】
さらに、側壁部材４７０には、上下変位ユニット４００に対して左右方向（図９左右方向）中央側の側面に凹凸や色彩などにより模様が付されて、遊技者が遊技盤１３のセンターフレーム８６（図２参照）の中央の開口部を介してその側壁部材４７０の模様を視認可能に配設される。これにより、側壁部材４７０よりも左右方向外側に配設される上下変位ユニット４００（例えば、正面カバー４６０など）を遊技者から視認不能にできる。
【０１３５】
回転規制部材４８０は、正面視横長矩形の板状体から形成され、背面側に前後方向に軸を備える円環形状のローラ４８１が回転可能に取着される。また、回転規制部材４８０は、正面視においてその外形が正面ベース４１０の第２片４１０Ｙ外形に比べて略半分に形成され、正面ベース４１０の前方に所定の間隙を備えて配設される。
【０１３６】
回転規制部材４８０は、後述する回転ユニット５００を初期位置に復帰させる部材であり、ローラ４８１と上面ベース５１０とが当接することにより、回転ユニット５００の初期位置を規定することができる。
【０１３７】
付勢ばねＳＰ２は、正面ベース４１０と装飾部材４５０とを連結して、装飾部材４５０を上方に付勢するコイルスプリングであり、一端が正面ベース４１０の係合部４１８に係合されて、他端が装飾部材４５０の係合部４１２ｂに係合される。これにより、装飾部材４５０は、正面ベース４１０に対して常に上方に向かって付勢される。従って、後述する変位によって、装飾部材４５０が第２位置から第１位置に変位された際には、装飾部材４５０を第２位置へ変位させやすくすることができる。また、付勢ばねＳＰ２は、中央部でローラ４１９の外周面に沿って屈曲される。これにより、付勢ばねＳＰ２の長さを確保でき付勢力が増加しすぎることを抑制できる。
【０１３８】
次いで、以上のように構成された上下変位ユニット４００の動作について、図１５から図１７を参照して説明する。
【０１３９】
図１５から図１７の（ａ）は、上下変位ユニット４００の正面図であり、図１５（ａ）は上昇位置に配置された状態に、図１６（ａ）は上昇位置と下降位置との間に配置された状態に、図１７（ａ）は、下降位置に配置された状態に、それぞれ対応する。
【０１４０】
図１５（ｂ）は図１５（ａ）における、図１６（ｂ）は図１６（ａ）における、図１７（ｂ）は図１７（ａ）における、上下変位ユニット４００の背面図にそれぞれ対応する。なお、図１５（ｂ）、図１６（ｂ）及び図１７（ｂ）では、理解を容易とするために、背面ベース４２０を取り外した状態が図示される。
【０１４１】
図１５（ａ）及び図１５（ｂ）に示すように、上下変位ユニット４００が上昇位置に配置された状態（以下、この状態を「第２位置」と称す）では、変位部材４３０がその一側（装飾側摺動孔４３２が形成される長辺側）を上方に振り上げた状態とされ、装飾部材４５０が最上方に位置される。装飾部材４５０の支持部４５２ａは、変位部材４３０の装飾側摺動孔４３２の内側であって、貫通孔４３３の軸から径方向外側端部に近接して位置される。
【０１４２】
また、この状態では、変位部材４３０の一側（駆動側摺動孔４３１が形成される短辺側）の回転方向が、伝達ギヤ４４３の回転軸と突起４４３ａとを結んだ直線の方向と略一致する。即ち、変位部材４３０の駆動側摺動孔４３１の延設方向と、伝達ギヤ４４３の回転軸および突起４４３ａを結んだ直線の方向とが直交する状態（変位部材４３０と伝達ギヤ４４３とが死点を形成する状態）となる。従って、変位部材４３０は、貫通孔４３３を軸とする回転運動ができなくなり、変位部材４３０に連結される装飾部材４５０の重みで変位部材４３０が回転変位することを抑制することができる。
【０１４３】
図１５（ａ）及び図１５（ｂ）に示す状態から、一対の駆動モータ４４１がそれぞれ回転駆動され、各伝達ギヤ４４３が回転されると、その伝達ギヤ４４３の突起４４３ａが、変位部材４３０の駆動側摺動孔４３１を摺動して、左右の変位部材４３０をそれぞれ下方へ押し下げる。
【０１４４】
これにより、左右の変位部材４３０が、貫通孔４３３の軸を回転中心として回転され、図１６（ａ）及び図１６（ｂ）に示すように、装飾部材４５０が下方へ変位される。この状態から、一対の駆動モータ４４１の回転駆動により、各伝達ギヤ４４３が更に回転されると、左右の変位部材４３０が更に下方へ押し下げられて、図１７（ａ）及び図１７（ｂ）に示すように、装飾部材４５０が下降位置（以下、この状態を「第１位置」と称す）に配置される。
【０１４５】
図１７（ａ）及び図１７（ｂ）に示すように、上下変位ユニット４００が第１位置に配置された状態では、左右の変位部材４３０がその一側（駆動側摺動孔４３１が形成される短辺側）を下方に振り下げた姿勢とされることで、装飾部材４５０が最下方に位置し第３図柄表示装置８１（図２参照）の前面側に張りだされた状態とされる。
【０１４６】
また、この場合（上下変位ユニット４００が下降位置に配置された場合）、変位部材４３０の装飾側摺動孔４３２は、上下変位ユニット４００の左右方向中央部に向かって下方傾斜となり、貫通孔４３３から径方向外側の端部側に装飾部材４５０の支持部４５２ａの側面が当接される。これにより、支持部４５２ａには、装飾部材４５０の重みが、重力方向に変位する力と、上下変位ユニット４００の左右方向から中央部に向かう方向の力とを作用させることができる。その結果、後述する装飾部材４５０の回転ユニット５００の変位動作により、装飾部材４５０が上下左右方向にがたつくことを抑制することができる。
【０１４７】
さらに、変位部材４３０の他側（駆動側摺動孔４３１が形成される短辺側）の回転方向が、伝達ギヤ４４３の回転軸と突起４４３ａとを結んだ直線の方向と略一致する。即ち、変位部材４３０の駆動側摺動孔４３１の延設方向と、伝達ギヤ４４３の回転軸および突起４４３ａを結んだ直線の方向とが直交する状態（変位部材４３０と伝達ギヤ４４３とが死点を形成する状態）となる。従って、変位部材４３０は、貫通孔４３３を軸とする回転運動ができなくなり、装飾部材４５０が、後述する回転ユニット５００の変位動作により上下方向にがたついた際に、そのがたつきにより変位部材４３０が変位されることを抑制できる。その結果、装飾部材４５０ががたつくｌｐｔｐを抑制することができる。
【０１４８】
また、装飾部材４５０の両端部の前方に、規制ユニット４９０が配置される。これにより、装飾部材４５０の前後方向の変位を規制することができる。なお、規制ユニット４９０の詳しい説明は後述する。
【０１４９】
次いで、図１８から図２４を参照して規制ユニット４９０について説明する。
【０１５０】
初めに、図１８から図２０を参照して、規制ユニット４９０の全体構成を説明する。図１８は、規制ユニット４９０の分解正面斜視図であり、図１９は、ローラ部材４９２の分解正面斜視図である。図２０（ａ）は、規制ユニット４９０の側面図であり、図２０（ｂ）は、規制ユニット４９０の背面図であり、図２０（ｃ）は、図２０（ｂ）のＸＸｃ−ＸＸｃ線における規制ユニット４９０の断面図である。
【０１５１】
図１８から図２０に示すように、規制ユニット４９０は、背面側が開口する箱状に形成されるケース部材４９１と、そのケース部材４９１の内部に配設されるローラ部材４９２と、ケース部材４９１の開放した（開口側の）外縁に配設される外縁部材４９３と、を主に備えて形成される。
【０１５２】
ケース部材４９１は、正面側の側面から突設する突設部４９１ａと、左右方向両側の側面に半円形状に切り欠かれる切欠き部４９１ｂと、開口と対向する内側側面から背面側に膨出する膨出部４９１ｃと、を主に備えて形成される。
【０１５３】
突設部４９１ａは、上述した側壁部材４７０にケース部材４９１を締結するための突起であり、正面側に締結孔が穿設され、その締結孔に正面側から側壁部材４７０を介してねじを締結することで、側壁部材４７０に規制ユニット４９０を配設することができる。
【０１５４】
切欠き部４９１ｂは、ケース部材４９１の左右方向両側の側面に上下方向に２つ並んで半円形状に切り欠かれて形成される。切欠き部４９１ｂは、内部にローラ部材４９２のカラー４９２ｃを挿入するための切り欠きであり、その内径がローラ部材４９２のカラー４９２ｃの外径よりも大きく設定される。
【０１５５】
膨出部４９１ｃは、ケース部材４９１の開放側と対向する側面（正面壁の背面）の上下方向（図２０（ｃ）上下方向）中央よりも下方側から膨出して形成される。また、膨出部４９１ｃは、ローラ部材４９２のローラ４９２ａとの間に所定の隙間を備える。
【０１５６】
ローラ部材４９２は、弾性部材から軸直断面視円環形状に形成されるローラ４９２ａと、そのローラ４９２ａの内部に挿入される軸部４９２ｂと、軸部４９２ｂに軸支されると共にローラ４９２ａの両側に配設される一対のカラー４９２ｃと、そのカラー４９２ｃよりも外側の軸部４９２ｂに外嵌される一対の止め輪Ｅ１と、を備えて構成される。
【０１５７】
軸部４９２ｂは、ローラ４９２ａの内周に挿通される部材であり、ローラ４９２ａの内周の内径と略同一の円柱形状に形成されると共に、軸方向寸法がケース部材４９１の左右方向の側面間の幅寸法よりも大きく設定される。また、軸部４９２ｂの軸方向両端部には、軸方向に凹設される凹部４９２ｂ１が形成される。凹部４９２ｂ１は、軸部４９２ｂの全周に亘って形成され、軸方向の外径が、後述する止め輪Ｅ１の内径よりも小さく形成される。
【０１５８】
カラー４９２ｃは、正面視円環形状に形成されると共に、断面略階段形状に形成され、小径筒部４９２ｃ１とその小径筒部４９２ｃ１よりも外径の大きい大径筒部４９２ｃ２とから形成される。また、カラー４９２ｃの内径（小径筒部４９２ｃ１及び大径筒部４９２ｃ２の内径）は、軸部４９２ｂの外径よりも小さく形成され、内部に軸部４９２ｂを挿通することができる。
【０１５９】
小径筒部４９２ｃ１は、ケース部材４９１の切欠き部４９１ｂに内嵌される部分であり、上述したように、小径筒部４９２ｃ１の外径がケース部材４９１の切欠き部４９１ｂの内径よりも大きく形成される。
【０１６０】
大径筒部４９２ｃ２は、ローラ部材４９２がケース部材４９１に配設された際に、左右方向の変位を規制するための部材であり、大径筒部４９２ｃ２の外径がケース部材４９１の切欠き部４９１ｂの内径よりも大きく設定される。また、ローラ４９２ａの軸方向両端に配設される一対の大径筒部４９２ｃ２の軸方向外側の側面間の距離寸法は、ケース部材４９１の開口する内側における左右の側面の対向間の距離寸法よりも小さく形成される。
【０１６１】
止め輪Ｅ１は、Ｅリング（Ｅ型止め輪）であり、軸部４９２ｂの凹部４９２ｂ１に、開口部分を広げて凹部４９２ｂ１の周囲にはめ込まれる。即ち、止め輪Ｅ１の内周の内径は、凹部４９２ｂ１の外径と略同一に設定される。
【０１６２】
以上のように構成されるローラ部材４９２は、次のようにして組み立てられる。まず、軸部４９２ｂの一方の端部側の凹部４９２ｂ１に止め輪Ｅ１を外嵌した後に、他方の端部から１のカラー４９２ｃに小径筒部４９２ｃ１を一方側（止め輪Ｅ１を外嵌した側）に向けた状態で軸部４９２ｂを挿通させる。次に、軸部４９２ｂに他方の端部からローラ４９２ａを挿通させた後に、１のカラー４９２ｃを大径筒部４９２ｃ２を一方側に向けた（止め輪Ｅ１を外嵌した側）状態で軸部４９２ｂに挿通させる。その後、軸部４９２ｂの他方側の凹部４９２ｂ１に１の止め輪Ｅ１を外嵌する。
【０１６３】
これにより、一対の止め輪Ｅ１の対向間の軸部４９２ｂに軸支されるローラ４９２ａ及び一対のカラー４９２ｃは、止め輪Ｅ１により左右方向の変位が規制される。その結果、ローラ４９２ａ及び一対のカラー４９２ｃを軸部４９２ｂから外れないようにできる。
【０１６４】
外縁部材４９３は、正面視縦長矩形状の枠状体に形成され、ケース部材４９１の背面側（開放側）に配設される部材である。外縁部材４９３は、正面視における内周の形状がケース部材４９１の背面視における開口の内周の形状と略同一の形状に形成される。また、外縁部材４９３の正面側（ケース部材４９１側）の側面には、内縁部の周囲に正面側に立設する立設部４９３ａが形成される。
【０１６５】
立設部４９３ａには、背面側に凹設される凹設部４９３ａ１が形成される。凹設部４９３ａ１は、ケース部材４９１の切欠き部４９１ｂと対向する位置に形成される。よって、ローラ部材４９２のカラー４９２ｃをケース部材４９１の切欠き部４９１ｂと凹設部４９３ａ１との対向間に挟み込むことで、ローラ部材４９２をケース部材４９１に配設することができる。
【０１６６】
以上のように構成されるローラ部材４９２は、次のようにして組み立てられる。初めに、ケース部材４９１の切欠き部４９１ｂに、ローラ部材４９２の軸方向両端部に配設されたカラー４９２ｃを軸支する様態で上下に２つ配設する。次に、ケース部材４９１の背面側から外縁部材４９３を立設部４９３ａ側を正面側にした（ケース部材４９１側に向けた）状態で、ケース部材４９１に締結固定する。これにより、ローラ部材４９２がケース部材４９１に対して回転可能に配設されると共に、ケース部材４９１から落下することを抑制することができる。
【０１６７】
次に、図２１から図２４を参照して、規制ユニット４９０の動作について説明する。
【０１６８】
図２１は、第１位置における上下変位ユニット４００の正面図である。図２２（ａ）は、図２１のＸＸＩＩ部における上下変位ユニット４００の拡大図であり、図２２（ｂ）は、図２２（ａ）のＸＸＩＩｂ−ＸＸＩＩｂ線における上下変位ユニット４００の断面図である。なお、図２２（ａ）では、ローラ４９２ａ及び装飾部材４５０の外形が破線で図示される。
【０１６９】
図２３（ａ）から図２３（ｃ）は、上下変位ユニット４００の部分拡大正面図であり、図２４（ａ）は、図２３（ａ）のＸＸＩＶａ−ＸＸＩＶａ線における上下変位ユニット４００の断面図であり、図２４（ｂ）は、図２３（ｂ）のＸＸＩＶｂ−ＸＸＩＶｂ線における上下変位ユニット４００の断面図であり、図２４（ｃ）は、図２３（ｃ）のＸＸＩＶｃ−ＸＸＩＶｃ線における上下変位ユニット４００の断面図である。なお、図２３（ａ）から図２３（ｃ）は、上下変位ユニット４００の遷移状態が図示され、ローラ４９２ａ及び装飾部材４５０の外形が破線で図示される。
【０１７０】
図２１及び図２２に示すように、上下変位ユニット４００が第１位置に位置する際には、装飾部材４５０が下方に位置される。この場合、上述したように、装飾部材４５０の両端部は、規制ユニット４９０の背面側に位置される。
【０１７１】
この場合、装飾部材４５０が第１位置に配置され、後述する回転ユニット５００が回転されると、その回転変位に伴って、装飾部材４５０が正面ベース４１０に対してがたつくことがある。そこで、装飾部材４５０と正面ベース４１０とを係合させる係合手段を設け、がたつきを抑制するものがある。係合手段は、装飾部材４５０又は正面ベース４１０の一方に配設され付勢手段により付勢される係合部材と、その係合部材に係合可能に形成されると共に装飾部材４５０又は正面ベース４１０の他方に配設される被係合部材とを備え、正面ベース４１０に対する装飾部材４５０の変位（第１位置へ向かう変位）を利用して、係合部材を付勢手段の付勢力に抗しつつ後退させ、装飾部材４５０が第１位置に配置されると、係合部材を付勢手段の付勢力で前進させて被係合部材に係合させる。これにより、正面ベース４１０に対する本体部材の相対的な変位が係合手段の係合により規制され、変位部材の変位に伴う本体部材のベース部材に対するがたつきが抑制される。
【０１７２】
しかしながら、このような従来の係合手段では、係合手段を係合状態とする（本体部材を第１位置に配置する）ためには、付勢手段の付勢力に抗して係合部材を後退させる必要があるだけでなく、係合手段の係合状態を解除する（装飾部材４５０を第１位置から第２位置へ向けて変位させる）際にも、付勢手段の付勢力に抗して係合部材を後退させる必要があり、装飾部材４５０を正面ベース４１０に対して変位させる際に必要な駆動力が嵩むという問題点があった。
【０１７３】
これに対し、本実施形態では、装飾部材４５０の正面ベース４５２の当接面４５２ｈが、規制ユニット４９０のローラ４９２ａと当接した様態とされるので、正面ベース４１０の相対的な変位を規制して、回転ユニット５００の回転変位に伴う装飾部材４５０の正面ベース４１０に対するがたつきを抑制できる。
【０１７４】
この場合、装飾部材４５０が第１位置へ配置されるされる際の変位方向と規制ユニット４９０のローラ部材４９２の回転方向とが略平行に設定されるので、装飾部材４５０を第１位置へ変位させる際には、その変位に伴って規制ユニット４９０のローラ部材４９２を回転されることができるので、装飾部材４５０を正面ベース４１０に対して変位させるされ位に必要な駆動力を抑制できる。
【０１７５】
また、ローラ４９２ａは、上述したように弾性変形可能な弾性体から形成されるので、正面ベース４５２の当接面４５２ｈに規制ユニット４９０のローラ４９２ａが当接される際には、ローラ４９２ａの外周面側を弾性変形させて、正面ベース４５２にローラ４９２ａを保持させやすくできる。これにより、ローラ４９２ａを回転し難くして装飾部材４５０の正面ベース４１０に対するがたつきを抑制できる。
【０１７６】
なお、弾性体としては、ゴムやウレタンなどに例示される粘弾性体であることが好ましい。この場合には、その制振効果によって、回転ユニット５００の変位に伴い装飾部材４５０から正面ベース４１０へ入力される振動を減衰・絶縁させる振動減衰機能または振動絶縁機能を果たすことができ、正面ベース４１０側に配設される各種機器の摩耗や故障、締結部の緩みなどを抑制できるからである。特に、回転ユニット５００が周期的に変位される場合（例えば、バーサライタとして機能するために、比較的高速で回転される場合など）には、比較的小振幅かつ高周波数の振動が装飾部材４５０から正面ベース４１０へ入力されるため、粘弾性体を採用することが特に有効となる。
【０１７７】
また、装飾部材４５０と規制ユニット４９０（ローラ４９２ａ）とが当接した際に、ローラ４９２ａが弾性変形される分、上下変位ユニット４００の製品精度および組み付け誤差を吸収することができる。よって、部品を成形する際の精度を高くする必要がなくなり、部品の製造コストを安価にすることができる。その結果、製品の製造コストを削減することができる。
【０１７８】
さらに、装飾部材４５０と規制ユニット４９０（ローラ４９２ａ）とが当接する際の衝突音をローラ４９２ａの弾性変形により吸収できるので、遊技者に、装飾部材４５０が変位する際の音が聞こえることを抑制することができ、遊技者の興趣を損なうことを抑制することができる。また、ローラ４９２ａの回転軸方向は、装飾部材４５０の変位方向と直交する向きであるので、装飾部材４５０の変位に伴ってローラ４９２ａを回転させることができ、装飾部材４５０とローラ４９２ａとが当接して変位する際に、互いの部材がこすれる音を抑制できる。即ち、変位部材に突起を当接させて変位部材の停止の補助やがたつきを抑制するものであると、変位部材が突起とが当接状態で変位する際に互いの部材が擦れ合って音が発生する。
【０１７９】
これに対し、本実施形態では、ローラ４９２ａと装飾部材４５０とを当接させた後で、ローラ４９２ａを装飾部材４５０の変位方向に沿って回転させることができるので、ローラ４９２ａと装飾部材４５０とが擦れることを抑制でき、装飾部材４５０とローラ４９２ａとが擦れる音を発生することを抑制できる。
【０１８０】
また、正面ベース４１０に対する装飾部材４５０の規制が、正面ベース４１０に締結固定される側壁部材４７０の規制ユニット４９０により可能であるので、装飾部材４５０に比較的重量が嵩む規制ユニット４９０を配設する必要がない分、装飾部材４５０を軽量化して装飾部材４５０の変位に必要な駆動力を抑制できる、また、回転ユニット５００の変位に伴う装飾部材４５０の正面ベース４１０に対するがたつきを抑制する際には、振動源となる装飾部材４５０を軽量化できるので、がたつきを抑制しやすくできる。
【０１８１】
次に、図２３及び図２４を参照して、装飾部材４５０が第２位置から第１位置に変位する際の、装飾部材４５０と規制ユニット４９０との当接様態を説明する。
【０１８２】
図２３（ａ）及び図２４（ａ）に示すように、装飾部材４５０が、規制ユニット４９０よりも上方に位置する際には、ローラ４９２ａの外周面は、装飾部材４５０やケース部材４９１と当接することなく配置される。
【０１８３】
図２３（ａ）及び図２４（ａ）に示す状態から、装飾部材４５０が下方に変位されて、図２３（ｂ）及び図２４（ｂ）に示すように、装飾部材４５０の下端面がケース部材４９１の上下方向略中間位置と略同一の上下方向の位置に変位された際には、規制ユニット４９０の上方に配設されるローラ４９２ａの外周面と、装飾部材４５０の前面とが当接した状態とされる。これにより、装飾部材４５０が、前後左右にがたつくことを抑制することができる。
【０１８４】
即ち、上側に配設されるローラ４９２ａが、装飾部材４５０に押し出されて径方向に変位されつつ回転して、装飾部材４５０と前後方向（図２４（ｂ）左右方向）に当接した様態とされるので、装飾部材４５０が前後方向にがたつくことを抑制される。また、ローラ４９２ａは、軸部４９２ｂの軸周りの一方向に回転可能であり、装飾部材４５０が左右に動く方向には回転することができないので、装飾部材４５０が左右方向にがたつくことを抑制することができる。
【０１８５】
一方、ローラ４９２ａは、軸部４９２ｂの軸周りに回転可能であるので、ローラ４９２ａと回転ユニット５００とが当接された状態であっても、第１位置では、装飾部材４５０を上下方向に変位させることができる。
【０１８６】
また、上述したように、正面ベース４５２の当接面４５２ｈの下端には、傾斜面４５２ｇが形成されるので、装飾部材４５０が第１位置へ配置される際には、傾斜面４５２ｇを利用してローラ４９２ａを当接面４５２ｈの正面側に案内することができる。これにより、装飾部材４５０を第１位置へ配置する際に必要な駆動力を抑制できる。
【０１８７】
図２３（ｂ）及び図２４（ｂ）に示す状態から、装飾部材４５０がさらに下方に変位されて第１位置に位置されると、規制ユニット４９０に配設される２つのローラ４９２ａの外周面と装飾部材４５０の前面とを当接させた状態とすることができる。
【０１８８】
ここで、上下に変位される装飾部材４５０のがたつきを、その装飾部材４５０の変位方向に沿って回転する回転体（ローラ４９２ａ）で抑制するものであると、回転体（ローラ４９２ａ）が装飾部材４５０の変位方向に沿ってすることを規制して、上下方向のがたつきに対して装飾部材４５０が変位しないように規制することが難しい。
【０１８９】
これに対し、本実施形態では、上述したように、変位部材４３０の他側（駆動側摺動孔４３１が形成される短辺側）の回転方向が、伝達ギヤ４４３の回転軸と突起４４３ａとを結んだ直線の方向と略一致するので、装飾部材４５０を第１位置で上下方向にがたつくことを抑制することができる。即ち、本実施形態では、規制ユニット４９０により装飾部材４５０の変位を第１位置へ変位する上下方向の変位のみを許容することができると共に、第２位置では、伝達ギヤ４４３と変位部材４３０とが死点を形成することで、装飾部材４５０が上下方向にがたつくことを抑制することができる。その結果、正面ベース４１０に対する装飾部材４５０の相対的な変位を規制できるので、回転ユニット５００の変位に伴う装飾部材４５０の正面ベース４１０に対するがたつきを抑制できる。
【０１９０】
また、上下方向に並んで配設されるローラ４９２ａの下方に配置されるローラ４９２ａは、装飾部材４５０だけでなく、ケース部材４９１の膨出部４９１ｃと当接した様態とされる。
【０１９１】
即ち、下側に配設されるローラ４９２ａは、装飾部材４５０と当接された際に、そのローラ４９２ａのゴム成分が正面側（図２４（ｃ）右側）に押し出される（弾性変形される）ことで、正面側の外周面をケース部材４９１の膨出部４９１ｃの側面に当接させて、装飾部材４５０の当接面４５２ｈとケース部材４９１の膨出部４９１ｃとの間にローラ４９２ａを挟み込むことができる。これにより、ローラ４９２ａが、軸部４９２ｂ周りに回転する際の抵抗を増加させて、ローラ４９２ａを回転し難くできる。従って、装飾部材４５０が上下方向に変位する際の抵抗を増加できる。その結果、正面ベース４１０に対する装飾部材４５０の相対的な変位を規制できるので、回転ユニット５００の変位に伴う装飾部材４５０の正面ベース４１０に対するがたつきを抑制できる。
【０１９２】
ここで、装飾部材４５０の当接面４５２ｈとケース部材４９１の膨出部４９１ｃとの間にローラ４９２ａを挟み込む様態としては、ローラ４９２ａの軸部４９２ｂを前後方向（図２４（ｃ）左右方向）に変位させて、ローラ４９２ａを装飾部材の当接面４５２ｈとケース部材４９１の膨出部４９１ｃとの間に挟む様態を形成することも考えられるが、この場合、ローラ４９２ａの軸部４９２ｂを径方向に変位可能にさせる構造が必要となる。
【０１９３】
これに対し、本実施形態では、ローラ４９２ａを弾性体から形成して、その弾性変形を利用して、ローラ４９２ａを装飾部材４５０の当接面４５２ｈとケース部材４９１の膨出部４９１ｃとの間に挟むことができるので、ローラ４９２ａの軸部４９２ｂを径方向に変位可能に形成する必要がなく、軸部４９２ｂを正面ベース４１０に固定される軸として形成できる。これにより、構造を簡素化して、耐久性の向上と製品コストの削減とを図ることができる。
【０１９４】
また、ローラ４９２ａが弾性変位して、装飾部材４５０の当接面４５２ｈとケース部材４９１の膨出部４９１ｃとの間に挟まれるので、回転ユニット５００の変位に伴う装飾部材４５０の正面ベース４１０に対するがたつきにより、装飾部材４５０及びケース部材４９１の膨出部４９１ｃとの間にローラ４９２ａが挟み込まれた場合には、ローラ４９２ａの弾性回復力を利用して、装飾部材４５０及びケース部材４９１の膨出部４９１ｃにローラ４９２ａをより強固に保持させやすくできる。これにより、ローラ４９２ａを回転し難くして、正面ベース４１０に対する装飾部材４５０の相対的ながたつきを抑制できるので、回転ユニット５００の回転変位に伴う装飾部材４５０の正面ベース４１０に対するがたつきを抑制できる。
【０１９５】
さらに、装飾部材４５０が上方から下端の位置に変位するに従って、変位抵抗を増加させることができるので、第１位置で装飾部材４５０を停止させる際に、その停止動作により、他の部品が破損することを抑制することができる。
【０１９６】
即ち、本実施形態では、装飾部材４５０の中央部に回転ユニットを備えるので、重力方向に変位されて停止する際に、各部品に装飾部材４５０の重みに加えて、変位した際の運動エネルギーが作用するので、部品が破損しやすい。
【０１９７】
一方で、本実施形態では、第１位置に変位される際に、その停止の動作を補助をすることができるので、より破損し易い方向の停止の動作の補助ができる。その結果、部品が破損することを効果的に抑制することができ、製品の信頼性を向上することができる。
【０１９８】
さらに、ローラ４９２ａは、装飾部材４５０の変位方向に沿って上下に２つ並設されるので、装飾部材４５０の当接面４５２ｈが、所定の間隔を隔てて２箇所で当接される。よって、装飾部材４５０が傾倒することを抑制でき、回転ユニット５００の上面ベース５１０に対するがたつきを抑制できる。その結果、回転ユニット５００の回転変位に伴う装飾部材４５０の正面ベース４１０に対するがたつきを効果的に抑制できる。
【０１９９】
また、後述する回転ユニット５００の回転平面は正面ベース４５２の当接面４５２ｈ（即ち、ローラ４９２ａが当接される面）と略同一に設定される。即ち、回転ユニット５００の回転平面は、正面ベース４５２の当接面４５２ｈとローラ４９２ａの回転軸とのそれぞれに平行に配置される。これにより、装飾部材４５０を第１位置へ配置する際および第１位置から第２位置へ変位させる際に必要な駆動力を抑制しつつ、回転ユニット５００の回転変位に伴う装飾部材４５０の正面ベース４１０に対するがたつきを効果的に抑制できる。
【０２００】
詳しく説明すると、回転ユニット５００の変位形態が回転であるので、装飾部材４５０は、回転ユニット５００の歳差運動（回転ユニット５００の回転軸が円をえがくように振れる運動）に起因して、回転ユニット５００の回転平面を傾倒させる態様（モード）で振動される。よって、回転ユニット５００の回転平面が、正面ベース４５２の当接面４５２ｈと回転ユニット５００の回転軸とにそれぞれ略平行とされることで、正面ベース４５２の当接面４５２ｈ（即ち、ローラ４９２ａが当接される面）を、ローラ４９２ａの回転軸に直交する方向からローラ４９２ａの外周面に押し付けることができる。その結果、装飾部材４５０を第１位置へ配置する際および第１位置から第２位置へ変位させる際には、ローラ４９２ａが回転されることで、装飾部材４５０の変位に必要な駆動力を抑制しつつ、ローラ４９２ａの外周面への正面ベース４５２の当接面４５２ｈの当接により、回転ユニット５００の変位（回転）に伴う装飾部材４５０の正面ベース４１０に対するがたつきを効果的に抑制できる。
【０２０１】
次に図２５から図３６を参照して、装飾部材４５０に配設される回転ユニット５００について説明する。
【０２０２】
初めに、図２５及び図２６を参照して、装飾部材４５０の全体構成について詳細な説明をする。図２５は、装飾部材４５０の分解正面斜視図であり、図２６は、装飾部材４５０の分解背面斜視図である。
【０２０３】
図２５及び図２６に示すように、装飾部材４５０は、正面ベース４５２と背面ベース４５３との対向間に配設されるギヤ４５４〜４５６と、背面ベース４５３の背面側に取着される駆動モータ４５７と、正面ベース４５２の背面側に取着される信号伝達機構４５８と、を主に備えて形成される。
【０２０４】
正面ベース４５２は、その中央部に背面側に凹設される凹部４５２ｃが形成される。凹部４５２ｃは、正面視円環状に凹設され、その軸部分に前後方向に貫通形成される挿通孔４５２ｆと、左右方向の両端部の側面に左右方向に開口された開口４５２ｄ，４５２ｅが形成される。
【０２０５】
背面ベース４５３は、正面ベース４５２の正面視形状よりも小さい正面視横長矩形状の板状体から形成され、中央部に前後方向に開口する開口４５３ｂと、正面視右側に円形状に前後方向に開口する挿通孔４５３ａと、正面側に円柱形状に突出する軸支部４５３ｃ，４５３ｄと、を主に備えて形成される。
【０２０６】
挿通孔４５３ａは、後述する駆動モータ４５７の軸部が挿通される開口であり、駆動モータ４５７の軸部と対向する位置に開口されると共に、駆動モータ４５７の軸部の外径よりも大きい内径の円形に開口される。開口４５３ｂは、後述する信号伝達機構４５８を挿通させる開口であり、信号伝達機構４５８の正面視形状よりも大きい内形の孔形状に形成される。
【０２０７】
軸支部４５３ｃ，４５３ｄは、後述するギヤ４５５，４５６の軸部分に挿通される軸部であり、各ギヤ４５５，４５６の内径よりも小さい外径の円柱形状に設定される。
【０２０８】
駆動モータ４５７は、内部に位置検出用のエンコーダが組み込まれたモータであり、モータの回転角度および回転速度を検出できる。駆動モータ４５７は、上述したように背面ベース４５３の背面に取着され、駆動モータ４５７の軸部が背面ベース４５３の挿通孔４５３ａに挿通されると共に、背面ベース４５３の正面側からネジやボルト等で締結固定される。
【０２０９】
ギヤ４５４は、ギヤ４５５に歯合されると共に、背面ベース４５３の挿通孔４５３ａを挿通された駆動モータ４５７の軸部に固着されて配設される。また、ギヤ４５４は、背面ベース４５３と正面ベース４５２との対向間よりも前後方向の厚みが小さく形成され、背面ベース４５３が正面ベース４５２に配設された際に、正面ベース４５２及び背面ベース４５３の側面に当接することなく回転することができる。駆動モータ４５７から回転の駆動力が付与されると、ギヤ４５４が回転されると共に、そのギヤ４５４に歯合されるギヤ４５５に回転の駆動力を伝達できる。
【０２１０】
ギヤ４５５は、後述する回転ユニット５００の背面ベース５７１（図２６参照）に歯合されると共に、軸孔が背面ベース４５３の前方に突出する軸支部４５３ｃを挿通して軸支部４５３ｃを軸に回転可能に配設される。また、ギヤ４５５は、背面ベース４５３と正面ベース４５２との対向間よりも前後方向の厚みが小さく形成され、背面ベース４５３が正面ベース４５２に配設された際に、正面ベース４５２及び背面ベース４５３の側面に当接することなく回転することができる。駆動モータ４５７から回転の駆動力が付与されると、ギヤ４５４からギヤ４５５に回転の駆動力が伝達されて、背面ベース５７１が回転される。その結果、回転ユニット５００が回転される。
【０２１１】
なお、ギヤ４５５は、その一部が正面ベース４５２の第１開口４５２ｄに挿通されて配設され、正面ベース４５２の前方に配設される回転ユニット５００の背面ベース５７１に歯合される。
【０２１２】
回転ユニット５００の背面ベース５７１には、ギヤ４５６が歯合される。ギヤ４５６は、初期位置（基準位置）を検出するための突起がその側面（軸方向端面）に突設される部材であり、その軸孔が背面ベース４５３の軸支部４５３ｄに外嵌されて背面ベース４５３に配設される。また、ギヤ４５６は、その一部が第２開口４５２ｅに挿通され背面ベース５７１に歯合される。さらに、ギヤ４５６は、背面ベース４５３と正面ベース４５２との対向間よりも前後方向の厚みが小さく形成され、背面ベース４５３が正面ベース４５２に配設された際に、正面ベース４５２及び背面ベース４５３の側面に当接することなく回転することができる。駆動モータ４５７から回転の駆動力が付与され、ギヤ４５４、ギヤ４５５及び回転ユニット５００（背面ベース５７１）が回転されると、背面ベース５７１から回転の駆動力が伝達されてギヤ４５６が回転される。その結果、回転ユニット５００の初期位置を検出することができる。
【０２１３】
この場合、ギヤ４５６の外周面に刻設されるギヤ歯の歯数と、回転ユニット５００の背面ベース５７１の外周面に刻設されるギヤ５７１ａ１のギヤ歯の歯数とは同一に設定されており、回転ユニット５００の１回転毎にギヤ４５６を１回転させることができる。これにより、初期の位置検出（基準位置）を簡易に行うことができる。
【０２１４】
信号伝達機構４５８は、回転する回転ユニット５００の照射ユニット５３０に電力や信号を伝達するスリップリングであり、前方から突出される軸部４５８ａが回転できるように構成される。また、軸部４５８ａは、断面略Ｄ字状に形成されると共に、その内部に通路が開口されてその通路に電気配線が挿通される。
【０２１５】
背面ベース４５３の開口４５３ｂを挿通させて、正面ベース４５２の背面側に信号伝達機構４５８が取着されると、信号伝達機構４５８の軸部４５８ａがその軸部４５８ａの内部に挿通された電気配線と共に正面ベース４５２の前方から突出された様態とされる。
【０２１６】
次に、図２７から図２９を参照して、回転ユニット５００の全体構成を説明する。図２７は、回転ユニット５００の分解正面斜視図であり、図２８は、回転ユニット５００の分解背面斜視図である。図２９（ａ）は、回転ユニット５００の上面図であり、図２９（ｂ）は、図２９（ａ）のＸＸＩＸｂ方向視における回転ユニット５００の正面図であり、図２９（ｃ）は、図２９（ａ）のＸＸＩＸｃ−ＸＸＩＸｃ線における回転ユニット５００の断面図である。なお、回転ユニット５００の説明は、初期位置（基準位置）における状態での説明をするものとする。
【０２１７】
図２７から図２９に示すように、回転ユニット５００は、上の側面を形成する上面ベース５１０と、下の側面を形成する下面ベース５２０と、上面ベース５１０の下方に配設される照射ユニット５３０と、その照射ユニット５３０の下方に配設される中間部材５４０と、その中間部材５４０の下方に配設される反射板５６０と、反射板５６０の前方に配設される正面カバー５５０と、上面ベース５１０と下面ベース５２０との背面側に配設される回転伝達ユニット５７０と、を主に備えて形成される。
【０２１８】
回転伝達ユニット５７０は、駆動モータ４５７の回転を上面ベース５１０及び下面ベース５２０へ伝達するためのユニットであり、背面側に配設される背面ベース５７１と、正面側に配設される正面ベース５７２と、正面ベース５７２及び背面ベース５７１の対向間に挟持されるベアリングＢＲと、そのベアリングＢＲの内側に配設される締結部材５７３と、を主に備えて形成される。
【０２１９】
背面ベース５７１は、正面視円環形状に形成され、その内周縁部から背面側に背面視円環形状に膨出する膨出部５７１ａが形成される。膨出部５７１ａには、その外側側面にギヤ５７１ａ１が刻設される。ギヤ５７１ａ１は、上述したように、ギヤ４５５に歯合される。これにより、駆動モータ４５７に駆動力を付与することで、回転の駆動力が各ギヤ４５４，４５５を介して背面ベース５７１（ギヤ５７１ａ１）伝達され、回転ユニット５００が回転される。
【０２２０】
正面ベース５７２は、正面視円環形状に形成されると共に、外周縁部から立設される外側立設部５７２ａと、内周円部から正面視Ｕ字形状に立設する内側立設部５７２ｂと、を備える。
【０２２１】
外側立設部５７２ａは、背面ベース５７１の前面と正面ベース５７２の背面との間に隙間を形成して、その対向間にベアリングＢＲと締結部材５７３とを挟持するための壁部であり、ベアリングＢＲの軸方向の幅寸法と略同一の立設高さに設定されると共に、ベアリングＢＲの外径と略同一の内形に設定される。
【０２２２】
また、外側立設部５７２ａの立設先端側の側面は、背面ベース５７１の前面と当接されると共に、背面ベース５７１の背面側から挿通されたネジが締結固定される。これにより、背面ベース５７１と正面ベース５７２とが締結固定される。
【０２２３】
内側立設部５７２ｂは、上述した信号伝達機構４５８の軸部４５８ａが回転される際に、回転ユニット５００の内部と信号伝達機構４５８の軸部４５８ａとを連結する配線がねじれることを抑制する部材であり、背面視略Ｕ字形状に立設され、その内形が信号伝達機構４５８の軸部４５８ａの正面視形状の外形と略同一または少し大きく形成される。
【０２２４】
よって、回転ユニット５００を正面ベース４５２に配設する際に、内側立設部５７２ｂを信号伝達機構４５８の軸部４５８ａに外嵌することができる。従って、回転ユニット５００が回転されると、内側立設部５７２ｂと信号伝達機構４５８の軸部４５８ａとの互いの平面部分がかみ合い、信号伝達機構４５８の軸部４５８ａを回転させることができる。その結果、回転ユニット５００と信号伝達機構４５８とを連結する配線がねじれることを抑制することができる。
【０２２５】
ベアリングＢＲは、回転ユニット５００を正面ベース４５２に対して回転させた際に、その回転が正面ベース４５２に伝達されることを抑制する部材であり、内径および外径の異なる円環形状の金属部材を２つ組み合わせると共に、その両部材の間に球状もしくは円柱形状の金属体を嵌め込んで形成される。
【０２２６】
ベアリングＢＲの外径は、正面ベース５７２の外側立設部５７２ａの内径と略同一に設定される。これにより、ベアリングＢＲを正面ベース５７２の外側立設部５７２ａに固定させて配設することができる。この場合、背面ベース５７１の内径は、ベアリングＢＲの外径よりも小さく設定される。よって、正面ベース５７２と背面ベース５７１との対向間にベアリングＢＲを挟持した際に、ベアリングＢＲが回転伝達ユニット５７０から外れることが抑制される。
【０２２７】
締結部材５７３は、回転ユニット５００を正面ベース４５２に締結する部材である。締結部材５７３は、正面視円環形状に形成されると共に、正面側の外周面から突出される突壁部５７３ａを備える。
【０２２８】
締結部材５７３の外径は、ベアリングＢＲの内径と略同一に形成される。一方、締結部材５７３の内径は、正面ベース５７２の内側立設部５７２ｂの外形よりも大きく形成される。これにより、締結部材５７３は、その外縁部がベアリングＢＲの内縁部に内嵌されると共に、内縁部に正面ベースの内側立設部５７２ｂを挿通させた様態で回転伝達ユニット５７０に配設される。
【０２２９】
突壁部５７３ａは、組み上げられた回転伝達ユニット５７０から締結部材５７３が取り外されることを抑制するための突出部であり、締結部材５７３の外周面から一定の突出寸法で全周に亘って突出形成され、その外径寸法がベアリングＢＲの内径よりも大きく設定される。よって、締結部材５７３をベアリングＢＲの正面側からベアリングＢＲに内嵌させることで、組み上げられた回転伝達ユニット５７０から締結部材５７３が取り外されることを抑制できる。
【０２３０】
詳しく説明すると、締結部材５７３をベアリングＢＲの前方からベアリングＢＲに内嵌させることで締結部材５７３をベアリングＢＲに対して後方に移動させることを規制することができる。一方、締結部材５７３の正面側への移動は、ベアリングＢＲが正面ベース５７２と背面ベース５７１との対向間に配設されることで、締結部材５７３の正面側の側面と正面ベース５７２の背面側の側面とが当接されて規制される。その結果、組み上げられた回転伝達ユニット５７０から締結部材５７３が外れることを抑制できる。
【０２３１】
また、ベアリングＢＲを外嵌した締結部材５７３が正面ベース４５２に締結されるので、回転ユニット５００が回転された際の回転運動を正面ベース４５２に伝達することを抑制できる。
【０２３２】
即ち、回転ユニット５００が回転された際には、ベアリングＢＲの外側に配設される円環形状の金属体のみを回転させて、内側に配設される円環形状の金属体にその回転を非伝達とすることで、締結部材５７３が回転されることを抑制できる。その結果、装飾部材４５０に対して回転ユニット５００を回転させることができる。
【０２３３】
上面ベース５１０は、上面視した際に背面側（図２９（ａ）上側）に湾曲する円弧形状に形成されると共に、その前縁部が下方（図２９（ａ）紙面奥側）に湾曲する湾曲形状に形成される。また、上面ベース５１０は、左右方向（図２９（ｂ）左右方向）中央部に正面視半円状に膨出する装飾部５１１と、上下方向（板圧方向）に貫通される送風孔５１２と、下側に円柱形状に突出する押圧部５１３とを主に備えて形成される。
【０２３４】
装飾部５１１は、上述した回転伝達ユニット５７０の正面ベース５７２の上部側と締結される部分であり、背面側に正面ベース５７２と締結される締結孔が穿設されると共に、正面視した際の半円形状の半径が、正面ベース５７２の外径の半径よりも大きく形成される。これにより、回転伝達ユニット５７０の正面ベース５７２と締結されて、正面視した際に正面ベース５７２の上部側を視認不能とすることができる。
【０２３５】
送風孔５１２は、上下方向（図２９（ｃ）上下方向）に貫通する貫通孔であり、前後方向（図２９（ａ）上下方向）に長く開口される長孔形状に形成される。また、送風孔５１２は、上面ベース５１０の円弧形状に沿って左右方向に複数個が形成される。
【０２３６】
押圧部５１３は、上面ベース５１０を下面ベース５２０と組み合わせた際に、その対向間に挟持する照射ユニット５３０と上面ベース５１０との間に隙間を形成すると共に、照射ユニット５３０が動くことを規制するための突起であり、その突出高さが、照射ユニット５３０の上面側の側面までの高さに設定される（図２９（ｃ）参照）。また、押圧部５１３は、上面ベース５１０の背面側の縁部に複数個突出形成される。
【０２３７】
下面ベース５２０は、上面ベース５１０と略同一の形状に形成されると共に、回転伝達ユニット５７０の軸を中心に上面ベース５１０と対称に配置される。なお、下面ベースに形成される装飾部５２１及び送風孔５２２は、上面ベース５１０に形成される装飾部５１１及び送風孔５１２と同一形状であるのでその詳しい説明は省略する。
【０２３８】
なお、下面ベース５２０の装飾部５２１は、回転伝達ユニット５７０の正面ベース５７２の下部側と締結される部分であり、回転伝達ユニット５７０の正面ベース５７２と締結されて、正面視した際に正面ベース５７２の下部側を視認不能とすることができる。よって、上面ベース５１０と下面ベース５２０とを合わせることで、回転ユニット５００を回転させる際の機構を遊技者が目視することで、遊技者の興趣が損なうことを抑制できる。
【０２３９】
照射ユニット５３０は、基盤部材５３１と、その基盤部材５３１の下面側に配設されるＬＥＤ５３２とを主に備えて形成される。
【０２４０】
基盤部材５３１は、上面視の外形形状が、上面ベース５１０の上面視形状よりも少し小さい外形形状の板状体から形成される。これにより、上面ベース５１０と下面ベース５２０とを上下方向に組み合わせて配設した際に、基盤部材５３１を上下方向から視認不能とすることができる。
【０２４１】
また、基盤部材５３１は、正面側の縁部に上下方向に貫通する貫通孔５３１ａが形成される。貫通孔５３１ａは、基盤部材５３１の配置がずれることを抑制する部材であり、その詳しい説明は後述する。基盤部材５３１には、上述した信号伝達機構４５８の軸部４５８ｂの配線が連結される。これにより、基盤部材５３１に組み込まれたＩＣやコンデンサを介して後述するＬＥＤ５３２から光を照射することができる。
【０２４２】
ＬＥＤ５３２は、表面実装型ＬＥＤとして形成され、正面視における外形（樹脂セラミックから成型されたキャビティの外形）が矩形に形成されると共に、光を照射する照射面（キャビティ内に封入されたエポキシやシリコンなどの封入樹脂の表面）が正面視円形状に形成される。また、ＬＥＤ５３２は、基盤部材５３１の下面側に配設されると共に、基盤部材５３１の上面視円弧形状に沿って左右方向に複数個が並んで配設される。これにより、ＬＥＤ５３２は、後述する反射板５６０に光を照射することができる。
【０２４３】
中間部材５４０は、上面視の外形が上面ベース５１０の上面視形状と略同一の板状体から形成される。これにより、上面ベース５１０と下面ベース５２０とを上下方向に組み合わせて配設した際に、その対向間に中間部材５４０を配設することができる。
【０２４４】
正面カバー５５０は、透明な光透過性材料から形成されると共に、上面視円弧形状に形成される。また、正面カバー５５０は、中間部材５４０側に配置される。
【０２４５】
反射板５６０は、外面に銀色の装飾（メッキ）が施されると共に、上面視の外形が上面ベース５１０の上面視形状と略同一の板状体から形成される。また、反射板５６０は、正面側の側面が後方に切り欠かれた凹欠部５６４を備える。
【０２４６】
凹欠部５６４は、上述した正面カバー５５０がその切り欠き部分に挿入されることで、正面カバー５５０の前面を上面ベース５１０、下面ベース５２０及び中間部材５４０の前面と略同一の位置にして配設できる。即ち、正面カバー５５０の前後方向の幅寸法は、反射板５６０の凹欠部５６４の前面から上面ベース５１０、下面ベース５２０及び中間部材５４０の前面までの距離寸法に設定されて形成される。これにより、正面カバー５５０を回転ユニット５００から突出して配設されることを抑制することができる。その結果、回転ユニット５００を凹凸の少ない一体のユニットとして組み上げることができ、回転ユニット５００を視認した際に、部品毎の外形形状を分かり難くして、遊技者の興趣が損なわれることを抑制できる。
【０２４７】
次に、図３０を参照して、中間部材５４０の詳細な説明をする。図３０（ａ）は、中間部材５４０の上面図であり、図３０（ｂ）は、図３０（ａ）のＸＸＸｂ−ＸＸＸｂ線における中間部材５４０の部分拡大断面図である。
【０２４８】
図３０（ａ）及び図３０（ｂ）に示すように、中間部材５４０は、上面視した際に外縁部から上方向（上面ベース５１０が配設される方向）に立設する第１外縁部５４１及び第２外縁部５４２と、上下方向に貫通形成される照射孔５４３と、その照射孔５４３の周囲から突設される照射規制部５４４と、正面側の縁部に突設される突設部５４５と、照射規制部５４４の外周縁部に凹設される溝部５４６、を主に備えて形成される。
【０２４９】
第１外縁部５４１は、中間部材５４０の正面側の外縁部に形成される。第１外縁部５４１の正面側（図３０（ａ）下側）の上面視における湾曲形状の内径寸法は、照射ユニット５３０の基盤部材５３１の上面視における正面側の湾曲形状の外径寸法と略同一に設定される。また、第１外縁部５４１の立設寸法は、基盤部材５３１の厚み寸法（上下方向寸法）よりも大きく設定される。よって、回転ユニット５００が組み上げられた際には、照射ユニット５３０を第１外縁部５４１により遮蔽して、正面側から視認不能とすることができる。
【０２５０】
第２外縁部５４２は、中間部材５４０の背面側の外縁部に形成される。第２外縁部５４２の背面側（図３０（ａ）上側）の上面視における形状は、照射ユニット５３０の基盤部材５３１の上面視における背面側の形状と略同一に形成される。また、第２外縁部５４２の立設寸法は、第１外縁部５４１よりも低く設定される。よって、回転ユニット５００が組み上げられた際には、照射ユニット５３０の下側側面が第２外縁部５４２の立設先端面に当接した様態で配設される。よって、導入した外気を背面へスムーズに排出できくる。
【０２５１】
照射孔５４３は、照射ユニット５３０に配設される複数のＬＥＤ５３２から照射される光をそれぞれ個別に分割するための孔であり、照射ユニット５３０に配設されるＬＥＤ５３２と対向する位置に開口される。これにより、隣合うＬＥＤ５３２の光が、他の範囲を照射することを抑制できる。また、照射ユニット５３０側の照射孔５４３の内径は、ＬＥＤ５３２の照射面の外径と略同一に設定され、それらの互いの軸が同軸上に配置される。これにより、ＬＥＤ５３２から発光された光を照射孔５４３を介して、後述する反射板５６０の反射部５６３へ効率的に入射させることができる。
【０２５２】
また、照射孔５４３は、上面側（ＬＥＤ５３２側）から下面側に向かって内径が大きく形成される。これにより、ＬＥＤ５３２から発光された光を照射孔５４３を介して、反射板５６０の反射部５６３へ効率的に入射させることができる。
【０２５３】
照射規制部５４４は、上述した照射孔５４３の周囲に突設される。これにより、ＬＥＤ５３２と中間部材５４０の上面との対向間の隙間を小さくすることができるので、ＬＥＤ５３２の光を照射孔５４３へ入射しやすくでき、照射孔５４３の外へ漏れることを抑制できる。その結果、残像効果による残像表示の光の強さを高めることができる。
【０２５４】
また、照射規制部５４４の突出寸法は、第２外縁部５４２の立設寸法と略同一に設定され、回転ユニット５００が組み上げられた際に、照射規制部５４４の突出先端面と照射ユニット５３０のＬＥＤ５３２とが当接される。これにより、隣接するＬＥＤの光が照射孔５４３へ入射されることを抑制できるので、残像効果による残像表示の外径を明確とできる。また、照射ユニット５３０側の照射孔５４３の内径は、ＬＥＤ５３２の照射面の外径と略同一に設定されるので、ＬＥＤ５３２に当接する照射規制部５４４の面積を確保できるので、各ＬＥＤ５３２の光が照射孔５４３の外へ漏れ出ることを抑制できる。その結果、残像効果による残像表示の光の強さを高めることができる。
【０２５５】
さらに、照射規制部５４４は、隣接する照射規制部５４４と互いの外周面どうしが連結されるので、中間部材５４０の剛性を高めることができる。この場合、照射規制部５４４は外周面が円形に形成され、隣接する照射規制部５４４と互いの外周面どうしが連結される。即ち、複数の照射規制部５４４どうしが連結された群は、外形が凸凹（外方に凸の円弧が複数連なる形状）に形成されるので、空間（表面積）を確保して、放熱効果を高めつつ、外形の凸凹を利用して、中間部材５４０の剛性を高めることができる。
【０２５６】
突設部５４５は、照射ユニット５３０が前後左右に動くことを規制する突起であり、回転ユニット５００が組み上げられた際に、基盤部材５３１の貫通孔５３１ａに挿通される位置に形成される。また、突設部５４５は、外径形状の異なる円柱を上下に組み合わせた形状に形成され、基部側の大径部５４５ａとその大径部５４５ａよりも小径とされる先端側の小径部５４５ｂとから形成される。
【０２５７】
大径部５４５ａは、中間部材５４０に照射ユニット５３０を配設した際に、中間部材５４０と基盤部材５３１との対向間に所定の隙間を形成するための突部であり、基盤部材５３１の貫通孔５３１ａの内径よりも大きい外形に設定されると共に、その突出寸法が、第２外縁部５４２の立設寸法と略同一に設定される。
【０２５８】
これにより、中間部材５４０に照射ユニット５３０を配設した際に、正面側の中間部材５４０と照射ユニット５３０の基盤部材５３１との対向間隔が規定される。一方、背面側の中間部材５４０と照射ユニット５３０の基盤部材５３１との対向間隔は、第２外縁部５４２により規定される。また、大径部５４５ａの突出距離と第２外縁部５４２の立設距離とが略同一に設定されるので、照射ユニット５３０の基盤部材５３１上下方向の側面を中間部材５４０の上下方向の側面に対して平行に配設することができる。
【０２５９】
小径部５４５ｂは、中間部材５４０に照射ユニット５３０を配設した際に、中間部材５４０に対して、照射ユニット５３０を位置決めするための突部であり、基盤部材５３１の貫通孔５３１ａの内径と略同一もしくは少し小さい外径に設定される。よって、中間部材５４０に照射ユニット５３０を配設する際に、中間部材５４０の小径部５４５ｂに基盤部材５３１の貫通孔５３１ａを外嵌させることで、中間部材５４０に対する照射ユニット５３０を前後左右方向への移動を規定できる。
【０２６０】
溝部５４６は、照射規制部５４４の基部に沿って延設されると共に、断面コ字状に凹設される溝である。溝部５４６の凹設の分、中間部材５４０の側面と外気とが接触する面積が増えるので、中間部材５４０の放熱性が向上される。また、中間部材５４０の剛性を確保しつつ、放熱効果を高めることができる。即ち、照射規制部５４４の基部に沿って延設される溝状の溝部５４６を形成することで、中間部材５４０に凹設される領域を最小として、その中間部材５４０の剛性を確保しつつ、ＬＥＤ５３２の動作により、発生する熱が特に集中する部分に対して空間を拡大して、放熱効果を高めることができる。
【０２６１】
なお、溝部５４６の溝幅は、照射規制部５４４の外周縁部から照射孔５４３までの距離寸法よりも小さく設定され、溝部５４６の凹設深さは、中間部材５４０の板厚の半分よりも小さく設定される。
【０２６２】
次に、図３１を参照して、正面カバー５５０の詳細な説明をする。図３１（ａ）は、正面カバー５５０の正面図であり、図３１（ｂ）は、図３１（ａ）のＸＸＸＩｂ−ＸＸＸＩｂ線における正面カバー５５０の部分拡大断面図である。なお、図３１（ｂ）では、拡散部５５１が模式的に図示される。
【０２６３】
図３１（ａ）及び図３１（ｂ）に示すように、正面カバー５５０は、下側（図３１（ｂ）左側）の内縁側（図３１（ｂ）上側）の側面に、拡散部５５１を備えて形成される。
【０２６４】
拡散部５５１は、粗面加工された部分であり、拡散部５５１に照射される光を、その粗面により乱反射させて拡散させることができる。なお、粗面加工とは、表面に凹凸を形成する加工様態のことである。
【０２６５】
次に、図３２を参照して、反射板５６０の詳細な説明をする。図３２（ａ）は、反射板５６０の上面図であり、図３２（ｂ）は、図３２（ａ）のＸＸＸＩＩｂ−ＸＸＸＩＩｂ線における反射板５６０の部分拡大断面図である。なお、図３２（ｂ）では、反射部５６３が模式的に図示される。
【０２６６】
図３２（ａ）及び図３２（ｂ）に示すように、反射板５６０は、上面側（図３２（ａ）紙面手前側）に立設する仕切壁５６１と、その仕切壁５６１に囲まれた領域の上面に形成される反射部５６３と、背面側の縁部に沿って立設する立設壁５６２と、を主に備えて形成される。
【０２６７】
仕切壁５６１は、上面視において、正面側（図３２（ａ）下側）が開放するＵ字状に立設されると共に、反射板５６０の正面側の縁部に沿ってに左右方向に複数個が並んで形成される。また、隣合う互いの立設壁５６２は、正面方向に延設される壁部が組み合わされて（兼用されて）１の壁部とされる。これにより、仕切壁５６１を並設するスペースを小さくすることができる。その結果、仕切壁５６１を形成する個数を最大とすることができる。
【０２６８】
反射部５６３は、上面視において、反射板５６０の正面側の縁部と仕切壁５６１との間に囲まれる領域の上面がレーザー加工等により粗面加工されて形成される。また、反射部５６３は、反射板５６０の上面および下面と平行な側面から形成される水平部５６３ａと、水平部５６３ａと連結して水平部５６３ａから離間するに従って反射板５６０の板厚が拡大する方向に傾斜する傾斜面５６３ｂと、を主に備えて形成される。
【０２６９】
水平部５６３ａは、反射板５６０の上面および下面と平行な側面のうち、正面側の縁部以外の側面に形成される。即ち、正面側の縁部には、水平部５６３ａ（反射部５６３）が形成されず、粗面加工されない。これにより、反射板５６０の正面側の縁部を保持して反射部５６３を形成することができる。その結果、粗面加工する際の保持部分を反射板５６０に別途形成する必要がなく、製造コストを低くすることができる。
【０２７０】
傾斜面５６３ｂは、主に、上面側に配設される照射ユニット５３０のＬＥＤ５３２から照射される光を正面側に反射させる部分であり、ＬＥＤ５３２の照射面に対して正面側に４５度傾けた傾斜面に形成される。
【０２７１】
また、水平部５６３ａと傾斜面５６３ｂとの連結位置は、その連結する直線が、ＬＥＤ５３２の照射面の軸を通過する位置に設定される。これにより、ＬＥＤ５３２から照射される光のうちの背面側に向かって照射される光は、傾斜面５６３ｂによって効果的に正面側に反射させることができる。一方、ＬＥＤ５３２から照射される光のうちの正面側に照射される光は、水平部５６３ａによって、正面側に反射させることができる。
【０２７２】
立設壁５６２は、上述したように、反射板５６０の背面側の縁部に沿って立設され、その立設高さが、仕切壁５６１の立設高さと同一の高さに設定される。これにより、回転ユニット５００を組み上げた（反射板５６０の上部に中間部材５４０を配置した）際に、立設壁５６２と仕切壁５６１との間に空間を形成することができる。即ち、反射板５６０と中間部材５４０との間に空気層を形成することができる。その結果、反射板５６０及び中間部材５４０の内部に熱が蓄えられることを抑制することができ、回転ユニット５００が熱を蓄えて、回転ユニット５００に配設される照射ユニット５３０の基盤部材５３１が破損することを抑制することができる。
【０２７３】
以上のように、構成される回転ユニット５００は次のようにして組み上げられる。初めに、ベアリングＢＲの内円部分に締結部材５７３を正面側から内嵌すると共に、締結部材５７３の内円部分を正面ベース５７２の内側立設部５７２ｂに外嵌する。正面ベース５７２、ベアリングＢＲ及び締結部材５７３を一体にした後に、その背面側に背面ベース５７１を配設して正面ベース５７２と背面ベース５７１とを締結して回転伝達ユニット５７０をユニットとして組み上げる。
【０２７４】
回転ユニット５００の前方部分（回転伝達ユニット５７０を除いた部分）は、反射板５６０の下側に下面ベース５２０が配置されて、下面ベース５２０と反射板５６０とが締結される。下面ベース５２０と反射板５６０とが締結固定された後に、反射板５６０の上面側に中間部材５４０が正面側に正面カバー５５０を挟んだ状態で重ね合される。その中間部材５４０の上面に照射ユニット５３０が、その貫通孔５３１ａを中間部材５４０の突設部５４５の小径部５４５ｂに外嵌した状態で、配設される。この状態で、上面ベース５１０を上方から配置すると共に、中間部材５４０と締結することで、回転ユニット５００の前方部分（回転伝達ユニット５７０を除いた部分）がユニットとして組み上げられる。
【０２７５】
次に、回転ユニット５００の前方部分の後方に回転伝達ユニット５７０を配置すると共に、回転ユニット５００と回転伝達ユニット５７０とを締結することで回転ユニット５００が１のユニットとして組み上げられる。
【０２７６】
次に、図３３及び図３４を参照して、照射ユニット５３０のＬＥＤ５３２から照射される光について説明する。図３３（ａ）は、回転ユニット５００の上面図であり、図３３（ｂ）は、図３３（ａ）のＸＸＸＩＩＩｂ−ＸＸＸＩＩＩｂ線における回転ユニット５００の断面図である。図３４の（ａ）及び（ｂ）は、図３３（ｂ）のＸＸＸＩＶ部における回転ユニット５００の部分拡大断面図である。
【０２７７】
なお、図３３（ａ）では、回転ユニット５００から上面ベース５１０及び照射ユニット５３０が取り外された状態が図示される。また、図３４（ａ）及び図３４（ｂ）では、ＬＥＤ５３２から照射される光が２点鎖線で図示される。
【０２７８】
図３３（ａ）及び図３３（ｂ）に示すように、中間部材５４０の照射孔５４３の下方には、仕切壁５６１に囲まれることで１の領域として区画された反射部５６３が配置される。上述したように、各照射孔５４３の上側には、各ＬＥＤ５３２が配置されるので、それぞれのＬＥＤ５３２から照射される光をそれぞれ異なる位置の反射部５６３に照射させることができる。即ち、各ＬＥＤ５３２から発光された光を、各反射部５６３で区画された状態で出射させることができるので、各ＬＥＤ５３２の光の区切りを明確とできる。その結果、各ＬＥＤ５３２から発光された光を対応する反射部５６３のみから出射させることができるのでき、残像効果による残像表示の外形を明確とできる。
【０２７９】
また、ＬＥＤ５３２の光を、中間部材５４０の照射孔５４３を介して、対応する反射板５６０の反射部５６３へ入射させる構造体を反射板５６０及び中間部材５４０の２部材から形成するので、かかる構造体を一部材から構成する場合と比較して、構造を簡素化することができる。よって、製品コストの削減を図ることができる。
【０２８０】
図３４（ａ）に示すように、照射ユニット５３０のＬＥＤ５３２から反射板５６０の傾斜面５６３ｂに照射される光は、傾斜面５６３ｂの粗面により乱反射されて、正面側（図３４（ａ）下側）に反射され、正面カバー５５０を透過して、遊技機正面側に出射される。即ち、ＬＥＤ５３２から照射される光を、回転ユニット５００の前方（正面側）に出射させることができる。従って、基盤部材５３１の姿勢を、ＬＥＤ５３２が搭載される面を回転ユニット５００の回転軸に略平行とする場合でも、ＬＥＤ５３２の光（点滅）を遊技者に視認させ、残像効果による残像表示を行うことができる。
【０２８１】
また、反射板５６０の傾斜面５６３ｂにより、ＬＥＤ５３２から照射される光を効率的に遊技者側に出射させることができる。よって、より強い光を回転ユニット５００の正面側へ出射させることができる。従って、残像効果による残像表示の光の強さを高めることができる。
【０２８２】
なお、ＬＥＤ５３２から反射部５６３の傾斜面５６３ｂに照射される光の中には、傾斜面５６３ｂの粗面により乱反射されて、中間部材５４０及び反射板５６０の対向する面に反射される光がある。中間部材５４０及び反射板５６０の対向する面に反射される光は、その面（中間部材５４０及び反射板５６０の対向する面）により再び反射されることで正面カバー５５０に照射される。
【０２８３】
この場合、上述したように中間部材５４０は、光の吸収率が黒色よりも低い白色で形成されるので、中間部材５４０に反射される光を、再び反射させやすくできる。一方、反射板５６０は、上述したように、外面に銀色の装飾が施されており、反射板５６０に反射される光を、再び反射させやすくできる。
【０２８４】
よって、ＬＥＤ５３２から反射部５６３に照射される光を、粗面により乱反射させて、均等に分散させた状態で、回転ユニット５００の正面側（遊技者側へ）出射させることができる。即ち、反射部５６３の開口から出射される光が、その開口の一部に偏った状態で視認されることを抑制できる。
【０２８５】
図３４（ｂ）に示すように、照射ユニット５３０のＬＥＤ５３２から反射板５６０の水平部５６３ａに照射される光は、水平部５６３ａの粗面により乱反射されて、正面側（図３４（ｂ）下側）に反射される。よって、ＬＥＤ５３２から照射される光を、正面カバー５５０を通過させて、正面側に出射させることができる。
【０２８６】
なお、反射板５６０の正面側端部には、水平部５６３ａの粗面が非形成とされるので、回転ユニット５００の正面側（遊技者側）へ向けて光を出射させやすくすることができ、残像効果による残像表示の光の強さを高めることができる。即ち、反射板５６０の内面のうちの回転ユニット５００の正面側の端部に粗面加工が施されると、その粗面で光が乱反射して、回転ユニット５００の正面側（打遊技者側）へ向けて出射する光を減少させてしまうところ、反射板５６０の正面側端部が非形成とされ、少なくとも反射部５６３に加工される粗面よりも平坦な平滑面とされるので、乱反射を抑制して、回転ユニット５００の正面側（遊技者側）へ向かう光を増加させることができる。
【０２８７】
また、仕切壁５６１は、水平部５６３ａよりも正面側の端部（反射部５６３の粗面加工が非形成（平滑面）とされる部分）において、正面側（凹欠部５６４が形成される側）の端部に向かうに従って先細りの形状とされるので、水平部５６３ａの粗面加工の非形成とされる部分は、回転ユニット５００の正面側の端部へ向かうに従ってその内面の断面積が大きくされる（拡径される）。よって、回転ユニット５００の正面側へ向けて出射される光に広がりを持たすことができる。即ち、発光領域として視認される面積をＬＥＤ５３２の発光面の面積よりも拡大できる。よって、ＬＥＤ５３２を小型化できる。
【０２８８】
さらに、反射板５６０（回転ユニット５００）の正面側は、左右方向中央部（回転軸）を中心として端部に向かうほど背面側に湾曲して形成されるので、反射板５６０の正面側（凹欠部５６４が形成される側）の端部は、回転ユニット５００の回転軸から径方向に離間するほど、仕切壁５６１で仕切られたそれぞれの領域における正面側（凹欠部５６４が形成される側）の端部の長さ寸法が大きくされる。これにより、複数の反射部５６３のそれぞれの視認される明度（光の明るさ）を均一にすることができる。
【０２８９】
即ち、回転ユニット５００では、回転軸（回転中心）から径方向外方へ向かうほど変位速度（周速）が速くなるため、列状に配設したＬＥＤ５３２を同じ明るさで発光させると、回転軸に近いＬＥＤ５３２の光ほど、回転軸から遠い（径方向外方の）ＬＥＤ５３２の光よりも、明度が高く（明るく）見える。
【０２９０】
これに対し、本実施形態では、反射板５６０の正面側の端部が、回転ユニット５００の回転軸から径方向に離間するほど、仕切壁５６１で仕切られたそれぞれの領域における正面側（凹欠部５６４が形成される側）の端部の長さ寸法が大きくされるので、回転ユニット５００の回転軸から径方向外方に離間する反射部５６３（ＬＥＤ５３２）ほど、粗面による乱反射を強くして（即ち、ＬＥＤ５３２から直接遊技者に視認される光の割合を小さくして）、高い明度の光として視認させることができる。その結果、径方向の配設位置における目で見た明るさの差を抑制して、明度（光の明るさ）を均一化できる。
【０２９１】
また、回転ユニット５００の軸方向と平行な方向の反射板５６０の水平部５６３ａの長さ寸法は、回転ユニット５００の回転軸から径方向に離間するに従って大きくされるので、数の反射部５６３のそれぞれの視認される明度（光の明るさ）を均一にすることができる。
【０２９２】
正面カバー５５０に照射される光は、正面カバー５５０の内周面に形成される拡散部５５１により光の進行方向を拡散させることができる。即ち、正面カバー５５０の拡散部５５１の粗面により、拡散部５５１に照射される光の進行方向を複数の異なる方向に曲げることができる。その結果、回転ユニット５００の正面側へ向けて出射される光に広がりを持たすことができる。即ち、発光領域として視認される面積をＬＥＤ５３２の発光面の面積よりも拡大できる。よって、ＬＥＤ５３２を小型化できる。
【０２９３】
また、ここで、ＬＥＤ５３２の光を直接（光透過性材料の部材を透過させないで）遊技者に視認させるものであると、ＬＥＤ５３２の光は、前方への指向性が高いため、遊技者が眩しく感じる恐れがあった。
【０２９４】
これに対し、本実施形態では、ＬＥＤ５３２から照射される光を乱反射させる面を、反射板５６０と正面カバー５５０との２箇所に形成するので、ＬＥＤ５３２から照射される光の指向性を弱くできる。これにより、遊技者が照射された光を視認して眩しく感じることを抑制できる。
【０２９５】
ここで、複数の発光手段（ＬＥＤ５３２）を有し回転位置に応じて発光手段を点滅させることで、残像効果による表示を行うものが知られている。しかしながら、従来の発光手段では、基盤（基盤部材５３１）の姿勢が、発光手段が搭載される面を回転軸に直交させる姿勢（即ち、発光手段の照射方向を正面側（遊技者側）へ向けた回転平面と平行な姿勢）とされるため、正面視（回転軸方向視）における外形が大型化する。そのため、回転表示装置（回転ユニット５００）の回転が停止された状態において、その回転ユニット５００の背面側の視認性が阻害されるという問題点があった。
【０２９６】
これに対し、本実施形態では、回転ユニット５００は、複数のＬＥＤ５３２が列設される基盤部材５３１が、ＬＥＤ５３２が搭載される面を回転ユニット５００の回転軸と略平行とする姿勢で、上面ベース５１０と下面ベース５２０との間に配設されるので、正面視（回転軸方向視）における上面ベース５１０及び下面ベース５２０の外形を抑制することができる。その結果、回転ユニット５００の回転が停止された状態において、上面ベース５１０及び下面ベース５２０の背面側の視認性を向上させることができる。
【０２９７】
次に、図３５及び図３６を参照して、回転ユニット５００の回転について説明する。
【０２９８】
図３５（ａ）及び図３５（ｂ）は、回転ユニット５００の正面図である。図３６（ａ）及び図３６（ｂ）は、回転ユニット５００の上面図である。
【０２９９】
なお、図３５（ａ）から図３６（ｂ）では、回転ユニット５００により生じる空気の流れが２点鎖線で図示され気流Ｋの符号が付与される。また、上面ベース５１０及び下面ベース５２０の送風孔５１２，５２２が破線で図示される。
【０３００】
さらに、本実施形態では、回転ユニット５００が正面視左回転される際の説明のみとし、正面視右回転される際は、回転ユニット５００の回転軸を中心に気流Ｋの流れが反転するのみであるので、その説明は省略する。
【０３０１】
図３５（ａ）及び図３５（ｂ）に示すように、回転ユニット５００が上述した駆動モータ４５７の駆動力により回転されると、その回転により外部の空気が送風孔５１２，５２２から侵入して回転ユニット５００の内部に気流Ｋが発生する。
【０３０２】
この場合、送風孔５１２，５２２が、回転ユニット５００の回転方向に対して、接線方向に開口されるので、回転ユニット５００の回転する際に、送風孔５１２，５２２を介して、回転ユニット５００の外部の空気を回転ユニット５００の内部に侵入させやすくできる。
【０３０３】
詳しく説明すると、回転ユニット５００が正面視左方向に回転されると、初期位置において、正面視右側に形成される上面ベース５１０の送風孔５１２及び正面視左側に形成される下面ベース５２０の送風孔５２２が、その送風孔５１２，５２２に空気を取り込む（挿通させる）方向に変位される。その結果、回転ユニット５００の回転する際に、回転ユニット５００の外部の空気を回転ユニット５００の内部に侵入させやすくできる。従って、ＬＥＤ５３２が動作する際の発熱を冷却することができる。
【０３０４】
なお、上面ベース５１０の送風孔５１２及び下面ベース５２０の送風孔５２２が回転軸に対して点対象に形成されるので、回転ユニット５００が正面視右方向に回転する際には、初期位置における回転ユニット５００の正面視左側に形成される上面ベース５１０の送風孔５１２及び正面視右側に形成される下面ベース５２０の送風孔５２２により、外部の空気を回転ユニット５００の内部に取り込みやすくできる。即ち、回転ユニット５００が右方向に回転した場合でも、上述した場合（回転ユニット５００が正面視左側に回転した場合）と同様の作用効果を奏する。
【０３０５】
ここで、回転体（回転ユニット５００）の内部にＬＥＤ（ＬＥＤ５３２）が搭載される基盤（基盤部材５３１）を配設して、回転体を回転駆動させながらＬＥＤを発光するものであると、ＬＥＤやＩＣ・コンデンサが動作する際の発熱を十分に冷却できない場合には、基盤にはんだ付けされたＬＥＤや、それを制御するＩＣ・コンデンサ等のはんだが溶けて、接触不良を招く恐れがある。
【０３０６】
これに対し、本実施形態では、送風孔５１２，５２２が、回転ユニット５００の回転方向に対して、接線方向に開口されるので、回転ユニット５００の回転により、回転ユニット５００の内部に外気を取り込むことができる。よって、ＬＥＤが動作する際の、発熱を冷却することができる。
【０３０７】
送風孔５１２，５２２から回転ユニット５００の内部に取り込まれた空気は、主に、照射ユニット５３０又は反射板５６０と衝突して分散される。回転ユニット５００の背面側（図３５（ａ）紙面奥側）に分散される気流Ｋは、上面ベース５１０と下面ベース５２０との背面側の開口（対向間の隙間）から回転ユニット５００の外側に送風されて大気中に放出される。
【０３０８】
一方、図３６（ａ）示すように、回転ユニット５００の正面側（図３５（ａ）紙面手前側）に分散される気流Ｋは、回転ユニット５００の回転の遠心力により、回転軸から径方向外側へと送風されて、回転ユニット５００の外側に送風されて大気中に放出される（図３５（ａ）参照）。
【０３０９】
即ち、回転ユニット５００は、上面ベース５１０と下面ベース５２０とを組み合わせた形状が、背面側が開放された容器状の形状に形成されるので、送風孔５１２，５２２から取り込んだ外気を背面側から効率的に排気することができる、よって、ＬＥＤ５３２が動作する際に発熱を冷却することができる。また、このように、上面ベース５１０及び下面ベース５２０の背面側から排気することで、かかる排気が、遊技領域を流下する（又は、ステージを転動する）球に影響を与えることを抑制できる。
【０３１０】
また、本実施形態では、上面ベース５１０及び下面ベース５２０が、上面ベース５１０及び下面ベース５２０の回転平面における直径方向に沿って長尺形状となる正面視（即ち、回転軸方向視）矩形状に形成されるので、上面ベース５１０及び下面ベース５２０の回転に伴う遠心力を利用して、上面ベース５１０及び下面ベース５２０の内部の空気を長手方向端部側（回転時の径方向外方）へ流動させ、背面側から排気することができる。よって、かかる空気の流動に伴って、回転伝達ユニット５７０近傍において、背面側から外気を上面ベース５１０及び下面ベース５２０へ取り込むことができる。
【０３１１】
即ち、回転伝達ユニット５７０近傍では、回転速度が低いため、側壁の送風孔５１２，５２２からの外気の取り込み効率が悪い（又は取り込めない）ところ、遠心力を利用した空気の循環（回転伝達ユニット５７０近傍における背面側から外気を取り込み、その取り込んだ外気を遠心力で長手方向端部側（回転時の径方向外方）へ流動させ、径方向外方側における背面側から排気する空気の流動）を形成することができる。その結果、ＬＥＤ５３２が動作する際の発熱を冷却することができる。特に、回転伝達ユニット５７０近傍に配設されるＬＥＤ５３２の冷却を達成することができる。
【０３１２】
また、図３６（ｂ）に示すように、回転ユニット５００の内部の空気が回転ユニット５００の回転により径方向外側に押し出されると、回転ユニット５００の中央側の内圧が低下するために、回転ユニット５００の回転伝達ユニット５７０と上面ベース５１０及び下面ベース５２０との背面側の隙間から外部の空気が取り込まれる。その結果、回転伝達ユニット５７０の近傍に配設されるＬＥＤ５３２の冷却をより確実に達成することができる。
【０３１３】
この場合、上面ベース５１０及び下面ベース５２０の正面側を形成する正面壁（上面ベース５１０の前縁部が下方（図２９（ａ）紙面奥側）（下面ベース５２０は前縁部が上方）に湾曲した部分）が、上面ベース５１０及び下面ベース５２０の回転平面に平行な形状であると（即ち、上面ベース５１０及び下面ベース５２０の回転軸に直交する方向視における形状が直方体形状であると）、遠心力で長手方向端部（回転時の径方向外方）へ流動された空気が背面側へ向けて方向転換する部分の角度が略直角となるため、かかる部分で渦が形成されやすくなる。そのため、空気の流れが阻害され、背面側からのスムーズな排気が困難となる。
【０３１４】
これに対し、本実施形態では、上面ベース５１０及び下面ベース５２０の正面側（上面ベース５１０の前縁部が下方（図２９（ａ）紙面奥側）（下面ベース５２０は前縁部が上方）に湾曲した部分）の形状が左右方向中央部から外側に向かって湾曲した形状に形成されるので、遠心力により長手方向端部側（回転時の径方向外方）へ流動される空気を徐々に背面側へ流動させることができると共に、長手方向端部（径方向外方）へ流動された空気が背面側へ向けて方向転換する部分の角度を略直角よりも大きくできるため、かかる部分での渦の形成を抑制して、空気の流れを円滑とできる。よって、背面側からの排気をよりスムーズに行える。その結果、回転伝達ユニット５７０近傍に配設されるＬＥＤ５３２の冷却をより確実に達成することができる。
【０３１５】
さらに、上面ベース５１０及び下面ベース５２０の背面側の対向間の距離寸法（図３５（ａ）上下方向の寸法）は、回転伝達ユニット５７０近傍における背面側の距離寸法が、長手方向端部側における背面側の距離寸法よりも大きくされるので、回転に伴う遠心力を利用して、上面ベース５１０及び下面ベース５２０の内部の空気を長手方向端部側（回転時の径方向外方）へ流動させ、径方向外方側における背面側から排気することで、回転伝達ユニット５７０近傍における背面側から外気を取り込む際に、その取込を効率的に行うことができる。
【０３１６】
また、回転伝達ユニット５７０近傍における背面側の開放部分（上面ベース５１０の装飾部５１１及び下面ベース５２０の装飾部５２１の内周）が、回転軸と同心の円形に形成されるので、上面ベース５１０及び下面ベース５２０の回転に伴って、回転伝達ユニット５７０近傍の背面側の外気が乱れる（回転方向の流動が形成される）ことを抑制できる。その結果、回転伝達ユニット５７０近傍における背面側から外気を効率的に取り込むことができる。
【０３１７】
さらに、正面ベース５７２の外側立設部５７２ａの外周面が背面側から正面側に向かって窄まる形状に形成されるので、回転ユニット５００が上面ベース５１０の装飾部５１１及び下面ベース５２０の装飾部５２１と回転伝達ユニット５７０との隙間から空気を取り込む際の気流Ｋに渦が発生することを抑制することができる。従って、回転ユニット５００の左右方向中央部を流れる気流Ｋの流れをスムーズにすることができ、回転伝達ユニット５７０近傍における背面側から外気を取り込む際に、その取込を効率的に行うことができる。
【０３１８】
次いで、図３７から図４１を参照して、センターフレーム６００について説明する。
【０３１９】
初めに、図３７及び図３８を参照して、センターフレーム６００の全体構成について説明する。図３７は、センターフレーム６００の分解正面斜視図であり、図３８は、センターフレーム６００の分解背面斜視図である。
【０３２０】
図３７及び図３８に示すように、センターフレーム６００は、正面視円環形状に形成される枠体６１０と、その枠体６１０の内周部分を覆う様態に配設されるセンターカバー６２０と、枠体６１０に取着されるセンサ６３０と、を主に備えて形成される。
【０３２１】
枠体６１０は、正面視における内周の縁部の下方部分からセンターカバー６２０側（背面側）に突出するステージ６１１と、外周の側面から径方向外側に突出される壁部６１２と、背面側の縁部に正面側に向かって円形状に凹設される締結孔６１３と、背面側に配設されるセンサ６３０の照射面６３１の前方が開口する開口６１４と、を主に備えて形成される。
【０３２２】
また、枠体６１０は、第３図柄表示装置８１（図２参照）を取り囲む様態で遊技盤１３の中央部に配設され、ガラス８を介して遊技者から視認可能とされる部材であり、正面側の側面に模様や絵が描かれる。
【０３２３】
ステージ６１１は、枠体６１０の下方側の内縁部から背面側に屈曲して形成され、その上面に、正面側の端部に第１凹設部６１１ａが、背面側の端部に第２凹設部６１１ｂが、それぞれ凹設される。
【０３２４】
ステージ６１１は、その上面で球を転動させると共に、第１凹設部６１１ａもしくは第２凹設部６１２ｂのどちらか一方の傾斜を利用してステージ６１１の上面から球を落下させて、第１入賞口６４に球が入賞し易い状態を形成することができる。よって、遊技領域を流下する球の流下経路を複数個形成することができるので、遊技者に興趣を与えることができる。
【０３２５】
なお、第１凹設部６１１ａは、ステージ６１１の上部を転動する球を、遊技盤１３の正面側（ベース板６０の正面側）に落下させる溝であり、正面側に向かって凹設深さが深く形成される。第２凹設部６１１ｂは、ステージ６１１の左右方向中央の背面部に形成される開口に球を送球するための溝であり、背面側に向かって凹設深さが深く形成される。
【０３２６】
壁部６１２は、組み上げられたセンターフレーム６００をベース板６０（図２参照）に配設する際にベース板６０に対して前後方向の位置決めとなる部分であり、ベース板６０の中央部分に前後方向に貫通形成される開口の内形形状よりも大きい外形に形成される。これにより、ベース板６０の開口内部にセンターフレーム６００を正面側から挿入した際に、ベース板６０の正面側の側面に壁部６１２の背面側の側面が当接して、ベース板６０に対してセンターフレーム６００を位置決めすることができる。
【０３２７】
締結孔６１３は、枠体６１０の背面側に複数個凹設される孔であり、後述するセンターカバー６２０の貫通孔６２３ａと対向する位置に形成される。開口６１４は、後述するセンサ６３０から照射されるセンサ光を正面側に照射するための開口であり、センサ６３０のセンサ光が照射される照射面６３１と対向する位置に形成される。
【０３２８】
センターカバー６２０は、光透過性材料の樹脂材料から形成され、正面視略円形状に形成され枠体６１０の内周側に配設されるカバー部材６２１と、そのカバー部材６２１の左右の縁部から正面側に立設される側壁部６２２と、その側壁部６２２の立設先端面およびカバー部材６２１の下側縁部から外側に突設される取付部６２３と、を主に備えて形成される。
【０３２９】
カバー部材６２１は、正面視において左右方向中央上部から外側に向かうにつれて背面側に湾曲する（正面側が凸の湾曲面となる）厚みが一定の板状体に形成される。左右方向中央部の上方側の周縁（以下、「第１部分６２１ａと称す）が、左右両端および下端の周縁（以下、「第２部分」と称す）よりも前方に位置して形成される。
【０３３０】
カバー部材６２１は、厚みが一定の板状体から形成されるので、凸レンズとして作用することを抑制して、背面側に配置される第３図柄表示装置８１の視認性を確保することができる。
【０３３１】
また、カバー部材６２１は、厚みが一定の板状体から形成されるので、正面視において左右方向中央部が正面側に向かって湾曲する分、カバー部材６２１と第３図柄表示装置８１との対向間に空間を形成することができる。これにより、上述した上下変位ユニット４００の装飾部材４５０が変位して演出する空間を確保できる。
【０３３２】
側壁部６２２は、枠体６１０にセンターカバー６２０を取り付け可能にするため壁部であり、上述したようにカバー部材６２１が背面側に湾曲されるので、その分、枠体６１０の背面とセンターカバー６２０の正面との対向間の距離が大きくなるところ、側壁部６２２により、枠体６１０の背面とセンターカバー６２０の正面の対向間の距離を小さくする（無くす）ことができる。
【０３３３】
即ち、側壁部６２２の正面側への立設寸法は、枠体６１０にセンターカバー６２０を配設した際の、枠体６１０の背面とセンターカバー６２０の正面との対向間の距離寸法に設定されており、これにより、枠体６１０とセンターカバー６２０とを組み合せた際に、カバー部材６２１の第１部分６２１ａが枠体６１０の正面側に突出され過ぎることを抑制できる。
【０３３４】
取付部６２３は、枠体６１０にセンターカバー６２０を取り付けるための突出部であり、前後方向に貫通形成された貫通孔６２３ａが複数個形成される。上述したように、貫通孔６２３ａと対向する位置の枠体６１０の背面には、締結孔６１３が穿設されており、図示しないねじ等を貫通孔６２３ａを挿通させると共に、締結孔６１３に締結することで、枠体６１０とセンターカバー６２０とが締結固定される。
【０３３５】
センサ６３０は、遊技者の動作を検知するためのモーションセンサ、であり赤外線等の光を照射する発光部と、その発光部から照射された光が物体によって反射される反射光を受光する受光部と、を有する照射面６３１を備える。
【０３３６】
センサ６３０は、枠体６１０を上下方向に３等分した際の下から２／３のほどの高さに配設されると共に、枠体６１０の右側に配設される。また、センサ６３０は、その照射面６３１をセンターフレーム６００の中央正面側に傾けた状態で配設される。これにより、センサ６３０の照射面６３１から照射される光は、遊技盤１３の正面側中央部からガラス８を介して遊技者側に出射される。
【０３３７】
次に、図３９及び図４０を参照してセンサ６３０から照射されるセンサ光について説明する。
【０３３８】
図３９（ａ）は、センターフレーム６００の正面図であり、図３９（ｂ）は、図３９（ａ）のＸＸＸＩＸｂ−ＸＸＸＩＸｂ線におけるセンターフレーム６００の断面図である。図４０（ａ）は、図３９（ａ）のＸＬａ−ＸＬａ線におけるセンターフレーム６００の断面図であり、図４０（ｂ）は、図３９（ａ）のＸＬｂ−ＸＬｂ線におけるセンターフレーム６００の断面図である。
【０３３９】
なお、図３９（ａ）及び図４０（ｂ）では、センターフレーム６００の前方に照射されるセンサ６３０の光の照射領域が２点鎖線で図示され、照射領域Ｒ１，Ｒ２のとして図示される。また、図３９（ｂ）では、センサ６３０が破線で図示される。さらに、図４０（ｂ）及び図４０（ｂ）では、センサ６３０及びセンサ６３０から照射される光が２点鎖線で図示されると共に、センターフレーム６００の前方（遊技盤１３の前方）に配設されるガラス８が２点鎖線で図示される。
【０３４０】
図３９及び図４０に示すように、センサ６３０は、カバー部材６２１の第２部分６２１ｂよりも前方に配設される。これにより、センサ６３０から照射される光が、カバー部材６２１を介して（透過して）、遊技機正面側に出射されることがなくなり、センサ６３０から照射される光がカバー部材６２１に遮られることを抑制できる。また、センサ６３０は、正面側に枠体６１０の装飾部分が配置される。これにより、センサ６３０を遊技者側（正面側）から視認し難くすることができる。
【０３４１】
センサ６３０から照射される光は、センサ６３０の照射面６３１から直接ガラス８に照射されてガラス８の正面側から出射する照射領域Ｒ１の領域と、センターカバー６２０のカバー部材６２１の正面に照射された光が反射されてガラス８の正面側から出射する照射領域Ｒ２の領域とに出射される。
【０３４２】
ここで、モーションセンサ（センサ６３０）を遊技機に配設して、液晶装置（第３図柄表示装置８１）の前面側の遊技者の動作を検出する遊技機では、モーションセンサが露出されていると、興趣を損ねるという問題点があった。
【０３４３】
そのために、センサ６３０は、装飾部材（枠体６１０）の背面側に配置される。この場合、センサ６３０を装飾部材の内縁側（枠体６１０の開口６１４）から奥側（外側）へ退避させれば、より視認され難くできるが、発光部および受光部（照射面６３１）を正面へ向けにくくなり、検出範囲が狭くなる。一方、センサ６３０を装飾部材の内縁側（枠体６１０の開口）に近づけて位置させれば、発光部および受光部を正面へ向けやすいため、検出範囲を前後方向に広くできるが、遊技者から視認されやすくなる。即ち、センサ６３０を、遊技者から視認され難くしつつ、物体を検出可能な範囲を確保することが困難であるという問題点があった。
【０３４４】
これに対し、本実施形態では、センサ６３０の照射面６３１から照射される光の一部が、センターカバー６２０のカバー部材６２１に照射されることで、カバー部材６２１の湾曲形状により、正面側（遊技者側）に反射される。これにより、センサ６３０を枠体６１０の開口６１４の奥へ退避させて、遊技者から視認され難くしつつ、物体を検出可能な範囲を確保することができる。なお、カバー部材６２１は、光透過性材料からなるので、液晶表示装置に表示される図柄の視認性を確保できる。
【０３４５】
また、カバー部材６２１正面側が凸の湾曲面とされるので、センサ６３０から発光された光をカバー部材６２１の正面で反射させる場合には、センサ６３０から近い位置では、反射の角度（反射角）をより鋭角とできる一方、セン６３０から遠い位置では、反射の角度（反射角）をより鈍角とすることができ、その分、物体を検出可能な範囲を拡大しやすくできる。
【０３４６】
さらに、照射領域Ｒ２に照射される光（カバー部材６２１で反射される光）は、物体に照射されて反射すると、カバー部材６２１側に反射される。この場合、反射光は、反射する物体の表面形状によりその進行方向が異なるが、複数の方向に反射される光をカバー部材６２１の正面で反射させることで、異なる方向に反射される光の進行方向をセンサ６３０側に向かう進行方向とすることができる。即ち、センサ６３０側に反射される光の量を多くすることで、センサ６３０の受光の検知動作を確実に行うことができる。
【０３４７】
カバー部材６２１の第１部分６２１ａは、枠体６１０の壁部６１２よりも正面側に位置され、第２部分６２１ｂは、枠体６１０の壁部６１２よりも背面側に位置される（図３９（ｂ）参照）。即ち、第１部分６２１ａは、ベース板６０の背面と略同一またはベース板６０（図２参照）の背面よりも正面側となる位置に配設され、第２部分６２１ｂは、ベース板６０の背面よりも背面側となる位置に配設される。
【０３４８】
これにより、センターフレーム６００の上部におけるセンターカバー６２０のカバー部材６２１と第３図柄表示装置８１との対向間の距離寸法を確保することができる。その結果、上述した上下変位ユニット４００の装飾部材４５０が上下方向に変位する際の前後方向の寸法を確保でき、装飾部材４５０を変位させることができる。また、装飾部材４５０が変位する後方のスペースとガラス８が配設される前方のスペースとの限られたスペース内において、カバー部材６２１の曲率を大きくすることができる。
【０３４９】
また、第１部分６２１ａが、ベース板６０の背面と略同一またはベース板６０（図２参照）の背面よりも正面側となる位置に配設されるので、上下変位ユニット４００の装飾部材４５０（回転ユニット５００）が第１部分６２１ａに干渉することをより確実に抑制でき、その分、変位部材の大型化を図ることができる。
【０３５０】
さらに、第２部分６２１ｂが、ベース板６０の背面よりも背面側となる位置に配設されるので、カバー部材６２１の曲率を大きくでき、カバー部材６２１の正面側を光の反射面として利用しやすくできる。即ち、センサ６３０を奥側に配置して遊技者から視認され難くしつつ、物体を検出可能な範囲を確保することができる。
【０３５１】
また、第１部分６２１ａが、カバー部材６２１の上方に位置されるので、遊技機１０が設置される店舗において、店舗の蛍光灯の照明がカバー部材６２１で反射されて正面側（遊技者側）に照射されることを抑制できる。
【０３５２】
即ち、カバー部材６２１の上方部分が背面側に湾曲するものであると、斜め上方から照射される店舗の蛍光灯の光が正面側に反射しやすい形状となるところ、カバー部材６２１の正面は、その法線方向が少なくとも水平方向よりも下方を指向する湾曲面として形成されるので、カバー部材６２１の正面へ入射された光を下方へ向けて反射させることができる。即ち、店舗内の天井に設置された蛍光灯や他の遊技機からの光がカバー部材６２１の正面へ入射された場合に、かかる光が遊技者に向けて反射されることを抑制でき、その結果、遊技者がまぶしく感じることや、第３図柄表示装置８１の視認性が悪化することを抑制できる。
【０３５３】
次に、図４１を参照して、センターフレーム６００と上下変位ユニット４００の回転ユニット５００との関係を説明する。
【０３５４】
図４１の（ａ）及び図４１（ｂ）は、回転ユニット５００及びセンターフレーム６００の断面図である。なお、図４１（ａ）では、回転ユニット５００が初期位置（基準位置）（延設方向を水平に向けた位置）が図示され、図４１（ｂ）は、回転ユニット５００がその回転軸を中心に９０度回転された様態が図示される。
【０３５５】
図４１（ａ）及び図４１（ｂ）に示すように、上下変位ユニット４００の装飾部材４５０が変位されて、第３図柄表示装置８１（図２参照）の正面側およびセンターフレーム６００の背面側に位置する際には、装飾部材４５０の回転ユニット５００とセンターフレーム６００のカバー部材６２１との対向間に所定の隙間が形成される。これにより、回転ユニット５００は、カバー部材６２１と衝突することなく回転することができる。
【０３５６】
この場合、第３図柄表示装置８１の前方で回転部材（回転ユニット５００）が回転する役物であると、その回転部材の回転により風の流れが発生し、その風の影響で流下する球が動いてしまうという問題点があった。
【０３５７】
特に、本実施形態では、球が転動するステージ６１１の上方に回転ユニット５００が位置するために、ステージ６１１の上部を転動する球が回転ユニット５００の回転による風の影響を受けやすい。
【０３５８】
これに対し、本実施形態では、カバー部材６２１の第２部分６２１ｂから連結される取付部６２３が、枠体６１０のステージ６１１の下側に凹設される締結孔６１３に締結される（即ち、センターカバー６２０の下端部分が枠体６１０の下端に連結される）ので、球の流下領域と回転ユニット５００の変位領域とを区画することができる。よって、回転ユニット５００の回転によって発生する風をカバー部材６２１（第２部分６２１ｂ）により遮ることができる。その結果、風の作用により球の流下が影響を受けることを抑制できる。また、回転ユニット５００の回転により風が発生し、その風により埃や粉じんが吹き飛ばされた場合でも、第２部分６２１ｂ（カバー部材６２１）により遮ることができるので、吹き飛ばされた埃や粉じんがセンサの発光・受光の航路上に舞い上がり、検出の精度が低下することを抑制できる。
【０３５９】
ここで、センターフレーム６００のステージ６１１には、そのステージ６１１を転動する球が、背面側に落下しないように背面壁が立設されるものが従来から知られている。しかし、かかる従来品では、回転ユニット５００の回転により発生した風が、ステージ６１１から立設される背面側の立設先端から正面側に回り込んで、或いは、遊技盤１３の正面側のガラス８で折り返されて、ステージ６１１上を転動する球に影響を与える。一方、ステージ６１１上を転動する球に風の影響を与えなくするために、背面壁を正面側まで湾曲させて、ステージの球の周囲を覆う形状とする（即ち、閉じた通路を形成する）と、ステージ６１１の上部を転動する球を遊技者が視認し難くなるため、遊技者の興趣が損なわれる。
【０３６０】
これに対し、カバー部材６２１の第２部分６２１ｂは、枠体６１０のステージ６１１を含む範囲に連結されるので回転ユニット５００が回転されることで発生する風を第２部分６２１ｂ（カバー部材６２１）により遮ることができる。その結果、ステージ６１１の周囲を覆う必要がないので、ステージ６１１の上部を転動する球を遊技者に視認されやすくしつつ、風の作用により、球の流下が影響を受けることを抑制できる。
【０３６１】
ここで、変位部材（上下変位ユニット４００）が変位する変位領域と球が流下する流下領域とを仕切板（センターカバー６２０）で区画してしまうと、遊技盤１３の背面側に配置される背面ケース３００には、第３図柄表示装置８１および上下変位ユニット４００を駆動させる駆動モータ４４１などの熱を発生する部材が多く配置されるために、熱が変位領域の内部（遊技盤１３の背面側）にこもり、遊技機１を制御する基板および第３図柄表示装置８１が破損するという問題点がある。
【０３６２】
これに対し、本実施形態では、カバー部材６２１の第１部分６２１ａは、枠体６１０に連結されず、枠体６１０の内周縁との間に所定の間隔を隔てて配設されるので、かかる所定の間隔を介して、遊技盤１３及びカバー部材６２１の背面側と正面側とを連通させることができる。従って、上下変位ユニット４００から発生する熱が、遊技盤１３及びカバー部材６２１の背面側にこもることを抑制できる。その結果、遊技盤１３の前方側の（後方側よりも）冷たい空気を遊技盤１３の背面側に送ることができるので、遊技機１を制御する基盤及び第３図柄表示装置８１が破損することを抑制できる。
【０３６３】
また、第１部分６２１ａと枠体６１０の内周縁との間の所定の間隔は、センターフレーム６００の上部に形成されるので、温められた空気を所定の間隔を介して遊技盤１３の正面側に流しやすくできる。即ち、遊技盤１３の背面側の温められた空気は、その熱により上昇されるので、上方に形成される第１部分６２１ａと枠体６１０の内周縁との間の所定の間隔から正面側に流しやすくできる。この結果、遊技盤１３及びカバー部材６２１の背面側に熱がこもることを抑制できる。
【０３６４】
なお、この場合、回転ユニット５００が回転されて風が発生されると、その風が第１部分６２１ａと枠体６１０の内周縁との間の所定の間隔から出て遊技盤１３の前方を流下する球に影響を与える恐れがある。
【０３６５】
これに対し、回転ユニット５００が回転されることで発生する風を、遊技領域のうちの上側の領域（遊技盤１３の開口の上側の領域）へ向けて流すことができ、風の作用により球の流下が影響を受けることを抑制できる。即ち、遊技領域のうちの上側の領域を流下する球は、球発射ユニット１１２ａから発射され遊技領域へ流入された初期の球であり、その速度が比較的速いため、例えば、センターフレーム６００のステージ６１１の上を転動する球と比較して、風の影響を受け難い。言い換えれば、風の影響を球が受け難い領域へ向けて風を流すことができる。よって、その分、回転部材の回転速度を増加させることができ、演出効果の向上を図ることができる。
【０３６６】
次いで、図４２から図４６を参照して、振分け装置７００について説明する。
【０３６７】
初めに、図４２から図４５を参照して、振分け装置７００の全体構成について説明をする。図４２は、振分け装置７００の分解正面斜視図であり、図４３は、振分け装置７００の部分拡大正面図である。図４４は、図４３のＸＬＩＶ−ＸＬＩＶ線における振分け装置７００の断面図である。図４５（ａ）は、図４３のＸＬＶａ−ＸＬＶａ線における振分け装置７００の断面図であり、図４５（ｂ）は、図４５（ａ）のＸＬＶｂ−ＸＬＶｂ線における振分け装置７００の断面図であり、図４５（ｃ）は、図４３のＸＬＶｃ−ＸＬＶｃ線における振分け装置７００の断面図であり、図４５（ｄ）は、図４５のＸＬＶｄ−ＸＬＶｄ線における振分け装置７００の断面図である。
【０３６８】
なお、図４３では、振分け部材７６０の内周面、シーソー部材７６２、連通孔７５１及び回収孔７５２の外形が破線で図示される。なお、図４５（ｄ）では、開口７４４から払い出される球の経路が２点鎖線で図示される。
【０３６９】
図４２から図４５に示すように、振分け装置７００は、遊技盤１３のセンターフレーム６００の下側に配設され、ベース板６０に対して正面側（図４３紙面手前側）に配置される正面側形成部７１０と、ベース板６０に対して背面側（図４３紙面奥側）に配置される背面側形成部７２０と、を主に備えて形成される。
【０３７０】
正面側形成部７１０は、ベース板６０の正面側に取着される入賞部材７３０と、その入賞部材７３０の正面側に配設される屈曲部材７４０と、を主に備えて形成される。
【０３７１】
背面側形成部７２０は、ベース板６０の背面側に取着される介設部材７５０と、その介設部材７５０の背面側に配設される振分け部材７６０と、を主に備えて形成される。
【０３７２】
入賞部材７３０は、正面視横長矩形に形成されると共に、左右方向中央上部に位置する上述した第１入賞口６４と、その第１入賞口６４の下側に位置する第１電動役物６４０ａと、その第１電動役物６４０ａの左右方向両側に位置し前後方向に貫通形成される貫通孔７３１と、その貫通孔７３１の下側に位置し前後方向に貫通形成される下側挿通孔７３２と、を主に備えて形成される。
【０３７３】
貫通孔７３１は、その内部に後述する屈曲部材７４０の上側突出部７４１が挿通される部材であり、上側突出部７４１の背面視における外形よりも少し大きく開口する正面視略矩形状に形成される。また、貫通孔７３１の下面には、背面から正面に亘って上方に突設される突設壁７３１ａが形成される。
【０３７４】
突設壁７３１ａは、正面視における貫通孔７３１の左右方向中心線を対称に２つ並設されており、背面側から正面側に向かうにつれてその突設距離が小さく設定される。よって、後述する介設部材７５０及び振分け部材７６０により貫通孔７３１の内部を通過（転動）される球は、２つの突設壁７３１ａの左右方向中央位置に案内されると共に、背面側から正面側に向かって転動される。
【０３７５】
下側挿通孔７３２は、背面側に配設される介設部材７５０の回収孔７５２と連通される孔であり、介設部材７５０の回収孔７５２と対向する位置に形成される。また、下側挿通孔７３２は、下面側が湾曲される正面視略Ｄ字形状に開口され、正面視における左右方向中央位置に上面から下方に突出する第１突出部７３２ａと、下面から上方に突出する第２突出部７３２ｂと、を備える。
【０３７６】
第１突出部７３２ａは、正面側（図４５（ａ）右側）から背面側（図４５（ａ）左側）に向かうに従って突出距離が大きく形成される。第２突出部７３２ｂは、正面側から背面側にむかうに従って突出距離が小さく形成される。また、第１突出部７３２ａと第２突出部７３２ｂとの対向間の距離寸法は、球の直径寸法よりも少し大きく形成される。よって、下側挿通孔７３２の内部を球が通過する際には、第２突出部７３２ｂの正面側から背面側への傾斜により、球を背面側に転動させることができる。一方で、下側挿通孔７３２を挿通される際に球が上下方向に弾む際には、第１突出部７３２ａにより、上方への変位を抑制できる。
【０３７７】
下側挿通孔７３２の背面には、球の通過を検知するセンサＳＥは配設される。センサＳＥは、正面視略矩形状に形成されると共に、その側面に球の直径よりも少し大きい直径の貫通孔が形成される部材であり、その貫通孔の内部を球が通過することで球の通過を検出することができる。センサＳＥは、貫通孔の軸が下側挿通孔７３２の下面側の円弧軸と同軸上に位置して配設される。これにより、貫通孔の開口方向を背面側に向かうに従って少し下方に傾斜する様態とすることができるので、センサＳＥの貫通孔内部を通過する球が貫通孔の内側に留まることを抑制できる。
【０３７８】
屈曲部材７４０は、上述した入賞部材７３０の貫通孔７３１と下側挿通孔７３２との正面側に配設される部材であり、正面視におけるベース板６０（図２参照）の左右方向略中央位置を対称に２つ配設され、その外形形状は左右対称に形成される。
【０３７９】
また、屈曲部材７４０は、正面視において、遊技領域を形成する内レール６１（図２参照）との間に、球が通過可能な大きさの隙間が形成される位置に配置される。これにより、屈曲部材７４０の下側の遊技領域を流下する球が、屈曲部材７４０と内レール６１との間に挟まれて遊技領域に留まることが抑制される。
【０３８０】
屈曲部材７４０は、正面視略矩形の板状体から形成され、その背面から突出する上側突出部７４１と、その上側突出部７４１よりも下方から突出する下側突出部７４３と、上側突出部７４１及び下側突出部７４３の対向間に形成される開口７４４と、を備えて形成される。
【０３８１】
上側突出部７４１は、背面視において下側が開放する略Ｕ字形状に形成され、その外形が、入賞部材７３０の貫通孔７３１の内形よりも少し小さく設定される。これにより、屈曲部材７４０を入賞部材７３０に配置する際には、上側突出部７４１を貫通孔７３１の内部に挿入して配設できる。よって、屈曲部材７４０を入賞部材７３０へ配置する際には、上側突出部７４１を挿入して位置決めすることができるので、その組み付け工程を簡易にできる。
【０３８２】
また、上側突出部７４１は、背面視において下側が開放する略Ｕ字状に形成されるので、入賞部材７３０の貫通孔７３１に球を通過させて屈曲部材７４０側に転動させる際に、球が転動する転動面（下面）に入賞部材７３０と屈曲部材７４０との連結部分が形成されない。よって、球の転動を一定とすることができるので、球が貫通孔７３１の内部で停止することを抑制できる。即ち、球の転動面に入賞部材７３０と屈曲部材７４０との連結部分が形成されると、その連結部分を球が転動する際に抵抗が増えると共に、段さで球が跳ねるが、球の転動面に連結部をなくすことで、球の転動を安定的にして球が詰まることを抑制できる。
【０３８３】
また、この場合、上側突出部７４１を背面視円環形状に形成して、その円環の内側を球を通過させても同様に、球が転動する転動面に入賞部材７３０と屈曲部材７４０との連結部分が形成されないが、上側突出部７４１を円環形状に形成する分、屈曲部材７４０の部品形状が複雑となるために、製造コストが増加する。これに対し、本実施形態では上側突出部７４１が背面視略Ｕ字形状であるので、部品の形状を簡易にでき、製造コストが増加することを抑制できる。
【０３８４】
下側突出部７４３は、上側突出部７４１の下側に形成されると共に、上側が開放される背面視略Ｕ字形状に形成される。即ち、背面視すると、上側突出部７４１と下側突出部７４３との互いの開放部分が上下方向に対向する様態に形成される。
【０３８５】
下側突出部７４３は、入賞部材７３０の貫通孔７３１から屈曲部材７４０側に送球される球を入賞部材７３０の下側挿通孔７３２に送球するための経路（以下、「第２送球経路ＫＲ２」と称す）を形成するための部材であり、下側挿通孔７３２と前後方向に対向する位置に形成される。
【０３８６】
下側突出部７４３の背面側への突出距離は、球の直径よりも大きい寸法に設定される。また、下側突出部７４３の突出先端面が入賞部材７３０と当接した状態で屈曲部材７４０が入賞部材７３０に配置される。よって、屈曲部材７４０と入賞部材７３０との対向間の距離寸法が球の直径よりも大きくされ、屈曲部材７４０と入賞部材７３０との対向間に球が鉛直方向に送球される送球路（以下、「第１送球経路ＫＲ１」と称す）が形成される。
【０３８７】
屈曲部材７４０には、上側突出部７４１の上部内面から下側突出部７４３の下部内面に亘って突出する案内部７４２が形成される。案内部７４２は、側面視において背面側が開放される略Ｕ字形状に突出される。
【０３８８】
案内部７４２は、入賞部材７３０の貫通孔７３１から屈曲部材７４０（第１送球経路ＫＲ１）に送球される球を鉛直方向に送球した後に、入賞部材７３０の下側挿通孔７３２に送球する突壁であり、下側の内縁部の上下方向高さは、背面に配置される下側挿通孔７３２の下側の内縁部の高さよりも少し小さく形成される。
【０３８９】
案内部７４２は、背面側に配置される貫通孔７３１の正面視における左右方向中央線を対称に２つ形成される。これにより、２つの案内部７４２と当接して案内（背面側に折り返し）されるので、球が左右方向に位置ずれすることを抑制できる。
【０３９０】
なお、並設される案内部７４２の互いの突出先端面は、互いの対向する面に近づくほど、基部側に向かって傾斜して形成される（図４５（ｂ）参照）。これにより、２つの案内部７４２と当接して案内（背面側に折り返し）される球が、左右方向に位置ずれすることを効果的に抑制できる。
【０３９１】
上側突出部７４１には、背面視における左右の側面の内側に突出する側壁７４１ａが形成される。側壁７４１ａは、上下方向に所定の間隔を隔てて複数個（本実施形態では３つ）並設される。これにより、通常状態において上側突出部７４１の内側を送球される球が左右方向に転動した際には、側壁７４１ａの先端面と当接させてその送球を安定させることができる。一方、上側突出部７４１の内側を球が２つ連続して流れ、後ろを流れる球が先を流れる球に衝突する際には、先の球が、各側壁７４１ａの間に入ることで、左右方向に逃げる距離を確保して、上側突出部７４１の内側で球が詰まることを抑制できる。即ち、側壁７４１ａにより、上側突出部７４１の内側を送球される球を安定させることができる。
【０３９２】
開口７４４は、上側突出部７４１と下側突出部７４３との対向間に形成される所定の隙間であり、背面視における左右方向両側に形成される。また、開口７４４は、側面視において、背面側が開放する略Ｕ字形状に形成される。
【０３９３】
開口７４４は、上端が入賞部材７３０の貫通孔７３１の下面と略同一の上下方向高さに設定されると共に、下端の高さが、入賞部材７３０の下側挿通孔７３２の上下方向略中間位置の高さに設定される。これにより、屈曲部材７４０の内部に球が連続して送球される際に、先の球を開口７４４に逃がして屈曲部材７４０の内部に球が詰まることを抑制することができる。即ち、開口７４４は、第１送球経路ＫＲ１と第２送球経路ＫＲ２との連結部分の左右方向の側面に開口して形成される。
【０３９４】
振分け部材７６０は、正面視横長矩形に形成されると共に、正面側が開放された箱状体に形成される。また、振分け部材７６０は、正面視において左右方向略中央位置で屈曲されており、左右方向略中央位置から左右方向外側に向かうに従って下側に傾斜して形成される。また、振分け部材７６０の左右方向の両端部は、上述した入賞部材７３０の貫通孔７３１と対向する位置に設定される。
【０３９５】
振分け部材７６０は、正面視における左右方向中央位置から左右両側へ向けて下方傾斜する一対の傾斜面７６１と、その互いの傾斜面７６１の中央に配置されるシーソー部材７６２と、シーソー部材７６２の上方に形成される送球口７６３と、を主に備えて形成される。
【０３９６】
送球口７６３は、振分け部材７６０の正面側に開口を形成するための部材であり、入賞部材７３０の第１入賞口６４と対向する位置に形成される。これにより、振分け部材７６０が後述する介設部材７５０に配設されると、送球口７６３と介設部材７５０との対向間に空間Ａを形成することができる。
【０３９７】
空間Ａは、球の外径よりも大きい空間（即ち、球が通過可能な屈間）に形成されると共に、ベース板６０に穿設された貫通孔を介して入賞部材７３０の第１入賞口６４の内部空間と連結される（図４４参照）。これにより、第１入賞口６４に入賞される球を空間Ａの内部に送球して、その空間Ａの内部を送球させることができる。
【０３９８】
シーソー部材７６２は、円環形状に形成されると共に、その外縁部から軸周りに９０度の間隔を隔てて外側に突設される３つの突起７６２ａと、円環形状の内側に挿通される軸部７６２ｂと、を備えて形成される。
【０３９９】
軸部７６２ｂは、シーソー部材７６２を軸周りに回転させるための軸支部であり、円柱形状に形成されると共に、シーソー部材７６２の円環内側に挿通される。この状態で、軸部７６２ｂが、介設部材７５０と振分け部材７６０との間に挟持されることで、シーソー部材７６２は軸部７６２ｂを軸に回転可能に配置される。
【０４００】
突起７６２ａは、上述した空間Ａから球が送球される際に、球を左右の傾斜面７６１に交互に一球ずつ振り分けるための突起であり、中央部の突起７６２ａの先端が位置する方向と左右方向反対側に球が送球される。即ち、中央部の突起７６２ａにより空間Ａから送球される球を左右方向に送球することができる。両端に突設される突起７６２ａは、シーソー部材７６２の変位を規制すると共に、球の通過した際にかかかる重みにより、中央部の突起７６２ａの先端が位置する方向を変位させる（シーソー部材７６２を回転させる）部材であり、突起７６２ａの先端面と傾斜面７６１とが当接することでシーソー部材７６２の回転が規制される。一方、傾斜面７６１と当接していない突起７６２ａは、球が中央部の突起７６２ａに案内されると、案内された球がその突起７６２ａと衝突して下方に押し下げられる。これにより反対側の突起７６２ａが上方に変位されると共に、下方に変位された突起７６２ａの先端が傾斜面７６１と当接してその変位が規制される。
【０４０１】
傾斜面７６１は、上述したシーソー部材７６２によって左右に振り分けられた球が転動して送球される経路（以下、「第３送球経路ＫＲ３」と称す）の転動面であり、振分け部材７６０の左右方向中央位置から外側に向かって下降傾斜して形成される。これにより、振分け部材７６０のシーソー部材７６２によって左右に振り分けられた球は、傾斜面７６１上を転動されて、傾斜面７６１の下降側の端部に送球（転動）される。
【０４０２】
傾斜面７６１の下降側の端部には、その端部に向かうに従って、背面側の側面が前方に厚みを増すように介設部材７５０へ近接する方向へ傾斜して形成される。これにより、傾斜面７６１を転動してその端部まで送球された球を、振分け部材７６０の前方に配設される介設部材７５０の連通孔７５１に送球することができる。
【０４０３】
介設部材７５０は、正面視横長矩形状に形成されると共に、正面視における左右方向の中央下部に上述した可変入賞装置６５と、左右両側に前後方向に貫通される連通孔７５１と、その連通孔７５１の下側に開口される回収孔７５２と、を主に備えて形成される。
【０４０４】
連通孔７５１は、振分け部材７６０の左右両端部の正面側に形成されると共に、入賞部材７３０の貫通孔７３１の背面側に形成される。よって、振分け部材７６０の左右両端部の空間と、入賞部材７３０の貫通孔７３１の内部空間とが連通孔７５１を介して連結される。従って、上述した振分け部材７６０の傾斜面７６１の上部を転動する球を、連通孔７５１を通過させて、入賞部材７３０の貫通孔７３１に送球する経路（以下、「第４送球経路ＫＲ４」と称す）を形成することができる。
【０４０５】
回収孔７５２は、上述したように、入賞部材７３０の下側挿通孔７３２の背面側に開口形成される開口である。即ち、回収孔７５２は、センサＳＥの背面側に連結されており、センサＳＥを通過する球が、その回収孔７５２の開口に送球される。回収孔７５２は、店舗に設置される球を循環する装置に連結されており、回収孔７５２に回収される球は、循環装置により循環されて遊技球として再び球発射ユニット１１２ａから打出しされる。
【０４０６】
以上のように構成される振分け装置７００は、次のように送球される。第１入賞口６４から入る球は、振分け部材７６０に送球されて振分け部材７６０のシーソー部材７６２により左右方向どちらか一方の第３送球経路ＫＲ３に送球される。第３送球経路ＫＲ３を送球される球は、その第３送球経路ＫＲ３の端部まで送球されると、正面側に配置される介設部材７５０の連通孔７５１の内部の第４送球経路ＫＲ４に送球される。第４送球経路ＫＲ４を送球される球は、屈曲部材７４０の背面側の第１送球経路ＫＲ１に送球される。第１送球経路ＫＲ１を送球される球は、屈曲部材７４０の下側突出部７４３に案内されて第２送球経路ＫＲ２に送球される。第２送球経路ＫＲ２を送球される球は、入賞部材７３０の下側挿通孔７３２を通過してセンサＳＥの内部を通過した後に、介設部材３７５０の回収孔７５２に送球される。
【０４０７】
ここで、上述したように、入賞部材７３０の貫通孔７３１及び下側挿通孔７３２は、第１電動役物６４０ａの左右両側に形成されて、屈曲部材７４０が左右一対に配置されるので、一対の屈曲部材７４０における下側突出部７４３の間に第１電動役物６４０ａが位置される。
【０４０８】
この場合、第３送球経路ＫＲ３の下降傾斜の角度が小さく（傾斜面が緩やかに）されると、球の流下速度が低くなり、下側突出部７４３において球詰まりを発生させやすくなる。一方で、第３送球経路ＫＲ３の下降傾斜の角度が大きく（下降傾斜が急と）されると、球の流下速度を速くして、下側挿通孔７３２における球詰まりを発生し難くできるが、第３送球経路ＫＲ３（振分け部材７６０）の配設に必要な高さ方向（上下方向）のスペースが嵩み、第１電動役物６４０ａの配設が困難となる。
【０４０９】
これに対し、本実施形態では、下側突出部７４３の側壁に開口７４４が形成されることで、かかる下側突出部７４３における球詰まりの発生し難くできるので、その分、第３送球経路ＫＲ３の下降傾斜の角度を小さく（下降傾斜を緩やかと）することができる。その結果、第３送球経路ＫＲ３（振分け部材７６０）の配設に必要な高さ方向のスペースが抑制でき、第１電動役物６４０ａの配設を可能とすることができる。即ち、屈曲部材７４０および第１電動役物６４０ａの配置は、従来品では不可能な配置であり、上述のように、下側突出部７４３の側壁に開口７４４を形成することで初めて可能となったものである。
【０４１０】
ここで、本実施形態では、遊技盤１３の中央には開口が形成（センターフレーム６００が配置）され、その開口を介して第３図柄表示装置８１を遊技者に視認させる。近年、第３図柄表示装置８１の大型化の要請に伴い、遊技盤１３の中央の開口（センターフレーム６００の枠体６１０の内周縁）も大きくなることで、遊技盤１３の中央の開口の下方縁部と遊技領域の下方縁部（内レール６１の下方内縁部）との間のスペースが狭くされる。そのため、従来品では、第３送球経路ＫＲ３および第１電動役物６４０ａに相当する部材を、遊技盤１３の中央の開口の下方縁部と遊技領域の下方縁部との間のスペースに配置することが困難であった。
【０４１１】
即ち、上述したように、第３送球経路ＫＲ３の下降傾斜の角度が小さく（下降傾斜が緩やかに）されると、球の流下速度が低くなり、下側突出部７４３において球詰まりを発生させやすくなる。一方で、第３送球経路ＫＲ３の下降傾斜の角度が大きく（下降傾斜が急と）されると、球の流下速度を速くして、下側突出部７４３における球詰まりを発生し難くできるが、第３送球経路ＫＲ３の配設に必要な高さ方向のスペースが嵩み、第１電動役物６４０ａの配設が困難となる。また、下側突出部７４３（屈曲部材７４０）の上下方向における配設位置が下がる（低くなる）ため、かかる下側突出部７４３（屈曲部材７４０）と遊技領域の下方縁部（内レール６１）との間に球が通過可能な隙間を確保することが困難となり、下側突出部７４３（屈曲部材７４０）の両側にそれぞれ第１アウト口７１を設けることが必要となる。
【０４１２】
これに対し、本実施形態では、上述したように、下側突出部７４３の側壁に開口が形成されることで、かかる下側突出部７４３における球詰まりの発生し難くできるので、その分、第３送球経路ＫＲ３の下降傾斜の角度を小さく（下降傾斜を緩やかと）することができる。その結果、下側突出部７４３（屈曲部材７４０）の高さ方向（上下方向）における配設位置を上げる（高くする）ことができるので、かかる下側突出部７４３（屈曲部材７４０）と遊技領域の下方縁部（内レール６１の下方内縁部）との間に球が通過可能な隙間を確保することができる。よって、下側突出部７４３（屈曲部材７４０）の両側にそれぞれ第１アウト口７１を設けることを不要とできる。
【０４１３】
即ち、屈曲部材７４０および第１電動役物６４０ａの配置において、下側突出部７４３（屈曲部材７４０）と遊技領域の下方縁部との間に球が通過可能な隙間が形成された配置は、従来品では不可能な配置であり、上述のように、下側突出部７４３の側壁に開口を形成することで初めて可能となったものである。
【０４１４】
次に、図４６を参照して、屈曲部材７４０の案内部７４２の送球について説明する。図４６（ａ）は、遊技盤１３の断面図であり、図４６（ｂ）は、遊技盤１３の断面図である。なお、図４６（ａ）は図４５（ａ）に、図４６（ｂ）は図４５（ｂ）に、それぞれ対応する。
【０４１５】
図４６に示すように、入賞部材７３０の貫通孔７３１から屈曲部材７４０に２球の球がほぼ隙間の無い様態で（即ち、２球が連なって）送球されると、先の（先行する）球の一部が開口７４４の内に入りつつ背面側に送球されて、入賞部材７３０の下側挿通孔７３２に案内される。
【０４１６】
ここで、球の外径よりも少し大きな断面積の通路を形成して、その通路が屈曲するものであると、かかる通路に２球の球がほぼ隙間の無い状態で（２球が連なって）送球されると、先行する球に後行する球がおいつき、先行する球を後行する球が側壁に押しつけることで、両者が転動できなくなり、球詰まりが発生するという問題点があった。
【０４１７】
これに対し、本願では、第１送球経路ＫＲ１と第２送球経路ＫＲ２との連結部分に開口７４４が形成されるので、複数の球が連なった状態で下側突出部７４３を通過する場合に、先行する球に後行する球が追いついても、先行する球を側壁に押し付け難くでき、両者の転動を継続させやすくできる。その結果、球詰まりの発生を抑制できる。
【０４１８】
また、開口７４４は、第１送球経路ＫＲ１と第２送球経路ＫＲ２とが公差する位置に形成されるので、球が詰まり易い屈曲部分で球を詰まり難くすることができる。即ち、第１送球経路ＫＲ１と第２送球経路ＫＲ２とが交差する領域は、第１送球経路ＫＲ１を流下（落下）した球が方向転換して第２送球経路ＫＲ２の延設方向へ向けて転動を開始する位置であり、先行する球に後行する球が追いつきやすい。そのため、先行する球を後行する球が側壁に押し付けることで、両者が転動できなくなり、球詰まりが発生しやすい。
【０４１９】
これに対し、本実施形態では、開口７４４が、第１送球経路ＫＲ１と第２送球経路ＫＲ２とが交差する位置に形成されるので、先行する球に後行する球が追いついても、先行する球を開口７４４の対向間に逃がして（先行する球の一部を開口７４４内へ収容させて）側壁に押し付け難くでき、両者の転動を継続させやすくできる。その結果、球詰まりの発生を抑制できる。
【０４２０】
さらに、上述したように、開口７４４の下端の高さは、入賞部材７３０の下側挿通孔７３２の上下方向略中間位置の高さに設定されるので、第１送球経路ＫＲ１を落下（流下）する球が、第２送球経路ＫＲ２（下側突出部７４３）の底壁に到達した際に、かかる球を開口に受け入れやすくできる。よって、先行する球に後行する球が追い付いた場合でも、先行する球を開口７４４の対向間に逃がして側壁に押し付け難くでき、両者の転動を継続させやすくできる。その結果、球詰まりの発生を抑制できる。
【０４２１】
また、下側突出部７４３は、側面視において略Ｕ字形状に形成され、開口７４４の下端の高さを下側突出部７４３の底壁から所定距離だけ離間された位置に設置されるので、開口７４４の下端と第２送球経路ＫＲ２（下側突出部７４３）との間に側壁を残す（形成する）ことができる。よって、球が通過可能な大きさに開口が形成される場合であっても、かかる開口を介して、屈曲部材７４０から外部（遊技盤１３の正面側の遊技領域）へ不必要に球が流出することを抑制できる。
【０４２２】
なお、この場合、開口７４４の大きさが球が通過不能な大きさとされる場合には、通常は、開口７４４を利用して、先行する球を側壁に押し付け難くできるが、例外的に、後行する球が先行する球を開口７４４の中心へ押し付ける形態が形成され、先行する球が開口７４４に内嵌される（嵌り込む）場合がある。この場合には、後行する球の転動が、開口７４４に嵌り込んだ球に阻害され、球詰まりが発生する。
【０４２３】
これに対し、開口７４４は、球の外形よりも大きく開口される（球が通過可能な大きさに形成される）ので、後行する球が先行する球を開口７４４の中心へ押し付ける形態が形成された場合でも、先行する球を開口７４４から屈曲部材７４０の外部（遊技盤１３の正面側の遊技領域）へ排出することができ、先行する球が開口７４４に内嵌される（嵌り込む）ことを回避できる。これにより、後行の球の転動を継続させることができるので、球詰まりの発生を抑制できる。
【０４２４】
また、このように、球が通過可能な大きさで開口７４４が形成されると共に、その開口７４４が遊技盤１３の正面側（即ち、遊技領域）に配設されることで、遊技領域を流下する球を開口７４４から屈曲部材７４０へ流入させることができる。よって、遊技の興趣の向上を図ることができる。例えば、下側突出部７４３よりも下流に入賞球を検出するセンサが配設される場合には、下側突出部７４３よりも上流から屈曲部材７４０へ流入した球に加え、開口７４４から屈曲部材７４０へ流入した球も入賞球として検出させることができる。特に、この場合には、開口７４４（第１送球経路ＫＲ１と第２送球経路ＫＲ２とが交差する領域）は、遊技盤１３の正面側に配設されるので、開口７４４から屈曲部材７４０へ流入する球を遊技者に視認させることができる。よって、この点からも、遊技の興趣を高めることができる。
【０４２５】
第１送球経路ＫＲ１と第２送球経路ＫＲ２とが公差する領域には、案内部７４２の下方部分（即ち、回収孔７５２へ向けてっ湾曲しつつ下降傾斜される部分）が配設される。これにより、第１送球経路ＫＲ１を流下（落下）する球が方向転換して第２送球経路ＫＲ２の延設方向へ向けて転動を開始する際には、かかる球を案内部７４２の下降傾斜を利用して速やかに転動させることができる。これにより、後行する球が追いつくよりも前に、先行する球を転動させやすくでき、先行する球が後行する球によって背面側（第２送球経路ＫＲ２の延設方向に沿って球が転動する際の背面側）の側壁に押し付けられることを抑制できるので、両者の転動を継続させやすくできる。その結果、球詰まりの発生を抑制できる。
【０４２６】
また、開口７４４は、ベース板６０（図２参照）の正面側（遊技領域側）の位置に形成されるので、第１送球経路ＫＲ１と第２送球経路ＫＲ２との屈曲部分に球詰まりが発生した際には、店舗の運営者はガラス８を開放することで、正面側から開口７４４にアクセスすることができる。よって、球詰まりを解消する作業の作業性の向上を図ることができる。
【０４２７】
さらに、第１送球経路ＫＲ１と第２送球経路ＫＲ２との屈曲部分に埃やゴミ等が溜まった際には、店舗の運営者はガラス８を開放することで、正面側から開口７４４にアクセスして、開口７４４を介して屈曲部分の清掃をすることができる。よって、第１送球経路ＫＲ１と第２送球経路ＫＲ２を清掃する際の清掃性を向上することができる。
【０４２８】
次いで、図４７を参照して、発光装飾ユニット８００について説明する。図４７は、発光装飾ユニット８００の分解正面斜視図である。
【０４２９】
図４７に示すように、発光装飾ユニット８００は、背面ケース３００の底壁部３０１（図６参照）に配設される正面視横長矩形状のベース体８１０と、そのベース体８１０の正面側に配設される発光装置８２０と、その発光装置８２０の前面に覆設されると共に、光透過性材料からなるカバー部材８３０と、を主に備える。
【０４３０】
発光装置８２０の正面側には、複数の発光体（ＬＥＤ８２１）が全面にわたって分散して配設される。よって、ＬＥＤ８２１から発光された光は、カバー部材８３０の全面から遊技機正面側に出射される。
【０４３１】
次いで、図４８から図５０を参照して、第２実施形態における規制ユニット２４９０について説明する。なお、上記第１実施形態と同一の部分には同一の符号を付してその説明は省略する。
【０４３２】
初めに、図４８及び図４９を参照して、規制ユニット２４９０の全体構成について説明する。図４８は、第２実施形態における規制ユニット２４９０の分解正面斜視図である。図４９（ａ）は、規制ユニット２４９０の側面図であり、図４９（ｂ）は、規制ユニット２４９０の背面図であり、図４９（ｃ）は、図４９（ｂ）のＸＬＩＸｃ−ＸＬＩＸｃ線における規制ユニット２４９０の断面図である。
【０４３３】
図４８及び図４９に示すように、第２実施形態における規制ユニット２４９０では、ローラ部材４９２が回転部材２４９４に軸支されて、回転部材２４９４の回転によりローラ部材４９２の位置を調整可能に構成される。
【０４３４】
規制ユニット２４９０は、箱状体に形成されるケース部材２４９１と、そのケース部材２４９１の開放する側の外縁部に配設される外縁部材２４９３と、ケース部材２４９１と外縁部材２４９３との対向間に挟持されて回転可能に軸支される回転部材２４９４と、その回転部材２４９４に軸支されるローラ部材４９２と、を主に備えて形成される。
【０４３５】
ケース部材２４９１は、背面側が開口する箱形状に形成されると共に、第１実施形態におけるケース部材４９１よりも左右方向（図４９（ｂ）左右方向）の幅寸法が大きく形成される。また、ケース部材２４９１は、正面側の側面から突設する突設部４９１ａと、左右方向両側の側面に半円形状に切り欠かれる切欠き部２４９１ｂと、を主に備えて形成される。
【０４３６】
切欠き部２４９１ｂは、ケース部材２４９１の左右方向（図４９（ｂ）左右方向）両側の側面の上下方向（図４９（ｂ）上下方向）略中央位置に半円形状に切り欠かれて形成される。切欠き部２４９１ｂは、内部に後述する回転部材２４９４の軸部２４９４ｂを回転可能に軸支するための切り欠きであり、その内径が回転部材２４９４の外径よりも大きく設定される。
【０４３７】
外縁部材２４９３は、正面視縦長矩形状の枠状体に形成され、ケース部材２４９１の背面側（開放側）に配設される部材である。外縁部材２４９３は、その内形がケース部材２４９１の開口と略同一の形状に形成される。また、外縁部材２４９３の正面側（ケース部材４９１側）の側面には、内縁部の周囲に正面側に立設する立設部２４９３ａが形成される。
【０４３８】
立設部２４９３ａには、背面側に凹設される凹設部２４９３ａ１が形成される。凹設部２４９３ａ１は、ケース部材２４９２の切欠き部２４９１ｂと対向する位置に形成される。よって、後述する回転部材２４９４をケース部材２４９１の切欠き部２４９１ｂと凹設部２４９３ａ１との対向間に挟み込むことで、回転部材２４９４をケース部材２４９１に回転可能な状態で配設することができる。
【０４３９】
回転部材２４９４は、側面視長円形状の板状体から形成され、長手方向寸法がケース部材２４９１の内側部分の上下方向寸法より小さく設定される。回転部材２４９４は、長手方向中央部にケース部材２４９１に対して左右方向外側に円柱形状に突出する軸部２４９４ｂと、その軸部２４９４ｂを挟んだ両側に貫通形成される軸支孔２４９４ａと、軸部２４９４ｂの突出先端部から径方向外側に膨出する規制部２４９４ｃと、を備えて形成される。
【０４４０】
軸部２４９４ｂは、箱状体に形成されるケース部材２４９１の板厚よりも長く突設されており、その突設先端部に径方向に膨出する規制部２４９４ｃが形成される。これにより、軸部２４９４ｂをケース部材２４９１の切欠き部２４９１ｂに内嵌すると共に背面側から外縁部材２４９３の凹設部２４９３ａ１を配設することで、回転部材２４９４をケース部材２４９１に対して回転可能に軸支できると共に、規制部２４９４ｃによりケース部材２４９１に対して回転部材２４９４が左右方向へ変位すること規制できる。
【０４４１】
軸支孔２４９４ａは、内部にローラ部材４９２の軸部４９２ｂが挿通される開口であり、円形状に開口されると共に、その内径寸法が軸部４９２ｂの外径よりも大きく形成される。これにより、止め輪Ｅ１を外した状態のローラ部材４９２の軸部４９２ｂを軸支孔２４９４ａに挿通させたあと止め輪Ｅ１を軸部４９２ｂに外嵌することで、ローラ部材４９２を回転可能な状態で回転部材２４９４に配設できる。
【０４４２】
以上のように構成される規制ユニット２４９０は、次のようにして組み立てられる。
【０４４３】
まず、一対に配設される回転部材２４９４の軸支孔２４９４ａに、ローラ部材４９２の軸部４９２ｂが挿入されてローラ部材４９２が回転部材２４９４に軸支される。これにより、一対に配設される回転部材２４９４の対向間に、ローラ部材４９２を上下に２つ並設した状態で配置することができる。
【０４４４】
次に、回転部材２４９４の軸部２４９４ｂにねじりバネ（図示しない）を配設すると共にケース部材２４９１の切欠き部２４９１ｂに内嵌した後に、背面側から外縁部材２４９３を配設することで、回転部材２４９４をケース部材２４９１に対して軸部２４９４ｂを軸に回転可能に配設することができる。これにより、回転部材２４９４を回転変位させることで、回転部材２４９４に配設されるローラ部材４９２の位置を変位することができる。また、軸部２４９４ｂに配設したねじりバネにより、上下に並んで配設されるローラ部材４９２の上側に配設されるローラ部材４９２を正面側（図４９（ｃ）左側）に付勢した状態とすることができる。
【０４４５】
次に、図５０を参照して、装飾部材４５０が第２位置から第１位置に変位する際の、装飾部材４５０と規制ユニット２４９０との当接様態について説明する。図５０の（ａ）から（ｃ）は、上下変位ユニット４００の断面図である。なお、図５０（ａ）は図２４（ａ）に、図５０は図２４（ｂ）に、図２１（ｃ）は、図１８（ｃ）にそれぞれ対応する。
【０４４６】
図５０（ａ）に示すように、装飾部材４５０が、規制ユニット２４９０よりも上方に位置する際には、回転部材２４９４の軸部２４９４ｂに配設されるねじりバネ（図示しない）により回転部材２４９４が回転されて、下方側に配設されるローラ部材４９２よりも上方側に配設されるローラ部材４９２が正面側に位置される。
【０４４７】
これにより、図２１（ａ）に示す状態から、装飾部材４５０が下方に変位されて、図５０（ｂ）に示す、装飾部材４５０の下端面がケース部材２４９１の上下方向略中間位置と略同一の上下方向の位置に変位された際に、上方側に配設されるローラ部材４９２のローラ４９２ａが装飾部材４５０と当接して装飾部材４５０を抑え込む圧力を第１実施形態の規制ユニット２４９０よりも小さくできる。なお、この場合、回転部材２４９４は、ケース部材２４９１の内側に形成される図示しない突起と当接されており、上方側に配設されるローラ部材４９２が正面側に変位しない（回転部材２４９４の上方側が正面側に回転変位しない）様態とされる。
【０４４８】
従って、図２１（ｂ）に示す状態から、装飾部材４５０が、さらに下方に変位されて、図５０（ｃ）に示す、第１位置に変位される際に、装飾部材４５０に駆動力を付与する駆動モータ４４１の消費エネルギーが増加することを抑制できる。
【０４４９】
また、図５０（ｃ）に示す、装飾部材４５０が第１位置に変位された際には、下方側に配設されるローラ４９２ａが装飾部材４５０と当接される。これにより、下方側のローラ部材４９２が、背面側に押圧されて背面側に変位すると共に、上方側のローラ４９２ａが正面側に変位される。これにより、上方側に配設されるローラ４９２ａの装飾部材４５０に対する押圧力を高めることができる。その結果、装飾部材４５０が第１位置に配置される際には、上下に配設されるローラ部材４９２の押圧力により、装飾部材４５０を強固に保持することができる。一方、装飾部材４５０が変位途中に位置する際には、装飾部材４５０に作用する押圧力を小さくして、変位しやすい様態とすることができる。即ち、装飾部材４５０の変位に伴って、規制ユニット２４９０のから装飾部材４５０に作用される押圧力を変化させることができる。
【０４５０】
次いで、図５１から図５３を参照して、第３実施形態における振分け装置７００について説明する。なお、上記各実施形態と同一の部分には、同一の符号を付してその説明は省略する。
【０４５１】
初めに、図５１から図５３を参照して、振分け装置３７００の全体構成について説明する。図５１は、第３実施形態における振分け装置３７００の分解正面斜視図である。図５２は、振分け装置３７００の部分拡大正面図である。図５３（ａ）は、図５２のＬＩＩＩａ−ＬＩＩＩａ線における振分け装置３７００の断面図であり、図５３（ｂ）は、図５２（ｂ）のＬＩＩＩｂ−ＬＩＩＩｂ線における振分け装置３７００の断面図である。
【０４５２】
図５１から図５３に示すように、第３実施形態における振分け装置３７００では、第２入賞口６４０の開口が、振分け装置３７００に連結される。
【０４５３】
振分け装置３７００は、遊技盤１３のセンターフレーム６００の下方に配設され、ベース板６０に対して正面側に配設される正面側形成部３７１０と、ベース板６０に対して背面側に配設される正面側形成部３７１０と、を主に備えて形成される。
【０４５４】
正面側形成部３７１０は、ベース板６０に取着される入賞部材３７３０と、その入賞部材３７３０の正面側に配設される屈曲部材３７４０と、を主に備えて形成される。
【０４５５】
背面側形成部３７２０は、ベース板６０に取着される介設部材３７５０と、その介設部材３７５０の背面側に配設される振分け部材７６０と、振分け部材７６０の下方に位置し介設部材３７５０の背面側に配設される第２送球路３７７０と、を主に備えて形成される。
【０４５６】
入賞部材３７３０は、正面視横長矩形に形成されると共に、左右方向中央上部に上述した第１入賞口６４と、その第１入賞口６４の下側に第１電動役物６４０ａと、第１電動役物６４０ａの左右方向両側に前後方向に貫通形成される貫通孔７３１と、その貫通孔７３１の下方に前後方向に貫通形成される第２貫通孔３７３３と、その第２貫通孔３７３３の下方に前後方向に貫通形成される下側挿通孔７３２と、を主に備えて形成される。
【０４５７】
第２貫通孔３７３３は、その内部に球を通過させる開口であり、球の外径よりも少し大きく開口する正面視略矩形状に形成される。また、第２貫通孔３７３３は、第２入賞口６４０よりも下方に位置して形成されると共に、下面に背面側から正面側に分かって上方に突出する第２突設壁３７３３ａが形成される。
【０４５８】
第２突設壁３７３３ａは、正面視における第２貫通孔３７３３の左右方向中心線を対称に２つ並設されており、背面側から正面側に向かうにつれてその突出距離が小さく設定される。よって、後述する介設部材３７５０及び第２送球路により第２貫通孔３７３３の内部を球が通過する際には、その球を２つの第２突設壁３７３３ａの左右方向中央位置に案内できると共に、背面側から正面側に転動させることができる。
【０４５９】
屈曲部材３７４０は、上述した入賞部材３７３０の貫通孔７３１と第２貫通孔３７３３と下側挿通孔７３２との正面側に配設される部材であり、上述した第２入賞口６４０の左右両側に配設され、その一対の外形形状が左右対称に形成される。
【０４６０】
屈曲部材３７４０は、正面視略矩形の板状体から形成され、その背面側から突出する上側突出部７４１と、その上側突出部７４１よりも下方から突出する中間突出部３７４５と、その中間突出部３７４５よりも下方から突出する下側突出部７４３と、を備えて形成される。
【０４６１】
中間突出部３７４５は、背面視において上下方向（図５３（ｂ）上下方向）に長く形成される壁部であり、第２貫通孔３７３３の左右両側の位置に形成され、その上側側面が、第２貫通孔３７３３の上下方向略中間位置と同一の高さに形成される。一方、中間突出部３７４５の下側側面は第２貫通孔３７３３の底面よりも下方に位置して形成される。
【０４６２】
また、中間突出部３７４５と上側突出部７４１との対向間には、所定の隙間を有する第２開口３７４６が形成される。一方、中間突出部３７４５と下側突出部７４３との対向間には、所定の隙間を有する開口７４４が形成される。
【０４６３】
第２開口３７４６は、側面視背面側が開口する略Ｕ字形状に開口すると共に、その内形が球の外形よりも大きく形成される。即ち、第２開口３７４６は、球が通過可能な大きさに設定される。なお、第２開口３７４６の詳しい説明は後述する。
【０４６４】
第２送球路３７７０は、正面視横長矩形状に形成されると共に正面側が開放され一定の厚みの略箱形状に形成される。第２送球路３７７０は、第２入賞口６４０の内部に入る球を入賞部材３７３０の第２貫通孔３７３３に送球するための送球路であり、介設部材３７５０の背面側に配設されると、第２送球路３７７０の内側と介設部材３７５０との間に球を送球する送球路を形成できる。
【０４６５】
また、第２送球路３７７０は、正面視において左側端部が入賞部材３７３０の第２入賞口６４０の背面側に位置して配設されると共に、右側端部が入賞部材３７３０の第２貫通孔３７３３の背面側に位置して配設される。即ち、第２送球路３７７０は、正面視における左側端部が右側端部よりも上方に位置し、右側端部に向かって下方に傾倒する様態で介設部材３７５０に配設される。
【０４６６】
さらに、第２送球路３７７０は、正面視における左側端部が第２入賞口６４０に連結されると共に、右側端部が介設部材３７５０の第２連結孔３７５３に連結される。これにより、第２入賞口６４０の内部に入った球は、第２送球路３７７０の内部に送球された後に、第２送球路３７７０の内部を左側端部から右側端部に転動して介設部材３７５０の第２連結孔３７５３に送球される。
【０４６７】
介設部材３７５０は、正面視横長矩形に形成されると共に、左右方向中央下部に上述した可変入賞装置６５と、その可変入賞装置６５の左右両側に位置し前後方向に貫通形成される連通孔７５１と、その連通孔７５１の下方に位置し前後方向に貫通形成される回収孔７５２と、右側の連通孔７５１及び回収孔７５２との間に位置し前後方向に貫通形成される第２連結孔３７５３と、を備えて形成される。
【０４６８】
第２連結孔３７５３は、正面視略矩形状に貫通形成され、その内形が球の外形よりも大きく設定されると共に、入賞部材７３０の第２貫通孔３７３３の背面側の位置に形成される。これにより、上述した第２送球路３７７０の内側を転動される球は、第２連結孔３７５３の内部を通過されて、介設部材７５０の第２貫通孔３７３３に送球される。
【０４６９】
以上のように構成される振分け装置３７００は、次のように送球される。第１入賞口６４から入る球は、振分け部材７６０に送球されて振分け部材７６０のシーソー部材７６２により左右方向どちらか一方の傾斜面７６１に交互に送球される。傾斜面７６１を転動する球は、その傾斜面７６１の端部まで送球されると、正面側に配置される介設部材３７５０の連通孔７５１の内部を通過されて屈曲部材７４０の背面側に送球される。屈曲部材７４０，３７４０の背面側に送球される球は、屈曲部材７４０，３７４０の案内部７４２の突出先端面に沿って案内されて下方に落下すると共に、入賞部材３７３０の下側挿通孔７３２の内部を通過されてセンサＳＥの内部を通過した後に、介設部材３７５０の回収孔７５２に送球される。
【０４７０】
第２入賞口６４０から入る球は、第２送球路３７７０に送球されて、第２送球路３７７０の内部を左側端部から右側端部まで送球される。第２送球路３７７０の右側端部まで送球される球は、正面側に配置される介設部材３７５０の第２連結孔３７５３の内部を通過され、入賞部材３７３０の第２貫通孔３７３３を通過した後に、屈曲部材３７４０の案内部７４２の突出先端面に沿って案内されて下方に落下すると共に、入賞部材３７３０の下側挿通孔７３２の内部を通過されてセンサＳＥの内部を通過した後に、介設部材３７５０の回収孔７５２に送球される。
【０４７１】
よって、振分け装置３７００では、第２入賞口６４０から入る球を、入賞部材３７３０の正面視右側に配設したセンサＳＥで検出することができるので、第２入賞口６４０からの送球通路に新たにセンサＳＥを配設する必要がない。即ち、第１入賞口６４から入る球を検出するセンサＳＥが、第２入賞口６４０に入る球を検出するセンサＳＥの役割を兼用することができるので、その分、製品のコストを抑えることができる。
【０４７２】
次いで、図５４を参照して、屈曲部材３７４０の第２開口３７４６について説明する。図５４の（ａ）及び（ｂ）は、振分け装置３７００の断面図である。なお、図５４（ａ）は、図５３（ａ）に、図５４（ｂ）は、図５３（ｂ）にそれぞれ対応する。
【０４７３】
図５４に示すように、第１入賞口６４から球が入り送球されて、屈曲部材３７４０の背面側に送球される球と、第２入賞口６４０から球が入り送球されて、屈曲部材３７４０の背面側に送球される球とが、略同一のタイミングで屈曲部材３７４０の背面側に送球されると屈曲部材７４０の背面側互いの球が当接して球が詰まってしまう恐れがある。
【０４７４】
即ち、第２入賞口６４０から送球されて、入賞部材３７３０の第２貫通孔３７３３から屈曲部材３７４０に送球される球（以下、「下側の球」と称す）が、第１入賞口６４から送球されて、入賞部材３７３０の貫通孔７３１から屈曲部材３７４０の背面側に送球されて、屈曲部材３７４０の上方から下側に落下する球（以下、「上側の球」と称す）と衝突すると共に、第２貫通孔３７３３の正面側端部に引っ掛ることで、動けなくなり球が詰まる恐れある。
【０４７５】
これに対し、第３実施形態では、屈曲部材３７４０に第２開口３７４６が形成されるので、上側の球を第２開口３７４６から排出または第２開口３７４６の対向間に逃がすことで下側の球と上側の球との釣り合い状態を解消して屈曲部材３７４０の送球路内に球が詰まることを抑制することができる。
【０４７６】
即ち、下側の球に上側の球が乗り上げてつり合い状態が形成される際に、上側の球が位置する左右方向の側面に第２開口３７４６が形成されており、上側の球は、互いの球面形状により左右のどちらか寄りかかるので、上側の球が左右どちらかの第２開口３７４４の内部に送られる。これにより、下側の球と上側の球との釣り合い状体を解消することができる。よって、屈曲部材３７４０の送球路内に球が詰まることを抑制することができる。
【０４７７】
次いで、図５５を参照して、第４実施形態における振分け装置４７００について説明する。なお、上記各実施形態と同一の部分には、同一の符号を付してその説明は省略する。
【０４７８】
図５５（ａ）は、第４実施形態における振分け装置４７００の正面図であり、図５５（ｂ）は、図５５（ａ）のＬＶｂ−ＬＶｂ線における振分け装置４７００の断面図であり、図５５（ｃ）は、図５５（ｂ）のＬＶｃ−ＬＶｃ線における振分け装置４７００の断面図である。なお、図５５（ａ）から図５５（ｃ）では、球の通過する通過経路が破線で模式的に図示される。
【０４７９】
図５５（ａ）から図５５（ｃ）に示すように、第４実施形態における振分け装置４７００には、屈曲部材７４０の開口７４４の左右方向（図５５（ａ）左右方向）外側下方に入賞口４０６３が配設される。
【０４８０】
入賞口４０６３は、遊技領域を流下する球が内部に球通過可能な開口であり、遊技盤１３の正面側に配設される。入賞口４０６３は、背面側が後述する介設部材４７５０の第３連結孔４７５２ａに連結されており、入賞口４０６３の内部に入った球は、第３連通孔５４７５２ａに案内される。
【０４８１】
介設部材４７５０の回収孔７５２は、第２送球経路ＫＲ２の先端で下方に屈曲して形成され、その内部を球が通過して下方に送球される経路（第６送球経路ＫＲ６）が形成される。即ち、第６送球経路ＫＲ６と第２送球経路ＫＲ２とが連結される。
【０４８２】
第６送球経路ＫＲ６には、左右両側に突出する第３連結孔４７５２ａが形成され、その第３連結孔４７５２ａの下方部分に球の通過を検知するセンサＳＥが配設される。
【０４８３】
第３連結孔４７５２ａは、入賞口４０６３の背面側の開放部分に連結される。これにより、入賞口４０６３に入った球は、第３連結孔４７５２ａの内部に送球され、第６送球経路に送球される。
【０４８４】
また第３連結孔４７５２ａの通路上には、第６送球経路ＫＲ６に配設されるセンサＳＥと異なるセンサＳＥ２が配設される。これにより、第３連結孔４７５２ａの内部に入った球を検出することができる。
【０４８５】
これにより、屈曲部材７４０の開口７４４から排出される球は、入賞口４０６３に入賞させることができる。即ち、屈曲部材７４０に案内される球が、センサＳＥを通過する形態だけでなく、開口７４４から遊技領域へ流出する形態、更には、その流出した球が、入賞口４０６３内に入りセンサＳＥ２を通過する形態を形成でき、遊技に興趣を付与することができる。
【０４８６】
なお、入賞口４０６３は、開口７４４から遊技領域へ流出した球の全てを受け入れ可能な位置に配置されていても良く、或いは、開口７４４から遊技領域へ流出した球の状態に応じて、一部の球は受け入れると共に一部の球は受け入れられない位置に配設されていても良い。
【０４８７】
また、開口７４４は、第１送球通路ＫＲ１と第２送球通路ＫＲ２との連結部分に形成されるので、球詰まりが発生しそうな球を開口から遊技領域に払い出すことで、第１送球経路ＫＲ１と第２送球経路ＫＲ２との連結部分に球が詰まることを抑制できる。
【０４８８】
さらに、入賞口４０６３及び開口７４４が形成される屈曲部材７４０は、遊技盤１３の正面側に配置されるので、開口７４４から払い出され球が入賞口４０６３に入る態様を遊技者に視認可能にでき、遊技者に興趣と付与しやすくできる。
【０４８９】
第３連結孔４７５２ａは、第６送球経路ＫＲ６に配置されるセンサＳＥの上方に連結されるので、入賞口４０６３から入る球は、第３連結孔４７５２ａに配置されるセンサＳＥ２を通過するだけでなく、第６送球経路ＫＲ６に配置されるセンサＳＥを通過する。よって、入賞口４０６３から入る球により、２のセンサを通過させることができるので、遊技者に興趣を付与することができる。
【０４９０】
また、屈曲部材７４０に送球される球は、振分け部材７６０のシーソ―部材７６２により一球毎に左右に振り分けられるので、第１送球経路ＫＲ１と第２送球経路ＫＲ２との連結部分に球が連続して送球されることを抑制できる。よって、第１送球経路ＫＲ１と第２送球経路ＫＲ２との連結部分に球が詰まることを抑制できる。
【０４９１】
次いで、図５７から図６０を参照して、第５実施形態の上下変位ユニット５４００について説明する。上記第１実施形態では、回転ユニット５５００の回転の規制が回転規制部材４８０のローラ４８１で行われる場合を説明したが、第５実施形態では、回転ユニット５５００の回転の規制が変位部材５４３０により行われる。なお、上記各実施形態と同一の部分には同一の符号を付してその詳しい説明を省略する。
【０４９２】
また、上記第１実施形態は、上下変位ユニット４００の装飾部材４５０が上昇位置に配置された状態を第２位置として、上下変位ユニット４００の装飾部材４５０が下降位置に配置された状態を第１位置として説明したが、第５実施形態では、更に装飾部材５４５０が第２位置から上昇位置に配置された状態を第３位置として説明する。
【０４９３】
なお、第５実施形態では、装飾部材５４５０が第１位置に配置された状態では、第１実施形態と同様に正面視においてセンターフレーム６００の中央開口部分に装飾部材５４５０が配置されて、回転ユニット５５００を回転させる演出が行われる。また、装飾部材５４５０が第２位置に配置された状態では、装飾部材５４５０が、センタフレーム６００の中央開口よりも上方（矢印Ｕ方向）であって遊技盤１３（図２参照）の背面側に配置される。この場合、後述する変位部材５４３０により回転ユニット５５００の回転が規制される。即ち、第２位置では、第１実施形態と同様に装飾部材５４５０の退避位置とされる。
【０４９４】
さらに、装飾部材５４５０が第３位置に配置された状態では、遊技盤１３のセンタフレーム６００よりも上方に貫通する開口部分（図示しない）から装飾部材５４５０に配設される回転ユニット５５００を正面視において視認可能に構成される。これにより、第３位置で回転ユニット５５００を回転させて遊技者に演出を視認させることができる。
【０４９５】
初めに、図５７及び図５８を参照して、第５実施形態における上下変位ユニット５４００の全体構成について説明する。図５７（ａ）及び図５７（ｂ）は、第５実施形態における上下変位ユニット５４００の正面図である。図５８は、上下変位ユニット５４００の分解斜視正面図である。なお、図５７（ｂ）は、正面カバー５４６０が透明視された状態が図示される。
【０４９６】
なお、以下の説明では、図１に示す状態のパチンコ機１０に対して、紙面手前側を前方（正面）側として、紙面奥側を後方（背面）側として説明する。また、図１に示す状態のパチンコ機１０に対して、上側を上方（上）側として、下側を下方（下）側として、右側を右方（右）側として、左側を左方（左）側としてそれぞれ説明する。さらに、図中の矢印Ｕ−Ｄ，Ｌ−Ｒ，Ｆ−Ｂは、パチンコ機１０の上下方向，左右方向，前後方向をそれぞれ示している。また、以下の図面では、上下変位ユニットの構成が模式的に図示される。
【０４９７】
さらに、以下の説明では、特段の指定がない限り、上下変位ユニット５４００の装飾部材５４５０が第３位置に配置された状態を、回転ユニット５５００の長手方向が水平方向（矢印Ｌ−Ｒ方向）に平行に配置された状態（以下の説明では、回転ユニット５５００の初期位置と称す）を説明する。
【０４９８】
図５７及び図５８に示すように、第５実施形態における上下変位ユニット５４００は、箱状に形成される正面ベース５４１０と、その正面ベース５４１０の正面側（矢印Ｆ方向側）に重ね合される正面カバー５４６０と、正面ベース５４１０の背面側に配設される駆動モータ４４１と、正面ベース５４１０及び正面カバー５４６０の対向間に軸支されて配設されると共に駆動モータ４４１の駆動力により回転される変位部材５４３０と、その変位部材５４３０の一側に連結されて変位部材５４３０の回転に伴って上下方向（矢印Ｕ−Ｄ方向）に変位される装飾部材５４５０と、その装飾部材５４５０に挿通されると共に、正面ベース５４１０及び正面カバー５４６０の対向間に配設される案内棒Ｐ１と、を主に備える。
【０４９９】
なお、第５実施形態における上下変位ユニット５４００は、第１実施形態と同様に装飾部材５４５０を除いたすべての部材が左右対称に一対配設され、その一対の対向間に装飾部材５４５０が介設される。また、一対に配設される部材の詳細な説明は、正面視左側（矢印Ｌ方向側）に配設される部材のみを説明し、正面視右側（矢印Ｒ方向側）に配設される部材については、正面視左側の部材と同一の符号を付してその説明は省略する。
【０５００】
正面ベース５４１０は、上下方向（矢印Ｕ−Ｄ方向）に延設される第１片５４１０Ｘと、その第１片５４１０Ｘの上下方向略中間位置から左右方向において一対に配設される第１片５４１０Ｘの対向方向外側に向かって膨出する第２片５４１０Ｙと、を備える。
【０５０１】
第１片５４１０Ｘは、上端側に断面円弧状に凹設される上側凹溝４１３と、下端側に断面円弧状に凹設される下側凹溝４１４と、回転ユニット５５００から遠方側（矢印Ｌ方向）の縁部に沿って正面カバー５４６０側（矢印Ｆ方向側）に立設される立設部５４１２と、を主に備える。
【０５０２】
上側凹溝４１３及び下側凹溝４１４は、その内縁に案内棒Ｐ１を配置する溝であり、案内棒Ｐ１の外径よりも大きい内径の半円形状に凹設される。また、上側凹溝４１３及び下側凹溝４１４は、断面半円弧状に凹設された部分の軸が同軸上に形成されると共に、上側凹溝４１３の上端部から下側凹溝４１４の下端部までの対向間の距離が案内棒Ｐ１の軸方向寸法よりも小さく設定される。これにより、案内棒Ｐ１の両端部を上側凹溝４１３及び下側凹溝４１４の内縁に配置することができる。
【０５０３】
立設部５４１２は、正面側に配置される正面カバー５４６０に当接した状態で配設される。これにより、正面ベース５４１０及び正面カバー５４６０の対向間に空間を形成することができると共に、その空間を回転ユニット５５００側の側面から外部空間に連通させることができる。その結果、正面ベース５４１０及び正面カバー５４６０の対向間に装飾部材５４５０を配設することができると共に、装飾部材５４５０を上下方向にスライド変位させることができる。
【０５０４】
また、立設部５４１２は、上下方向（矢印Ｕ−Ｄ方向）に延設される第１片５４１０Ｘの上下方向略中間位置に部分的に凹設される切欠部５４１２ａを備え、その切欠部５４１２ａの切欠底面に沿って第２片５４１０Ｙが形成される。
【０５０５】
第２片５４１０Ｙは、上述したように第１片５４１０Ｘの切欠部５４１２ａと連結して形成され、回転ユニット５５００から離間する方向（矢印Ｌ方向）に正面視半円形状に膨出して形成される。また、第２片５４１０Ｙは、前後方向（矢印Ｆ−Ｂ方向）に開口する開口５４１１と、正面側に円柱状に突出する軸支部５４１６と、を主に備える。なお、第１片５４１０Ｘの立設部５４１２は、第２片５４１０Ｙの正面側の縁部に沿って立設される。
【０５０６】
開口５４１１は、正面ベース５４１０の背面側（矢印Ｂ方向側）に取着される駆動モータ４４１の回転軸およびその回転軸に嵌合される伝達ギヤ４４２を正面ベース５４１０の正面側（矢印Ｆ方向側）に挿通するための開口であり、駆動モータ４４１の回転軸に嵌合される伝達ギヤ４４２の外径よりも内径が大きく設定される。これにより、駆動モータ４４１が経年劣化等により故障した際には、駆動モータ４４１を伝達ギヤ４４２が取着された状態で開口５４１１から取り外すことができる。従って、交換した新しい駆動モータ４４１の回転軸に伝達ギヤ４４２を嵌合させた後に、伝達ギヤ４４２を開口５４１１を挿通させて駆動モータ４４１を正面ベース５４１０に配設することができる。その結果、駆動モータ４４１を交換する際に駆動モータ４４１のみを取り外す場合に比べて、簡易に駆動モータ４４１を正面ベース５４１０に配設することができる。また、この場合、駆動モータ４４１の回転軸に伝達ギヤ４４２の軸孔を確実に嵌合させることができるので、部品交換した際の製品の信頼性を向上することができる。
【０５０７】
軸支部５４１６は、金属材料からなる円柱形状の棒部材であり、その軸方向を前後方向（矢印Ｆ−Ｂ方向）に向けた状態で正面ベース５４１０の正面側に端部が嵌合される。また、軸支部５４１６の正面側の端部には、ネジを螺合可能な穴が形成される。これにより、伝達ギヤ４４３の軸孔に軸支部５１４６を挿入した後に、頭部が伝達ギヤ４４３の軸孔の内径よりも大きいネジを軸支部５４１６に螺合させることで、伝達ギヤ４４３を正面ベース５４１０に脱落不能な状態で配設できる。
【０５０８】
正面カバー５４６０は、正面視における外形が背面側に配設される正面ベース５４１０と略同一に形成される。正面カバー５４６０は、正面ベース５４１０との対向面から正面ベース５４１０側に向かって突出する軸支部５４６４と、正面ベース５４１０の上側凹溝４１３及び下側凹溝４１４の対向部分から正面ベース５４１０側に突設される上側溝形成部材４６２及び下側溝形成部材４６３と、を備える。
【０５０９】
軸支部５４６４は、金属材料からなる円柱状の棒部材であり、その軸方向を前後方向（矢印Ｆ−Ｂ方向）に向けた状態で正面カバー５４６０の背面側に端部が嵌合される。また、軸支部５４６４の背面側の端部には、ネジを螺合可能な穴が形成される。これにより、後述する変位部材５４３０の貫通孔４３３に軸支部５４６４を挿入した後に、頭部が変位部材５４３０の貫通孔４３３の内径よりも大きいネジを軸支部５４６４に螺合させることで、変位部材５４３０を正面カバー５４６０に脱落不能な状態で配設できる。
【０５１０】
変位部材５４３０は、正面視において一方が長い矩形状に形成され、長手方向の他側に変位部材５４３０の長手方向に長い長穴に形成される駆動側摺動溝４３１と、長手方向の一側に装飾部材５４５０側に突出する連結軸５４３５と、その連結軸５４３５と駆動側摺動溝４３１との間に位置し前後方向に貫通する貫通孔４３３と、を主に備える。
【０５１１】
貫通孔４３３は、上述したように正面カバー５４６０の軸支部５４６４に軸支される穴であり、変位部材５４３０の正面ベース５４１０と正面カバー５４６０との対向間に配設される部分に形成される。また、貫通孔４３３の中心から長手方向他側（駆動側摺動溝４３１側）の端部までの距離寸法は、正面カバー５４６０の軸支部５４６４から正面ベース５４１０の第２片５４１０Ｙに形成される立設部５４１２の軸支部５４６４側の側面までの距離寸法よりも小さい値に設定される。これにより、変位部材５４３０を軸支部５４６４を中心として回転させた場合に、変位部材５４３０の端部が立設部５４１２と当接することを抑制できる。
【０５１２】
連結軸５４３５は、後述する装飾部材５４５０の摺動溝５４５２ｊに挿入される。これにより、変位部材５４３０の回転変位に合わせて装飾部材５４５０を案内棒Ｐ１の軸方向（矢印Ｕ−Ｄ方向）に沿って駆動させることができる。
【０５１３】
装飾部材５４５０は、正面視横長矩形状に形成され、長手方向中央部分を構成する正面ベース５４５２と、その正面ベース５４５２の左右方向両端部に連結される摺動部４５１と、正面ベース５４５２の背面を覆設する背面ベース４５３（図示しない）と、正面ベース５４５２の正面側に回転可能な状態で配設される回転ユニット５５００と、を主に備える。
【０５１４】
正面ベース５４５２は、第１実施形態における正面ベース４５２と同様に正面視横長矩形状の板状体から形成されると共に、上下の両端部が背面側に屈曲する断面コ字状に形成される。正面ベース５４５２は、装飾部材５４５０の長手方向に長い長穴に形成される摺動溝５４５２ｊを備え、装飾部材５４５０の長手方向略中間位置に回転可能な状態で回転ユニット５５００が配設される。
【０５１５】
摺動溝５４５２ｊは、上述したように変位部材５４３０の連結軸５４３５が挿入される部分であり、変位部材５４３０が貫通孔４３３を中心に回転変位されると、連結軸５４３５が摺動溝５４５２ｊの内部を摺動して装飾部材５４５０を変位させる。
【０５１６】
回転ユニット５５００は、その回転ユニット５５００の上方側の側面を形成する上面ベース５５１０と、上面ベース５５１０の下方に配設される照射ユニット５３０（図２８参照）と、その照射ユニット５３０の下方に配設される中間部材５５４０と、その中間部材５４０の下方に配設される反射板５６０（図２８参照）と、反射板５６０の前方に配設される正面カバー５５０（図２８参照）と、上面ベース５１０と下面ベース５５２０との背面側に配設される回転伝達ユニット５７０（図２８参照）と、回転ユニット５５００の下方側の側面を形成する下面ベース５５２０と、を主に備えて形成される。
【０５１７】
また、回転ユニット５５００は、正面視において一方が長い矩形状に構成されており、外面を構成する上面ベース５５１０、中間部材５５４０及び下面ベース５５２０の回転ユニット５５００の長手方向両端部に凹部５５１４が回転ユニット５５００の長手方向の内側に向かって凹設される。
【０５１８】
なお、回転ユニット５５００は、上記第１実施形態と同様に、照射ユニット５３０から照射される光の残像により演出を行うバーサライタとして構成されており、上記第１実施形態と同様に、回転伝達ユニット５７０の背面ベース５７１のギヤ５７１ａ１の中心を軸として回転変位される。また、図５７から図６２では、回転ユニット５５００の回転軸に回転軸Ｏの符号を付して図示される。
【０５１９】
また、回転ユニット５５００の重心は、回転軸Ｏ上に設定されており、回転ユニット５５００の長手方向が水平とされた姿勢（図５７（ａ）及び図５７（ｂ）に示す姿勢）とされる場合に、回転ユニット５５００が自重によって回転軸Ｏを中心に回転することが抑制される。
【０５２０】
凹部５５１４は、装飾部材５４５０が第２位置に配置される場合に、内側に変位部材５４３０の一側の端部を収容できる。これにより、回転ユニット５５００の回転が規制される。なお、回転ユニット５５００の回転の規制についての詳しい説明は後述する。
【０５２１】
次いで、図５９を参照して、装飾部材５４５０の変位態様について説明する。図５９（ａ）は、装飾部材５４５０が第３位置に配置された状態における上下変位ユニット５４００の正面図であり、図５９（ｂ）は、装飾部材５４５０が第２位置に配置された状態における上下変位ユニット５４００の正面図であり、図５９（ｃ）は、装飾部材５４５０が第１位置に配置された状態における上下変位ユニット５４００の正面図である。また、図５９（ａ）か図５９（ｃ）では、正面カバー５４６０が透明視された状態で図示される。
【０５２２】
図５９（ａ）に示すように、装飾部材５４５０が第３位置に配置された状態では、変位部材５４３０の他側（駆動側摺動孔４３１側）の端部が、貫通孔４３３よりも下方（矢印Ｄ方向）に配置され、変位部材５４３０の一側（連結軸５４３５側）の端部が、貫通孔４３３よりも上方（矢印Ｕ方向）に配置され、変位部材５４３０の長手方向が水平方向（矢印Ｌ−Ｒ方向）に対して傾斜した状態とされる。
【０５２３】
この場合、伝達ギヤ４４３の回転軸（軸支部５４１６の中心）と伝達ギヤ４４３の突起４４３ａの軸とを結ぶ仮想線ＫＳ１（図５９（ａ）参照）が、変位部材５４３０の貫通孔４３３の軸と伝達ギヤ４４３の突起４４３ａの軸とを結ぶ仮想線ＫＳ２（図５９（ａ）参照）と略直交する状態とされる。これにより、変位部材５４３０が装飾部材５４５０の荷重で回転することを抑制できる。
【０５２４】
即ち、装飾部材５４５０は、変位部材５４３０の連結軸５４３５に支持された状態とされるので、変位部材５４３０の回転軸に装飾部材５４５０の荷重が作用して、変位部材５４３０が装飾部材５４５０の荷重で変位しやすくなるところ、仮想線ＫＳ１と仮想線ＫＳ２とを略直交する状態で配置して死点の関係とすることで、伝達ギヤ４４３が変位部材５４３０から作用する力で回転しないようにすることができる。その結果、変位部材５４３０が、装飾部材５４５０の荷重で回転することを抑制できる。
【０５２５】
次に、図５９（ａ）に示す第３位置から図５９（ｂ）に示す第２位置に装飾部材５４５０が変位する場合について説明する。第３位置から第２位置への装飾部材５４５０の変位は、上述した駆動モータ４４１（図５８参照）を駆動させることで行われる。なお、装飾部材５４５０が各位置（第１位置から第３位置）に変位される際には、回転ユニット５５００が、初期位置で停止された状態とされる。
【０５２６】
駆動モータ４４１は、上述したように回転軸に伝達ギヤ４４２に嵌合される。また、伝達ギヤ４４２は、伝達ギヤ４４３に歯合される。従って、駆動モータ４４１に電力が付与さて回転軸が回転されると、その回転駆動が伝達ギヤ４４２を介して伝達ギヤ４４３に伝達される。伝達ギヤ４４３が回転されることで、伝達ギヤ４４３の突起４４３ａが変位部材５４３０の駆動側摺動溝４３１の内部を摺動して変位部材５４３０を回転させる。この場合、変位部材５４３０は、長手方向一側（連結軸５４３５側）の端部が重力方向下側（矢印Ｄ方向側）に変位される。
【０５２７】
なお、本実施形態では、駆動モータ４４１の回転軸に連結される伝達ギヤ４４２が正面視において左方向（右側の正面ベース５４１０に配設される駆動モータ４４１は反対）に回転されることで、変位部材５４３０の長手方向他側（連結軸５４３５側）の端部が重力方向下側（矢印Ｄ方向側）に変位される。
【０５２８】
図５９（ｂ）に示すように、変位部材５４３０が第２位置に配置される場合には、変位部材５４３０の長手方向が、装飾部材５４５０の長手方向と略平行とされる。また、この場合、変位部材５４３０の長手方向一側（連結軸５４３５側）の端部が、回転ユニット５５００の凹部５５１４の内側に配置されると共に回転ユニット５５００の回転領域ＲＹ２（図６０参照）の内側に配置される。これにより、変位部材５４３０が第２位置に配置される場合に、回転ユニット５５００が回転することを規制できる。
【０５２９】
ここで、従来より、ベース部材と、そのベース部材に対して変位可能な第１変位部材と、ベース部材および第１変位部材の間に介設される介設部材と、第１変位部材を駆動する第１駆動手段と、第１変位部材に対して変位可能な第２変位部材と、を備える遊技機が知られている。この従来の遊技機によれば、センタフレームの開口上部（遊技機の上部）に配置された第１変位部材を、第１駆動手段によりセンタフレームの開口中央部（遊技機の中央）に移動させて、第２変位部材を変位させることができる。
【０５３０】
しかしながら、上述した従来の遊技機では、第１変位部材をセンターフレームの開口上部に配置した際に、第２変位部材の変位を規制する部材を第２変位部材の変位領域に配置する必要がある。よって、その分、部品点数が増加するという問題点があった。
【０５３１】
これに対し、第５実施形態では、装飾部材５４５０が第２位置に配置される場合に、回転ユニット５５００の回転を装飾部材５４５０を変位させる変位部材５４３０により規制することができる。即ち、変位部材５４３０に、装飾部材５４５０を上下方向に変位させる役割と、回転ユニット５５００の回転を規制する役割とで兼用させることができる。その結果、回転ユニット５５００の回転を規制する部材を新たに備える必要がなくなるので、その分、部品点数を削減することができる。
【０５３２】
また、回転する回転ユニット５５００の回転を規制するために、変位部材５４３０を回転ユニット５５００の回転領域に配置するのみでは、１の変位部材５４３０で回転ユニット５５００の１方向の回転（変位部材５４３０が配置された方向への回転）を規制することができるが、他方向の回転を規制することができないという問題点があった。
【０５３３】
これに対し、第５実施形態では、回転ユニット５５００の凹部５５１４の内側に変位部材５４３０の一側端部が挿入されるので、回転ユニット５５００が回転する場合に、回転ユニット５５００の両方向の回転を変位部材５４３０により規制することができる。
【０５３４】
この場合、回転ユニット５５００の回転が規制されるので、回転ユニット５５００を駆動する駆動モータ４５７（図２６参照）の電力をオフとした場合に、回転ユニット５５００がパチンコ機１０の外部から入力される振動等で回転することを抑制できる。その結果、変位部材５４３０により回転ユニット５５００の回転が規制された状態では、回転ユニット５５００を駆動する駆動モータ４５７への電力の供給を遮断することができるので、その分、消費エネルギーを少なくすることができる。
【０５３５】
さらに、装飾部材５４５０が第２位置に配置される場合には、変位部材５４３０の駆動側摺動溝４３１の内部を摺動する突起４４３ａと変位部材５４３０の回転軸の離間距離Ｌ２（図５９（ｂ）参照）が、装飾部材５４５０が第３位置に配置される場合の突起４４３ａと変位部材５４３０の回転軸との離間距離Ｌ１（図５９（ａ）参照）よりも大きく設定される。これにより、変位部材５４３０の一側端部に外部からの力が作用した場合に、伝達ギヤ４４３が回転することを抑制できる。
【０５３６】
なお、離間距離Ｌ２は、大きく設定されるほど変位部材５４３０の一側端部に外部からの力が作用した場合に、伝達ギヤ４４３が回転することを抑制しやすくでき、変位部材５４３０の回転軸と連結軸５４３５との離間距離Ｌ３（図５９（ｂ）参照）よりも大きく設定されることが好ましい。
【０５３７】
次に、図５９（ｂ）に示す第２位置から図５９（ｃ）に示す第１位置に装飾部材５４５０が変位する場合ついて説明する。第２位置から第１位置への装飾部材５４５０の変位は、上述した第３位置から第２位置への装飾部材５４５０の変位と同様に、駆動モータ４４１の回転軸を回転することで行われる。駆動モータ４４１が回転されると、伝達ギヤ４４３の突起４４３ａが変位部材５４３０の摺動溝５４５２ｊの内部を摺動して変位部材５４３０を回転させる。
【０５３８】
図５９（ｃ）に示すように、装飾部材５４５０が第１位置に配置された状態では、変位部材５４３０の他側（駆動側摺動孔４３１側）の端部が、貫通孔４３３よりも上方（矢印Ｕ方向）に配置され、変位部材５４３０の一側（連結軸５４３５側）の端部が、貫通孔４３３よりも下方（矢印Ｄ方向）に配置される。装飾部材５４５０が第３位置に配置された状態における変位部材５４３０に対して変位部材５４３０が略９０度回転された状態とされると共に、水平方向（矢印Ｌ−Ｒ方向）に対して、傾斜した状態とされる。
【０５３９】
この場合、装飾部材５４５０が第３位置に配置された場合と同様に、上述した仮想線ＫＳ１と仮想線ＫＳ２とが、略直交する状態とされる。これにより、変位部材５４３０が装飾部材５４５０に作用する外力で回転することを抑制できる。
【０５４０】
即ち、第１位置では、装飾部材５４５０に配設される回転ユニット５５００が回転変位される位置であるため、回転ユニット５５００の回転駆動による慣性力が変位部材５４３０の回転軸に作用して、変位部材５４３０が回転ユニット５５００の回転駆動による慣性力で変位しやすくなるところ、仮想線ＫＳ１と仮想線ＫＳ２とを略直交する状態で配置して死点の関係とすることで、伝達ギヤ４４３が変位部材５４３０から作用する力で回転しないようにすることができる。その結果、変位部材５４３０が、装飾部材５４５０に作用する外力で回転することを抑制できる。
【０５４１】
また、第１位置および第３位置では、変位部材５４３０の連結軸５４３５が、回転ユニット５５００から遠方側の摺動溝５４５２ｊの端部（上下変位ユニット５４００の正面視左側（矢印Ｌ方向側）に配設される連結軸５４３５は、摺動溝５４５２ｊの左側端部）に当接される。上述したように、連結軸５４３５は、上下変位ユニット５４００の左右両端に一対配設されるので、装飾部材５４５０に回転ユニット５５００を間に挟んだ２箇所に形成される一対の摺動溝５４５２ｊに対して、それぞれ回転ユニット５５００から遠方側の端部に連結軸５４３５を当接させることができる。その結果、装飾部材５４５０が、左右方向（摺動溝５４５２ｊの長手方向（矢印Ｌ−Ｒ方向）に揺れ動くことを抑制できる。
【０５４２】
ここで、上述したように、第１位置または第３位置では、回転ユニット５５００を回転させる演出が行われる。従って、回転ユニット５５００の回転駆動による慣性力が装飾部材５４５０に伝達されて、装飾部材５４５０が左右方向に揺れ動くことで、回転ユニット５５００の演出が遊技者から視認しにくくなる恐れがある。
【０５４３】
これに対し、第１位置または第３位置では、装飾部材５４５０の一対の摺動溝５４５２ｊの内側に配設される一対の変位部材５４３０の連結軸５４３５により、装飾部材５４５０の左右方向の変位が規制されるので、回転ユニット５５００の回転駆動により、装飾部材５４５０が左右方向に揺れ動くことを抑制できる。その結果、回転ユニット５５００の回転駆動による演出（本実施形態では、バーサライタによる光の残像表示）を遊技者に視認させやすくできる。
【０５４４】
なお、装飾部材５４５０を第１位置から第３位置または第３位置から第１位置に第２位置を介して変位される場合には、図５９に示すように必ずしも回転ユニット５５００を初期位置に配置する必要はなく。回転ユニット５５００の回転を規制する場合にのみ、回転ユニット５５００を初期位置に配置すればよい。例えば、第１位置で回転ユニット５５００を回転させて演出した後に、第３位置で回転ユニット５５００を回転演出する場合には、第１位置で回転ユニット５５００を初期位置から略９０度回転させた後に、装飾部材５４５０を第３位置に変位させることで、回転ユニット５５００が変位部材５４３０に当接することを抑制できる。その結果、装飾部材５４５０の変位の速度を速くした場合における回転ユニット５５００の位置ずれを考慮する必要がなくなるので、装飾部材５４５０の変位速度を速くすることができ、回転ユニット５５００による回転演出位置をスムーズに変更させることができる。
【０５４５】
この場合、回転ユニット５５００の回転領域ＲＹ２の内側に変位部材５４３０の一側が変位する手前の位置まで、回転ユニット５５００に回転の演出をさせつつ、回転ユニット５５００の回転領域ＲＹ２の内側に変位部材５４３０の一側が配置される場合には、回転ユニット５５００の回転を停止または回転を遅くて装飾部材５４５０を変位させて回転ユニット５５００が変位部材５４３０に衝突することを抑制する。さらに、変位部材５４３０の一側が回転領域ＲＹ２の外側に変位した後に、回転ユニット５５００の回転を再始動または通常の回転をさせて、回転ユニット５５００による回転の演出をすることで、回転ユニット５５００の回転演出が継続された状態で装飾部材５４５０が変位する態様を遊技者に視認させることができる。その結果、回転ユニット５５００の回転による演出領域を拡大することができる。
【０５４６】
次いで、図６０を参照して、装飾部材５４５０が第２位置に配置されて、回転ユニット５５００が回転することを規制された状態について詳しく説明する。図６０は、装飾部材５４５０が第２位置に配置された状態における上下変位ユニット５４００の正面図である。なお、図６０では、回転ユニット５５００が回転した場合の長手方向端部の軌跡が回転領域ＲＹ２の符号を付して２点鎖線で図示される。また、図６０では、回転ユニット５５００の回転軸Ｏと直交する水平方向の直線が仮想線ＫＳ５の符号を付して２点鎖線で図示される。さらに、図６０では、摺動溝５４５２ｊ及び連結軸５４３５が鎖線で図示される。
【０５４７】
図６０に示すように、回転ユニット５５００の正面視における短手方向の幅寸法Ｌ４は、変位部材５４３０の短手方向の幅寸法Ｌ５よりも大きく設定される。また、変位部材５４３０の一側端部は、円柱状に形成される連結軸５４３５の中心を軸とする円弧状に形成される。これにより、装飾部材５４５０が第２位置に変位する場合に、変位部材５４３０の一側を凹部５５１４の内側に配置しやすくできる。なお、変位部材５４３０の一側を凹部５５１４の内側への配置についての詳しい説明は後述する。
【０５４８】
装飾部材５４５０が第２位置に配置される場合には、初期位置に配置される回転ユニット５５００の凹部５５１４の内側に変位部材５４３０の一側（連結軸５４３５側）の端部が配置される。この場合、凹部５５１４の凹設底面に変位部材５４３０の一側の端部が当接される。即ち、回転ユニット５５００の長手方向両端に形成される凹設底面の間の距離寸法Ｌ６は、一対の変位部材５４３０の一側端部同士の対向間と略同一に設定される。これにより、回転ユニット５５００の停止位置が初期位置からずれた位置とされる場合に、凹部５５１４の内面に変位部材５４３０の一側端部を当接させて、回転ユニット５５００を初期位置に変位させることができる。
【０５４９】
また、凹部５５１４は、装飾部材５４５０が第２位置に配置され、回転ユニット５５００が初期位置に配置された状態において、正面視における円弧の軸が変位部材５４３０の回転軸と同軸に設定される。これにより、変位部材５４３０が回転して装飾部材５４５０を第１位置または第３位置から第２位置に変位させる場合に変位部材５４３０の一側（連結軸５４３５側）の端部を凹部５５１４の内側に配置しやすくできると共に、変位部材５４３０を第２位置から第１位置または第３位置に変位させる場合に、変位部材５４３０の一側を回転ユニット５５００の凹部５５１４から抜き出しやすくできる。また、回転ユニット５５００が回転した場合に、その変位を変位部材５４３０により規制しやすくできる。
【０５５０】
詳しく説明すると、回転ユニット５５００が初期位置に配置される場合には、変位部材５４３０の一側（連結軸５４３５側）の端部の変位軌跡を、回転ユニット５５００の外形と当接しない位置に形成することができる。これにより、変位部材５４３０を回転した場合に、変位部材５４３０の一側が回転ユニット５５００に当接することを抑制できる。また、凹部５５１４の変位領域に配設される変位部材５４３０の面積を大きくすることができる。よって、凹部５５１４の内側に変位部材５４３０の一側が挿入された状態で、回転部材５００が回転した場合に、変位部材５４３０に回転部材５００を当接しやすくでき、回転ユニット５５００の回転変位を規制しやすくできる。
【０５５１】
なお、この場合、変位部材５４３０の一側の端部（凹部５５１４への挿入部分）は、図６０に示すように、凹部５５１４の円弧形状よりも小さい湾曲形状に形成される。これにより、変位部材５４３０を凹部５５１４の内側部分に挿入しやすくできる。
【０５５２】
また、変位部材５４３０は、回転ユニット５５００の左右方向（矢印Ｌ−Ｒ方向）の両側に配設されており、装飾部材５４５０が第２位置に配置される場合には、回転ユニット５５００の左右両側の凹部５５１４の内側に変位部材５４３０の一側が配置される。よって、回転が規制された状態の回転ユニット５５００にパチンコ機１０の制御不良等で回転の駆動力が付与された場合に、左右の変位部材５４３０は回転ユニット５５００の回転に伴って両者が反対方向に回転される。上述したように、変位部材５４３０は、一側の連結軸５４３５が正面ベース５４５２の摺動溝５４５２ｊに連結されるので、一対の変位部材５４３０が互いに反対方向に回転変位された場合に、変位部材５４３０が回転すること抑制できる。
【０５５３】
次いで、図６１を参照して、変位部材５４３０の一側が、回転ユニット５５００の凹部５５１４の内側から抜き出された場合について説明する。図６１は、上下変位ユニット５４００の正面図である。なお、図６１では、装飾部材５４５０が第２位置から第３位置へ若干変位して変位部材５４３０の一側端部が回転ユニット５５００の内側から抜き出された状態が図示される。
【０５５４】
図６１に示すように、装飾部材５４５０が、第２位置から第３位置へ若干変位されて、変位部材５４３０の一側が回転ユニット５５００の回転領域ＲＹ２の外側に配置されると、回転ユニット５５００が回転する場合に変位部材５４３０と当接しない状態とすることができる。即ち、回転ユニット５５００の回転が許容される。
【０５５５】
ここで、従来より、ベース部材と、そのベース部材に対して退避位置および第１位置の間で変位する第１変位部材と、その第１変位部材に対して変位する第２変位部材とを備える遊技機が知られている。この遊技機によれば、退避位置に配置された第１変位部材を、第１位置に変位させて第２変位部材を変位させることができる。
【０５５６】
しかしながら、上述した従来の遊技機では、退避位置で第２変位部材の変位を停止させる場合に、遊技機の外部から入力される振動等により第２変位部材が変位する可能性があり、第２変位部材が変位することで他の演出を遊技者に視認させにくくなる。そのため、退避位置ではセンタフレームの背面側に第２変位部材を配置して、退避位置での第２変位部材の変位を遊技者に視認させにくくすることが考えられるが、この場合には、センタフレームが大きくされる分、第２変位部材の変位による演出領域が小さくされるという問題点があった。
【０５５７】
また、第２変位部材が退避位置に配置される場合に、第２変位部材にセンタフレームの一部を当接させて、第２変位部材の変位を規制することも考えられるが、この場合には、第２変位部材の変位を許容する際に、第２変位部材をセンタフレームから十分に離間させる必要があり、その分、第２変位部材の変位による演出領域が小さくされるという問題点があった。
【０５５８】
これに対して、本実施形態では、変位部材５４３０の一側端部を凹部５５１４の凹設底面から回転領域ＲＹ２の間の距離Ｌ７（図６１参照）分、離間させることで、変位部材５４３０の回転を許容することができるので、回転ユニット５５００の回転による演出領域を拡大することができる。
【０５５９】
次いで、図６２を参照して、回転ユニット５５００の回転の停止位置が初期位置からずれた場合の説明をする。図６２（ａ）及び図６２（ｂ）は、上下変位ユニット５４００の正面図である。
【０５６０】
図６２に示すように、回転ユニット５５００が、初期位置からずれた位置に停止される場合には、変位部材５４３０の一側端部で凹部５５１４の内側を押圧することで回転ユニット５５００を初期位置に配置することができる。なお、図６２（ａ）から図６２（ｃ）では、回転ユニット５５００に変位部材５４３０の一側が当接した状態から順に変位部材５４３０に回転ユニット５５００が押圧されて変位する状態が図示される。
【０５６１】
上述したように、回転部材の一側端部は、連結軸５４３５の中心を軸とする円弧状に形成されるので、装飾部材５４５０が変位されて連結軸５４３５が摺動溝５４５２ｊを摺動する場合に、仮想線ＫＳ５上の端部を回転ユニット５５００側に位置させることができる。これにより、回転ユニット５５００の長手方向両端部（凹部５５１４）が仮想線ＫＳ５を超えない位置に配置される場合には、回転ユニット５５００の長手方向両端部を回転ユニット５５００の位置ずれの回転方向と反対側に位置する変位部材５４３０の外面に当接させることができる。よって、回転ユニット５５００の長手方向両端部に変位部材５４３０の一側が当接する場合に、回転ユニット５５００を位置ずれの回転方向と反対側に押し出すことができる。その結果、回転ユニット５５００が初期位置からずれた位置に配置される場合に、変位部材５４３０により回転ユニット５５００の初期位置に押し戻すことができる。
【０５６２】
なお、変位部材５４３０の一側端部は、回転ユニット５５００の長手方向両端部に形成される凹部５５１４に当接するので、凹部５５１４の湾曲を利用して回転ユニット５５００を位置ずれの回転方向と反対の方向に回転させやすくできる。即ち、回転ユニット５５００を変位部材５４３０と当接させて初期位置に変位させやすくできる。
【０５６３】
また、回転ユニット５５００が、初期位置からずれた位置に停止する要因としては、回転ユニット５５００が初期位置で停止する場合に、上記第１実施形態で説明したギヤ４５６（図２６参照）に形成される突起が検出センサの間に配置された後に停止動作をするため、若干回転する方向に位置ずれして停止することが要因であり、回転ユニット５５００の長手方向両端部が仮想線ＫＳ５を超えない位置とされる場合に、ギヤ４５６の突起が検出センサの間に配置される大きさに設定される。これにより、回転ユニット５５００の左右方向（矢印Ｌ−Ｒ方向）両側に配置される変位部材５４３０が回転ユニット５５００を介してかみ合って変位部材５４３０の変位が規制されることを抑制できる。
【０５６４】
また、回転ユニット５５００の停止位置が、その回転ユニット５５００の両端部が仮想線ＫＳ５を超える位置にずれて配置される場合には、ギヤ４５６の突起が検出センサの間から抜け出ることで、パチンコ機１０に回転ユニット５５００の停止位置がずれている（位置ずれしすぎている）ことを認識させることができる。この場合、パチンコ機１０から回転ユニット５５００を再度回転させる信号を出力して再度回転ユニット５５００をに停止動作をさせることで、回転ユニット５５００の停止位置を回転ユニット５５００の両端部が仮想線ＫＳ５を超えない位置に配置することができる。
【０５６５】
次いで、図６３及び図６４を参照して、第６実施形態における上下変位ユニット６４００について説明する。上記第５実施形態では、変位部材５４３０の一側（連結軸５４３５側）の端部を回転ユニット５５００の凹部５５１４の内側に配置することで、回転ユニット５５００の回転を規制する場合を説明したが、第６実施形態では、変位部材６４３０により回転ユニット５００を回転変位させるギヤの回転を規制する。なお、上記各実施形態と同一の部分には同一の符号を付してその詳しい説明を省略する。
【０５６６】
初めに、図６３を参照して、第６実施形態における上下変位ユニット６４００の構成について説明する。図６３（ａ）は、第６実施形態における上下変位ユニット６４００の正面図であり、図６３（ｂ）は、上下変位ユニット６４００の背面図である。なお、図６３（ａ）では、正面カバー５４６０が透明視された状態の上下変位ユニット６４００が図示される。また、図６３（ｂ）では、回転ユニット５００及び装飾部材５４５０を変位させる機構の一部が１点鎖線で図示される。
【０５６７】
図６３に示すように、第６実施形態における上下変位ユニット６４００は、変位部材６４３０が第５実施形態の変位部材５４３０よりも一側（連結軸５４３５側）に長く形成される。また、変位部材６４３０は、装飾部材５４５０及び案内棒Ｐ１の背面側（矢印Ｂ方向側）に配設される。
【０５６８】
変位部材６４３０は、長手方向の他側に変位部材６４３０の長手方向に長い長穴に形成される駆動側摺動溝４３１と、長手方向の一側に装飾部材６４５０側に突出する連結軸５４３５と、その連結軸５４３５と駆動側摺動溝４３１との間に位置し前後方向（矢印Ｆ−Ｂ方向）に貫通する貫通孔４３３と、連結軸４３５よりも長手方向の一側に位置し、正面側に突出する規制用突起６４３６と、を備える。
【０５６９】
規制用突起６４３６は、正面視において円柱状に形成される。また、規制用突起６４３６の突出先端は、後述する装飾部材６４５０に配設される回転ユニット５００の回転に伴って回転されるピニオンギヤ４５６に形成される凹溝６４５６ａの内側に受入可能な長さに設定される。よって、凹溝６４５６ａの内側に規制用突起６４３６が受け入れられることで、ピニオンギヤ４５６の回転が規制されて、回転ユニット５００の回転が規制される。
【０５７０】
装飾部材６４５０は、正面視横長矩形に形成され、長手方向中央部分を構成する正面ベース５４５２と、その正面ベース５４５２の左右方向両端部に連結される摺動部４５１と、正面ベース５４５２の背面を覆設する背面ベース６４５３と、正面ベース５４５２の正面側に回転可能な状態で配設される回転ユニット５００と、を主に備える。
【０５７１】
背面ベース６４５３は、正面ベース５４５２と正面視における外形が略同一に形成される板部材である。また、正面ベース５４５２と背面ベース６４５３との内部空間には、ギヤ４５４，４５５，６４５６（ギヤ４５４，４５５は図示しない）が回転可能な状態で配設される。
【０５７２】
さらに、第６実施形態では、第５実施形態において正面ベース５４５２に形成された摺動溝５４５２ｊが、背面ベース６４５３に形成される。また、背面ベース６４５３は、変位部材６４３０が回転する場合の背面視における規制用突起６４３６の変位軌跡に沿った湾曲状の凹欠部６４５３ｅが形成される。凹欠部６４５３ｅは、径方向の幅寸法が規制用突起６４３６の直径よりも大きく形成される。これにより、変位部材６４３０を回転させた場合に、規制用突起６４３６を凹欠部６４５３ｅの内側を移動させることができ、規制用突起６４３６が背面ベース６４５３に衝突することを抑制できる。
【０５７３】
ギヤ４５６は、上述したように、回転ユニット５００に駆動を伝達するギヤ５７１ａ１と同一の直径に形成されると共に、ギヤ５７１ａ１に歯合される。よって、ギヤ４５６は、回転ユニット５００が一回転される毎に同一の回転位置に配置される。また、ギヤ６４５６は、回転ユニット５００の初期位置（基準位置）を検出するための突起がその側面（軸方向端面）に突設され、その突起が一回転することで、回転ユニット５００が初期位置に配置されたことをパチンコ機１０に検知させることができる。さらに、ギヤ４５６は、背面側から正面側に向かって湾曲形状に凹設される凹溝６４５６ａを備える。
【０５７４】
凹溝６４５６ａは、装飾部材６４５０が第２位置に配置され、さらに回転ユニット５００が初期位置に配置される場合に、凹溝６４５６ａの湾曲の軸が、変位部材６４３０の回転軸（軸支部５４６４の中心）と同軸上に設定される。また、凹溝６４５６ａの径方向における幅寸法は、上述した規制用突起６４３６の直径よりも大きく設定される。これにより、回転ユニット５００が初期位置に配置される場合に、変位部材６４３０を回転変位させることで、変位部材６４３０の規制用突起６４３６を凹溝６４５６ａの内側に配置することができる。その結果、回転ユニット５００の回転を規制できる。
【０５７５】
次いで、図６４を参照して、回転ユニット５００の回転が変位部材６４３０の規制用突起６４３６により規制された状態について説明する。図６４（ａ）は、装飾部材６４５０が第２位置に配置された状態における上下変位ユニット６４００の背面図であり、図６４（ｂ）は、ギヤ４５６の背面図である。なお、図６４（ａ）では、回転ユニット５００及び装飾部材５４５０を変位させる機構の一部が一点鎖線で図示される。また、図６４（ｂ）では、ギヤ４５６の正面側に刻設されるギヤの歯面が１点鎖線で図示される。
【０５７６】
図６４に示すように、凹溝６４５６ａは、ギヤ４５６の回転軸を避けた位置に形成される。従って、規制用突起６４３６が凹溝６４５６ａの内側に配置されると、ギヤ４５６が回転する際に、凹溝６４５６ａの内面を規制用突起６４３６に当接させることができる。よって、ギヤ４５６の回転が規制されるので、ギヤ４５６に歯合されるギヤ５７１ａ１の回転が規制される。上述したように、回転ユニット５００は、ギヤ５７１ａ１から駆動が伝達されることで回転するので、ギヤ５７１ａ１の回転が規制されることで、回転ユニット５００の回転が規制される。
【０５７７】
この場合、回転ユニット５００の回転を規制するために、変位部材６４３０を回転ユニット５００の外面に当接させなくてよいので、回転ユニット５００と変位部材６４３０とが当接する状態を遊技者に視認されにくくすることができる。即ち、回転ユニット５００の回転の規制をギヤ４５６により行うことができるので、ギヤ４５６を正面ベース６４５２の背面側に配置して正面側（遊技者側）から視認されにくい位置に配置することで、回転ユニット５００の規制部分を遊技者に視認されにくくすることができる。その結果、回転ユニット５００の回転を規制する構造を遊技者が視認することで、遊技者の興趣が損なわれることを抑制できる。
【０５７８】
また、回転ユニット５００の回転が規制用突起６４３６により規制される場合（装飾部材６４５０が第２位置に配設される場合）に、凹溝６４５６ａは、変位部材６４３０の回転軸（軸支部５４６４の中心）およびギヤ４５６の中心を結ぶ直線と略直交し、ギヤ４５６の回転軸を通過する直線の仮想線ＫＳ３（図６４（ｂ）参照）により、２分割されるギヤ４５６の軸方向端面のうち、変位部材６４３０の回転軸に近い領域ＲＹ１（図６４（ｂ）参照）に形成される。
【０５７９】
ここで、凹溝６４５６ａがギヤ４５６の領域Ｒ１以外の箇所に形成される場合では、凹溝６４５６ａの湾曲方向と、ギヤ４５６の回転方向とが近似する。そのため、ギヤ４５６を回転させた際に、規制用突起６４３６が凹溝６４５６ａの内側を摺動しやすくなり、回転ユニット５００の回転を規制するまでに、回転ユニット５００が回転可能な範囲が大きくなるという問題点がある。
【０５８０】
これに対し、第６実施形態では、凹溝６４５６ａがギヤ４５６の領域Ｒ１に形成されるので、回転ユニット５００が回転された場合に、規制用突起６４３６に凹溝６４５６ａの内面が当接するまでの、回転ユニット５００の回転距離を短くすることができる。その結果、回転ユニット５００の回転を規制するまでに、回転ユニット５００が回転可能な範囲が大きくなることを抑制できる。
【０５８１】
また、凹溝６４５６ａは、ギヤ４５６の周囲から内側部分に向かって溝幅が小さくされる。これにより、回転ユニット５００が初期位置から若干ずれた位置に配置される場合に、装飾部材６４５０を第１位置または第３位置から第２位置に変位させて、規制用突起６４３６を凹溝６４５６ａの内側に配置することができると共に、凹溝６４５６ａの内面に当接させてギヤ４５６を回転させて、回転ユニット５００を初期位置に回転させることができる。
【０５８２】
次いで、図６５から図６８を参照して、第７実施形態における上下変位ユニット７４００について説明する。上記第５実施形態では、装飾部材５４５０に回転可能な状態で配設される回転ユニット５５００の回転を規制する場合を説明したが、第７実施形態では、前後方向（矢印Ｆ−Ｂ方向）に変位可能な状態で配設される変位ユニット７９００の変位を規制する場合について説明する。なお、上記各実施形態と同一の部分には同一の符号を付して、その詳しい説明を省略する。
【０５８３】
初めに、図６５及び図６６を参照して、第７実施形態における上下変位ユニット７４００の全体構成について説明する。図６５（ａ）及び図６５（ｂ）は、第７実施形態における上下変位ユニット７４００の斜視正面図であり、図６６（ａ）及び図６６（ｂ）は、上下変位ユニット７４００の上面図である。
【０５８４】
図６５及び図６６に示すように、第７実施形態における上下変位ユニット７４００の装飾部材７４５０は、第５実施形態と同様に左右両端に配設される変位部材５４３０により支持されており、その変位部材５４３０を回転変位させることで、装飾部材７４５０が第１〜第３位置に変位される。なお、変位部材５４３０を変位させる構成としては、第５実施形態と同様であるため、その説明は省略する。
【０５８５】
装飾部材７４５０は、正面視横長矩形に形成され、長手方向中央部分を構成する正面ベース７４５２と、その正面ベース７４５２の左右方向両端部に連結される摺動部４５１（図示しない）と、正面ベース７４５２の背面を覆設する背面ベース７４５３と、正面ベース７４５２の正面側（矢印Ｆ方向側）に前後方向に変位可能な状態で配設される変位ユニット７９００と、を主に備える。
【０５８６】
正面ベース７４５２は、正面視横長矩形状の板状体から形成されると共に、上下の両端部が背面側に屈曲する断面コ字状に形成される。正面ベース７４５２は、装飾部材５４５０の長手方向略中間位置に前後方向に開口する開口部７４５２ｋと、装飾部材７４５０の長手方向に長い長穴に形成される摺動溝５４５２ｊと、を備える。
【０５８７】
開口部７４５２ｋは、後述する変位ユニット７９００に駆動を伝達するソレノイド７９１０の軸部７９１２が挿通される。これにより、開口部７４５２ｋを介してソレノイド７９１０の駆動が変位ユニット７９００に伝達され、変位ユニット７９００が前後方向に変位される。なお、ソレノイド７９１０の駆動についての詳しい説明は後述する。
【０５８８】
背面ベース７４５３は、正面ベース７４５２と正面視における外形が略同一に形成される板部材である。また、背面ベース７４５３は、正面ベース７４５２に形成される開口部７４５２ｋと対向する位置に開口する開口部（図示しない）を備えており、その開口部に軸部７９１２を挿通した状態でソレノイド７９１０の本体部７９１１が背面ベース７４５３の背面側に配設される。
【０５８９】
ソレノイド７９１０は、電力が付与されることで磁力を発生する本体部７９１１と、その本体部７９１１の内部に出没可能な状態で配設される軸部７９１２と、その軸部７９１２を本体部７９１１から突出する方向に付勢するコイルばね（図示しない）と、を備え、本体部７９１１に電力を付与しない場合には、コイルばねの付勢力により軸部７９１２が本体部７９１１から突出され、本体部７９１１に電力が付与される場合には、本体部７９１１の磁力により軸部７９１２が本体部７９１１の内部に没入するように構成される。
【０５９０】
ソレノイド７９１０の軸部７９１２の先端には、変位ユニット７９００が配設される。従って、変位ユニット７９００は、軸部７９１２の変位に従って、前後方向（矢印Ｆ−Ｂ方向）に変位される。
【０５９１】
なお、ソレノイド７９１０の軸部７９１２が本体部７９１１の内部に没入する場合には、変位ユニット７９００の前面側端部が、一対の変位部材５４３０の背面側に位置される（図６６（ａ）参照）。一方、ソレノイド７９１０の軸部７９１２が本体部７９１１の内部から突出される場合には、変位ユニット７９００の背面側端部が、一対の変位部材５４３０の正面側に位置される（図６６（ｂ）参照）。
【０５９２】
即ち、変位ユニット７９００は、前後方向（矢印Ｆ−Ｂ方向）において、変位終端位置が、変位部材５４３０を間に挟んだ両側に設定される。これにより、変位ユニット７９００を正面側または背面側のどちらかに配置した状態で変位部材５４３０を回転変位した場合に、変位部材５４３０が変位ユニット７９００に衝突することを抑制できる。
【０５９３】
次いで、図６７及び図６８を参照して、変位ユニット７９００の変位を規制する場合について説明する。図６７（ａ）は、装飾部材７４５０が第２位置に配置された状態における上下変位ユニット７４００の正面図であり、図６７（ｂ）は、図６７（ａ）の矢印ＬＸＶＩＩｂ方向視における上下変位ユニット７４００の上面図である。図６８（ａ）は、変位ユニット７９００の変位が規制された状態における上下変位ユニット７４００の上面図であり、図６８（ｂ）は、図６８（ａ）のＬＸＶＩＩＩｂ−ＬＸＶＩＩＩｂ線における上下変位ユニット７４００の断面図である。なお、図６７（ａ）及び図６８（ａ）では、変位部材５４３０と重なる変位ユニット７９００の一部が一点鎖線で図示される。さらに、図６８（ｂ）では、変位ユニット７９００と重なる変位部材５４３０の一部が、一点鎖線で図示される。
【０５９４】
図６７に示すように、変位ユニット７９００が背面側に退避した（ソレノイド７９１０の本体部７９１１の内側に軸部７９１２が没入された）状態で、装飾部材７４５０が第２位置に配置されると、変位部材５４３０の一側（連結軸５４３５側）の端部が変位ユニット７９００の前方に配置される。
【０５９５】
上述したように、変位ユニット７９００は、前後方向（矢印Ｆ−Ｂ方向）において、変位部材５４３０を間に挟む両側に変位可能とされる。従って、図６８に示すように、変位部材５４３０が、変位ユニット７９００の正面側に配置された状態で、変位ユニット７９００を正面側に張り出した状態に変位すると、変位ユニット７９００の正面側の端部が変位部材５４３０に当接して、変位ユニット７９００の変位が規制される。
【０５９６】
この場合、変位ユニット７９００は、変位部材５４３０の回転軸方向に変位して、変位部材５４３０に当接するので、変位ユニット７９００が変位して変位部材５４３０に当接した際に、変位部材５４３０が回転することを抑制できる。
【０５９７】
また、変位ユニット７９００を駆動するソレノイド７９１０は、軸部７９１２が本体部７９１１からコイルばねの付勢力により突出される。従って、変位ユニット７９００にコイルばねの付勢力を作用させ続けることができる。これにより、変位ユニット７９００及び変位部材５４３０の当接面の摩擦抵抗を大きくすることができるので、変位ユニット７９００及び変位部材５４３０が当接した状態で変位部材５４３０が回転変位することを抑制できる。よって、変位部材５４３０を駆動する駆動モータ４４１の電力をオフとした場合に、変位部材５４３０がパチンコ機１０の外部から入力される振動等で回転することを抑制できる。その結果、変位ユニット７９００が変位部材５４３０と当接して変位ユニット７９００の変位が規制された状態では、変位部材５４３０を駆動する駆動モータ４４１への電力の供給を遮断することができるので、その分、消費エネルギーを少なくすることができる。
【０５９８】
また、第７実施形態では、変位部材５４３０が、変位ユニット７９００と当接する部分に、凹設される凹設部７４３７が形成される。凹設部７４３７は、装飾部材７４５０が第２位置に配置される場合に、対向する変位ユニット７９００の外形に沿った形状に凹設される。これにより、変位部材５４３０が変位ユニット７９００の正面側に配置された状態で、変位ユニット７９００を正面側に張り出した状態に変位すると、変位ユニット７９００の変位部材５４３０と対向する部分が、凹設部７４３７に受け入れられる。その結果、変位ユニット７９００及び変位部材５４３０が当接して、変位ユニット７９００の変位が規制された状態とされる場合に、変位部材５４３０が回転することを凹設部７４３７の内面により規制することができる。
【０５９９】
よって、変位部材５４３０を駆動する駆動モータ４４１の電力をオフとした場合に、変位部材５４３０がパチンコ機１０の外部から入力される振動等で回転することを抑制できる。その結果、変位ユニット７９００が変位部材５４３０と当接して変位ユニット７９００の変位が規制された状態では、変位部材５４３０を駆動する駆動モータ４４１への電力の供給を遮断することができるので、その分、消費エネルギーを少なくすることができる。
【０６００】
次いで、図６９から図７５を参照して第８実施形態における上下変位ユニット８４００について説明する。上記第５実施形態では、変位部材５４３０により回転ユニット５５００が回転しないように規制する場合を説明したが、第８実施形態では、変位部材５４３０により、変位ユニット８９００が変位する距離が規制される。なお、上記各実施形態と同一の部分には同一の符号を付してその詳しい説明を省略する。
【０６０１】
初めに、図６９から図７１を参照して、第８実施形態における上下変位ユニット８４００の全体構成について説明する。図６９（ａ）は、第８実施形態における上下変位ユニット８４００の正面図であり、図６９（ｂ）は、上下変位ユニット８４００の斜視正面図である。図７０（ａ）は、ベースユニット８９５０の正面図であり、図７０（ｂ）は、図７０（ａ）のＬＸＸｂ−ＬＸＸｂ線におけるベースユニット８９５０の断面図である。図７１は、ベースユニット８９５０の分解斜視正面図である。
【０６０２】
図６９から図７１に示すように、第８実施形態における上下変位ユニット８４００の装飾部材８４５０は、第５実施形態と同様に左右両端に配設される変位部材５４３０により支持されており、その変位部材５４３０を回転変位させることで、装飾部材８４５０が第１〜第３位置に変位される。なお、変位部材５４３０を変位させる構成としては、第５実施形態と同一であるため、その説明は省略する。また、第８実施形態の変位部材５４３０は、第５実施形態の変位部材５４３０よりも一側（連結軸５４３５側）に長く形成されており、これにより、後述する変位ユニット８９００の変位を規制できる。
【０６０３】
装飾部材８４５０は、後述する変位ユニット８９００が配設されるベースユニット８９５０と、そのベースユニット８９５０の両端に連結される一対の正面ベース８４５２と、その正面ベース８４５２の左右方向外側端部に連結される摺動部４５１（図示しない）と、を主に備える。
【０６０４】
正面ベース８４５２は、正面視矩形に形成されると共に、左右方向（矢印Ｌ−Ｒ方向）略中間位置で分割され装飾部材の左右に一対に配設される。また、正面ベース８４５２は、左右方向（矢印Ｌ−Ｒ方向）に長い長穴に形成される摺動溝５４５２ｊと、左右方向中央側の背面に後述するベースユニット８９５０を締結固定するための凹設部（図示しない）が凹設される。
【０６０５】
ベースユニット８９５０は、内部に配設される変位ユニット８９００を摺動するための空間を形成するための部材であり、上方（矢印Ｕ方向）に配設され下方（矢印Ｄ方向）が開放する箱状に形成される上方ベース部材８９６０と、その上方ベース部材８９６０の下方に配設され上方が開放する箱状に形成される下方ベース部材８９７０とを上下方向に組み合わせて形成される。
【０６０６】
上方ベース部材８９６０は、上面視横長矩形に形成され、その長手方向の寸法が一対の正面ベース８４５２の対向間の距離寸法と略同一に設定される。また、上方ベース部材８９６０は、長手方向両端の背面側（矢印Ｂ方向側）端部から長手方向に突出する壁部８９６１と、正面側（矢印Ｆ方向側）の下方ベース部材８９７０との対向部分に凹欠された凹欠部８９６２と、上方ベース部材８９６０の背面側に配設される駆動モータ８９６３と、を主に備える。
【０６０７】
壁部８９６１は、前後方向に開口するネジ穴８９６１ａを備える。壁部８９６１は、ネジ穴８９６１ａを介してネジを正面ベース８４５２に螺合させることで、上方ベース部材８９６０を正面ベース８４５２に締結固定できる。
【０６０８】
凹欠部８９６２は、ベースユニット８９５０の内部に挿入される変位ユニット８９００の一部をベースユニット８９５０の正面側（矢印Ｆ側）に突出させる開口を形成するための切欠きである。また、凹欠部８９６２は、変位ユニット８９００が連通される部分よりも左右方向に大きく凹欠される。これにより、ベースユニット８９５０の内側に配置されて左右方向に変位される変位ユニット８９００が凹欠部８９６２の内縁に当接することを抑制できる。
【０６０９】
駆動モータ８９６３は、上方ベース部材８９６０の背面側に配設されると共に、その回転軸が上方ベース部材８９６０の背面側に形成される開口を介して上方ベース部材８９６０の内側に挿入される。また、駆動モータ８９６３の回転軸には、後述する変位ユニット８９００のスライドユニット８９３０に駆動を伝達する伝達ギヤ８９６４が配設される。
【０６１０】
下方ベース部材８９７０は、上面視における形状が上述した上方ベース部材８９６０と略同一の外形に形成される。下方ベース部材８９７０は、その下方ベース部材８９７０の長手方向両端の背面側端部から下方ベース部材８９７０の長手方向に突出する壁部８９６１と、上方ベース部材８９６０に形成される凹欠部８９６２と対向する位置に凹欠される凹欠部８９６２と、箱状に形成される内側底面に下方ベース部材８９７０の長手方向に沿って凹設される凹溝８９７３と、を主に備える。
【０６１１】
凹溝８９７３は、後述する変位ユニット８９００のスライドユニット８９３０のスライド変位を案内する部分あり、この凹溝８９７３に後述する変位ユニット８９００のローラ部材８９３３が挿入されることで、変位ユニット８９００のスライド変位方向が規定される。
【０６１２】
従って、後述する変位ユニット８９００は、上方ベース部材８９６０及び下方ベース部材８９７０のそれぞれに形成される凹欠部８９６２で形成される空間を介して、変位ユニット８９００の一部がベースユニット８９５０の外方に配設された状態とされる。
【０６１３】
変位ユニット８９００は、ベースユニット８９５０の内側に配置され、左右方向にスライド変位するスライドユニット８９３０と、そのスライドユニット８９３０に配設されると共にスライドユニット８９３０に対して回転可能とされる回転ユニット８９４０と、を主に備える。
【０６１４】
スライドユニット８９３０は、上下に２分割して形成される一対の本体部材８９３１と、その本体部材８９３１に配設されると共にベースユニット８９５０に配設される駆動モータ８９６３の回転軸に配設される伝達ギヤ８９６４と歯合するラック８９３２と、本体部材８９３１に回転可能に配設されると共に、その一部の外周面を本体部の外方に突出した状態で配設されるローラ部材８９３３と、そのローラ部材８９３３を間に挟んで本体部材８９３１の反対側に配設される保持部材８９３４と、を主に備える。
【０６１５】
一対の本体部材８９３１は、上下対称に配設されており、正面側の対向面から凹設される凹部８９３１ａと、その凹部８９３１ａに穿設される軸孔８９３１ｂと、対向方向外側の背面にスライドユニット８９３０のスライド方向に沿って凹設される被配設部８９３１ｃと、を主に備える。
【０６１６】
凹部８９３１ａは、一対の本体部材８９３１を組み合わせた際に、後述する回転ユニット８９４０を配設するための空間を形成するための凹みであり、回転ユニット８９４０の最大回転範囲に沿った内縁形状とされる。
【０６１７】
軸孔８９３１ｂは、回転ユニット８９４０を軸支する軸部８９４５が挿入される円形の穴であり、上下方向（矢印Ｕ−Ｄ方向）に穿設される。これにより、軸部８９４５を回転ユニット８９４０に挿通した状態で、その軸部８９４５の両端部を一対の本体部材８９３１のそれぞれの軸孔８９３１ｂに挿入することで、本体部材８９３１に回転ユニット８９４０を回転可能な状態で配設できる。
【０６１８】
被配設部８９３１ｃは、ラック８９３２又は保持部材８９３４を配設する部分であり、一対に形成される本体部材８９３１のうち上方側の本体部材８９３１にはラック８９３２が配設され、一対に形成される本体部材８９３１のうち下方側の本体部材８９３１には、保持部材８９３４が配設される。
【０６１９】
ラック８９３２は、上述したように駆動モータ８９６３から伝達される駆動により変位される部分であり、上面側にギアの歯面を備えると共にその歯が、伝達ギヤ８９６４に歯合される。これにより、駆動モータ８９６３から伝達される駆動によりラック８９３２が変位できる。また、ラック８９３２は、本体部材８９３１に締結されており、ラック８９３２を変位させることで、スライドユニット全体をスライド変位することができる。
【０６２０】
保持部材８９３４は、その保持部材８９３４及び本体部材８９３１の対向間に円環形状のローラ部材８９３３を軸支した状態で本体部材８９３１に配設される。また、ローラ部材８９３３は、その外周面の一部が正面視における本体部材８９３１の下方側（矢印Ｄ方向側）から突出した状態で配設される。ローラ部材８９３３の径方向への本体部材８９３１からの最大の突出距離は、下方ベース部材８９７０の凹溝８９７３の下方への凹設寸法よりも大きく設定される。これにより、凹溝８９７３にローラ部材８９３３を挿入した際に、ローラ部材８９３３の外周面に凹溝８９７３の凹設底面を当接させることができる。その結果、スライドユニット８９３０がスライド変位される際にローラ部材８９３３を回転させることで、スライドユニット８９３０をスライド変位する際の抵抗を小さくすることができる。
【０６２１】
回転ユニット８９４０は、正面視矩形に形成される表示部８９４１と、その表示面の背面側から突出すると被軸支部８９４２と、その被軸支部８９４２に挿通される円柱状の軸部材８９４３と、を主に備える。
【０６２２】
表示部８９４１は、正面側（矢印Ｆ方向側）の一面に模様やキャラクターの絵が描かれ、その模様やキャラクターを遊技者に視認させることができる。
【０６２３】
被軸支部８９４２は、上述したスライドユニット８９３０に支持される部分であり、スライドユニット８９３０の一対の凹部８９３１ａにより形成される空間に突出先端が配設される。また、被軸支部８９４２は、突出先端部に上下方向（矢印Ｕ−Ｄ方向）に貫通する貫通孔８９４２ａを備える。その貫通孔８９４２ａに軸部材８９４３が挿入されると共に、貫通孔８９４２ａから突出する軸部材８９４３が凹部８９３１ａに形成される軸孔８９３１ｂに挿入される。これにより、回転ユニット８９４０は、スライドユニット８９３０に対して回転可能な状態とされる。
【０６２４】
また、被軸支部８９４２と凹部８９３１ａとの連結部分には、図示しないねじりばねが装着される。そのねじりばねの付勢力により回転ユニット８９４０は、外部からの力が作用されていない状態では、表示部８９４１に描かれる模様やキャラクターを正面側に向けた姿勢を維持した状態とされる。
【０６２５】
次いで、図７２から図７５を参照して、スライドユニット８９３０及び回転ユニット８９４０の変位について説明する。図７２（ａ）は、上下変位ユニット８４００の正面図であり、図７２（ｂ）は、図７２（ａ）のＬＸＸＩＩｂ−ＬＸＸＩＩｂ線における上下変位ユニット８４００の断面図である。図７３（ａ）及び図７３（ｂ）は、上下変位ユニット８４００の断面図である。図７４（ａ）は、上下変位ユニット８４００の正面図であり、図７４（ｂ）は、図７４（ａ）のＬＸＸＩＶｂ−ＬＸＸＩＶｂ線における上下変位ユニット８４００の断面図である。図７５（ａ）及び図７５（ｂ）は、上下変位ユニット８４００の断面図である。
【０６２６】
なお、図７２及び図７３では、装飾部材８４５０が第１位置に配置された状態が図示され、図７４及び図７５では、装飾部材８４５０が第２位置に配置された状態が図示される。また、図７３（ａ）では、図７２（ｂ）に示すスライドユニット８９３０を左側にスライド移動した状態が図示され、図７３（ｂ）では、図７２（ｂ）に示すスライドユニット８９３０を右側にスライド移動した状態が図示される。さらに、図７５（ａ）では、図７４（ｂ）に示すスライドユニット８９３０を左側にスライド移動した状態が図示され、図７５（ｂ）では、図７４（ｂ）に示すスライドユニット８９３０を右側にスライド移動した状態が図示される。
【０６２７】
初めに、図７２及び図７３を参照して、装飾部材８４５０が第１位置に配置された状態で、スライドユニット８９３０を変位させる場合について説明する。なお、装飾部材８４５０が、第３位置に配置される場合は、第１位置に配置された状態と同一であるためその詳しい説明は省略する。
【０６２８】
図７２及び図７３に示すように、装飾部材８４５０が第１位置に配置された状態とされる場合には、変位部材５４３０の一側の端部が、回転ユニット８９４０よりも上方に配置される。また、図７２（ｂ）に示すように、スライドユニット８９３０がベースユニット８９５０の内部空間の左右方向（矢印Ｌ−Ｒ方向）の略中間位置に配置される場合には、スライドユニット８９３０の左右両方向に空間が形成され、その空間の分、スライドユニット８９３０を左右方向に変位させることができる。
【０６２９】
なお、ベースユニット８９５０の一対の凹欠部８９６２により形成される開口の左右方向の幅寸法Ｌ２（図７４（ｂ）参照）は、スライドユニット８９３０の左右方向へのスライド可能な最大距離寸法Ｌ３（図７４（ｂ）参照）の略２倍に設定される。これにより、スライドユニット８９３０を左右方向に変位させた場合に、凹欠部８９６２の内縁に回転ユニット８９４０の被軸支部８９４２を当接させることができる。その結果、スライドユニット８９３０のスライド変位が停止された後に、その停止による完成力で回転ユニット８９４０の表示部８９４１がスライドユニット８９３０のスライド方向に回転されることを抑制でき、表示部８９４１の表示面を遊技者側に向けた姿勢とすることができる。
【０６３０】
次いで、図７４及び図７５を参照して、装飾部材８４５０が第２位置に配置された状態で、スライドユニット８９３０を変位させる場合について説明する。
【０６３１】
図７４及び図７５に示すように、装飾部材８４５０が、第２位置に配置された状態とされる場合には、変位部材５４３０の一側の端部が回転ユニット８９４０の被軸支部８９４２の上下方向高さと略同一の位置に配置される。また、一対の変位部材５４３０の一側の端部の間の距離寸法Ｌ１（図７４（ｂ）参照）は、ベースユニット８９５０の一対の凹欠部８９６２により形成される開口の左右方向の幅寸法Ｌ２（図７４（ｂ）参照）よりも小さくされる。さらに、一対の変位部材５４３０の一側の端部は、一対の凹欠部８９６２により形成される開口の左右の両端部の内側に配置される。
【０６３２】
また、スライドユニット８９３０の左右方向へのスライド可能な最大距離寸法Ｌ３（図７４（ｂ）参照）は、一対の変位部材５４３０及び回転ユニット８９４０の左右方向における対向間寸法Ｌ４よりも大きく設定される。これにより、スライドユニット８９３０が左右方向に変位された場合に、変位部材５４３０の一側の端部に回転ユニット８９４０を当接させることができる。
【０６３３】
図７５（ａ）及び図７５（ｂ）に示すように、スライドユニット８９３０を左右両方向に変位させた場合には、回転ユニット８９４０の被軸支部８９４２が、変位部材５４３０の一側の端部に当接して、回転ユニット８９４０が貫通孔８９４２ａを中心に回転変位される。この場合、回転ユニット８９４０は、スライドユニット８９３０のスライド方向と反対の方向に表示部８９４１が回転変位される。
【０６３４】
この場合、変位部材５４３０の一側端部の間の距離寸法Ｌ１は、装飾部材８４５０が第２位置に変位されることに伴って小さくされる。従って、スライドユニット８９３０のスライド変位による回転ユニット８９４０の回転角度を、装飾部材８４５０の配置により変化させることができる。
【０６３５】
よって、パチンコ機１０が配置される店舗において、パチンコ機１０の隣に配置されるパチンコ機を遊技する遊技者がパチンコ機１０の斜め前方からパチンコ機１０を視認した場合に、その遊技者に表示部８９４１に表示される模様やキャラクターを視認させにくくできる。その結果、パチンコ機１０を遊技する遊技者の興趣が阻害されることを抑制できる。なお、この場合、表示部８９４１には、表示される模様やキャラクターを変更できる液晶装置が配設されることが好ましい。これによれば、スライドユニット８９３０をスライド変位させた際の表示と、スライドユニット８９３０の変位を戻した際の表示とを切り替えることで、隣りのパチンコ機を遊技する遊技者に表示部８９４１に表示される模様やキャラクターがスライドユニット８９３０の変位を戻した際に視認されることを抑制できる。その結果、パチンコ機１０を遊技する遊技者の興趣が阻害されることを抑制できる。
【０６３６】
また、回転ユニット８９４０の回転角度の変更を装飾部材８４５０を変位させる変位部材５４３０で行うことができる。従って、変位部材５４３０に、装飾部材８４５０を変位させる役割と、回転ユニット８９４０の回転を規制する役割とを兼用させることができるので、部品点数を削減することができる。
【０６３７】
なお、表示部８９４１には、液晶装置でなく、視認角度を変更することで、表示態様を変化させることができるレンチキュラー等を配設してもよい。この場合、パチンコ機１０をスライド変位させた際に、遊技者に視認させる表示と、パチンコ機１０の隣のパチンコ機を遊技する遊技者が表示部８９４１を視認するの表示とを異なる態様とすることができる。よって、パチンコ機１０の正常な表示をパチンコ機１０を遊技する遊技者以外に視認させにくくできる。その結果、パチンコ機１０を遊技する遊技者の興趣が阻害されることを抑制できる。また、レンチキュラーだけでなく、レンチキュラーのように視認角度を変更することで、表示態様を変更できる液晶装置を表示部８９４１に配置してもよい。この場合、表示部８９４１に表示される映像を変更することができるので、隣りのパチンコ機を遊技する遊技者に表示部８９４１に表示される模様やキャラクターを視認させにくくできる。
【０６３８】
さらに、装飾部材８４５０が第２位置に配置されると、変位部材５４３０の一側の端部および変位部材５４３０の回転軸を結ぶ方向が、スライドユニット８９３０のスライド方向（矢印Ｌ−Ｒ）方向と平行とされる。これにより、スライドユニット８９３０がスライド変位して、本体部材８９３１が変位部材５４３０の一側端部に当接した場合に、変位部材５４３０が回転変位することを抑制できる。
【０６３９】
ここで、回転ユニット８９４０は、背面側へ変位する表示部８９４１の端部が変位部材５４３０の前後方向（矢印Ｆ−Ｂ方向）と同一の位置（左右方向（矢印Ｌ−Ｒ方向に重なる位置））に回転角度が設定される。よって、スライドユニット８９３０のスライド変位により回転ユニット８９４０が変位部材５４３０と当接して回転される場合に、スライドユニット８９３０が反対の方向にスライド変位されると、表示部８９４１の背面側に変位された左右方向における端部が左右方向反対側に配設される変位部材５４３０の一側端部に当接して、変位部材５４３０と表示部８９４１とがかみ合ってしまい、スライドユニット８９３０の変位が規制される恐れがある。
【０６４０】
これに対し、第８実施形態では、回転ユニット８９４０は、背面側へ変位する表示部８９４１の端部が変位部材５４３０の前方（矢印Ｆ方向）の端部を含む前後方向位置に回転角度が設定される。これにより、スライドユニット８９３０の変位が繰り返されて、表示部８９４１の左右方向の端部が変位部材５４３０の一側の端部と当接した場合に、表示部８９４１の表示面を正面側に向ける方向に衝突された際の力を作用させることができる。その結果、変位部材５４３０と表示部８９４１とがかみ合うことを抑制でき、スライドユニット８９３０の変位が規制されることを抑制できる。
【０６４１】
次いで、図７６から図８１を参照して、第９実施形態における上下変位ユニット９４００について説明する。なお、上記第５実施形態では、回転ユニット５５００の回転の規制を回転変位する変位部材５４３０で行う場合を説明したが、第９実施形態では、回転ユニット９８４０の変位の規制を直線変位するラックで行う場合について説明する。
【０６４２】
初めに、図７６から図７９を参照して、上下変位ユニット９４００の全体構成について説明する。図７６（ａ）は、第９実施形態における上下変位ユニット９４００の正面図であり、図７６（ｂ）は、上下変位ユニット９４００の斜視正面図である。図７７は、上下変位ユニット９４００の分解斜視正面図である。図７８は、スライドユニット９９３０の分解斜視正面図である。図７９は、上下変位ユニット９４００の側面図である。
【０６４３】
なお、第９実施形態では、スライドユニット９９３０が最下方（矢印Ｄ方向）に配置された状態を第１位置として、スライドユニット９９３０が最上方（矢印Ｕ方向）に配置された状態を第２位置として説明する。また、図７９では、正面視において右側（矢印Ｒ方向側）に配設されるベースユニット９９５０及び正面視において右側に配設される本体部９９３１が透明視されて図示される。
【０６４４】
図７６から図７９に示すように、第９実施形態における上下変位ユニット９４００は、左右方向（矢印Ｌ−Ｒ方向）の両端に一対配設されるベースユニット９９５０と、その一対のベースユニット９９５０の対向間に配設される変位部材９４３０及びスライドユニット９９３０と、そのスライドユニット９９３０に連結される回転ユニット９９４０と、を主に備える。
【０６４５】
一対のベースユニット９９５０は、一面が開放される箱形状に形成され、その開放面を対向させた状態で配設され、その内部空間に、後述する変位部材９４３０、スライドユニット９９３０及び回転ユニット９９４０が配設される。また、ベースユニット９９５０は、その内側の対向面に対向方向に突出する２本の第１突起９９５１と、その第１突起９９５１よりも突出距離が短い２本の第２突起９９５２と、第１突起９９５１の前後方向（矢印Ｆ−Ｂ方向）の両隣に立設される立設部９９５３と、駆動モータ９９５４の回転軸に連結される伝達ギヤ９９５５を挿通する挿通孔９９５６と、を主に備える。
【０６４６】
第１突起９９５１は、後述する変位部材９４３０の摺動溝９４３０ａに挿入されており、変位部材９４３０が変位される際に変位部材９４３０を案内することができる。また、第１突起９９５１が挿入される変位部材９４３０は、左右方向（矢印Ｌ−Ｒ方向）の両端が一対のベースユニット９９５０の立設部９９５３の対向間に配設されており、左右方向への変位が規制された状態で一対のベースユニット９９５０の対向間に配設される。
【０６４７】
なお、立設部９９５３は、第１突起９９５１の前後方向両側に配設されるので、前後方向において、変位部材９４３０が左右方向に傾斜することを抑制できる。また、立設部９９５３は、変位部材９４３０のスライド方向（上下方向）に延設されており、変位部材９４３０がスライド変位した際にも、変位部材９４３０の左右方向への変位を規制できる。
【０６４８】
第２突起９９５２は、後述するスライドユニット９９３０の摺動溝９９３１ｃに挿入されており、スライドユニット９９３０がスライド変位される際にスライドユニット９９３０を案内することができる。
【０６４９】
変位部材９４３０は、側面視縦長矩形の板状に形成され、正面側の一面にギヤの歯面の第２歯面９４３０ｂと、背面側の一面にギヤの歯面の第１歯面９４３０ｃと、左右方向に貫通されると共に上下方向に長い長穴の摺動溝９４３０ａと、上側の一面から上方に突出する突出部９４３０ｄと、を主に備える。
【０６５０】
摺動溝９４３０ａは、上下方向に所定の距離離間する位置に２箇所に形成されており、それぞれの摺動溝９４３０ａに上述した第１突起９９５１が挿入された状態で配設される。また、摺動溝９４３０ａの上下方向の開口寸法は、変位部材９４３０の変位距離と略同一または若干大きく形成される。
【０６５１】
第１歯面９４３０ｃは、上下方向（矢印Ｕ−Ｄ方向）に延設される。また、第１歯面９４３０ｃは、駆動モータ９９５４の回転軸に連結される伝達ギヤ９９５５に歯合する歯面であり、駆動モータ９９５４の駆動を伝達ギヤ９９５５を介して第１歯面９４３０ｃに伝達することができる。これにより、駆動モータ９９５４の回転で、変位部材９４３０が上下方向に変位される。
【０６５２】
第２歯面９４３０ｂは、スライド側伝達ギヤ９９８０及びスライドユニット９９３０の回転側伝達ギヤ９９３５に歯合されており、駆動モータ９９５４により変位部材９４３０が変位されることで、スライド側伝達ギヤ９９８０及び回転側伝達ギヤ９９３５の両者が回転される。これにより、変位部材９４３０をスライド変位させることで、スライドユニット９９３０を上下方向にスライド変位させることができると共に、回転ユニット９９４０を回転変位させることができる。なお、スライドユニット９９３０及び回転ユニット９９４０の変位についての詳しい説明は後述する。
【０６５３】
突出部９４３０ｄは、回転ユニット９９４０に凹設される被挿入部９９４１ａに挿入される突起であり、スライドユニット９９３０が第１位置に配置される場合に被挿入部９９４１ａに挿入された状態で配設される。
【０６５４】
スライドユニット９９３０は、一対の本体部９９３１と、その本体部の対向間に配設される回転側伝達ギヤ９９３５と、その回転側伝達ギヤ９９３５に歯合する介設ギヤ９９３６と、その介設ギヤ９９３６に歯合する摺動ギヤ９９３７と、スライド側伝達ギヤ９９８０に歯合するラック９９３８と、を主に備える。
【０６５５】
本体部９９３１は、左右方向（矢印Ｌ−Ｒ方向）に一対配置されると共に、対向間に所定の空間を備えた状態で一対が連結される。また、一対の本体部９９３１の対向方向内側には、複数の突起が形成されており、その複数の突起に回転側伝達ギヤ９９３５介設ギヤ９９３６と、その介設ギヤ９９３及び摺動ギヤ９９３７が軸支される。さらに、本体部９９３１は、左右方向に開口すると共に上下方向に長い長穴の摺動溝９９３１ｃを備える。摺動溝９９３１ｃは、上述したようにベースユニット９９５０の第２突起９９５２が挿入されることで、スライドユニット９９３０が案内される。
【０６５６】
ギヤ列９９３５〜９９３７は、上述した変位部材９４３０が変位した際に、回転ユニット９９４０に駆動を伝達するギヤ列であり、回転側伝達ギヤ９９３５が変位部材９４３０の第２歯面９４３０ｂに歯合されると共に、摺動ギヤ９９３７が回転ユニット９９４０に歯合される。
【０６５７】
また、摺動ギヤ９９３７は、一部に小径に形成される歯面の小径歯部９９３７ａと、その小径歯部９９３７ａの周方向隣に一部歯面の形成をなくした摺動面９９３７ｂとを備える。なお、小径歯部９９３７ａ及び摺動ギヤ９９３７についての詳しい説明は後述する。
【０６５８】
ラック９９３８は、背面側の一面にスライド側伝達ギヤ９９８０に歯合する歯面９９３８ａを備え、本体部９９３１に締結固定される。また、歯面９９３８ａは、本体部９９３１の対向間から突出した位置に配置される。これにより、変位部材９４３０が変位した場合に、本体部９９３１が変位部材９４３０に当接することを抑制できる。
【０６５９】
回転ユニット９９４０は、側面視湾曲形状に形成され内周面をベースユニット９９５０に向けて配設される表示部９９４１と、その表示部９９４１の内周面からベースユニット９９５０側に突出する被軸支部９９４２と、を主に備える。
【０６６０】
表示部９９４１は、外周側に模様やキャラクターが描かれ、内周側に変位部材９４３０の突出部９４３０ｄが挿入される被挿入部９９４１ａが凹設される。上述したように、スライドユニット９９３０が第１位置に配置される場合に、突出部９４３０ｄが被挿入部９９４１ａに挿入されることで、回転ユニット９９４０の回転が規制される。
【０６６１】
被軸支部９９４２は、突出先端側に左右方向に貫通する貫通孔９９４２ａと、突出先端部に貫通孔９９４２ａの中心を軸とする湾曲状のギヤの歯面の湾曲歯面９９４２ｂと、を備える。
【０６６２】
貫通孔９９４２ａは、一対の本体部９９３１の対向方向に突出する突起が挿入された状態でスライドユニット９９３０に配設される。貫通孔９９４２ａが本体部９９３１の突起に軸支されることで、回転ユニット９９４０はスライドユニット９９３０に対して回転可能な状態でスライドユニット９９３０に連結される。
【０６６３】
湾曲歯面９９４２ｂは、摺動ギヤ９９３７に歯合される部分であり、摺動ギヤ９９３７が回転されることで回転ユニット９９４０がスライドユニット９９３０に対して回転される。また、湾曲歯面９９４２ｂは、一部に大径に形成される歯面の大径歯部９９４２ｂ１を備える。
【０６６４】
大径歯部９９４２ｂ１は、スライドユニット９９３０が第１位置に配置される状態では、先端が摺動面９９３７ｂの小径歯部９９３７ａと連結側と周方向反対側の端部に位置される。これにより、摺動ギヤ９９３７の回転初期には、湾曲歯面９９４２ｂと摺動ギヤ９９３７とが歯合されない状態とすることができ、スライドユニット９９３０の始動タイミングと、回転ユニット９９４０の始動タイミングとをずらすことができる。
【０６６５】
次いで、図７９から図８１を参照して、上下変位ユニット９４００の変位について説明する。図８０及び図８１は、上下変位ユニット９４００の側面図である。なお、図７９から図８１は、第１位置から第２位置にスライドユニット９９３０が変位する遷移状態が順に図示される。図７９では、スライドユニット９９３０が第１位置に配置された状態が、図８１では、スライドユニット９９３０が第２位置に配置された状態が、図８０では、第１位置に配置されたスライドユニット９９３０が少し変位された状態が、それぞれ図示される。また、図８０及び図８１では、正面視において右側（矢印Ｒ方向側）に配設されるベースユニット９９５０及び正面視において右側に配設される本体部９９３１が透明視されて図示される。
【０６６６】
図７９に示すように、スライドユニット９９３０が第１位置に配置されると、変位部材９４３０の突出部９４３０ｄが、被挿入部９９４１ａに挿入された状態とされ、変位部材９４３０が、下方（矢印Ｄ方向）に変位することで、変位部材９４３０と回転ユニット９９４０との規制が解除される。
【０６６７】
ここで、上述したように、第９実施形態では、駆動モータ９９５４の駆動が、変位部材９４３０を介して、その駆動がスライドユニット９９３０をスライド変位させるスライド側伝達ギヤ９９８０及び回転ユニット９９４０を回転変位させる摺動ギヤ９９３７に伝達される。従って、変位部材９４３０のスライド変位と回転ユニット９９４０の回転変位とを同じタイミングで行っては、被挿入部９９４１ａから突出部９４３０ｄが抜け出る前に、回転ユニット９９４０が回転して、被挿入部９９４１ａから突出部９４３０ｄが抜け出なくなるという問題点があった。
【０６６８】
これに対して、本実施形態では、湾曲歯面９９４２ｂは、一部に大径に形成される歯面の大径歯部９９４２ｂ１を備え、第１位置に配置される状態では、先端が摺動面９９３７ｂの小径歯部９９３７ａと連結側と周方向反対側の端部に位置されるので、図８０に示すように、変位部材９４３０の変位初期では、摺動ギヤ９９３７の摺動面に回転ユニット９９４０の大径歯部９９４２ｂ１を摺動させることで、回転ユニット９９４０及び摺動ギヤ９９３７との歯合を解除できる。よって、変位部材９４３０が変位する場合には、回転ユニット９９４０よりも先に変位部材９４３０を変位させることができる。その結果、被挿入部９９４１ａから突出部９４３０ｄが抜け出なくなることを抑制できる。
【０６６９】
また、摺動ギヤ９９３７には小径歯部９９３７ａが形成され、湾曲歯面９９４２ｂには、大径歯部９９４２ｂ１が形成されるので、摺動面９９３７ｂを摺動させた後に、摺動ギヤ９９３７と湾曲歯面９９４２ｂとがかみ合って動かなくなるまたは歯合の位置がずれることを抑制できる。
【０６７０】
図８１に示すように、スライドユニット９９３０が第２位置に配置される場合には、スライドユニット９９３０を第２位置に変位させる変位部材９４３０の変位に伴って、回転ユニット９９４０の表示部９９４１が正面側に回転させることができる。
【０６７１】
なお、第９実施形態では、上下変位ユニット９４００は、遊技盤１３の背面側であって、センタフレーム６００の開口の下側に配置され、スライドユニット９９３０が第１位置に配置される場合に、遊技者はセンタフレーム６００の前方斜め上から表示部９９４１を視認することで、表示部９９４１の全域を視認することができる。一方、スライドユニット９９３０が第２位置に変位する場合には、表示部９９４１がセンタフレーム６００の内側に変位されると共に、表示部９９４１の表示面が倒立される。これにより、センタフレーム６００の内側に配置される表示部９９４１を遊技者に視認させやすくできる。即ち、第９実施形態では、スライドユニット９９３０と回転ユニット９９４０とを同期させることで、表示部９９４１を、遊技者から視認しやすい位置に配置することができる。
【０６７２】
次いで、図８２から図８３を参照して第１０実施形態における上下変位ユニット１０４００について説明する。上記第５実施形態では、回転ユニット５５００に凹設される凹部５５１４の内側に変位部材５４３０の一側端部を挿入する場合について説明したが、第１０実施形態では、装飾部材１０４５０の変位に伴って回転する突起１０４５９ａが回転ユニット１０５００の側壁１０５１５に当接して配置される。なお、上記各実施形態と同一の部分には同一の符号を付してその詳しい説明を省略する。
【０６７３】
初めに、図８２を参照して第１０実施形態における上下変位ユニット１０４００の全体構成について説明する。図８２（ａ）は、第１０実施形態における上下変位ユニット１０４００の正面図であり、図８２（ｂ）は、上下変位ユニット１０４００の背面図である。なお、図８２（ａ）では、正面カバー５４６０が透明視されて図示され、図８２（ｂ）では、装飾部材１０４５０の背面ベース５４５３の図示が省略される。
【０６７４】
図８２に示すように、第１０実施形態における上下変位ユニット１０４００は、箱状に形成される正面ベース１０４１０と、その正面ベース５４１０の正面側（矢印Ｆ方向側）に重ね合される正面カバー５４６０と、正面ベース１０４１０の背面側に配設される駆動モータ４４１と、正面ベース１０４１０および正面カバー５４６０の対向間に軸支されて配設されると共に駆動モータ４４１の駆動力により回転される変位部材１０４３０と、その変位部材１０４３０の一側に連結されて変位部材１０４３０の回転に伴って上下方向（矢印Ｕ−Ｄ方向）に変位される装飾部材１０４５０と、その装飾部材１０４５０に挿入されると共に、正面ベース１０４１０及び正面カバー５４６０の対向間に配設される案内棒Ｐ１とを主に備える。
【０６７５】
正面ベース１０４１０は、上下方向（矢印Ｕ−Ｄ方向）に延設される第１片１０４１０Ｘと、その第１片１０４１０Ｘの上下方向略中間位置から左右方向において一対に配設される第１片１０４１０Ｘの対向方向外側に向かって膨出する第２片５４１０Ｙと、を備える。
【０６７６】
第１片１０４１０Ｘは、上端側に断面円弧上に凹設される上側凹溝４１３と、下端がわに断面円弧上に凹設される下側凹溝４１４と、回転ユニット１０５００から遠方側（矢印Ｌ方向）の縁部に沿って正面カバー５４６０側（矢印Ｆ方向側）に立設される立設部５４１２と、一対の第１片１０４１０Ｘが対向する対向面側に配設されるラック部材１０４４４と、を備える。
【０６７７】
ラック部材１０４４４は、正面視において、第１片１０４１０Ｘの延設方向に長い矩形状に形成され、一対の第１片１０４１０Ｘが対向する側の対向面にギヤの歯面１０４４ａが刻設される。歯面１０４４４ａは、一対の第１片１０４１０Ｘの対向する側の側面から突出した状態で第１片１０４１０Ｘ（正面ベース１０４１０）に配設される。
【０６７８】
装飾部材１０４５０は、正面視横長矩形状に形成され、長手方向中央部分を構成する正面ベース１０４５２と、その正面ベース１０４５２の左右方向両端部に連結される摺動部４５１と、正面ベース１０４５２の背面を覆設する背面ベース４５３（図示しない）と、正面ベース１０４５２の正面側に回転可能な状態で配設される回転ユニット１０５００と、長手方向の両端に複数（本実施形態では３個）のギヤ１０４５４〜１０４５６と、を備える。
【０６７９】
回転ユニット１０５００は、その回転ユニット１０５００の上方側の側面を形成する上面ベース１０５１０と、上面ベース１０５１０の下方に配設される照射ユニット５３０（図２８参照）と、その照射ユニット５３０の下方に配設される中間部材１０５４０と、その中間部材５４０の下方に配設される反射板５６０（図２８参照）と、反射板５６０の前方に配設される正面カバー５５０（図２８参照）と、上面ベース５１０と下面ベース５５２０との背面側に配設される回転伝達ユニット５７０（図２８参照）と、回転ユニット１０５００の下方側の側面を形成する下面ベース１０５２０と、を主に備えて形成される。
【０６８０】
また、回転ユニット１０５００は、正面視において一方が長い矩形状に構成されており、外面を構成する上面ベース１０５１０、中間部材１０５４０及び下面ベース１０５２０の回転ユニット１０５００の長手方向両端部に回転ユニット１０５００の長手方向に対して垂直な面の側壁１０５１５が形成される。
【０６８１】
なお、回転ユニット１０５００は、上記第１実施形態と同様に、照射ユニット５３０から照射される光の残像により演出を行うバーサライタとして構成されており、上記第１実施形態と同様に、回転伝達ユニット５７０の背面ベース５７１のギヤ５７１ａ１の中心を軸として回転変位される。
【０６８２】
また、回転ユニット１０５００の重心は、回転軸Ｏ上に設定されており、回転ユニット１０５００の長手方向が水平とされた姿勢とされる場合に、回転ユニット１０５００が自重によって回転軸Ｏを中心に回転することが抑制される。
【０６８３】
正面ベース１０４５２は、第１実施形態における正面ベース４５２と同様に正面視横矩形状の板状体から形成されると共に、上下の両端部が背面側に屈曲する断面コ字状に形成される。正面ベース１０５４２は、装飾部材５４５０の長手方向に長い長穴に形成される摺動溝５４５２ｊと、前後方向（矢印Ｆ−Ｂ方向）に伸びる直線を中心として円弧状に開口される第２摺動溝１０４５２ｍと、を主に備える。
【０６８４】
第２摺動溝１０４５２ｍは、内側に後述するギヤ１０４５６に配設される規制部材１０４５９の突起１０４５９ａが挿通される。また、第２摺動溝１０４５２ｍは、正面視における円弧の軸が、後述するギヤ１０４５６の回転軸と同軸上に設定される。これにより、ギヤ１０４５６が回転された場合に、突起１０４５９ａが第２摺動溝１０４５２ｍの内部を摺動する。さらに、第２摺動溝１０４５２ｍは、正面視において径方向外側の内縁の一部が、初期位置に配置される回転ユニット１０５００の側壁１０５１５と接する位置に形成される。これにより、第２摺動溝１０４５２ｍの内部を摺動する突起１０４５９ａを側壁１０５１５に接した状態で配置できる。なお、第２摺動溝１０４５２ｍは、その上下方向の幅寸法が側壁１０５１５の上下方向の幅寸法よりも大きく設定されており、突起１０４５９ａを側壁１０５１５に接して配置した状態と、側壁１０５１５の上下方向外側に移動させて状態とで切り替え可能とされる。その結果、装飾部材１０４５０を上下方向に変位させた場合に、突起１０４５９ａを、側壁１０５１５に接した状態と、側壁１０５１５の上下方向外側に位置した状態とで切り替えることができ、回転ユニット１０５００の回転を規制する状態と非規制の状態とで切り替えることができる。
【０６８５】
次いで、図８３を参照して、装飾部材１０４５０が第１から第３位置に配置された状態での、突起１０４５９ａについて説明する。図８３（ａ）は、装飾部材１０４５０が第３位置に配置された状態における上下変位ユニット１０４００の背面図であり、図８３（ｂ）は、装飾部材１０４５０が第３位置に配置された状態における上下変位ユニット１０４００の正面図である。図８３（ｃ）は、装飾部材１０４５０が第２位置に配置された状態における上下変位ユニット１０４００の背面図であり、図８３（ｄ）は、装飾部材１０４５０が第２位置に配置された状態における上下変位ユニット１０４００の正面図である。図８３（ｅ）は、装飾部材１０４５０が第１位置に配置された状態における上下変位ユニット１０４００の背面図であり、図８３（ｆ）は、装飾部材１０４５０が第１位置に配置された状態における上下変位ユニット１０４００の正面図である。
【０６８６】
図８３（ａ）及び図８３（ｂ）に示すように、装飾部材１０４５０が第３位置に配置された状態では、規制部材１０４５９の突起１０４５９ａが、初期位置に配置される回転ユニット１０５００よりも上方（矢印Ｕ方向）に配置される。この場合、突起１０４５９ａは、回転ユニット１０５００の回転領域ＲＹ２（図８３（ｂ）参照）よりも外側に配置される。これにより、回転ユニット１０５００は、装飾部材１０４５０が第３位置に配置された状態において、その回転が許容される。従って、装飾部材１０４５０が第３位置に配置された場合では、回転ユニット１０５００の回転により演出を遊技者に視認させることができる。
【０６８７】
次に、図８３（ｃ）及び図８３（ｄ）に示すように、装飾部材１０４５０が第２位置に配置された状態では、規制部材１０４５９の突起１０４５９ａが初期位置に配置される回転ユニット１０５００の側壁１０５１５に接して配置される。この場合、突起１０４５９ａは、回転ユニット１０５００の回転領域ＲＹ２の内側に配置される。これにより、回転ユニット１０５００は、装飾部材１０４５０が第２位置に配置された状態において、その回転が規制される。
【０６８８】
なお、この場合、突起１０４５９ａが回転変位されるのに対して、側壁１０５１５は平面に形成されるので、突起１０４５９ａが回転されるほど側壁１０５１５との間に隙間が形成される。これにより、回転ユニット１０５００が初期位置から若干ずれた位置で停止された場合に、側壁１０５１５が突起１０４５９ａの変位軌跡上に配置されることを抑制できる。その結果、突起１０４５９ａが変位する途中で、回転ユニット１０５００に衝突して、突起１０４５９ａの変位が規制されることを抑制できる。
【０６８９】
次に、図８３（ｅ）及び図８３（ｆ）に示すように、装飾部材１０４５０が第１位置に配置された状態では、規制部材１０４５９の突起１０４５９ａが、初期位置に配置される回転ユニット１０５００よりも下方（矢印Ｄ方向）に配置される。この場合、突起１０４５９ａは、回転ユニット１０５００の回転領域ＲＹ２（図８３（ｂ）参照）よりも外側に配置される。これにより、回転ユニット１０５００は、装飾部材１０４５０が第１位置に配置された状態において、その回転が許容される。従って、装飾部材１０４５０が第１位置に配置された場合では、回転ユニット１０５００の回転により演出を遊技者に視認させることができる。
【０６９０】
次いで、図８４から図８６を参照して第１１実施形態における上下変位ユニット１１４００について説明する。上記第１０実施形態では、突起１０４５９ａが、装飾部材１０４５０の変位に連動する場合について説明したが、第１０実施形態では、突起１０４５９ａの変位に対して、連動しない場合が形成される。なお、上記各実施形態と同一の部分には同一の符号を付してその詳しい説明は省略する。
【０６９１】
初めに、図８４を参照して、第１１実施形態における上下変位ユニット１１４００の構成について説明する。図８４は、第１１実施形態における上下変位ユニット１１４００の背面図である。なお、図８４では、背面ベース４５３の図示が省略される。背面ベース４５３が透明視されて図示される。
【０６９２】
図８４に示すように、第１１実施形態における上下変位ユニット１１４００は、箱状に形成される正面ベース１０４１０と、その正面ベース５４１０の正面側（矢印Ｆ方向側）に重ね合される正面カバー５４６０と、正面ベース１０４１０の背面側に配設される駆動モータ４４１と、正面ベース１０４１０及び正面カバー５４６０の対向間に軸支されて配設されると共に駆動モータ４４１の駆動力により回転される変位部材１０４３０と、その変位部材１０４３０の一側に連結されて変位部材１０４３０の回転に伴って上下方向（矢印Ｕ−Ｄ方向）に変位される装飾部材１１４５０と、その装飾部材１１４５０に挿入されると共に、正面ベース１０４１０及び正面カバー５４６０の対向間に配設される案内棒Ｐ１と、を主に備える。
【０６９３】
装飾部材１１４５０は、正面視横長矩形に形成され、長手方向中央部分を構成する正面ベース１１４５２と、その正面ベース１１４５２の左右方向両端部に連結される摺動部４５１と、正面ベース１１４５２の背面を覆設する背面ベース４５３（図示しない）と、正面ベース１１４５２の正面側に回転可能な状態で配設される回転ユニット１０５００と、長手方向の両端に複数（本実施形態では背面視左側に３個、背面視右側に４個）のギヤ１０４５４，１０４５５，１１４５５，１１４５６と、を備える。
【０６９４】
正面ベース１１４５２は、第１実施形態における正面ベース４５２と同様に正面視横矩形状の板状体から形成されると共に、上下の両端部が背面側に屈曲する断面コ字状に形成される。また、正面ベース１１５４２は、装飾部材１１４５０の長手方向に長い長穴に形成される摺動溝５４５２ｊと、前後方向（矢印Ｆ−Ｂ方向）に伸びる直線を中心として円弧状に開口される第２摺動溝１０４５２ｍと、その第２摺動溝１０４５２ｍと繋がる円弧状に凹設される凹設部１１４５２ｎと、を主に備える。
【０６９５】
凹設部１１４５２ｎは、背面視において第２摺動溝１０４５２ｍと同軸の円弧形状に形成されると共に、周方向の両端が第２摺動溝１０４５２ｍと連結される。また、凹設部１１４５２ｎの正面側への凹設距離は、第２摺動溝１０４５２ｍに挿通される突起１０４５９ａの突出長さよりも大きく設定される。これにより、突起１０４５９ａを第２摺動溝１０４５２ｍの周方向端部を超える位置に回転させることができる。
【０６９６】
ギヤ１１４５５は、背面視右側に配置されるギヤ列にのみ配置されており、ギヤ１０４５５及びギヤ１１４５６に歯合した状態とされる。これにより、後述する背面視右側のギヤ１１４５６の回転方向を背面視において時計周りとすることができる。
【０６９７】
ギヤ１１４５６は、一方向の回転の動力のみを伝達するワンウェイクラッチ１１４５６ａ（市販のワンウェイクラッチ）が組み込まれており、そのワンウェイクラッチ１１４５６ａの内側に配置される内輪１１４５６ｂと、ワンウェイクラッチ１１４５６ａの外側に配置されると共に外周面にギヤの歯面が刻設される外輪１１４５６ｃと、を備える。これにより、ギヤ１１４５６は、ギヤ１０４５５が一方向に回転された場合に、内輪１１４５６ｂに動力を伝達することができると共に、ギヤ１１４５５が他方向に回転された場合に、内輪１１４５６ｂに動力が非伝達とされる。なお、ギヤ１１４５７の回転についての詳しい説明は後述する。
【０６９８】
内輪１１４５６ｂには、規制部材１０４５９が配設される。これにより、規制部材１１４５９の突起１０４５９ａは、ワンウェイクラッチ１１４５６ａにより内輪１１４５６ｂに動力が伝達される場合にのみ変位される。即ち、突起１０４５９ａは、一方向にのみ回転される。これにより、装飾部材１１４５０を上下方向（矢印Ｌ−Ｒ方向）に繰り返し変位させることで、突起１０４５９ａを任意の位置に停止させることができる。
【０６９９】
なお、本実施形態では、装飾部材１１４５０の左右の２箇所に配設されるギヤ１１４５６に組み込まれるワンウェイクラッチ１１４５６ａは、装飾部材１１４５０が一方向に変位された場合に２箇所のギヤ１１４５６の一方のみが内輪１１４５６ｂへ動力を伝達可能とされ（例えば装飾部材１１４５０が第３位置から第１位置に変位された場合に、背面視右側（矢印Ｌ方向側）のギヤ１１４５６の内輪が回転され）、装飾部材１１４５０が他方向に変位された場合に２箇所のギヤ１１４５６の他方のみが内輪１１４５６ｂへ動力を伝達可能とされる（例えば装飾部材１１４５０が第１位置から第３位置に変位された場合に、背面視左側（矢印Ｒ方向側）のギヤ１１４５６の内輪が回転される）。
【０７００】
また、本実施形態では、背面視左側（矢印Ｒ方向側）に配設されるギヤ１１４５６の内輪１１４５６ｂ（突起１０４５９ａ）の回転方向が背面視において反時計周りに設定され、背面視右側（矢印Ｌ方向側）に配設されるギヤ１１４５６の内輪１１４５６ｂ（突起１０４５９ａ）の回転方向が背面視において時計周りに設定される。これにより、ギヤ１１４５６が回転されて突起１０４５９ａが、第２摺動溝１０４５２ｍの内側に配置される場合に、規制部材１０４５９の荷重をワンウェイクラッチ１１４５６ａの動力を伝達する方向に作用させることができる。これにより、突起１０４５９ａが第２摺動溝１１４５２ｍの内側に配置される場合に、ワンウェイクラッチ１１４５６ａが空転して突起１０４５９ａの位置がずれることを抑制できる。
【０７０１】
なお、第２摺動溝１０４５２ｍと湾曲の軸を挟んで反対側に位置する凹設部１１４５２ｎの内側を突起１０４５９ａが摺動する場合には、規制部材１０４５９の荷重がワンウェイクラッチ１１４５６ａを空転させる方向に作用するが、突起１０４５９ａが凹設部１１４５２ｎを摺動する場合には、第２摺動溝１０４５２ｍを突起１０４５９ａが摺動する場合に比べて、他の部材（例えば、回転ユニット１０５００）が衝突する可能性が低くされるので、ワンウェイクラッチが空転して突起１０４５９ａの位置がずれることを抑制できる。
【０７０２】
さらに、本実施形態では、装飾部材１１４５０が、第３位置から第１位置または第１位置から第３位置に変位された場合に、ギヤ１１４５６の外輪１１４５６ｃが略１８０度回転するようにギヤ１０４５４，１０４５５，１０４５６，１１４５６のギヤ比が設定される。これにより、２箇所に配設されるギヤ１１４５６のそれぞれの回転角度を調整しやすくできる。
【０７０３】
次いで、図８５及び図８６を参照して、装飾部材１１４５０が第３位置から第１位置に配置され、第１位置に配置された装飾部材１１４５０が第１位置から第３位置に変位される場合の突起１０４５９ａについて説明する。なお、以下の説明では、装飾部材１１４５０が第３位置に配置されて、変位前の初期位置とされる際に、突起１１４５９ａが、第２摺動溝１１４５２ｍの下方側（矢印Ｄ方向側）の端部に配置された状態から説明する。
【０７０４】
図８５（ａ）は、装飾部材１１４５０が第３位置に配置される状態における上下変位ユニット１１４００の背面図であり、図８５（ｂ）は、装飾部材１１４５０が第２位置に配置される状態における上下変位ユニット１１４００の背面図であり、図８５（ｃ）は、装飾部材１１４５０が第１位置に配置される状態における上下変位ユニット１１４００の背面図である。図８６（ａ）は、装飾部材１１４５０が第１位置に配置される状態における上下変位ユニット１１４００の背面図であり、図８６（ｂ）は、装飾部材１１４５０が第２位置に配置される状態における上下変位ユニット１１４００の背面図であり、図８６（ｃ）は、装飾部材１１４５０が第３位置に配置される状態における上下変位ユニット１１４００の背面図である。
【０７０５】
図８５（ａ）及び図８５（ｂ）に示すように、装飾部材１１４５０が第３位置から第２位置に変位される場合には、背面視右側に配設されるギヤ１１４５６の内輪１１４５６ｂにのみ動力が伝達されて、規制部材１０４５９（突起１０４５９ａ）が矢印Ｘ１（図８５（ｂ）参照）の方向に回転される。
【０７０６】
この場合、突起１０４５９ａが、回転ユニット１０５００の側壁１０５１５に接して配置される。これにより、回転ユニット１０５００の回転領域Ｒ１に突起１０４５９ａが配設されるので、回転ユニット１０５００の回転が規制される。
【０７０７】
次いで、図８５（ｂ）及び図８５（ｃ）に示すように、装飾部材１１４５０が第２位置から第１位置に変位される場合には、第３位置から第２位置の変位と同様に背面視右側に配設されるギヤ１１４５６の内輪１１４５６ｂにのみ動力が伝達されて、規制部材１０４５９（突起１０４５９ａ）が矢印Ｘ２（図８５（ｃ）参照）の方向に回転される。これにより、突起１０４５９ａが、回転ユニット１０５００の側壁１０５１５の上下方向外側に配置されると共に、回転ユニット１０５００の回転領域Ｒ１の外側に配置される。その結果、回転ユニット１０５００の回転が許容される。
【０７０８】
次いで、図８６（ａ）及び図８６（ｂ）に示すように、装飾部材１１４５０が第１位置から第２位置に変位される場合には、背面視左側に配設されるギヤ１１４５６の内輪１１４５６ｂにのみ動力が伝達されて、規制部材１０４５９（突起１０４５９ａ）が矢印Ｙ１（図８６（ｂ）参照）の方向に回転される。
【０７０９】
この場合、突起１０４５９ａが、回転ユニット１０５００の側壁１０５１５に接して配置される。これにより、回転ユニット１０５００の回転領域Ｒ１に突起１０４５９ａが配設されるので、回転ユニット１０５００の回転が規制される。
【０７１０】
次いで、図８６（ｂ）及び図８６（ｃ）に示すように、装飾部材１１４５０が第２位置から第３位置に変位される場合には、第１位置から第２位置の変位と同様に背面視左側に配設されるギヤ１１４５６の内輪１１４５６ｂにのみ動力が伝達されて、規制部材１０４５９（突起１０４５９ａ）が矢印Ｙ２（図８６（ｃ）参照）の方向に回転される。これにより、突起１０４５９ａが、回転ユニット１０５００の側壁１０５１５の上下方向外側に配置されると共に、回転ユニット１０５００の回転領域Ｒ１の外側に配置される。その結果、回転ユニット１０５００の回転が許容される。
【０７１１】
なお、第１１実施形態では、装飾部材１１４５０の変位は、上述した順だけでなく例えば、図８５（ａ）に示す第３位置に装飾部材１１４５０を配置した状態から第２位置、第３位置、第２位置の順に装飾部材１１４５０を変位させることで、背面視左側に配設されるギヤ１１４５６の突起１０４５９ａが初期位置に配置される回転ユニット１０５００の側壁１０５１５に接して配置される。また、この状態からさらに、装飾部材１１４５０を第３位置、第２位置の順に変位させると、第２位置で回転ユニット１０５００の回転が許容される状態とすることができる。その結果、回転ユニット１０５００を回転させて演出する領域を大きくすることができる。
【０７１２】
次いで、図８７を参照して、第１２実施形態における上下変位ユニット１２４００について説明する。上記第１０実施形態では、左右の２箇所に配設される規制部材１０４５９の突起１０４５９ａの変位する軌跡が左右で対称とされる場合について説明したが、第１２実施形態では、左右の２箇所に配設される規制部材１０４５９の突起１０４５９ａの変位する規制が左右で異なる位置とされる。なお、上記各実施形態と同一の部分には同一の符号を付してその詳しい説明を省略する。
【０７１３】
図８７は、第１２実施形態における上下変位ユニット１２４００の正面図である。なお、図８７では、規制部材１０４５９が配設されるギヤ１０４５６が鎖線で図示される。また、ギヤ１０４５６の回転中心を通過する垂直方向の直線が仮想線ＫＳ４の符号を付して２点鎖線で図示される。また、図８７では、装飾部材１２４５０が第３位置に配置された状態が図示される。
【０７１４】
図８７に示すように第１２実施形態における上下変位ユニット１２４００の正面ベース１２４５２に開口される第２摺動溝１２４５２ｍは、左右で異なる高さに形成される。詳しく説明すると、正面視左側の第２摺動溝１２４５２ｍは、上方側端部およびギヤ１０４５６の回転中心を結ぶ直線と仮想線ＫＳ４との交差する角度θ１（図８７参照）が、正面視右側の第２摺動溝１２４５２ｍの上方側端部およびギヤ１０４５６の回転中心を結ぶ直線と仮想線ＫＳ４との交差する角度θ２よりも小さく設定される。
【０７１５】
また、装飾部材１２４５０が第３位置に配置された状態において、規制部材１０４５９の突起１０４５９ａは、それぞれ第２摺動溝１２４５２ｍの上方側端部の内側に配置される。従って、装飾部材１２４５０が第３位置から第２位置に変位されて、ギヤ１０４５６が回転されると、正面視右側の規制部材１０４５９の突起１０４５９ａが、左側の突起１０４５９ａよりも先に初期位置に配置される回転ユニット１０５００の側壁１０５１５にの内側に配置される。
【０７１６】
ここで、回転ユニット１０５００は、回転した後に初期位置で停止する場合に、上述したギヤ４５６（図２６参照）に形成される突起が検出センサの間に配置された後に停止動作をするため、若干回転する方向に位置ずれして停止する傾向があった。そのため、回転ユニット１０５００を回転させた後に、回転ユニット１０５００が正面視において第２摺動溝１２４５２ｍと重なる位置まで位置ずれして停止されると、第１０実施形態で説明したように突起１０４５９ａを左右で同時に変位させると、一方の突起１０４５９ａが回転ユニット１０５００の外面と衝突して、突起１０４５９ａの動作が規制される恐れがある。
【０７１７】
これに対して、第１２実施形態では、一方の突起１０４５９ａが先行するので、第１位置および第３位置での回転ユニット１０５００の回転方向を第２位置に変位させる場合に、突起１０４５９ａが先行する側のと反対方向の回転方向（本実施形態では、第３位置において正面視反時計周りの回転、第１位置において正面視時計周りの回転）とすることで、回転ユニット１０５００の停止位置がずれる場合に、先行する側の突起１０４５９ａを回転ユニット１０５００の側壁１０５１５に当接させて、回転ユニット１０５００の位置を初期位置に戻すことができる。その結果、後行する側の突起１０４５９ａが回転ユニット１０５００の外面に衝突することを抑制できる。
【０７１８】
次いで、図８８から図９０を参照して第１３実施形態における上下変位ユニット１３４００について説明する。上記第５実施形態では、回転ユニット５５００の回転が変位部材５４３０により規制される場合を説明したが、第１３実施形態では、回転ユニット１３５００の回転が正面ベース１３４５２から突出する突設部材１３４９５により規制される。なお、上記各実施形態と同一の部分には同一の符号を付してその詳しい説明を省略する。
【０７１９】
初めに、図８８及び図８９を参照して、第１３実施形態における上下変位ユニット１３４００の構成について説明する。図８８（ａ）及び図８８（ｂ）は、第１３実施形態における上下変位ユニット１３４００の正面図である。図８９（ａ）は、図８８（ｂ）のＬＸＸＸＩＸａ−ＬＸＸＸＩＸａ線における上下変位ユニット１３４００の断面図であり、Ｈ０２（ｂ）は、図８９（ａ）のＬＸＸＸＩＸｂ−ＬＸＸＸＩＸｂ線における上下変位ユニット１３４００の断面図である。
【０７２０】
図８８及び図８９に示すように、第１３実施形態における上下変位ユニット１３４００は、箱状に形成される正面ベース５４１０と、その正面ベース５４１０の正面側（矢印Ｆ方向側）に重ね合わされる正面カバー５４６０と、正面ベース５４１０の背面側に配設される駆動モータ４４１と、正面ベース５４１０及び正面カバー５４６０の対向間に軸支されて配設されると共に駆動モータ４４１の駆動力により回転される変位部材１３４３０と、その変位部材１３４３０の一側に連結されて、変位部材１３４３０の回転に伴って上下方向（矢印Ｕ−Ｄ方向）に変位される装飾部材１３４５０と、その装飾部材１３４５０に挿通されると共に、正面ベース５４１０及び正面カバー５４６０の対向間に配設される案内棒Ｐ１とを主に備える。
【０７２１】
装飾部材１３４５０は、正面視横長矩形状に形成され、長手方向中央部分を構成する正面ベース１３４５２と、その正面ベース１３４５２の左右方向両端部に連結される摺動部４５１と、正面ベース１３４５２の背面を覆設する背面ベース１３４５３と、正面ベース１３４５２及び背面ベース１３４５３の間に配設される突設部材１３４９５と、その突設部材１３４９５を軸支する円柱状の軸部材１３４９６と、正面ベース１３４５２の正面側に回転可能な状態で配設される回転ユニット１３５００と、を主に備える。
【０７２２】
正面ベース１３４５２は、第１実施形態における正面ベース４５２と同様に正面視横長矩形状の板状体から形成されると共に、上下の両端部が背面側に屈曲する断面コ字状に形成される。正面ベース１３４５２は、正面視横長矩形状に開口する第２開口１３４５２ｐを備え、装飾部材１３４５０の長手方向略中間位置に回転可能な状態で回転ユニット１３５００が配設される。
【０７２３】
第２開口１３４５２ｐは、後述する突設部材１３４９５が挿通される開口であり、突設部材１３４９５の正面視形状よりも、突設部材１３４９５の軸支方向（矢印Ｌ−Ｒ方向）に略２倍の大きさに形成される。また、第２開口１３４５２ｐは、左右方向の端部に背面ベース１３４５３側に突設される壁部１３４５２ｐ１が形成され、上下方向の両端に磁性を有する第１磁石１３４５２ｐ２が配設される。
【０７２４】
壁部１３４５２ｐ１は、後述する突設部材１３４９５を軸支する軸部材１３４９６が挿通される。これにより、突設部材１３４９５は、第２開口１３４５２ｐに挿通されると共に、正面ベース１３４５２に対して上下方向に回転可能とされる。
【０７２５】
突設部材１３４９５は、後述する回転ユニット１３５００の背面側に凹設される凹部１３５１４に一側の端部を挿入することで、回転ユニット１３５００の回転を規制する部材であり、一側の端部が第２開口１３４５２ｐから正面側（回転ユニット１３５００側）に突出される。また、突設部材１３４９５は、装飾部材１３４５０の長手方向に開口する軸孔１３４９５ａと、他側の端部に上下方向の両側に膨出する膨出部１３４９５ｂと、その膨出部１３４９５ｂの内側に配置される第２磁石１３４９５ｃと、を主に備える。
【０７２６】
軸孔１３４９５ａは、突設部材１３４９５を軸支する軸部材１３４９６が挿通される穴であり、軸部材１３４９６よりも大きい内径に形成され、軸部材１３４９６が挿通される。軸部材１３４９６は、軸孔１３４９５ａに挿通されると共に、左右方向中央側の外周面にコイルばねＳＰ１が配設される。コイルばねＳＰ１は、壁部１３４５２ｐ１と突設部材１３４９５との間に若干圧縮された状態で配設される。これにより、突設部材１３４９５は、第２開口１３４５２ｐに対して左右方向外側に配置される。また、コイルばねＳＰ１は、突設部材１３４９５の長手方向が、前後方向と平行となる姿勢に突設部材１３４９５を付勢する。これにより、突設部材１３４９５は、正面ベース１３４５２の正面側の側面に対して長手方向が直交する状態とされる。
【０７２７】
第２磁石１３４９５ｃは、上述した第１磁石１３４５２ｐ２に吸着する磁性を有する部材であり、突設部材１３４９５が後述する回転ユニット１３５００の回転により変位される場合に、第２磁石１３４９５ｃを第１磁石１３４５２ｐ２に吸着させることで突設部材を変位した状態に維持することができる。なお、第１磁石１３４５２ｐ２は、第２開口１３４５２ｐの左右方向外側部分にのみ配置される。これにより、第２磁石１３４９５ｃが第１磁石１３４５２ｐ２に吸着した状態の突設部材１３４９５が、第２開口１３４５２ｐの左右方向内側部分に変位されることで、第２磁石１３４９５ｃの第１磁石１３４５２ｐ２との吸着が解除される。
【０７２８】
変位部材１３４３０は、長手方向の他側に変位部材１３４３０の長手方向に長い長穴に形成される駆動側摺動溝４３１と、長手方向の一側に装飾部材１３４５０側に突出する連結軸５４３５と、連結軸５４３５の突出先端に一方向に回転可能な状態で軸支される解除用突起１３４３９と、を備える。連結軸５４３５は、背面ベース１３４５３に開口する摺動溝５４５２ｊに配設されており、変位部材１３４３０が変位されると、連結軸５４３５が摺動溝５４５２ｊの内側を摺動する。
【０７２９】
解除用突起１３４３９は、円柱状に形成され、連結軸５４３５の先端に軸支されると共に連結軸５４３５と解除用突起１３４３９との間に配設されるねじりばね（図示しない）により軸方向が前後方向に向く姿勢で配置される。また、解除用突起１３４３９は、装飾部材１３４５０が第２位置に配置される状態において、連結軸５４３５に対して解除用突起１３４３９の先端（矢印Ｆ方向側）が装飾部材１３４５０の長手方向内側に回転可能とされる。さらに、解除用突起１３４３９の先端は、突設部材１３４９５の一側が回転ユニット１３５００の凹部１３５１４の内側に配置された状態では、突設部材１３４９５と前後方向に重ならない長さに設定されると共に、突設部材１３４９５の一側が回転ユニット１３５００の凹部１３５１４の外側に配置され、第２磁石１３４９５ｃが第１磁石１３４５２ｐ２と吸着された状態では、突設部材１３４９５と前後方向に重なる長さに設定される。
【０７３０】
これにより、突設部材１３４９５の一側が回転ユニット１３５００の凹部１３５１４の内側に配置された状態では、変位部材１３４３０の連結軸５４３５が摺動溝５４５２ｊの内側を摺動する際に、解除用突起１３４３９を突設部材１３４９５に衝突せずに変位させることができる。また、突設部材１３４９５の一側が回転ユニット１３５００の凹部１３５１４の外側に配置され、第２磁石１３４９５ｃが第１磁石１３４５２ｐ２と吸着された状態では、変位部材１３４３０の連結軸５４３５が摺動溝５４５２ｊの内側を摺動する際に、解除用突起１３４３９を突設部材１３４９５に衝突させることができる。その結果、突設部材１３４９５の第２磁石１３４９５ｃの第１磁石１３４５２ｐ２との吸着を解除することができる。
【０７３１】
回転ユニット１３５００は、その回転ユニット１３５００の上方側の側面を形成する上面ベース１３５１０と、上面ベース５５１０の下方に配設される照射ユニット５３０（図２８参照）と、その照射ユニット５３０の下方に配設される中間部材１３５４０と、その中間部材５４０の下方に配設される反射板５６０（図２８参照）と、反射板５６０の前方に配設される正面カバー５５０（図２８参照）と、上面ベース５１０と下面ベース５５２０との背面側に配設される回転伝達ユニット５７０（図２８参照）と、回転ユニット５５００の下方側の側面を形成する下面ベース１３５２０と、を主に備えて形成される。
【０７３２】
また、回転ユニット１３５００は、正面視において一方が長い矩形状に構成されており、外面を構成する上面ベース１３５１０、中間部材１３５４０及び下面ベース１３５２０の回転ユニット１３５００の長手方向両側の背面側に正面側に向かって凹部１３５１４が凹設される。
【０７３３】
なお、回転ユニット１３５００は、上記第１実施形態と同様に、照射ユニット５３０から照射される光の残像により演出を行うバーサライタとして構成されており、上記第１実施形態と同様に、回転伝達ユニット５７０の背面ベース５７１のギヤ５７１ａ１の中心を軸として回転変位される。
【０７３４】
また、回転ユニット１３５００の重心は、回転軸Ｏ上に設定されており、回転ユニット１３５００の長手方向が水平とされた姿勢（図５７（ａ）及び図５７（ｂ）に示す姿勢）とされる場合に、回転ユニット１３５００が自重によって回転軸Ｏを中心に回転することが抑制される。
【０７３５】
次いで、図９０を参照して、突設部材１３４９５の変位態様について説明する。図９０（ａ）及び図９０（ｂ）は、上下変位ユニット１３４００の断面図である。なお、図９０（ａ）は、図８９（ａ）における上下変位ユニット１３４００の断面図に対応し、図９０（ｂ）は、図８９（ｂ）における上下変位ユニット１３４００の断面図に対応する。なお、図９０（ａ）では、回転ユニット１３５００が初期位置から回転された状態が図示され、図９０（ｂ）では、装飾部材１３４５０が第２位置に配置された状態が図示される。
【０７３６】
図９０（ａ）に示すように、突設部材１３４９５の一側端部が回転ユニット１３５００の凹部１３５１４の内側に配置された状態から回転ユニット１３５００が回転変位されると、回転ユニット１３５００の外面に突設部材１３４９５の一側端部が上下方向に押圧される。これにより、突設部材１３４９５が軸部材１３４９６を軸にして回転変位される。この場合、突設部材１３４９５の他側に形成される膨出部１３４９５ｂが、正面ベース１３４５２の第１磁石１３４５２ｐ２に近接される。これにより、膨出部１３４９５ｂの内側に配置される第２磁石１３４９５ｃが、第１磁石１３４５２ｐ２に吸着される。その結果、突設部材１３４９５が軸部材１３４９６を軸に回転された方向に傾倒した状態に維持される。
【０７３７】
なお、この場合、突設部材１３４９５は、回転ユニット１３５００により押し出されて回転される回転量が膨出部１３４９５ｂが、第１磁石１３４５２ｐ２と若干の隙間を形成する量とされ、第１磁石１３４５２ｐ２と第２磁石１３４９５ｃとの吸着により膨出部１３４９５ｂと第１磁石１３４５２ｐ２との隙間分が回転される。これにより、突設部材１３４９５が傾倒した状態に維持される場合に、突設部材１３４９５の一側端部と回転ユニット１３５００の背面側との間に所定の隙間を形成することができる。その結果、回転ユニット１３５００の回転が継続される場合に、突設部材１３４９５の一側端部が回転ユニット１３５００と接触することを抑制できる。
【０７３８】
次いで、図９０（ｂ）に示すように、第１磁石１３４５２ｐ２と第２磁石１３４９５ｃとの吸着を解除する場合には、装飾部材１３４５０を第２位置に変位させることで行われる。装飾部材１３４５０が第２位置に変位されると、変位部材１３４３０に配設される解除用突起１３４３９の先端が、突設部材１３４９５の他側の端部（膨出部１３４９５ｂ）に当接される。これにより、解除用突起１３４３９の変位に伴って、突設部材１３４９５が第２開口１３４５２ｐの左右方向内側に変位される。これにより、第１磁石１３４５２ｐ２と第２磁石１３４９５ｃとが左右方向に位置ずれするので、第１磁石１３４５２ｐ２と第２磁石１３４９５ｃとの吸着が解除される。その結果、突設部材１３４９５の長手方向が、前後方向と平行となる姿勢に変位される。
【０７３９】
なお、突設部材１３４９５の長手方向が、前後方向と平行となる姿勢に変位されると、上述したように、突設部材１３４９５は、解除用突起１３４３９の先端に当接しない状態とされる。これにより、突設部材１３４９５は、コイルばねＳＰ１の付勢力により装飾部材１３４５０の長手方向外側に押し出されて、図８９（ｂ）に示す位置に変位される。
【０７４０】
また、この場合、突設部材１３４９５は、解除用突起１３４３９よりも装飾部材１３４５０の左右方向外側に配置される。従って、装飾部材１３４５０が第２位置に配置される場合に、回転ユニット１３５００が回転されて、突設部材１３４９５が傾倒され第１磁石１３４５２ｐ２と第２磁石１３４９５ｃとが吸着された状態とされる際には、装飾部材１３４５０を第１位置または第３位置に変位させることで、連結軸５４３５に対して解除用突起１３４３９を回転させて、解除用突起１３４３９を突設部材１３４９５よりも装飾部材１３４５０の左右方向外側に配置させることができる。
【０７４１】
従って、第１３実施形態では、装飾部材１３４５０の位置に関わらず、回転ユニット１３５００を回転させることで、突設部材１３４９５による回転ユニット１３５００の回転の規制を解除することができるので、回転ユニット１３５００の回転による演出領域を拡大することができる。
【０７４２】
以上、上記実施形態に基づき本発明を説明したが、本発明は上記形態に何ら限定されるものではなく、本発明の趣旨を逸脱しない範囲内で種々の変形改良が可能であることは容易に推察できるものである。
【０７４３】
上記各実施形態において、１の実施形態の一部または全部を他の１又は複数の実施形態の一部または全部と入れ替えて又は組み合わせて、遊技機を構成しても良い。
【０７４４】
上記第１実施形態では、センターフレーム６００に１のセンサ６３０が配設される場合を説明したが、必ずしもこれに限られるものではない。例えば、センターフレーム６００の左右方向中心線を対称に２のセンサ６３０を配置しても良く。３以上のセンサ６３０を配設しても良い。
【０７４５】
上記第１実施形態では、センサ６３０がセンターフレーム６００の枠体６１０に配設される場合を説明したが、必ずしもこれに限られるものではない。例えば、センサ６３０を上下変位ユニット４００の正面カバー４６０に配置しても良い。この場合、センサ６３０の照射範囲を広域にすることができるので、そのセンサ６３０の検出領域を拡大することができる。
【０７４６】
上記第１実施形態では、センターカバー６２０のカバー部材６２１を、正面側が凸の湾曲面として形成される場合を説明したが、必ずしもこれに限られるものではない。例えば、正面側中央部で断面略Ｖ字状に屈曲するものであっても良い。また、背面側に凸の湾曲面として形成しても良い。他には、一部に湾曲面が形成されるものであっても良い。少なくとも、センサ６３０から出射される光がカバー部材６３０に反射されて、遊技盤１３の前方の物体を検知できれば良い。
【０７４７】
上記第１実施形態では、センターカバー６２０のカバー部材６２１を、背面側に配設される第３図柄表示装置８１を遊技者に視認させる役割と、センサ６３０から出射される光を兼用する場合を説明したが、必ずしもこれに限られるものではなく、カバー部材６２１の領域を、第３図柄表示装置８１を遊技者に視認させ領域と、センサ６３０から出射される光を反射する領域と、の領域に領域を区切っても良い。この変形例について、図５６を参照して説明する。図５６は、変形例としてのセンターフレーム６００の断面図である。なお、上記各実施形態と同一の部分には同一の符号を付してその説明を省略する。また、図５６は、図４０（ｂ）の断面図と対応し、センターカバー６２０の断面のみが模式的に図示される。さらに、図５６は、センターフレーム６００の背面側に配置される第３図柄表示装置８１の外形が２点鎖線で図示される。
【０７４８】
図５６に示すように、センターフレーム６００のカバー部材６２１は、左右方向（図５６左右方向）の両端部に第２領域Ｒ２と、その両端の第２領域Ｒ２の中央側（第３図柄表示装置８１の正面側）に第１領域Ｒ１と、を備えて形成される。
【０７４９】
第１領域Ｒ１は、カバー部材６２１の背面側に配置される第３図柄表示装置８１を遊技者から視認可能にする領域であり、比較的透明度の高い光透過性の材量から形成される。第２領域Ｒ２は、センサ６３０から出射される光を遊技機１３の正面側（遊技者側）に反射させる領域である。なお、第１領域Ｒ１と第２領域Ｒ２との境界位置は、遊技機１３の正面側に位置する遊技者から視認可能であれば良いので、正面視における第３図柄表示装置８１の外形と略同一の位置が好ましい。また、この変形例では、理解を容易とするためにセンサ６３０を左右両端に配設した様態で説明する。
【０７５０】
この場合、例えば、第２領域Ｒ２の背面側または正面側に銀伯などの反射率の高い部材をコーティングしても良い。または、第２領域Ｒ２の背面側または正面側に銀色のシールを添付してよい。この場合、センサ６３０から照射される光を反射させやすくすることができるので、遊技盤１３の正面側の物体の検出をより確実に行うことができる。
【０７５１】
他には、第２領域Ｒ２の部分を背面側に凸となる湾曲形状にしても良いし、第２領域Ｒ２の部分を平面にしても良い。この場合、センサ６３０から出射される光が第２領域Ｒ２で反射されて正面側に出射される範囲を広くすることができるので、センサ６３０の検出範囲を拡大することができる。
【０７５２】
上記各実施形態では、センサ６３０は、カバー部材６２１よりも前方に配設される場合を説明したが、必ずしもこれに限られるものではなく、例えば、センサ６３０を、カバー部材６２１よりも後方に配設してもよい。この場合、センサ６３０から出射された光はカバー部材６２１を透過されることで、遊技盤１３の正面側の物体を検知することができる。さらに、この場合、カバー部材６２０が正面側に凸の湾曲形状とされることで、センサ６３０から出射される光をカバー部材６３０に入射された際に、その照射角度を変化させることができる。即ち、正面側に凸の湾曲形状のカバー部材６３０を透過させることで、遊技盤１３の正面側に出射されるセンサ６３０の照射範囲を広くすることができる。
【０７５３】
上記各実施携帯では、振分け部材７６０の２の傾斜面７６１（第３送球経路ＫＲ３）が同じ長さで形成される場合を説明したが、必ずしもこれに限られるものではななく、２の傾斜面７６１（第３送球経路ＫＲ３）の長さをそれぞれ異なる長さにしてもよい。この場合、振分け部材７２０のシーソー部材７６２で左右に振分けられるそれぞれの球がセンサＳＥに検知されるまでの時間を左右の経路で異ならせることができるので、遊技者に興趣を与えることができる。
【０７５４】
上記第１及び第２実施形態では、ローラ４９２ａが、弾性体で形成される場合を説明したが、必ずしもこれに限られるものではない。例えば、ローラ４９２ａをゴムやウレタンよりも弾性率の低い素材で形成して、そのローラ４９２ａの外周面にゴムやウレタン等の弾性体の部材を外嵌するものであってもよい。この場合、弾性体の体積を小さくできるので、ローラ部材４９２の製造コストを抑えることができる。
【０７５５】
上記第１実施形態では、センターフレーム６００のカバー部材６２１の厚みを一定に形成する場合を説明したが、必ずしもこれに限られるものではなく、カバー部材６２１の厚みを変えてもよい。例えば、カバー部材６２１の断面形状を略Ｄ字形状に形成してもよい。この場合、カバー部材６２１は、凸レンズとなるので、カバー部材６２１の背面側に配置される第３図柄表示装置８１、装飾部材４５０を大きく表示することができる。
【０７５６】
上記第１実施形態では、ローラ４９２ａの弾性変形を利用して、ローラ４９２ａを、正面ベース４５２の当接面４５２ｈとケース部材４９１の膨出部４９１ｃとの間に挟み込む場合を説明したが、必ずしもこれに限られるものではなく、ローラ４９２ａの変位を利用するものであってもよい。例えば、ローラ４９２ａの軸部４９２ｂを変位可能に形成して、ローラ４９２ａを変位させて、正面ベース４５２の当接面４５２ｈとケース部材４９１の膨出部４９１ｃとの間に挟み込むものであってもよい。
【０７５７】
この場合、ローラ４９２ａの弾性変形を利用することなくローラ４９２ａを、正面ベース４５２の当接面４５２ｈとケース部材４９１の膨出部４９１ｃとの間に挟み込むことができるので、ローラ４９２ａをゴムやウレタンの弾性率の高い素材で形成する必要がなく、例えば、ゴムやウレタンよりも弾性率の低い樹脂で形成することができるので、その分、製造コストを抑えることができる。
【０７５８】
上記第３実施形態では、上部に配置されるローラ４９２ａが下部に配置されるローラ４９２ａよりも先に装飾部材４５０と当接する場合を説明したが、必ずしもこれに限られるものではなく、上部に配置されるローラ４９２ａが下部に配置されるローラ４９２ａよりよりも後に装飾部材４５０に当接するものであってもよい。
【０７５９】
例えば、初期位置（正面ベース４５２の当接面４５２ｈとローラ４９２ａとが離間した位置）における規制ユニット４９０の上部に配置されるローラ４９２ａは、正面ベース４５２の当接面４５２ｈと前後方向（図５０（ａ）左右方向）に所定の隙間を備えるように構成してもよい。この場合、装飾部材４５０が第１位置に変位する際に、第１及び第３実施形態よりも、ローラ４９２ａと当接するまでの時間が遅くされるので、装飾部材４５０を駆動する駆動モータ４４１の負荷（抵抗）が大きくなる時間を短くすることができる。
【０７６０】
上記第１実施形態では、照射規制部５４４とＬＥＤ５３２とが当接する状態で配置される場合を説明したが、必ずしもこれに限られるものではなく、照射規制部５４４とＬＥＤとの対向間に所定の隙間が形成されてもよい。この場合、照射孔５４３の両端を開放状態とすることができるので、照射孔５４３の内部に空気が留まる（滞留する）ことを抑制できる。即ち、照射孔５４３の内部に空気の流れを作ることができるので、ＬＥＤ５３２の動作で発生する熱を効率的に冷却することができる。
【０７６１】
上記第１実施形態では、粗面加工が凹凸の形状に形成される場合を説明したが、必ずしもこれに限られるものではなく、粗面加工が凸（突起）のみからなる面であっても良く、凹（窪み）のみからなる面であってもよい。また、粗面加工は、条または溝として延設されるものであってもよい。さらに、凹および凸の断面形状は、円形、打鍵、多角径、これらを組み合わせた形状のいずれであっても良い。即ち、基準位置よりも高い部分と低い部分とが形成され、光が、反射可能な複数の部分（面）が形成され、乱反射可能とされていれば、凹凸の形状は任意である。
【０７６２】
上記各実施形態において、煙を発生させる煙発生装置（煙発生手段）を遊技盤１３（ベース板６０）の背面側に設け、その煙発生装置から発生される煙を、回転ユニット５００の変位領域（回転領域）に導入するようにしても良い。即ち、第３図柄表示装置８１とセンターフレーム６００（センターカバー６２０）との間の空間に煙が充満された雰囲気を形成しても良い。これにより、ＬＥＤ５３２から発光された光を煙を通過させつつ遊技者に視認させることができ、かかるＬＥＤ５３２の点滅を際立たせることができる。また、煙により回転ユニット５００またはその背面側の部材を隠しつつ（遊技者から視認され難くしつつ）、ＬＥＤ５３２の点滅のみを視認させることができる。よって、ＬＥＤ５３２（光）による演出効果を高めることができる。
【０７６３】
なお、従来品では、回転ユニットの回転に伴って、煙が外周側に押し出されて、上述した空間に煙を充満させておくことが困難であった。よって、煙の効果を得ることが困難であった。これに対し、上述した各実施形態における回転ユニット５００によれば、上面ベース５１０及び下面ベース５２０に送風孔５１２，５２２が開口されると共に、上面ベース５１０及び下面ベース５２０を組み立てた構造体の背面側が開放されるので、送風孔５１２，５２２から取り込んだ外気を背面側から排気して、循環させることができる。よって、上述した空間に煙を充満させておく（回転ユニット５００の周囲に留まらせておく）ことができる。その結果、煙が充満した雰囲気中でＬＥＤ５３２を点滅させることができ、上述した効果を奏することができる。
【０７６４】
上記各実施形態では、上下変位ユニット４００，５４００，６４００，７４００，８４００，９４００の装飾部材４５０，５４５０，７４５０，８４５０，９４５０が上下方向（矢印Ｕ−Ｄ方向）に変位する場合を説明したが、必ずしもこれに限られるものではない。例えば、上下変位ユニット４００，５４００，６４００，７４００，８４００，９４００を正面視において略９０度回転させた状態で配設して、装飾部材４５０，５４５０，７４５０，８４５０，９４５０が左右方向（矢印Ｌ−Ｒ方向）に変位する状態としてもよい。
【０７６５】
上記第５実施形態では、凹部５５１４の内面または変位部材５４３０の一側端部が同一の部材から形成される場合について説明したが、必ずしもこれに限られるものではない。例えば、凹部５５１４の内面または変位部材５４３０の一側の端面のどちらか一方を金属材料や硬質な樹脂材料よりも弾性変形しやすいゴム状の部材で形成されても良い。
【０７６６】
これにより、凹部５５１４の内面および変位部材５４３０の一側の端面とが当接しつつ変位された場合に、その当接面に傷が形成されることを抑制できる。また、この場合、ゴム状の部材を弾性変位させた状態で当接させることで、凹部５５１４の内面および変位部材５４３０の一側の端面が当接された状態とされる場合の摩擦抵抗を大きくすることができ、パチンコ機１０に入力される振動等で変位部材５４３０又は回転ユニット５００が揺れ動くことを抑制できる。
【０７６７】
上記第５実施形態では、回転ユニット５００に凹設された凹部５５１４の内側に、変位部材５４３０の一側端部を挿入する場合を説明したが、必ずしもこれに限られるものではなく、回転ユニット５００に突設された突部を、変位部材５４３０の一側端部に凹設された凹部に挿入することで、回転ユニット５００の回転を規制してもよい。
【０７６８】
この場合、変位部材５４３０の回転軸および突部を結ぶ直線上に、回転ユニット５００の回転軸が配置されることが好ましい。これによれば、変位部材５４３０を回転変位させた場合に、変位部材５４３０の一側端部が、凹部への変位部材５４３０の挿入方向と直交する方向に変位しにくくできる。その結果、変位部材５４３０を凹部に挿入しやすくできる。
【０７６９】
上記第５実施形態では、変位部材５４３０に連結軸５４３５が配設され、正面ベース５４５２に摺動溝５４５２ｊが形成される場合について説明したが、必ずしもこれに限られるものではない。例えば、連結軸５４３５を正面ベース５４５２に配設して、変位部材５４３０に摺動溝５４５２ｊを形成して両者を連結しても良い。
【０７７０】
上記第５実施形態では、装飾部材５４５０を駆動する駆動モータ４４１の駆動が、変位部材５４３０を介して装飾部材５４５０に伝達される場合を説明したが、必ずしもこれに限られるものではない。例えば、装飾部材５４５０を駆動する駆動モータ４４１の駆動がラックピニオンにより装飾部材５４５０に伝達されるようにしても良い。この場合、変位部材５４３０の他側に形成される駆動側摺動溝４３１の形成が不要とされる。
【０７７１】
上記第６実施形態では、回転の位置を検出するためのギヤ４５６に凹溝６４５６ａが形成される場合を説明したが、必ずしもこれに限られるものではない。例えば、回転ユニット５００に形成されるギヤ５７１ａ１に凹溝６４５６ａを形成してもよいし、回転ユニット５００を回転させるための駆動を伝達するための他のギヤに凹溝６４５６ａを形成してもよい。また、回転して駆動を伝達するギヤでなく、ラック等の直線運動するギヤに凹溝６４５６ａを形成してもよい。
【０７７２】
上記第６実施形態では、回転ユニット５００に配設されるギヤ５７１ａ１と同一のギヤ比（外径）のギヤ４５６に凹溝６４５６ａを形成する場合を説明したが、必ずしもこれに限られるものではない。例えば、ギヤ４５６のギヤ比をギヤ５７１ａ１に対して、倍の値（外周を２倍）に設定してもよい。この場合、回転ユニット５００の停止位置が正常な位置からずれて停止された場合に、ギヤ４５６の停止位置の位置ずれの量を大きくすることができる。よって、ギヤ４５６の凹溝６４５６ａの内面に規制用突起６４３６を当接させてギヤ４５６を回転させやすくすることができ、回転ユニット５００を正常な位置に配置しやすくできる。
【０７７３】
上記第６実施形態では、凹溝６４５６ａが、ギヤ４５６の領域Ｒ１のみに形成される場合を説明したが、必ずしもこれに限られるものではない。例えば、領域Ｒ１の反対側の領域に仮想線ＫＳ３を対象にして２つ目の凹溝６４５６ａが形成されていてもよい。
【０７７４】
この場合、２つ目の凹溝６４５６ａに規制用突起６４３６を挿入することで、初期位置と１８０度位相の異なる位置で回転ユニット５００の回転を規制することができる。即ち、回転を規制する位置を複数形成することができる。
【０７７５】
上記第６実施形態では、装飾部材６４５０の背面側に配設される変位部材６４３０の規制用突起６４３６をギヤ４５６の凹溝６４５６ａの内側に配置することで、回転ユニット５００の回転を規制する場合について説明したが、必ずしもこれに限られるものではない。例えば、変位部材６４３０の規制用突起６４３６を正面ベース６４５３の前方に突出させて第５実施形態における回転ユニット５５００の凹部５５１４の内側に規制用突起６４３６を配置することで、回転ユニット５５００の回転を規制してもよい。なお、この場合、回転ユニット５５００の規制は、規制用突起６４３６で行わなくても良く、例えば、連結軸５４３５で行ってもよい。
【０７７６】
この場合、第５実施形態では、装飾部材５４５０を上下方向（矢印Ｕ−Ｄ方向）に変位させるための変位部材５４３０が遊技者側に配設されて、遊技者から視認されやすくされたが、変位部材６４３０を装飾部材６４５０の背面側に配置することができるので、遊技者から変位部材６４３０を視認し難くできる。その結果、遊技者の興趣が低下することを抑制できる。
【０７７７】
上記第７実施形態では、変位ユニット７９００が正面側に張り出される場合に、変位ユニット７９００を変位部材５４３０に当接させて、変位ユニット７９００の変位を規制する場合について説明したが、必ずしもこれに限られるものではなく、変位ユニット７９００が背面側に退避する場合に、変位ユニット７９００の背面側を変位部材５４３０に当接させて、変位ユニット７９００の変位を規制してもよい。
【０７７８】
上記第８実施形態では、回転ユニット８９４０の被軸支部８９４２が、スライドユニット８９３０側に一定の大きさの断面矩形状で突設される場合を説明したが、必ずしもこれに限られるものではなく、例えば、貫通孔８９４２側に向かって突設される断面が小さく形成されていてもよい。この変形例について、図９１を参照して説明する。
【０７７９】
図９１（ａ）は、変形例としての、上下変位ユニット８４００の正面図であり、図９１（ｂ）は、図９１（ａ）のＸＣＩｂ−ＸＣＩｂ線における上下変位ユニット８４００の断面図である。なお、図９１（ａ）では、被軸支部８９４２の外形が鎖線で図示される。
【０７８０】
図９１に示すように、被軸支部８９４２は、上述したスライドユニット８９３０に支持される部分であり、スライドユニット８９３０の一対の凹部８９３１ａにより形成される空間に突出先端が配設される。また、被軸支部８９４２は、突出先端部に上下方向（矢印Ｕ−Ｄ方向）に貫通する貫通孔８９４２ａと、左右方向（矢印Ｌ−Ｒ方向）両側に膨出する挿入部８９４２ｃとを、主に備える。
【０７８１】
挿入部８９４２ｃは、断面略三角形状に形成されて変位部材５４３０の一側に向かって膨出される。また、挿入部８９４２ｃは、膨出先端部が、被軸支部８９４２の突設方向に向かって左右方向（矢印Ｌ−Ｒ方向）への膨出距離が小さくされており、膨出先端部が、貫通孔８９４２の中心から径方向外側に向かう方向に沿って形成される。これにより、スライドユニット８９３０がスライドされて、変位部材５４３０の一側端部に当接された場合に、変位部材５４３０の一側端部との当接による規制に伴って、変位部材５４３０の一側端部との当接面積を大きくすることができる。従って、スライドユニット８９３０が最大限スライド変位される際に、被軸支部８９４２と変位部材５４３０との当接面積を最大とすることができるので、当接面作用する力を分散することができ、変位部材５４３０及び回転ユニット８９４２が破損することを抑制できる。
【０７８２】
また、変位部材５４３０の一側端部に断面略三角形状に凹設される受入部５４３８が形成される。受入部５４３８の内縁は、上述した挿入部８９４２ｃの外縁と対応する形状に形成される。また、受入部５４３８は、装飾部材８９５０が第２位置に配置された状態において挿入部８９４２ｃと同一の高さに設定される。これにより、スライドユニット８９３０が左右方向に変位された場合に、挿入部８９４２ｃを受入部５４３８の内側に挿入して当接させることができる。この場合、挿入部８９４２ｃ及び受入部５４３８は、断面形状が略同一の三角形状に形成されるので、変位部材５４３０の停止位置が正常な位置から若干ずれた位置に停止している場合に、挿入部８９４２ｃおよび受入部５４３８の互いの傾斜を利用して、変位部材５４３０を正常な位置に回転させることができる。
【０７８３】
上記第９実施形態では、変位部材９４３０の突出部９４３０ｄが、回転ユニット９９４０の凹設部分（被挿入部９９４１ａ）に挿入される場合を説明したが、必ずしもこれに限られるものではなく、例えば、突出部９４３０ｄを回転ユニット９９４０の変位方向の端部に衝突する位置に配置してもよい。
【０７８４】
上記第９実施形態では、変位部材９４３０が変位されると、スライドユニット９９３０及び回転ユニット９９４０の両方が変位する場合を説明したが、必ずしもこれに限られるものではなく、それぞれ異なる駆動源に接続してそれぞれ独立して変位できるようにしてもよい。
【０７８５】
上記第１０から第１２実施形態では、回転ユニット１０５００の側壁１０５１５が平面として形成される場合を説明したが、必ずしもこれに限られるものではない。例えば、第５実施形態と同様に回転軸側に凹設される凹部として形成してもよい。
【０７８６】
上記第５実施形態では、変位部材５４３０の一側端部が回転ユニット５００の凹部５５１４の内側に配置されることで、回転ユニット５００の回転が規制される場合を説明したが、必ずしもこれに限られるものではない。例えば、変位部材５４３０の一側端部を、回転ユニット５００の回転領域における回転ユニット５００の上部に配置して回転ユニット５００の回転を規制してもよい。この変形例について、図９２（ａ）を参照して説明する。図９２（ａ）は、変形例としての、上下変位ユニット５４００の正面図である。なお、図９２では、摺動溝１４４５２ｊ及び連結軸５４３５が鎖線で図示される。なお、上記各実施形態と同一の部分には同一の符号を付してその詳しい説明は省略する。
【０７８７】
図９２（ａ）に示すように、変形例としての上下変位ユニット５４００の装飾部材５４５０には、正面ベース５４５２に形成される摺動溝１４４５２ｊが、回転ユニット５００の回転軸Ｏよりも上方に形成される。また、摺動溝１４４５２ｊは、一方が長い長穴に形成されると共に、その長手方向が回転軸Ｏに向かって形成される。
【０７８８】
これにより、装飾部材５４５０が、第１位置または第３位置から第２位置に変位される場合には、変位部材５４３０の一側端部を回転ユニット５００の長手方向外側の上方から摺動溝１４４５２ｊの長手方向に沿って変位させて回転ユニット５００の上方に配置することができる。また、装飾部材５４５０が第２位置から第１位置または第３位置に変位される場合には、変位部材５４３０の一側端部を回転ユニット５００の上面と隙間を形成しやすくできる。その結果、装飾部材５４５０が第２位置から第１位置または第３位置に変位される場合（特に第３位置に変位される場合）に回転変位される変位部材５４３０が回転ユニット５００の外面に当接することを抑制できる。
【０７８９】
上記第５実施形態では、装飾部材５４５０が第１位置または第３位置に配置される場合に、仮想線ＫＳ１と仮想線ＫＳ２とを略直交する状態で配置して死点の関係とする場合を説明したが、必ずしもこれに限られるものではなく、例えば、第２位置で仮想線ＫＳ１と仮想線ＫＳ２とを略直交する状態で配置してもよい。
【０７９０】
この変形例について、図９２（ｂ）を参照して説明する。図９２（ｂ）は、変形例として、上下変位ユニット５４００の正面図である。なお、図９２（ｂ）は、図５９（ｂ）の正面図と対応する。なお、上記各実施形態と同一の部分には同一の符号を付してその詳しい説明は省略する。
【０７９１】
図９２（ｂ）に示すように、変形例としての上下変位ユニット５４００は、伝達ギヤ４４３と伝達ギヤ４４２との間に伝達ギヤ４４３及び伝達ギ４４２に歯合される伝達ギヤ１５４４２が配置される。これにより、伝達ギヤ４４３の回転軸を回転ユニット５５００を規制状態の変位部材５４３０の下側に配置することができる。
【０７９２】
また、変形例としての上下変位ユニット５４００は、回転ユニット５５００の凹部５５１４の内側に変位部材５４３０の一側が配置される場合に、伝達ギヤ４４３の回転軸と伝達ギヤ４４３の突起４４３ａの軸とを結ぶ仮想線ＫＳ１が、変位部材５４３０の貫通孔４３３の軸と伝達ギヤ４４３の突起４４３ａとを結ぶ仮想線ＫＳ２と略直交する状態とされる。
【０７９３】
これにより、変位部材５４３０により回転が規制された状態の回転ユニット５５００にパチンコ機１０の制御不良等で回転の駆動力が付与された場合に、変位部材５４３０が回転することを抑制できる。即ち、変位部材５４３０により回転ユニット５５００の回転を規制した状態とする場合に、変位部材５４３０と伝達ギヤ４４３とを死点の関係とすることで変位部材５４３０の一側に入力される外力で伝達ギヤ４４３が回転されることを抑制できる。その結果、回転ユニット５５００が制御不良等により回転の駆動力が付与された場合にも、回転ユニット５５００の回転を規制することができる。
【０７９４】
本発明を上記各実施形態とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される）として実施してもよい。また、大当たり図柄が表示された後に、所定の領域に球を入賞させることを必要条件として遊技者に所定の遊技価値を付与する特別遊技を発生させるパチンコ機として実施してもよい。また、Ｖゾーン等の特別領域を有する入賞装置を有し、その特別領域に球を入賞させることを必要条件として特別遊技状態となるパチンコ機に実施してもよい。更に、パチンコ機以外にも、アレパチ、雀球、スロットマシン、いわゆるパチンコ機とスロットマシンとが融合した遊技機などの各種遊技機として実施するようにしても良い。
【０７９５】
なお、スロットマシンは、例えばコインを投入して図柄有効ラインを決定させた状態で操作レバーを操作することにより図柄が変動され、ストップボタンを操作することにより図柄が停止されて確定される周知のものである。従って、スロットマシンの基本概念としては、「複数の識別情報からなる識別情報列を変動表示した後に識別情報を確定表示する表示装置を備え、始動用操作手段（例えば操作レバー）の操作に起因して識別情報の変動表示が開始され、停止用操作手段（例えばストップボタン）の操作に起因して、或いは、所定時間経過することにより、識別情報の変動表示が停止して確定表示され、その停止時の識別情報の組合せが特定のものであることを必要条件として、遊技者に所定の遊技価値を付与する特別遊技を発生させるスロットマシン」となり、この場合、遊技媒体はコイン、メダル等が代表例として挙げられる。
【０７９６】
また、パチンコ機とスロットマシンとが融合した遊技機の具体例としては、複数の図柄からなる図柄列を変動表示した後に図柄を確定表示する表示装置を備えており、球打出用のハンドルを備えていないものが挙げられる。この場合、所定の操作（ボタン操作）に基づく所定量の球の投入の後、例えば操作レバーの操作に起因して図柄の変動が開始され、例えばストップボタンの操作に起因して、或いは、所定時間経過することにより、図柄の変動が停止され、その停止時の確定図柄がいわゆる大当たり図柄であることを必要条件として遊技者に所定の遊技価値を付与する特別遊技が発生させられ、遊技者には、下部の受皿に多量の球が払い出されるものである。かかる遊技機をスロットマシンに代えて使用すれば、遊技ホールでは球のみを遊技価値として取り扱うことができるため、パチンコ機とスロットマシンとが混在している現在の遊技ホールにおいてみられる、遊技価値たるメダルと球との別個の取扱による設備上の負担や遊技機設置個所の制約といった問題を解消し得る。
【０７９７】
以下に、本発明の遊技機に加えて上述した実施形態に含まれる各種発明の概念を示す。
【０７９８】
＜センターカバー６２０を一例とする発明の概念について＞
中央に開口を有する遊技盤と、その遊技盤の開口を介して視認可能に配設される液晶表示装置と、光を発光すると共に前記光の物体による反射光を受光することで前記液晶表示装置の正面側における前記物体の存在を検出するセンサ装置と、を備えた遊技機において、前記液晶表示装置の正面側に配設され、少なくとも正面が凸の湾曲面として形成されると共に光透過性材料からなる正面部材を備えることを特徴とする遊技機Ａ１。
【０７９９】
ここで、中央に開口を有する遊技盤と、その遊技盤の開口を介して視認可能に配設される液晶表示装置と、光を発光すると共にその光の物体（例えば、遊技者の手）による反射光を受光することで液晶表示装置の正面側における物体の存在を検出するセンサ装置（モーションセンサ）とを備えた遊技機が知られている（例えば、特開２０１４−２０８１３９号公報）。この場合、センサ装置が遊技者から視認可能に露出されると、遊技者の興趣が損なわれる。そのため、センサ装置は、装飾部材の背面側に配置され、遊技者から視認され難くされる。センサ装置は、装飾部材の側方の開放部分を介して、光を発光すると共にその光の物体による反射光を受光して物体の存在を検出するところ、センサ装置が装飾部材の側方の開放部分から離間して（奥側に後退して）配設されるほど、遊技者からは視認され難くできるが、物体を検出可能な範囲が狭くなり、センサ装置が装飾部材の側方の開放部分に近接して配設されるほど、物体を検出可能な範囲を広くできるが、遊技者から視認されやすくなる。即ち、センサ装置を遊技者から視認され難くしつつ、物体を検出可能な範囲を確保することが困難であるという問題点があった。
【０８００】
これに対し、遊技機Ａ１によれば、液晶表示装置の正面側に配設され、少なくとも正面が凸の湾曲面として形成されると共に光透過性材料からなる正面部材を備えるので、センサ装置から発光された光を正面部材で反射させて物体に到達させることができると共に、物体による反射光を正面部材で反射させてセンサ装置に到達させることができる。よって、その分、センサ装置を装飾部材の側方の開放部分から離間させて（奥側に後退させて）配設することができるので、センサ装置を遊技者から視認され難くしつつ、物体を検出可能な範囲を確保することができる。なお、正面部材は光透過性材料からなるので、液晶表示装置に表示される図柄の視認性を確保できる。
【０８０１】
また、正面が凸の湾曲面とされるので、センサ装置から発光された光を正面部材の正面で反射させる場合には、センサ装置から近い位置では、反射の角度（反射角）をより鋭角とできる一方、センサ装置から遠い位置では、反射の角度（反射各）をより鈍角とすることができ、その分、物体を検出可能な範囲を拡大しやすくできる。なお、物体による反射光を正面部材の正面で反射させる場合も同様である。
【０８０２】
遊技機Ａ１において、前記正面部材は、少なくとも前記湾曲面として形成される部分の厚み寸法が略一定の値に設定されることを特徴とする遊技機Ａ２。
【０８０３】
遊技機Ａ２によれば、遊技機Ａ１の奏する効果に加え、正面部材は、少なくとも湾曲面として形成される部分の厚み寸法が略一定の値に設定されるので、正面部材が凸レンズとして作用することを抑制して、液晶表示装置に表示される図柄の視認性を確保できる。また、正面部材の背面側に空間を形成できるので、その分、他の部材（変位可能に形成される変位部材）が変位するためのスペースを確保できる。
【０８０４】
遊技機Ａ２において、前記液晶表示装置および正面部材の間を変位可能に形成される変位部材を備え、前記正面部材は、その正面部材の周縁のうちの第１部分が第２部分よりも正面側となる位置に配設されることを特徴とする遊技機Ａ３。
【０８０５】
遊技機Ａ３によれば、遊技機Ａ２の奏する効果に加え、正面部材は、その正面部材の周縁のうちの第１部分が第２部分よりも正面側となる位置に配設されるので、遊技盤の背面側と正面部材の背面側との間で変位部材が変位する際の通路として第１部分を利用することができる。一方で、正面部材の周縁のうちの第２部分が第１部分よりも背面側に位置するので、その分、限られたスペース内において、正面部材の曲率を大きくすることができる。
【０８０６】
前記正面部材の第１部分は、前記遊技盤の背面と略同一または遊技盤の背面よりも正面側となる位置に配設され、前記正面部材の第２部分は、前記遊技盤の背面よりも背面側となる位置に配設されることを特徴とする遊技機Ａ４。
【０８０７】
遊技機Ａ４によれば、遊技機Ａ３の奏する効果に加え、正面部材の第１部分は、遊技盤の背面と略同一または遊技盤の背面よりも正面側となる位置に配設されるので、変位部材が第１部分に干渉することをより確実に抑制でき、その分、変位部材の大型化を図ることができる。また、正面部材の第２部分は、遊技盤の背面よりも背面側となる位置に配設されるので、正面部材の曲率をより大きくすることができ、その分、正面部材の正面を光の反射面として利用しやすくできる。即ち、センサ装置を遊技者から視認され難くしつつ、物体を検出可能な範囲を確保することができる。
【０８０８】
遊技機Ａ３又はＡ４において、前記遊技盤の開口の内縁に配設されるセンターフレームを備え、前記変位部材は、前記遊技盤の背面側と前記正面部材の背面側との間で変位可能に形成される本体部材と、その本体部材に回転可能に配設される回転部材とを備え、前記正面部材の第２部分が前記センターフレームに連結されることを特徴とする遊技機Ａ５。
【０８０９】
遊技機Ａ５によれば、遊技機Ａ３又はＡ４の奏する効果に加え、第２部分がセンターフレームに連結されるので、変位部材（本体部材）が正面部材の背面側に変位され回転部材が回転されることで発生する風を第２部分（正面部材）により遮ることができる。その結果、風の作用により球の流下が影響を受けることを抑制できる。また、回転部材の回転により風が発生し、その風により埃や粉塵が吹き飛ばされた場合でも、第２部分（正面部材）により遮ることができるので、吹き飛ばされた埃や粉塵がセンサ装置の発光・受光の光路上に舞い上がり、検出の精度が低下することを抑制できる。
【０８１０】
遊技機Ａ５において、前記センターフレームは、球が転動可能に形成されるステージを備え、前記正面部材の第２部分は、前記センターフレームのうちの少なくともステージを含む範囲に連結されることを特徴とする遊技機Ａ６。
【０８１１】
ここで、センターフレームのステージには、そのステージを転動する球が背面側へ落下しないように、背面壁が立設されるものが従来から知られている。しかし、かかる従来品では、回転部材の回転により発生した風が、ステージから立設される背面壁の立設先端から正面側へ回り込んで、或いは、遊技盤の正面側のガラス板で折り返されて、ステージを転動する球に影響を与える。一方、ステージを転動する球に風の影響を与えなくするために、背面壁を正面側まで湾曲させて、ステージの球の周囲を覆う形状とする（即ち、閉じた通路を形成する）と、ステージを転動する球を遊技者が視認し難くなるため、遊技の興趣が損なわれる。
【０８１２】
これに対し、遊技機Ａ６によれば、遊技機Ａ５の奏する効果に加え、正面部材の第２部分は、センターフレームのうちの少なくともステージを含む範囲に連結されるので、回転部材が回転されることで発生する風を第２部分（正面部材）により遮ることができる。その結果、ステージの周囲を覆う必要がないので、ステージを転動する球を遊技者に視認させやすくしつつ、風の作用により球の流下が影響を受けることを抑制できる。
【０８１３】
遊技機Ａ５又はＡ６において、前記正面部材の第１部分は、前記遊技盤の開口における内縁またはセンターフレームとの間に所定の間隔を隔てて配設されることを特徴とする遊技機Ａ７。
【０８１４】
遊技機Ａ７によれば、遊技機Ａ５又はＡ６のいずれかにおいて、正面部材の第１部分は、前記遊技盤の開口における内縁またはセンターフレームとの間に所定の間隔を隔てて配設されるので、かかる所定の間隔を介して、遊技盤および正面部材の背面側と正面側とを連通させることができる。その結果、変位部材（本体部材または回転部材）から発生する熱が、遊技盤および正面部材の背面側にこもることを抑制できる。
【０８１５】
遊技機Ａ７において、前記正面部材の第１部分は、前記正面部材の周縁のうちの鉛直方向上側の領域に形成されることを特徴とする遊技機Ａ８。
【０８１６】
遊技機Ａ８によれば、遊技機Ａ７の奏する効果に加え、正面部材の第１部分は、その正面部材の周縁のうちの鉛直方向上側の領域に形成されるので、回転部材が回転されることで発生する風を、遊技領域のうちの上側の領域（遊技盤の開口の上側の領域）へ向けて流すことができ、風の作用により球の流下が影響を受けることを抑制できる。即ち、遊技領域のうちの上側の領域を流下する球は、発射装置から発射され遊技領域へ流入された初期の球であり、その速度が比較的速いため、例えば、センターフレームのステージ上を転動する球と比較して、風の影響を受け難い。言い換えれば、風の影響を球が受け難い領域へ向けて風を流すことができる。よって、その分、回転部材の回転速度を増加させることができ、演出効果の向上を図ることができる。
【０８１７】
ここで、変位部材（本体部材または回転部材）から熱が発生すると、その熱により温められた空気は上昇されるところ、正面部材の第１部分は、正面部材の周縁のうちの鉛直方向上側の領域に形成される、即ち、遊技盤および正面部材の背面側と正面側とを連通させる隙間（所定の間隔）をより上側に形成することができる。その結果、変位部材（本体部材または回転部材）から発生する熱を、隙間を介して遊技盤および正面部材の正面側へ流しやすくして、遊技盤および正面部材の背面側に熱がこもることを抑制できる。
【０８１８】
遊技機Ａ１からＡ８のいずれかにおいて、前記正面部材の正面は、その法線方向が少なくとも水平方向よりも下方を指向する湾曲面として形成されることを特徴とする遊技機Ａ９。
【０８１９】
ここで、正面部材は、液晶表示装置の正面側に配設されるため、遊技者の顔にほぼ対面される（真正面に向かい合う）。そのため、正面部材の正面が凸の湾曲面として形成されると、店内の天井に設置された蛍光灯や他の遊技機からの光が遊技者へ向けて反射され、遊技者が眩しく感じると共に、液晶表示装置の視認性が悪化する（正面部材に蛍光灯や他の遊技機の光が映りこむことで、液晶表示装置が見え難くなる）恐れがある。
【０８２０】
これに対し、遊技機Ａ９によれば、遊技機Ａ１からＡ８の奏する効果に加え、正面部材の正面は、その法線方向が少なくとも水平方向よりも下方を指向する湾曲面として形成されるので、正面部材の正面へ入射された光を下方へ向けて反射させることができる。即ち、店内の天井に設置された蛍光灯や他の遊技機からの光が正面部材の正面へ入射された場合に、かかる光が遊技者へ向けて反射されることを抑制でき、その結果、遊技者が眩しく感じることや、液晶表示装置の視認性が悪化することを抑制できる。
【０８２１】
遊技機Ａ９において、前記正面部材の第１部分は、前記正面部材の周縁のうちの鉛直方向上側の領域に形成され、前記正面部材は、少なくとも前記湾曲面として形成される部分の厚み寸法が略一定の値に設定されると共に、鉛直方向上方に位置する前記正面ほど水平方向成分が大きくなることを特徴とする遊技機Ａ１０。
【０８２２】
遊技機Ａ１０によれば、遊技機Ａ９の奏する効果に加え、正面部材の第１部分は、正面部材の周縁のうちの鉛直方向上側の領域に形成され、正面部材は、少なくとも湾曲面として形成される部分の厚み寸法が略一定の値に設定されると共に、鉛直方向上方に位置する正面ほど水平方向成分が大きくなるので、変位部材（本体部材または回転部材）から発生した熱により温められた空気を、正面部材の背面に沿って上昇させることができると共に、その上昇した空気（熱）を、正面部材の第１部分（遊技盤および正面部材の背面側と正面側とを連通させる隙間（所定の間隔））から遊技盤および正面部材の正面側へ流しやすくできる。その結果、遊技盤および正面部材の背面側に熱がこもることを抑制できる。
【０８２３】
＜振分け装置７００を一例とする発明の概念について＞
球が通過可能な通路を形成する通路部材を備え、前記通路部材の一部に屈曲部が形成された遊技機において、前記通路部材は、前記屈曲部の側壁に開口形成される開口を備えることを特徴とする遊技機Ｂ１。
【０８２４】
ここで、球が通過可能な通路を形成する通路部材を備えた遊技機が知られている（例えば、特開２０１５−９７７６４号公報）。この場合、通路部材の一部に屈曲部を形成することも行われる。屈曲部を形成することで、球の送球方向（通路から遊技領域へ球を流出させる位置）を変更できるので、レイアウトの自由度を高めることができる。しかしながら、上述した従来の遊技機のように、通路部材の一部に屈曲部が形成されると、屈曲部における球の流れが滞りやすい。そのため、複数の球が連なった状態で屈曲部を通過する場合に、先行する球に後行する球が追いつき、先行する球を後行する球が側壁に押し付けることで、両者が転動できなくなり、球詰まりが発生することがあるという問題点があった。
【０８２５】
これに対し、遊技機Ｂ１によれば、通路部材は、屈曲部の側壁に開口形成される開口を備えるので、複数の球が連なった状態で屈曲部を通過する場合に、先行する球に後行する球が追いついても、先行する球を側壁に押し付け難くでき、両者の転動を継続させやすくできる。その結果、球詰まりの発生を抑制できる。
【０８２６】
なお、屈曲部とは、通路部材の第１の部分とその第１の部分の下流側に連結されると共に第１の部分と球の通過方向が異なる方向とされる第２の部分とが形成される範囲を意味する。この場合、第１の部分と第２の部分とは、それぞれ直線状に延設される通路であっても良く、曲線状に湾曲して延設される通路であっても良く、又は、これらが組み合わされた形状の通路であっても良い。
【０８２７】
遊技機Ｂ１において、前記通路部材の屈曲部は、略鉛直方向に延設される鉛直通路と、その鉛直通路から下降傾斜しつつ延設される延設通路とを備え、前記開口は、前記鉛直通路と前記延設通路とが交差する領域に形成されることを特徴とする遊技機Ｂ２。
【０８２８】
遊技機Ｂ２によれば、遊技機Ｂ１の奏する効果に加え、通路部材の屈曲部は、略鉛直方向に延設される鉛直通路と、その鉛直通路から下降傾斜しつつ延設される延設通路とを備え、開口は、鉛直通路と延設通路とが交差する領域に形成されるので、球詰まりの発生を抑制できる。
【０８２９】
即ち、鉛直通路と延設通路とが交差する領域は、鉛直通路を流下（落下）した球が方向転換して延設通路の延設方向へ向けて転動を開始する位置であり、先行する球に後行する球が追いつきやすい。そのため、先行する球を後行する球が側壁に押し付けることで、両者が転動できなくなり、球詰まりが発生しやすい。これに対し、遊技機Ｂ２によれば、かかる鉛直通路と延設通路とが交差する領域に開口が形成されるので、先行する球に後行する球が追いついても、先行する球を側壁に押し付け難くでき、両者の転動を継続させやすくできる。その結果、球詰まりの発生を抑制できる。
【０８３０】
遊技機Ｂ２において、前記開口は、前記鉛直通路と前記延設通路とが交差する領域であって、前記延設通路の延設方向に沿って球が転動する際の左右の側壁に形成されることを特徴とする遊技機Ｂ３。
【０８３１】
遊技機Ｂ３によれば、遊技機Ｂ２の奏する効果に加え、開口は、鉛直通路と延設通路とが交差する領域であって、延設通路の延設方向に沿って球が転動する際の左右の側壁に形成されるので、先行する球に後行する球が追いついた場合でも、先行する球を左右の側壁に押し付け難くでき、両者の転動を継続させやすくできる。その結果、球詰まりの発生を抑制できる。
【０８３２】
遊技機Ｂ３において、前記鉛直通路と前記延設通路とが交差する領域であって、転動面となる底壁および前記延設通路の延設方向に沿って球が転動する際の背面側の側壁には、前記延設通路の下降傾斜よりも大きな角度で下降傾斜される傾斜面が形成されることを特徴とする遊技機Ｂ４。
【０８３３】
遊技機Ｂ４によれば、遊技機Ｂ３の奏する効果に加え、鉛直通路と延設通路とが交差する領域であって、転動面となる底壁および前記延設通路の延設方向に沿って球が転動する際の背面側の側壁には、延設通路の下降傾斜よりも大きな角度で下降傾斜される傾斜面が形成されるので、鉛直通路を流下（落下）する球が方向転換して延設通路の延設方向へ向けて転動を開始する際には、かかる球を傾斜面の下降傾斜を利用して速やかに転動させることができる。これにより、後行する球が追いつくよりも前に、先行する球を転動させやすくでき、先行する球が後行する球によって背面側（延設通路の延設方向に沿って球が転動する際の背面側）の側壁に押し付けられることを抑制できるので、両者の転動を継続させやすくできる。その結果、球詰まりの発生を抑制できる。
【０８３４】
なお、傾斜面の傾斜は、直線状の傾斜、曲線状の傾斜、又は、これらを組み合わせた傾斜のいずれであっても良い。また、傾斜面の下降傾斜の角度は、その傾斜面の全域で、延設通路の下降傾斜の角度よりも大きな角度である必要はなく、少なくとも傾斜面の一部における下降傾斜の角度が延設通路の下降傾斜の角度よりも大きな角度であれば足りる趣旨である。
【０８３５】
遊技機Ｂ２からＢ４のいずれかにおいて、正面側に遊技領域が形成される遊技盤を備え、前記通路部材の屈曲部のうちの少なくとも前記鉛直通路と前記延設通路とが交差する領域が前記遊技盤の正面側に配設されることを特徴とする遊技機Ｂ５。
【０８３６】
遊技機Ｂ５によれば、遊技機Ｂ２からＢ４のいずれかの奏する効果に加え、通路部材の屈曲部のうちの少なくとも鉛直通路と延設通路とが交差する領域（即ち、開口が形成される部分）が遊技盤の正面側に配設されるので、通路部材の屈曲部において球詰まりが発生した場合には、ガラス板を開放することで、遊技盤の正面側において、屈曲部に詰まった球に対して開口からアクセスすることができる。よって、球詰まりを解消する作業の作業性の向上を図ることができる。
【０８３７】
遊技機Ｂ２からＢ５のいずれかにおいて、前記開口は、前記鉛直通路と前記延設通路とが交差する領域における側壁であって、転動面となる底壁から球の半径に相当する高さ位置を含む範囲に形成されることを特徴とする遊技機Ｂ６。
【０８３８】
遊技機Ｂ６によれば、遊技機Ｂ２からＢ５のいずれかにおいて、開口は、鉛直通路と延設通路とが交差する領域における側壁であって、転動面となる底壁から球の半径に相当する高さ位置を含む範囲に形成されるので、鉛直通路を流下（落下）する球が延設通路の底壁に到達した際に、かかる球を開口に受け入れやすくできる。よって、先行する球に後行する球が追いついた場合でも、先行する球を側壁に押し付け難くでき、両者の転動を継続させやすくできる。その結果、球詰まりの発生を抑制できる。
【０８３９】
遊技機Ｂ２からＢ６のいずれかにおいて、正面側に遊技領域が形成される遊技盤を備え、前記通路部材の屈曲部のうちの少なくとも前記鉛直通路と前記延設通路とが交差する領域が前記遊技盤の正面側に配設され、前記開口は、球が通過可能な大きさに形成されることを特徴とする遊技機Ｂ７。
【０８４０】
遊技機Ｂ７によれば、遊技機Ｂ２からＢ６のいずれかにおいて、通路部材の屈曲部のうちの少なくとも鉛直通路と前記延設通路とが交差する領域（即ち、開口が形成される部分）が遊技盤の正面側に配設され、開口は、球が通過可能な大きさで形成されるので、球詰まりの発生を抑制しやすくできる。
【０８４１】
即ち、開口の大きさが、球が通過不能な大きさとされる場合には、通常は、開口を利用して、先行する球を側壁に押し付け難くできるが、例外的に、後行する球が先行する球を開口の中心へ押し付ける形態が形成され、先行する球が開口に内嵌される（嵌り込む）場合がある。この場合には、後行する球の転動が、開口に嵌り込んだ球に阻害され、球詰まりが発生する。
【０８４２】
これに対し、遊技機Ｂ７によれば、後行する球が先行する球を開口の中心へ押し付ける形態が形成された場合でも、先行する球を開口から通路部材の外部（遊技盤の正面側の遊技領域）へ排出することができ、先行する球が開口に内嵌される（嵌り込む）ことを回避できる。これにより、後行の球の転動を継続させることができるので、球詰まりの発生を抑制できる。
【０８４３】
また、このように、球が通過可能な大きさで開口が形成されると共に、その開口が遊技盤の正面側（即ち、遊技領域）に配設されることで、遊技領域を流下する球を開口から通路部材へ流入させることができる。よって、遊技の興趣の向上を図ることができる。例えば、屈曲部よりも下流に入賞球を検出するセンサが配設される場合には、屈曲部よりも上流から通路部材へ流入した球に加え、開口から通路部材へ流入した球も入賞口として検出させることができる。特に、この場合には、開口（鉛直通路と前記延設通路とが交差する領域）は、遊技盤の正面側に配設されるので、開口から通路部材へ流入する球を遊技者に視認させることができる。
【０８４４】
遊技機７において、前記開口の内縁下端は、前記延設通路の底壁から所定距離だけ離間された位置に設定されることを特徴とする遊技機Ｂ８。
【０８４５】
遊技機Ｂ８によれば、遊技機Ｂ７の奏する効果に加え、開口の内縁下端は、延設通路の底壁から所定距離だけ離間された位置に設定されるので、開口の内縁下端と延設通路の底壁との間に側壁を残す（形成する）ことができる。よって、球が通過可能な大きさに開口が形成される場合であっても、かかる開口を介して、通路部材から外部（遊技領域）へ不必要に球が流出することを抑制できる。
【０８４６】
遊技機Ｂ１からＢ８において、前記通路部材は、前記屈曲部へ向けて下降傾斜して形成され前記屈曲部の上流側に連結される共に遊技領域の幅方向に沿って略直線状に延設される傾斜通路を備え、前記傾斜通路の上流側を遊技領域の幅方向中央に位置させると共に前記屈曲部を遊技領域の幅方向外側に位置させる姿勢で前記通路部材が一対配置されると共に、それら一対の通路部材における屈曲部の間に入賞装置が位置されることを特徴とする遊技機Ｂ９。
【０８４７】
遊技機Ｂ９によれば、通路部材は、屈曲部へ向けて下降傾斜して形成され屈曲部の上流側に連結される共に遊技領域の幅方向に沿って略直線状に延設される傾斜通路を備え、傾斜通路の上流側を遊技領域の幅方向中央に位置させると共に屈曲部を遊技領域の幅方向外側に位置させる姿勢で通路部材が一対配置されると共に、それら一対の通路部材における屈曲部の間に入賞装置が位置される。
【０８４８】
この場合、傾斜通路の下降傾斜の角度が小さく（下降傾斜が緩やかに）されると、球の流下速度が低くなり、屈曲部において球詰まりを発生させやすくなる。一方で、傾斜通路の下降傾斜の角度が大きく（下降傾斜が急と）されると、球の流下速度を速くして、屈曲部における球詰まりを発生し難くできるが、傾斜通路の配設に必要な高さ方向のスペースが嵩み、入賞装置の配設が困難となる。
【０８４９】
これに対し、遊技機Ｂ９によれば、屈曲部の側壁に開口が形成されることで、かかる屈曲部における球詰まりの発生し難くできるので、その分、傾斜通路の下降傾斜の角度を小さく（下降傾斜を緩やかと）することができる。その結果、傾斜通路の配設に必要な高さ方向のスペースが抑制でき、入賞装置の配設を可能とすることができる。即ち、遊技機Ｂ９記載の通路部材および入賞装置の配置は、従来品では不可能な配置であり、上述のように、屈曲部の側壁に開口を形成することで初めて可能となったものである。
【０８５０】
遊技機Ｂ９において、正面側に遊技領域が形成される遊技盤を備え、前記通路部材の屈曲部のうちの少なくとも前記鉛直通路と前記延設通路とが交差する領域が前記遊技盤の正面側に配設され、前記通路部材の屈曲部のうちの前記遊技盤の正面側に配設された部分と前記遊技領域の下方縁部との間には少なくとも球が通過可能な隙間が形成されることを特徴とする遊技機Ｂ１０。
【０８５１】
ここで、遊技盤の中央には開口が形成され、その開口を介して液晶表示装置を遊技者に視認させる。近年、液晶表示装置の大型化の要請に伴い、遊技盤中央の開口も大きくなることで、遊技盤中央の開口の下方縁部と遊技領域の下方縁部との間のスペースが狭くされる。そのため、従来品では、遊技機９記載の通路部材および入賞装置に相当する部材を、遊技盤中央の開口の下方縁部と遊技領域の下方縁部との間のスペースに配置することが困難であった。即ち、上述したように、傾斜通路の下降傾斜の角度が小さく（下降傾斜が緩やかに）されると、球の流下速度が低くなり、屈曲部において球詰まりを発生させやすくなる。一方で、傾斜通路の下降傾斜の角度が大きく（下降傾斜が急と）されると、球の流下速度を速くして、屈曲部における球詰まりを発生し難くできるが、傾斜通路の配設に必要な高さ方向のスペースが嵩み、入賞装置の配設が困難となる。また、屈曲部の上下方向における配設位置が下がる（低くなる）ため、かかる屈曲部と遊技領域の下方縁部との間に球が通過可能な隙間を確保することが困難となり、屈曲部の両側にそれぞれアウト口を設けることが必要となる。
【０８５２】
これに対し、遊技機Ｂ１０によれば、遊技機Ｂ９の奏する効果に加え、屈曲部の側壁に開口が形成されることで、かかる屈曲部における球詰まりの発生し難くできるので、その分、傾斜通路の下降傾斜の角度を小さく（下降傾斜を緩やかと）することができる。その結果、屈曲部の上下方向における配設位置を上げる（高くする）ことができるので、かかる屈曲部と遊技領域の下方縁部との間に球が通過可能な隙間を確保することができる。よって、屈曲部の両側にそれぞれアウト口を設けることを不要とできる。即ち、遊技機Ｂ９記載の通路部材および入賞装置の配置において、更に、遊技機Ｂ１０記載の配置（屈曲部と遊技領域の下方縁部との間に球が通過可能な隙間が形成された配置）は、従来品では不可能な配置であり、上述のように、屈曲部の側壁に開口を形成することで初めて可能となったものである。
【０８５３】
＜回転ユニット５００を一例とする発明の概念について＞
複数の発光手段を有し、回転位置に応じて前記発光手段を点滅させることで、残像効果による残像表示を行う回転表示装置を備えた遊技機において、前記回転表示装置は、前記複数の発光手段が列設される基板と、その基板を収容する本体部材と、その本体部材を回転可能に軸支するベース部材とを備え、前記本体部材は、前記発光手段の光を透過させる透過部と、回転方向に面する側壁に貫通形成される複数の貫通孔を備えることを特徴とする遊技機Ｃ１。
【０８５４】
ここで、複数の発光手段（ＬＥＤ）を有し、回転位置に応じて発光手段を点滅させることで、残像効果による残像表示を行う回転表示装置を備えた遊技機が知られている（例えば、特開２０１５−１００３８５号公報や特開２０１５−０５３９６８号公報など）。
【０８５５】
この場合、特開２０１５−１００３８５号公報の技術では、発光手段が露出されているため、外観が損なわれる。一方、特開２０１５−０５３９６８号公報の技術では、透光性を有する部材（押しボタン）を通して、発光手段の光を視認させる。よって、発光手段は露出されない。しかしながら、この場合、発光手段が配設された部材（リール）を回転させても、その回転は視認されないため、残像効果による残像表示を行う意味がない。即ち、複数の発光手段をマトリックス状に縦横に配列し、それら各発光手段の点滅を制御することによっても、同様の表示を行うことができる。
【０８５６】
そこで、本願出願人は、複数の発光手段が列設される基板を本体部材に収容し、その本体部材をベース部材に回転可能に軸支させた回転表示装置を考案した（本願出願時において未公知）。これによれば、発光手段が本体部材に収容されているので、発光手段が視認され難く、外観が損なわれない。また、本体部材の回転が視認可能な状態で、発光手段の点滅による残像表示を視認させるので、興趣を高められる。しかしながら、この場合、発光手段が本体部材に収容されるので、発光手段の冷却が困難であるという問題点を新たに見出した。発光手段（ＬＥＤ）やそれを制御するＩＣ・コンデンサ等は、基盤にはんだ付けされるところ、これら発光手段やＩＣ・コンデンサが動作する際の発熱を十分に冷却できない場合には、はんだが溶けて、接触不良を招く恐れがある。
【０８５７】
これに対し、遊技機Ｃ１によれば、本体部材は、回転方向に面する側壁に貫通形成される複数の貫通孔を備えるので、本体部材が回転される際に、複数の貫通孔から本体部材の内部へ外気を取り込むことができる。よって、発光手段が動作する際の発熱を冷却することができる。
【０８５８】
遊技機Ｃ１において、前記本体部材は、背面側が開放された容器状の形状に形成されることを特徴とする遊技機Ｃ２。
【０８５９】
遊技機Ｃ２によれば、遊技機Ｃ１の奏する効果に加え、本体部材は、背面側が開放された容器状の形状に形成されるので、側壁の貫通孔から取り込んだ外気を背面側から効率的に排気することができる。よって、発光手段が動作する際の発熱を冷却することができる。また、このように、本体部材の背面側から排気することで、かかる排気が、遊技領域を流下（又は、ステージを転動する）球に影響を与えることを抑制できる。
【０８６０】
遊技機Ｃ２において、前記本体部材は、本体部材の回転平面における直径方向に沿う長尺形状となる正面視矩形状に形成されると共に、正面側を形成する正面壁が長手方向端部側ほど背面側に後退する湾曲形状に形成されることを特徴とする遊技機Ｃ３。
【０８６１】
遊技機Ｃ３によれば、遊技機Ｃ２の奏する効果に加え、本体部材は、本体部材の回転平面における直径方向に沿う長尺形状となる正面視（即ち、回転軸方向視）矩形状に形成されるので、本体部材の回転に伴う遠心力を利用して、本体部材の内部の空気を長手方向端部側（回転時の径方向外方）へ流動させ、背面側から排気することができる。よって、かかる空気の流動に伴って、回転軸およびその近傍において、背面側から外気を本体部材へ取り込むことができる。即ち、回転軸およびその近傍では、回転速度が低いため、側壁の貫通孔からの外気の取り込み効率が悪い（又は取り込めない）ところ、遠心力を利用した空気の循環（回転軸およびその近傍における背面側から外気を取り込み、その取り込んだ外気を遠心力で長手方向端部側（回転時の径方向外方）へ流動させ、径方向外方側における背面側から排気する空気の流動）を形成することができる。その結果、発光手段が動作する際の発熱を冷却することができる。特に、回転軸およびその近傍に配設される発光手段の冷却を達成することができる。
【０８６２】
この場合、本体部材の正面側を形成する正面壁が、本体部材の回転平面に平行な形状であると（即ち、本体部材が直方体形状であると）、遠心力で長手方向端部（回転時の径方向外方）へ流動された空気が背面側へ向けて方向転換する部分の角度が略直角となるため、かかる部分で渦が形成されやすくなる。そのため、空気の流れが阻害され、背面側からのスムーズな排気が困難となる。
【０８６３】
これに対し、遊技機Ｃ３によれば、正面側を形成する正面壁が長手方向端部側ほど背面側に後退する湾曲形状に形成されるので、遠心力により長手方向端部側（回転時の径方向外方）へ流動される空気を徐々に背面側へ流動させることができると共に、長手方向端部（径方向外方）へ流動された空気が背面側へ向けて方向転換する部分の角度を略直角よりも大きくできるため、かかる部分での渦の形成を抑制して、空気の流れを円滑とできる。よって、背面側からの排気をよりスムーズに行える。その結果、回転軸およびその近傍に配設される発光手段の冷却をより確実に達成することができる。
【０８６４】
遊技機Ｃ２又はＣ３において、前記本体部材は、回転軸およびその回転軸の近傍における背面側の開放面積が、長手方向端部側における背面側の開放面積よりも大きくされることを特徴とする遊技機Ｃ４。
【０８６５】
遊技機Ｃ４によれば、遊技機Ｃ２又はＣ３の奏する効果に加え、本体部材は、回転軸およびその回転軸の近傍における背面側の開放面積が、長手方向端部側における背面側の開放面積よりも大きくされるので、回転に伴う遠心力を利用して、本体部材の内部の空気を長手方向端部側（回転時の径方向外方）へ流動させ、径方向外方側における背面側から排気することで、回転軸およびその近傍における背面側から外気を取り込む際に、その取込を効率的に行うことができる。
【０８６６】
遊技機Ｃ４において、前記本体部材は、回転軸およびその回転軸の近傍における背面側の開放部分が、回転軸と同心の円形に形成されることを特徴とする遊技機Ｃ５。
【０８６７】
遊技機Ｃ５によれば、遊技機Ｃ４の奏する効果に加え、本体部材は、回転軸およびその回転軸の近傍における背面側の開放部分が、回転軸と同心の円形に形成されるので、本体部材の回転に伴って、回転軸およびその近傍の背面側の外気が乱れる（回転方向の流動が形成される）ことを抑制できる。その結果、回転軸およびその近傍における背面側から外気を効率的に取り込むことができる。
【０８６８】
遊技機Ｃ２からＣ５のいずれかにおいて、前記ベース部材に本体部材を回転可能に軸支する軸部材を備え、その軸部材は、前記本体部材の背面側から背面側へ向かうに従って縮径されることを特徴とする遊技機Ｃ６。
【０８６９】
遊技機Ｃ６によれば、遊技機Ｃ２からＣ５のいずれかの奏する効果に加え、ベース部材に本体部材を回転可能に軸支する軸部材は、本体部材の背面側から背面側へ向かうに従って縮径されるので、本体部材の回転に伴って、回転軸およびその近傍における背面側から外気を取り込む際には、軸部材の外周面に沿う外気の流れを円滑とでき、流動抵抗を低減できる。その結果、回転軸およびその近傍における背面側から外気の取りこみを効率化できるので、回転軸およびその近傍に配設される発光手段の冷却をより確実に達成することができる。
【０８７０】
遊技機Ｃ１からＣ６のいずれかにおいて、前記基板は、前記発光手段が搭載される面またはその面と反対側の面を前記本体部材の側壁に対面させる姿勢で前記本体部材に収納されることを特徴とする遊技機Ｃ７。
【０８７１】
遊技機Ｃ７によれば、遊技機Ｃ１からＣ６のいずれかの奏する効果に加え、基板は、発光手段が搭載される面またはその面と反対側の面を本体部材の側壁に対面させる姿勢で本体部材に収納されるので、側壁に貫通形成された貫通孔から導入される外気を、発光手段又はＩＣ・コンデンサへ効率的に噴き付けて、放熱効果を高めることができる。その結果、発光手段又はＩＣ・コンデンサが動作する際の発熱を効果的に冷却することができる。また、基板が本体部材に収容される姿勢が、基板の表面または裏面を本体部材の側壁に対面させる姿勢とされることで、本体部材の正面視の幅寸法（長手方向に直交する方向の寸法）を小さくできる。その結果、本体部材（回転表示装置）が停止された状態において、その背面側に配設される部材や装置の視認性を確保できる。
【０８７２】
遊技機Ｃ１からＣ７のいずれかにおいて、前記回転表示装置の本体部材の変位領域に煙を発生させる煙発生手段を備えることを特徴とする遊技機Ｃ８。
【０８７３】
遊技機Ｃ８によれば、遊技機Ｃ１からＣ７のいずれかの奏する効果に加え、回転表示装置の本体部材の変位領域に煙を発生させる煙発生手段を備えるので、発光手段の点滅を際立たせることができる。また、煙により回転表示装置を隠しつつ、発光手段の点滅のみを視認させることができ、光による演出効果を高めることができる。
【０８７４】
なお、従来の回転表示装置では、本体部材の回転に伴って、煙が外周側に押し出されて、煙の効果を得ることが困難であったが、本発明によれば、本体部材に貫通孔が形成され、外気を循環させることができるので、煙を本体部材の周囲に留まらせることができる。その結果、煙が充満した雰囲気中で発光手段を点滅させることができ、上述した効果を奏することができる。
【０８７５】
煙発生装置としては、例えば、水性又は油性のオイル（リキッド）を加熱・気化させて煙（スモーク）を発生させるタイプ、リキッド（水性・油性）をコンプレッサーにて加圧・拡散させ、空気中に細かい粒子として滞留させるタイプ、炭酸ガスを噴出させるタイプなどが例示される。
【０８７６】
遊技機Ｃ８において、中央に開口を有する遊技盤と、その遊技盤の開口を介して視認可能に配設される液晶表示装置と、前記液晶表示装置の正面側に配設され、正面側に凸に湾曲して形成されると共に光透過性材料からなる正面部材とを備え、前記回転表示部材の少なくとも本体部材が前記液晶表示装置と前記正面部材との間に位置されることを特徴とする遊技機Ｃ９。
【０８７７】
遊技機Ｃ９によれば、遊技機Ｃ８の奏する効果に加え、中央に開口を有する遊技盤と、その遊技盤の開口を介して視認可能に配設される液晶表示装置と、液晶表示装置の正面側に配設され、正面側に凸に湾曲して形成されると共に光透過性材料からなる正面部材とを備え、回転表示部材の少なくとも本体部材が液晶表示装置と正面部材との間に位置されるので、煙発生装置から発生した煙を本体部材の変位領域に留まらせやすく（閉じ込めやすく）できる。よって、煙が充満する雰囲気中で発光手段を点滅させて、その点滅を際立たせることや、煙により回転表示装置を隠しつつ、発光手段の点滅のみを視認させることが行いやすくできる。その結果、光による演出効果を高めることができる。特に、正面部材が正面へ向けて凸に湾曲されるので、その正面部材の背面側の空間に煙を留めやすくできる。その結果、上述した煙を利用した光の演出効果を高めやすくできる。
【０８７８】
＜回転ユニット５００を一例とする発明の概念について＞
ベース部材と、そのベース部材に対して第１位置および第２位置の間で変位される本体部材と、その本体部材に変位可能に配設される変位部材とを備え、前記本体部材が少なくとも前記第１位置に配置された状態で前記変位部材が変位される遊技機において、前記ベース部材または本体部材の一方に回転可能に軸支される回転部材と、前記本体部材が前記第１位置に配置された状態で前記回転部材の外周面に当接可能に対面されると共に前記ベース部材または本体部材の他方に配設される当接部材とを備え、前記本体部材が第１位置へ配置される際の変位方向と前記回転部材の回転方向とが略平行に設定されることを特徴とする遊技機Ｄ１。
【０８７９】
ここで、ベース部材と、そのベース部材に対して第１位置および第２位置の間で変位される本体部材と、その本体部材に変位可能に配設される変位部材とを備え、本体部材が第１位置に配置された状態で変位部材が変位可能に形成された遊技機が知られている（例えば、特開２０１３−１６２９９０号公報）。
【０８８０】
この場合、本体部材が第１位置に配置され、変位部材が変位されると、その変位部材の変位に伴って、本体部材がベース部材に対してがたつくことがある。そこで、本体部材とベース部材とを係合させる係合手段を設け、がたつきを抑制するものがある。係合手段は、本体部材またはベース部材の一方に配設され付勢手段により付勢される係合部材と、その係合部材に係合可能に形成されると共に本体部材またはベース部材の他方に配設される被係合部材とを備え、ベース部材に対する本体部材の変位（第１位置へ向かう変位）を利用して、係合部材を付勢手段の付勢力に抗しつつ後退させ、本体部材が第１位置に配置されると、係合部材を付勢手段の付勢力で前進させて被係合部材に係合させる。これにより、ベース部材に対する本体部材の相対的な変位が係合手段の係合により規制され、変位部材の変位に伴う本体部材のベース部材に対するがたつきが抑制される。
【０８８１】
しかしながら、このような従来の係合手段では、係合手段を係合状態とする（本体部材を第１位置に配置する）ためには、付勢手段の付勢力に抗して係合部材を後退させる必要があるだけでなく、係合手段の係合状態を解除する（本体部材を第１位置から第２位置へ向けて変位させる）際にも、付勢手段の付勢力に抗して係合部材を後退させる必要があり、本体部材をベース部材に対して変位させる際に必要な駆動力が嵩むという問題点があった。
【０８８２】
これに対し、遊技機Ｄ１によれば、ベース部材または本体部材の一方に回転可能に軸支される回転部材と、本体部材が第１位置に配置された状態で回転部材の外周面に当接可能に対面されると共にベース部材または本体部材の他方に配設される当接部材とを備えるので、回転部材の外周面に当接部材が当接されることで、ベース部材に対する本体部材の相対的な変位を規制して、変位部材の変位に伴う本体部材のベース部材に対するがたつきを抑制できる。この場合、本体部材が第１位置へ配置される際の変位方向と回転部材の回転方向とが略平行に設定されるので、本体部材を第１位置へ配置する際および第１位置から第２位置へ変位させる際には、その変位に伴って回転部材を回転させることができるので、本体部材をベース部材に対して変位させる際に必要な駆動力を抑制できる。
【０８８３】
遊技機Ｄ１において、前記回転部材は、少なくとも外周面側が弾性変形可能な弾性体から形成されることを特徴とする遊技機Ｄ２。
【０８８４】
遊技機Ｄ２によれば、遊技機Ｄ１の奏する効果に加え、回転部材は、少なくとも外周面側が弾性変形可能な弾性体から形成されるので、回転部材の外周面に当接部材が当接される際には、回転部材の外周面側を弾性変形させて、当接部材に回転部材を保持させやすくできる。これにより、回転部材を回転し難くして、ベース部材に対する本体部材の相対的な変位を規制できるので、変位部材の変位に伴う本体部材のベース部材に対するがたつきを抑制できる。
【０８８５】
なお、弾性体としては、ゴムやウレタンなどに例示される粘弾性体であることが好ましい。この場合には、その制振効果によって、変位部材の変位に伴い本体部材からベース部材へ入力される振動を減衰・絶縁させる振動減衰機能または振動絶縁機能を果たすことができ、ベース部材側に配設される各種機器の摩耗や故障、締結部の緩みなどを抑制できるからである。特に、変位部材が周期的に変位される場合（例えば、バーサライタとして機能するために、比較的高速で回転される場合など）には、比較的小振幅かつ高周波数の振動が本体部材からベース部材へ入力されるため、粘弾性体を採用することが特に有効となる。
【０８８６】
遊技機Ｄ１又はＤ２において、前記回転部材は、径方向に変位可能に形成され、前記ベース部材または本体部材の一方は、前記本体部材が前記第１位置に配置された状態で、前記回転部材を挟んで前記当接部材と対向配置されると共に、回転部材の外周面に当接可能に対面される対向部材を備えることを特徴とする遊技機Ｄ３。
【０８８７】
遊技機Ｄ３によれば、遊技機Ｄ１又はＤ２の奏する効果に加え、回転部材は、径方向に変位可能に形成され、ベース部材または本体部材の一方は、本体部材が第１位置に配置された状態で、回転部材を挟んで当接部材と対向配置されると共に、回転部材の外周面に当接可能に対面される対向部材を備えるので、変位部材の変位に伴う本体部材のベース部材に対するがたつきにより、回転部材の外周面に当接部材が当接された際には、回転部材の反対側の外周面を対向部材に当接させることができる。即ち、当接部材と対向部材との間に回転部材を挟み込むことができる。これにより、回転部材を回転し難くして、ベース部材に対する本体部材の相対的な変位を規制できるので、変位部材の変位に伴う本体部材のベース部材に対するがたつきを抑制できる。
【０８８８】
なお、回転部材を径方向へ変位可能とする形態としては、例えば、回転部材を回転可能に軸支する軸が径方向に変位可能に形成される形態、回転部材を回転可能に軸支する軸の外径がその軸を受け入れる回転部材の挿通孔の内径よりも小さくされる形態、回転部材に固定される軸の外径がその軸を受け入れる本体部材またはベース部材の一方の挿通孔よりも小さくされる形態などが例示される。
【０８８９】
遊技機Ｄ３において、前記ベース部材または本体部材の一方に固定される軸を備え、前記回転部材は、前記軸が挿通される軸支孔を内周側に備える断面円環形状に弾性体から形成され、前記回転部材の径方向への変位は、前記弾性体が弾性変形されることで形成されることを特徴とする遊技機Ｄ４。
【０８９０】
遊技機Ｄ４によれば、遊技機Ｄ３の奏する効果に加え、回転部材の径方向への変位は、弾性体が弾性変形されることで形成されるので、変位部材の変位に伴う本体部材のベース部材に対するがたつきにより、当接部材と対向部材との間に回転部材が挟み込まれた場合には、回転部材（弾性体）の弾性回復力を利用して、当接部材および対向部材に回転部材をより強固に保持させやすくできる。これにより、回転部材を回転し難くして、ベース部材に対する本体部材の相対的な変位を規制できるので、変位部材の変位に伴う本体部材のベース部材に対するがたつきを抑制できる。
【０８９１】
また、このように、回転部材の径方向への変位を、弾性体の弾性変形を利用して行う構成とすることで、回転部材の軸支孔に挿通される軸を、径方向に可動な軸として形成する必要がなく、ベース部材または本体部材の一方に固定される軸として形成できる。これにより、構造を簡素化して、耐久性の向上と製品コストの削減とを図ることができる。
【０８９２】
遊技機Ｄ１からＤ４のいずれかにおいて、前記ベース部材または本体部材の一方には、前記回転部材が一対配設され、それら一対の回転部材は、前記本体部材が第１位置へ配置される際の変位方向に所定間隔を隔てつつ並設されることを特徴とする遊技機Ｄ５。
【０８９３】
遊技機Ｄ５によれば、遊技機Ｄ１からＤ４のいずれかの奏する効果に加え、ベース部材または本体部材の一方には、回転部材が一対配設され、それら一対の回転部材は、本体部材が第１位置へ配置される際の変位方向に所定間隔を隔てつつ並設されるので、本体部材をベース部材に対して変位させる際に必要な駆動力を抑制しつつ、変位部材の変位に伴う本体部材のベース部材に対するがたつきを効果的に抑制できる。
【０８９４】
即ち、回転部材の外周面に当接部材が当接されることで、ベース部材に対する本体部材の相対的な変位を規制するところ、当接部材に当接される対象が１の回転部材のみであると、回転部材が回転されて当接部材が傾倒するおそれがあり、かかる回転部材の回転に伴う当接部材の傾倒は、変位部材の変位に伴う本体部材のベース部材に対するがたつきの要因となる。
【０８９５】
これに対し、遊技機Ｄ５によれば、一対の回転部材が所定間隔を隔てつつ並設されるので、これら一対の回転部材に対して、当接部材が所定間隔を隔てて２カ所で当接されるので、回転部材を回転させずに当接することができ、当接部材が傾倒することを抑制できる。その結果、変位部材の変位に伴う本体部材のベース部材に対するがたつきを効果的に抑制できる。
【０８９６】
遊技機Ｄ１からＤ５のいずれかにおいて、前記当接部材は、前記回転部材が当接される当接面のうちの前記本体部材が第１位置へ配置される際に前記回転部材を受け入れる側の端部に前記当接面から離間するに従って下降傾斜される傾斜面が形成されることを特徴とする遊技機Ｄ６。
【０８９７】
遊技機Ｄ６によれば、遊技機Ｄ１からＤ５のいずれかの奏する効果に加え、当接部材は、回転部材が当接される当接面のうちの本体部材が第１位置へ配置される際に回転部材を受け入れる側の端部に当接面から離間するに従って下降傾斜される傾斜面が形成されるので、本体部材が第１位置へ配置される際には、傾斜面を利用して、回転部材を当接部材の当接面へ案内することができる。これにより、本体部材を第１位置へ配置する際に必要な駆動力を抑制できる。
【０８９８】
遊技機Ｄ１からＤ６のいずれかにおいて、前記回転部材が前記ベース部材に配設されると共に、前記当接部材が前記本体部材に配設されることを特徴とする遊技機Ｄ７。
【０８９９】
遊技機Ｄ７によれば、遊技機Ｄ１からＤ６のいずれかの奏する効果に加え、回転部材がベース部材に配設されると共に、当接部材が本体部材に配設されるので、比較的重量が嵩む回転部材を配設する必要ない分、本体部材を軽量化して、本体部材の変位に必要な駆動力を抑制できる。また、変位部材の変位に伴う本体部材のベース部材に対するがたつきを抑制する際には、振動源側となる本体部材を軽量化できることで、がたつきを抑制しやすくできる。
【０９００】
遊技機Ｄ１からＤ７のいずれかにおいて、前記変位部材は、前記本体部材に回転可能に配設され、その変位部材の回転平面が、前記当接部材の前記回転部材に当接される当接面と前記回転部材の回転軸とにそれぞれ略平行とされることを特徴とする遊技機Ｄ８。
【０９０１】
遊技機Ｄ８によれば、遊技機Ｄ１からＤ７のいずれかの奏する効果に加え、変位部材は、本体部材に回転可能に配設され、その変位部材の回転平面が、当接部材の回転部材に当接される当接面と回転部材の回転軸とにそれぞれ略平行とされるので、本体部材を第１位置へ配置する際および第１位置から第２位置へ変位させる際に必要な駆動力を抑制しつつ、変位部材の変位（回転）に伴う本体部材のベース部材に対するがたつきを効果的に抑制できる。
【０９０２】
即ち、変位部材の変位形態が回転であるので、本体部材は、変位部材の歳差運動（変位部材の回転軸が円をえがくように振れる運動）に起因して、変位部材の回転平面を傾倒させる態様（モード）で振動される。よって、変位部材の回転平面が、当接部材の当接面と回転部材の回転軸とにそれぞれ略平行とされることで、当接部材の当接面を、回転部材の回転軸に直交する方向から回転部材の外周面に押し付けることができる。その結果、本体部材を第１位置へ配置する際および第１位置から第２位置へ変位させる際には、回転部材が回転されることで、本体部材の変位に必要な駆動力を抑制しつつ、回転部材の外周面への当接部材の当接により、変位部材の変位（回転）に伴う本体部材のベース部材に対するがたつきを効果的に抑制できる。
【０９０３】
遊技機Ｄ１からＤ８のいずれかにおいて、駆動力を発生する駆動手段と、その駆動力を前記本体部材へ伝達して前記第１位置および第２位置の間で変位させる伝達手段とを備え、前記伝達手段は、前記駆動手段の駆動力により第１軸を回転中心として回転される回転体およびその回転体の第１軸から偏心して前記回転体から突設されるピン部を有するクランク部材と、そのクランク部材のピン部が摺動する案内溝を有し前記ピン部が前記案内溝に沿って摺動することで第２軸を回転中心として回転されると共にその回転に伴って前記本体部材を変位させるアーム部材とを備え、前記本体部材が前記第１位置に配置された状態では、前記クランク部材の第１軸とピン部の軸心とを結ぶ直線が、前記アーム部材の第２軸と前記クランク部材のピン部の軸心とを結ぶ直線に対して略直交されることを特徴とする遊技機Ｄ９。
【０９０４】
遊技機Ｄ９によれば、遊技機Ｄ１からＤ８のいずれかの奏する効果に加え、本体部材のがたつきを効果的に抑制できる。
【０９０５】
ここで、本発明では、本体部材が第１位置へ配置される際の変位方向と回転部材の回転方向とが略平行に設定される。そのため、第１位置における本体部材のがたつき方向が、第１位置から第２位置へ又はその逆へ向かう方向であると、かかる方向に対しては、回転部材が回転しやすくなるため、その回転部材によるがたつき抑制の効果が発揮され難くなる。
【０９０６】
これに対し、遊技機Ｄ９によれば、本体部材が第１位置に配置された状態では、クランク部材の第１軸とピン部の軸心とを結ぶ直線が、アーム部材の第２軸とクランク部材のピン部の軸心とを結ぶ直線に対して略直交されるので、本体部材が、その変位によりアーム部材を回転させようとしても、クランク部材を回転させる方向の力成分が形成されない状態（即ち、死点）を形成できる。即ち、第１位置から第２位置へ又はその逆へ向かう方向の本体部材のがたつきを抑制できる。これにより、本体部材のがたつきの方向が、第１位置から第２位置へ又はその逆へ向かう方向（即ち、回転部材が回転しやすい方向）であっても、クランク部材およびアーム部材が死点を形成することで、本体部材のがたつきを効果的に抑制できる。
【０９０７】
＜規制ユニット４９０を一例とする発明の概念について＞
複数の発光手段を有し、回転位置に応じて前記発光手段を点滅させることで、残像効果による残像表示を行う回転表示装置を備えた遊技機において、前記回転表示装置は、前記複数の発光手段が列設される基板と、その基板を収容する本体部材と、その本体部材を回転可能に軸支するベース部材とを備え、前記基板は、前記発光手段が搭載される面を前記本体部材の回転軸と略平行とする姿勢で前記本体部材に収容されることを特徴とする遊技機Ｅ１。
【０９０８】
ここで、複数の発光手段（ＬＥＤ）を有し、回転位置に応じて発光手段を点滅させることで、残像効果による残像表示を行う回転表示装置を備えた遊技機が知られている（例えば、特開２０１５−１００３８５号公報や特開２０１５−０５３９６８号公報など）。しかしながら、上述した従来の技術では、基板の姿勢が、発光手段が搭載される面を回転軸に直交させる姿勢（即ち、発光手段の照射方向を正面側（遊技者側）へ向けた回転平面と平行な姿勢）とされるため、正面視（回転軸方向視）における外形が大型化する。そのため、回転表示装置の回転が停止された状態において、その回転表示装置の背面側の視認性が阻害されるという問題点があった。
【０９０９】
これに対し、遊技機Ｅ１によれば、回転表示装置は、複数の発光手段が列設される基板と、その基板を収容する本体部材と、その本体部材を回転可能に軸支するベース部材とを備え、基板は、発光手段が搭載される面を本体部材の回転軸と略平行とする姿勢で本体部材に収容されるので、正面視（回転軸方向視）における本体部材の外形を抑制することができる。その結果、回転表示装置（本体部材）の回転が停止された状態において、その本体部材の背面側の視認性を向上させることができる。
【０９１０】
遊技機Ｅ１において、前記回転表示装置は、前記基板の前記発光手段が搭載される面に対向配置される対向部材を備えることを特徴とする遊技機Ｅ２。
【０９１１】
遊技機Ｅ２によれば、遊技機Ｅ１の奏する効果に加え、回転表示装置は、基板の発光手段が搭載される面に対向配置される対向部材を備えるので、発光手段から発光された光を対向部材で反射させて、回転表示装置の正面側（遊技者側）へ出射させることができる。よって、基板の姿勢を、発光手段が搭載される面を回転軸に略平行とする姿勢とした場合でも、発光手段の光（点滅）を遊技者に視認させ、残像効果による残像表示を行うことができる。
【０９１２】
遊技機Ｅ２において、前記対向部材は、前記基板に対向する面に凹設されると共に前記本体部材の回転軸に略平行な溝状に延設される複数の凹部を備え、それら複数の凹部に前記複数の発光手段がそれぞれ対面されることを特徴とする遊技機Ｅ３。
【０９１３】
遊技機Ｅ３によれば、遊技機Ｅ２の奏する効果に加え、対向部材は、基板に対向する面に凹設されると共に本体部材の回転軸に略平行な溝状に延設される複数の凹部を備え、それら複数の凹部に複数の発光手段がそれぞれ対面されるので、複数の発光手段からそれぞれ発光された光を、対向部材の複数の凹部をそれぞれ通じて、回転表示装置の正面側（遊技者側）へ出射させることができる。即ち、各発光手段から発光された光を各凹部で区画された状態で出射させることができるので、各発光手段の光の区切りを明確とできる。その結果、残像効果による残像表示の外形を明確とできる。
【０９１４】
遊技機Ｅ３において、前記対向部材の凹部は、前記回転表示装置の正面側と反対側の端部を区画する端部区画壁を備えることを特徴とする遊技機Ｅ４。
【０９１５】
遊技機Ｅ４によれば、遊技機Ｅ３の奏する効果に加え、対向部材の凹部は、回転表示装置の正面側と反対側の端部を区画する端部区画壁を備えるので、発光手段から発光され対向部材の凹部に照射された光を、端部区画壁により反射させて、回転表示装置の正面側（遊技者側）へ出射させることができる。よって、残像効果による残像表示の光の強さを高めることができる。
【０９１６】
遊技機Ｅ４において、前記凹部の端部区画壁は、前記回転表示装置の正面側ほど前記発光手段から離間する方向へ傾斜され、前記発光手段は、前記凹部の端部区画壁に対面する位置に配設されることを特徴とする遊技機Ｅ５。
【０９１７】
遊技機Ｅ５によれば、遊技機Ｅ４の奏する効果に加え、凹部の端部区画壁は、回転表示装置の正面側ほど発光手段から離間する方向へ傾斜され、発光手段は、凹部の端部区画壁に対面する位置に配設されるので、発光手段から発光された光を、端部区画壁に照射できるので、より強い光を回転表示装置の正面側（遊技者側）へ出射させることができる。よって、残像効果による残像表示の光の強さを高めることができる。
【０９１８】
遊技機Ｅ３からＥ５のいずれかにおいて、前記対向部材の凹部は、その内面の一部が凹凸面として形成されることを特徴とする遊技機Ｅ６。
【０９１９】
遊技機Ｅ６によれば、遊技機Ｅ３からＥ５のいずれかの奏する効果に加え、対向部材の凹部は、その内面の一部が凹凸面として形成されるので、発光手段から発光された光を、凹凸面により乱反射させて、均等に分散させた状態で、回転表示装置の正面側（遊技者側）へ出射させることができる。即ち、凹部の開口から出射される光が、その開口の一部に偏った状態で視認されることを抑制できる。
【０９２０】
なお、凹凸面の凹凸は、凸（突起）のみからなる面であっても良く、凹（窪み）のみからなる面であっても良い。凸または凹は、条または溝として延設されるものであっても良い。また、凸および凹の断面形状は、円形、楕円、多角形、これらを組み合わせた形状のいずれであっても良い。即ち、基準位置よりも高い部分と低い部分とが形成され、光が反射可能な複数の部分（面）が形成され、乱反射可能とされていれば、凹凸の形状は任意である。
【０９２１】
遊技機Ｅ６において、前記凹凸面は、前記対向部材の凹部の内面のうちの前記回転表示装置の正面側の端部から所定の範囲には、非形成とされ、前記所定の範囲の内面は、前記凹凸面よりも平滑な面として形成されることを特徴とする遊技機Ｅ７。
【０９２２】
遊技機Ｅ７によれば、遊技機Ｅ６の奏する効果に加え、凹凸面は、対向部材の凹部の内面のうちの回転表示装置の正面側の端部から所定の範囲には、非形成とされ、所定の範囲の内面は、凹凸面よりも平滑な面として形成されるので、回転表示装置の正面側（遊技者側）へ向けて光を出射させやすくすることができ、残像効果による残像表示の光の強さを高めることができる。即ち、対向部材の凹部の内面のうちの回転表示装置の正面側の端部から所定の範囲に凹凸面が形成されると、その凹凸面で光が乱反射して、回転表示装置の正面側（遊技者側）へ向けて出射する光を減少させてしまうところ、かかる所定の範囲の内面が、凹凸面よりも平滑な面とされることで、乱反射を抑制して、回転表示装置の正面側（遊技者側）へ向かう光を増加させることができる。
【０９２３】
遊技機Ｅ７において、前記凹凸面が非形成とされる前記所定の範囲は、前記回転表示装置の正面側の端部へ向かうに従って、その内面の断面積が大きくされることを特徴とする遊技機Ｅ８。
【０９２４】
遊技機Ｅ８によれば、遊技機Ｅ７の奏する効果に加え、凹凸面が非形成とされる所定の範囲は、回転表示装置の正面側の端部へ向かうに従って、その内面の断面積が大きくされる（即ち、拡径される）ので、回転表示装置の正面側（遊技者側）へ向けて出射される光に広がりを持たせることができる。即ち、発光領域として視認される面積を、発光手段の発光面（照射面）の面積よりも拡大できる。よって、発光手段を小型化できる。
【０９２５】
遊技機Ｅ６からＥ８のいずれかにおいて、前記対向部材の凹部は、列状に配設されると共に、前記本体部材の回転軸から径方向外方に離間して配設される前記凹凸面ほど、前記本体部材の回転軸に沿う方向の長さ寸法が大きくされることを特徴とする遊技機Ｅ９。
【０９２６】
遊技機Ｅ９によれば、遊技機Ｅ６からＥ８のいずれかの奏する効果に加え、対向部材の凹部は、本体部材の回転軸から径方向外方に離間して配設される凹凸面ほど、本体部材の回転軸に沿う方向の長さ寸法が大きくされるので、複数の凹部のそれぞれ視認される明度（光の明るさ）を均一化することができる。
【０９２７】
即ち、回転表示装置では、回転軸（回転中心）から径方向外方へ向かうほど変位速度（周速）が速くなるため、列状に配設した発光手段を同じ明るさで発光させると、回転軸に近い発光手段の光ほど、回転軸から遠い（径方向外方の）発光手段の光よりも、明度が高く（明るく）見える。
【０９２８】
これに対し、遊技機Ｅ９によれば、本体部材の回転軸から径方向外方に離間して配設される凹凸面ほど、本体部材の回転軸に沿う方向の長さ寸法が大きくされるので、本体部材の回転軸から径方向外方に離間する凹部（発光手段）ほど、凹凸面による乱反射を強くして（即ち、発光手段から直接遊技者に視認される光の割合を小さくして）、高い明度の光として視認させることができる。その結果、径方向の配設位置における目で見た明るさの差を抑制して、明度（光の明るさ）を均一化できる。
【０９２９】
遊技機Ｅ３からＥ９のいずれかにおいて、前記対向部材の凹部における前記回転表示装置の正面側の端部に覆設されると共に光透過性材料から形成されるカバー部材を備え、そのカバー部材には、少なくとも前記凹部の端部に対面する領域に凹凸面が形成されることを特徴とする遊技機Ｅ１０。
【０９３０】
遊技機Ｅ１０によれば、遊技機Ｅ３からＥ９のいずれかの奏する効果に加え、対向部材の凹部における回転表示装置の正面側の端部に覆設されると共に光透過性材料から形成されるカバー部材を備え、そのカバー部材には、少なくとも凹部の端部に対面する領域に凹凸面が形成されるので、かかる凹凸面により光を乱反射させた上で、回転表示装置の正面側（遊技者側）へ向けて出射させることができる。即ち、出射される光に広がりを持たせることができるので、発光領域として視認される面積を、発光手段の発光面（照射面）の面積よりも拡大できる。よって、発光手段を小型化できる。
【０９３１】
遊技機Ｅ３からＥ１０のいずれかにおいて、前記基板と前記対向部材との間に介設される板状の介設部材を備え、その介設部材は、前記複数の発光手段と前記複数の凹部とを通じさせる位置に貫通形成される貫通孔を備えることを特徴とする遊技機Ｅ１１。
【０９３２】
遊技機Ｅ１１によれば、遊技機Ｅ３からＥ１０のいずれかの奏する効果に加え、基板と対向部材との間に介設される板状の介設部材を備え、その介設部材は、複数の発光手段と複数の凹部とを通じさせる位置に貫通形成される貫通孔を備えるので、各発光手段の光を、対応する凹部へ確実に入射させ、隣接する凹部へ入射される（漏れる）ことを抑制できる。その結果、各発光手段から発光された光を対応する凹部のみから出射させることができ、残像効果による残像表示の外形を明確とできる。
【０９３３】
また、遊技機Ｅ１１によれば、発光手段の光を、貫通孔を介して、対応する凹部へ入射させる構造体を、対向部材および介設部材の二部材から形成するので、かかる構造体を一部材から構成する場合と比較して、構造を簡素化することができる。よって、製品コストの削減を図ることができる。
【０９３４】
遊技機Ｅ１１において、前記介設部材は、前記発光手段に当接する座部を備え、その座部に前記貫通孔が形成されることを特徴とする遊技機Ｅ１２。
【０９３５】
遊技機Ｅ１２によれば、遊技機Ｅ１１の奏する効果に加え、介設部材は、前記発光手段に当接する座部を備え、その座部に前記貫通孔が形成されるので、各発光手段の光を貫通孔へ入射させやすくでき、貫通孔の外へ漏れることを抑制できる。その結果、残像効果による残像表示の光の強さを高めることができる。また、座部が発光手段に当接されることで、隣接する発光手段の光が貫通孔へ入射されることを抑制できるので、残像効果による残像表示の外形を明確とできる。
【０９３６】
遊技機Ｅ１２において、前記発光手段の照射面が正面視円形に形成されると共に、その照射面の外径と略同一の内径の断面円形に前記貫通孔が形成され、それら照射面と貫通孔とが同心に配置されることを特徴とする遊技機Ｅ１３。
【０９３７】
遊技機Ｅ１３によれば、遊技機Ｅ１２の奏する効果に加え、発光手段の照射面が正面視円形に形成されると共に、その照射面の外径と略同一の内径の断面円形に前記貫通孔が形成され、それら照射面と貫通孔とが同心に配置されるので、発光手段から発光された光を、貫通孔を介して凹部へ効率的に入射させることができる。
【０９３８】
遊技機Ｅ１３において、前記貫通孔は、前記基板側から前記対向部材へ向けて内径が拡径されることを特徴とする遊技機Ｅ１４。
【０９３９】
遊技機Ｅ１４によれば、遊技機Ｅ１３の奏する効果に加え、貫通孔は、前記基板側から前記対向部材へ向けて内径が拡径されるので、発光手段から発光された光を、貫通孔を介して凹部へ効率的に入射させることができる。また、発光手段に当接する面積を確保できるので、各発光手段の光が貫通孔の外へ漏れることを抑制できる。その結果、残像効果による残像表示の光の強さを高めることができる。
【０９４０】
遊技機Ｅ１２からＥ１４のいずれかにおいて、前記座部は、前記介設部材の前記基板と対向する面から突出して形成されることを特徴とする遊技機Ｅ１５。
【０９４１】
遊技機Ｅ１５によれば、遊技機Ｅ１２からＥ１４のいずれかの奏する効果に加え、座部は、介設部材の基板と対向する面から突出して形成されるので、その突出の分、基板と対向部材との間に空間を形成することができ、発光手段の動作により発生する熱の放熱を行うことができる。
【０９４２】
遊技機Ｅ１５において、前記介設部材は、前記基板に対向する面に凹設されると共に前記座部の基部に沿って延設される溝状の溝部を備えることを特徴とする遊技機Ｅ１６。
【０９４３】
遊技機Ｅ１６によれば、遊技機Ｅ１５の奏する効果に加え、対向部材は、基板に対向する面に凹設されると共に座部の基部に沿って延設される溝状の溝部を備えるので、介設部材の剛性を確保しつつ、放熱効果を高めることができる。即ち、座部の基部に沿って延設される溝状の溝部を形成することで、介設部材に凹設される領域を最小として、その介設部材の剛性を確保しつつ、発光手段の動作により発生する熱が特に集中する部分に対して空間を拡大して、放熱効果を高めることができる。
【０９４４】
遊技機Ｅ１５又はＥ１６において、前記座部は、隣接する座部と互いの外周面どうしが連結されることを特徴とする遊技機Ｅ１７。
【０９４５】
遊技機Ｅ１７によれば、遊技機Ｅ１５又はＥ１６の奏する効果に加え、座部は、隣接する座部と互いの外周面どうしが連結されるので、介設部材の剛性を高めることができる。
【０９４６】
なお、この場合、座部の外周面を円形として、隣接する座部と互いの外周面どうしが連結するように構成しても良い。これにより、複数の座部どうしが連結された群は、外形が凸凹に形成されるので、空間を確保して、放熱効果を高めつつ、外形の凸凹を利用して、介設部材の剛性を高まることができる。
【０９４７】
＜振り分け装置４７００を一例とする発明の概念について＞
球が通過可能な通路を形成する通路部材と、その通路部材の下流側に配置されると共に球の通過に伴って所定の特典を付与する第１特典付与手段と、を備えた遊技機において、前記第１特典付与手段よりも上流側において前記通路部材の側壁に球が通過可能な大きさに開口形成される開口と、その開口から遊技領域に流出した球が通過可能に形成されると共に球の通過に伴って所定の特典を付与する第２特典付与手段とを備えることを特徴とする遊技機Ｆ１。
【０９４８】
ここで、球が通過可能な通路を形成する通路部材を備えた遊技機が知られている（例えば、特開２０１５−９７７６４号公報）。このような通路部材の下流側には、通路部材の球の通過を検出するセンサ装置が配設され、そのセンサ装置により球の通過が検出されると、所定の特典が付与される。しかしながら、上述した従来の遊技機では、通路部材は、その下流側（センサ装置）へ向けて球を案内する機能を有するのみであり、配設に要するスペースが嵩む一方で、遊技に興趣を付与することが困難であるという問題点があった。
【０９４９】
これに対し、遊技機Ｆ１によれば、通路部材に案内された球が、第１特典付与手段を通過されると、第１特典付与手段により所定の特典が付与される。この場合、第１特典付与手段よりも上流側において通路部材の側壁に球が通過可能な大きさに開口形成される開口と、その開口から遊技領域に流出した球が通過可能に形成されると共に球の通過に伴って所定の特典を付与する第２特典付与手段とを備えるので、通路部材を案内される途中で、球が開口から遊技領域へ流出する形態を形成できると共に、かかる流出した球が第２特典付与手段を通過した場合には、第２特典付与手段により所定の特典を付与することができる。これにより、通路部材に案内される球が、第１特典付与手段を通過する形態だけでなく、開口から遊技領域へ流出する形態、更には、その流出した球が第２特典付与手段を通過する形態を形成でき、遊技に興趣を付与することができる。
【０９５０】
なお、第２特典付与手段は、開口から遊技領域へ流出した球の全てを受け入れ可能な位置に配設されていても良く、或いは、開口から遊技領域へ流出した球の状態に応じて、一部の球は受け入れると共に一部の球は受け入れない位置に配設されていても良い。
【０９５１】
また、第１特典付与手段により付与される特典と、第２特典付与手段により付与される特典とは、同じ特典であっても良く、異なる特典であっても良い。
【０９５２】
遊技機Ｆ１において、前記通路部材は、そのの一部に形成される屈曲部を備え、前記開口は、前記屈曲部の側壁に開口形成されることを特徴とする遊技機Ｆ２。
【０９５３】
ここで、通路部材の一部に屈曲部を形成することで、球の送球方向を変更できるので、レイアウトの自由度を高めることができる。しかしながら、通路部材の一部に屈曲部が形成されると、屈曲部における球の流れが滞りやすい。そのため、複数の球が連なった状態で屈曲部を通過する場合に、先行する球に後行する球が追いつき、先行する球を後行する球が側壁に押し付けることで、両者が転動できなくなり、球詰まりが発生するという問題点があった。
【０９５４】
これに対し、遊技機Ｆ２によれば、通路部材は、屈曲部の側壁に開口形成される開口を備えるので、複数の球が連なった状態で屈曲部を通過する場合に、先行する球に後行する球が追いついても、先行する球を側壁に押し付け難くでき、両者の転動を継続させやすくできる。その結果、球詰まりの発生を抑制できる。
【０９５５】
なお、屈曲部とは、通路部材の第１の部分とその第１の部分の下流側に連結されると共に第１の部分と球の通過方向が異なる方向とされる第２の部分とが形成される範囲を意味する。この場合、第１の部分と第２の部分とは、それぞれ直線状に延設される通路であっても良く、曲線状に湾曲して延設される通路であっても良く、又は、これらが組み合わされた形状の通路であっても良い。
【０９５６】
遊技機Ｆ２において、正面側に遊技領域が形成される遊技盤を備え、前記通路部材の屈曲部のうちの少なくとも前記開口が形成される部分が前記遊技盤の正面側に配設されることを特徴とする遊技機Ｆ３。
【０９５７】
遊技機Ｆ３によれば、遊技機Ｆ２の奏する効果に加え、通路部材の屈曲部のうちの少なくとも開口が形成される部分が遊技盤の正面側に配設されるので、通路部材の屈曲部において球詰まりが発生した場合には、ガラス板を開放することで、遊技盤の正面側において、屈曲部に詰まった球に対して開口からアクセスすることができる。よって、球詰まりを解消する作業の作業性の向上を図ることができる。また、通路部材の開口から遊技球が遊技領域へ流出する際には、その流出する態様を遊技者に視認させることができるので、遊技の興趣を高めることができる。
【０９５８】
遊技機Ｆ３において、前記第２特典付与手段は少なくともその入球口が、前記遊技盤の正面側に配設されることを特徴とする遊技機Ｆ４。
【０９５９】
遊技機Ｆ４によれば、遊技機Ｆ３の奏する効果に加え、第２特典手段の少なくとも入球口が遊技盤の正面側に配設されるので、通路部材の開口から遊技球が遊技領域へ流出する際には、その流出した球が第２特典付与手段の入球口へ入球する態様を遊技者に視認させることができるので、遊技の興趣を高めることができる。
【０９６０】
遊技機Ｆ１からＦ４のいずれかにおいて、前記第２特典付与手段を前記通路部材へ接続し、前記第２特典付与手段を通過した球を前記通路部材へ案内する接続通路を備え、その接続通路は、前記第１特典付与手段よりも上流側において前記通路部材に接続されることを特徴とする遊技機Ｆ５。
【０９６１】
遊技機Ｆ５によれば、遊技機Ｆ１からＦ４の奏する効果に加え、第２特典付与手段を通路部材へ接続し、第２特典付与手段を通過した球を通路部材へ案内するする接続通路を備え、その接続通路は、第１特典付与手段よりも上流側において通路部材に接続されるので、通路部材を案内される途中で、球が開口から遊技領域へ流出すると共に、かかる流出した球が第２特典付与手段を通過した場合には、その球を接続通路で通路部材へ案内して、第１特典付与手段を通過させることができる。よって、第２特典付与手段による特典の付与に加え、第１特典付与手段による特典の付与も行うことができ、遊技の興趣を高めることができる。
【０９６２】
遊技機Ｆ１からＦ５のいずれかにおいて、入球した球を一方および他方へ交互に振り分ける振分手段を備え、前記通路部材は、一対配設され、前記一対の通路部材のうちの一方が前記振分手段の一方に接続されると共に他方が前記振分手段の他方に接続されることを特徴とする遊技機Ｆ６。
【０９６３】
遊技機Ｆ６によれば、遊技機Ｆ１からＦ５のいずれかの奏する効果に加え、入球した球を一方および他方へ交互に振り分ける振分手段を備え、通路部材は、一対配設され、一対の通路部材のうちの一方が振分手段の一方に接続されると共に他方が振分手段の他方に接続されるので、通路部材へ球を１球ずつ入球させることができる。即ち、複数の球が連なって通路部材へ入球されることを抑制できるので、通路部材での球の詰まりを抑制できる。
【０９６４】
＜振り分け装置７００を一例とする発明の概念について＞
球が通過可能な通路部材を備えた遊技機において、正面側に遊技領域が形成される遊技盤を備え、前記通路部材は、入球口が前記遊技盤の正面側に配設されると共に、前記入球口よりも下流側の少なくとも一部が遊技盤の背面側に配設されることを特徴とする遊技機Ｇ１。
【０９６５】
ここで、球が通過可能な通路を形成する通路部材を備えた遊技機が知られている（例えば、特開２０１５−９７７６４号公報）。通路（通路部材）を利用することで、通路に入球した球を所定位置まで確実に送球することができる。しかしながら、通路が遊技盤の正面側に配設されると、その分、遊技盤の正面側におけるスペースが減少するという問題点があった。即ち、遊技領域における球の流下領域が制限（減少）される。
【０９６６】
これに対し、遊技機Ｇ１によれば、通路部材は、入球口が遊技盤の正面側に配設されると共に、入球口よりも下流側の少なくとも一部が遊技盤の背面側に配設されるので、その分、遊技盤の正面側におけるスペースを確保することができる。即ち、遊技領域における球の流下領域を確保できる。
【０９６７】
遊技機Ｇ１において、前記通路部材は、前記入球口の下流側から分岐され前記遊技盤の幅方向一側および幅方向他側へ向けてそれぞれ下降傾斜されると共に前記遊技盤の背面側に配設される一対の傾斜通路と、それら一対の傾斜通路の下流側にそれぞれ接続され少なくとも一部が前記遊技盤の正面側に配設される一対の第２通路とを備え、前記入球口よりも下方であって前記一対の第２通路の間に入賞装置が配設されることを特徴とする遊技機Ｇ２。
【０９６８】
遊技機Ｇ２によれば、遊技機Ｇ１の奏する効果に加え、通路部材は、入球口の下流側から分岐され遊技盤の幅方向一側および幅方向他側へ向けてそれぞれ下降傾斜されると共に遊技盤の背面側に配設される一対の傾斜通路と、それら一対の傾斜通路の下流側にそれぞれ接続され少なくとも一部が遊技盤の正面側に配設される一対の第２通路とを備えるので、傾斜通路の分、遊技盤の正面側におけるスペース（遊技領域における球の流下領域）を確保できる。よって、入球口よりも下方であって一対の第２通路の間に入賞装置を配設できる。即ち、遊技機Ｇ２記載の通路部材および入賞装置の配置は、通路部材を遊技盤の正面側に配設する従来品では不可能な配置であり、遊技機Ｇ２のように、傾斜通路を遊技盤の背面側に配設することで初めて可能となったものである。
【０９６９】
遊技機Ｇ２において、前記第２通路は、その一部に屈曲部が形成された屈曲通路として形成され、前記屈曲部の側壁に開口が開口形成されることを特徴とする遊技機Ｇ３。
【０９７０】
ここで、通路部材の一部に屈曲部を形成することで、球の送球方向（通路から遊技領域へ球を流出させる位置）を変更できるので、レイアウトの自由度を高めることができる。しかしながら、通路部材の一部に屈曲部が形成されると、屈曲部における球の流れが滞りやすい。そのため、複数の球が連なった状態で屈曲部を通過する場合に、先行する球に後行する球が追いつき、先行する球を後行する球が側壁に押し付けることで、両者が転動できなくなり、球詰まりが発生することがあるという問題点があった。
【０９７１】
これに対し、遊技機Ｇ３によれば、遊技機Ｇ２の奏する効果に加え、通路部材は、屈曲部の側壁に開口形成される開口を備えるので、複数の球が連なった状態で屈曲部を通過する場合に、先行する球に後行する球が追いついても、先行する球を側壁に押し付け難くでき、両者の転動を継続させやすくできる。その結果、球詰まりの発生を抑制できる。
【０９７２】
なお、屈曲部とは、通路部材の第１の部分とその第１の部分の下流側に連結されると共に第１の部分と球の通過方向が異なる方向とされる第２の部分とが形成される範囲を意味する。この場合、第１の部分と第２の部分とは、それぞれ直線状に延設される通路であっても良く、曲線状に湾曲して延設される通路であっても良く、又は、これらが組み合わされた形状の通路であっても良い。
【０９７３】
遊技機Ｇ３において、前記開口が前記遊技盤の正面側に配設されることを特徴とする遊技機Ｇ４。
【０９７４】
遊技機Ｇ４によれば、遊技機Ｇ３の奏する効果に加え、開口が遊技盤の正面側に配設されるので、第２通路の屈曲部において球詰まりが発生した場合には、ガラス板を開放することで、遊技盤の正面側において、屈曲部に詰まった球に対して開口からアクセスすることができる。よって、球詰まりを解消する作業の作業性の向上を図ることができる。
【０９７５】
遊技機Ｇ３又はＧ４において、前記第２通路のうちの前記遊技盤の正面側に配設された部分と前記遊技領域の下方縁部との間には少なくとも球が通過可能な隙間が形成されることを特徴とする遊技機Ｇ５。
【０９７６】
遊技機Ｇ５によれば、遊技機Ｇ３又はＧ４の奏する効果に加え、第２通路のうちの遊技盤の正面側に配設された部分と遊技領域の下方縁部との間には少なくとも球が通過可能な隙間が形成されるので、第２通路の両側にそれぞれアウト口を設けることを不要とできる。よって、その分、遊技盤の正面側におけるスペース（遊技領域における球の流下領域）を確保できると共に、部品点数を削減して、製品コストを削減できる。
【０９７７】
遊技機Ｇ２からＧ５のいずれかにおいて、一側が開放された断面形状に形成されると共に前記開放された側が前記遊技盤の背面を向く姿勢で取着される取着部材を備え、前記遊技盤の背面と前記取着部材の内面との対向間に前記傾斜通路が形成されることを特徴とする遊技機Ｇ６。
【０９７８】
遊技機Ｇ６によれば、遊技機Ｇ２からＧ５のいずれかの奏する効果に加え、一側が開放された断面形状に形成されると共に開放された側が遊技盤の背面を向く姿勢で取着される取着部材を備え、遊技盤の背面と取着部材の内面との対向間に傾斜通路が形成されるので、遊技盤の背面を傾斜通路の一部として兼用することができ、傾斜通路を形成するための部材を削減できる。よって、その分、製品コストの低減を図ることができる。
【０９７９】
＜上下変位ユニット５４００を一例とする発明の概念について＞
ベース部材と、そのベース部材に対して変位可能な第１変位部材と、その第１変位部材を駆動する第１駆動手段と、前記第１変位部材に対して変位可能な第２変位部材と、を備える遊技機において、
前記ベース部材と前記第１変位部材との間に介設される介設部材を備え、
前記第１駆動手段により前記第１変位部材が変位されて、前記第１変位部材が所定の位置に配置されると、前記介設部材の一部が前記第２変位部材の変位を規制する位置に配置されることを特徴とする遊技機Ｈ１。
【０９８０】
ここで、従来より、ベース部材と、そのベース部材に対して変位可能な第１変位部材と、第１変位部材を駆動する第１駆動手段と、第１変位部材に対して変位可能な第２変位部材とを備える遊技機が知られている（例えば、特開２０１４−２３８７４号公報）。この遊技機によれば、センタフレームの開口上部（遊技機の上部）に配置された第１変位部材を、第１駆動手段によりセンタフレームの開口中央部（遊技機の中央）に移動させて、第２変位部材を変位させることができる。
【０９８１】
しかしながら、上述した従来の遊技機では、センタフレームの開口上部で第２変位部材の変位を停止させる場合に、遊技機の外部から入力される振動等により第２変位部材が変位する可能性があり、第２変位部材が変位させることで、他の演出を遊技者に視認させにくくなる。そこで、第２変位部材がセンタフレームの開口上部に配置される場合に、第２変位部材の変位を規制する部材をソレノイド等の駆動手段により変位させて当接することで、第２変位部材の変位を規制することが考えらえるが、この場合には、変位を規制する部材や駆動手段を新たに配設する必要があり、その分、部品点数が増加するという問題点があった。
【０９８２】
これに対し、遊技機Ｈ１では、ベース部材と第１変位部材との間に介設される介設部材を備え、第１駆動手段により第１変位部材が変位されて、第１変位部材が所定の位置に配置されると、介設部材の一部が第２変位部材の変位を規制する位置に配置される。よって、第１駆動手段により第１変位部材が変位されて、第１変位部材が所定の位置に配置されると、介設部材の一部が第２変位部材の変位を規制するので、介設部材に本来の役割と第２変位部材の変位を規制する役割とを兼用させることができる。従って、第２変位部材の変位を規制する部分を他に備える必要がなくなり、部品点数を少なくすることができる。
【０９８３】
なお、介設部材の本体の役割とは、第１駆動手段の駆動を第１変位部材に伝達する役割や、ベース部材と第１変位部材とを連結する役割である。
【０９８４】
遊技機Ｈ１において、前記第２変位部材は、前記第１変位部材に軸支され、その軸支部分を軸に回転可能とされ、前記第２変位部材または介設部材のどちらか一方は、側面に凹設される凹部を備え、前記第２変位部材または介設部材のどちらか他方が、前記凹部の内側に挿入されることで、前記第２変位部材の変位が規制されることを特徴とする遊技機Ｈ２。
【０９８５】
ここで、第２変位部材が回転変位するものであると、介設部材を第２変位部材の回転領域に配置することのみでは、第２変位部材の一方向の回転を規制することはできるが、第２変位部材の他方向（回転が規制される方向と反対方向）の回転を規制することができないという問題点があった。
【０９８６】
これに対し、遊技機Ｈ２によれば、遊技機Ｈ１の奏する効果に加え、第２変位部材は、第１変位部材に軸支され、その軸支部分を軸に回転可能とされ、第２変位部材または介設部材のどちらか一方は、側面に凹設される凹部を備え、第２変位部材または介設部材のどちらか他方が、凹部の内側に挿入されることで、第２変位部材の変位が規制されるので、第２変位部材が回転変位する場合に、第２変位部材の両方向の回転駆動を介設部材により規制することができる。その結果、介設部材による第２変位部材の規制部分を少なくすることができる。
【０９８７】
遊技機Ｈ２において、前記介設部材は、前記ベース部材に対して回転可能に配設され、前記第２変位部材に前記凹部が凹設され、前記介設部材が前記凹部の内側に挿入された状態において、前記凹部は、内縁が前記介設部材の回転軸と同軸の円弧形状に形成され、前記介設部材は、前記凹部と対向する対向面が前記凹部の円弧形状よりも小さい湾曲形状に形成されることを特徴とする遊技機Ｈ３。
【０９８８】
遊技機Ｈ３によれば、遊技機Ｈ２の奏する効果に加え、介設部材は、ベース部材に対して回転可能に配設され、第２変位部材に凹部が凹設され、介設部材が凹部の内側に挿入された状態において、凹部は、内縁が介設部材の回転軸と同軸の円弧形状に形成され、介設部材は、凹部と対向する対向面が凹部の円弧形状よりも小さい湾曲形状に形成されるので、凹部の内側に介設部材を挿入した状態（即ち、介設部材により第２変位部材の変位を規制した状態）から、介設部材を凹部から抜け出させる場合に、介設部材を回転変位させるのみで、第２変位部材と当接することなく介設部材を第２変位部材の凹部から引き抜く（介設部材による第２変位部材の規制を解除する）ことができる。その結果、介設部材による第２変位部材の変位の規制を解除しやすくできる。
【０９８９】
なお、介設部材の凹部と対向する対向面は、外縁全域が湾曲形状に形成される必要はなく、部分的に凹部側に突出されていても良く、その場合、突出部分を結ぶ軌跡の湾曲形状が、凹部の円弧形状よりも小さく形成されていればよい。
【０９９０】
遊技機Ｈ１において、前記第２変位部材は、前記第１変位部材に対してスライド変位可能に配設され、前記第２変位部材または介設部材のどちらか一方は、側面に凹設される凹部を備え、前記第２変位部材または介設部材のどちらか他方が、前記凹部の内側に挿入されて、前記第２変位部材の変位を規制する場合に、前記凹部は、前記第２変位部材のスライド方向と直交する方向の端面に凹設されることを特徴とする遊技機Ｈ４。
【０９９１】
ここで、第２変位部材が第１変位部材に対してスライド変位する場合に、第１変位部材のスライド方向の外面に介設部材を当接させて第２変位部材の変位を規制するものでは、第２変位部材が介設部材に近づく方向に変位する場合に第２変位部材の変位を規制することができるが、第２変位部材が介設部材から離間する方向に変位する場合に第２変位部材の変位を規制することができないという問題点があった。
【０９９２】
これに対し、遊技機Ｈ４によれば、遊技機Ｈ１の奏する効果に加え、第２変位部材は、第１変位部材に対してスライド変位可能に配設され、第２変位部材または介設部材のどちらか一方は、側面に凹設される凹部を備え、第２変位部材または介設部材のどちらか他方が、凹部の内側に挿入されることで、第２変位部材の変位を規制する場合に、凹部は、２変位部材のスライド方向と直交する方向の端面に凹設されるので、第２変位部材がスライド変位する場合に、第２変位部材の両方向のスライド変位を規制することができる。その結果、介設部材による第２変位部材の規制部分を少なくすることができる。
【０９９３】
遊技機Ｈ１において、前記第２変位部材に駆動を伝達する伝達手段を備え、前記介設部材または伝達手段のどちらか一方は、前記伝達手段による駆動の伝達を遮断する遮断部を備え、介設部材が変位されて、前記遮断部が前記介設部材または伝達手段のどちらか他方に当接することで、前記伝達手段から前記第２変位部材への駆動の伝達が遮断され、前記第２変位部材の変位が規制されることを特徴とする遊技機Ｈ５。
【０９９４】
遊技機Ｈ５によれば、遊技機Ｈ１の奏する効果に加え、第２変位部材に駆動を伝達する伝達手段を備え、介設部材または伝達手段のどちらか一方は、伝達手段による駆動の伝達を遮断する遮断部を備え、介設部材が変位されて、遮断部が介設部材または伝達手段のどちらか他方に当接することで、伝達手段から第２変位部材への駆動の伝達が遮断され、第２変位部材の変位が規制されるので、介設部材を伝達手段に当接させることなく伝達手段の変位を規制することができる。その結果、介設部材および第２変位部材が当接することで遊技者の興趣が損なわれることを抑制できる。
【０９９５】
遊技機Ｈ１において、前記介設部材は、前記ベース部材に対して回転可能に配設され、前記第２変位部材は、前記第１変位部材に対して前記介設部材の回転軸方向に変位可能に配設され、前記介設部材の回転軸方向の端面に前記第２変位部材が当接することで、前記第２変位部材の変位が規制されることを特徴とする遊技機Ｈ６。
【０９９６】
遊技機Ｈ６によれば、遊技機Ｈ１の奏する効果に加え、介設部材は、ベース部材に対して回転可能に配設され、第２変位部材は、第１変位部材に対して介設部材の回転軸方向に変位可能に配設され、介設部材の回転軸方向の端面に第２変位部材が当接することで、第２変位部材の変位が規制されるので、介設部材と第２変位部材とが当接した場合に、第２変位部材を介設部材に対して介設部材の回転軸方向に押圧できる。従って、介設部材と第２変位部材とが当接する状態（第２変位部材の変位が介設部材により規制された状態）では、介設部材が回転する際の抵抗を大きくできる。その結果、介設部材と第２変位部材とが当接した状態で、介設部材が回転することを抑制できる。
【０９９７】
遊技機Ｈ６において、前記第２変位部材を駆動する第２駆動手段を備え、前記第２駆動手段は、電力が付与されることで磁力を発生させる本体部と、その本体部の内部に収容され本体部に磁力が発生することで本体部の内側または外側のどちらか一方に変位する軸部と、その軸部を本体部の内側または外側のどちらか他方に付勢する付勢手段と、を備え、前記軸部が前記付勢手段により前記軸部が変位されると、前記第２変位部材が前記介設部材と当接することを特徴とする遊技機Ｈ７。
【０９９８】
遊技機Ｈ７によれば、遊技機Ｈ６の奏する効果に加え、第２変位部材に駆動を伝達する第２駆動手段を備え、第２駆動手段は、電力が付与されることで磁力を発生させる本体部と、その本体部の内部に収容され本体部に磁力が発生することで本体部の内側または外側のどちらか一方に変位する軸部と、その軸部を本体部の内側または外側のどちらか他方に付勢する付勢手段と、を備え、軸部が付勢手段により軸部が変位されると、第２変位部材が介設部材と当接するので、付勢手段の付勢力により、第２変位部材と介設部材とが当接した状態を維持できる。その結果、介設部材の変位を規制するための駆動力を第２駆動手段に加え続ける必要がなくなるので、消費エネルギーを低下できる。
【０９９９】
遊技機Ｈ１において、前記第２変位部材は、前記介設部材と当接することで、前記第２変位部材の変位の形態が変更されることを特徴とする遊技機Ｈ８。
【１０００】
遊技機Ｈ８によれば、遊技機Ｈ１の奏する効果に加え、第２変位部材は、介設部材と当接することで、第２変位部材の変位の形態が変更されるので、第２変位部材の変位の形態を変更する変更手段を他に備える必要がない。その結果、変位の形態を複数備える場合の第２変位部材の構造を簡易にできる。
【１００１】
遊技機Ｈ８において、前記介設部材は、前記ベース部材に対して回転可能に配設され、前記第２変位部材は、前記第１変位部材に対してスライド変位可能に配設され、前記介設部材および第２変位部材が当接して、前記第２変位部材のスライド変位が前記介設部材により規制される場合に、前記介設部材および第２変位部材の当接部と前記介設部材の回転軸とを結ぶ方向が、前記第２変位部材のスライド変位方向と同一に設定されることを特徴とする遊技機Ｈ９。
【１００２】
遊技機Ｈ９によれば、遊技機Ｈ８の奏する効果に加え、介設部材は、ベース部材に対して回転可能に配設され、第２変位部材は、第１変位部材に対してスライド変位可能に配設され、介設部材および第２変位部材が当接して、第２変位部材のスライド変位が介設部材により規制される場合に、介設部材および第２変位部材の当接部と介設部材の回転軸とを結ぶ方向が、第２変位部材のスライド変位方向と同一に設定されるので、第２変位部材が介設部材に当接した場合に介設部材が介設部材の回転軸を軸に回転することを抑制できる。その結果、介設部材による第２変位部材のスライド変位の規制を維持できる。
【１００３】
遊技機Ｈ９において、前記第２変位部材および介設部材の当接部には、前記第２変位部材または介設部材のどちらか一方に突設部が突設され、前記第２変位部材または介設部材のどちらか他方に前記突設部を受け入れる受入部が凹設され、前記突設部または受入部は同一の断面三角形状に形成されることを特徴とする遊技機Ｈ１０。
【１００４】
遊技機Ｈ１０によれば、遊技機Ｈ９の奏する効果に加え、第２変位部材および介設部材の当接部には、第２変位部材または介設部材のどちらか一方に突設部が突設され、第２変位部材または介設部材のどちらか他方に突設部を受け入れる受入部が凹設され、突設部または受入部は同一の断面三角形状に形成されるので、第２変位部材の変位を介設部材により規制する場合に、介設部材または第２変位部材の配置がずれた場合に、受入部に挿入部を受け入れさせることで、挿入部および受入部の互いの傾斜により、介設部材または第２変位部材を適正な位置に移動させることができる。その結果、介設部材または第２変位部材の配置がずれた状態で、第２変位部材を介設部材に当接させた場合に、介設部材が回転することを抑制できる。
【１００５】
遊技機Ｈ１０において、前記第２変位部材は、前記第２変位部材のスライド変位方向と略直交する方向に延びる直線を回転軸として回転可能に配設され、前記第２変位部材が、スライド変位して前記介設部材と当接することで、前記第２変位部材が回転軸を中心に回転変位し、前記第２変位部材に形成される前記突設部または受入部は、その断面形状が前記第２変位部材の回転軸から径方向に離間するに従って大きく形成されることを特徴とする遊技機Ｈ１１。
【１００６】
遊技機Ｈ１１によれば、遊技機Ｈ１０の奏する効果に加え、第２変位部材は、第２変位部材のスライド変位方向と略直交する方向に延びる直線を回転軸として回転可能に配設され、第２変位部材が、スライド変位して介設部材と当接することで、第２変位部材が回転軸を中心に回転変位し、第２変位部材に形成される突設部または受入部は、その断面形状が第２変位部材の回転軸から径方向に離間するに従って大きく形成されるので、第２変位部材が、介設部材と当接して回転する際に、第２変位部材の回転量に伴って、突設部と受入部との当接面積を大きくすることができる。よって、第２変位部材の最大の回転位置で受入部と挿入部との当接面積を最大とすることができる。その結果、受入部と挿入部とに係る力を分散させることができ、第２変位部材および介設部材が破損することを抑制できる。
【１００７】
遊技機Ｈ１において、前記介設部材は、ギヤが刻設されるラックであって、前記第２変位部材は、前記ラックの移動方向に対して直交する方向に変位可能に配設されることを特徴とする遊技機Ｈ１２。
【１００８】
遊技機Ｈ１２によれば、遊技機Ｈ１の奏する効果に加え、介設部材は、ギヤが刻設されるラックであって、第２変位部材は、ラックの移動方向に対して直交する方向に変位可能に配設されるので、第２変位部材の変位をラック（介設部材）により規制した場合に、その衝撃でラックが変位することを抑制できる。
【１００９】
遊技機Ｈ１２において、前記第２変位部材に駆動を伝達する伝達手段を備え、前記伝達手段は、前記ラックに連結され、前記ラックの変位により前記第２変位部材が変位されることを特徴とする遊技機Ｈ１３。
【１０１０】
遊技機Ｈ１３によれば、遊技機Ｈ１２の奏する効果に加え、第２変位部材に駆動を伝達する伝達手段を備え、伝達手段は、ラックに連結され、ラックの変位により第２変位部材が変位されるので、第２変位部材の駆動源を他に配置する必要がなくなり、部品点数を少なくすることができる。
【１０１１】
また、第２変位部材の変位がラックにより規制された状態で、第２変位部材が動くことを抑制できる。その結果、誤作動等で、第２変位部材の変位が規制された状態で、第２変位部材が変位して、ラック及び第２変位部材が破損することを抑制できる。
【１０１２】
＜上下変位ユニット５４００を一例とする発明の概念について＞
ベース部材と、そのベース部材に対して退避位置および第１位置の間で変位する第１変位部材と、その第１変位部材に対して変位する第２変位部材と、を備える遊技機において、
前記第１変位部材が退避位置に配置された状態における前記第２変位部材の変位領域に配設される規制部材を備え、
前記規制部材は、前記第１変位部材が退避位置から第１位置に変位される場合に、前記第２変位部材の変位領域から離間する方向に変位されることを特徴とする遊技機Ｉ１。
【１０１３】
ここで、従来より、ベース部材と、そのベース部材に対して退避位置および第１位置の間で変位する第１変位部材と、その第１変位部材に対して変位する第２変位部材とを備える遊技機が知られている（例えば、特開２０１４−２３８７４号公報）。この遊技機によれば、退避位置に配置された第１変位部材を、第１位置に変位させて第２変位部材を変位させることができる。
【１０１４】
しかしながら、上述した従来の遊技機では、退避位置で第２変位部材の変位を停止させる場合に、遊技機の外部から入力される振動等により第２変位部材が変位する可能性があり、第２変位部材が変位することで他の演出を遊技者に視認させにくくなる。そのため、退避位置ではセンタフレームの背面側に第２変位部材を配置して、退避位置での第２変位部材の変位を遊技者に視認させにくくすることが考えられるが、この場合には、センタフレームが大きくされる分、第２変位部材の変位による演出領域が小さくされるという問題点があった。
【１０１５】
また、第２変位部材が退避位置に配置される場合に、第２変位部材にセンタフレームの一部を当接させて、第２変位部材の変位を規制することも考えられるが、この場合には、第２変位部材の変位を許容する際に、第２変位部材をセンタフレームから十分に離間させる必要があり、その分、第２変位部材の変位による演出領域が小さくされるという問題点があった。
【１０１６】
これに対して、遊技機Ｉ１によれば、第１変位部材が退避位置に配置された状態における第２変位部材の変位領域に配設される規制部材を備え、規制部材は、第１変位部材が退避位置から第１位置に変位される場合に、第２変位部材の変位領域から離間する方向に変位されるので、規制部材が第２変位部材の変位領域から離間する分、第２変位部材の変位領域外に規制部材を短時間で移動させることができる。その結果、第２変位部材の変位による演出領域を拡大することができる。
【１０１７】
遊技機Ｉ１において、前記第１変位部材は、退避位置から第１位置と反対方向の第２位置に変位可能とされることを特徴とする遊技機Ｉ２。
【１０１８】
遊技機Ｉ２によれば、遊技機Ｉ１の奏する効果に加え、第１変位部材は、退避位置から第１位置と反対方向の第２位置に変位可能とされるので、第２変位部材の変位による演出領域を退避位置の両側に形成することができる。その結果、第２変位部材の変位による演出領域を拡大することができる。
【１０１９】
遊技機Ｉ２において、前記第２変位部材は、前記規制部材による規制位置から変位され、前記第１変位部材が第１位置または第２位置のどちらか一方側から退避位置を介して第２位置または第１位置側に変位される際に、前記第２変位部材の移動軌跡の外側に前記規制部材が配置されることを特徴とする遊技機Ｉ３。
【１０２０】
遊技機Ｉ３によれば、遊技機Ｉ２の奏する効果に加え、第２変位部材は、規制部材による規制位置から変位され、第１変位部材が第１位置または第２位置のどちらか一方側から退避位置を介して第２位置または第１位置側に変位される際に、第２変位部材の移動軌跡の外側に規制部材が配置されるので、第１変位部材が、第１位置側から第２位置側または第２位置側から第１位置側に退避位置を介して変位される際に、第２変位部材が規制部材と干渉することを抑制できる。
【１０２１】
即ち、第１変位部材が、第１位置側から第２位置側または第２位置側から第１位置側に退避位置を介して変位される場合に、第２変位部材が規制位置に配置される状態では、第１変位部材が退避位置を通過する際に、第２変位部材と規制部材とが近接する。従って、第２変位部材が規制位置から若干ずれた位置に配置される場合や第１変位部材の変位の振動により変位した場合に、第２変位部材が規制部材に干渉する恐れがあるところ、かかる第２変位部材は、規制位置から変位されて第２変位部材の変位軌跡の外側に規制部材が配置された状態とされるので、第２変位部材と規制部材とが干渉することを抑制できる。その結果、第１位置から第２位置または第２位置から第１位置への第１変位部材の変位をスムーズに行うことができる。
【１０２２】
遊技機Ｉ２において、前記規制部材は、前記第１変位部材が退避位置から第１位置または第２位置に変位する方向に変位されると共に、前記第１変位部材の変位方向に対して直交する方向に変位されることを特徴とする遊技機Ｉ４。
【１０２３】
遊技機Ｉ４によれば、遊技機Ｉ２又はＩ３の奏する効果に加え、規制部材は、第１変位部材が退避位置から第１位置または第２位置に変位する方向に変位されると共に、第１変位部材の変位方向に対して直交する方向に変位されるので、第２変位部材を第１変位部材に対して規制位置に停止させた状態で、第１変位部材を退避位置から第１位置または第２位置に変位させることができる。即ち、規制部材を第１変位部材の変位により第２変位部材が移動する方向に変位させつつ、第２変位部材の変位領域から離間させることができる。その結果、第２変位部材の変位を規制部材により規制した状態から、第１変位部材を第１位置および第２位置の両方向に変位させることができる。
【１０２４】
遊技機Ｉ４において、前記規制部材は、第１変位部材の変位方向と直交する方向に延びる直線を中心に回転可能とされ、前記第２変位部材は、外面に凹設される凹部を備え、前記規制部材の回転軸に対して前記規制部材の径方向外側の端部が前記凹部の内側に配置されることで、前記第２変位部材の変位が規制されることを特徴とする遊技機Ｉ５。
【１０２５】
遊技機Ｉ５によれば、遊技機Ｉ４の奏する効果に加え、規制部材は、第１変位部材の変位方向と直交する方向に延びる直線を中心に回転可能とされ、第２変位部材は、外面に凹設される凹部を備え、規制部材の回転軸に対して規制部材の径方向外側の端部が凹部の内側に配置されることで、第２変位部材の変位が規制されるので、規制部材を回転させる動作のみで規制部材を第１変位部材の変位により第２変位部材が移動する方向に変位させつつ、第２変位部材の変位領域から離間させることができる。その結果、第２変位部材の変位を規制部材により規制した状態から、第１変位部材を第１位置および第２位置の両方向に変位さやすくできる。
【１０２６】
遊技機Ｉ４において、前記第２変位部材を駆動する第２駆動手段を備え、前記規制部材は、前記第２変位部材の外面に当接して配設され、前記第２変位部材が前記第２駆動手段により変位される場合に第２変位部材の外面に押圧されることで前記第２変位部材の変位領域から離間する方向に変位されることを特徴とする遊技機Ｉ６。
【１０２７】
遊技機Ｉ６によれば、遊技機Ｉ４の奏する効果に加え、第２変位部材を駆動する第２駆動手段を備え、規制部材は、第２変位部材の外面に当接して配設され、第２変位部材が第２駆動手段により変位される場合に第２変位部材の外面に押圧されることで第２変位部材の変位領域から離間する方向に変位されるので、規制部材による第２変位部材の変位の規制を第２駆動手段による第２変位部材の変位により解除することができる。よって、第２駆動手段による第２変位部材の変位に伴って規制部材の規制を解除することができるので、規制部材を、第１変位部材の変位により行う場合に比べて、規制部材の規制の解除を短時間で行うことができる。その結果、第２変位部材の変位による演出領域を大きくすることができる。
【１０２８】
遊技機Ｉ５において、前記規制部材は、その規制部材に一方向の回転の駆動が伝達される伝達部材を備え、その伝達部材は、前記第１変位部材に連結され、前記第１変位部材が一方向に変位されると前記規制部材が変位され、前記第１変位部材が他方向に変位されると前記規制部材が非変位とされることを特徴とする遊技機Ｉ７。
【１０２９】
遊技機Ｉ７によれば、遊技機Ｉ５の奏する効果に加え、規制部材は、その規制部材に一方向の回転の駆動が伝達される伝達部材を備え、その伝達部材は、第１変位部材に連結され、第１変位部材が一方向に変位されると規制部材が変位され、第１変位部材が他方向に変位されると規制部材が非変位とされるので、規制部材による第２変位部材の規制位置の自由度を向上できる。その結果、第２変位部材の変位による演習領域を拡大することができる。
【１０３０】
遊技機Ａ１からＡ１０，Ｂ１からＢ１０，Ｃ１からＣ９、Ｄ１からＤ９、Ｅ１からＥ１７、Ｆ１からＦ６、Ｇ１からＧ６、Ｈ１からＨ１３及びＩ１からＩ７のいずれかにおいて、前記遊技機はスロットマシンであることを特徴とする遊技機Ｋ１。中でも、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（ストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【１０３１】
遊技機Ａ１からＡ１０，Ｂ１からＢ１０，Ｃ１からＣ９、Ｄ１からＤ９、Ｅ１からＥ１７、Ｆ１からＦ６、Ｇ１からＧ６、Ｈ１からＨ１３及びＩ１からＩ７のいずれかにおいて、前記遊技機はパチンコ遊技機であることを特徴とする遊技機Ｋ２。中でも、パチンコ遊技機の基本構成としては操作ハンドルを備え、その操作ハンドルの操作に応じて球を所定の遊技領域へ発射し、球が遊技領域内の所定の位置に配設された作動口に入賞（又は作動口を通過）することを必要条件として、表示手段において動的表示されている識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードへ書き込まれるデータ等も含む）が付与されるものが挙げられる。
【１０３２】
遊技機Ａ１からＡ１０，Ｂ１からＢ１０，Ｃ１からＣ９、Ｄ１からＤ９、Ｅ１からＥ１７、Ｆ１からＦ６、Ｇ１からＧ６、Ｈ１からＨ１３及びＩ１からＩ７のいずれかにおいて、前記遊技機はパチンコ遊技機とスロットマシンとを融合させたものであることを特徴とする遊技機Ｋ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
＜その他＞
パチンコ機等の遊技機において、ベース部材と、そのベース部材に対して変位可能な第１変位部材と、その第１変位部材を駆動する第１駆動手段と、第１変位部材に対して変位可能な第２変位部材と、を備える遊技機が知られている（特開２０１４−２３８７４号公報）。しかしながら、上述した遊技機では、部品点数が増加するという問題点があった。本技術的思想は、上記例示した問題点を解決するためになされたものであり、部品点数を少なくすることができる遊技機を提供することを目的とする。
＜手段＞
この目的を達成するために技術的思想１記載の遊技機は、ベース部材と、そのベース部材に対して変位可能な第１変位部材と、その第１変位部材を駆動する第１駆動手段と、前記第１変位部材に対して変位可能な第２変位部材と、を備えるものであり、前記ベース部材と前記第１変位部材との間に介設される介設部材を備え、前記第１駆動手段により前記第１変位部材が変位されて、前記第１変位部材が所定の位置に配置されると、前記介設部材の一部が前記第２変位部材の変位を規制する位置に配置される。
技術的思想２記載の遊技機は、技術的思想１記載の遊技機において、前記第２変位部材は、前記第１変位部材に軸支され、その軸支部分を軸に回転可能とされ、前記第２変位部材または介設部材のどちらか一方は、側面に凹設される凹部を備え、前記第２変位部材または介設部材のどちらか他方が、前記凹部の内側に挿入されることで、前記第２変位部材の変位が規制される。
技術的思想３記載の遊技機は、技術的思想２記載の遊技機において、前記介設部材は、前記ベース部材に対して回転可能に配設され、前記第２変位部材に前記凹部が凹設され、前記介設部材が前記凹部の内側に挿入された状態において、前記凹部は、内縁が前記介設部材の回転軸と同軸の円弧形状に形成され、前記介設部材は、前記凹部と対向する対向面が前記凹部の円弧形状よりも小さい湾曲形状に形成される。
＜効果＞
技術的思想１記載の遊技機によれば、部品点数を少なくすることができる。
技術的思想２記載の遊技機によれば、技術的思想１記載の遊技機の奏する効果に加え、規制部分を少なくすることができる。
技術的思想３記載の遊技機によれば、技術的思想２記載の遊技機の奏する効果に加え、規制を解除しやすくできる。
【符号の説明】
【１０３３】
１０                          パチンコ機（遊技機）
１３                          遊技盤
６４                          第１入賞口（入球口）
８１                          第３図柄表示装置（液晶表示装置）
１００〜１０４ 基板ボックス
４１０                        正面ベース（ベース部材）
４１６                        軸支部（第２軸）
４１７                        突起（第１軸）
４３０                        変位部材（アーム部材）
４３１                        駆動側摺動孔（摺動溝）
４４１，９９５４              駆動モータ（駆動手段、第１駆動手段）
４４３                        伝達ギヤ（クランク部材）
４４３ａ                      突起（ピン部）
４５０                        装飾部材（変位部材）
４５２                        正面ベース（本体部材）
４５２ｈ                      当接面（当接部材）
４５６                        ギヤ（伝達手段）
４５７，８９６３              駆動モータ（第２駆動手段）
４９１ｃ                      膨出部（対向部材）
４９２                        ローラ部材（回転部材）
４９２ｂ                      軸部（軸）
５００，５５００，１０５００，１３５００  回転ユニット（回転表示装置、第２変位部材）
５１０                        上面ベース（本体部材の一部）
５１２，５２２                送風孔（貫通孔）
５２０                        下面ベース（本体部材の一部）
５３１                        基盤部材（基盤）
５３２                        ＬＥＤ（発光手段）
５４０                        中間板（介設部材）
５４３                        照射孔（貫通孔）
５４４                        照射規制部（座部）
５４６                        溝部
５５０                        正面カバー（透過部、カバー部材）
５６０                        反射板（対向部材）
５６３ａ                      傾斜面（対向部材）
５７０                        回転伝達ユニット（ベース部材、軸部材）
６１０                        枠体（センターフレーム）
６２１                        カバー部材（正面部材）
６２１ａ                      第１部分
６２１ｂ                      第２部分
６３０                        センサ（センサ装置）
６４０ａ                      第２入賞装置（入賞装置）
７３０                        入賞部材（通路部材）
７４０                        通路部材（屈曲部材）
７４２                        案内部（傾斜面）
７４３                        下側突出部（屈曲部）
７４４                        開口
７５０                        介設部材（通路部材）
７６０                        振分け部材（通路部材、取着部材）
５４１０ 正面ベース（ベース部材）
５４３０，９４３０            変位部材（連結部材、規制部材）
５４３８                      受入部
５４５０，６４５０，７４５０，１０４５０，１１４５０，１２４５０，１３４５０  装飾部材（第１変位部材）
５５１４，１３５１４          凹部
５４６０ 正面カバー（ベース部材）
６４３６                      遮断部
７９１０，８９６３            ソレノイド（第２駆動手段）
７９１１                      本体部
７９１２                      軸部
８９３０，９９３０            スライドユニット（第１変位部材）
８９４０，９９４０，          回転ユニット（第２変位部材）
８９４２ｃ                    挿入部（突設部）
９９３６，９９３７，９９３８  伝達ギヤ（伝達手段）
９４３０                      変位部材（ラック）
９９５０                      ベースユニット（ベース部材）
１３４９５                    突設部材（規制部材）
ＫＲ１                        第１送球経路（鉛直通路、第２通路）
ＫＲ２                        第２送球経路（延設通路、第２通路）
ＫＲ３                        第３送球経路（傾斜通路の一部）
ＫＲ４                        第４送球経路（傾斜通路の一部）